(57)【要約】【課題】既存宇宙ロケットは全重量の略７０％が液体酸素で、推進剤の７０％以上を高度５万ｍ以下で消費を、大気圏ジェット飛行で真空圏ロケット飛行ロケット発射にする。【解決手段】各種エネルギ保存サイクル合体機関ジェットエンジンに酸化剤を搭載して、ジェット兼ロケット合体機関燃焼部として限り無く高圧燃焼熱交換長時間冷却燃焼し、最低温度６０ＭＰａ燃焼ガス爆発力＋１００ＭＰａ過熱蒸気爆発力に分割し、過熱蒸気噴射ノズルの過熱蒸気爆発力と霧吹きの原理＋燃焼ガス噴射ノズルの燃焼ガス爆発力と霧吹きの原理で、１以上の水を混合噴射加速して夫々の爆発速度に近付けて、大気圧重力仕事能力を燃焼ガスの１０００倍に近付け、その一部により弾み車タービンを駆動して、大部分によりジェット兼ロケット噴射部を駆動し、大気圏や真空圏を超音速マッハ３０等でシェット飛行やロケット飛行やロケット発射する宇宙往還機や宇宙往還親飛行機を狙う。【選択図】図６
2005147122.tif 000002
【特許請求の範囲】
【請求項１】
Ａ型エネルギ保存サイクル合体機関の一部とペットボトルロケットを合体して水噴射ロケット合体機関（２９Ｋ）とした水噴射ロケット合体機関。
【請求項２】
Ａ型エネルギ保存サイクル合体機関の一部とペットボトルロケットを合体して高温水（５２ｂ）を搭載した水噴射ロケット合体機関。
【請求項３】
Ａ型エネルギ保存サイクル合体機関の一部とペットボトルロケットを合体して過熱蒸気（５０）を搭載した水噴射ロケット合体機関。
【請求項４】
Ａ型エネルギ保存サイクル合体機関の一部とペットボトルロケットを合体して超臨界圧力過熱蒸気（５０）を搭載した水噴射ロケット合体機関。
【請求項５】
Ａ型エネルギ保存サイクル合体機関の一部とペットボトルロケットを合体して超臨界圧力過熱蒸気（５０）と水（５２ａ）を搭載した水噴射ロケット合体機関。
【請求項６】
Ａ型エネルギ保存サイクル合体機関の一部とペットボトルロケットを合体して超臨界圧力過熱蒸気（５０）と高温水（５２ｂ）を搭載した水噴射ロケット合体機関。
【請求項７】
Ａ型エネルギ保存サイクル合体機関の一部とペットボトルロケットを合体して超臨界圧力過熱蒸気（５０）と過熱蒸気（５０）を搭載した水噴射ロケット合体機関。
【請求項８】
Ａ型エネルギ保存サイクル合体機関の一部とペットボトルロケットを合体して超臨界圧力過熱蒸気（５０）と水（５２ａ）と高温水（５２ｂ）を搭載した水噴射ロケット合体機関。
【請求項９】
Ａ型エネルギ保存サイクル合体機関の一部とペットボトルロケットを合体して超臨界圧力過熱蒸気（５０）と高温水（５２ｂ）と過熱蒸気（５０）を搭載した水噴射ロケット合体機関。
【請求項１０】
Ａ型エネルギ保存サイクル合体機関の一部とペットボトルロケットを合体して超臨界圧力過熱蒸気（５０）と過熱蒸気（５０）と水（５２ａ）を搭載した水噴射ロケット合体機関。
【請求項１１】
Ａ型エネルギ保存サイクル合体機関の一部とペットボトルロケットを合体して超臨界圧力過熱蒸気（５０）と水（５２ａ）と高温水（５２ｂ）と過熱蒸気（５０）を搭載した水噴射ロケット合体機関。
【請求項１２】
Ａ型エネルギ保存サイクル合体機関の一部と固体燃料ロケットモーターを合体して固体燃料水噴射ロケット合体機関（２９Ｊ）とした固体燃料水噴射ロケット合体機関。
【請求項１３】
Ａ型エネルギ保存サイクル合体機関の一部と固体燃料ロケットモーターを合体して高温水（５２ｂ）を搭載した固体燃料水噴射ロケット合体機関。
【請求項１４】
Ａ型エネルギ保存サイクル合体機関の一部と固体燃料ロケットモーターを合体して過熱蒸気（５０）を搭載した固体燃料水噴射ロケット合体機関。
【請求項１５】
Ａ型エネルギ保存サイクル合体機関の一部と固体燃料ロケットモーターを合体して超臨界圧力過熱蒸気（５０）を搭載した固体燃料水噴射ロケット合体機関。
【請求項１６】
Ａ型エネルギ保存サイクル合体機関の一部と固体燃料ロケットモーターを合体して超臨界圧力過熱蒸気（５０）と水（５２ａ）を搭載した固体燃料水噴射ロケット合体機関。
【請求項１７】
Ａ型エネルギ保存サイクル合体機関の一部と固体燃料ロケットモーターを合体して超臨界圧力過熱蒸気（５０）と高温水（５２ｂ）を搭載した固体燃料水噴射ロケット合体機関。
【請求項１８】
Ａ型エネルギ保存サイクル合体機関の一部と固体燃料ロケットモーターを合体して超臨界圧力過熱蒸気（５０）と過熱蒸気（５０）を搭載した固体燃料水噴射ロケット合体機関。
【請求項１９】
Ａ型エネルギ保存サイクル合体機関の一部と固体燃料ロケットモーターを合体して超臨界圧力過熱蒸気（５０）と過熱蒸気（５０）と水（５２ａ）を搭載した固体燃料水噴射ロケット合体機関。
【請求項２０】
Ａ型エネルギ保存サイクル合体機関の一部と固体燃料ロケットモーターを合体して超臨界圧力過熱蒸気（５０）と過熱蒸気（５０）と高温水（５２ｂ）を搭載した固体燃料水噴射ロケット合体機関
【請求項２１】
Ａ型エネルギ保存サイクル合体機関の一部と固体燃料ロケットモーターを合体して超臨界圧力過熱蒸気（５０）と高温水（５２ｂ）と水（５２ａ）を搭載した固体燃料水噴射ロケット合体機関。
【請求項２２】
Ａ型エネルギ保存サイクル合体機関の一部と固体燃料ロケットモーターを合体して超臨界圧力過熱蒸気（５０）と過熱蒸気（５０）と高温水（５２ｂ）と水（５２ａ）を搭載した固体燃料水噴射ロケット合体機関。
【請求項２３】
Ａ型エネルギ保存サイクル合体機関の一部と液体燃料ロケットエンジンを合体して液体燃料水噴射ロケット合体機関（２９Ｉ）とした液体燃料水噴射ロケット合体機関。
【請求項２４】
Ａ型エネルギ保存サイクル合体機関の一部と液体燃料ロケットエンジンを合体して高温水（５２ｂ）を搭載した液体燃料水噴射ロケット合体機関。
【請求項２５】
Ａ型エネルギ保存サイクル合体機関の一部と液体燃料ロケットエンジンを合体して過熱蒸気（５０）を搭載した液体燃料水噴射ロケット合体機関。
【請求項２６】
Ａ型エネルギ保存サイクル合体機関の一部と液体燃料ロケットエンジンを合体して超臨界圧力過熱蒸気（５０）を搭載した液体燃料水噴射ロケット合体機関。
【請求項２７】
Ａ型エネルギ保存サイクル合体機関の一部と液体燃料ロケットエンジンを合体して超臨界圧力過熱蒸気（５０）と水（５２ａ）を搭載した液体燃料水噴射ロケット合体機関。
【請求項２８】
Ａ型エネルギ保存サイクル合体機関の一部と液体燃料ロケットエンジンを合体して超臨界圧力過熱蒸気（５０）と高温水（５２ｂ）を搭載した液体燃料水噴射ロケット合体機関。
【請求項２９】
Ａ型エネルギ保存サイクル合体機関の一部と液体燃料ロケットエンジンを合体して超臨界圧力過熱蒸気（５０）と過熱蒸気（５０）を搭載した液体燃料水噴射ロケット合体機関。
【請求項３０】
Ａ型エネルギ保存サイクル合体機関の一部と液体燃料ロケットエンジンを合体して超臨界圧力過熱蒸気（５０）と過熱蒸気（５０）と水（５２ａ）を搭載した液体燃料水噴射ロケット合体機関。
【請求項３１】
Ａ型エネルギ保存サイクル合体機関の一部と液体燃料ロケットエンジンを合体して超臨界圧力過熱蒸気（５０）と過熱蒸気（５０）と高温水（５２ｂ）を搭載した液体燃料水噴射ロケット合体機関。
【請求項３２】
Ａ型エネルギ保存サイクル合体機関の一部と液体燃料ロケットエンジンを合体して超臨界圧力過熱蒸気（５０）と高温水（５２ｂ）と水（５２ａ）を搭載した液体燃料水噴射ロケット合体機関。
【請求項３３】
Ａ型エネルギ保存サイクル合体機関の一部と液体燃料ロケットエンジンを合体して超臨界圧力過熱蒸気（５０）と過熱蒸気（５０）と高温水（５２ｂ）と水（５２ａ）を搭載した液体燃料水噴射ロケット合体機関。
【請求項３４】
Ａ型エネルギ保存サイクル合体機関の一部とペットボトルロケットを合体して導水管（３）をカーボンナノチューブ等で軽量化高圧化した水噴射ロケット合体機関としたことを特徴としたロケット合体機関。
【請求項３５】
Ａ型エネルギ保存サイクル合体機関の一部とペットボトルロケットを合体して導水管（３）をカーボンナノチューブ等で軽量化高圧化して高温水（５２ｂ）を搭載した水噴射ロケット合体機関。
【請求項３６】
Ａ型エネルギ保存サイクル合体機関の一部とペットボトルロケットを合体して導水管（３）をカーボンナノチューブ等で軽量化高圧化して過熱蒸気（５０）を搭載した水噴射ロケット合体機関。
【請求項３７】
Ａ型エネルギ保存サイクル合体機関の一部とペットボトルロケットを合体して導水管（３）をカーボンナノチューブ等で軽量化高圧化して超臨界圧力過熱蒸気（５０）を搭載した水噴射ロケット合体機関。
【請求項３８】
Ａ型エネルギ保存サイクル合体機関の一部とペットボトルロケットを合体して導水管（３）をカーボンナノチューブ等で軽量化高圧化して超臨界圧力過熱蒸気（５０）と水（５２ａ）を搭載した水噴射ロケット合体機関。
【請求項３９】
Ａ型エネルギ保存サイクル合体機関の一部とペットボトルロケットを合体して導水管（３）をカーボンナノチューブ等で軽量化高圧化して超臨界圧力過熱蒸気（５０）と高温水（５２ｂ）を搭載した水噴射ロケット合体機関。
【請求項４０】
Ａ型エネルギ保存サイクル合体機関の一部とペットボトルロケットを合体して導水管（３）をカーボンナノチューブ等で軽量化高圧化して超臨界圧力過熱蒸気（５０）と過熱蒸気（５０）を搭載した水噴射ロケット合体機関。
【請求項４１】
Ａ型エネルギ保存サイクル合体機関の一部とペットボトルロケットを合体して導水管（３）をカーボンナノチューブ等で軽量化高圧化して超臨界圧力過熱蒸気（５０）と水（５２ａ）と高温水（５２ｂ）を搭載した水噴射ロケット合体機関。
【請求項４２】
Ａ型エネルギ保存サイクル合体機関の一部とペットボトルロケットを合体して導水管（３）をカーボンナノチューブ等で軽量化高圧化して超臨界圧力過熱蒸気（５０）と高温水（５２ｂ）と過熱蒸気（５０）を搭載した水噴射ロケット合体機関。
【請求項４３】
Ａ型エネルギ保存サイクル合体機関の一部とペットボトルロケットを合体して導水管（３）をカーボンナノチューブ等で軽量化高圧化して超臨界圧力過熱蒸気（５０）と過熱蒸気（５０）と水（５２ａ）を搭載した水噴射ロケット合体機関。
【請求項４４】
Ａ型エネルギ保存サイクル合体機関の一部とペットボトルロケットを合体して導水管（３）をカーボンナノチューブ等で軽量化高圧化して超臨界圧力過熱蒸気（５０）と水（５２ａ）と高温水（５２ｂ）と過熱蒸気（５０）を搭載した水噴射ロケット合体機関。
【請求項４５】
Ａ型エネルギ保存サイクル合体機関の一部と固体燃料ロケットモーターを合体し導水管（３）をカーボンナノチューブ等で軽量化高圧化した固体燃料水噴射ロケット合体機関。
【請求項４６】
Ａ型エネルギ保存サイクル合体機関の一部と固体燃料ロケットモーターを合体して導水管（３）をカーボンナノチューブ等で軽量化高圧化して高温水（５２ｂ）を搭載した固体燃料水噴射ロケット合体機関。
【請求項４７】
Ａ型エネルギ保存サイクル合体機関の一部と固体燃料ロケットモーターを合体して導水管（３）をカーボンナノチューブ等で軽量化高圧化して過熱蒸気（５０）を搭載した固体燃料水噴射ロケット合体機関。
【請求項４８】
Ａ型エネルギ保存サイクル合体機関の一部と固体燃料ロケットモーターを合体して導水管（３）をカーボンナノチューブ等で軽量化高圧化して超臨界圧力過熱蒸気（５０）を搭載した固体燃料水噴射ロケット合体機関。
【請求項４９】
Ａ型エネルギ保存サイクル合体機関の一部と固体燃料ロケットモーターを合体して導水管（３）をカーボンナノチューブ等で軽量化高圧化して超臨界圧力過熱蒸気（５０）と水（５２ａ）を搭載した固体燃料水噴射ロケット合体機関。
【請求項５０】
Ａ型エネルギ保存サイクル合体機関の一部と固体燃料ロケットモーターを合体して導水管（３）をカーボンナノチューブ等で軽量化高圧化して超臨界圧力過熱蒸気（５０）と高温水（５２ｂ）を搭載した固体燃料水噴射ロケット合体機関。
【請求項５１】
Ａ型エネルギ保存サイクル合体機関の一部と固体燃料ロケットモーターを合体して導水管（３）をカーボンナノチューブ等で軽量化高圧化して超臨界圧力過熱蒸気（５０）と過熱蒸気（５０）を搭載した固体燃料水噴射ロケット合体機関。
【請求項５２】
Ａ型エネルギ保存サイクル合体機関の一部と固体燃料ロケットモーターを合体して導水管（３）をカーボンナノチューブ等で軽量化高圧化して超臨界圧力過熱蒸気（５０）と過熱蒸気（５０）と水（５２ａ）を搭載した固体燃料水噴射ロケット合体機関。
【請求項５３】
Ａ型エネルギ保存サイクル合体機関の一部と固体燃料ロケットモーターを合体して導水管（３）をカーボンナノチューブ等で軽量化高圧化して超臨界圧力過熱蒸気（５０）と過熱蒸気（５０）と高温水（５２ｂ）を搭載した固体燃料水噴射ロケット合体機関
【請求項５４】
Ａ型エネルギ保存サイクル合体機関の一部と固体燃料ロケットモーターを合体して導水管（３）をカーボンナノチューブ等で軽量化高圧化して超臨界圧力過熱蒸気（５０）と高温水（５２ｂ）と水（５２ａ）を搭載した固体燃料水噴射ロケット合体機関。
【請求項５５】
Ａ型エネルギ保存サイクル合体機関の一部と固体燃料ロケットモーターを合体して導水管（３）をカーボンナノチューブ等で軽量化高圧化して超臨界圧力過熱蒸気（５０）と過熱蒸気（５０）と高温水（５２ｂ）と水（５２ａ）を搭載した固体燃料水噴射ロケット合体機関。
【請求項５６】
Ａ型エネルギ保存サイクル合体機関の一部と液体燃料ロケットエンジンを合体し導水管（３）をカーボンナノチューブ等で軽量化高圧化して液体燃料水噴射ロケット合体機関。
【請求項５７】
Ａ型エネルギ保存サイクル合体機関の一部と液体燃料ロケットエンジンを合体して導水管（３）をカーボンナノチューブ等で軽量化高圧化して高温水（５２ｂ）を搭載した液体燃料水噴射ロケット合体機関。
【請求項５８】
Ａ型エネルギ保存サイクル合体機関の一部と液体燃料ロケットエンジンを合体して導水管（３）をカーボンナノチューブ等で軽量化高圧化して過熱蒸気（５０）を搭載した液体燃料水噴射ロケット合体機関。
【請求項５９】
Ａ型エネルギ保存サイクル合体機関の一部と液体燃料ロケットエンジンを合体して導水管（３）をカーボンナノチューブ等で軽量化高圧化して超臨界圧力過熱蒸気（５０）を搭載した液体燃料水噴射ロケット合体機関。
【請求項６０】
Ａ型エネルギ保存サイクル合体機関の一部と液体燃料ロケットエンジンを合体して導水管（３）をカーボンナノチューブ等で軽量化高圧化して超臨界圧力過熱蒸気（５０）と水（５２ａ）を搭載した液体燃料水噴射ロケット合体機関。
【請求項６１】
Ａ型エネルギ保存サイクル合体機関の一部と液体燃料ロケットエンジンを合体して導水管（３）をカーボンナノチューブ等で軽量化高圧化して超臨界圧力過熱蒸気（５０）と高温水（５２ｂ）を搭載した液体燃料水噴射ロケット合体機関。
【請求項６２】
Ａ型エネルギ保存サイクル合体機関の一部と液体燃料ロケットエンジンを合体して導水管（３）をカーボンナノチューブ等で軽量化高圧化して超臨界圧力過熱蒸気（５０）と過熱蒸気（５０）を搭載した液体燃料水噴射ロケット合体機関。
【請求項６３】
Ａ型エネルギ保存サイクル合体機関の一部と液体燃料ロケットエンジンを合体して導水管（３）をカーボンナノチューブ等で軽量化高圧化して超臨界圧力過熱蒸気（５０）と過熱蒸気（５０）と水（５２ａ）を搭載した液体燃料水噴射ロケット合体機関。
【請求項６４】
Ａ型エネルギ保存サイクル合体機関の一部と液体燃料ロケットエンジンを合体して導水管（３）をカーボンナノチューブ等で軽量化高圧化して超臨界圧力過熱蒸気（５０）と過熱蒸気（５０）と高温水（５２ｂ）を搭載した液体燃料水噴射ロケット合体機関。
【請求項６５】
Ａ型エネルギ保存サイクル合体機関の一部と液体燃料ロケットエンジンを合体して導水管（３）をカーボンナノチューブ等で軽量化高圧化して超臨界圧力過熱蒸気（５０）と高温水（５２ｂ）と水（５２ａ）を搭載した液体燃料水噴射ロケット合体機関。
【請求項６６】
Ａ型エネルギ保存サイクル合体機関の一部と液体燃料ロケットエンジンを合体して導水管（３）をカーボンナノチューブ等で軽量化高圧化して超臨界圧力過熱蒸気（５０）と過熱蒸気（５０）と高温水（５２ｂ）と水（５２ａ）を搭載した液体燃料水噴射ロケット合体機関。
【請求項６７】
Ａ型エネルギ保存サイクル合体機関の一部とペットボトルロケットを合体して導水管（３）及び縮径主燃焼室熱交換器（２）をカーボンナノチューブ等で軽量化高圧化した水噴射ロケット合体機関としたことを特徴としたロケット合体機関。
【請求項６８】
Ａ型エネルギ保存サイクル合体機関の一部とペットボトルロケットを合体して導水管（３）及び縮径主燃焼室熱交換器（２）をカーボンナノチューブ等で軽量化高圧化して高温水（５２ｂ）を搭載した水噴射ロケット合体機関。
【請求項６９】
Ａ型エネルギ保存サイクル合体機関の一部とペットボトルロケットを合体して導水管（３）及び縮径主燃焼室熱交換器（２）をカーボンナノチューブ等で軽量化高圧化して過熱蒸気（５０）を搭載した水噴射ロケット合体機関。
【請求項７０】
Ａ型エネルギ保存サイクル合体機関の一部とペットボトルロケットを合体して導水管（３）及び縮径主燃焼室熱交換器（２）をカーボンナノチューブ等で軽量化高圧化して超臨界圧力過熱蒸気（５０）を搭載した水噴射ロケット合体機関。
【請求項７１】
Ａ型エネルギ保存サイクル合体機関の一部とペットボトルロケットを合体して導水管（３）をカーボンナノチューブ等で軽量化高圧化して超臨界圧力過熱蒸気（５０）と水（５２ａ）を搭載した水噴射ロケット合体機関。
【請求項７２】
Ａ型エネルギ保存サイクル合体機関の一部とペットボトルロケットを合体して導水管（３）及び縮径主燃焼室熱交換器（２）をカーボンナノチューブ等で軽量化高圧化して超臨界圧力過熱蒸気（５０）と高温水（５２ｂ）を搭載した水噴射ロケット合体機関。
【請求項７３】
Ａ型エネルギ保存サイクル合体機関の一部とペットボトルロケットを合体して導水管（３）及び縮径主燃焼室熱交換器（２）をカーボンナノチューブ等で軽量化高圧化して超臨界圧力過熱蒸気（５０）と過熱蒸気（５０）を搭載した水噴射ロケット合体機関。
【請求項７４】
Ａ型エネルギ保存サイクル合体機関の一部とペットボトルロケットを合体して導水管（３）及び縮径主燃焼室熱交換器（２）をカーボンナノチューブ等で軽量化高圧化して超臨界圧力過熱蒸気（５０）と水（５２ａ）と高温水（５２ｂ）を搭載した水噴射ロケット合体機関。
【請求項７５】
Ａ型エネルギ保存サイクル合体機関の一部とペットボトルロケットを合体して導水管（３）及び縮径主燃焼室熱交換器（２）をカーボンナノチューブ等で軽量化高圧化して超臨界圧力過熱蒸気（５０）と高温水（５２ｂ）と過熱蒸気（５０）を搭載した水噴射ロケット合体機関。
【請求項７６】
Ａ型エネルギ保存サイクル合体機関の一部とペットボトルロケットを合体して導水管（３）及び縮径主燃焼室熱交換器（２）をカーボンナノチューブ等で軽量化高圧化して超臨界圧力過熱蒸気（５０）と過熱蒸気（５０）と水（５２ａ）を搭載した水噴射ロケット合体機関。
【請求項７７】
Ａ型エネルギ保存サイクル合体機関の一部とペットボトルロケットを合体して導水管（３）及び縮径主燃焼室熱交換器（２）をカーボンナノチューブ等で軽量化高圧化して超臨界圧力過熱蒸気（５０）と水（５２ａ）と高温水（５２ｂ）と過熱蒸気（５０）を搭載した水噴射ロケット合体機関。
【請求項７８】
Ａ型エネルギ保存サイクル合体機関の一部と固体燃料ロケットモーターを合体し導水管（３）及び縮径主燃焼室熱交換器（２）をカーボンナノチューブ等で軽量化高圧化した固体燃料水噴射ロケット合体機関。
【請求項７９】
Ａ型エネルギ保存サイクル合体機関の一部と固体燃料ロケットモーターを合体して導水管（３）及び縮径主燃焼室熱交換器（２）をカーボンナノチューブ等で軽量化高圧化して高温水（５２ｂ）を搭載した固体燃料水噴射ロケット合体機関。
【請求項８０】
Ａ型エネルギ保存サイクル合体機関の一部と固体燃料ロケットモーターを合体して導水管（３）及び縮径主燃焼室熱交換器（２）をカーボンナノチューブ等で軽量化高圧化して過熱蒸気（５０）を搭載した固体燃料水噴射ロケット合体機関。
【請求項８１】
Ａ型エネルギ保存サイクル合体機関の一部と固体燃料ロケットモーターを合体して導水管（３）及び縮径主燃焼室熱交換器（２）をカーボンナノチューブ等で軽量化高圧化して超臨界圧力過熱蒸気（５０）を搭載した固体燃料水噴射ロケット合体機関。
【請求項８２】
Ａ型エネルギ保存サイクル合体機関の一部と固体燃料ロケットモーターを合体して導水管（３）及び縮径主燃焼室熱交換器（２）をカーボンナノチューブ等で軽量化高圧化して超臨界圧力過熱蒸気（５０）と水（５２ａ）を搭載した固体燃料水噴射ロケット合体機関。
【請求項８３】
Ａ型エネルギ保存サイクル合体機関の一部と固体燃料ロケットモーターを合体して導水管（３）及び縮径主燃焼室熱交換器（２）をカーボンナノチューブ等で軽量化高圧化して超臨界圧力過熱蒸気（５０）と高温水（５２ｂ）を搭載した固体燃料水噴射ロケット合体機関。
【請求項８４】
Ａ型エネルギ保存サイクル合体機関の一部と固体燃料ロケットモーターを合体して導水管（３）及び縮径主燃焼室熱交換器（２）をカーボンナノチューブ等で軽量化高圧化して超臨界圧力過熱蒸気（５０）と過熱蒸気（５０）を搭載した固体燃料水噴射ロケット合体機関。
【請求項８５】
Ａ型エネルギ保存サイクル合体機関の一部と固体燃料ロケットモーターを合体して導水管（３）及び縮径主燃焼室熱交換器（２）をカーボンナノチューブ等で軽量化高圧化して超臨界圧力過熱蒸気（５０）と過熱蒸気（５０）と水（５２ａ）を搭載した固体燃料水噴射ロケット合体機関。
【請求項８６】
Ａ型エネルギ保存サイクル合体機関の一部と固体燃料ロケットモーターを合体して導水管（３）及び縮径主燃焼室熱交換器（２）をカーボンナノチューブ等で軽量化高圧化して超臨界圧力過熱蒸気（５０）と過熱蒸気（５０）と高温水（５２ｂ）を搭載した固体燃料水噴射ロケット合体機関
【請求項８７】
Ａ型エネルギ保存サイクル合体機関の一部と固体燃料ロケットモーターを合体して導水管（３）及び縮径主燃焼室熱交換器（２）をカーボンナノチューブ等で軽量化高圧化して超臨界圧力過熱蒸気（５０）と高温水（５２ｂ）と水（５２ａ）を搭載した固体燃料水噴射ロケット合体機関。
【請求項８８】
Ａ型エネルギ保存サイクル合体機関の一部と固体燃料ロケットモーターを合体して導水管（３）及び縮径主燃焼室熱交換器（２）をカーボンナノチューブ等で軽量化高圧化して超臨界圧力過熱蒸気（５０）と過熱蒸気（５０）と高温水（５２ｂ）と水（５２ａ）を搭載した固体燃料水噴射ロケット合体機関。
【請求項８９】
Ａ型エネルギ保存サイクル合体機関の一部と液体燃料ロケットエンジンを合体し導水管（３）及び縮径主燃焼室熱交換器（２）をカーボンナノチューブ等で軽量化高圧化して液体燃料水噴射ロケット合体機関。
【請求項９０】
Ａ型エネルギ保存サイクル合体機関の一部と液体燃料ロケットエンジンを合体して導水管（３）及び縮径主燃焼室熱交換器（２）をカーボンナノチューブ等で軽量化高圧化して高温水（５２ｂ）を搭載した液体燃料水噴射ロケット合体機関。
【請求項９１】
Ａ型エネルギ保存サイクル合体機関の一部と液体燃料ロケットエンジンを合体して導水管（３）及び縮径主燃焼室熱交換器（２）をカーボンナノチューブ等で軽量化高圧化して過熱蒸気（５０）を搭載した液体燃料水噴射ロケット合体機関。
【請求項９２】
Ａ型エネルギ保存サイクル合体機関の一部と液体燃料ロケットエンジンを合体して導水管（３）及び縮径主燃焼室熱交換器（２）をカーボンナノチューブ等で軽量化高圧化して超臨界圧力過熱蒸気（５０）を搭載した液体燃料水噴射ロケット合体機関。
【請求項９３】
Ａ型エネルギ保存サイクル合体機関の一部と液体燃料ロケットエンジンを合体して導水管（３）及び縮径主燃焼室熱交換器（２）をカーボンナノチューブ等で軽量化高圧化して超臨界圧力過熱蒸気（５０）と水（５２ａ）を搭載した液体燃料水噴射ロケット合体機関。
【請求項９４】
Ａ型エネルギ保存サイクル合体機関の一部と液体燃料ロケットエンジンを合体して導水管（３）及び縮径主燃焼室熱交換器（２）をカーボンナノチューブ等で軽量化高圧化して超臨界圧力過熱蒸気（５０）と高温水（５２ｂ）を搭載した液体燃料水噴射ロケット合体機関。
【請求項９５】
Ａ型エネルギ保存サイクル合体機関の一部と液体燃料ロケットエンジンを合体して導水管（３）及び縮径主燃焼室熱交換器（２）をカーボンナノチューブ等で軽量化高圧化して超臨界圧力過熱蒸気（５０）と過熱蒸気（５０）を搭載した液体燃料水噴射ロケット合体機関。
【請求項９６】
Ａ型エネルギ保存サイクル合体機関の一部と液体燃料ロケットエンジンを合体して導水管（３）及び縮径主燃焼室熱交換器（２）をカーボンナノチューブ等で軽量化高圧化して超臨界圧力過熱蒸気（５０）と過熱蒸気（５０）と水（５２ａ）を搭載した液体燃料水噴射ロケット合体機関。
【請求項９７】
Ａ型エネルギ保存サイクル合体機関の一部と液体燃料ロケットエンジンを合体して導水管（３）及び縮径主燃焼室熱交換器（２）をカーボンナノチューブ等で軽量化高圧化して超臨界圧力過熱蒸気（５０）と過熱蒸気（５０）と高温水（５２ｂ）を搭載した液体燃料水噴射ロケット合体機関。
【請求項９８】
Ａ型エネルギ保存サイクル合体機関の一部と液体燃料ロケットエンジンを合体して導水管（３）及び縮径主燃焼室熱交換器（２）をカーボンナノチューブ等で軽量化高圧化して超臨界圧力過熱蒸気（５０）と高温水（５２ｂ）と水（５２ａ）を搭載した液体燃料水噴射ロケット合体機関。
【請求項９９】
Ａ型エネルギ保存サイクル合体機関の一部と液体燃料ロケットエンジンを合体して導水管（３）及び縮径主燃焼室熱交換器（２）をカーボンナノチューブ等で軽量化高圧化して超臨界圧力過熱蒸気（５０）と過熱蒸気（５０）と高温水（５２ｂ）と水（５２ａ）を搭載した液体燃料水噴射ロケット合体機関。
【請求項１００】
Ａ型エネルギ保存サイクル合体機関の一部とペットボトルロケットを合体して導水管（３）及び縮径主燃焼室熱交換器（２）及びロケット外箱（７７Ｅ）をカーボンナノチューブ等で軽量化高圧化した水噴射ロケット合体機関としたことを特徴としたロケット合体機関。
【請求項１０１】
Ａ型エネルギ保存サイクル合体機関の一部とペットボトルロケットを合体して導水管（３）及び縮径主燃焼室熱交換器（２）及びロケット外箱（７７Ｅ）をカーボンナノチューブ等で軽量化高圧化して高温水（５２ｂ）を搭載した水噴射ロケット合体機関。
【請求項１０２】
Ａ型エネルギ保存サイクル合体機関の一部とペットボトルロケットを合体して導水管（３）及び縮径主燃焼室熱交換器（２）及びロケット外箱（７７Ｅ）をカーボンナノチューブ等で軽量化高圧化して過熱蒸気（５０）を搭載した水噴射ロケット合体機関。
【請求項１０３】
Ａ型エネルギ保存サイクル合体機関の一部とペットボトルロケットを合体して導水管（３）及び縮径主燃焼室熱交換器（２）及びロケット外箱（７７Ｅ）をカーボンナノチューブ等で軽量化高圧化して超臨界圧力過熱蒸気（５０）を搭載した水噴射ロケット合体機関。
【請求項１０４】
Ａ型エネルギ保存サイクル合体機関の一部とペットボトルロケットを合体して導水管（３）及び縮径主燃焼室熱交換器（２）及びロケット外箱（７７Ｅ）をカーボンナノチューブ等で軽量化高圧化して超臨界圧力過熱蒸気（５０）と水（５２ａ）を搭載した水噴射ロケット合体機関。
【請求項１０５】
Ａ型エネルギ保存サイクル合体機関の一部とペットボトルロケットを合体して導水管（３）及び縮径主燃焼室熱交換器（２）及びロケット外箱（７７Ｅ）をカーボンナノチューブ等で軽量化高圧化して超臨界圧力過熱蒸気（５０）と高温水（５２ｂ）を搭載した水噴射ロケット合体機関。
【請求項１０６】
Ａ型エネルギ保存サイクル合体機関の一部とペットボトルロケットを合体して導水管（３）及び縮径主燃焼室熱交換器（２）及びロケット外箱（７７Ｅ）をカーボンナノチューブ等で軽量化高圧化して超臨界圧力過熱蒸気（５０）と過熱蒸気（５０）を搭載した水噴射ロケット合体機関。
【請求項１０７】
Ａ型エネルギ保存サイクル合体機関の一部とペットボトルロケットを合体して導水管（３）及び縮径主燃焼室熱交換器（２）及びロケット外箱（７７Ｅ）をカーボンナノチューブ等で軽量化高圧化して超臨界圧力過熱蒸気（５０）と水（５２ａ）と高温水（５２ｂ）を搭載した水噴射ロケット合体機関。
【請求項１０８】
Ａ型エネルギ保存サイクル合体機関の一部とペットボトルロケットを合体して導水管（３）及び縮径主燃焼室熱交換器（２）及びロケット外箱（７７Ｅ）をカーボンナノチューブ等で軽量化高圧化して超臨界圧力過熱蒸気（５０）と高温水（５２ｂ）と過熱蒸気（５０）を搭載した水噴射ロケット合体機関。
【請求項１０９】
Ａ型エネルギ保存サイクル合体機関の一部とペットボトルロケットを合体して導水管（３）及び縮径主燃焼室熱交換器（２）及びロケット外箱（７７Ｅ）をカーボンナノチューブ等で軽量化高圧化して超臨界圧力過熱蒸気（５０）と過熱蒸気（５０）と水（５２ａ）を搭載した水噴射ロケット合体機関。
【請求項１１０】
Ａ型エネルギ保存サイクル合体機関の一部とペットボトルロケットを合体して導水管（３）及び縮径主燃焼室熱交換器（２）及びロケット外箱（７７Ｅ）をカーボンナノチューブ等で軽量化高圧化して超臨界圧力過熱蒸気（５０）と水（５２ａ）と高温水（５２ｂ）と過熱蒸気（５０）を搭載した水噴射ロケット合体機関。
【請求項１１１】
Ａ型エネルギ保存サイクル合体機関の一部と固体燃料ロケットモーターを合体し導水管（３）及び縮径主燃焼室熱交換器（２）及びロケット外箱（７７Ｅ）をカーボンナノチューブ等で軽量化高圧化した固体燃料水噴射ロケット合体機関。
【請求項１１２】
Ａ型エネルギ保存サイクル合体機関の一部と固体燃料ロケットモーターを合体して導水管（３）及び縮径主燃焼室熱交換器（２）及びロケット外箱（７７Ｅ）をカーボンナノチューブ等で軽量化高圧化して高温水（５２ｂ）を搭載した固体燃料水噴射ロケット合体機関。
【請求項１１３】
Ａ型エネルギ保存サイクル合体機関の一部と固体燃料ロケットモーターを合体して導水管（３）及び縮径主燃焼室熱交換器（２）及びロケット外箱（７７Ｅ）をカーボンナノチューブ等で軽量化高圧化して過熱蒸気（５０）を搭載した固体燃料水噴射ロケット合体機関。
【請求項１１４】
Ａ型エネルギ保存サイクル合体機関の一部と固体燃料ロケットモーターを合体して導水管（３）及び縮径主燃焼室熱交換器（２）及びロケット外箱（７７Ｅ）をカーボンナノチューブ等で軽量化高圧化して超臨界圧力過熱蒸気（５０）を搭載した固体燃料水噴射ロケット合体機関。
【請求項１１５】
Ａ型エネルギ保存サイクル合体機関の一部と固体燃料ロケットモーターを合体して導水管（３）及び縮径主燃焼室熱交換器（２）及びロケット外箱（７７Ｅ）をカーボンナノチューブ等で軽量化高圧化して超臨界圧力過熱蒸気（５０）と水（５２ａ）を搭載した固体燃料水噴射ロケット合体機関。
【請求項１１６】
Ａ型エネルギ保存サイクル合体機関の一部と固体燃料ロケットモーターを合体して導水管（３）及び縮径主燃焼室熱交換器（２）及びロケット外箱（７７Ｅ）をカーボンナノチューブ等で軽量化高圧化して超臨界圧力過熱蒸気（５０）と高温水（５２ｂ）を搭載した固体燃料水噴射ロケット合体機関。
【請求項１１７】
Ａ型エネルギ保存サイクル合体機関の一部と固体燃料ロケットモーターを合体して導水管（３）及び縮径主燃焼室熱交換器（２）及びロケット外箱（７７Ｅ）をカーボンナノチューブ等で軽量化高圧化して超臨界圧力過熱蒸気（５０）と過熱蒸気（５０）を搭載した固体燃料水噴射ロケット合体機関。
【請求項１１８】
Ａ型エネルギ保存サイクル合体機関の一部と固体燃料ロケットモーターを合体して導水管（３）及び縮径主燃焼室熱交換器（２）及びロケット外箱（７７Ｅ）をカーボンナノチューブ等で軽量化高圧化して超臨界圧力過熱蒸気（５０）と過熱蒸気（５０）と水（５２ａ）を搭載した固体燃料水噴射ロケット合体機関。
【請求項１１９】
Ａ型エネルギ保存サイクル合体機関の一部と固体燃料ロケットモーターを合体して導水管（３）及び縮径主燃焼室熱交換器（２）及びロケット外箱（７７Ｅ）をカーボンナノチューブ等で軽量化高圧化して超臨界圧力過熱蒸気（５０）と過熱蒸気（５０）と高温水（５２ｂ）を搭載した固体燃料水噴射ロケット合体機関
【請求項１２０】
Ａ型エネルギ保存サイクル合体機関の一部と固体燃料ロケットモーターを合体して導水管（３）及び縮径主燃焼室熱交換器（２）及びロケット外箱（７７Ｅ）をカーボンナノチューブ等で軽量化高圧化して超臨界圧力過熱蒸気（５０）と高温水（５２ｂ）と水（５２ａ）を搭載した固体燃料水噴射ロケット合体機関。
【請求項１２１】
Ａ型エネルギ保存サイクル合体機関の一部と固体燃料ロケットモーターを合体して導水管（３）及び縮径主燃焼室熱交換器（２）及びロケット外箱（７７Ｅ）をカーボンナノチューブ等で軽量化高圧化して超臨界圧力過熱蒸気（５０）と過熱蒸気（５０）と高温水（５２ｂ）と水（５２ａ）を搭載した固体燃料水噴射ロケット合体機関。
【請求項１２２】
Ａ型エネルギ保存サイクル合体機関の一部と液体燃料ロケットエンジンを合体し導水管（３）及び縮径主燃焼室熱交換器（２）及びロケット外箱（７７Ｅ）をカーボンナノチューブ等で軽量化高圧化して液体燃料水噴射ロケット合体機関。
【請求項１２３】
Ａ型エネルギ保存サイクル合体機関の一部と液体燃料ロケットエンジンを合体して導水管（３）及び縮径主燃焼室熱交換器（２）及びロケット外箱（７７Ｅ）をカーボンナノチューブ等で軽量化高圧化して高温水（５２ｂ）を搭載した液体燃料水噴射ロケット合体機関。
【請求項１２４】
Ａ型エネルギ保存サイクル合体機関の一部と液体燃料ロケットエンジンを合体して導水管（３）及び縮径主燃焼室熱交換器（２）及びロケット外箱（７７Ｅ）をカーボンナノチューブ等で軽量化高圧化して過熱蒸気（５０）を搭載した液体燃料水噴射ロケット合体機関。
【請求項１２５】
Ａ型エネルギ保存サイクル合体機関の一部と液体燃料ロケットエンジンを合体して導水管（３）及び縮径主燃焼室熱交換器（２）及びロケット外箱（７７Ｅ）をカーボンナノチューブ等で軽量化高圧化して超臨界圧力過熱蒸気（５０）を搭載した液体燃料水噴射ロケット合体機関。
【請求項１２６】
Ａ型エネルギ保存サイクル合体機関の一部と液体燃料ロケットエンジンを合体して導水管（３）及び縮径主燃焼室熱交換器（２）及びロケット外箱（７７Ｅ）をカーボンナノチューブ等で軽量化高圧化して超臨界圧力過熱蒸気（５０）と水（５２ａ）を搭載した液体燃料水噴射ロケット合体機関。
【請求項１２７】
Ａ型エネルギ保存サイクル合体機関の一部と液体燃料ロケットエンジンを合体して導水管（３）及び縮径主燃焼室熱交換器（２）及びロケット外箱（７７Ｅ）をカーボンナノチューブ等で軽量化高圧化して超臨界圧力過熱蒸気（５０）と高温水（５２ｂ）を搭載した液体燃料水噴射ロケット合体機関。
【請求項１２８】
Ａ型エネルギ保存サイクル合体機関の一部と液体燃料ロケットエンジンを合体して導水管（３）及び縮径主燃焼室熱交換器（２）及びロケット外箱（７７Ｅ）をカーボンナノチューブ等で軽量化高圧化して超臨界圧力過熱蒸気（５０）と過熱蒸気（５０）を搭載した液体燃料水噴射ロケット合体機関。
【請求項１２９】
Ａ型エネルギ保存サイクル合体機関の一部と液体燃料ロケットエンジンを合体して導水管（３）及び縮径主燃焼室熱交換器（２）及びロケット外箱（７７Ｅ）をカーボンナノチューブ等で軽量化高圧化して超臨界圧力過熱蒸気（５０）と過熱蒸気（５０）と水（５２ａ）を搭載した液体燃料水噴射ロケット合体機関。
【請求項１３０】
Ａ型エネルギ保存サイクル合体機関の一部と液体燃料ロケットエンジンを合体して導水管（３）及び縮径主燃焼室熱交換器（２）及びロケット外箱（７７Ｅ）をカーボンナノチューブ等で軽量化高圧化して超臨界圧力過熱蒸気（５０）と過熱蒸気（５０）と高温水（５２ｂ）を搭載した液体燃料水噴射ロケット合体機関。
【請求項１３１】
Ａ型エネルギ保存サイクル合体機関の一部と液体燃料ロケットエンジンを合体して導水管（３）及び縮径主燃焼室熱交換器（２）及びロケット外箱（７７Ｅ）をカーボンナノチューブ等で軽量化高圧化して超臨界圧力過熱蒸気（５０）と高温水（５２ｂ）と水（５２ａ）を搭載した液体燃料水噴射ロケット合体機関。
【請求項１３２】
Ａ型エネルギ保存サイクル合体機関の一部と液体燃料ロケットエンジンを合体して導水管（３）及び縮径主燃焼室熱交換器（２）及びロケット外箱（７７Ｅ）をカーボンナノチューブ等で軽量化高圧化して超臨界圧力過熱蒸気（５０）と過熱蒸気（５０）と高温水（５２ｂ）と水（５２ａ）を搭載した液体燃料水噴射ロケット合体機関。
【請求項１３３】
Ａ型エネルギ保存サイクル合体機関の一部とペットボトルロケットを合体して導水管（３）及び縮径主燃焼室熱交換器（２）及びロケット外箱（７７Ｅ）をカーボンナノチューブ等で軽量化高圧化した水噴射ロケット合体機関。
【請求項１３４】
Ａ型エネルギ保存サイクル合体機関の一部とペットボトルロケットを合体して導水管（３）及び縮径主燃焼室熱交換器（２）及びロケット外箱（７７Ｅ）をカーボンナノチューブ等で軽量化高圧化して容器耐圧に合せて高温水（５２ｂ）を搭載した水噴射ロケット合体機関。
【請求項１３５】
Ａ型エネルギ保存サイクル合体機関の一部とペットボトルロケットを合体して導水管（３）及び縮径主燃焼室熱交換器（２）及びロケット外箱（７７Ｅ）をカーボンナノチューブ等で軽量化高圧化して容器耐圧に合せて過熱蒸気（５０）を搭載した水噴射ロケット合体機関。
【請求項１３６】
Ａ型エネルギ保存サイクル合体機関の一部とペットボトルロケットを合体して導水管（３）及び縮径主燃焼室熱交換器（２）及びロケット外箱（７７Ｅ）をカーボンナノチューブ等で軽量化高圧化して容器耐圧に合せて超臨界圧力過熱蒸気（５０）を搭載した水噴射ロケット合体機関。
【請求項１３７】
Ａ型エネルギ保存サイクル合体機関の一部とペットボトルロケットを合体して導水管（３）及び縮径主燃焼室熱交換器（２）及びロケット外箱（７７Ｅ）をカーボンナノチューブ等で軽量化高圧化して容器耐圧に合せて超臨界圧力過熱蒸気（５０）と水（５２ａ）を搭載した水噴射ロケット合体機関。
【請求項１３８】
Ａ型エネルギ保存サイクル合体機関の一部とペットボトルロケットを合体して導水管（３）及び縮径主燃焼室熱交換器（２）及びロケット外箱（７７Ｅ）をカーボンナノチューブ等で軽量化高圧化して容器耐圧に合せて超臨界圧力過熱蒸気（５０）と高温水（５２ｂ）を搭載した水噴射ロケット合体機関。
【請求項１３９】
Ａ型エネルギ保存サイクル合体機関の一部とペットボトルロケットを合体して導水管（３）及び縮径主燃焼室熱交換器（２）及びロケット外箱（７７Ｅ）をカーボンナノチューブ等で軽量化高圧化して容器耐圧に合せて超臨界圧力過熱蒸気（５０）と過熱蒸気（５０）を搭載した水噴射ロケット合体機関。
【請求項１４０】
Ａ型エネルギ保存サイクル合体機関の一部とペットボトルロケットを合体して導水管（３）及び縮径主燃焼室熱交換器（２）及びロケット外箱（７７Ｅ）をカーボンナノチューブ等で軽量化高圧化して容器耐圧に合せて超臨界圧力過熱蒸気（５０）と水（５２ａ）と高温水（５２ｂ）を搭載した水噴射ロケット合体機関。
【請求項１４１】
Ａ型エネルギ保存サイクル合体機関の一部とペットボトルロケットを合体して導水管（３）及び縮径主燃焼室熱交換器（２）及びロケット外箱（７７Ｅ）をカーボンナノチューブ等で軽量化高圧化して容器耐圧に合せて超臨界圧力過熱蒸気（５０）と高温水（５２ｂ）と過熱蒸気（５０）を搭載した水噴射ロケット合体機関。
【請求項１４２】
Ａ型エネルギ保存サイクル合体機関の一部とペットボトルロケットを合体して導水管（３）及び縮径主燃焼室熱交換器（２）及びロケット外箱（７７Ｅ）をカーボンナノチューブ等で軽量化高圧化して容器耐圧に合せて超臨界圧力過熱蒸気（５０）と過熱蒸気（５０）と水（５２ａ）を搭載した水噴射ロケット合体機関。
【請求項１４３】
Ａ型エネルギ保存サイクル合体機関の一部とペットボトルロケットを合体して導水管（３）及び縮径主燃焼室熱交換器（２）及びロケット外箱（７７Ｅ）をカーボンナノチューブ等で軽量化高圧化して容器耐圧に合せて超臨界圧力過熱蒸気（５０）と水（５２ａ）と高温水（５２ｂ）と過熱蒸気（５０）を搭載した水噴射ロケット合体機関。
【請求項１４４】
Ａ型エネルギ保存サイクル合体機関の一部と固体燃料ロケットモーターを合体して導水管（３）及び縮径主燃焼室熱交換器（２）及びロケット外箱（７７Ｅ）をカーボンナノチューブ等で軽量化高圧化して容器耐圧に合せて高温水（５２ｂ）を搭載した固体燃料水噴射ロケット合体機関。
【請求項１４５】
Ａ型エネルギ保存サイクル合体機関の一部と固体燃料ロケットモーターを合体して導水管（３）及び縮径主燃焼室熱交換器（２）及びロケット外箱（７７Ｅ）をカーボンナノチューブ等で軽量化高圧化して容器耐圧に合せて過熱蒸気（５０）を搭載した固体燃料水噴射ロケット合体機関。
【請求項１４６】
Ａ型エネルギ保存サイクル合体機関の一部と固体燃料ロケットモーターを合体して導水管（３）及び縮径主燃焼室熱交換器（２）及びロケット外箱（７７Ｅ）をカーボンナノチューブ等で軽量化高圧化して容器耐圧に合せて超臨界圧力過熱蒸気（５０）を搭載した固体燃料水噴射ロケット合体機関。
【請求項１４７】
Ａ型エネルギ保存サイクル合体機関の一部と固体燃料ロケットモーターを合体して導水管（３）及び縮径主燃焼室熱交換器（２）及びロケット外箱（７７Ｅ）をカーボンナノチューブ等で軽量化高圧化して容器耐圧に合せて超臨界圧力過熱蒸気（５０）と水（５２ａ）を搭載した固体燃料水噴射ロケット合体機関。
【請求項１４８】
Ａ型エネルギ保存サイクル合体機関の一部と固体燃料ロケットモーターを合体して導水管（３）及び縮径主燃焼室熱交換器（２）及びロケット外箱（７７Ｅ）をカーボンナノチューブ等で軽量化高圧化して容器耐圧に合せて超臨界圧力過熱蒸気（５０）と高温水（５２ｂ）を搭載した固体燃料水噴射ロケット合体機関。
【請求項１４９】
Ａ型エネルギ保存サイクル合体機関の一部と固体燃料ロケットモーターを合体して導水管（３）及び縮径主燃焼室熱交換器（２）及びロケット外箱（７７Ｅ）をカーボンナノチューブ等で軽量化高圧化して容器耐圧に合せて超臨界圧力過熱蒸気（５０）と過熱蒸気（５０）を搭載した固体燃料水噴射ロケット合体機関。
【請求項１５０】
Ａ型エネルギ保存サイクル合体機関の一部と固体燃料ロケットモーターを合体して導水管（３）及び縮径主燃焼室熱交換器（２）及びロケット外箱（７７Ｅ）をカーボンナノチューブ等で軽量化高圧化して容器耐圧に合せて超臨界圧力過熱蒸気（５０）と過熱蒸気（５０）と水（５２ａ）を搭載した固体燃料水噴射ロケット合体機関。
【請求項１５１】
Ａ型エネルギ保存サイクル合体機関の一部と固体燃料ロケットモーターを合体して導水管（３）及び縮径主燃焼室熱交換器（２）及びロケット外箱（７７Ｅ）をカーボンナノチューブ等で軽量化高圧化して容器耐圧に合せて超臨界圧力過熱蒸気（５０）と過熱蒸気（５０）と高温水（５２ｂ）を搭載した固体燃料水噴射ロケット合体機関
【請求項１５２】
Ａ型エネルギ保存サイクル合体機関の一部と固体燃料ロケットモーターを合体して導水管（３）及び縮径主燃焼室熱交換器（２）及びロケット外箱（７７Ｅ）をカーボンナノチューブ等で軽量化高圧化して容器耐圧に合せて超臨界圧力過熱蒸気（５０）と高温水（５２ｂ）と水（５２ａ）を搭載した固体燃料水噴射ロケット合体機関。
【請求項１５３】
Ａ型エネルギ保存サイクル合体機関の一部と固体燃料ロケットモーターを合体して導水管（３）及び縮径主燃焼室熱交換器（２）及びロケット外箱（７７Ｅ）をカーボンナノチューブ等で軽量化高圧化して容器耐圧に合せて超臨界圧力過熱蒸気（５０）と過熱蒸気（５０）と高温水（５２ｂ）と水（５２ａ）を搭載した固体燃料水噴射ロケット合体機関。
【請求項１５４】
Ａ型エネルギ保存サイクル合体機関の一部と液体燃料ロケットエンジンを合体して導水管（３）及び縮径主燃焼室熱交換器（２）及びロケット外箱（７７Ｅ）をカーボンナノチューブ等で軽量化高圧化して容器耐圧に合せて高温水（５２ｂ）を搭載した液体燃料水噴射ロケット合体機関。
【請求項１５５】
Ａ型エネルギ保存サイクル合体機関の一部と液体燃料ロケットエンジンを合体して導水管（３）及び縮径主燃焼室熱交換器（２）及びロケット外箱（７７Ｅ）をカーボンナノチューブ等で軽量化高圧化して容器耐圧に合せて過熱蒸気（５０）を搭載した液体燃料水噴射ロケット合体機関。
【請求項１５６】
Ａ型エネルギ保存サイクル合体機関の一部と液体燃料ロケットエンジンを合体して導水管（３）及び縮径主燃焼室熱交換器（２）及びロケット外箱（７７Ｅ）をカーボンナノチューブ等で軽量化高圧化して容器耐圧に合せて超臨界圧力過熱蒸気（５０）を搭載した液体燃料水噴射ロケット合体機関。
【請求項１５７】
Ａ型エネルギ保存サイクル合体機関の一部と液体燃料ロケットエンジンを合体して導水管（３）及び縮径主燃焼室熱交換器（２）及びロケット外箱（７７Ｅ）をカーボンナノチューブ等で軽量化高圧化して容器耐圧に合せて超臨界圧力過熱蒸気（５０）と水（５２ａ）を搭載した液体燃料水噴射ロケット合体機関。
【請求項１５８】
Ａ型エネルギ保存サイクル合体機関の一部と液体燃料ロケットエンジンを合体して導水管（３）及び縮径主燃焼室熱交換器（２）及びロケット外箱（７７Ｅ）をカーボンナノチューブ等で軽量化高圧化して容器耐圧に合せて超臨界圧力過熱蒸気（５０）と高温水（５２ｂ）を搭載した液体燃料水噴射ロケット合体機関。
【請求項１５９】
Ａ型エネルギ保存サイクル合体機関の一部と液体燃料ロケットエンジンを合体して導水管（３）及び縮径主燃焼室熱交換器（２）及びロケット外箱（７７Ｅ）をカーボンナノチューブ等で軽量化高圧化して容器耐圧に合せて超臨界圧力過熱蒸気（５０）と過熱蒸気（５０）を搭載した液体燃料水噴射ロケット合体機関。
【請求項１６０】
Ａ型エネルギ保存サイクル合体機関の一部と液体燃料ロケットエンジンを合体して導水管（３）及び縮径主燃焼室熱交換器（２）及びロケット外箱（７７Ｅ）をカーボンナノチューブ等で軽量化高圧化して容器耐圧に合せて超臨界圧力過熱蒸気（５０）と過熱蒸気（５０）と水（５２ａ）を搭載した液体燃料水噴射ロケット合体機関。
【請求項１６１】
Ａ型エネルギ保存サイクル合体機関の一部と液体燃料ロケットエンジンを合体して導水管（３）及び縮径主燃焼室熱交換器（２）及びロケット外箱（７７Ｅ）をカーボンナノチューブ等で軽量化高圧化して容器耐圧に合せて超臨界圧力過熱蒸気（５０）と過熱蒸気（５０）と高温水（５２ｂ）を搭載した液体燃料水噴射ロケット合体機関。
【請求項１６２】
Ａ型エネルギ保存サイクル合体機関の一部と液体燃料ロケットエンジンを合体して導水管（３）及び縮径主燃焼室熱交換器（２）及びロケット外箱（７７Ｅ）をカーボンナノチューブ等で軽量化高圧化して容器耐圧に合せて超臨界圧力過熱蒸気（５０）と高温水（５２ｂ）と水（５２ａ）を搭載した液体燃料水噴射ロケット合体機関。
【請求項１６３】
Ａ型エネルギ保存サイクル合体機関の一部と液体燃料ロケットエンジンを合体して導水管（３）及び縮径主燃焼室熱交換器（２）及びロケット外箱（７７Ｅ）をカーボンナノチューブ等で軽量化高圧化して容器耐圧に合せて超臨界圧力過熱蒸気（５０）と過熱蒸気（５０）と高温水（５２ｂ）と水（５２ａ）を搭載した液体燃料水噴射ロケット合体機関。
【請求項１６４】
Ａ型エネルギ保存サイクル合体機関に液体酸素（４Ｃ）等の酸化剤（４ｂ）を搭載してＡ型ジェット兼ロケット合体機関燃焼部２９ＡとしたＡ型ジェット兼ロケット合体機関。
【請求項１６５】
Ｂ型エネルギ保存サイクル合体機関に液体酸素（４Ｃ）等の酸化剤（４ｂ）を搭載してＢ型ジェット兼ロケット合体機関燃焼部２９ＢとしたＢ型ジェット兼ロケット合体機関。
【請求項１６６】
Ｃ型エネルギ保存サイクル合体機関に液体酸素（４Ｃ）等の酸化剤（４ｂ）を搭載してＣ型ジェット兼ロケット合体機関燃焼部２９ＣとしたＣ型ジェット兼ロケット合体機関。
【請求項１６７】
Ｄ型エネルギ保存サイクル合体機関に液体酸素（４Ｃ）等の酸化剤（４ｂ）を搭載してＤ型ジェット兼ロケット合体機関燃焼部２９ＤとしたＤ型ジェット兼ロケット合体機関。
【請求項１６８】
Ｅ型エネルギ保存サイクル合体機関に液体酸素（４Ｃ）等の酸化剤（４ｂ）を搭載してＥ型ジェット兼ロケット合体機関燃焼部２９ＥとしたＥ型ジェット兼ロケット合体機関。
【請求項１６９】
Ｆ型エネルギ保存サイクル合体機関に液体酸素（４Ｃ）等の酸化剤（４ｂ）を搭載してＦ型ジェット兼ロケット合体機関燃焼部２９ＦとしたＦ型ジェット兼ロケット合体機関。
【請求項１７０】
Ｇ型エネルギ保存サイクル合体機関に液体酸素（４Ｃ）等の酸化剤（４ｂ）を搭載してＧ型ジェット兼ロケット合体機関燃焼部２９ＧとしたＧ型ジェット兼ロケット合体機関。
【請求項１７１】
Ｈ型エネルギ保存サイクル合体機関に液体酸素（４Ｃ）等の酸化剤（４ｂ）を搭載してＨ型ジェット兼ロケット合体機関燃焼部２９ＨとしたＨ型ジェット兼ロケット合体機関。
【請求項１７２】
Ａ型エネルギ保存サイクル合体機関の燃料噴射電磁弁（７ｃ）及び着火装置（１０２）を廃止してＡ型エネルギ保存圧縮機２０Ａとし、１以上具備して１回以上予圧するＡ型ジェット兼ロケット合体機関。
【請求項１７３】
Ｂ型エネルギ保存サイクル合体機関の燃料噴射電磁弁（７ｃ）及び着火装置（１０２）を廃止してＢ型エネルギ保存圧縮機２０Ｂとし、１以上具備して１回以上予圧するＢ型ジェット兼ロケット合体機関。
【請求項１７４】
Ｃ型エネルギ保存サイクル合体機関の燃料噴射電磁弁（７ｃ）及び着火装置（１０２）を廃止してＣ型エネルギ保存圧縮機２０Ｃとし、１以上具備して１回以上予圧するＣ型ジェット兼ロケット合体機関。
【請求項１７５】
Ｄ型エネルギ保存サイクル合体機関の燃料噴射電磁弁（７ｃ）及び着火装置（１０２）を廃止してＤ型エネルギ保存圧縮機２０Ｄとし、１以上具備して１回以上予圧するＤ型ジェット兼ロケット合体機関。
【請求項１７６】
Ｅ型エネルギ保存サイクル合体機関の燃料噴射電磁弁（７ｃ）及び着火装置（１０２）を廃止してＥ型エネルギ保存圧縮機２０Ｅとし、１以上具備して１回以上予圧するＥ型ジェット兼ロケット合体機関。
【請求項１７７】
Ｆ型エネルギ保存サイクル合体機関の燃料噴射電磁弁（７ｃ）及び着火装置（１０２）を廃止してＦ型エネルギ保存圧縮機２０Ｆとし、１以上具備して１回以上予圧するＦ型ジェット兼ロケット合体機関。
【請求項１７８】
Ｇ型エネルギ保存サイクル合体機関の燃料噴射電磁弁（７ｃ）及び着火装置（１０２）を廃止してＧ型エネルギ保存圧縮機２０Ｇとし、１以上具備して１回以上予圧するＧ型ジェット兼ロケット合体機関。
【請求項１７９】
Ｈ型エネルギ保存サイクル合体機関の燃料噴射電磁弁（７ｃ）及び着火装置（１０２）を廃止してＨ型エネルギ保存圧縮機２０Ｈとし、１以上具備して１回以上予圧するＨ型ジェット兼ロケット合体機関。
【請求項１８０】
Ａ型ジェット兼ロケット合体機関燃焼部２９Ａの拡径ビストン（２１）により空気を吸入圧縮するＡ型ジェット兼ロケット合体機関。
【請求項１８１】
Ａ型ジェット兼ロケット合体機関燃焼部２９Ａの吸気弁（２８）より空気を吸入して拡径ビストン（２１）により圧縮するＡ型ジェット兼ロケット合体機関。
【請求項１８２】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給するＡ型ジェット兼ロケット合体機関。
【請求項１８３】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼するＡ型ジェット兼ロケット合体機関。
【請求項１８４】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、公知の燃料噴射装置からの噴射燃料と攪拌燃焼するＡ型ジェット兼ロケット合体機関。
【請求項１８５】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼するＡ型ジェット兼ロケット合体機関。
【請求項１８６】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼するＡ型ジェット兼ロケット合体機関。
【請求項１８７】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却燃焼するＡ型ジェット兼ロケット合体機関。
【請求項１８８】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却燃焼するＡ型ジェット兼ロケット合体機関。
【請求項１８９】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却長時間燃焼するＡ型ジェット兼ロケット合体機関。
【請求項１９０】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却長時間燃焼するＡ型ジェット兼ロケット合体機関。
【請求項１９１】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却燃焼して過熱蒸気爆発力＋燃焼ガス爆発力に分割するＡ型ジェット兼ロケット合体機関。
【請求項１９２】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却燃焼して過熱蒸気爆発力＋燃焼ガス爆発力に分割するＡ型ジェット兼ロケット合体機関。
【請求項１９３】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却長時間燃焼して過熱蒸気爆発力＋燃焼ガス爆発力に分割するＡ型ジェット兼ロケット合体機関。
【請求項１９４】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却長時間燃焼して過熱蒸気爆発力＋燃焼ガス爆発力に分割するＡ型ジェット兼ロケット合体機関。
【請求項１９５】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却燃焼して超臨界圧力過熱蒸気爆発力＋１０ＭＰａ燃焼ガス爆発力等に分割するＡ型ジェット兼ロケット合体機関。
【請求項１９６】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却燃焼して超臨界圧力過熱蒸気爆発力＋１０ＭＰａ燃焼ガス爆発力等に分割するＡ型ジェット兼ロケット合体機関。
【請求項１９７】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却長時間燃焼して超臨界圧力過熱蒸気爆発力＋１０ＭＰａ燃焼ガス爆発力等に分割するＡ型ジェット兼ロケット合体機関。
【請求項１９８】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却長時間燃焼して超臨界圧力過熱蒸気爆発力＋１０ＭＰａ燃焼ガス爆発力等に分割するＡ型ジェット兼ロケット合体機関。
【請求項１９９】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却燃焼して１００ＭＰａ以下過熱蒸気爆発力＋１００ＭＰａ以下燃焼ガス爆発力等に分割するＡ型ジェット兼ロケット合体機関。
【請求項２００】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却燃焼して１００ＭＰａ以下過熱蒸気爆発力＋１００ＭＰａ以下燃焼ガス爆発力等に分割するＡ型ジェット兼ロケット合体機関。
【請求項２０１】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却長時間燃焼して１００ＭＰａ以下過熱蒸気爆発力＋１００ＭＰａ以下燃焼ガス爆発力等に分割するＡ型ジェット兼ロケット合体機関。
【請求項２０２】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却長時間燃焼して１００ＭＰａ以下過熱蒸気爆発力＋１００ＭＰａ以下燃焼ガス爆発力等に分割するＡ型ジェット兼ロケット合体機関。
【請求項２０３】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却燃焼して過熱蒸気爆発力＋燃焼ガス爆発力に分割して夫々過熱蒸気噴射ノズル（６Ａ）及び燃焼ガス噴射ノズル（６Ｃ）より噴射するＡ型ジェット兼ロケット合体機関。
【請求項２０４】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却燃焼して過熱蒸気爆発力＋燃焼ガス爆発力に分割して夫々過熱蒸気噴射ノズル（６Ａ）及び燃焼ガス噴射ノズル（６Ｃ）より噴射するＡ型ジェット兼ロケット合体機関。
【請求項２０５】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却長時間燃焼して過熱蒸気爆発力＋燃焼ガス爆発力に分割して夫々過熱蒸気噴射ノズル（６Ａ）及び燃焼ガス噴射ノズル（６Ｃ）より噴射するＡ型ジェット兼ロケット合体機関。
【請求項２０６】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却長時間燃焼して過熱蒸気爆発力＋燃焼ガス爆発力に分割して夫々過熱蒸気噴射ノズル（６Ａ）及び燃焼ガス噴射ノズル（６Ｃ）より噴射するＡ型ジェット兼ロケット合体機関。
【請求項２０７】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却燃焼して超臨界圧力過熱蒸気爆発力＋１０ＭＰａ燃焼ガス爆発力等に分割して夫々過熱蒸気噴射ノズル（６Ａ）及び燃焼ガス噴射ノズル（６Ｃ）より噴射するＡ型ジェット兼ロケット合体機関。
【請求項２０８】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却燃焼して超臨界圧力過熱蒸気爆発力＋１０ＭＰａ燃焼ガス爆発力等に分割して夫々過熱蒸気噴射ノズル（６Ａ）及び燃焼ガス噴射ノズル（６Ｃ）より噴射するＡ型ジェット兼ロケット合体機関。
【請求項２０９】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却長時間燃焼して超臨界圧力過熱蒸気爆発力＋１０ＭＰａ燃焼ガス爆発力等に分割して夫々過熱蒸気噴射ノズル（６Ａ）及び燃焼ガス噴射ノズル（６Ｃ）より噴射するＡ型ジェット兼ロケット合体機関。
【請求項２１０】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却長時間燃焼して超臨界圧力過熱蒸気爆発力＋１０ＭＰａ燃焼ガス爆発力等に分割して夫々過熱蒸気噴射ノズル（６Ａ）及び燃焼ガス噴射ノズル（６Ｃ）より噴射するＡ型ジェット兼ロケット合体機関。
【請求項２１１】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却燃焼して１００ＭＰａ以下過熱蒸気爆発力＋１００ＭＰａ以下燃焼ガス爆発力等に分割して夫々過熱蒸気噴射ノズル（６Ａ）及び燃焼ガス噴射ノズル（６Ｃ）より噴射するＡ型ジェット兼ロケット合体機関。
【請求項２１２】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却燃焼して１００ＭＰａ以下過熱蒸気爆発力＋１００ＭＰａ以下燃焼ガス爆発力等に分割して夫々過熱蒸気噴射ノズル（６Ａ）及び燃焼ガス噴射ノズル（６Ｃ）より噴射するＡ型ジェット兼ロケット合体機関。
【請求項２１３】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却長時間燃焼して１００ＭＰａ以下過熱蒸気爆発力＋１００ＭＰａ以下燃焼ガス爆発力等に分割して夫々過熱蒸気噴射ノズル（６Ａ）及び燃焼ガス噴射ノズル（６Ｃ）より噴射するＡ型ジェット兼ロケット合体機関。
【請求項２１４】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却長時間燃焼して１００ＭＰａ以下過熱蒸気爆発力＋１００ＭＰａ以下燃焼ガス爆発力等に分割して夫々過熱蒸気噴射ノズル（６Ａ）及び燃焼ガス噴射ノズル（６Ｃ）より噴射するＡ型ジェット兼ロケット合体機関。
【請求項２１５】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却燃焼して過熱蒸気爆発力＋燃焼ガス爆発力に分割して夫々過熱蒸気噴射ノズル（６Ｂ）及び燃焼ガス噴射ノズル（６Ｄ）より噴射するＡ型ジェット兼ロケット合体機関。
【請求項２１６】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却燃焼して過熱蒸気爆発力＋燃焼ガス爆発力に分割して夫々過熱蒸気噴射ノズル（６Ｂ）及び燃焼ガス噴射ノズル（６Ｄ）より噴射するＡ型ジェット兼ロケット合体機関。
【請求項２１７】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却長時間燃焼して過熱蒸気爆発力＋燃焼ガス爆発力に分割して夫々過熱蒸気噴射ノズル（６Ｂ）及び燃焼ガス噴射ノズル（６Ｄ）より噴射するＡ型ジェット兼ロケット合体機関。
【請求項２１８】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却長時間燃焼して過熱蒸気爆発力＋燃焼ガス爆発力に分割して夫々過熱蒸気噴射ノズル（６Ｂ）及び燃焼ガス噴射ノズル（６Ｄ）より噴射するＡ型ジェット兼ロケット合体機関。
【請求項２１９】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却燃焼して超臨界圧力過熱蒸気爆発力＋１０ＭＰａ燃焼ガス爆発力等に分割して夫々過熱蒸気噴射ノズル（６Ｂ）及び燃焼ガス噴射ノズル（６Ｄ）より噴射するＡ型ジェット兼ロケット合体機関。
【請求項２２０】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却燃焼して超臨界圧力過熱蒸気爆発力＋１０ＭＰａ燃焼ガス爆発力等に分割して夫々過熱蒸気噴射ノズル（６Ｂ）及び燃焼ガス噴射ノズル（６Ｄ）より噴射するＡ型ジェット兼ロケット合体機関。
【請求項２２１】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却長時間燃焼して超臨界圧力過熱蒸気爆発力＋１０ＭＰａ燃焼ガス爆発力等に分割して夫々過熱蒸気噴射ノズル（６Ｂ）及び燃焼ガス噴射ノズル（６Ｄ）より噴射するＡ型ジェット兼ロケット合体機関。
【請求項２２２】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却長時間燃焼して超臨界圧力過熱蒸気爆発力＋１０ＭＰａ燃焼ガス爆発力等に分割して夫々過熱蒸気噴射ノズル（６Ｂ）及び燃焼ガス噴射ノズル（６Ｄ）より噴射するＡ型ジェット兼ロケット合体機関。
【請求項２２３】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却燃焼して１００ＭＰａ以下過熱蒸気爆発力＋１００ＭＰａ以下燃焼ガス爆発力等に分割して夫々過熱蒸気噴射ノズル（６Ｂ）及び燃焼ガス噴射ノズル（６Ｄ）より噴射するＡ型ジェット兼ロケット合体機関。
【請求項２２４】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却燃焼して１００ＭＰａ以下過熱蒸気爆発力＋１００ＭＰａ以下燃焼ガス爆発力等に分割して夫々過熱蒸気噴射ノズル（６Ｂ）及び燃焼ガス噴射ノズル（６Ｄ）より噴射するＡ型ジェット兼ロケット合体機関。
【請求項２２５】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却長時間燃焼して１００ＭＰａ以下過熱蒸気爆発力＋１００ＭＰａ以下燃焼ガス爆発力等に分割して夫々過熱蒸気噴射ノズル（６Ｂ）及び燃焼ガス噴射ノズル（６Ｄ）より噴射するＡ型ジェット兼ロケット合体機関。
【請求項２２６】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却長時間燃焼して１００ＭＰａ以下過熱蒸気爆発力＋１００ＭＰａ以下燃焼ガス爆発力等に分割して夫々過熱蒸気噴射ノズル（６Ｂ）及び燃焼ガス噴射ノズル（６Ｄ）より噴射するＡ型ジェット兼ロケット合体機関。
【請求項２２７】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却燃焼して過熱蒸気爆発力＋燃焼ガス爆発力に分割して夫々過熱蒸気噴射ノズル（６Ｉ）及び燃焼ガス噴射ノズル（６Ｊ）より噴射するＡ型ジェット兼ロケット合体機関。
【請求項２２８】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却燃焼して過熱蒸気爆発力＋燃焼ガス爆発力に分割して夫々過熱蒸気噴射ノズル（６Ｉ）及び燃焼ガス噴射ノズル（６Ｊ）より噴射するＡ型ジェット兼ロケット合体機関。
【請求項２２９】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却長時間燃焼して過熱蒸気爆発力＋燃焼ガス爆発力に分割して夫々過熱蒸気噴射ノズル（６Ｉ）及び燃焼ガス噴射ノズル（６Ｊ）より噴射するＡ型ジェット兼ロケット合体機関。
【請求項２３０】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却長時間燃焼して過熱蒸気爆発力＋燃焼ガス爆発力に分割して夫々過熱蒸気噴射ノズル（６Ｉ）及び燃焼ガス噴射ノズル（６Ｊ）より噴射するＡ型ジェット兼ロケット合体機関。
【請求項２３１】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却燃焼して超臨界圧力過熱蒸気爆発力＋１０ＭＰａ燃焼ガス爆発力等に分割して夫々過熱蒸気噴射ノズル（６Ｉ）及び燃焼ガス噴射ノズル（６Ｊ）より噴射するＡ型ジェット兼ロケット合体機関。
【請求項２３２】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却燃焼して超臨界圧力過熱蒸気爆発力＋１０ＭＰａ燃焼ガス爆発力等に分割して夫々過熱蒸気噴射ノズル（６Ｉ）及び燃焼ガス噴射ノズル（６Ｊ）より噴射するＡ型ジェット兼ロケット合体機関。
【請求項２３３】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却長時間燃焼して超臨界圧力過熱蒸気爆発力＋１０ＭＰａ燃焼ガス爆発力等に分割して夫々過熱蒸気噴射ノズル（６Ｉ）及び燃焼ガス噴射ノズル（６Ｊ）より噴射するＡ型ジェット兼ロケット合体機関。
【請求項２３４】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却長時間燃焼して超臨界圧力過熱蒸気爆発力＋１０ＭＰａ燃焼ガス爆発力等に分割して夫々過熱蒸気噴射ノズル（６Ｉ）及び燃焼ガス噴射ノズル（６Ｊ）より噴射するＡ型ジェット兼ロケット合体機関。
【請求項２３５】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却燃焼して１００ＭＰａ以下過熱蒸気爆発力＋１００ＭＰａ以下燃焼ガス爆発力等に分割して夫々過熱蒸気噴射ノズル（６Ｉ）及び燃焼ガス噴射ノズル（６Ｊ）より噴射するＡ型ジェット兼ロケット合体機関。
【請求項２３６】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却燃焼して１００ＭＰａ以下過熱蒸気爆発力＋１００ＭＰａ以下燃焼ガス爆発力等に分割して夫々過熱蒸気噴射ノズル（６Ｉ）及び燃焼ガス噴射ノズル（６Ｊ）より噴射するＡ型ジェット兼ロケット合体機関。
【請求項２３７】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却長時間燃焼して１００ＭＰａ以下過熱蒸気爆発力＋１００ＭＰａ以下燃焼ガス爆発力等に分割して夫々過熱蒸気噴射ノズル（６Ｉ）及び燃焼ガス噴射ノズル（６Ｊ）より噴射するＡ型ジェット兼ロケット合体機関。
【請求項２３８】
Ａ型ジェット兼ロケット合体機関燃焼部２９Ａの吸気弁（２８）より空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却長時間燃焼して１００ＭＰａ以下過熱蒸気爆発力＋１００ＭＰａ以下燃焼ガス爆発力等に分割して夫々過熱蒸気噴射ノズル（６Ｉ）及び燃焼ガス噴射ノズル（６Ｊ）より噴射するＡ型ジェット兼ロケット合体機関。
【請求項２３９】
Ａ型ジェット兼ロケット合体機関燃焼部２９Ａの拡径ビストン（２１）により１回以上予圧した空気を吸入圧縮するＡ型ジェット兼ロケット合体機関。
【請求項２４０】
Ａ型ジェット兼ロケット合体機関燃焼部２９Ａの吸気弁（２８）より１回以上予圧した空気を吸入して拡径ビストン（２１）により圧縮するＡ型ジェット兼ロケット合体機関。
【請求項２４１】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給するＡ型ジェット兼ロケット合体機関。
【請求項２４２】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼するＡ型ジェット兼ロケット合体機関。
【請求項２４３】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼するＡ型ジェット兼ロケット合体機関。
【請求項２４４】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼するＡ型ジェット兼ロケット合体機関。
【請求項２４５】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼するＡ型ジェット兼ロケット合体機関。
【請求項２４６】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却燃焼するＡ型ジェット兼ロケット合体機関。
【請求項２４７】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却燃焼するＡ型ジェット兼ロケット合体機関。
【請求項２４８】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却長時間燃焼するＡ型ジェット兼ロケット合体機関。
【請求項２４９】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却長時間燃焼するＡ型ジェット兼ロケット合体機関。
【請求項２５０】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却燃焼して過熱蒸気爆発力＋燃焼ガス爆発力に分割するＡ型ジェット兼ロケット合体機関。
【請求項２５１】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却燃焼して過熱蒸気爆発力＋燃焼ガス爆発力に分割するＡ型ジェット兼ロケット合体機関。
【請求項２５２】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却長時間燃焼して過熱蒸気爆発力＋燃焼ガス爆発力に分割するＡ型ジェット兼ロケット合体機関。
【請求項２５３】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却長時間燃焼して過熱蒸気爆発力＋燃焼ガス爆発力に分割するＡ型ジェット兼ロケット合体機関。
【請求項２５４】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却燃焼して超臨界圧力過熱蒸気爆発力＋１０ＭＰａ燃焼ガス爆発力等に分割するＡ型ジェット兼ロケット合体機関。
【請求項２５５】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却燃焼して超臨界圧力過熱蒸気爆発力＋１０ＭＰａ燃焼ガス爆発力等に分割するＡ型ジェット兼ロケット合体機関。
【請求項２５６】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却長時間燃焼して超臨界圧力過熱蒸気爆発力＋１０ＭＰａ燃焼ガス爆発力等に分割するＡ型ジェット兼ロケット合体機関。
【請求項２５７】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却長時間燃焼して超臨界圧力過熱蒸気爆発力＋１０ＭＰａ燃焼ガス爆発力等に分割するＡ型ジェット兼ロケット合体機関。
【請求項２５８】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却燃焼して１００ＭＰａ以下過熱蒸気爆発力＋１００ＭＰａ以下燃焼ガス爆発力等に分割するＡ型ジェット兼ロケット合体機関。
【請求項２５９】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却燃焼して１００ＭＰａ以下過熱蒸気爆発力＋１００ＭＰａ以下燃焼ガス爆発力等に分割するＡ型ジェット兼ロケット合体機関。
【請求項２６０】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却長時間燃焼して１００ＭＰａ以下過熱蒸気爆発力＋１００ＭＰａ以下燃焼ガス爆発力等に分割するＡ型ジェット兼ロケット合体機関。
【請求項２６１】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却長時間燃焼して１００ＭＰａ以下過熱蒸気爆発力＋１００ＭＰａ以下燃焼ガス爆発力等に分割するＡ型ジェット兼ロケット合体機関。
【請求項２６２】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却燃焼して過熱蒸気爆発力＋燃焼ガス爆発力に分割して夫々過熱蒸気噴射ノズル（６Ａ）及び燃焼ガス噴射ノズル（６Ｃ）より噴射するＡ型ジェット兼ロケット合体機関。
【請求項２６３】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却燃焼して過熱蒸気爆発力＋燃焼ガス爆発力に分割して夫々過熱蒸気噴射ノズル（６Ａ）及び燃焼ガス噴射ノズル（６Ｃ）より噴射するＡ型ジェット兼ロケット合体機関。
【請求項２６４】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却長時間燃焼して過熱蒸気爆発力＋燃焼ガス爆発力に分割して夫々過熱蒸気噴射ノズル（６Ａ）及び燃焼ガス噴射ノズル（６Ｃ）より噴射するＡ型ジェット兼ロケット合体機関。
【請求項２６５】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却長時間燃焼して過熱蒸気爆発力＋燃焼ガス爆発力に分割して夫々過熱蒸気噴射ノズル（６Ａ）及び燃焼ガス噴射ノズル（６Ｃ）より噴射するＡ型ジェット兼ロケット合体機関。
【請求項２６６】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却燃焼して超臨界圧力過熱蒸気爆発力＋１０ＭＰａ燃焼ガス爆発力等に分割して夫々過熱蒸気噴射ノズル（６Ａ）及び燃焼ガス噴射ノズル（６Ｃ）より噴射するＡ型ジェット兼ロケット合体機関。
【請求項２６７】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却燃焼して超臨界圧力過熱蒸気爆発力＋１０ＭＰａ燃焼ガス爆発力等に分割して夫々過熱蒸気噴射ノズル（６Ａ）及び燃焼ガス噴射ノズル（６Ｃ）より噴射するＡ型ジェット兼ロケット合体機関。
【請求項２６８】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却長時間燃焼して超臨界圧力過熱蒸気爆発力＋１０ＭＰａ燃焼ガス爆発力等に分割して夫々過熱蒸気噴射ノズル（６Ａ）及び燃焼ガス噴射ノズル（６Ｃ）より噴射するＡ型ジェット兼ロケット合体機関。
【請求項２６９】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却長時間燃焼して超臨界圧力過熱蒸気爆発力＋１０ＭＰａ燃焼ガス爆発力等に分割して夫々過熱蒸気噴射ノズル（６Ａ）及び燃焼ガス噴射ノズル（６Ｃ）より噴射するＡ型ジェット兼ロケット合体機関。
【請求項２７０】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却燃焼して１００ＭＰａ以下過熱蒸気爆発力＋１００ＭＰａ以下燃焼ガス爆発力等に分割して夫々過熱蒸気噴射ノズル（６Ａ）及び燃焼ガス噴射ノズル（６Ｃ）より噴射するＡ型ジェット兼ロケット合体機関。
【請求項２７１】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却燃焼して１００ＭＰａ以下過熱蒸気爆発力＋１００ＭＰａ以下燃焼ガス爆発力等に分割して夫々過熱蒸気噴射ノズル（６Ａ）及び燃焼ガス噴射ノズル（６Ｃ）より噴射するＡ型ジェット兼ロケット合体機関。
【請求項２７２】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却長時間燃焼して１００ＭＰａ以下過熱蒸気爆発力＋１００ＭＰａ以下燃焼ガス爆発力等に分割して夫々過熱蒸気噴射ノズル（６Ａ）及び燃焼ガス噴射ノズル（６Ｃ）より噴射するＡ型ジェット兼ロケット合体機関。
【請求項２７３】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却長時間燃焼して１００ＭＰａ以下過熱蒸気爆発力＋１００ＭＰａ以下燃焼ガス爆発力等に分割して夫々過熱蒸気噴射ノズル（６Ａ）及び燃焼ガス噴射ノズル（６Ｃ）より噴射するＡ型ジェット兼ロケット合体機関。
【請求項２７４】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却燃焼して過熱蒸気爆発力＋燃焼ガス爆発力に分割して夫々過熱蒸気噴射ノズル（６Ｂ）及び燃焼ガス噴射ノズル（６Ｄ）より噴射するＡ型ジェット兼ロケット合体機関。
【請求項２７５】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却燃焼して過熱蒸気爆発力＋燃焼ガス爆発力に分割して夫々過熱蒸気噴射ノズル（６Ｂ）及び燃焼ガス噴射ノズル（６Ｄ）より噴射するＡ型ジェット兼ロケット合体機関。
【請求項２７６】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却長時間燃焼して過熱蒸気爆発力＋燃焼ガス爆発力に分割して夫々過熱蒸気噴射ノズル（６Ｂ）及び燃焼ガス噴射ノズル（６Ｄ）より噴射するＡ型ジェット兼ロケット合体機関。
【請求項２７７】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却長時間燃焼して過熱蒸気爆発力＋燃焼ガス爆発力に分割して夫々過熱蒸気噴射ノズル（６Ｂ）及び燃焼ガス噴射ノズル（６Ｄ）より噴射するＡ型ジェット兼ロケット合体機関。
【請求項２７８】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却燃焼して超臨界圧力過熱蒸気爆発力＋１０ＭＰａ燃焼ガス爆発力等に分割して夫々過熱蒸気噴射ノズル（６Ｂ）及び燃焼ガス噴射ノズル（６Ｄ）より噴射するＡ型ジェット兼ロケット合体機関。
【請求項２７９】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却燃焼して超臨界圧力過熱蒸気爆発力＋１０ＭＰａ燃焼ガス爆発力等に分割して夫々過熱蒸気噴射ノズル（６Ｂ）及び燃焼ガス噴射ノズル（６Ｄ）より噴射するＡ型ジェット兼ロケット合体機関。
【請求項２８０】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却長時間燃焼して超臨界圧力過熱蒸気爆発力＋１０ＭＰａ燃焼ガス爆発力等に分割して夫々過熱蒸気噴射ノズル（６Ｂ）及び燃焼ガス噴射ノズル（６Ｄ）より噴射するＡ型ジェット兼ロケット合体機関。
【請求項２８１】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却長時間燃焼して超臨界圧力過熱蒸気爆発力＋１０ＭＰａ燃焼ガス爆発力等に分割して夫々過熱蒸気噴射ノズル（６Ｂ）及び燃焼ガス噴射ノズル（６Ｄ）より噴射するＡ型ジェット兼ロケット合体機関。
【請求項２８２】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却燃焼して１００ＭＰａ以下過熱蒸気爆発力＋１００ＭＰａ以下燃焼ガス爆発力等に分割して夫々過熱蒸気噴射ノズル（６Ｂ）及び燃焼ガス噴射ノズル（６Ｄ）より噴射するＡ型ジェット兼ロケット合体機関。
【請求項２８３】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却燃焼して１００ＭＰａ以下過熱蒸気爆発力＋１００ＭＰａ以下燃焼ガス爆発力等に分割して夫々過熱蒸気噴射ノズル（６Ｂ）及び燃焼ガス噴射ノズル（６Ｄ）より噴射するＡ型ジェット兼ロケット合体機関。
【請求項２８４】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却長時間燃焼して１００ＭＰａ以下過熱蒸気爆発力＋１００ＭＰａ以下燃焼ガス爆発力等に分割して夫々過熱蒸気噴射ノズル（６Ｂ）及び燃焼ガス噴射ノズル（６Ｄ）より噴射するＡ型ジェット兼ロケット合体機関。
【請求項２８５】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却長時間燃焼して１００ＭＰａ以下過熱蒸気爆発力＋１００ＭＰａ以下燃焼ガス爆発力等に分割して夫々過熱蒸気噴射ノズル（６Ｂ）及び燃焼ガス噴射ノズル（６Ｄ）より噴射するＡ型ジェット兼ロケット合体機関。
【請求項２８６】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却燃焼して過熱蒸気爆発力＋燃焼ガス爆発力に分割して夫々過熱蒸気噴射ノズル（６Ｉ）及び燃焼ガス噴射ノズル（６Ｊ）より噴射するＡ型ジェット兼ロケット合体機関。
【請求項２８７】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却燃焼して過熱蒸気爆発力＋燃焼ガス爆発力に分割して夫々過熱蒸気噴射ノズル（６Ｉ）及び燃焼ガス噴射ノズル（６Ｊ）より噴射するＡ型ジェット兼ロケット合体機関。
【請求項２８８】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却長時間燃焼して過熱蒸気爆発力＋燃焼ガス爆発力に分割して夫々過熱蒸気噴射ノズル（６Ｉ）及び燃焼ガス噴射ノズル（６Ｊ）より噴射するＡ型ジェット兼ロケット合体機関。
【請求項２８９】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却長時間燃焼して過熱蒸気爆発力＋燃焼ガス爆発力に分割して夫々過熱蒸気噴射ノズル（６Ｉ）及び燃焼ガス噴射ノズル（６Ｊ）より噴射するＡ型ジェット兼ロケット合体機関。
【請求項２９０】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却燃焼して超臨界圧力過熱蒸気爆発力＋１０ＭＰａ燃焼ガス爆発力等に分割して夫々過熱蒸気噴射ノズル（６Ｉ）及び燃焼ガス噴射ノズル（６Ｊ）より噴射するＡ型ジェット兼ロケット合体機関。
【請求項２９１】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却燃焼して超臨界圧力過熱蒸気爆発力＋１０ＭＰａ燃焼ガス爆発力等に分割して夫々過熱蒸気噴射ノズル（６Ｉ）及び燃焼ガス噴射ノズル（６Ｊ）より噴射するＡ型ジェット兼ロケット合体機関。
【請求項２９２】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却長時間燃焼して超臨界圧力過熱蒸気爆発力＋１０ＭＰａ燃焼ガス爆発力等に分割して夫々過熱蒸気噴射ノズル（６Ｉ）及び燃焼ガス噴射ノズル（６Ｊ）より噴射するＡ型ジェット兼ロケット合体機関。
【請求項２９３】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却長時間燃焼して超臨界圧力過熱蒸気爆発力＋１０ＭＰａ燃焼ガス爆発力等に分割して夫々過熱蒸気噴射ノズル（６Ｉ）及び燃焼ガス噴射ノズル（６Ｊ）より噴射するＡ型ジェット兼ロケット合体機関。
【請求項２９４】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却燃焼して１００ＭＰａ以下過熱蒸気爆発力＋１００ＭＰａ以下燃焼ガス爆発力等に分割して夫々過熱蒸気噴射ノズル（６Ｉ）及び燃焼ガス噴射ノズル（６Ｊ）より噴射するＡ型ジェット兼ロケット合体機関。
【請求項２９５】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却燃焼して１００ＭＰａ以下過熱蒸気爆発力＋１００ＭＰａ以下燃焼ガス爆発力等に分割して夫々過熱蒸気噴射ノズル（６Ｉ）及び燃焼ガス噴射ノズル（６Ｊ）より噴射するＡ型ジェット兼ロケット合体機関。
【請求項２９６】
Ａ型ジェット兼ロケット合体機関燃焼部２９Ａの吸気弁（２８）より１回以上予圧した空気を吸入し、拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却長時間燃焼して１００ＭＰａ以下過熱蒸気爆発力＋１００ＭＰａ以下燃焼ガス爆発力等に分割して夫々過熱蒸気噴射ノズル（６Ｉ）及び燃焼ガス噴射ノズル（６Ｊ）より噴射するＡ型ジェット兼ロケット合体機関。
【請求項２９７】
Ａ型ジェット兼ロケット合体機関燃焼部２９Ａの吸気弁（２８）より１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却長時間燃焼して１００ＭＰａ以下過熱蒸気爆発力＋１００ＭＰａ以下燃焼ガス爆発力等に分割して夫々過熱蒸気噴射ノズル（６Ｉ）及び燃焼ガス噴射ノズル（６Ｊ）より噴射するＡ型ジェット兼ロケット合体機関。
【請求項２９８】
Ａ型ジェット兼ロケット合体機関燃焼部２９Ａの拡径ビストン（２１）によりＡ型エネルギ保存圧縮機（２０Ａ）で１回以上予圧した空気を吸入圧縮するＡ型ジェット兼ロケット合体機関。
【請求項２９９】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮するＡ型ジェット兼ロケット合体機関。
【請求項３００】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給するＡ型ジェット兼ロケット合体機関。
【請求項３０１】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼するＡ型ジェット兼ロケット合体機関。
【請求項３０２】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼するＡ型ジェット兼ロケット合体機関。
【請求項３０３】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼するＡ型ジェット兼ロケット合体機関。
【請求項３０４】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼するＡ型ジェット兼ロケット合体機関。
【請求項３０５】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却燃焼するＡ型ジェット兼ロケット合体機関。
【請求項３０６】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却燃焼するＡ型ジェット兼ロケット合体機関。
【請求項３０７】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却長時間燃焼するＡ型ジェット兼ロケット合体機関。
【請求項３０８】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却長時間燃焼するＡ型ジェット兼ロケット合体機関。
【請求項３０９】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却燃焼して過熱蒸気爆発力＋燃焼ガス爆発力に分割するＡ型ジェット兼ロケット合体機関。
【請求項３１０】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却燃焼して過熱蒸気爆発力＋燃焼ガス爆発力に分割するＡ型ジェット兼ロケット合体機関。
【請求項３１１】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却長時間燃焼して過熱蒸気爆発力＋燃焼ガス爆発力に分割するＡ型ジェット兼ロケット合体機関。
【請求項３１２】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却長時間燃焼して過熱蒸気爆発力＋燃焼ガス爆発力に分割するＡ型ジェット兼ロケット合体機関。
【請求項３１３】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却燃焼して超臨界圧力過熱蒸気爆発力＋１０ＭＰａ燃焼ガス爆発力等に分割するＡ型ジェット兼ロケット合体機関。
【請求項３１４】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却燃焼して超臨界圧力過熱蒸気爆発力＋１０ＭＰａ燃焼ガス爆発力等に分割するＡ型ジェット兼ロケット合体機関。
【請求項３１５】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却長時間燃焼して超臨界圧力過熱蒸気爆発力＋１０ＭＰａ燃焼ガス爆発力等に分割するＡ型ジェット兼ロケット合体機関。
【請求項３１６】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却長時間燃焼して超臨界圧力過熱蒸気爆発力＋１０ＭＰａ燃焼ガス爆発力等に分割するＡ型ジェット兼ロケット合体機関。
【請求項３１７】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却燃焼して１００ＭＰａ以下過熱蒸気爆発力＋１００ＭＰａ以下燃焼ガス爆発力等に分割するＡ型ジェット兼ロケット合体機関。
【請求項３１８】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却燃焼して１００ＭＰａ以下過熱蒸気爆発力＋１００ＭＰａ以下燃焼ガス爆発力等に分割するＡ型ジェット兼ロケット合体機関。
【請求項３１９】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却長時間燃焼して１００ＭＰａ以下過熱蒸気爆発力＋１００ＭＰａ以下燃焼ガス爆発力等に分割するＡ型ジェット兼ロケット合体機関。
【請求項３２０】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却長時間燃焼して１００ＭＰａ以下過熱蒸気爆発力＋１００ＭＰａ以下燃焼ガス爆発力等に分割するＡ型ジェット兼ロケット合体機関。
【請求項３２１】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却燃焼して過熱蒸気爆発力＋燃焼ガス爆発力に分割して夫々過熱蒸気噴射ノズル（６Ａ）及び燃焼ガス噴射ノズル（６Ｃ）より噴射するＡ型ジェット兼ロケット合体機関。
【請求項３２２】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却燃焼して過熱蒸気爆発力＋燃焼ガス爆発力に分割して夫々過熱蒸気噴射ノズル（６Ａ）及び燃焼ガス噴射ノズル（６Ｃ）より噴射するＡ型ジェット兼ロケット合体機関。
【請求項３２３】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却長時間燃焼して過熱蒸気爆発力＋燃焼ガス爆発力に分割して夫々過熱蒸気噴射ノズル（６Ａ）及び燃焼ガス噴射ノズル（６Ｃ）より噴射するＡ型ジェット兼ロケット合体機関。
【請求項３２４】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却長時間燃焼して過熱蒸気爆発力＋燃焼ガス爆発力に分割して夫々過熱蒸気噴射ノズル（６Ａ）及び燃焼ガス噴射ノズル（６Ｃ）より噴射するＡ型ジェット兼ロケット合体機関。
【請求項３２５】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却燃焼して超臨界圧力過熱蒸気爆発力＋１０ＭＰａ燃焼ガス爆発力等に分割して夫々過熱蒸気噴射ノズル（６Ａ）及び燃焼ガス噴射ノズル（６Ｃ）より噴射するＡ型ジェット兼ロケット合体機関。
【請求項３２６】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却燃焼して超臨界圧力過熱蒸気爆発力＋１０ＭＰａ燃焼ガス爆発力等に分割して夫々過熱蒸気噴射ノズル（６Ａ）及び燃焼ガス噴射ノズル（６Ｃ）より噴射するＡ型ジェット兼ロケット合体機関。
【請求項３２７】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却長時間燃焼して超臨界圧力過熱蒸気爆発力＋１０ＭＰａ燃焼ガス爆発力等に分割して夫々過熱蒸気噴射ノズル（６Ａ）及び燃焼ガス噴射ノズル（６Ｃ）より噴射するＡ型ジェット兼ロケット合体機関。
【請求項３２８】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却長時間燃焼して超臨界圧力過熱蒸気爆発力＋１０ＭＰａ燃焼ガス爆発力等に分割して夫々過熱蒸気噴射ノズル（６Ａ）及び燃焼ガス噴射ノズル（６Ｃ）より噴射するＡ型ジェット兼ロケット合体機関。
【請求項３２９】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却燃焼して１００ＭＰａ以下過熱蒸気爆発力＋１００ＭＰａ以下燃焼ガス爆発力等に分割して夫々過熱蒸気噴射ノズル（６Ａ）及び燃焼ガス噴射ノズル（６Ｃ）より噴射するＡ型ジェット兼ロケット合体機関。
【請求項３３０】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却燃焼して１００ＭＰａ以下過熱蒸気爆発力＋１００ＭＰａ以下燃焼ガス爆発力等に分割して夫々過熱蒸気噴射ノズル（６Ａ）及び燃焼ガス噴射ノズル（６Ｃ）より噴射するＡ型ジェット兼ロケット合体機関。
【請求項３３１】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却長時間燃焼して１００ＭＰａ以下過熱蒸気爆発力＋１００ＭＰａ以下燃焼ガス爆発力等に分割して夫々過熱蒸気噴射ノズル（６Ａ）及び燃焼ガス噴射ノズル（６Ｃ）より噴射するＡ型ジェット兼ロケット合体機関。
【請求項３３２】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却長時間燃焼して１００ＭＰａ以下過熱蒸気爆発力＋１００ＭＰａ以下燃焼ガス爆発力等に分割して夫々過熱蒸気噴射ノズル（６Ａ）及び燃焼ガス噴射ノズル（６Ｃ）より噴射するＡ型ジェット兼ロケット合体機関。
【請求項３３３】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却燃焼して過熱蒸気爆発力＋燃焼ガス爆発力に分割して夫々過熱蒸気噴射ノズル（６Ｂ）及び燃焼ガス噴射ノズル（６Ｄ）より噴射するＡ型ジェット兼ロケット合体機関。
【請求項３３４】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却燃焼して過熱蒸気爆発力＋燃焼ガス爆発力に分割して夫々過熱蒸気噴射ノズル（６Ｂ）及び燃焼ガス噴射ノズル（６Ｄ）より噴射するＡ型ジェット兼ロケット合体機関。
【請求項３３５】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却長時間燃焼して過熱蒸気爆発力＋燃焼ガス爆発力に分割して夫々過熱蒸気噴射ノズル（６Ｂ）及び燃焼ガス噴射ノズル（６Ｄ）より噴射するＡ型ジェット兼ロケット合体機関。
【請求項３３６】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却長時間燃焼して過熱蒸気爆発力＋燃焼ガス爆発力に分割して夫々過熱蒸気噴射ノズル（６Ｂ）及び燃焼ガス噴射ノズル（６Ｄ）より噴射するＡ型ジェット兼ロケット合体機関。
【請求項３３７】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却燃焼して超臨界圧力過熱蒸気爆発力＋１０ＭＰａ燃焼ガス爆発力等に分割して夫々過熱蒸気噴射ノズル（６Ｂ）及び燃焼ガス噴射ノズル（６Ｄ）より噴射するＡ型ジェット兼ロケット合体機関。
【請求項３３８】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却燃焼して超臨界圧力過熱蒸気爆発力＋１０ＭＰａ燃焼ガス爆発力等に分割して夫々過熱蒸気噴射ノズル（６Ｂ）及び燃焼ガス噴射ノズル（６Ｄ）より噴射するＡ型ジェット兼ロケット合体機関。
【請求項３３９】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却長時間燃焼して超臨界圧力過熱蒸気爆発力＋１０ＭＰａ燃焼ガス爆発力等に分割して夫々過熱蒸気噴射ノズル（６Ｂ）及び燃焼ガス噴射ノズル（６Ｄ）より噴射するＡ型ジェット兼ロケット合体機関。
【請求項３４０】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却長時間燃焼して超臨界圧力過熱蒸気爆発力＋１０ＭＰａ燃焼ガス爆発力等に分割して夫々過熱蒸気噴射ノズル（６Ｂ）及び燃焼ガス噴射ノズル（６Ｄ）より噴射するＡ型ジェット兼ロケット合体機関。
【請求項３４１】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却燃焼して１００ＭＰａ以下過熱蒸気爆発力＋１００ＭＰａ以下燃焼ガス爆発力等に分割して夫々過熱蒸気噴射ノズル（６Ｂ）及び燃焼ガス噴射ノズル（６Ｄ）より噴射するＡ型ジェット兼ロケット合体機関。
【請求項３４２】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却燃焼して１００ＭＰａ以下過熱蒸気爆発力＋１００ＭＰａ以下燃焼ガス爆発力等に分割して夫々過熱蒸気噴射ノズル（６Ｂ）及び燃焼ガス噴射ノズル（６Ｄ）より噴射するＡ型ジェット兼ロケット合体機関。
【請求項３４３】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却長時間燃焼して１００ＭＰａ以下過熱蒸気爆発力＋１００ＭＰａ以下燃焼ガス爆発力等に分割して夫々過熱蒸気噴射ノズル（６Ｂ）及び燃焼ガス噴射ノズル（６Ｄ）より噴射するＡ型ジェット兼ロケット合体機関。
【請求項３４４】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却長時間燃焼して１００ＭＰａ以下過熱蒸気爆発力＋１００ＭＰａ以下燃焼ガス爆発力等に分割して夫々過熱蒸気噴射ノズル（６Ｂ）及び燃焼ガス噴射ノズル（６Ｄ）より噴射するＡ型ジェット兼ロケット合体機関。
【請求項３４５】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却燃焼して過熱蒸気爆発力＋燃焼ガス爆発力に分割して夫々過熱蒸気噴射ノズル（６Ｉ）及び燃焼ガス噴射ノズル（６Ｊ）より噴射するＡ型ジェット兼ロケット合体機関。
【請求項３４６】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却燃焼して過熱蒸気爆発力＋燃焼ガス爆発力に分割して夫々過熱蒸気噴射ノズル（６Ｉ）及び燃焼ガス噴射ノズル（６Ｊ）より噴射するＡ型ジェット兼ロケット合体機関。
【請求項３４７】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却長時間燃焼して過熱蒸気爆発力＋燃焼ガス爆発力に分割して夫々過熱蒸気噴射ノズル（６Ｉ）及び燃焼ガス噴射ノズル（６Ｊ）より噴射するＡ型ジェット兼ロケット合体機関。
【請求項３４８】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却長時間燃焼して過熱蒸気爆発力＋燃焼ガス爆発力に分割して夫々過熱蒸気噴射ノズル（６Ｉ）及び燃焼ガス噴射ノズル（６Ｊ）より噴射するＡ型ジェット兼ロケット合体機関。
【請求項３４９】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却燃焼して超臨界圧力過熱蒸気爆発力＋１０ＭＰａ燃焼ガス爆発力等に分割して夫々過熱蒸気噴射ノズル（６Ｉ）及び燃焼ガス噴射ノズル（６Ｊ）より噴射するＡ型ジェット兼ロケット合体機関。
【請求項３５０】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却燃焼して超臨界圧力過熱蒸気爆発力＋１０ＭＰａ燃焼ガス爆発力等に分割して夫々過熱蒸気噴射ノズル（６Ｉ）及び燃焼ガス噴射ノズル（６Ｊ）より噴射するＡ型ジェット兼ロケット合体機関。
【請求項３５１】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却長時間燃焼して超臨界圧力過熱蒸気爆発力＋１０ＭＰａ燃焼ガス爆発力等に分割して夫々過熱蒸気噴射ノズル（６Ｉ）及び燃焼ガス噴射ノズル（６Ｊ）より噴射するＡ型ジェット兼ロケット合体機関。
【請求項３５２】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却長時間燃焼して超臨界圧力過熱蒸気爆発力＋１０ＭＰａ燃焼ガス爆発力等に分割して夫々過熱蒸気噴射ノズル（６Ｉ）及び燃焼ガス噴射ノズル（６Ｊ）より噴射するＡ型ジェット兼ロケット合体機関。
【請求項３５３】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却燃焼して１００ＭＰａ以下過熱蒸気爆発力＋１００ＭＰａ以下燃焼ガス爆発力等に分割して夫々過熱蒸気噴射ノズル（６Ｉ）及び燃焼ガス噴射ノズル（６Ｊ）より噴射するＡ型ジェット兼ロケット合体機関。
【請求項３５４】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却燃焼して１００ＭＰａ以下過熱蒸気爆発力＋１００ＭＰａ以下燃焼ガス爆発力等に分割して夫々過熱蒸気噴射ノズル（６Ｉ）及び燃焼ガス噴射ノズル（６Ｊ）より噴射するＡ型ジェット兼ロケット合体機関。
【請求項３５５】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、燃料噴射電磁弁（７ｃ）の噴射燃料と攪拌燃焼して高圧燃焼熱交換冷却長時間燃焼して１００ＭＰａ以下過熱蒸気爆発力＋１００ＭＰａ以下燃焼ガス爆発力等に分割して夫々過熱蒸気噴射ノズル（６Ｉ）及び燃焼ガス噴射ノズル（６Ｊ）より噴射するＡ型ジェット兼ロケット合体機関。
【請求項３５６】
Ａ型ジェット兼ロケット合体機関燃焼部２９Ａの吸気弁（２８）よりＡ型エネルギ保存圧縮機（２０Ａ）で１回以上予圧した空気を吸入して拡径ビストン（２１）により圧縮して逆止弁（９７）より縮径主燃焼室兼熱交換器（１）に供給し、公知の燃料噴射装置からの噴射燃料と攪拌燃焼して高圧燃焼熱交換冷却長時間燃焼して１００ＭＰａ以下過熱蒸気爆発力＋１００ＭＰａ以下燃焼ガス爆発力等に分割して夫々過熱蒸気噴射ノズル（６Ｉ）及び燃焼ガス噴射ノズル（６Ｊ）より噴射するＡ型ジェット兼ロケット合体機関。
【請求項３５７】
過熱蒸気噴射ノズル（６Ａ）の１００ＭＰａ以下過熱蒸気爆発力と霧吹きの原理により、１以上の高温水（５２ｂ）を混合噴射加速する水噴射ロケット合体機関。
【請求項３５８】
過熱蒸気噴射ノズル（６Ａ）の１００ＭＰａ以下過熱蒸気爆発力と霧吹きの原理により、１以上の高温水（５２ｂ）を混合噴射加速してロケットノズル９４ａより噴射する水噴射ロケット合体機関。
【請求項３５９】
過熱蒸気噴射ノズル（６Ａ）の１００ＭＰａ以下過熱蒸気爆発力と霧吹きの原理により、１以上の高温水（５２ｂ）を混合噴射加速してロケットノズル９４ａより噴射して大気圏を飛行する水噴射ロケット合体機関。
【請求項３６０】
過熱蒸気噴射ノズル（６Ａ）の１００ＭＰａ以下過熱蒸気爆発力と霧吹きの原理により、１以上の高温水（５２ｂ）を混合噴射加速してロケットノズル９４ａより噴射して真空圏を飛行する水噴射ロケット合体機関。
【請求項３６１】
過熱蒸気噴射ノズル（６Ａ）の１００ＭＰａ以下過熱蒸気爆発力と霧吹きの原理により、１以上の高温水（５２ｂ）を混合噴射加速してロケットノズル９４ａより噴射して真空圏を第１宇宙速度で飛行する水噴射ロケット合体機関。
【請求項３６２】
過熱蒸気噴射ノズル（６Ａ）の１００ＭＰａ以下過熱蒸気爆発力と霧吹きの原理により、１以上の高温水（５２ｂ）を混合噴射加速してロケットノズル９４ａより噴射して真空圏を第２宇宙速度で飛行する水噴射ロケット合体機関。
【請求項３６３】
過熱蒸気噴射ノズル（６Ａ）の１００ＭＰａ以下過熱蒸気爆発力と霧吹きの原理により、１以上の高温水（５２ｂ）を混合噴射加速してロケットノズル９４ａより噴射して真空圏を第３宇宙速度で飛行する水噴射ロケット合体機関。
【請求項３６４】
過熱蒸気噴射ノズル（６Ａ）の１００ＭＰａ以下過熱蒸気爆発力と霧吹きの原理により、１以上の高温水（５２ｂ）を混合噴射加速してロケットノズル９４ａより噴射して真空圏を第３宇宙速度以上で飛行する水噴射ロケット合体機関。
【請求項３６５】
過熱蒸気噴射ノズル（６Ａ）の１００ＭＰａ以下過熱蒸気爆発力と霧吹きの原理により、１以上の高温水（５２ｂ）を混合噴射加速してロケットノズル９４ａより噴射して真空圏を飛行して大気圏に帰還する水噴射ロケット合体機関。
【請求項３６６】
過熱蒸気噴射ノズル（６Ａ）の１００ＭＰａ以下過熱蒸気爆発力と霧吹きの原理により、１以上の高温水（５２ｂ）を混合噴射加速してロケットノズル９４ａより噴射して真空圏を第１宇宙速度で飛行して大気圏に帰還する水噴射ロケット合体機関。
【請求項３６７】
過熱蒸気噴射ノズル（６Ａ）の１００ＭＰａ以下過熱蒸気爆発力と霧吹きの原理により、１以上の高温水（５２ｂ）を混合噴射加速してロケットノズル９４ａより噴射して真空圏を第２宇宙速度で飛行して大気圏に帰還する水噴射ロケット合体機関。
【請求項３６８】
過熱蒸気噴射ノズル（６Ａ）の１００ＭＰａ以下過熱蒸気爆発力と霧吹きの原理により、１以上の高温水（５２ｂ）を混合噴射加速してロケットノズル９４ａより噴射して真空圏を第３宇宙速度で飛行して大気圏に帰還する水噴射ロケット合体機関。
【請求項３６９】
過熱蒸気噴射ノズル（６Ａ）の１００ＭＰａ以下過熱蒸気爆発力と霧吹きの原理により、１以上の高温水（５２ｂ）を混合噴射加速してロケットノズル９４ａより噴射して真空圏を第３宇宙速度以上で飛行して大気圏に帰還する水噴射ロケット合体機関。
【請求項３７０】
過熱蒸気噴射ノズル（６Ａ）の１００ＭＰａ以下過熱蒸気爆発力と霧吹きの原理により、１以上の高温水（５２ｂ）を混合噴射加速してロケットノズル９４ａより噴射して真空圏を飛行して大気圏に帰還して摩擦熱を回収する水噴射ロケット合体機関。
【請求項３７１】
過熱蒸気噴射ノズル（６Ａ）の１００ＭＰａ以下過熱蒸気爆発力と霧吹きの原理により、１以上の高温水（５２ｂ）を混合噴射加速してロケットノズル９４ａより噴射して真空圏を第１宇宙速度で飛行して大気圏に帰還して摩擦熱を回収する水噴射ロケット合体機関。
【請求項３７２】
過熱蒸気噴射ノズル（６Ａ）の１００ＭＰａ以下過熱蒸気爆発力と霧吹きの原理により、１以上の高温水（５２ｂ）を混合噴射加速してロケットノズル９４ａより噴射して真空圏を第２宇宙速度で飛行して大気圏に帰還して摩擦熱を回収する水噴射ロケット合体機関。
【請求項３７３】
過熱蒸気噴射ノズル（６Ａ）の１００ＭＰａ以下過熱蒸気爆発力と霧吹きの原理により、１以上の高温水（５２ｂ）を混合噴射加速してロケットノズル９４ａより噴射して真空圏を第３宇宙速度で飛行して大気圏に帰還して摩擦熱を回収する水噴射ロケット合体機関。
【請求項３７４】
過熱蒸気噴射ノズル（６Ａ）の１００ＭＰａ以下過熱蒸気爆発力と霧吹きの原理により、１以上の高温水（５２ｂ）を混合噴射加速してロケットノズル９４ａより噴射して真空圏を第３宇宙速度以上で飛行して大気圏に帰還して摩擦熱を回収する水噴射ロケット合体機関。
【請求項３７５】
過熱蒸気噴射ノズル（６Ａ）の１００ＭＰａ以下過熱蒸気爆発力と霧吹きの原理により、１以上の高温水（５２ｂ）を混合噴射加速してロケットノズル９４ａより噴射して真空圏を飛行して大気圏に帰還して摩擦熱を導水管（３）で回収する水噴射ロケット合体機関。
【請求項３７６】
過熱蒸気噴射ノズル（６Ａ）の１００ＭＰａ以下過熱蒸気爆発力と霧吹きの原理により、１以上の高温水（５２ｂ）を混合噴射加速してロケットノズル９４ａより噴射して真空圏を第１宇宙速度で飛行して大気圏に帰還して摩擦熱を導水管（３）で回収する水噴射ロケット合体機関。
【請求項３７７】
過熱蒸気噴射ノズル（６Ａ）の１００ＭＰａ以下過熱蒸気爆発力と霧吹きの原理により、１以上の高温水（５２ｂ）を混合噴射加速してロケットノズル９４ａより噴射して真空圏を第２宇宙速度で飛行して大気圏に帰還して摩擦熱を導水管（３）で回収する水噴射ロケット合体機関。
【請求項３７８】
過熱蒸気噴射ノズル（６Ａ）の１００ＭＰａ以下過熱蒸気爆発力と霧吹きの原理により、１以上の高温水（５２ｂ）を混合噴射加速してロケットノズル９４ａより噴射して真空圏を第３宇宙速度で飛行して大気圏に帰還して摩擦熱を導水管（３）で回収する水噴射ロケット合体機関。
【請求項３７９】
過熱蒸気噴射ノズル（６Ａ）の１００ＭＰａ以下過熱蒸気爆発力と霧吹きの原理により、１以上の高温水（５２ｂ）を混合噴射加速してロケットノズル９４ａより噴射して真空圏を第３宇宙速度以上で飛行して大気圏に帰還して摩擦熱を導水管（３）で回収する水噴射ロケット合体機関。
【請求項３８０】
過熱蒸気噴射ノズル（６Ａ）の１００ＭＰａ以下過熱蒸気爆発力と霧吹きの原理により、１以上の高温水（５２ｂ）を混合噴射加速してロケットノズル９４ａより噴射して真空圏を飛行して大気圏に帰還して摩擦熱を導水管（３）で回収して利用する水噴射ロケット合体機関。
【請求項３８１】
過熱蒸気噴射ノズル（６Ａ）の１００ＭＰａ以下過熱蒸気爆発力と霧吹きの原理により、１以上の高温水（５２ｂ）を混合噴射加速してロケットノズル９４ａより噴射して真空圏を第１宇宙速度で飛行して大気圏に帰還して摩擦熱を導水管（３）で回収して利用する水噴射ロケット合体機関。
【請求項３８２】
過熱蒸気噴射ノズル（６Ａ）の１００ＭＰａ以下過熱蒸気爆発力と霧吹きの原理により、１以上の高温水（５２ｂ）を混合噴射加速してロケットノズル９４ａより噴射して真空圏を第２宇宙速度で飛行して大気圏に帰還して摩擦熱を導水管（３）で回収して利用する水噴射ロケット合体機関。
【請求項３８３】
過熱蒸気噴射ノズル（６Ａ）の１００ＭＰａ以下過熱蒸気爆発力と霧吹きの原理により、１以上の高温水（５２ｂ）を混合噴射加速してロケットノズル９４ａより噴射して真空圏を第３宇宙速度で飛行して大気圏に帰還して摩擦熱を導水管（３）で回収して利用する水噴射ロケット合体機関。
【請求項３８４】
過熱蒸気噴射ノズル（６Ａ）の１００ＭＰａ以下過熱蒸気爆発力と霧吹きの原理により、１以上の高温水（５２ｂ）を混合噴射加速してロケットノズル９４ａより噴射して真空圏を第３宇宙速度以上で飛行して大気圏に帰還して摩擦熱を導水管（３）で回収して利用する水噴射ロケット合体機関。
【請求項３８５】
過熱蒸気燃焼ガス噴射ノズル（６Ｈ）の１００ＭＰａ以下過熱蒸気爆発力と霧吹きの原理により、１以上の高温水（５２ｂ）を混合噴射加速する固体燃料水噴射ロケット合体機関。
【請求項３８６】
過熱蒸気燃焼ガス噴射ノズル（６Ｈ）の１００ＭＰａ以下過熱蒸気爆発力と霧吹きの原理により、１以上の高温水（５２ｂ）を混合噴射加速する液体燃料水噴射ロケット合体機関。
【請求項３８７】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射する固体燃料水噴射ロケット合体機関。
【請求項３８８】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射する液体燃料水噴射ロケット合体機関。
【請求項３８９】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して大気圏を飛行する固体燃料水噴射ロケット合体機関。
【請求項３９０】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して大気圏を飛行する液体燃料水噴射ロケット合体機関。
【請求項３９１】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を飛行する固体燃料水噴射ロケット合体機関。
【請求項３９２】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を飛行する液体燃料水噴射ロケット合体機関。
【請求項３９３】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を第１宇宙速度で飛行する固体燃料水噴射ロケット合体機関。
【請求項３９４】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を第１宇宙速度で飛行する液体燃料水噴射ロケット合体機関。
【請求項３９５】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を第２宇宙速度で飛行する固体燃料水噴射ロケット合体機関。
【請求項３９６】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を第２宇宙速度で飛行する液体燃料水噴射ロケット合体機関。
【請求項３９７】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を第３宇宙速度で飛行する固体燃料水噴射ロケット合体機関。
【請求項３９８】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を第３宇宙速度で飛行する液体燃料水噴射ロケット合体機関。
【請求項３９９】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を第３宇宙速度以上で飛行する固体燃料水噴射ロケット合体機関。
【請求項４００】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を第３宇宙速度以上で飛行する液体燃料水噴射ロケット合体機関。
【請求項４０１】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を飛行して大気圏に帰還する固体燃料水噴射ロケット合体機関。
【請求項４０２】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を飛行して大気圏に帰還する液体燃料水噴射ロケット合体機関。
【請求項４０３】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を第１宇宙速度で飛行して大気圏に帰還する固体燃料水噴射ロケット合体機関。
【請求項４０４】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を第１宇宙速度で飛行して大気圏に帰還する液体燃料水噴射ロケット合体機関。
【請求項４０５】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を第２宇宙速度で飛行して大気圏に帰還する固体燃料水噴射ロケット合体機関。
【請求項４０６】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を第２宇宙速度で飛行して大気圏に帰還する液体燃料水噴射ロケット合体機関。
【請求項４０７】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を第３宇宙速度で飛行して大気圏に帰還する固体燃料水噴射ロケット合体機関。
【請求項４０８】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を第３宇宙速度で飛行して大気圏に帰還する液体燃料水噴射ロケット合体機関。
【請求項４０９】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を第３宇宙速度以上で飛行して大気圏に帰還する固体燃料水噴射ロケット合体機関。
【請求項４１０】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を第３宇宙速度以上で飛行して大気圏に帰還する液体燃料水噴射ロケット合体機関。
【請求項４１１】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を飛行して大気圏に帰還して摩擦熱を回収する固体燃料水噴射ロケット合体機関。
【請求項４１２】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を飛行して大気圏に帰還して摩擦熱を回収する液体燃料水噴射ロケット合体機関。
【請求項４１３】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を第１宇宙速度で飛行して大気圏に帰還して摩擦熱を回収する固体燃料水噴射ロケット合体機関。
【請求項４１４】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を第１宇宙速度で飛行して大気圏に帰還して摩擦熱を回収する液体燃料水噴射ロケット合体機関。
【請求項４１５】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を第２宇宙速度で飛行して大気圏に帰還して摩擦熱を回収する固体燃料水噴射ロケット合体機関。
【請求項４１６】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を第２宇宙速度で飛行して大気圏に帰還して摩擦熱を回収する液体燃料水噴射ロケット合体機関。
【請求項４１７】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を第３宇宙速度で飛行して大気圏に帰還して摩擦熱を回収する固体燃料水噴射ロケット合体機関。
【請求項４１８】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を第３宇宙速度で飛行して大気圏に帰還して摩擦熱を回収する液体燃料水噴射ロケット合体機関。
【請求項４１９】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を第３宇宙速度以上で飛行して大気圏に帰還して摩擦熱を回収する固体燃料水噴射ロケット合体機関。
【請求項４２０】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を第３宇宙速度以上で飛行して大気圏に帰還して摩擦熱を回収する液体燃料水噴射ロケット合体機関。
【請求項４２１】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を飛行して大気圏に帰還して摩擦熱を導水管（３）で回収する固体燃料水噴射ロケット合体機関。
【請求項４２２】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を飛行して大気圏に帰還して摩擦熱を導水管（３）で回収する液体燃料水噴射ロケット合体機関。
【請求項４２３】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を第１宇宙速度で飛行して大気圏に帰還して摩擦熱を導水管（３）で回収する固体燃料水噴射ロケット合体機関。
【請求項４２４】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を第１宇宙速度で飛行して大気圏に帰還して摩擦熱を導水管（３）で回収する液体燃料水噴射ロケット合体機関。
【請求項４２５】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を第２宇宙速度で飛行して大気圏に帰還して摩擦熱を導水管（３）で回収する固体燃料水噴射ロケット合体機関。
【請求項４２６】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を第２宇宙速度で飛行して大気圏に帰還して摩擦熱を導水管（３）で回収する液体燃料水噴射ロケット合体機関。
【請求項４２７】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を第３宇宙速度で飛行して大気圏に帰還して摩擦熱を導水管（３）で回収する固体燃料水噴射ロケット合体機関。
【請求項４２８】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を第３宇宙速度で飛行して大気圏に帰還して摩擦熱を導水管（３）で回収する液体燃料水噴射ロケット合体機関。
【請求項４２９】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を第３宇宙速度以上で飛行して大気圏に帰還して摩擦熱を導水管（３）で回収する固体燃料水噴射ロケット合体機関。
【請求項４３０】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を第３宇宙速度以上で飛行して大気圏に帰還して摩擦熱を導水管（３）で回収する液体燃料水噴射ロケット合体機関。
【請求項４３１】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を飛行して大気圏に帰還して摩擦熱を導水管（３）で回収して利用する固体燃料水噴射ロケット合体機関。
【請求項４３２】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を飛行して大気圏に帰還して摩擦熱を導水管（３）で回収して利用する液体燃料水噴射ロケット合体機関。
【請求項４３３】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を第１宇宙速度で飛行して大気圏に帰還して摩擦熱を導水管（３）で回収して利用する固体燃料水噴射ロケット合体機関。
【請求項４３４】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を第１宇宙速度で飛行して大気圏に帰還して摩擦熱を導水管（３）で回収して利用する液体燃料水噴射ロケット合体機関。
【請求項４３５】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を第２宇宙速度で飛行して大気圏に帰還して摩擦熱を導水管（３）で回収して利用する固体燃料水噴射ロケット合体機関。
【請求項４３６】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を第２宇宙速度で飛行して大気圏に帰還して摩擦熱を導水管（３）で回収して利用する液体燃料水噴射ロケット合体機関。
【請求項４３７】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を第３宇宙速度で飛行して大気圏に帰還して摩擦熱を導水管（３）で回収して利用する固体燃料水噴射ロケット合体機関。
【請求項４３８】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を第３宇宙速度で飛行して大気圏に帰還して摩擦熱を導水管（３）で回収して利用する液体燃料水噴射ロケット合体機関。
【請求項４３９】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を第３宇宙速度以上で飛行して大気圏に帰還して摩擦熱を導水管（３）で回収して利用する固体燃料水噴射ロケット合体機関。
【請求項４４０】
過熱蒸気燃焼ガス噴射ノズル（６Ｈ）の１００ＭＰａ以下過熱蒸気爆発力と霧吹きの原理により、１以上の高温水（５２ｂ）を混合噴射加速してロケットノズル９４ａより噴射して真空圏を第３宇宙速度以上で飛行して大気圏に帰還して摩擦熱を導水管（３）で回収して利用する液体燃料水噴射ロケット合体機関。
【請求項４４１】
過熱蒸気噴射ノズル（６Ａ）の１００ＭＰａ以下過熱蒸気爆発力と霧吹きの原理により、１以上の高温水（５２ｂ）を混合噴射加速するジェット兼ロケット合体機関。
【請求項４４２】
過熱蒸気噴射ノズル（６Ａ）の１００ＭＰａ以下過熱蒸気爆発力と霧吹きの原理により、１以上の水（５２ａ）を混合噴射加速するジェット兼ロケット合体機関。
【請求項４４３】
過熱蒸気噴射ノズル（６Ａ）の１００ＭＰａ以下過熱蒸気爆発力と霧吹きの原理により、１以上の高温水（５２ｂ）を混合噴射加速して弾み車蒸気タービン（８ｂ）に噴射するジェット兼ロケット合体機関。
【請求項４４４】
過熱蒸気噴射ノズル（６Ａ）の１００ＭＰａ以下過熱蒸気爆発力と霧吹きの原理により、１以上の水（５２ａ）を混合噴射加速して弾み車蒸気タービン（８ｂ）に噴射するジェット兼ロケット合体機関。
【請求項４４５】
過熱蒸気噴射ノズル（６Ａ）の１００ＭＰａ以下過熱蒸気爆発力と霧吹きの原理により、１以上の高温水（５２ｂ）を混合噴射加速して弾み車蒸気タービン（８ｂ）に噴射して回転出力を燃焼ガスの１０００倍に近付けるジェット兼ロケット合体機関。
【請求項４４６】
過熱蒸気噴射ノズル（６Ａ）の１００ＭＰａ以下過熱蒸気爆発力と霧吹きの原理により、１以上の水（５２ａ）を混合噴射加速して弾み車蒸気タービン（８ｂ）に噴射して回転出力を燃焼ガスの１０００倍に近付けるジェット兼ロケット合体機関。
【請求項４４７】
過熱蒸気噴射ノズル（６Ａ）の１００ＭＰａ以下過熱蒸気爆発力と霧吹きの原理により、１以上の高温水（５２ｂ）を混合噴射加速して弾み車蒸気タービン（８ｂ）に噴射して回転出力を燃焼ガスの１０００倍に近付けてクランク軸（１６）を回転するジェット兼ロケット合体機関。
【請求項４４８】
過熱蒸気噴射ノズル（６Ａ）の１００ＭＰａ以下過熱蒸気爆発力と霧吹きの原理により、１以上の水（５２ａ）を混合噴射加速して弾み車蒸気タービン（８ｂ）に噴射して回転出力を燃焼ガスの１０００倍に近付けてクランク軸（１６）を回転するジェット兼ロケット合体機関。
【請求項４４９】
過熱蒸気噴射ノズル（６Ａ）の１００ＭＰａ以下過熱蒸気爆発力と霧吹きの原理により、１以上の高温水（５２ｂ）を混合噴射加速して弾み車蒸気タービン（８ｂ）に噴射して回転出力を燃焼ガスの１０００倍に近付けてクランク軸（１６）を回転して両頭拡径ピストン（２１）を往復させるジェット兼ロケット合体機関。
【請求項４５０】
過熱蒸気噴射ノズル（６Ａ）の１００ＭＰａ以下過熱蒸気爆発力と霧吹きの原理により、１以上の水（５２ａ）を混合噴射加速して弾み車蒸気タービン（８ｂ）に噴射して回転出力を燃焼ガスの１０００倍に近付けてクランク軸（１６）を回転して両頭拡径ピストン（２１）を往復させるジェット兼ロケット合体機関。
【請求項４５１】
過熱蒸気噴射ノズル（６Ａ）の１００ＭＰａ以下過熱蒸気爆発力と霧吹きの原理により、１以上の高温水（５２ｂ）を混合噴射加速して弾み車蒸気タービン（８ｂ）に噴射して回転出力を燃焼ガスの１０００倍に近付けてクランク軸（１６）を回転して両頭拡径ピストン（２１）と予圧圧縮機を往復させるジェット兼ロケット合体機関。
【請求項４５２】
過熱蒸気噴射ノズル（６Ａ）の１００ＭＰａ以下過熱蒸気爆発力と霧吹きの原理により、１以上の水（５２ａ）を混合噴射加速して弾み車蒸気タービン（８ｂ）に噴射して回転出力を燃焼ガスの１０００倍に近付けてクランク軸（１６）を回転して両頭拡径ピストン（２１）と予圧圧縮機を往復させるジェット兼ロケット合体機関。
【請求項４５３】
過熱蒸気噴射ノズル（６Ａ）の１００ＭＰａ以下過熱蒸気爆発力と霧吹きの原理により、１以上の高温水（５２ｂ）を混合噴射加速して弾み車蒸気タービン（８ｂ）に噴射して回転出力を燃焼ガスの１０００倍に近付けてクランク軸（１６）を回転して両頭拡径ピストン（２１）及びエネルギ保存圧縮機（２０Ｘ）を往復させるジェット兼ロケット合体機関。
【請求項４５４】
過熱蒸気噴射ノズル（６Ａ）の１００ＭＰａ以下過熱蒸気爆発力と霧吹きの原理により、１以上の水（５２ａ）を混合噴射加速して弾み車蒸気タービン（８ｂ）に噴射して回転出力を燃焼ガスの１０００倍に近付けてクランク軸（１６）を回転して両頭拡径ピストン（２１）及びエネルギ保存圧縮機（２０Ｘ）を往復させるジェット兼ロケット合体機関。
【請求項４５５】
過熱蒸気噴射ノズル（６Ａ）の１００ＭＰａ以下過熱蒸気爆発力と霧吹きの原理により、１以上の高温水（５２ｂ）を混合噴射加速して弾み車蒸気タービン（８ｂ）に噴射して回転出力を燃焼ガスの１０００倍に近付けてクランク軸（１６）を回転して両頭拡径ピストン（２１）を往復させて予圧した空気を圧縮するジェット兼ロケット合体機関。
【請求項４５６】
過熱蒸気噴射ノズル（６Ａ）の１００ＭＰａ以下過熱蒸気爆発力と霧吹きの原理により、１以上の水（５２ａ）を混合噴射加速して弾み車蒸気タービン（８ｂ）に噴射して回転出力を燃焼ガスの１０００倍に近付けてクランク軸（１６）を回転して両頭拡径ピストン（２１）を往復させて予圧した空気を圧縮するジェット兼ロケット合体機関。
【請求項４５７】
過熱蒸気噴射ノズル（６Ａ）の１００ＭＰａ以下過熱蒸気爆発力と霧吹きの原理により、１以上の高温水（５２ｂ）を混合噴射加速して弾み車蒸気タービン（８ｂ）に噴射して回転出力を燃焼ガスの１０００倍に近付けてクランク軸（１６）を回転して両頭拡径ピストン（２１）と予圧圧縮機を往復させて予圧した空気を圧縮するジェット兼ロケット合体機関。
【請求項４５８】
過熱蒸気噴射ノズル（６Ａ）の１００ＭＰａ以下過熱蒸気爆発力と霧吹きの原理により、１以上の水（５２ａ）を混合噴射加速して弾み車蒸気タービン（８ｂ）に噴射して回転出力を燃焼ガスの１０００倍に近付けてクランク軸（１６）を回転して両頭拡径ピストン（２１）と予圧圧縮機を往復させて予圧した空気を圧縮するジェット兼ロケット合体機関。
【請求項４５９】
過熱蒸気噴射ノズル（６Ａ）の１００ＭＰａ以下過熱蒸気爆発力と霧吹きの原理により、１以上の高温水（５２ｂ）を混合噴射加速して弾み車蒸気タービン（８ｂ）に噴射して回転出力を燃焼ガスの１０００倍に近付けてクランク軸（１６）を回転して両頭拡径ピストン（２１）及びエネルギ保存圧縮機（２０Ｘ）を往復させて予圧した空気を圧縮するジェット兼ロケット合体機関。
【請求項４６０】
過熱蒸気噴射ノズル（６Ａ）の１００ＭＰａ以下過熱蒸気爆発力と霧吹きの原理により、１以上の水（５２ａ）を混合噴射加速して弾み車蒸気タービン（８ｂ）に噴射して回転出力を燃焼ガスの１０００倍に近付けてクランク軸（１６）を回転して両頭拡径ピストン（２１）及びエネルギ保存圧縮機（２０Ｘ）を往復させて予圧した空気を圧縮するジェット兼ロケット合体機関。
【請求項４６１】
過熱蒸気噴射ノズル（６Ａ）の１００ＭＰａ以下過熱蒸気爆発力と霧吹きの原理により、１以上の高温水（５２ｂ）を混合噴射加速して弾み車蒸気タービン（８ｂ）に噴射して回転出力を燃焼ガスの１０００倍に近付けてクランク軸（１６）を回転して両頭拡径ピストン（２１）を往復させて予圧と飛行速度で圧縮した空気を圧縮するジェット兼ロケット合体機関。
【請求項４６２】
過熱蒸気噴射ノズル（６Ａ）の１００ＭＰａ以下過熱蒸気爆発力と霧吹きの原理により、１以上の水（５２ａ）を混合噴射加速して弾み車蒸気タービン（８ｂ）に噴射して回転出力を燃焼ガスの１０００倍に近付けてクランク軸（１６）を回転して両頭拡径ピストン（２１）を往復させて予圧と飛行速度で圧縮した空気を圧縮するジェット兼ロケット合体機関。
【請求項４６３】
過熱蒸気噴射ノズル（６Ａ）の１００ＭＰａ以下過熱蒸気爆発力と霧吹きの原理により、１以上の高温水（５２ｂ）を混合噴射加速して弾み車蒸気タービン（８ｂ）に噴射して回転出力を燃焼ガスの１０００倍に近付けてクランク軸（１６）を回転して両頭拡径ピストン（２１）と予圧圧縮機を往復させて予圧と飛行速度で圧縮した空気を圧縮するジェット兼ロケット合体機関。
【請求項４６４】
過熱蒸気噴射ノズル（６Ａ）の１００ＭＰａ以下過熱蒸気爆発力と霧吹きの原理により、１以上の水（５２ａ）を混合噴射加速して弾み車蒸気タービン（８ｂ）に噴射して回転出力を燃焼ガスの１０００倍に近付けてクランク軸（１６）を回転して両頭拡径ピストン（２１）と予圧圧縮機を往復させて予圧と飛行速度で圧縮した空気を圧縮するジェット兼ロケット合体機関。
【請求項４６５】
過熱蒸気噴射ノズル（６Ａ）の１００ＭＰａ以下過熱蒸気爆発力と霧吹きの原理により、１以上の高温水（５２ｂ）を混合噴射加速して弾み車蒸気タービン（８ｂ）に噴射して回転出力を燃焼ガスの１０００倍に近付けてクランク軸（１６）を回転して両頭拡径ピストン（２１）及びエネルギ保存圧縮機（２０Ｘ）を往復させて予圧と飛行速度で圧縮した空気を圧縮するジェット兼ロケット合体機関。
【請求項４６６】
過熱蒸気噴射ノズル（６Ａ）の１００ＭＰａ以下過熱蒸気爆発力と霧吹きの原理により、１以上の水（５２ａ）を混合噴射加速して弾み車蒸気タービン（８ｂ）に噴射して回転出力を燃焼ガスの１０００倍に近付けてクランク軸（１６）を回転して両頭拡径ピストン（２１）及びエネルギ保存圧縮機（２０Ｘ）を往復させて予圧と飛行速度で圧縮した空気を圧縮するジェット兼ロケット合体機関。
【請求項４６７】
過熱蒸気噴射ノズル（６Ａ）の１００ＭＰａ以下過熱蒸気爆発力と霧吹きの原理により、１以上の高温水（５２ｂ）を混合噴射加速して弾み車蒸気タービン（８ｂ）に噴射して回転出力を燃焼ガスの１０００倍に近付けてクランク軸（１６）を回転して両頭拡径ピストン（２１）を往復させて飛行速度で圧縮した空気を圧縮するジェット兼ロケット合体機関。
【請求項４６８】
過熱蒸気噴射ノズル（６Ａ）の１００ＭＰａ以下過熱蒸気爆発力と霧吹きの原理により、１以上の水（５２ａ）を混合噴射加速して弾み車蒸気タービン（８ｂ）に噴射して回転出力を燃焼ガスの１０００倍に近付けてクランク軸（１６）を回転して両頭拡径ピストン（２１）を往復させて飛行速度で圧縮した空気を圧縮するジェット兼ロケット合体機関。
【請求項４６９】
過熱蒸気噴射ノズル（６Ａ）の１００ＭＰａ以下過熱蒸気爆発力と霧吹きの原理により、１以上の高温水（５２ｂ）を混合噴射加速して弾み車蒸気タービン（８ｂ）に噴射して回転出力を燃焼ガスの１０００倍に近付けてクランク軸（１６）を回転して両頭拡径ピストン（２１）を往復させて予圧した空気を圧縮して燃料と燃焼するジェット兼ロケット合体機関。
【請求項４７０】
過熱蒸気噴射ノズル（６Ａ）の１００ＭＰａ以下過熱蒸気爆発力と霧吹きの原理により、１以上の水（５２ａ）を混合噴射加速して弾み車蒸気タービン（８ｂ）に噴射して回転出力を燃焼ガスの１０００倍に近付けてクランク軸（１６）を回転して両頭拡径ピストン（２１）を往復させて予圧した空気を圧縮して燃料と燃焼するジェット兼ロケット合体機関。
【請求項４７１】
過熱蒸気噴射ノズル（６Ａ）の１００ＭＰａ以下過熱蒸気爆発力と霧吹きの原理により、１以上の高温水（５２ｂ）を混合噴射加速して弾み車蒸気タービン（８ｂ）に噴射して回転出力を燃焼ガスの１０００倍に近付けてクランク軸（１６）を回転して両頭拡径ピストン（２１）と予圧圧縮機を往復させて予圧した空気を圧縮して燃料と燃焼するジェット兼ロケット合体機関。
【請求項４７２】
過熱蒸気噴射ノズル（６Ａ）の１００ＭＰａ以下過熱蒸気爆発力と霧吹きの原理により、１以上の水（５２ａ）を混合噴射加速して弾み車蒸気タービン（８ｂ）に噴射して回転出力を燃焼ガスの１０００倍に近付けてクランク軸（１６）を回転して両頭拡径ピストン（２１）と予圧圧縮機を往復させて予圧した空気を圧縮して燃料と燃焼するジェット兼ロケット合体機関。
【請求項４７３】
過熱蒸気噴射ノズル（６Ａ）の１００ＭＰａ以下過熱蒸気爆発力と霧吹きの原理により、１以上の高温水（５２ｂ）を混合噴射加速して弾み車蒸気タービン（８ｂ）に噴射して回転出力を燃焼ガスの１０００倍に近付けてクランク軸（１６）を回転して両頭拡径ピストン（２１）及びエネルギ保存圧縮機（２０Ｘ）を往復させて予圧した空気を圧縮して燃料と燃焼するジェット兼ロケット合体機関。
【請求項４７４】
過熱蒸気噴射ノズル（６Ａ）の１００ＭＰａ以下過熱蒸気爆発力と霧吹きの原理により、１以上の水（５２ａ）を混合噴射加速して弾み車蒸気タービン（８ｂ）に噴射して回転出力を燃焼ガスの１０００倍に近付けてクランク軸（１６）を回転して両頭拡径ピストン（２１）及びエネルギ保存圧縮機（２０Ｘ）を往復させて予圧した空気を圧縮して燃料と燃焼するジェット兼ロケット合体機関。
【請求項４７５】
過熱蒸気噴射ノズル（６Ａ）の１００ＭＰａ以下過熱蒸気爆発力と霧吹きの原理により、１以上の高温水（５２ｂ）を混合噴射加速して弾み車蒸気タービン（８ｂ）に噴射して回転出力を燃焼ガスの１０００倍に近付けてクランク軸（１６）を回転して両頭拡径ピストン（２１）を往復させて予圧と飛行速度で圧縮した空気を圧縮して燃料と燃焼するジェット兼ロケット合体機関。
【請求項４７６】
過熱蒸気噴射ノズル（６Ａ）の１００ＭＰａ以下過熱蒸気爆発力と霧吹きの原理により、１以上の水（５２ａ）を混合噴射加速して弾み車蒸気タービン（８ｂ）に噴射して回転出力を燃焼ガスの１０００倍に近付けてクランク軸（１６）を回転して両頭拡径ピストン（２１）を往復させて予圧と飛行速度で圧縮した空気を圧縮して燃料と燃焼するジェット兼ロケット合体機関。
【請求項４７７】
過熱蒸気噴射ノズル（６Ａ）の１００ＭＰａ以下過熱蒸気爆発力と霧吹きの原理により、１以上の高温水（５２ｂ）を混合噴射加速して弾み車蒸気タービン（８ｂ）に噴射して回転出力を燃焼ガスの１０００倍に近付けてクランク軸（１６）を回転して両頭拡径ピストン（２１）と予圧圧縮機を往復させて予圧と飛行速度で圧縮した空気を圧縮して燃料と燃焼するジェット兼ロケット合体機関。
【請求項４７８】
過熱蒸気噴射ノズル（６Ａ）の１００ＭＰａ以下過熱蒸気爆発力と霧吹きの原理により、１以上の水（５２ａ）を混合噴射加速して弾み車蒸気タービン（８ｂ）に噴射して回転出力を燃焼ガスの１０００倍に近付けてクランク軸（１６）を回転して両頭拡径ピストン（２１）と予圧圧縮機を往復させて予圧と飛行速度で圧縮した空気を圧縮して燃料と燃焼するジェット兼ロケット合体機関。
【請求項４７９】
過熱蒸気噴射ノズル（６Ａ）の１００ＭＰａ以下過熱蒸気爆発力と霧吹きの原理により、１以上の高温水（５２ｂ）を混合噴射加速して弾み車蒸気タービン（８ｂ）に噴射して回転出力を燃焼ガスの１０００倍に近付けてクランク軸（１６）を回転して両頭拡径ピストン（２１）及びエネルギ保存圧縮機（２０Ｘ）を往復させて予圧と飛行速度で圧縮した空気を圧縮して燃料と燃焼するジェット兼ロケット合体機関。
【請求項４８０】
過熱蒸気噴射ノズル（６Ａ）の１００ＭＰａ以下過熱蒸気爆発力と霧吹きの原理により、１以上の水（５２ａ）を混合噴射加速して弾み車蒸気タービン（８ｂ）に噴射して回転出力を燃焼ガスの１０００倍に近付けてクランク軸（１６）を回転して両頭拡径ピストン（２１）及びエネルギ保存圧縮機（２０Ｘ）を往復させて予圧と飛行速度で圧縮した空気を圧縮して燃料と燃焼するジェット兼ロケット合体機関。
【請求項４８１】
過熱蒸気噴射ノズル（６Ａ）の１００ＭＰａ以下過熱蒸気爆発力と霧吹きの原理により、１以上の高温水（５２ｂ）を混合噴射加速して弾み車蒸気タービン（８ｂ）に噴射して回転出力を燃焼ガスの１０００倍に近付けてクランク軸（１６）を回転して両頭拡径ピストン（２１）を往復させて飛行速度で圧縮した空気を圧縮して燃料と燃焼するジェット兼ロケット合体機関。
【請求項４８２】
過熱蒸気噴射ノズル（６Ａ）の１００ＭＰａ以下過熱蒸気爆発力と霧吹きの原理により、１以上の水（５２ａ）を混合噴射加速して弾み車蒸気タービン（８ｂ）に噴射して回転出力を燃焼ガスの１０００倍に近付けてクランク軸（１６）を回転して両頭拡径ピストン（２１）を往復させて飛行速度で圧縮した空気を圧縮して燃料と燃焼するジェット兼ロケット合体機関。
【請求項４８３】
過熱蒸気噴射ノズル（６Ａ）の１００ＭＰａ以下過熱蒸気爆発力と霧吹きの原理により、１以上の高温水（５２ｂ）を混合噴射加速して弾み車蒸気タービン（８ｂ）に噴射して回転出力を燃焼ガスの１０００倍に近付けてクランク軸（１６）を回転して両頭拡径ピストン（２１）を往復させて予圧した空気を圧縮して燃料と長時間熱交換冷却燃焼するジェット兼ロケット合体機関。
【請求項４８４】
過熱蒸気噴射ノズル（６Ａ）の１００ＭＰａ以下過熱蒸気爆発力と霧吹きの原理により、１以上の水（５２ａ）を混合噴射加速して弾み車蒸気タービン（８ｂ）に噴射して回転出力を燃焼ガスの１０００倍に近付けてクランク軸（１６）を回転して両頭拡径ピストン（２１）を往復させて予圧した空気を圧縮して燃料と長時間熱交換冷却燃焼するジェット兼ロケット合体機関。
【請求項４８５】
過熱蒸気噴射ノズル（６Ａ）の１００ＭＰａ以下過熱蒸気爆発力と霧吹きの原理により、１以上の高温水（５２ｂ）を混合噴射加速して弾み車蒸気タービン（８ｂ）に噴射して回転出力を燃焼ガスの１０００倍に近付けてクランク軸（１６）を回転して両頭拡径ピストン（２１）と予圧圧縮機を往復させて予圧した空気を圧縮して燃料と長時間熱交換冷却燃焼するジェット兼ロケット合体機関。
【請求項４８６】
過熱蒸気噴射ノズル（６Ａ）の１００ＭＰａ以下過熱蒸気爆発力と霧吹きの原理により、１以上の水（５２ａ）を混合噴射加速して弾み車蒸気タービン（８ｂ）に噴射して回転出力を燃焼ガスの１０００倍に近付けてクランク軸（１６）を回転して両頭拡径ピストン（２１）と予圧圧縮機を往復させて予圧した空気を圧縮して燃料と長時間熱交換冷却燃焼するジェット兼ロケット合体機関。
【請求項４８７】
過熱蒸気噴射ノズル（６Ａ）の１００ＭＰａ以下過熱蒸気爆発力と霧吹きの原理により、１以上の高温水（５２ｂ）を混合噴射加速して弾み車蒸気タービン（８ｂ）に噴射して回転出力を燃焼ガスの１０００倍に近付けてクランク軸（１６）を回転して両頭拡径ピストン（２１）及びエネルギ保存圧縮機（２０Ｘ）を往復させて予圧した空気を圧縮して燃料と長時間熱交換冷却燃焼するジェット兼ロケット合体機関。
【請求項４８８】
過熱蒸気噴射ノズル（６Ａ）の１００ＭＰａ以下過熱蒸気爆発力と霧吹きの原理により、１以上の水（５２ａ）を混合噴射加速して弾み車蒸気タービン（８ｂ）に噴射して回転出力を燃焼ガスの１０００倍に近付けてクランク軸（１６）を回転して両頭拡径ピストン（２１）及びエネルギ保存圧縮機（２０Ｘ）を往復させて予圧した空気を圧縮して燃料と長時間熱交換冷却燃焼するジェット兼ロケット合体機関。
【請求項４８９】
過熱蒸気噴射ノズル（６Ａ）の１００ＭＰａ以下過熱蒸気爆発力と霧吹きの原理により、１以上の高温水（５２ｂ）を混合噴射加速して弾み車蒸気タービン（８ｂ）に噴射して回転出力を燃焼ガスの１０００倍に近付けてクランク軸（１６）を回転して両頭拡径ピストン（２１）を往復させて予圧と飛行速度で圧縮した空気を圧縮して燃料と長時間熱交換冷却燃焼するジェット兼ロケット合体機関。
【請求項４９０】
過熱蒸気噴射ノズル（６Ａ）の１００ＭＰａ以下過熱蒸気爆発力と霧吹きの原理により、１以上の水（５２ａ）を混合噴射加速して弾み車蒸気タービン（８ｂ）に噴射して回転出力を燃焼ガスの１０００倍に近付けてクランク軸（１６）を回転して両頭拡径ピストン（２１）を往復させて予圧と飛行速度で圧縮した空気を圧縮して燃料と長時間熱交換冷却燃焼するジェット兼ロケット合体機関。
【請求項４９１】
過熱蒸気噴射ノズル（６Ａ）の１００ＭＰａ以下過熱蒸気爆発力と霧吹きの原理により、１以上の高温水（５２ｂ）を混合噴射加速して弾み車蒸気タービン（８ｂ）に噴射して回転出力を燃焼ガスの１０００倍に近付けてクランク軸（１６）を回転して両頭拡径ピストン（２１）と予圧圧縮機を往復させて予圧と飛行速度で圧縮した空気を圧縮して燃料と長時間熱交換冷却燃焼するジェット兼ロケット合体機関。
【請求項４９２】
過熱蒸気噴射ノズル（６Ａ）の１００ＭＰａ以下過熱蒸気爆発力と霧吹きの原理により、１以上の水（５２ａ）を混合噴射加速して弾み車蒸気タービン（８ｂ）に噴射して回転出力を燃焼ガスの１０００倍に近付けてクランク軸（１６）を回転して両頭拡径ピストン（２１）と予圧圧縮機を往復させて予圧と飛行速度で圧縮した空気を圧縮して燃料と長時間熱交換冷却燃焼するジェット兼ロケット合体機関。
【請求項４９３】
過熱蒸気噴射ノズル（６Ａ）の１００ＭＰａ以下過熱蒸気爆発力と霧吹きの原理により、１以上の高温水（５２ｂ）を混合噴射加速して弾み車蒸気タービン（８ｂ）に噴射して回転出力を燃焼ガスの１０００倍に近付けてクランク軸（１６）を回転して両頭拡径ピストン（２１）及びエネルギ保存圧縮機（２０Ｘ）を往復させて予圧と飛行速度で圧縮した空気を圧縮して燃料と長時間熱交換冷却燃焼するジェット兼ロケット合体機関。
【請求項４９４】
過熱蒸気噴射ノズル（６Ａ）の１００ＭＰａ以下過熱蒸気爆発力と霧吹きの原理により、１以上の水（５２ａ）を混合噴射加速して弾み車蒸気タービン（８ｂ）に噴射して回転出力を燃焼ガスの１０００倍に近付けてクランク軸（１６）を回転して両頭拡径ピストン（２１）及びエネルギ保存圧縮機（２０Ｘ）を往復させて予圧と飛行速度で圧縮した空気を圧縮して燃料と長時間熱交換冷却燃焼するジェット兼ロケット合体機関。
【請求項４９５】
過熱蒸気噴射ノズル（６Ａ）の１００ＭＰａ以下過熱蒸気爆発力と霧吹きの原理により、１以上の高温水（５２ｂ）を混合噴射加速して弾み車蒸気タービン（８ｂ）に噴射して回転出力を燃焼ガスの１０００倍に近付けてクランク軸（１６）を回転して両頭拡径ピストン（２１）を往復させて飛行速度で圧縮した空気を圧縮して燃料と長時間熱交換冷却燃焼するジェット兼ロケット合体機関。
【請求項４９６】
過熱蒸気噴射ノズル（６Ａ）の１００ＭＰａ以下過熱蒸気爆発力と霧吹きの原理により、１以上の水（５２ａ）を混合噴射加速して弾み車蒸気タービン（８ｂ）に噴射して回転出力を燃焼ガスの１０００倍に近付けてクランク軸（１６）を回転して両頭拡径ピストン（２１）を往復させて飛行速度で圧縮した空気を圧縮して燃料と長時間熱交換冷却燃焼するジェット兼ロケット合体機関。
【請求項４９７】
燃焼ガス噴射ノズル（６Ｃ）の１００ＭＰａ以下燃焼ガス爆発力と霧吹きの原理により、１以上の高温水（５２ｂ）を混合噴射加速するジェット兼ロケット合体機関。
【請求項４９８】
燃焼ガス噴射ノズル（６Ｃ）の１００ＭＰａ以下燃焼ガス爆発力と霧吹きの原理により、１以上の水（５２ａ）を混合噴射加速するジェット兼ロケット合体機関。
【請求項４９９】
燃焼ガス噴射ノズル（６Ｃ）の１００ＭＰａ以下燃焼ガス爆発力と霧吹きの原理により、１以上の高温水（５２ｂ）を混合噴射加速してはずみ車ガスタービン（８ａ）に噴射するジェット兼ロケット合体機関。
【請求項５００】
燃焼ガス噴射ノズル（６Ｃ）の１００ＭＰａ以下燃焼ガス爆発力と霧吹きの原理により、１以上の水（５２ａ）を混合噴射加速してはずみ車ガスタービン（８ａ）に噴射するジェット兼ロケット合体機関。
【請求項５０１】
燃焼ガス噴射ノズル（６Ｃ）の１００ＭＰａ以下燃焼ガス爆発力と霧吹きの原理により、１以上の高温水（５２ｂ）を混合噴射加速してはずみ車ガスタービン（８ａ）に噴射して回転出力を燃焼ガスの１０００倍に近付けるジェット兼ロケット合体機関。
【請求項５０２】
燃焼ガス噴射ノズル（６Ｃ）の１００ＭＰａ以下燃焼ガス爆発力と霧吹きの原理により、１以上の水（５２ａ）を混合噴射加速してはずみ車ガスタービン（８ａ）に噴射して回転出力を燃焼ガスの１０００倍に近付けるジェット兼ロケット合体機関。
【請求項５０３】
燃焼ガス噴射ノズル（６Ｃ）の１００ＭＰａ以下燃焼ガス爆発力と霧吹きの原理により、１以上の高温水（５２ｂ）を混合噴射加速してはずみ車ガスタービン（８ａ）に噴射して回転出力を燃焼ガスの１０００倍に近付けてクランク軸（１６）を回転するジェット兼ロケット合体機関。
【請求項５０４】
燃焼ガス噴射ノズル（６Ｃ）の１００ＭＰａ以下燃焼ガス爆発力と霧吹きの原理により、１以上の水（５２ａ）を混合噴射加速してはずみ車ガスタービン（８ａ）に噴射して回転出力を燃焼ガスの１０００倍に近付けてクランク軸（１６）を回転するジェット兼ロケット合体機関。
【請求項５０５】
燃焼ガス噴射ノズル（６Ｃ）の１００ＭＰａ以下燃焼ガス爆発力と霧吹きの原理により、１以上の高温水（５２ｂ）を混合噴射加速してはずみ車ガスタービン（８ａ）に噴射して回転出力を燃焼ガスの１０００倍に近付けてクランク軸（１６）を回転して両頭拡径ビストン（２１）を往復させるジェット兼ロケット合体機関。
【請求項５０６】
燃焼ガス噴射ノズル（６Ｃ）の１００ＭＰａ以下燃焼ガス爆発力と霧吹きの原理により、１以上の水（５２ａ）を混合噴射加速してはずみ車ガスタービン（８ａ）に噴射して回転出力を燃焼ガスの１０００倍に近付けてクランク軸（１６）を回転して両頭拡径ビストン（２１）を往復させるジェット兼ロケット合体機関。
【請求項５０７】
燃焼ガス噴射ノズル（６Ｃ）の１００ＭＰａ以下燃焼ガス爆発力と霧吹きの原理により、１以上の高温水（５２ｂ）を混合噴射加速してはずみ車ガスタービン（８ａ）に噴射して回転出力を燃焼ガスの１０００倍に近付けてクランク軸（１６）を回転して両頭拡径ビストン（２１）と予圧圧縮機を往復させるジェット兼ロケット合体機関。
【請求項５０８】
燃焼ガス噴射ノズル（６Ｃ）の１００ＭＰａ以下燃焼ガス爆発力と霧吹きの原理により、１以上の水（５２ａ）を混合噴射加速してはずみ車ガスタービン（８ａ）に噴射して回転出力を燃焼ガスの１０００倍に近付けてクランク軸（１６）を回転して両頭拡径ビストン（２１）と予圧圧縮機を往復させるジェット兼ロケット合体機関。
【請求項５０９】
燃焼ガス噴射ノズル（６Ｃ）の１００ＭＰａ以下燃焼ガス爆発力と霧吹きの原理により、１以上の高温水（５２ｂ）を混合噴射加速してはずみ車ガスタービン（８ａ）に噴射して回転出力を燃焼ガスの１０００倍に近付けてクランク軸（１６）を回転して両頭拡径ビストン（２１）及びエネルギ保存圧縮機（２０Ｘ）を往復させるジェット兼ロケット合体機関。
【請求項５１０】
燃焼ガス噴射ノズル（６Ｃ）の１００ＭＰａ以下燃焼ガス爆発力と霧吹きの原理により、１以上の水（５２ａ）を混合噴射加速してはずみ車ガスタービン（８ａ）に噴射して回転出力を燃焼ガスの１０００倍に近付けてクランク軸（１６）を回転して両頭拡径ビストン（２１）及びエネルギ保存圧縮機（２０Ｘ）を往復させるジェット兼ロケット合体機関。
【請求項５１１】
燃焼ガス噴射ノズル（６Ｃ）の１００ＭＰａ以下燃焼ガス爆発力と霧吹きの原理により、１以上の高温水（５２ｂ）を混合噴射加速してはずみ車ガスタービン（８ａ）に噴射して回転出力を燃焼ガスの１０００倍に近付けてクランク軸（１６）を回転して両頭拡径ビストン（２１）を往復させて空気を圧縮するジェット兼ロケット合体機関。
【請求項５１２】
燃焼ガス噴射ノズル（６Ｃ）の１００ＭＰａ以下燃焼ガス爆発力と霧吹きの原理により、１以上の水（５２ａ）を混合噴射加速してはずみ車ガスタービン（８ａ）に噴射して回転出力を燃焼ガスの１０００倍に近付けてクランク軸（１６）を回転して両頭拡径ビストン（２１）を往復させて空気を圧縮するジェット兼ロケット合体機関。
【請求項５１３】
燃焼ガス噴射ノズル（６Ｃ）の１００ＭＰａ以下燃焼ガス爆発力と霧吹きの原理により、１以上の高温水（５２ｂ）を混合噴射加速してはずみ車ガスタービン（８ａ）に噴射して回転出力を燃焼ガスの１０００倍に近付けてクランク軸（１６）を回転して両頭拡径ビストン（２１）を往復させて予圧した空気を圧縮するジェット兼ロケット合体機関。
【請求項５１４】
燃焼ガス噴射ノズル（６Ｃ）の１００ＭＰａ以下燃焼ガス爆発力と霧吹きの原理により、１以上の水（５２ａ）を混合噴射加速してはずみ車ガスタービン（８ａ）に噴射して回転出力を燃焼ガスの１０００倍に近付けてクランク軸（１６）を回転して両頭拡径ビストン（２１）を往復させて予圧した空気を圧縮するジェット兼ロケット合体機関。
【請求項５１５】
燃焼ガス噴射ノズル（６Ｃ）の１００ＭＰａ以下燃焼ガス爆発力と霧吹きの原理により、１以上の高温水（５２ｂ）を混合噴射加速してはずみ車ガスタービン（８ａ）に噴射して回転出力を燃焼ガスの１０００倍に近付けてクランク軸（１６）を回転して両頭拡径ビストン（２１）と予圧圧縮機を往復させて予圧した空気を圧縮するジェット兼ロケット合体機関。
【請求項５１６】
燃焼ガス噴射ノズル（６Ｃ）の１００ＭＰａ以下燃焼ガス爆発力と霧吹きの原理により、１以上の水（５２ａ）を混合噴射加速してはずみ車ガスタービン（８ａ）に噴射して回転出力を燃焼ガスの１０００倍に近付けてクランク軸（１６）を回転して両頭拡径ビストン（２１）と予圧圧縮機を往復させて予圧した空気を圧縮するジェット兼ロケット合体機関。
【請求項５１７】
燃焼ガス噴射ノズル（６Ｃ）の１００ＭＰａ以下燃焼ガス爆発力と霧吹きの原理により、１以上の高温水（５２ｂ）を混合噴射加速してはずみ車ガスタービン（８ａ）に噴射して回転出力を燃焼ガスの１０００倍に近付けてクランク軸（１６）を回転して両頭拡径ビストン（２１）及びエネルギ保存圧縮機（２０Ｘ）を往復させて予圧した空気を圧縮するジェット兼ロケット合体機関。
【請求項５１８】
燃焼ガス噴射ノズル（６Ｃ）の１００ＭＰａ以下燃焼ガス爆発力と霧吹きの原理により、１以上の水（５２ａ）を混合噴射加速してはずみ車ガスタービン（８ａ）に噴射して回転出力を燃焼ガスの１０００倍に近付けてクランク軸（１６）を回転して両頭拡径ビストン（２１）及びエネルギ保存圧縮機（２０Ｘ）を往復させて予圧した空気を圧縮するジェット兼ロケット合体機関。
【請求項５１９】
燃焼ガス噴射ノズル（６Ｃ）の１００ＭＰａ以下燃焼ガス爆発力と霧吹きの原理により、１以上の高温水（５２ｂ）を混合噴射加速してはずみ車ガスタービン（８ａ）に噴射して回転出力を燃焼ガスの１０００倍に近付けてクランク軸（１６）を回転して両頭拡径ビストン（２１）を往復させて飛行速度で圧縮した空気を圧縮するジェット兼ロケット合体機関。
【請求項５２０】
燃焼ガス噴射ノズル（６Ｃ）の１００ＭＰａ以下燃焼ガス爆発力と霧吹きの原理により、１以上の水（５２ａ）を混合噴射加速してはずみ車ガスタービン（８ａ）に噴射して回転出力を燃焼ガスの１０００倍に近付けてクランク軸（１６）を回転して両頭拡径ビストン（２１）を往復させて飛行速度で圧縮した空気を圧縮するジェット兼ロケット合体機関。
【請求項５２１】
燃焼ガス噴射ノズル（６Ｃ）の１００ＭＰａ以下燃焼ガス爆発力と霧吹きの原理により、１以上の高温水（５２ｂ）を混合噴射加速してはずみ車ガスタービン（８ａ）に噴射して回転出力を燃焼ガスの１０００倍に近付けてクランク軸（１６）を回転して両頭拡径ビストン（２１）を往復させて予圧と飛行速度で圧縮した空気を圧縮するジェット兼ロケット合体機関。
【請求項５２２】
燃焼ガス噴射ノズル（６Ｃ）の１００ＭＰａ以下燃焼ガス爆発力と霧吹きの原理により、１以上の水（５２ａ）を混合噴射加速してはずみ車ガスタービン（８ａ）に噴射して回転出力を燃焼ガスの１０００倍に近付けてクランク軸（１６）を回転して両頭拡径ビストン（２１）を往復させて予圧と飛行速度で圧縮した空気を圧縮するジェット兼ロケット合体機関。
【請求項５２３】
燃焼ガス噴射ノズル（６Ｃ）の１００ＭＰａ以下燃焼ガス爆発力と霧吹きの原理により、１以上の高温水（５２ｂ）を混合噴射加速してはずみ車ガスタービン（８ａ）に噴射して回転出力を燃焼ガスの１０００倍に近付けてクランク軸（１６）を回転して両頭拡径ビストン（２１）と予圧圧縮機を往復させて予圧と飛行速度で圧縮した空気を圧縮するジェット兼ロケット合体機関。
【請求項５２４】
燃焼ガス噴射ノズル（６Ｃ）の１００ＭＰａ以下燃焼ガス爆発力と霧吹きの原理により、１以上の水（５２ａ）を混合噴射加速してはずみ車ガスタービン（８ａ）に噴射して回転出力を燃焼ガスの１０００倍に近付けてクランク軸（１６）を回転して両頭拡径ビストン（２１）と予圧圧縮機を往復させて予圧と飛行速度で圧縮した空気を圧縮するジェット兼ロケット合体機関。
【請求項５２５】
燃焼ガス噴射ノズル（６Ｃ）の１００ＭＰａ以下燃焼ガス爆発力と霧吹きの原理により、１以上の高温水（５２ｂ）を混合噴射加速してはずみ車ガスタービン（８ａ）に噴射して回転出力を燃焼ガスの１０００倍に近付けてクランク軸（１６）を回転して両頭拡径ビストン（２１）及びエネルギ保存圧縮機（２０Ｘ）を往復させて予圧と飛行速度で圧縮した空気を圧縮するジェット兼ロケット合体機関。
【請求項５２６】
燃焼ガス噴射ノズル（６Ｃ）の１００ＭＰａ以下燃焼ガス爆発力と霧吹きの原理により、１以上の水（５２ａ）を混合噴射加速してはずみ車ガスタービン（８ａ）に噴射して回転出力を燃焼ガスの１０００倍に近付けてクランク軸（１６）を回転して両頭拡径ビストン（２１）及びエネルギ保存圧縮機（２０Ｘ）を往復させて予圧と飛行速度で圧縮した空気を圧縮するジェット兼ロケット合体機関。
【請求項５２７】
燃焼ガス噴射ノズル（６Ｃ）の１００ＭＰａ以下燃焼ガス爆発力と霧吹きの原理により、１以上の高温水（５２ｂ）を混合噴射加速してはずみ車ガスタービン（８ａ）に噴射して回転出力を燃焼ガスの１０００倍に近付けてクランク軸（１６）を回転して両頭拡径ビストン（２１）を往復させて飛行速度で圧縮した空気を圧縮するジェット兼ロケット合体機関。
【請求項５２８】
燃焼ガス噴射ノズル（６Ｃ）の１００ＭＰａ以下燃焼ガス爆発力と霧吹きの原理により、１以上の水（５２ａ）を混合噴射加速してはずみ車ガスタービン（８ａ）に噴射して回転出力を燃焼ガスの１０００倍に近付けてクランク軸（１６）を回転して両頭拡径ビストン（２１）を往復させて飛行速度で圧縮した空気を圧縮するジェット兼ロケット合体機関。
【請求項５２９】
燃焼ガス噴射ノズル（６Ｃ）の１００ＭＰａ以下燃焼ガス爆発力と霧吹きの原理により、１以上の水（５２ａ）を混合噴射加速してはずみ車ガスタービン（８ａ）に噴射して回転出力を燃焼ガスの１０００倍に近付けてクランク軸（１６）を回転して両頭拡径ビストン（２１）を往復させて空気を圧縮して燃料と燃焼するジェット兼ロケット合体機関。
【請求項５３０】
燃焼ガス噴射ノズル（６Ｃ）の１００ＭＰａ以下燃焼ガス爆発力と霧吹きの原理により、１以上の高温水（５２ｂ）を混合噴射加速してはずみ車ガスタービン（８ａ）に噴射して回転出力を燃焼ガスの１０００倍に近付けてクランク軸（１６）を回転して両頭拡径ビストン（２１）を往復させて空気を圧縮して燃料と燃焼するジェット兼ロケット合体機関。
【請求項５３１】
燃焼ガス噴射ノズル（６Ｃ）の１００ＭＰａ以下燃焼ガス爆発力と霧吹きの原理により、１以上の高温水（５２ｂ）を混合噴射加速してはずみ車ガスタービン（８ａ）に噴射して回転出力を燃焼ガスの１０００倍に近付けてクランク軸（１６）を回転して両頭拡径ビストン（２１）を往復させて予圧した空気を圧縮して燃料と燃焼するジェット兼ロケット合体機関。
【請求項５３２】
燃焼ガス噴射ノズル（６Ｃ）の１００ＭＰａ以下燃焼ガス爆発力と霧吹きの原理により、１以上の水（５２ａ）を混合噴射加速してはずみ車ガスタービン（８ａ）に噴射して回転出力を燃焼ガスの１０００倍に近付けてクランク軸（１６）を回転して両頭拡径ビストン（２１）を往復させて予圧した空気を圧縮して燃料と燃焼するジェット兼ロケット合体機関。
【請求項５３３】
燃焼ガス噴射ノズル（６Ｃ）の１００ＭＰａ以下燃焼ガス爆発力と霧吹きの原理により、１以上の高温水（５２ｂ）を混合噴射加速してはずみ車ガスタービン（８ａ）に噴射して回転出力を燃焼ガスの１０００倍に近付けてクランク軸（１６）を回転して両頭拡径ビストン（２１）と予圧圧縮機を往復させて予圧した空気を圧縮して燃料と燃焼するジェット兼ロケット合体機関。
【請求項５３４】
燃焼ガス噴射ノズル（６Ｃ）の１００ＭＰａ以下燃焼ガス爆発力と霧吹きの原理により、１以上の水（５２ａ）を混合噴射加速してはずみ車ガスタービン（８ａ）に噴射して回転出力を燃焼ガスの１０００倍に近付けてクランク軸（１６）を回転して両頭拡径ビストン（２１）と予圧圧縮機を往復させて予圧した空気を圧縮して燃料と燃焼するジェット兼ロケット合体機関。
【請求項５３５】
燃焼ガス噴射ノズル（６Ｃ）の１００ＭＰａ以下燃焼ガス爆発力と霧吹きの原理により、１以上の高温水（５２ｂ）を混合噴射加速してはずみ車ガスタービン（８ａ）に噴射して回転出力を燃焼ガスの１０００倍に近付けてクランク軸（１６）を回転して両頭拡径ビストン（２１）及びエネルギ保存圧縮機（２０Ｘ）を往復させて予圧した空気を圧縮して燃料と燃焼するジェット兼ロケット合体機関。
【請求項５３６】
燃焼ガス噴射ノズル（６Ｃ）の１００ＭＰａ以下燃焼ガス爆発力と霧吹きの原理により、１以上の水（５２ａ）を混合噴射加速してはずみ車ガスタービン（８ａ）に噴射して回転出力を燃焼ガスの１０００倍に近付けてクランク軸（１６）を回転して両頭拡径ビストン（２１）及びエネルギ保存圧縮機（２０Ｘ）を往復させて予圧した空気を圧縮して燃料と燃焼するジェット兼ロケット合体機関。
【請求項５３７】
燃焼ガス噴射ノズル（６Ｃ）の１００ＭＰａ以下燃焼ガス爆発力と霧吹きの原理により、１以上の高温水（５２ｂ）を混合噴射加速してはずみ車ガスタービン（８ａ）に噴射して回転出力を燃焼ガスの１０００倍に近付けてクランク軸（１６）を回転して両頭拡径ビストン（２１）を往復させて飛行速度で圧縮した空気を圧縮して燃料と燃焼するジェット兼ロケット合体機関。
【請求項５３８】
燃焼ガス噴射ノズル（６Ｃ）の１００ＭＰａ以下燃焼ガス爆発力と霧吹きの原理により、１以上の水（５２ａ）を混合噴射加速してはずみ車ガスタービン（８ａ）に噴射して回転出力を燃焼ガスの１０００倍に近付けてクランク軸（１６）を回転して両頭拡径ビストン（２１）を往復させて飛行速度で圧縮した空気を圧縮して燃料と燃焼するジェット兼ロケット合体機関。
【請求項５３９】
燃焼ガス噴射ノズル（６Ｃ）の１００ＭＰａ以下燃焼ガス爆発力と霧吹きの原理により、１以上の高温水（５２ｂ）を混合噴射加速してはずみ車ガスタービン（８ａ）に噴射して回転出力を燃焼ガスの１０００倍に近付けてクランク軸（１６）を回転して両頭拡径ビストン（２１）を往復させて予圧と飛行速度で圧縮した空気を圧縮して燃料と燃焼するジェット兼ロケット合体機関。
【請求項５４０】
燃焼ガス噴射ノズル（６Ｃ）の１００ＭＰａ以下燃焼ガス爆発力と霧吹きの原理により、１以上の水（５２ａ）を混合噴射加速してはずみ車ガスタービン（８ａ）に噴射して回転出力を燃焼ガスの１０００倍に近付けてクランク軸（１６）を回転して両頭拡径ビストン（２１）を往復させて予圧と飛行速度で圧縮した空気を圧縮して燃料と燃焼するジェット兼ロケット合体機関。
【請求項５４１】
燃焼ガス噴射ノズル（６Ｃ）の１００ＭＰａ以下燃焼ガス爆発力と霧吹きの原理により、１以上の高温水（５２ｂ）を混合噴射加速してはずみ車ガスタービン（８ａ）に噴射して回転出力を燃焼ガスの１０００倍に近付けてクランク軸（１６）を回転して両頭拡径ビストン（２１）と予圧圧縮機を往復させて予圧と飛行速度で圧縮した空気を圧縮して燃料と燃焼するジェット兼ロケット合体機関。
【請求項５４２】
燃焼ガス噴射ノズル（６Ｃ）の１００ＭＰａ以下燃焼ガス爆発力と霧吹きの原理により、１以上の水（５２ａ）を混合噴射加速してはずみ車ガスタービン（８ａ）に噴射して回転出力を燃焼ガスの１０００倍に近付けてクランク軸（１６）を回転して両頭拡径ビストン（２１）と予圧圧縮機を往復させて予圧と飛行速度で圧縮した空気を圧縮して燃料と燃焼するジェット兼ロケット合体機関。
【請求項５４３】
燃焼ガス噴射ノズル（６Ｃ）の１００ＭＰａ以下燃焼ガス爆発力と霧吹きの原理により、１以上の高温水（５２ｂ）を混合噴射加速してはずみ車ガスタービン（８ａ）に噴射して回転出力を燃焼ガスの１０００倍に近付けてクランク軸（１６）を回転して両頭拡径ビストン（２１）及びエネルギ保存圧縮機（２０Ｘ）を往復させて予圧と飛行速度で圧縮した空気を圧縮して燃料と燃焼するジェット兼ロケット合体機関。
【請求項５４４】
燃焼ガス噴射ノズル（６Ｃ）の１００ＭＰａ以下燃焼ガス爆発力と霧吹きの原理により、１以上の水（５２ａ）を混合噴射加速してはずみ車ガスタービン（８ａ）に噴射して回転出力を燃焼ガスの１０００倍に近付けてクランク軸（１６）を回転して両頭拡径ビストン（２１）及びエネルギ保存圧縮機（２０Ｘ）を往復させて予圧と飛行速度で圧縮した空気を圧縮して燃料と燃焼するジェット兼ロケット合体機関。
【請求項５４５】
燃焼ガス噴射ノズル（６Ｃ）の１００ＭＰａ以下燃焼ガス爆発力と霧吹きの原理により、１以上の高温水（５２ｂ）を混合噴射加速してはずみ車ガスタービン（８ａ）に噴射して回転出力を燃焼ガスの１０００倍に近付けてクランク軸（１６）を回転して両頭拡径ビストン（２１）を往復させて飛行速度で圧縮した空気を圧縮して燃料と燃焼するジェット兼ロケット合体機関。
【請求項５４６】
燃焼ガス噴射ノズル（６Ｃ）の１００ＭＰａ以下燃焼ガス爆発力と霧吹きの原理により、１以上の水（５２ａ）を混合噴射加速してはずみ車ガスタービン（８ａ）に噴射して回転出力を燃焼ガスの１０００倍に近付けてクランク軸（１６）を回転して両頭拡径ビストン（２１）を往復させて飛行速度で圧縮した空気を圧縮して燃料と燃焼するジェット兼ロケット合体機関。
【請求項５４７】
燃焼ガス噴射ノズル（６Ｃ）の１００ＭＰａ以下燃焼ガス爆発力と霧吹きの原理により、１以上の水（５２ａ）を混合噴射加速してはずみ車ガスタービン（８ａ）に噴射して回転出力を燃焼ガスの１０００倍に近付けてクランク軸（１６）を回転して両頭拡径ビストン（２１）を往復させて空気を圧縮して燃料と長時間熱交換冷却燃焼するジェット兼ロケット合体機関。
【請求項５４８】
燃焼ガス噴射ノズル（６Ｃ）の１００ＭＰａ以下燃焼ガス爆発力と霧吹きの原理により、１以上の高温水（５２ｂ）を混合噴射加速してはずみ車ガスタービン（８ａ）に噴射して回転出力を燃焼ガスの１０００倍に近付けてクランク軸（１６）を回転して両頭拡径ビストン（２１）を往復させて空気を圧縮して燃料と長時間熱交換冷却燃焼するジェット兼ロケット合体機関。
【請求項５４９】
燃焼ガス噴射ノズル（６Ｃ）の１００ＭＰａ以下燃焼ガス爆発力と霧吹きの原理により、１以上の高温水（５２ｂ）を混合噴射加速してはずみ車ガスタービン（８ａ）に噴射して回転出力を燃焼ガスの１０００倍に近付けてクランク軸（１６）を回転して両頭拡径ビストン（２１）を往復させて予圧した空気を圧縮して燃料と長時間熱交換冷却燃焼するジェット兼ロケット合体機関。
【請求項５５０】
燃焼ガス噴射ノズル（６Ｃ）の１００ＭＰａ以下燃焼ガス爆発力と霧吹きの原理により、１以上の水（５２ａ）を混合噴射加速してはずみ車ガスタービン（８ａ）に噴射して回転出力を燃焼ガスの１０００倍に近付けてクランク軸（１６）を回転して両頭拡径ビストン（２１）を往復させて予圧した空気を圧縮して燃料と長時間熱交換冷却燃焼するジェット兼ロケット合体機関。
【請求項５５１】
燃焼ガス噴射ノズル（６Ｃ）の１００ＭＰａ以下燃焼ガス爆発力と霧吹きの原理により、１以上の高温水（５２ｂ）を混合噴射加速してはずみ車ガスタービン（８ａ）に噴射して回転出力を燃焼ガスの１０００倍に近付けてクランク軸（１６）を回転して両頭拡径ビストン（２１）と予圧圧縮機を往復させて予圧した空気を圧縮して燃料と長時間熱交換冷却燃焼するジェット兼ロケット合体機関。
【請求項５５２】
燃焼ガス噴射ノズル（６Ｃ）の１００ＭＰａ以下燃焼ガス爆発力と霧吹きの原理により、１以上の水（５２ａ）を混合噴射加速してはずみ車ガスタービン（８ａ）に噴射して回転出力を燃焼ガスの１０００倍に近付けてクランク軸（１６）を回転して両頭拡径ビストン（２１）と予圧圧縮機を往復させて予圧した空気を圧縮して燃料と長時間熱交換冷却燃焼するジェット兼ロケット合体機関。
【請求項５５３】
燃焼ガス噴射ノズル（６Ｃ）の１００ＭＰａ以下燃焼ガス爆発力と霧吹きの原理により、１以上の高温水（５２ｂ）を混合噴射加速してはずみ車ガスタービン（８ａ）に噴射して回転出力を燃焼ガスの１０００倍に近付けてクランク軸（１６）を回転して両頭拡径ビストン（２１）及びエネルギ保存圧縮機（２０Ｘ）を往復させて予圧した空気を圧縮して燃料と長時間熱交換冷却燃焼するジェット兼ロケット合体機関。
【請求項５５４】
燃焼ガス噴射ノズル（６Ｃ）の１００ＭＰａ以下燃焼ガス爆発力と霧吹きの原理により、１以上の水（５２ａ）を混合噴射加速してはずみ車ガスタービン（８ａ）に噴射して回転出力を燃焼ガスの１０００倍に近付けてクランク軸（１６）を回転して両頭拡径ビストン（２１）及びエネルギ保存圧縮機（２０Ｘ）を往復させて予圧した空気を圧縮して燃料と長時間熱交換冷却燃焼するジェット兼ロケット合体機関。
【請求項５５５】
燃焼ガス噴射ノズル（６Ｃ）の１００ＭＰａ以下燃焼ガス爆発力と霧吹きの原理により、１以上の高温水（５２ｂ）を混合噴射加速してはずみ車ガスタービン（８ａ）に噴射して回転出力を燃焼ガスの１０００倍に近付けてクランク軸（１６）を回転して両頭拡径ビストン（２１）を往復させて飛行速度で圧縮した空気を圧縮して燃料と長時間熱交換冷却燃焼するジェット兼ロケット合体機関。
【請求項５５６】
燃焼ガス噴射ノズル（６Ｃ）の１００ＭＰａ以下燃焼ガス爆発力と霧吹きの原理により、１以上の水（５２ａ）を混合噴射加速してはずみ車ガスタービン（８ａ）に噴射して回転出力を燃焼ガスの１０００倍に近付けてクランク軸（１６）を回転して両頭拡径ビストン（２１）を往復させて飛行速度で圧縮した空気を圧縮して燃料と長時間熱交換冷却燃焼するジェット兼ロケット合体機関。
【請求項５５７】
燃焼ガス噴射ノズル（６Ｃ）の１００ＭＰａ以下燃焼ガス爆発力と霧吹きの原理により、１以上の高温水（５２ｂ）を混合噴射加速してはずみ車ガスタービン（８ａ）に噴射して回転出力を燃焼ガスの１０００倍に近付けてクランク軸（１６）を回転して両頭拡径ビストン（２１）を往復させて予圧と飛行速度で圧縮した空気を圧縮して燃料と長時間熱交換冷却燃焼するジェット兼ロケット合体機関。
【請求項５５８】
燃焼ガス噴射ノズル（６Ｃ）の１００ＭＰａ以下燃焼ガス爆発力と霧吹きの原理により、１以上の水（５２ａ）を混合噴射加速してはずみ車ガスタービン（８ａ）に噴射して回転出力を燃焼ガスの１０００倍に近付けてクランク軸（１６）を回転して両頭拡径ビストン（２１）を往復させて予圧と飛行速度で圧縮した空気を圧縮して燃料と長時間熱交換冷却燃焼するジェット兼ロケット合体機関。
【請求項５５９】
燃焼ガス噴射ノズル（６Ｃ）の１００ＭＰａ以下燃焼ガス爆発力と霧吹きの原理により、１以上の高温水（５２ｂ）を混合噴射加速してはずみ車ガスタービン（８ａ）に噴射して回転出力を燃焼ガスの１０００倍に近付けてクランク軸（１６）を回転して両頭拡径ビストン（２１）と予圧圧縮機を往復させて予圧と飛行速度で圧縮した空気を圧縮して長時間熱交換冷却燃料と燃焼するジェット兼ロケット合体機関。
【請求項５６０】
燃焼ガス噴射ノズル（６Ｃ）の１００ＭＰａ以下燃焼ガス爆発力と霧吹きの原理により、１以上の水（５２ａ）を混合噴射加速してはずみ車ガスタービン（８ａ）に噴射して回転出力を燃焼ガスの１０００倍に近付けてクランク軸（１６）を回転して両頭拡径ビストン（２１）と予圧圧縮機を往復させて予圧と飛行速度で圧縮した空気を圧縮して燃料と長時間熱交換冷却燃焼するジェット兼ロケット合体機関。
【請求項５６１】
燃焼ガス噴射ノズル（６Ｃ）の１００ＭＰａ以下燃焼ガス爆発力と霧吹きの原理により、１以上の高温水（５２ｂ）を混合噴射加速してはずみ車ガスタービン（８ａ）に噴射して回転出力を燃焼ガスの１０００倍に近付けてクランク軸（１６）を回転して両頭拡径ビストン（２１）及びエネルギ保存圧縮機（２０Ｘ）を往復させて予圧と飛行速度で圧縮した空気を圧縮して燃料と長時間熱交換冷却燃焼するジェット兼ロケット合体機関。
【請求項５６２】
燃焼ガス噴射ノズル（６Ｃ）の１００ＭＰａ以下燃焼ガス爆発力と霧吹きの原理により、１以上の水（５２ａ）を混合噴射加速してはずみ車ガスタービン（８ａ）に噴射して回転出力を燃焼ガスの１０００倍に近付けてクランク軸（１６）を回転して両頭拡径ビストン（２１）及びエネルギ保存圧縮機（２０Ｘ）を往復させて予圧と飛行速度で圧縮した空気を圧縮して燃料と長時間熱交換冷却燃焼するジェット兼ロケット合体機関。
【請求項５６３】
燃焼ガス噴射ノズル（６Ｃ）の１００ＭＰａ以下燃焼ガス爆発力と霧吹きの原理により、１以上の高温水（５２ｂ）を混合噴射加速してジェット兼ロケット噴射部７７Ｋより噴射するジェット兼ロケット合体機関。
【請求項５６４】
燃焼ガス噴射ノズル（６Ｃ）の１００ＭＰａ以下燃焼ガス爆発力と霧吹きの原理により、１以上の水（５２ａ）を混合噴射加速してジェット兼ロケット噴射部７７Ｋより噴射するジェット兼ロケット合体機関。
【請求項５６５】
燃焼ガス噴射ノズル（６Ｃ）の１００ＭＰａ以下燃焼ガス爆発力と霧吹きの原理により、１以上の高温水（５２ｂ）を混合噴射加速して大気圧重力仕事能力を燃焼ガスの１０００倍に近付けてジェット兼ロケット噴射部７７Ｋより噴射するジェット兼ロケット合体機関。
【請求項５６６】
燃焼ガス噴射ノズル（６Ｃ）の１００ＭＰａ以下燃焼ガス爆発力と霧吹きの原理により、１以上の水（５２ａ）を混合噴射加速して大気圧重力仕事能力を燃焼ガスの１０００倍に近付けてジェット兼ロケット噴射部７７Ｋより噴射するジェット兼ロケット合体機関。
【請求項５６７】
燃焼ガス噴射ノズル（６Ｃ）の１００ＭＰａ以下燃焼ガス爆発力と霧吹きの原理により、１以上の高温水（５２ｂ）を混合噴射加速して大気圧重力仕事能力を燃焼ガスの１０００倍に近付けて霧吹きの原理（１１１ｂ）によりジェット兼ロケット噴射部７７Ｋより噴射するジェット兼ロケット合体機関。
【請求項５６８】
燃焼ガス噴射ノズル（６Ｃ）の１００ＭＰａ以下燃焼ガス爆発力と霧吹きの原理により、１以上の水（５２ａ）を混合噴射加速して大気圧重力仕事能力を燃焼ガスの１０００倍に近付けて霧吹きの原理（１１１ｂ）によりジェット兼ロケット噴射部７７Ｋより噴射するジェット兼ロケット合体機関。
【請求項５６９】
燃焼ガス噴射ノズル（６Ｃ）の１００ＭＰａ以下燃焼ガス爆発力と霧吹きの原理により、１以上の高温水（５２ｂ）を混合噴射加速して大気圧重力仕事能力を燃焼ガスの１０００倍に近付けて霧吹きの原理（１１１Ｊ）によりジェット兼ロケット噴射部７７Ｋより噴射するジェット兼ロケット合体機関。
【請求項５７０】
燃焼ガス噴射ノズル（６Ｃ）の１００ＭＰａ以下燃焼ガス爆発力と霧吹きの原理により、１以上の水（５２ａ）を混合噴射加速して大気圧重力仕事能力を燃焼ガスの１０００倍に近付けて霧吹きの原理（１１１Ｊ）によりジェット兼ロケット噴射部７７Ｋより噴射するジェット兼ロケット合体機関。
【請求項５７１】
燃焼ガス噴射ノズル（６Ｃ）の１００ＭＰａ以下燃焼ガス爆発力と霧吹きの原理により、１以上の高温水（５２ｂ）を混合噴射加速して前方の空気を吸引してジェット兼ロケット噴射部７７Ｋより噴射するジェット兼ロケット合体機関。
【請求項５７２】
燃焼ガス噴射ノズル（６Ｃ）の１００ＭＰａ以下燃焼ガス爆発力と霧吹きの原理により、１以上の水（５２ａ）を混合噴射加速して前方の空気を吸引してジェット兼ロケット噴射部７７Ｋより噴射するジェット兼ロケット合体機関。
【請求項５７３】
燃焼ガス噴射ノズル（６Ｃ）の１００ＭＰａ以下燃焼ガス爆発力と霧吹きの原理により、１以上の高温水（５２ｂ）を混合噴射加速して大気圧重力仕事能力を燃焼ガスの１０００倍に近付けて前方の空気を吸引してジェット兼ロケット噴射部７７Ｋより噴射するジェット兼ロケット合体機関。
【請求項５７４】
燃焼ガス噴射ノズル（６Ｃ）の１００ＭＰａ以下燃焼ガス爆発力と霧吹きの原理により、１以上の水（５２ａ）を混合噴射加速して大気圧重力仕事能力を燃焼ガスの１０００倍に近付けて前方の空気を吸引してジェット兼ロケット噴射部７７Ｋより噴射するジェット兼ロケット合体機関。
【請求項５７５】
燃焼ガス噴射ノズル（６Ｃ）の１００ＭＰａ以下燃焼ガス爆発力と霧吹きの原理により、１以上の高温水（５２ｂ）を混合噴射加速して大気圧重力仕事能力を燃焼ガスの１０００倍に近付けて霧吹きの原理（１１１ｂ）により前方の空気を吸引してジェット兼ロケット噴射部７７Ｋより噴射するジェット兼ロケット合体機関。
【請求項５７６】
燃焼ガス噴射ノズル（６Ｃ）の１００ＭＰａ以下燃焼ガス爆発力と霧吹きの原理により、１以上の水（５２ａ）を混合噴射加速して大気圧重力仕事能力を燃焼ガスの１０００倍に近付けて霧吹きの原理（１１１ｂ）により前方の空気を吸引してジェット兼ロケット噴射部７７Ｋより噴射するジェット兼ロケット合体機関。
【請求項５７７】
燃焼ガス噴射ノズル（６Ｃ）の１００ＭＰａ以下燃焼ガス爆発力と霧吹きの原理により、１以上の高温水（５２ｂ）を混合噴射加速して大気圧重力仕事能力を燃焼ガスの１０００倍に近付けて霧吹きの原理（１１１Ｊ）により前方の空気を吸引してジェット兼ロケット噴射部７７Ｋより噴射するジェット兼ロケット合体機関。
【請求項５７８】
燃焼ガス噴射ノズル（６Ｃ）の１００ＭＰａ以下燃焼ガス爆発力と霧吹きの原理により、１以上の水（５２ａ）を混合噴射加速して大気圧重力仕事能力を燃焼ガスの１０００倍に近付けて霧吹きの原理（１１１Ｊ）により前方の空気を吸引してジェット兼ロケット噴射部７７Ｋより噴射するジェット兼ロケット合体機関。
【請求項５７９】
燃焼ガス噴射ノズル（６Ｃ）の１００ＭＰａ以下燃焼ガス爆発力と霧吹きの原理により、１以上の高温水（５２ｂ）を混合噴射加速して超音速飛行速度以下で前方の空気を吸引してジェット兼ロケット噴射部７７Ｋより噴射するジェット兼ロケット合体機関。
【請求項５８０】
燃焼ガス噴射ノズル（６Ｃ）の１００ＭＰａ以下燃焼ガス爆発力と霧吹きの原理により、１以上の水（５２ａ）を混合噴射加速して超音速飛行速度以下で前方の空気を吸引してジェット兼ロケット噴射部７７Ｋより噴射するジェット兼ロケット合体機関。
【請求項５８１】
燃焼ガス噴射ノズル（６Ｃ）の１００ＭＰａ以下燃焼ガス爆発力と霧吹きの原理により、１以上の高温水（５２ｂ）を混合噴射加速して大気圧重力仕事能力を燃焼ガスの１０００倍に近付けて超音速飛行速度以下で前方の空気を吸引してジェット兼ロケット噴射部７７Ｋより噴射するジェット兼ロケット合体機関。
【請求項５８２】
燃焼ガス噴射ノズル（６Ｃ）の１００ＭＰａ以下燃焼ガス爆発力と霧吹きの原理により、１以上の水（５２ａ）を混合噴射加速して大気圧重力仕事能力を燃焼ガスの１０００倍に近付けて超音速飛行速度以下で前方の空気を吸引してジェット兼ロケット噴射部７７Ｋより噴射するジェット兼ロケット合体機関。
【請求項５８３】
燃焼ガス噴射ノズル（６Ｃ）の１００ＭＰａ以下燃焼ガス爆発力と霧吹きの原理により、１以上の高温水（５２ｂ）を混合噴射加速して大気圧重力仕事能力を燃焼ガスの１０００倍に近付けて霧吹きの原理（１１１ｂ）により超音速飛行速度以下で前方の空気を吸引してジェット兼ロケット噴射部７７Ｋより噴射するジェット兼ロケット合体機関。
【請求項５８４】
燃焼ガス噴射ノズル（６Ｃ）の１００ＭＰａ以下燃焼ガス爆発力と霧吹きの原理により、１以上の水（５２ａ）を混合噴射加速して大気圧重力仕事能力を燃焼ガスの１０００倍に近付けて霧吹きの原理（１１１ｂ）により超音速飛行速度以下で前方の空気を吸引してジェット兼ロケット噴射部７７Ｋより噴射するジェット兼ロケット合体機関。
【請求項５８５】
燃焼ガス噴射ノズル（６Ｃ）の１００ＭＰａ以下燃焼ガス爆発力と霧吹きの原理により、１以上の高温水（５２ｂ）を混合噴射加速して大気圧重力仕事能力を燃焼ガスの１０００倍に近付けて霧吹きの原理（１１１Ｊ）により超音速飛行速度以下で前方の空気を吸引してジェット兼ロケット噴射部７７Ｋより噴射するジェット兼ロケット合体機関。
【請求項５８６】
燃焼ガス噴射ノズル（６Ｃ）の１００ＭＰａ以下燃焼ガス爆発力と霧吹きの原理により、１以上の水（５２ａ）を混合噴射加速して大気圧重力仕事能力を燃焼ガスの１０００倍に近付けて霧吹きの原理（１１１Ｊ）により超音速飛行速度以下で前方の空気を吸引してジェット兼ロケット噴射部７７Ｋより噴射するジェット兼ロケット合体機関。
【請求項５８７】
燃焼ガス噴射ノズル（６Ｃ）の１００ＭＰａ以下燃焼ガス爆発力と霧吹きの原理により、１以上の高温水（５２ｂ）を混合噴射加速して超音速飛行速度以上で前方の空気を吸引してジェット兼ロケット噴射部７７Ｋより噴射するジェット兼ロケット合体機関。
【請求項５８８】
燃焼ガス噴射ノズル（６Ｃ）の１００ＭＰａ以下燃焼ガス爆発力と霧吹きの原理により、１以上の水（５２ａ）を混合噴射加速して超音速飛行速度以上で前方の空気を吸引してジェット兼ロケット噴射部７７Ｋより噴射するジェット兼ロケット合体機関。
【請求項５８９】
燃焼ガス噴射ノズル（６Ｃ）の１００ＭＰａ以下燃焼ガス爆発力と霧吹きの原理により、１以上の高温水（５２ｂ）を混合噴射加速して大気圧重力仕事能力を燃焼ガスの１０００倍に近付けて超音速飛行速度以上で前方の空気を吸引してジェット兼ロケット噴射部７７Ｋより噴射するジェット兼ロケット合体機関。
【請求項５９０】
燃焼ガス噴射ノズル（６Ｃ）の１００ＭＰａ以下燃焼ガス爆発力と霧吹きの原理により、１以上の水（５２ａ）を混合噴射加速して大気圧重力仕事能力を燃焼ガスの１０００倍に近付けて超音速飛行速度以上で前方の空気を吸引してジェット兼ロケット噴射部７７Ｋより噴射するジェット兼ロケット合体機関。
【請求項５９１】
燃焼ガス噴射ノズル（６Ｃ）の１００ＭＰａ以下燃焼ガス爆発力と霧吹きの原理により、１以上の高温水（５２ｂ）を混合噴射加速して大気圧重力仕事能力を燃焼ガスの１０００倍に近付けて霧吹きの原理（１１１ｂ）により超音速飛行速度以上で前方の空気を吸引してジェット兼ロケット噴射部７７Ｋより噴射するジェット兼ロケット合体機関。
【請求項５９２】
燃焼ガス噴射ノズル（６Ｃ）の１００ＭＰａ以下燃焼ガス爆発力と霧吹きの原理により、１以上の水（５２ａ）を混合噴射加速して大気圧重力仕事能力を燃焼ガスの１０００倍に近付けて霧吹きの原理（１１１ｂ）により超音速飛行速度以上で前方の空気を吸引してジェット兼ロケット噴射部７７Ｋより噴射するジェット兼ロケット合体機関。
【請求項５９３】
燃焼ガス噴射ノズル（６Ｃ）の１００ＭＰａ以下燃焼ガス爆発力と霧吹きの原理により、１以上の高温水（５２ｂ）を混合噴射加速して大気圧重力仕事能力を燃焼ガスの１０００倍に近付けて霧吹きの原理（１１１Ｊ）により超音速飛行速度以上で前方の空気を吸引してジェット兼ロケット噴射部７７Ｋより噴射するジェット兼ロケット合体機関。
【請求項５９４】
燃焼ガス噴射ノズル（６Ｃ）の１００ＭＰａ以下燃焼ガス爆発力と霧吹きの原理により、１以上の水（５２ａ）を混合噴射加速して大気圧重力仕事能力を燃焼ガスの１０００倍に近付けて霧吹きの原理（１１１Ｊ）により超音速飛行速度以上で前方の空気を吸引してジェット兼ロケット噴射部７７Ｋより噴射するジェット兼ロケット合体機関。
【請求項５９５】
燃焼ガス噴射ノズル（６Ｃ）の１００ＭＰａ以下燃焼ガス爆発力と霧吹きの原理により、１以上の高温水（５２ｂ）を混合噴射加速して超音速マッハ１０以下で前方の空気を吸引してジェット兼ロケット噴射部７７Ｋより噴射するジェット兼ロケット合体機関。
【請求項５９６】
燃焼ガス噴射ノズル（６Ｃ）の１００ＭＰａ以下燃焼ガス爆発力と霧吹きの原理により、１以上の水（５２ａ）を混合噴射加速して超音速マッハ１０以下で前方の空気を吸引してジェット兼ロケット噴射部７７Ｋより噴射するジェット兼ロケット合体機関。
【請求項５９７】
燃焼ガス噴射ノズル（６Ｃ）の１００ＭＰａ以下燃焼ガス爆発力と霧吹きの原理により、１以上の高温水（５２ｂ）を混合噴射加速して大気圧重力仕事能力を燃焼ガスの１０００倍に近付けて超音速マッハ１０以下で前方の空気を吸引してジェット兼ロケット噴射部７７Ｋより噴射するジェット兼ロケット合体機関。
【請求項５９８】
燃焼ガス噴射ノズル（６Ｃ）の１００ＭＰａ以下燃焼ガス爆発力と霧吹きの原理により、１以上の水（５２ａ）を混合噴射加速して大気圧重力仕事能力を燃焼ガスの１０００倍に近付けて超音速マッハ１０以下で前方の空気を吸引してジェット兼ロケット噴射部７７Ｋより噴射するジェット兼ロケット合体機関。
【請求項５９９】
燃焼ガス噴射ノズル（６Ｃ）の１００ＭＰａ以下燃焼ガス爆発力と霧吹きの原理により、１以上の高温水（５２ｂ）を混合噴射加速して大気圧重力仕事能力を燃焼ガスの１０００倍に近付けて霧吹きの原理（１１１ｂ）により超音速マッハ１０以下で前方の空気を吸引してジェット兼ロケット噴射部７７Ｋより噴射するジェット兼ロケット合体機関。
【請求項６００】
燃焼ガス噴射ノズル（６Ｃ）の１００ＭＰａ以下燃焼ガス爆発力と霧吹きの原理により、１以上の水（５２ａ）を混合噴射加速して大気圧重力仕事能力を燃焼ガスの１０００倍に近付けて霧吹きの原理（１１１ｂ）により超音速マッハ１０以下で前方の空気を吸引してジェット兼ロケット噴射部７７Ｋより噴射するジェット兼ロケット合体機関。
【請求項６０１】
燃焼ガス噴射ノズル（６Ｃ）の１００ＭＰａ以下燃焼ガス爆発力と霧吹きの原理により、１以上の高温水（５２ｂ）を混合噴射加速して大気圧重力仕事能力を燃焼ガスの１０００倍に近付けて霧吹きの原理（１１１Ｊ）により超音速マッハ１０以下で前方の空気を吸引してジェット兼ロケット噴射部７７Ｋより噴射するジェット兼ロケット合体機関。
【請求項６０２】
燃焼ガス噴射ノズル（６Ｃ）の１００ＭＰａ以下燃焼ガス爆発力と霧吹きの原理により、１以上の水（５２ａ）を混合噴射加速して大気圧重力仕事能力を燃焼ガスの１０００倍に近付けて霧吹きの原理（１１１Ｊ）により超音速マッハ１０以下で前方の空気を吸引してジェット兼ロケット噴射部７７Ｋより噴射するジェット兼ロケット合体機関。
【請求項６０３】
燃焼ガス噴射ノズル（６Ｃ）の１００ＭＰａ以下燃焼ガス爆発力と霧吹きの原理により、１以上の高温水（５２ｂ）を混合噴射加速して超音速マッハ２０以下で前方の空気を吸引してジェット兼ロケット噴射部７７Ｋより噴射するジェット兼ロケット合体機関。
【請求項６０４】
燃焼ガス噴射ノズル（６Ｃ）の１００ＭＰａ以下燃焼ガス爆発力と霧吹きの原理により、１以上の水（５２ａ）を混合噴射加速して超音速マッハ２０以下で前方の空気を吸引してジェット兼ロケット噴射部７７Ｋより噴射するジェット兼ロケット合体機関。
【請求項６０５】
燃焼ガス噴射ノズル（６Ｃ）の１００ＭＰａ以下燃焼ガス爆発力と霧吹きの原理により、１以上の高温水（５２ｂ）を混合噴射加速して大気圧重力仕事能力を燃焼ガスの１０００倍に近付けて超音速マッハ２０以下で前方の空気を吸引してジェット兼ロケット噴射部７７Ｋより噴射するジェット兼ロケット合体機関。
【請求項６０６】
燃焼ガス噴射ノズル（６Ｃ）の１００ＭＰａ以下燃焼ガス爆発力と霧吹きの原理により、１以上の水（５２ａ）を混合噴射加速して大気圧重力仕事能力を燃焼ガスの１０００倍に近付けて超音速マッハ２０以下で前方の空気を吸引してジェット兼ロケット噴射部７７Ｋより噴射するジェット兼ロケット合体機関。
【請求項６０７】
燃焼ガス噴射ノズル（６Ｃ）の１００ＭＰａ以下燃焼ガス爆発力と霧吹きの原理により、１以上の高温水（５２ｂ）を混合噴射加速して大気圧重力仕事能力を燃焼ガスの１０００倍に近付けて霧吹きの原理（１１１ｂ）により超音速マッハ２０以下で前方の空気を吸引してジェット兼ロケット噴射部７７Ｋより噴射するジェット兼ロケット合体機関。
【請求項６０８】
燃焼ガス噴射ノズル（６Ｃ）の１００ＭＰａ以下燃焼ガス爆発力と霧吹きの原理により、１以上の水（５２ａ）を混合噴射加速して大気圧重力仕事能力を燃焼ガスの１０００倍に近付けて霧吹きの原理（１１１ｂ）により超音速マッハ２０以下で前方の空気を吸引してジェット兼ロケット噴射部７７Ｋより噴射するジェット兼ロケット合体機関。
【請求項６０９】
燃焼ガス噴射ノズル（６Ｃ）の１００ＭＰａ以下燃焼ガス爆発力と霧吹きの原理により、１以上の高温水（５２ｂ）を混合噴射加速して大気圧重力仕事能力を燃焼ガスの１０００倍に近付けて霧吹きの原理（１１１Ｊ）により超音速マッハ２０以下で前方の空気を吸引してジェット兼ロケット噴射部７７Ｋより噴射するジェット兼ロケット合体機関。
【請求項６１０】
燃焼ガス噴射ノズル（６Ｃ）の１００ＭＰａ以下燃焼ガス爆発力と霧吹きの原理により、１以上の水（５２ａ）を混合噴射加速して大気圧重力仕事能力を燃焼ガスの１０００倍に近付けて霧吹きの原理（１１１Ｊ）により超音速マッハ２０以下で前方の空気を吸引してジェット兼ロケット噴射部７７Ｋより噴射するジェット兼ロケット合体機関。
【請求項６１１】
燃焼ガス噴射ノズル（６Ｃ）の１００ＭＰａ以下燃焼ガス爆発力と霧吹きの原理により、１以上の高温水（５２ｂ）を混合噴射加速して超音速マッハ３０以下で前方の空気を吸引してジェット兼ロケット噴射部７７Ｋより噴射するジェット兼ロケット合体機関。
【請求項６１２】
燃焼ガス噴射ノズル（６Ｃ）の１００ＭＰａ以下燃焼ガス爆発力と霧吹きの原理により、１以上の水（５２ａ）を混合噴射加速して超音速マッハ３０以下で前方の空気を吸引してジェット兼ロケット噴射部７７Ｋより噴射するジェット兼ロケット合体機関。
【請求項６１３】
燃焼ガス噴射ノズル（６Ｃ）の１００ＭＰａ以下燃焼ガス爆発力と霧吹きの原理により、１以上の高温水（５２ｂ）を混合噴射加速して大気圧重力仕事能力を燃焼ガスの１０００倍に近付けて超音速マッハ３０以下で前方の空気を吸引してジェット兼ロケット噴射部７７Ｋより噴射するジェット兼ロケット合体機関。
【請求項６１４】
燃焼ガス噴射ノズル（６Ｃ）の１００ＭＰａ以下燃焼ガス爆発力と霧吹きの原理により、１以上の水（５２ａ）を混合噴射加速して大気圧重力仕事能力を燃焼ガスの１０００倍に近付けて超音速マッハ３０以下で前方の空気を吸引してジェット兼ロケット噴射部７７Ｋより噴射するジェット兼ロケット合体機関。
【請求項６１５】
燃焼ガス噴射ノズル（６Ｃ）の１００ＭＰａ以下燃焼ガス爆発力と霧吹きの原理により、１以上の高温水（５２ｂ）を混合噴射加速して大気圧重力仕事能力を燃焼ガスの１０００倍に近付けて霧吹きの原理（１１１ｂ）により超音速マッハ３０以下で前方の空気を吸引してジェット兼ロケット噴射部７７Ｋより噴射するジェット兼ロケット合体機関。
【請求項６１６】
燃焼ガス噴射ノズル（６Ｃ）の１００ＭＰａ以下燃焼ガス爆発力と霧吹きの原理により、１以上の水（５２ａ）を混合噴射加速して大気圧重力仕事能力を燃焼ガスの１０００倍に近付けて霧吹きの原理（１１１ｂ）により超音速マッハ３０以下で前方の空気を吸引してジェット兼ロケット噴射部７７Ｋより噴射するジェット兼ロケット合体機関。
【請求項６１７】
燃焼ガス噴射ノズル（６Ｃ）の１００ＭＰａ以下燃焼ガス爆発力と霧吹きの原理により、１以上の高温水（５２ｂ）を混合噴射加速して大気圧重力仕事能力を燃焼ガスの１０００倍に近付けて霧吹きの原理（１１１Ｊ）により超音速マッハ３０以下で前方の空気を吸引してジェット兼ロケット噴射部７７Ｋより噴射するジェット兼ロケット合体機関。
【請求項６１８】
燃焼ガス噴射ノズル（６Ｃ）の１００ＭＰａ以下燃焼ガス爆発力と霧吹きの原理により、１以上の水（５２ａ）を混合噴射加速して大気圧重力仕事能力を燃焼ガスの１０００倍に近付けて霧吹きの原理（１１１Ｊ）により超音速マッハ３０以下で前方の空気を吸引してジェット兼ロケット噴射部７７Ｋより噴射するジェット兼ロケット合体機関。
【請求項６１９】
燃焼ガス噴射ノズル（６Ｃ）の１００ＭＰａ以下燃焼ガス爆発力と霧吹きの原理により、１以上の高温水（５２ｂ）を混合噴射加速して大気圧重力仕事能力を燃焼ガスの１０００倍に近付けて霧吹きの原理（１１１ｂ）とロケットノズル（９４ｂ）により前方の空気を吸引してジェット兼ロケット噴射部７７Ｋより噴射するジェット兼ロケット合体機関。
【請求項６２０】
燃焼ガス噴射ノズル（６Ｃ）の１００ＭＰａ以下燃焼ガス爆発力と霧吹きの原理により、１以上の水（５２ａ）を混合噴射加速して大気圧重力仕事能力を燃焼ガスの１０００倍に近付けて霧吹きの原理（１１１ｂ）とロケットノズル（９４ｂ）により前方の空気を吸引してジェット兼ロケット噴射部７７Ｋより噴射するジェット兼ロケット合体機関。
【請求項６２１】
燃焼ガス噴射ノズル（６Ｃ）の１００ＭＰａ以下燃焼ガス爆発力と霧吹きの原理により、１以上の高温水（５２ｂ）を混合噴射加速して大気圧重力仕事能力を燃焼ガスの１０００倍に近付けて霧吹きの原理（１１１Ｊ）とロケットノズル（９４ｂ）により前方の空気を吸引してジェット兼ロケット噴射部７７Ｋより噴射するジェット兼ロケット合体機関。
【請求項６２２】
燃焼ガス噴射ノズル（６Ｃ）の１００ＭＰａ以下燃焼ガス爆発力と霧吹きの原理により、１以上の水（５２ａ）を混合噴射加速して大気圧重力仕事能力を燃焼ガスの１０００倍に近付けて霧吹きの原理（１１１Ｊ）とロケットノズル（９４ｂ）により前方の空気を吸引してジェット兼ロケット噴射部７７Ｋより噴射するジェット兼ロケット合体機関。
【請求項６２３】
燃焼ガス噴射ノズル（６Ｃ）の１００ＭＰａ以下燃焼ガス爆発力と霧吹きの原理により、１以上の高温水（５２ｂ）を混合噴射加速して大気圧重力仕事能力を燃焼ガスの１０００倍に近付けて霧吹きの原理（１１１ｂ）とロケットノズル（９４ｂ）により超音速飛行速度以下で前方の空気を吸引してジェット兼ロケット噴射部７７Ｋより噴射するジェット兼ロケット合体機関。
【請求項６２４】
燃焼ガス噴射ノズル（６Ｃ）の１００ＭＰａ以下燃焼ガス爆発力と霧吹きの原理により、１以上の水（５２ａ）を混合噴射加速して大気圧重力仕事能力を燃焼ガスの１０００倍に近付けて霧吹きの原理（１１１ｂ）とロケットノズル（９４ｂ）により超音速飛行速度以下で前方の空気を吸引してジェット兼ロケット噴射部７７Ｋより噴射するジェット兼ロケット合体機関。
【請求項６２５】
燃焼ガス噴射ノズル（６Ｃ）の１００ＭＰａ以下燃焼ガス爆発力と霧吹きの原理により、１以上の高温水（５２ｂ）を混合噴射加速して大気圧重力仕事能力を燃焼ガスの１０００倍に近付けて霧吹きの原理（１１１Ｊ）とロケットノズル（９４ｂ）により超音速飛行速度以下で前方の空気を吸引してジェット兼ロケット噴射部７７Ｋより噴射するジェット兼ロケット合体機関。
【請求項６２６】
燃焼ガス噴射ノズル（６Ｃ）の１００ＭＰａ以下燃焼ガス爆発力と霧吹きの原理により、１以上の水（５２ａ）を混合噴射加速して大気圧重力仕事能力を燃焼ガスの１０００倍に近付けて霧吹きの原理（１１１Ｊ）とロケットノズル（９４ｂ）により超音速飛行速度以下で前方の空気を吸引してジェット兼ロケット噴射部７７Ｋより噴射するジェット兼ロケット合体機関。
【請求項６２７】
燃焼ガス噴射ノズル（６Ｃ）の１００ＭＰａ以下燃焼ガス爆発力と霧吹きの原理により、１以上の高温水（５２ｂ）を混合噴射加速して大気圧重力仕事能力を燃焼ガスの１０００倍に近付けて霧吹きの原理（１１１ｂ）とロケットノズル（９４ｂ）により超音速飛行速度以上で前方の空気を吸引してジェット兼ロケット噴射部７７Ｋより噴射するジェット兼ロケット合体機関。
【請求項６２８】
燃焼ガス噴射ノズル（６Ｃ）の１００ＭＰａ以下燃焼ガス爆発力と霧吹きの原理により、１以上の水（５２ａ）を混合噴射加速して大気圧重力仕事能力を燃焼ガスの１０００倍に近付けて霧吹きの原理（１１１ｂ）とロケットノズル（９４ｂ）により超音速飛行速度以上で前方の空気を吸引してジェット兼ロケット噴射部７７Ｋより噴射するジェット兼ロケット合体機関。
【請求項６２９】
燃焼ガス噴射ノズル（６Ｃ）の１００ＭＰａ以下燃焼ガス爆発力と霧吹きの原理により、１以上の高温水（５２ｂ）を混合噴射加速して大気圧重力仕事能力を燃焼ガスの１０００倍に近付けて霧吹きの原理（１１１Ｊ）とロケットノズル（９４ｂ）により超音速飛行速度以上で前方の空気を吸引してジェット兼ロケット噴射部７７Ｋより噴射するジェット兼ロケット合体機関。
【請求項６３０】
燃焼ガス噴射ノズル（６Ｃ）の１００ＭＰａ以下燃焼ガス爆発力と霧吹きの原理により、１以上の水（５２ａ）を混合噴射加速して大気圧重力仕事能力を燃焼ガスの１０００倍に近付けて霧吹きの原理（１１１Ｊ）とロケットノズル（９４ｂ）により超音速飛行速度以上で前方の空気を吸引してジェット兼ロケット噴射部７７Ｋより噴射するジェット兼ロケット合体機関。
【請求項６３１】
燃焼ガス噴射ノズル（６Ｃ）の１００ＭＰａ以下燃焼ガス爆発力と霧吹きの原理により、１以上の高温水（５２ｂ）を混合噴射加速して大気圧重力仕事能力を燃焼ガスの１０００倍に近付けて霧吹きの原理（１１１ｂ）とロケットノズル（９４ｂ）により超音速マッハ１０以下で前方の空気を吸引してジェット兼ロケット噴射部７７Ｋより噴射するジェット兼ロケット合体機関。
【請求項６３２】
燃焼ガス噴射ノズル（６Ｃ）の１００ＭＰａ以下燃焼ガス爆発力と霧吹きの原理により、１以上の水（５２ａ）を混合噴射加速して大気圧重力仕事能力を燃焼ガスの１０００倍に近付けて霧吹きの原理（１１１ｂ）とロケットノズル（９４ｂ）により超音速マッハ１０以下で前方の空気を吸引してジェット兼ロケット噴射部７７Ｋより噴射するジェット兼ロケット合体機関。
【請求項６３３】
燃焼ガス噴射ノズル（６Ｃ）の１００ＭＰａ以下燃焼ガス爆発力と霧吹きの原理により、１以上の高温水（５２ｂ）を混合噴射加速して大気圧重力仕事能力を燃焼ガスの１０００倍に近付けて霧吹きの原理（１１１Ｊ）とロケットノズル（９４ｂ）により超音速マッハ１０以下で前方の空気を吸引してジェット兼ロケット噴射部７７Ｋより噴射するジェット兼ロケット合体機関。
【請求項６３４】
燃焼ガス噴射ノズル（６Ｃ）の１００ＭＰａ以下燃焼ガス爆発力と霧吹きの原理により、１以上の水（５２ａ）を混合噴射加速して大気圧重力仕事能力を燃焼ガスの１０００倍に近付けて霧吹きの原理（１１１Ｊ）とロケットノズル（９４ｂ）により超音速マッハ１０以下で前方の空気を吸引してジェット兼ロケット噴射部７７Ｋより噴射するジェット兼ロケット合体機関。
【請求項６３５】
燃焼ガス噴射ノズル（６Ｃ）の１００ＭＰａ以下燃焼ガス爆発力と霧吹きの原理により、１以上の高温水（５２ｂ）を混合噴射加速して大気圧重力仕事能力を燃焼ガスの１０００倍に近付けて霧吹きの原理（１１１ｂ）とロケットノズル（９４ｂ）により超音速マッハ２０以下で前方の空気を吸引してジェット兼ロケット噴射部７７Ｋより噴射するジェット兼ロケット合体機関。
【請求項６３６】
燃焼ガス噴射ノズル（６Ｃ）の１００ＭＰａ以下燃焼ガス爆発力と霧吹きの原理により、１以上の水（５２ａ）を混合噴射加速して大気圧重力仕事能力を燃焼ガスの１０００倍に近付けて霧吹きの原理（１１１ｂ）とロケットノズル（９４ｂ）により超音速マッハ２０以下で前方の空気を吸引してジェット兼ロケット噴射部７７Ｋより噴射するジェット兼ロケット合体機関。
【請求項６３７】
燃焼ガス噴射ノズル（６Ｃ）の１００ＭＰａ以下燃焼ガス爆発力と霧吹きの原理により、１以上の高温水（５２ｂ）を混合噴射加速して大気圧重力仕事能力を燃焼ガスの１０００倍に近付けて霧吹きの原理（１１１Ｊ）とロケットノズル（９４ｂ）により超音速マッハ２０以下で前方の空気を吸引してジェット兼ロケット噴射部７７Ｋより噴射するジェット兼ロケット合体機関。
【請求項６３８】
燃焼ガス噴射ノズル（６Ｃ）の１００ＭＰａ以下燃焼ガス爆発力と霧吹きの原理により、１以上の水（５２ａ）を混合噴射加速して大気圧重力仕事能力を燃焼ガスの１０００倍に近付けて霧吹きの原理（１１１Ｊ）とロケットノズル（９４ｂ）により超音速マッハ２０以下で前方の空気を吸引してジェット兼ロケット噴射部７７Ｋより噴射するジェット兼ロケット合体機関。
【請求項６３９】
燃焼ガス噴射ノズル（６Ｃ）の１００ＭＰａ以下燃焼ガス爆発力と霧吹きの原理により、１以上の高温水（５２ｂ）を混合噴射加速して大気圧重力仕事能力を燃焼ガスの１０００倍に近付けて霧吹きの原理（１１１ｂ）とロケットノズル（９４ｂ）により超音速マッハ３０以下で前方の空気を吸引してジェット兼ロケット噴射部７７Ｋより噴射するジェット兼ロケット合体機関。
【請求項６４０】
燃焼ガス噴射ノズル（６Ｃ）の１００ＭＰａ以下燃焼ガス爆発力と霧吹きの原理により、１以上の水（５２ａ）を混合噴射加速して大気圧重力仕事能力を燃焼ガスの１０００倍に近付けて霧吹きの原理（１１１ｂ）とロケットノズル（９４ｂ）により超音速マッハ３０以下で前方の空気を吸引してジェット兼ロケット噴射部７７Ｋより噴射するジェット兼ロケット合体機関。
【請求項６４１】
燃焼ガス噴射ノズル（６Ｃ）の１００ＭＰａ以下燃焼ガス爆発力と霧吹きの原理により、１以上の高温水（５２ｂ）を混合噴射加速して大気圧重力仕事能力を燃焼ガスの１０００倍に近付けて霧吹きの原理（１１１Ｊ）とロケットノズル（９４ｂ）により超音速マッハ３０以下で前方の空気を吸引してジェット兼ロケット噴射部７７Ｋより噴射するジェット兼ロケット合体機関。
【請求項６４２】
燃焼ガス噴射ノズル（６Ｃ）の１００ＭＰａ以下燃焼ガス爆発力と霧吹きの原理により、１以上の水（５２ａ）を混合噴射加速して大気圧重力仕事能力を燃焼ガスの１０００倍に近付けて霧吹きの原理（１１１Ｊ）とロケットノズル（９４ｂ）により超音速マッハ３０以下で前方の空気を吸引してジェット兼ロケット噴射部７７Ｋより噴射するジェット兼ロケット合体機関。
【請求項６４３】
燃焼ガス噴射ノズル（６Ｃ）の１００ＭＰａ以下燃焼ガス爆発力と霧吹きの原理により、１以上の高温水（５２ｂ）を混合噴射加速して大気圧重力仕事能力を燃焼ガスの１０００倍に近付けて霧吹きの原理（１１１ｂ）とロケットノズル（９４ｂ）によりジェット兼ロケット噴射部７７Ｋより噴射するジェット兼ロケット合体機関。
【請求項６４４】
燃焼ガス噴射ノズル（６Ｃ）の１００ＭＰａ以下燃焼ガス爆発力と霧吹きの原理により、１以上の水（５２ａ）を混合噴射加速して大気圧重力仕事能力を燃焼ガスの１０００倍に近付けて霧吹きの原理（１１１ｂ）とロケットノズル（９４ｂ）によりジェット兼ロケット噴射部７７Ｋより噴射するジェット兼ロケット合体機関。
【請求項６４５】
燃焼ガス噴射ノズル（６Ｃ）の１００ＭＰａ以下燃焼ガス爆発力と霧吹きの原理により、１以上の高温水（５２ｂ）を混合噴射加速して大気圧重力仕事能力を燃焼ガスの１０００倍に近付けて霧吹きの原理（１１１Ｊ）とロケットノズル（９４ｂ）によりジェット兼ロケット噴射部７７Ｋより噴射するジェット兼ロケット合体機関。
【請求項６４６】
燃焼ガス噴射ノズル（６Ｃ）の１００ＭＰａ以下燃焼ガス爆発力と霧吹きの原理により、１以上の水（５２ａ）を混合噴射加速して大気圧重力仕事能力を燃焼ガスの１０００倍に近付けて霧吹きの原理（１１１Ｊ）とロケットノズル（９４ｂ）によりジェット兼ロケット噴射部７７Ｋより噴射するジェット兼ロケット合体機関。
【請求項６４７】
過熱蒸気噴射ノズル（６Ａ）の１００ＭＰａ以下過熱蒸気爆発力と霧吹きの原理により、１以上の高温水（５２ｂ）を混合噴射加速してジェット兼ロケット噴射部７７Ｋより噴射するジェット兼ロケット合体機関。
【請求項６４８】
過熱蒸気噴射ノズル（６Ａ）の１００ＭＰａ以下過熱蒸気爆発力と霧吹きの原理により、１以上の水（５２ａ）を混合噴射加速してジェット兼ロケット噴射部７７Ｋより噴射するジェット兼ロケット合体機関。
【請求項６４９】
過熱蒸気噴射ノズル（６Ａ）の１００ＭＰａ以下過熱蒸気爆発力と霧吹きの原理により、１以上の高温水（５２ｂ）を混合噴射加速して大気圧重力仕事能力を燃焼ガスの１０００倍に近付けてジェット兼ロケット噴射部７７Ｋより噴射するジェット兼ロケット合体機関。
【請求項６５０】
過熱蒸気噴射ノズル（６Ａ）の１００ＭＰａ以下過熱蒸気爆発力と霧吹きの原理により、１以上の水（５２ａ）を混合噴射加速して大気圧重力仕事能力を燃焼ガスの１０００倍に近付けてジェット兼ロケット噴射部７７Ｋより噴射するジェット兼ロケット合体機関。
【請求項６５１】
過熱蒸気噴射ノズル（６Ａ）の１００ＭＰａ以下過熱蒸気爆発力と霧吹きの原理により、１以上の高温水（５２ｂ）を混合噴射加速して大気圧重力仕事能力を燃焼ガスの１０００倍に近付けて霧吹きの原理（１１１ａ）によりジェット兼ロケット噴射部７７Ｋより噴射するジェット兼ロケット合体機関。
【請求項６５２】
過熱蒸気噴射ノズル（６Ａ）の１００ＭＰａ以下過熱蒸気爆発力と霧吹きの原理により、１以上の水（５２ａ）を混合噴射加速して大気圧重力仕事能力を燃焼ガスの１０００倍に近付けて霧吹きの原理（１１１ａ）によりジェット兼ロケット噴射部７７Ｋより噴射するジェット兼ロケット合体機関。
【請求項６５３】
過熱蒸気噴射ノズル（６Ａ）の１００ＭＰａ以下過熱蒸気爆発力と霧吹きの原理により、１以上の高温水（５２ｂ）を混合噴射加速して大気圧重力仕事能力を燃焼ガスの１０００倍に近付けて霧吹きの原理（１１１Ｉ）によりジェット兼ロケット噴射部７７Ｋより噴射するジェット兼ロケット合体機関。
【請求項６５４】
過熱蒸気噴射ノズル（６Ａ）の１００ＭＰａ以下過熱蒸気爆発力と霧吹きの原理により、１以上の水（５２ａ）を混合噴射加速して大気圧重力仕事能力を燃焼ガスの１０００倍に近付けて霧吹きの原理（１１１Ｉ）によりジェット兼ロケット噴射部７７Ｋより噴射するジェット兼ロケット合体機関。
【請求項６５５】
過熱蒸気噴射ノズル（６Ａ）の１００ＭＰａ以下過熱蒸気爆発力と霧吹きの原理により、１以上の高温水（５２ｂ）を混合噴射加速して前方の空気を吸引してジェット兼ロケット噴射部７７Ｋより噴射するジェット兼ロケット合体機関。
【請求項６５６】
過熱蒸気噴射ノズル（６Ａ）の１００ＭＰａ以下過熱蒸気爆発力と霧吹きの原理により、１以上の水（５２ａ）を混合噴射加速して前方の空気を吸引してジェット兼ロケット噴射部７７Ｋより噴射するジェット兼ロケット合体機関。
【請求項６５７】
過熱蒸気噴射ノズル（６Ａ）の１００ＭＰａ以下過熱蒸気爆発力と霧吹きの原理により、１以上の高温水（５２ｂ）を混合噴射加速して大気圧重力仕事能力を燃焼ガスの１０００倍に近付けて前方の空気を吸引してジェット兼ロケット噴射部７７Ｋより噴射するジェット兼ロケット合体機関。
【請求項６５８】
過熱蒸気噴射ノズル（６Ａ）の１００ＭＰａ以下過熱蒸気爆発力と霧吹きの原理により、１以上の水（５２ａ）を混合噴射加速して大気圧重力仕事能力を燃焼ガスの１０００倍に近付けて前方の空気を吸引してジェット兼ロケット噴射部７７Ｋより噴射するジェット兼ロケット合体機関。
【請求項６５９】
過熱蒸気噴射ノズル（６Ａ）の１００ＭＰａ以下過熱蒸気爆発力と霧吹きの原理により、１以上の高温水（５２ｂ）を混合噴射加速して大気圧重力仕事能力を燃焼ガスの１０００倍に近付けて霧吹きの原理（１１１ａ）により前方の空気を吸引してジェット兼ロケット噴射部７７Ｋより噴射するジェット兼ロケット合体機関。
【請求項６６０】
過熱蒸気噴射ノズル（６Ａ）の１００ＭＰａ以下過熱蒸気爆発力と霧吹きの原理により、１以上の水（５２ａ）を混合噴射加速して大気圧重力仕事能力を燃焼ガスの１０００倍に近付けて霧吹きの原理（１１１ａ）により前方の空気を吸引してジェット兼ロケット噴射部７７Ｋより噴射するジェット兼ロケット合体機関。
【請求項６６１】
過熱蒸気噴射ノズル（６Ａ）の１００ＭＰａ以下過熱蒸気爆発力と霧吹きの原理により、１以上の高温水（５２ｂ）を混合噴射加速して大気圧重力仕事能力を燃焼ガスの１０００倍に近付けて霧吹きの原理（１１１Ｉ）により前方の空気を吸引してジェット兼ロケット噴射部７７Ｋより噴射するジェット兼ロケット合体機関。
【請求項６６２】
過熱蒸気噴射ノズル（６Ａ）の１００ＭＰａ以下過熱蒸気爆発力と霧吹きの原理により、１以上の水（５２ａ）を混合噴射加速して大気圧重力仕事能力を燃焼ガスの１０００倍に近付けて霧吹きの原理（１１１Ｉ）により前方の空気を吸引してジェット兼ロケット噴射部７７Ｋより噴射するジェット兼ロケット合体機関。
【請求項６６３】
過熱蒸気噴射ノズル（６Ａ）の１００ＭＰａ以下過熱蒸気爆発力と霧吹きの原理により、１以上の高温水（５２ｂ）を混合噴射加速して超音速飛行速度以下で前方の空気を吸引してジェット兼ロケット噴射部７７Ｋより噴射するジェット兼ロケット合体機関。
【請求項６６４】
過熱蒸気噴射ノズル（６Ａ）の１００ＭＰａ以下過熱蒸気爆発力と霧吹きの原理により、１以上の水（５２ａ）を混合噴射加速して超音速飛行速度以下で前方の空気を吸引してジェット兼ロケット噴射部７７Ｋより噴射するジェット兼ロケット合体機関。
【請求項６６５】
過熱蒸気噴射ノズル（６Ａ）の１００ＭＰａ以下過熱蒸気爆発力と霧吹きの原理により、１以上の高温水（５２ｂ）を混合噴射加速して大気圧重力仕事能力を燃焼ガスの１０００倍に近付けて超音速飛行速度以下で前方の空気を吸引してジェット兼ロケット噴射部７７Ｋより噴射するジェット兼ロケット合体機関。
【請求項６６６】
過熱蒸気噴射ノズル（６Ａ）の１００ＭＰａ以下過熱蒸気爆発力と霧吹きの原理により、１以上の水（５２ａ）を混合噴射加速して大気圧重力仕事能力を燃焼ガスの１０００倍に近付けて超音速飛行速度以下で前方の空気を吸引してジェット兼ロケット噴射部７７Ｋより噴射するジェット兼ロケット合体機関。
【請求項６６７】
過熱蒸気噴射ノズル（６Ａ）の１００ＭＰａ以下過熱蒸気爆発力と霧吹きの原理により、１以上の高温水（５２ｂ）を混合噴射加速して大気圧重力仕事能力を燃焼ガスの１０００倍に近付けて霧吹きの原理（１１１ａ）により超音速飛行速度以下で前方の空気を吸引してジェット兼ロケット噴射部７７Ｋより噴射するジェット兼ロケット合体機関。
【請求項６６８】
過熱蒸気噴射ノズル（６Ａ）の１００ＭＰａ以下過熱蒸気爆発力と霧吹きの原理により、１以上の水（５２ａ）を混合噴射加速して大気圧重力仕事能力を燃焼ガスの１０００倍に近付けて霧吹きの原理（１１１ａ）により超音速飛行速度以下で前方の空気を吸引してジェット兼ロケット噴射部７７Ｋより噴射するジェット兼ロケット合体機関。
【請求項６６９】
過熱蒸気噴射ノズル（６Ａ）の１００ＭＰａ以下過熱蒸気爆発力と霧吹きの原理により、１以上の高温水（５２ｂ）を混合噴射加速して大気圧重力仕事能力を燃焼ガスの１０００倍に近付けて霧吹きの原理（１１１Ｉ）により超音速飛行速度以下で前方の空気を吸引してジェット兼ロケット噴射部７７Ｋより噴射するジェット兼ロケット合体機関。
【請求項６７０】
過熱蒸気噴射ノズル（６Ａ）の１００ＭＰａ以下過熱蒸気爆発力と霧吹きの原理により、１以上の水（５２ａ）を混合噴射加速して大気圧重力仕事能力を燃焼ガスの１０００倍に近付けて霧吹きの原理（１１１Ｉ）により超音速飛行速度以下で前方の空気を吸引してジェット兼ロケット噴射部７７Ｋより噴射するジェット兼ロケット合体機関。
【請求項６７１】
過熱蒸気噴射ノズル（６Ａ）の１００ＭＰａ以下過熱蒸気爆発力と霧吹きの原理により、１以上の高温水（５２ｂ）を混合噴射加速して超音速飛行速度以上で前方の空気を吸引してジェット兼ロケット噴射部７７Ｋより噴射するジェット兼ロケット合体機関。
【請求項６７２】
過熱蒸気噴射ノズル（６Ａ）の１００ＭＰａ以下過熱蒸気爆発力と霧吹きの原理により、１以上の水（５２ａ）を混合噴射加速して超音速飛行速度以上で前方の空気を吸引してジェット兼ロケット噴射部７７Ｋより噴射するジェット兼ロケット合体機関。
【請求項６７３】
過熱蒸気噴射ノズル（６Ａ）の１００ＭＰａ以下過熱蒸気爆発力と霧吹きの原理により、１以上の高温水（５２ｂ）を混合噴射加速して大気圧重力仕事能力を燃焼ガスの１０００倍に近付けて超音速飛行速度以上で前方の空気を吸引してジェット兼ロケット噴射部７７Ｋより噴射するジェット兼ロケット合体機関。
【請求項６７４】
過熱蒸気噴射ノズル（６Ａ）の１００ＭＰａ以下過熱蒸気爆発力と霧吹きの原理により、１以上の水（５２ａ）を混合噴射加速して大気圧重力仕事能力を燃焼ガスの１０００倍に近付けて超音速飛行速度以上で前方の空気を吸引してジェット兼ロケット噴射部７７Ｋより噴射するジェット兼ロケット合体機関。
【請求項６７５】
過熱蒸気噴射ノズル（６Ａ）の１００ＭＰａ以下過熱蒸気爆発力と霧吹きの原理により、１以上の高温水（５２ｂ）を混合噴射加速して大気圧重力仕事能力を燃焼ガスの１０００倍に近付けて霧吹きの原理（１１１ａ）により超音速飛行速度以上で前方の空気を吸引してジェット兼ロケット噴射部７７Ｋより噴射するジェット兼ロケット合体機関。
【請求項６７６】
過熱蒸気噴射ノズル（６Ａ）の１００ＭＰａ以下過熱蒸気爆発力と霧吹きの原理により、１以上の水（５２ａ）を混合噴射加速して大気圧重力仕事能力を燃焼ガスの１０００倍に近付けて霧吹きの原理（１１１ａ）により超音速飛行速度以上で前方の空気を吸引してジェット兼ロケット噴射部７７Ｋより噴射するジェット兼ロケット合体機関。
【請求項６７７】
過熱蒸気噴射ノズル（６Ａ）の１００ＭＰａ以下過熱蒸気爆発力と霧吹きの原理により、１以上の高温水（５２ｂ）を混合噴射加速して大気圧重力仕事能力を燃焼ガスの１０００倍に近付けて霧吹きの原理（１１１Ｉ）により超音速飛行速度以上で前方の空気を吸引してジェット兼ロケット噴射部７７Ｋより噴射するジェット兼ロケット合体機関。
【請求項６７８】
過熱蒸気噴射ノズル（６Ａ）の１００ＭＰａ以下過熱蒸気爆発力と霧吹きの原理により、１以上の水（５２ａ）を混合噴射加速して大気圧重力仕事能力を燃焼ガスの１０００倍に近付けて霧吹きの原理（１１１Ｉ）により超音速マッハ１０以上で前方の空気を吸引してジェット兼ロケット噴射部７７Ｋより噴射するジェット兼ロケット合体機関。
【請求項６７９】
過熱蒸気噴射ノズル（６Ａ）の１００ＭＰａ以下過熱蒸気爆発力と霧吹きの原理により、１以上の高温水（５２ｂ）を混合噴射加速して超音速マッハ１０以上で前方の空気を吸引してジェット兼ロケット噴射部７７Ｋより噴射するジェット兼ロケット合体機関。
【請求項６８０】
過熱蒸気噴射ノズル（６Ａ）の１００ＭＰａ以下過熱蒸気爆発力と霧吹きの原理により、１以上の水（５２ａ）を混合噴射加速して超音速マッハ１０以上で前方の空気を吸引してジェット兼ロケット噴射部７７Ｋより噴射するジェット兼ロケット合体機関。
【請求項６８１】
過熱蒸気噴射ノズル（６Ａ）の１００ＭＰａ以下過熱蒸気爆発力と霧吹きの原理により、１以上の高温水（５２ｂ）を混合噴射加速して大気圧重力仕事能力を燃焼ガスの１０００倍に近付けて超音速マッハ１０以上で前方の空気を吸引してジェット兼ロケット噴射部７７Ｋより噴射するジェット兼ロケット合体機関。
【請求項６８２】
過熱蒸気噴射ノズル（６Ａ）の１００ＭＰａ以下過熱蒸気爆発力と霧吹きの原理により、１以上の水（５２ａ）を混合噴射加速して大気圧重力仕事能力を燃焼ガスの１０００倍に近付けて超音速マッハ１０以上で前方の空気を吸引してジェット兼ロケット噴射部７７Ｋより噴射するジェット兼ロケット合体機関。
【請求項６８３】
過熱蒸気噴射ノズル（６Ａ）の１００ＭＰａ以下過熱蒸気爆発力と霧吹きの原理により、１以上の高温水（５２ｂ）を混合噴射加速して大気圧重力仕事能力を燃焼ガスの１０００倍に近付けて霧吹きの原理（１１１ａ）により超音速マッハ１０以上で前方の空気を吸引してジェット兼ロケット噴射部７７Ｋより噴射するジェット兼ロケット合体機関。
【請求項６８４】
過熱蒸気噴射ノズル（６Ａ）の１００ＭＰａ以下過熱蒸気爆発力と霧吹きの原理により、１以上の水（５２ａ）を混合噴射加速して大気圧重力仕事能力を燃焼ガスの１０００倍に近付けて霧吹きの原理（１１１ａ）により超音速マッハ１０以上で前方の空気を吸引してジェット兼ロケット噴射部７７Ｋより噴射するジェット兼ロケット合体機関。
【請求項６８５】
過熱蒸気噴射ノズル（６Ａ）の１００ＭＰａ以下過熱蒸気爆発力と霧吹きの原理により、１以上の高温水（５２ｂ）を混合噴射加速して大気圧重力仕事能力を燃焼ガスの１０００倍に近付けて霧吹きの原理（１１１Ｉ）により超音速マッハ１０以上で前方の空気を吸引してジェット兼ロケット噴射部７７Ｋより噴射するジェット兼ロケット合体機関。
【請求項６８６】
過熱蒸気噴射ノズル（６Ａ）の１００ＭＰａ以下過熱蒸気爆発力と霧吹きの原理により、１以上の水（５２ａ）を混合噴射加速して大気圧重力仕事能力を燃焼ガスの１０００倍に近付けて霧吹きの原理（１１１Ｉ）により超音速マッハ１０以上で前方の空気を吸引してジェット兼ロケット噴射部７７Ｋより噴射するジェット兼ロケット合体機関。
【請求項６８７】
過熱蒸気噴射ノズル（６Ａ）の１００ＭＰａ以下過熱蒸気爆発力と霧吹きの原理により、１以上の高温水（５２ｂ）を混合噴射加速して超音速マッハ１０以下で前方の空気を吸引してジェット兼ロケット噴射部７７Ｋより噴射するジェット兼ロケット合体機関。
【請求項６８８】
過熱蒸気噴射ノズル（６Ａ）の１００ＭＰａ以下過熱蒸気爆発力と霧吹きの原理により、１以上の水（５２ａ）を混合噴射加速して超音速マッハ１０以下で前方の空気を吸引してジェット兼ロケット噴射部７７Ｋより噴射するジェット兼ロケット合体機関。
【請求項６８９】
過熱蒸気噴射ノズル（６Ａ）の１００ＭＰａ以下過熱蒸気爆発力と霧吹きの原理により、１以上の高温水（５２ｂ）を混合噴射加速して大気圧重力仕事能力を燃焼ガスの１０００倍に近付けて超音速マッハ１０以下で前方の空気を吸引してジェット兼ロケット噴射部７７Ｋより噴射するジェット兼ロケット合体機関。
【請求項６９０】
過熱蒸気噴射ノズル（６Ａ）の１００ＭＰａ以下過熱蒸気爆発力と霧吹きの原理により、１以上の水（５２ａ）を混合噴射加速して大気圧重力仕事能力を燃焼ガスの１０００倍に近付けて超音速マッハ１０以下で前方の空気を吸引してジェット兼ロケット噴射部７７Ｋより噴射するジェット兼ロケット合体機関。
【請求項６９１】
過熱蒸気噴射ノズル（６Ａ）の１００ＭＰａ以下過熱蒸気爆発力と霧吹きの原理により、１以上の高温水（５２ｂ）を混合噴射加速して大気圧重力仕事能力を燃焼ガスの１０００倍に近付けて霧吹きの原理（１１１ａ）により超音速マッハ１０以下で前方の空気を吸引してジェット兼ロケット噴射部７７Ｋより噴射するジェット兼ロケット合体機関。
【請求項６９２】
過熱蒸気噴射ノズル（６Ａ）の１００ＭＰａ以下過熱蒸気爆発力と霧吹きの原理により、１以上の水（５２ａ）を混合噴射加速して大気圧重力仕事能力を燃焼ガスの１０００倍に近付けて霧吹きの原理（１１１ａ）により超音速マッハ１０以下で前方の空気を吸引してジェット兼ロケット噴射部７７Ｋより噴射するジェット兼ロケット合体機関。
【請求項６９３】
過熱蒸気噴射ノズル（６Ａ）の１００ＭＰａ以下過熱蒸気爆発力と霧吹きの原理により、１以上の高温水（５２ｂ）を混合噴射加速して大気圧重力仕事能力を燃焼ガスの１０００倍に近付けて霧吹きの原理（１１１Ｉ）により超音速マッハ１０以下で前方の空気を吸引してジェット兼ロケット噴射部７７Ｋより噴射するジェット兼ロケット合体機関。
【請求項６９４】
過熱蒸気噴射ノズル（６Ａ）の１００ＭＰａ以下過熱蒸気爆発力と霧吹きの原理により、１以上の水（５２ａ）を混合噴射加速して大気圧重力仕事能力を燃焼ガスの１０００倍に近付けて霧吹きの原理（１１１Ｉ）により超音速マッハ１０以下で前方の空気を吸引してジェット兼ロケット噴射部７７Ｋより噴射するジェット兼ロケット合体機関。
【請求項６９５】
過熱蒸気噴射ノズル（６Ａ）の１００ＭＰａ以下過熱蒸気爆発力と霧吹きの原理により、１以上の高温水（５２ｂ）を混合噴射加速して超音速マッハ２０以下で前方の空気を吸引してジェット兼ロケット噴射部７７Ｋより噴射するジェット兼ロケット合体機関。
【請求項６９６】
過熱蒸気噴射ノズル（６Ａ）の１００ＭＰａ以下過熱蒸気爆発力と霧吹きの原理により、１以上の水（５２ａ）を混合噴射加速して超音速マッハ２０以下で前方の空気を吸引してジェット兼ロケット噴射部７７Ｋより噴射するジェット兼ロケット合体機関。
【請求項６９７】
過熱蒸気噴射ノズル（６Ａ）の１００ＭＰａ以下過熱蒸気爆発力と霧吹きの原理により、１以上の高温水（５２ｂ）を混合噴射加速して大気圧重力仕事能力を燃焼ガスの１０００倍に近付けて超音速マッハ２０以下で前方の空気を吸引してジェット兼ロケット噴射部７７Ｋより噴射するジェット兼ロケット合体機関。
【請求項６９８】
過熱蒸気噴射ノズル（６Ａ）の１００ＭＰａ以下過熱蒸気爆発力と霧吹きの原理により、１以上の水（５２ａ）を混合噴射加速して大気圧重力仕事能力を燃焼ガスの１０００倍に近付けて超音速マッハ２０以下で前方の空気を吸引してジェット兼ロケット噴射部７７Ｋより噴射するジェット兼ロケット合体機関。
【請求項６９９】
過熱蒸気噴射ノズル（６Ａ）の１００ＭＰａ以下過熱蒸気爆発力と霧吹きの原理により、１以上の高温水（５２ｂ）を混合噴射加速して大気圧重力仕事能力を燃焼ガスの１０００倍に近付けて霧吹きの原理（１１１ａ）により超音速マッハ２０以下で前方の空気を吸引してジェット兼ロケット噴射部７７Ｋより噴射するジェット兼ロケット合体機関。
【請求項７００】
過熱蒸気噴射ノズル（６Ａ）の１００ＭＰａ以下過熱蒸気爆発力と霧吹きの原理により、１以上の水（５２ａ）を混合噴射加速して大気圧重力仕事能力を燃焼ガスの１０００倍に近付けて霧吹きの原理（１１１ａ）により超音速マッハ２０以下で前方の空気を吸引してジェット兼ロケット噴射部７７Ｋより噴射するジェット兼ロケット合体機関。
【請求項７０１】
過熱蒸気噴射ノズル（６Ａ）の１００ＭＰａ以下過熱蒸気爆発力と霧吹きの原理により、１以上の高温水（５２ｂ）を混合噴射加速して大気圧重力仕事能力を燃焼ガスの１０００倍に近付けて霧吹きの原理（１１１Ｉ）により超音速マッハ２０以下で前方の空気を吸引してジェット兼ロケット噴射部７７Ｋより噴射するジェット兼ロケット合体機関。
【請求項７０２】
過熱蒸気噴射ノズル（６Ａ）の１００ＭＰａ以下過熱蒸気爆発力と霧吹きの原理により、１以上の水（５２ａ）を混合噴射加速して大気圧重力仕事能力を燃焼ガスの１０００倍に近付けて霧吹きの原理（１１１Ｉ）により超音速マッハ２０以下で前方の空気を吸引してジェット兼ロケット噴射部７７Ｋより噴射するジェット兼ロケット合体機関。
【請求項７０３】
過熱蒸気噴射ノズル（６Ａ）の１００ＭＰａ以下過熱蒸気爆発力と霧吹きの原理により、１以上の高温水（５２ｂ）を混合噴射加速して超音速マッハ３０以下で前方の空気を吸引してジェット兼ロケット噴射部７７Ｋより噴射するジェット兼ロケット合体機関。
【請求項７０４】
過熱蒸気噴射ノズル（６Ａ）の１００ＭＰａ以下過熱蒸気爆発力と霧吹きの原理により、１以上の水（５２ａ）を混合噴射加速して超音速マッハ３０以下で前方の空気を吸引してジェット兼ロケット噴射部７７Ｋより噴射するジェット兼ロケット合体機関。
【請求項７０５】
過熱蒸気噴射ノズル（６Ａ）の１００ＭＰａ以下過熱蒸気爆発力と霧吹きの原理により、１以上の高温水（５２ｂ）を混合噴射加速して大気圧重力仕事能力を燃焼ガスの１０００倍に近付けて超音速マッハ３０以下で前方の空気を吸引してジェット兼ロケット噴射部７７Ｋより噴射するジェット兼ロケット合体機関。
【請求項７０６】
過熱蒸気噴射ノズル（６Ａ）の１００ＭＰａ以下過熱蒸気爆発力と霧吹きの原理により、１以上の水（５２ａ）を混合噴射加速して大気圧重力仕事能力を燃焼ガスの１０００倍に近付けて超音速マッハ３０以下で前方の空気を吸引してジェット兼ロケット噴射部７７Ｋより噴射するジェット兼ロケット合体機関。
【請求項７０７】
過熱蒸気噴射ノズル（６Ａ）の１００ＭＰａ以下過熱蒸気爆発力と霧吹きの原理により、１以上の高温水（５２ｂ）を混合噴射加速して大気圧重力仕事能力を燃焼ガスの１０００倍に近付けて霧吹きの原理（１１１ａ）により超音速マッハ３０以下で前方の空気を吸引してジェット兼ロケット噴射部７７Ｋより噴射するジェット兼ロケット合体機関。
【請求項７０８】
過熱蒸気噴射ノズル（６Ａ）の１００ＭＰａ以下過熱蒸気爆発力と霧吹きの原理により、１以上の水（５２ａ）を混合噴射加速して大気圧重力仕事能力を燃焼ガスの１０００倍に近付けて霧吹きの原理（１１１ａ）により超音速マッハ３０以下で前方の空気を吸引してジェット兼ロケット噴射部７７Ｋより噴射するジェット兼ロケット合体機関。
【請求項７０９】
過熱蒸気噴射ノズル（６Ａ）の１００ＭＰａ以下過熱蒸気爆発力と霧吹きの原理により、１以上の高温水（５２ｂ）を混合噴射加速して大気圧重力仕事能力を燃焼ガスの１０００倍に近付けて霧吹きの原理（１１１Ｉ）により超音速マッハ３０以下で前方の空気を吸引してジェット兼ロケット噴射部７７Ｋより噴射するジェット兼ロケット合体機関。
【請求項７１０】
過熱蒸気噴射ノズル（６Ａ）の１００ＭＰａ以下過熱蒸気爆発力と霧吹きの原理により、１以上の水（５２ａ）を混合噴射加速して大気圧重力仕事能力を燃焼ガスの１０００倍に近付けて霧吹きの原理（１１１Ｉ）により超音速マッハ３０以下で前方の空気を吸引してジェット兼ロケット噴射部７７Ｋより噴射するジェット兼ロケット合体機関。
【請求項７１１】
過熱蒸気噴射ノズル（６Ａ）の１００ＭＰａ以下過熱蒸気爆発力と霧吹きの原理により、１以上の高温水（５２ｂ）を混合噴射加速して大気圧重力仕事能力を燃焼ガスの１０００倍に近付けて霧吹きの原理（１１１ａ）とロケットノズル（９４ｂ）によりジェット兼ロケット噴射部７７Ｋより噴射するジェット兼ロケット合体機関。
【請求項７１２】
過熱蒸気噴射ノズル（６Ａ）の１００ＭＰａ以下過熱蒸気爆発力と霧吹きの原理により、１以上の水（５２ａ）を混合噴射加速して大気圧重力仕事能力を燃焼ガスの１０００倍に近付けて霧吹きの原理（１１１ａ）とロケットノズル（９４ｂ）によりジェット兼ロケット噴射部７７Ｋより噴射するジェット兼ロケット合体機関。
【請求項７１３】
過熱蒸気噴射ノズル（６Ａ）の１００ＭＰａ以下過熱蒸気爆発力と霧吹きの原理により、１以上の高温水（５２ｂ）を混合噴射加速して大気圧重力仕事能力を燃焼ガスの１０００倍に近付けて霧吹きの原理（１１１Ｉ）とロケットノズル（９４ｂ）によりジェット兼ロケット噴射部７７Ｋより噴射するジェット兼ロケット合体機関。
【請求項７１４】
過熱蒸気噴射ノズル（６Ａ）の１００ＭＰａ以下過熱蒸気爆発力と霧吹きの原理により、１以上の水（５２ａ）を混合噴射加速して大気圧重力仕事能力を燃焼ガスの１０００倍に近付けて霧吹きの原理（１１１Ｉ）とロケットノズル（９４ｂ）によりジェット兼ロケット噴射部７７Ｋより噴射するジェット兼ロケット合体機関。
【請求項７１５】
過熱蒸気噴射ノズル（６Ａ）の１００ＭＰａ以下過熱蒸気爆発力と霧吹きの原理により、１以上の高温水（５２ｂ）を混合噴射加速して大気圧重力仕事能力を燃焼ガスの１０００倍に近付けて霧吹きの原理（１１１ａ）とロケットノズル（９４ｂ）により前方の空気を吸引してジェット兼ロケット噴射部７７Ｋより噴射するジェット兼ロケット合体機関。
【請求項７１６】
過熱蒸気噴射ノズル（６Ａ）の１００ＭＰａ以下過熱蒸気爆発力と霧吹きの原理により、１以上の水（５２ａ）を混合噴射加速して大気圧重力仕事能力を燃焼ガスの１０００倍に近付けて霧吹きの原理（１１１ａ）とロケットノズル（９４ｂ）により前方の空気を吸引してジェット兼ロケット噴射部７７Ｋより噴射するジェット兼ロケット合体機関。
【請求項７１７】
過熱蒸気噴射ノズル（６Ａ）の１００ＭＰａ以下過熱蒸気爆発力と霧吹きの原理により、１以上の高温水（５２ｂ）を混合噴射加速して大気圧重力仕事能力を燃焼ガスの１０００倍に近付けて霧吹きの原理（１１１Ｉ）とロケットノズル（９４ｂ）により前方の空気を吸引してジェット兼ロケット噴射部７７Ｋより噴射するジェット兼ロケット合体機関。
【請求項７１８】
過熱蒸気噴射ノズル（６Ａ）の１００ＭＰａ以下過熱蒸気爆発力と霧吹きの原理により、１以上の水（５２ａ）を混合噴射加速して大気圧重力仕事能力を燃焼ガスの１０００倍に近付けて霧吹きの原理（１１１Ｉ）とロケットノズル（９４ｂ）により前方の空気を吸引してジェット兼ロケット噴射部７７Ｋより噴射するジェット兼ロケット合体機関。
【請求項７１９】
過熱蒸気噴射ノズル（６Ａ）の１００ＭＰａ以下過熱蒸気爆発力と霧吹きの原理により、１以上の高温水（５２ｂ）を混合噴射加速して大気圧重力仕事能力を燃焼ガスの１０００倍に近付けて霧吹きの原理（１１１ａ）とロケットノズル（９４ｂ）により超音速飛行速度以下で前方の空気を吸引してジェット兼ロケット噴射部７７Ｋより噴射するジェット兼ロケット合体機関。
【請求項７２０】
過熱蒸気噴射ノズル（６Ａ）の１００ＭＰａ以下過熱蒸気爆発力と霧吹きの原理により、１以上の水（５２ａ）を混合噴射加速して大気圧重力仕事能力を燃焼ガスの１０００倍に近付けて霧吹きの原理（１１１ａ）とロケットノズル（９４ｂ）により超音速飛行速度以下で前方の空気を吸引してジェット兼ロケット噴射部７７Ｋより噴射するジェット兼ロケット合体機関。
【請求項７２１】
過熱蒸気噴射ノズル（６Ａ）の１００ＭＰａ以下過熱蒸気爆発力と霧吹きの原理により、１以上の高温水（５２ｂ）を混合噴射加速して大気圧重力仕事能力を燃焼ガスの１０００倍に近付けて霧吹きの原理（１１１Ｉ）とロケットノズル（９４ｂ）により超音速飛行速度以下で前方の空気を吸引してジェット兼ロケット噴射部７７Ｋより噴射するジェット兼ロケット合体機関。
【請求項７２２】
過熱蒸気噴射ノズル（６Ａ）の１００ＭＰａ以下過熱蒸気爆発力と霧吹きの原理により、１以上の水（５２ａ）を混合噴射加速して大気圧重力仕事能力を燃焼ガスの１０００倍に近付けて霧吹きの原理（１１１Ｉ）とロケットノズル（９４ｂ）により超音速飛行速度以下で前方の空気を吸引してジェット兼ロケット噴射部７７Ｋより噴射するジェット兼ロケット合体機関。
【請求項７２３】
過熱蒸気噴射ノズル（６Ａ）の１００ＭＰａ以下過熱蒸気爆発力と霧吹きの原理により、１以上の高温水（５２ｂ）を混合噴射加速して大気圧重力仕事能力を燃焼ガスの１０００倍に近付けて霧吹きの原理（１１１ａ）とロケットノズル（９４ｂ）により超音速飛行速度以上で前方の空気を吸引してジェット兼ロケット噴射部７７Ｋより噴射するジェット兼ロケット合体機関。
【請求項７２４】
過熱蒸気噴射ノズル（６Ａ）の１００ＭＰａ以下過熱蒸気爆発力と霧吹きの原理により、１以上の水（５２ａ）を混合噴射加速して大気圧重力仕事能力を燃焼ガスの１０００倍に近付けて霧吹きの原理（１１１ａ）とロケットノズル（９４ｂ）により超音速飛行速度以上で前方の空気を吸引してジェット兼ロケット噴射部７７Ｋより噴射するジェット兼ロケット合体機関。
【請求項７２５】
過熱蒸気噴射ノズル（６Ａ）の１００ＭＰａ以下過熱蒸気爆発力と霧吹きの原理により、１以上の高温水（５２ｂ）を混合噴射加速して大気圧重力仕事能力を燃焼ガスの１０００倍に近付けて霧吹きの原理（１１１Ｉ）とロケットノズル（９４ｂ）により超音速飛行速度以上で前方の空気を吸引してジェット兼ロケット噴射部７７Ｋより噴射するジェット兼ロケット合体機関。
【請求項７２６】
過熱蒸気噴射ノズル（６Ａ）の１００ＭＰａ以下過熱蒸気爆発力と霧吹きの原理により、１以上の水（５２ａ）を混合噴射加速して大気圧重力仕事能力を燃焼ガスの１０００倍に近付けて霧吹きの原理（１１１Ｉ）とロケットノズル（９４ｂ）により超音速マッハ１０以上で前方の空気を吸引してジェット兼ロケット噴射部７７Ｋより噴射するジェット兼ロケット合体機関。
【請求項７２７】
過熱蒸気噴射ノズル（６Ａ）の１００ＭＰａ以下過熱蒸気爆発力と霧吹きの原理により、１以上の高温水（５２ｂ）を混合噴射加速して大気圧重力仕事能力を燃焼ガスの１０００倍に近付けて霧吹きの原理（１１１ａ）とロケットノズル（９４ｂ）により超音速マッハ１０以上で前方の空気を吸引してジェット兼ロケット噴射部７７Ｋより噴射するジェット兼ロケット合体機関。
【請求項７２８】
過熱蒸気噴射ノズル（６Ａ）の１００ＭＰａ以下過熱蒸気爆発力と霧吹きの原理により、１以上の水（５２ａ）を混合噴射加速して大気圧重力仕事能力を燃焼ガスの１０００倍に近付けて霧吹きの原理（１１１ａ）とロケットノズル（９４ｂ）により超音速マッハ１０以上で前方の空気を吸引してジェット兼ロケット噴射部７７Ｋより噴射するジェット兼ロケット合体機関。
【請求項７２９】
過熱蒸気噴射ノズル（６Ａ）の１００ＭＰａ以下過熱蒸気爆発力と霧吹きの原理により、１以上の高温水（５２ｂ）を混合噴射加速して大気圧重力仕事能力を燃焼ガスの１０００倍に近付けて霧吹きの原理（１１１Ｉ）とロケットノズル（９４ｂ）により超音速マッハ１０以上で前方の空気を吸引してジェット兼ロケット噴射部７７Ｋより噴射するジェット兼ロケット合体機関。
【請求項７３０】
過熱蒸気噴射ノズル（６Ａ）の１００ＭＰａ以下過熱蒸気爆発力と霧吹きの原理により、１以上の水（５２ａ）を混合噴射加速して大気圧重力仕事能力を燃焼ガスの１０００倍に近付けて霧吹きの原理（１１１Ｉ）とロケットノズル（９４ｂ）により超音速マッハ１０以上で前方の空気を吸引してジェット兼ロケット噴射部７７Ｋより噴射するジェット兼ロケット合体機関。
【請求項７３１】
過熱蒸気噴射ノズル（６Ａ）の１００ＭＰａ以下過熱蒸気爆発力と霧吹きの原理により、１以上の高温水（５２ｂ）を混合噴射加速して大気圧重力仕事能力を燃焼ガスの１０００倍に近付けて霧吹きの原理（１１１ａ）とロケットノズル（９４ｂ）により超音速マッハ１０以下で前方の空気を吸引してジェット兼ロケット噴射部７７Ｋより噴射するジェット兼ロケット合体機関。
【請求項７３２】
過熱蒸気噴射ノズル（６Ａ）の１００ＭＰａ以下過熱蒸気爆発力と霧吹きの原理により、１以上の水（５２ａ）を混合噴射加速して大気圧重力仕事能力を燃焼ガスの１０００倍に近付けて霧吹きの原理（１１１ａ）とロケットノズル（９４ｂ）により超音速マッハ１０以下で前方の空気を吸引してジェット兼ロケット噴射部７７Ｋより噴射するジェット兼ロケット合体機関。
【請求項７３３】
過熱蒸気噴射ノズル（６Ａ）の１００ＭＰａ以下過熱蒸気爆発力と霧吹きの原理により、１以上の高温水（５２ｂ）を混合噴射加速して大気圧重力仕事能力を燃焼ガスの１０００倍に近付けて霧吹きの原理（１１１Ｉ）とロケットノズル（９４ｂ）により超音速マッハ１０以下で前方の空気を吸引してジェット兼ロケット噴射部７７Ｋより噴射するジェット兼ロケット合体機関。
【請求項７３４】
過熱蒸気噴射ノズル（６Ａ）の１００ＭＰａ以下過熱蒸気爆発力と霧吹きの原理により、１以上の水（５２ａ）を混合噴射加速して大気圧重力仕事能力を燃焼ガスの１０００倍に近付けて霧吹きの原理（１１１Ｉ）とロケットノズル（９４ｂ）により超音速マッハ１０以下で前方の空気を吸引してジェット兼ロケット噴射部７７Ｋより噴射するジェット兼ロケット合体機関。
【請求項７３５】
過熱蒸気噴射ノズル（６Ａ）の１００ＭＰａ以下過熱蒸気爆発力と霧吹きの原理により、１以上の高温水（５２ｂ）を混合噴射加速して大気圧重力仕事能力を燃焼ガスの１０００倍に近付けて霧吹きの原理（１１１ａ）とロケットノズル（９４ｂ）により超音速マッハ２０以下で前方の空気を吸引してジェット兼ロケット噴射部７７Ｋより噴射するジェット兼ロケット合体機関。
【請求項７３６】
過熱蒸気噴射ノズル（６Ａ）の１００ＭＰａ以下過熱蒸気爆発力と霧吹きの原理により、１以上の水（５２ａ）を混合噴射加速して大気圧重力仕事能力を燃焼ガスの１０００倍に近付けて霧吹きの原理（１１１ａ）とロケットノズル（９４ｂ）により超音速マッハ２０以下で前方の空気を吸引してジェット兼ロケット噴射部７７Ｋより噴射するジェット兼ロケット合体機関。
【請求項７３７】
過熱蒸気噴射ノズル（６Ａ）の１００ＭＰａ以下過熱蒸気爆発力と霧吹きの原理により、１以上の高温水（５２ｂ）を混合噴射加速して大気圧重力仕事能力を燃焼ガスの１０００倍に近付けて霧吹きの原理（１１１Ｉ）とロケットノズル（９４ｂ）により超音速マッハ２０以下で前方の空気を吸引してジェット兼ロケット噴射部７７Ｋより噴射するジェット兼ロケット合体機関。
【請求項７３８】
過熱蒸気噴射ノズル（６Ａ）の１００ＭＰａ以下過熱蒸気爆発力と霧吹きの原理により、１以上の水（５２ａ）を混合噴射加速して大気圧重力仕事能力を燃焼ガスの１０００倍に近付けて霧吹きの原理（１１１Ｉ）とロケットノズル（９４ｂ）により超音速マッハ２０以下で前方の空気を吸引してジェット兼ロケット噴射部７７Ｋより噴射するジェット兼ロケット合体機関。
【請求項７３９】
過熱蒸気噴射ノズル（６Ａ）の１００ＭＰａ以下過熱蒸気爆発力と霧吹きの原理により、１以上の高温水（５２ｂ）を混合噴射加速して大気圧重力仕事能力を燃焼ガスの１０００倍に近付けて霧吹きの原理（１１１ａ）とロケットノズル（９４ｂ）により超音速マッハ３０以下で前方の空気を吸引してジェット兼ロケット噴射部７７Ｋより噴射するジェット兼ロケット合体機関。
【請求項７４０】
過熱蒸気噴射ノズル（６Ａ）の１００ＭＰａ以下過熱蒸気爆発力と霧吹きの原理により、１以上の水（５２ａ）を混合噴射加速して大気圧重力仕事能力を燃焼ガスの１０００倍に近付けて霧吹きの原理（１１１ａ）とロケットノズル（９４ｂ）により超音速マッハ３０以下で前方の空気を吸引してジェット兼ロケット噴射部７７Ｋより噴射するジェット兼ロケット合体機関。
【請求項７４１】
過熱蒸気噴射ノズル（６Ａ）の１００ＭＰａ以下過熱蒸気爆発力と霧吹きの原理により、１以上の高温水（５２ｂ）を混合噴射加速して大気圧重力仕事能力を燃焼ガスの１０００倍に近付けて霧吹きの原理（１１１Ｉ）とロケットノズル（９４ｂ）により超音速マッハ３０以下で前方の空気を吸引してジェット兼ロケット噴射部７７Ｋより噴射するジェット兼ロケット合体機関。
【請求項７４２】
過熱蒸気噴射ノズル（６Ａ）の１００ＭＰａ以下過熱蒸気爆発力と霧吹きの原理により、１以上の水（５２ａ）を混合噴射加速して大気圧重力仕事能力を燃焼ガスの１０００倍に近付けて霧吹きの原理（１１１Ｉ）とロケットノズル（９４ｂ）により超音速マッハ３０以下で前方の空気を吸引してジェット兼ロケット噴射部７７Ｋより噴射するジェット兼ロケット合体機関。
【請求項７４３】
縮径主燃焼室兼熱交換器（１）で空気（２８ａ）と燃料を長時間熱交換冷却燃焼するＡ型ジェット兼ロケット合体機関燃焼部２９Ａとしたジェット兼ロケット合体機関。
【請求項７４４】
縮径主燃焼室兼熱交換器（１）で酸化剤（４ｂ）と燃料を長時間熱交換冷却燃焼するＡ型ジェット兼ロケット合体機関燃焼部２９Ａとしたジェット兼ロケット合体機関。
【請求項７４５】
縮径主燃焼室兼熱交換器（１）で液体酸素（４ｃ）と燃料を長時間熱交換冷却燃焼するＡ型ジェット兼ロケット合体機関燃焼部２９Ａとしたジェット兼ロケット合体機関。
【請求項７４６】
縮径主燃焼室兼熱交換器（１）で空気（２８ａ）と燃料を長時間熱交換冷却燃焼して過熱蒸気爆発力＋燃焼ガス爆発力に分割するＡ型ジェット兼ロケット合体機関燃焼部２９Ａとしたジェット兼ロケット合体機関。
【請求項７４７】
縮径主燃焼室兼熱交換器（１）で酸化剤（４ｂ）と燃料を長時間熱交換冷却燃焼して過熱蒸気爆発力＋燃焼ガス爆発力に分割するＡ型ジェット兼ロケット合体機関燃焼部２９Ａとしたジェット兼ロケット合体機関。
【請求項７４８】
縮径主燃焼室兼熱交換器（１）で液体酸素（４ｃ）と燃料を長時間熱交換冷却燃焼して過熱蒸気爆発力＋燃焼ガス爆発力に分割するＡ型ジェット兼ロケット合体機関燃焼部２９Ａとしたジェット兼ロケット合体機関。
【請求項７４９】
縮径主燃焼室兼熱交換器（１）で空気（２８ａ）と燃料を長時間熱交換冷却燃焼して限り無く高圧の過熱蒸気爆発力＋限り無く高圧の燃焼ガス爆発力に分割するＡ型ジェット兼ロケット合体機関燃焼部２９Ａとしたジェット兼ロケット合体機関。
【請求項７５０】
縮径主燃焼室兼熱交換器（１）で酸化剤（４ｂ）と燃料を長時間熱交換冷却燃焼して限り無く高圧の過熱蒸気爆発力＋限り無く高圧の燃焼ガス爆発力に分割するＡ型ジェット兼ロケット合体機関燃焼部２９Ａとしたジェット兼ロケット合体機関。
【請求項７５１】
縮径主燃焼室兼熱交換器（１）で液体酸素（４ｃ）と燃料を長時間熱交換冷却燃焼して限り無く高圧の過熱蒸気爆発力＋限り無く高圧の燃焼ガス爆発力に分割するＡ型ジェット兼ロケット合体機関燃焼部２９Ａとしたジェット兼ロケット合体機関。
【請求項７５２】
縮径主燃焼室兼熱交換器（１）で空気（２８ａ）と燃料を長時間熱交換冷却燃焼して１００ＭＰａ以下の過熱蒸気爆発力＋１００ＭＰａ以下の燃焼ガス爆発力に分割するＡ型ジェット兼ロケット合体機関燃焼部２９Ａとしたジェット兼ロケット合体機関。
【請求項７５３】
縮径主燃焼室兼熱交換器（１）で酸化剤（４ｂ）と燃料を長時間熱交換冷却燃焼して１００ＭＰａ以下の過熱蒸気爆発力＋１００ＭＰａ以下の燃焼ガス爆発力に分割するＡ型ジェット兼ロケット合体機関燃焼部２９Ａとしたジェット兼ロケット合体機関。
【請求項７５４】
縮径主燃焼室兼熱交換器（１）で液体酸素（４ｃ）と燃料を長時間熱交換冷却燃焼して１００ＭＰａ以下の過熱蒸気爆発力＋１００ＭＰａ以下の燃焼ガス爆発力に分割するＡ型ジェット兼ロケット合体機関燃焼部２９Ａとしたジェット兼ロケット合体機関。
【請求項７５５】
縮径主燃焼室兼熱交換器（１）で空気（２８ａ）と燃料を長時間熱交換冷却燃焼して６０ＭＰａ以下の過熱蒸気爆発力＋６０ＭＰａ以下の燃焼ガス爆発力に分割するＡ型ジェット兼ロケット合体機関燃焼部２９Ａとしたジェット兼ロケット合体機関。
【請求項７５６】
縮径主燃焼室兼熱交換器（１）で酸化剤（４ｂ）と燃料を長時間熱交換冷却燃焼して６０ＭＰａ以下の過熱蒸気爆発力＋６０ＭＰａ以下の燃焼ガス爆発力に分割するＡ型ジェット兼ロケット合体機関燃焼部２９Ａとしたジェット兼ロケット合体機関。
【請求項７５７】
縮径主燃焼室兼熱交換器（１）で液体酸素（４ｃ）と燃料を長時間熱交換冷却燃焼して６０ＭＰａ以下の過熱蒸気爆発力＋６０ＭＰａ以下の燃焼ガス爆発力に分割するＡ型ジェット兼ロケット合体機関燃焼部２９Ａとしたジェット兼ロケット合体機関。
【請求項７５８】
縮径主燃焼室兼熱交換器（１）で空気（２８ａ）と燃料を長時間熱交換冷却燃焼して３０ＭＰａ以下の過熱蒸気爆発力＋３０ＭＰａ以下の燃焼ガス爆発力に分割するＡ型ジェット兼ロケット合体機関燃焼部２９Ａとしたジェット兼ロケット合体機関。
【請求項７５９】
縮径主燃焼室兼熱交換器（１）で酸化剤（４ｂ）と燃料を長時間熱交換冷却燃焼して３０ＭＰａ以下の過熱蒸気爆発力＋３０ＭＰａ以下の燃焼ガス爆発力に分割するＡ型ジェット兼ロケット合体機関燃焼部２９Ａとしたジェット兼ロケット合体機関。
【請求項７６０】
縮径主燃焼室兼熱交換器（１）で液体酸素（４ｃ）と燃料を長時間熱交換冷却燃焼して３０ＭＰａ以下の過熱蒸気爆発力＋３０ＭＰａ以下の燃焼ガス爆発力に分割するＡ型ジェット兼ロケット合体機関燃焼部２９Ａとしたジェット兼ロケット合体機関。
【請求項７６１】
縮径主燃焼室兼熱交換器（１）で空気（２８ａ）と燃料を長時間熱交換冷却燃焼して最適圧力の過熱蒸気爆発力＋最適圧力の燃焼ガス爆発力に分割するＡ型ジェット兼ロケット合体機関燃焼部２９Ａとしたジェット兼ロケット合体機関。
【請求項７６２】
縮径主燃焼室兼熱交換器（１）で酸化剤（４ｂ）と燃料を長時間熱交換冷却燃焼して最適圧力の過熱蒸気爆発力＋最適圧力の燃焼ガス爆発力に分割するＡ型ジェット兼ロケット合体機関燃焼部２９Ａとしたジェット兼ロケット合体機関。
【請求項７６３】
縮径主燃焼室兼熱交換器（１）で液体酸素（４ｃ）と燃料を長時間熱交換冷却燃焼して最適圧力の過熱蒸気爆発力＋最適圧力の燃焼ガス爆発力に分割するＡ型ジェット兼ロケット合体機関燃焼部２９Ａとしたジェット兼ロケット合体機関。
【請求項７６４】
縮径主燃焼室兼熱交換器（１）で空気（２８ａ）と燃料を長時間熱交換冷却燃焼するＡ型ジェット兼ロケット合体機関燃焼部２９Ａとして噴射推進出力を発生するジェット兼ロケット合体機関。
【請求項７６５】
縮径主燃焼室兼熱交換器（１）で酸化剤（４ｂ）と燃料を長時間熱交換冷却燃焼するＡ型ジェット兼ロケット合体機関燃焼部２９Ａとして噴射推進出力を発生するジェット兼ロケット合体機関。
【請求項７６６】
縮径主燃焼室兼熱交換器（１）で液体酸素（４ｃ）と燃料を長時間熱交換冷却燃焼するＡ型ジェット兼ロケット合体機関燃焼部２９Ａとして噴射推進出力を発生するジェット兼ロケット合体機関。
【請求項７６７】
縮径主燃焼室兼熱交換器（１）で空気（２８ａ）と燃料を長時間熱交換冷却燃焼して過熱蒸気爆発力＋燃焼ガス爆発力に分割するＡ型ジェット兼ロケット合体機関燃焼部２９Ａとして噴射推進出力を発生するジェット兼ロケット合体機関。
【請求項７６８】
縮径主燃焼室兼熱交換器（１）で酸化剤（４ｂ）と燃料を長時間熱交換冷却燃焼して過熱蒸気爆発力＋燃焼ガス爆発力に分割するＡ型ジェット兼ロケット合体機関燃焼部２９Ａとして噴射推進出力を発生するジェット兼ロケット合体機関。
【請求項７６９】
縮径主燃焼室兼熱交換器（１）で液体酸素（４ｃ）と燃料を長時間熱交換冷却燃焼して過熱蒸気爆発力＋燃焼ガス爆発力に分割するＡ型ジェット兼ロケット合体機関燃焼部２９Ａとして噴射推進出力を発生するジェット兼ロケット合体機関。
【請求項７７０】
縮径主燃焼室兼熱交換器（１）で空気（２８ａ）と燃料を長時間熱交換冷却燃焼して限り無く高圧の過熱蒸気爆発力＋限り無く高圧の燃焼ガス爆発力に分割するＡ型ジェット兼ロケット合体機関燃焼部２９Ａとして噴射推進出力を発生するジェット兼ロケット合体機関。
【請求項７７１】
縮径主燃焼室兼熱交換器（１）で酸化剤（４ｂ）と燃料を長時間熱交換冷却燃焼して限り無く高圧の過熱蒸気爆発力＋限り無く高圧の燃焼ガス爆発力に分割するＡ型ジェット兼ロケット合体機関燃焼部２９Ａとして噴射推進出力を発生するジェット兼ロケット合体機関。
【請求項７７２】
縮径主燃焼室兼熱交換器（１）で液体酸素（４ｃ）と燃料を長時間熱交換冷却燃焼して限り無く高圧の過熱蒸気爆発力＋限り無く高圧の燃焼ガス爆発力に分割するＡ型ジェット兼ロケット合体機関燃焼部２９Ａとして噴射推進出力を発生するジェット兼ロケット合体機関。
【請求項７７３】
縮径主燃焼室兼熱交換器（１）で空気（２８ａ）と燃料を長時間熱交換冷却燃焼して１００ＭＰａ以下の過熱蒸気爆発力＋１００ＭＰａ以下の燃焼ガス爆発力に分割するＡ型ジェット兼ロケット合体機関燃焼部２９Ａとして噴射推進出力を発生するジェット兼ロケット合体機関。
【請求項７７４】
縮径主燃焼室兼熱交換器（１）で酸化剤（４ｂ）と燃料を長時間熱交換冷却燃焼して１００ＭＰａ以下の過熱蒸気爆発力＋１００ＭＰａ以下の燃焼ガス爆発力に分割するＡ型ジェット兼ロケット合体機関燃焼部２９Ａとして噴射推進出力を発生するジェット兼ロケット合体機関。
【請求項７７５】
縮径主燃焼室兼熱交換器（１）で液体酸素（４ｃ）と燃料を長時間熱交換冷却燃焼して１００ＭＰａ以下の過熱蒸気爆発力＋１００ＭＰａ以下の燃焼ガス爆発力に分割するＡ型ジェット兼ロケット合体機関燃焼部２９Ａとして噴射推進出力を発生するジェット兼ロケット合体機関。
【請求項７７６】
縮径主燃焼室兼熱交換器（１）で空気（２８ａ）と燃料を長時間熱交換冷却燃焼して６０ＭＰａ以下の過熱蒸気爆発力＋６０ＭＰａ以下の燃焼ガス爆発力に分割するＡ型ジェット兼ロケット合体機関燃焼部２９Ａとして噴射推進出力を発生するジェット兼ロケット合体機関。
【請求項７７７】
縮径主燃焼室兼熱交換器（１）で酸化剤（４ｂ）と燃料を長時間熱交換冷却燃焼して６０ＭＰａ以下の過熱蒸気爆発力＋６０ＭＰａ以下の燃焼ガス爆発力に分割するＡ型ジェット兼ロケット合体機関燃焼部２９Ａとして噴射推進出力を発生するジェット兼ロケット合体機関。
【請求項７７８】
縮径主燃焼室兼熱交換器（１）で液体酸素（４ｃ）と燃料を長時間熱交換冷却燃焼して６０ＭＰａ以下の過熱蒸気爆発力＋６０ＭＰａ以下の燃焼ガス爆発力に分割するＡ型ジェット兼ロケット合体機関燃焼部２９Ａとして噴射推進出力を発生するジェット兼ロケット合体機関。
【請求項７７９】
縮径主燃焼室兼熱交換器（１）で空気（２８ａ）と燃料を長時間熱交換冷却燃焼して３０ＭＰａ以下の過熱蒸気爆発力＋３０ＭＰａ以下の燃焼ガス爆発力に分割するＡ型ジェット兼ロケット合体機関燃焼部２９Ａとして噴射推進出力を発生するジェット兼ロケット合体機関。
【請求項７８０】
縮径主燃焼室兼熱交換器（１）で酸化剤（４ｂ）と燃料を長時間熱交換冷却燃焼して３０ＭＰａ以下の過熱蒸気爆発力＋３０ＭＰａ以下の燃焼ガス爆発力に分割するＡ型ジェット兼ロケット合体機関燃焼部２９Ａとして噴射推進出力を発生するジェット兼ロケット合体機関。
【請求項７８１】
縮径主燃焼室兼熱交換器（１）で液体酸素（４ｃ）と燃料を長時間熱交換冷却燃焼して３０ＭＰａ以下の過熱蒸気爆発力＋３０ＭＰａ以下の燃焼ガス爆発力に分割するＡ型ジェット兼ロケット合体機関燃焼部２９Ａとして噴射推進出力を発生するジェット兼ロケット合体機関。
【請求項７８２】
縮径主燃焼室兼熱交換器（１）で空気（２８ａ）と燃料を長時間熱交換冷却燃焼して最適圧力の過熱蒸気爆発力＋最適圧力の燃焼ガス爆発力に分割するＡ型ジェット兼ロケット合体機関燃焼部２９Ａとして噴射推進出力を発生するジェット兼ロケット合体機関。
【請求項７８３】
縮径主燃焼室兼熱交換器（１）で酸化剤（４ｂ）と燃料を長時間熱交換冷却燃焼して最適圧力の過熱蒸気爆発力＋最適圧力の燃焼ガス爆発力に分割するＡ型ジェット兼ロケット合体機関燃焼部２９Ａとして噴射推進出力を発生するジェット兼ロケット合体機関。
【請求項７８４】
縮径主燃焼室兼熱交換器（１）で液体酸素（４ｃ）と燃料を長時間熱交換冷却燃焼して最適圧力の過熱蒸気爆発力＋最適圧力の燃焼ガス爆発力に分割するＡ型ジェット兼ロケット合体機関燃焼部２９Ａとして噴射推進出力を発生するジェット兼ロケット合体機関。
【請求項７８５】
縮径主燃焼室兼熱交換器（１）で空気（２８ａ）と燃料を長時間熱交換冷却燃焼するＡ型ジェット兼ロケット合体機関燃焼部２９Ａとしてジェット兼ロケット噴射部（７７Ｋ）で噴射推進出力を発生するジェット兼ロケット合体機関。
【請求項７８６】
縮径主燃焼室兼熱交換器（１）で酸化剤（４ｂ）と燃料を長時間熱交換冷却燃焼するＡ型ジェット兼ロケット合体機関燃焼部２９Ａとしてジェット兼ロケット噴射部（７７Ｋ）で噴射推進出力を発生するジェット兼ロケット合体機関。
【請求項７８７】
縮径主燃焼室兼熱交換器（１）で液体酸素（４ｃ）と燃料を長時間熱交換冷却燃焼するＡ型ジェット兼ロケット合体機関燃焼部２９Ａとしてジェット兼ロケット噴射部（７７Ｋ）で噴射推進出力を発生するジェット兼ロケット合体機関。
【請求項７８８】
縮径主燃焼室兼熱交換器（１）で空気（２８ａ）と燃料を長時間熱交換冷却燃焼して過熱蒸気爆発力＋燃焼ガス爆発力に分割するＡ型ジェット兼ロケット合体機関燃焼部２９Ａとしてジェット兼ロケット噴射部（７７Ｋ）で噴射推進出力を発生するジェット兼ロケット合体機関。
【請求項７８９】
縮径主燃焼室兼熱交換器（１）で酸化剤（４ｂ）と燃料を長時間熱交換冷却燃焼して過熱蒸気爆発力＋燃焼ガス爆発力に分割するＡ型ジェット兼ロケット合体機関燃焼部２９Ａとしてジェット兼ロケット噴射部（７７Ｋ）で噴射推進出力を発生するジェット兼ロケット合体機関。
【請求項７９０】
縮径主燃焼室兼熱交換器（１）で液体酸素（４ｃ）と燃料を長時間熱交換冷却燃焼して過熱蒸気爆発力＋燃焼ガス爆発力に分割するＡ型ジェット兼ロケット合体機関燃焼部２９Ａとしてジェット兼ロケット噴射部（７７Ｋ）で噴射推進出力を発生するジェット兼ロケット合体機関。
【請求項７９１】
縮径主燃焼室兼熱交換器（１）で空気（２８ａ）と燃料を長時間熱交換冷却燃焼して限り無く高圧の過熱蒸気爆発力＋限り無く高圧の燃焼ガス爆発力に分割するＡ型ジェット兼ロケット合体機関燃焼部２９Ａとしてジェット兼ロケット噴射部（７７Ｋ）で噴射推進出力を発生するジェット兼ロケット合体機関。
【請求項７９２】
縮径主燃焼室兼熱交換器（１）で酸化剤（４ｂ）と燃料を長時間熱交換冷却燃焼して限り無く高圧の過熱蒸気爆発力＋限り無く高圧の燃焼ガス爆発力に分割するＡ型ジェット兼ロケット合体機関燃焼部２９Ａとしてジェット兼ロケット噴射部（７７Ｋ）で噴射推進出力を発生するジェット兼ロケット合体機関。
【請求項７９３】
縮径主燃焼室兼熱交換器（１）で液体酸素（４ｃ）と燃料を長時間熱交換冷却燃焼して限り無く高圧の過熱蒸気爆発力＋限り無く高圧の燃焼ガス爆発力に分割するＡ型ジェット兼ロケット合体機関燃焼部２９Ａとしてジェット兼ロケット噴射部（７７Ｋ）で噴射推進出力を発生するジェット兼ロケット合体機関。
【請求項７９４】
縮径主燃焼室兼熱交換器（１）で空気（２８ａ）と燃料を長時間熱交換冷却燃焼して１００ＭＰａ以下の過熱蒸気爆発力＋１００ＭＰａ以下の燃焼ガス爆発力に分割するＡ型ジェット兼ロケット合体機関燃焼部２９Ａとしてジェット兼ロケット噴射部（７７Ｋ）で噴射推進出力を発生するジェット兼ロケット合体機関。
【請求項７９５】
縮径主燃焼室兼熱交換器（１）で酸化剤（４ｂ）と燃料を長時間熱交換冷却燃焼して１００ＭＰａ以下の過熱蒸気爆発力＋１００ＭＰａ以下の燃焼ガス爆発力に分割するＡ型ジェット兼ロケット合体機関燃焼部２９Ａとしてジェット兼ロケット噴射部（７７Ｋ）で噴射推進出力を発生するジェット兼ロケット合体機関。
【請求項７９６】
縮径主燃焼室兼熱交換器（１）で液体酸素（４ｃ）と燃料を長時間熱交換冷却燃焼して１００ＭＰａ以下の過熱蒸気爆発力＋１００ＭＰａ以下の燃焼ガス爆発力に分割するＡ型ジェット兼ロケット合体機関燃焼部２９Ａとしてジェット兼ロケット噴射部（７７Ｋ）で噴射推進出力を発生するジェット兼ロケット合体機関。
【請求項７９７】
縮径主燃焼室兼熱交換器（１）で空気（２８ａ）と燃料を長時間熱交換冷却燃焼して６０ＭＰａ以下の過熱蒸気爆発力＋６０ＭＰａ以下の燃焼ガス爆発力に分割するＡ型ジェット兼ロケット合体機関燃焼部２９Ａとしてジェット兼ロケット噴射部（７７Ｋ）で噴射推進出力を発生するジェット兼ロケット合体機関。
【請求項７９８】
縮径主燃焼室兼熱交換器（１）で酸化剤（４ｂ）と燃料を長時間熱交換冷却燃焼して６０ＭＰａ以下の過熱蒸気爆発力＋６０ＭＰａ以下の燃焼ガス爆発力に分割するＡ型ジェット兼ロケット合体機関燃焼部２９Ａとしてジェット兼ロケット噴射部（７７Ｋ）で噴射推進出力を発生するジェット兼ロケット合体機関。
【請求項７９９】
縮径主燃焼室兼熱交換器（１）で液体酸素（４ｃ）と燃料を長時間熱交換冷却燃焼して６０ＭＰａ以下の過熱蒸気爆発力＋６０ＭＰａ以下の燃焼ガス爆発力に分割するＡ型ジェット兼ロケット合体機関燃焼部２９Ａとしてジェット兼ロケット噴射部（７７Ｋ）で噴射推進出力を発生するジェット兼ロケット合体機関。
【請求項８００】
縮径主燃焼室兼熱交換器（１）で空気（２８ａ）と燃料を長時間熱交換冷却燃焼して３０ＭＰａ以下の過熱蒸気爆発力＋３０ＭＰａ以下の燃焼ガス爆発力に分割するＡ型ジェット兼ロケット合体機関燃焼部２９Ａとしてジェット兼ロケット噴射部（７７Ｋ）で噴射推進出力を発生するジェット兼ロケット合体機関。
【請求項８０１】
縮径主燃焼室兼熱交換器（１）で酸化剤（４ｂ）と燃料を長時間熱交換冷却燃焼して３０ＭＰａ以下の過熱蒸気爆発力＋３０ＭＰａ以下の燃焼ガス爆発力に分割するＡ型ジェット兼ロケット合体機関燃焼部２９Ａとしてジェット兼ロケット噴射部（７７Ｋ）で噴射推進出力を発生するジェット兼ロケット合体機関。
【請求項８０２】
縮径主燃焼室兼熱交換器（１）で液体酸素（４ｃ）と燃料を長時間熱交換冷却燃焼して３０ＭＰａ以下の過熱蒸気爆発力＋３０ＭＰａ以下の燃焼ガス爆発力に分割するＡ型ジェット兼ロケット合体機関燃焼部２９Ａとしてジェット兼ロケット噴射部（７７Ｋ）で噴射推進出力を発生するジェット兼ロケット合体機関。
【請求項８０３】
縮径主燃焼室兼熱交換器（１）で空気（２８ａ）と燃料を長時間熱交換冷却燃焼して最適圧力の過熱蒸気爆発力＋最適圧力の燃焼ガス爆発力に分割するＡ型ジェット兼ロケット合体機関燃焼部２９Ａとしてジェット兼ロケット噴射部（７７Ｋ）で噴射推進出力を発生するジェット兼ロケット合体機関。
【請求項８０４】
縮径主燃焼室兼熱交換器（１）で酸化剤（４ｂ）と燃料を長時間熱交換冷却燃焼して最適圧力の過熱蒸気爆発力＋最適圧力の燃焼ガス爆発力に分割するＡ型ジェット兼ロケット合体機関燃焼部２９Ａとしてジェット兼ロケット噴射部（７７Ｋ）で噴射推進出力を発生するジェット兼ロケット合体機関。
【請求項８０５】
縮径主燃焼室兼熱交換器（１）で液体酸素（４ｃ）と燃料を長時間熱交換冷却燃焼して最適圧力の過熱蒸気爆発力＋最適圧力の燃焼ガス爆発力に分割するＡ型ジェット兼ロケット合体機関燃焼部２９Ａとしてジェット兼ロケット噴射部（７７Ｋ）で噴射推進出力を発生するジェット兼ロケット合体機関。
【請求項８０６】
縮径主燃焼室兼熱交換器（１）で空気（２８ａ）と燃料を長時間熱交換冷却燃焼するＡ型ジェット兼ロケット合体機関燃焼部２９Ａとしてジェット兼ロケット噴射部（７７Ｋ）の霧吹きの原理（１１１ａ）で噴射推進出力を発生するジェット兼ロケット合体機関。
【請求項８０７】
縮径主燃焼室兼熱交換器（１）で酸化剤（４ｂ）と燃料を長時間熱交換冷却燃焼するＡ型ジェット兼ロケット合体機関燃焼部２９Ａとしてジェット兼ロケット噴射部（７７Ｋ）の霧吹きの原理（１１１ａ）で噴射推進出力を発生するジェット兼ロケット合体機関。
【請求項８０８】
縮径主燃焼室兼熱交換器（１）で液体酸素（４ｃ）と燃料を長時間熱交換冷却燃焼するＡ型ジェット兼ロケット合体機関燃焼部２９Ａとしてジェット兼ロケット噴射部（７７Ｋ）の霧吹きの原理（１１１ａ）で噴射推進出力を発生するジェット兼ロケット合体機関。
【請求項８０９】
縮径主燃焼室兼熱交換器（１）で空気（２８ａ）と燃料を長時間熱交換冷却燃焼して過熱蒸気爆発力＋燃焼ガス爆発力に分割するＡ型ジェット兼ロケット合体機関燃焼部２９Ａとしてジェット兼ロケット噴射部（７７Ｋ）の霧吹きの原理（１１１ａ）で噴射推進出力を発生するジェット兼ロケット合体機関。
【請求項８１０】
縮径主燃焼室兼熱交換器（１）で酸化剤（４ｂ）と燃料を長時間熱交換冷却燃焼して過熱蒸気爆発力＋燃焼ガス爆発力に分割するＡ型ジェット兼ロケット合体機関燃焼部２９Ａとしてジェット兼ロケット噴射部（７７Ｋ）の霧吹きの原理（１１１ａ）で噴射推進出力を発生するジェット兼ロケット合体機関。
【請求項８１１】
縮径主燃焼室兼熱交換器（１）で液体酸素（４ｃ）と燃料を長時間熱交換冷却燃焼して過熱蒸気爆発力＋燃焼ガス爆発力に分割するＡ型ジェット兼ロケット合体機関燃焼部２９Ａとしてジェット兼ロケット噴射部（７７Ｋ）の霧吹きの原理（１１１ａ）で噴射推進出力を発生するジェット兼ロケット合体機関。
【請求項８１２】
縮径主燃焼室兼熱交換器（１）で空気（２８ａ）と燃料を長時間熱交換冷却燃焼して限り無く高圧の過熱蒸気爆発力＋限り無く高圧の燃焼ガス爆発力に分割するＡ型ジェット兼ロケット合体機関燃焼部２９Ａとしてジェット兼ロケット噴射部（７７Ｋ）の霧吹きの原理（１１１ａ）で噴射推進出力を発生するジェット兼ロケット合体機関。
【請求項８１３】
縮径主燃焼室兼熱交換器（１）で酸化剤（４ｂ）と燃料を長時間熱交換冷却燃焼して限り無く高圧の過熱蒸気爆発力＋限り無く高圧の燃焼ガス爆発力に分割するＡ型ジェット兼ロケット合体機関燃焼部２９Ａとしてジェット兼ロケット噴射部（７７Ｋ）の霧吹きの原理（１１１ａ）で噴射推進出力を発生するジェット兼ロケット合体機関。
【請求項８１４】
縮径主燃焼室兼熱交換器（１）で液体酸素（４ｃ）と燃料を長時間熱交換冷却燃焼して限り無く高圧の過熱蒸気爆発力＋限り無く高圧の燃焼ガス爆発力に分割するＡ型ジェット兼ロケット合体機関燃焼部２９Ａとしてジェット兼ロケット噴射部（７７Ｋ）の霧吹きの原理（１１１ａ）で噴射推進出力を発生するジェット兼ロケット合体機関。
【請求項８１５】
縮径主燃焼室兼熱交換器（１）で空気（２８ａ）と燃料を長時間熱交換冷却燃焼して１００ＭＰａ以下の過熱蒸気爆発力＋１００ＭＰａ以下の燃焼ガス爆発力に分割するＡ型ジェット兼ロケット合体機関燃焼部２９Ａとしてジェット兼ロケット噴射部（７７Ｋ）の霧吹きの原理（１１１ａ）で噴射推進出力を発生するジェット兼ロケット合体機関。
【請求項８１６】
縮径主燃焼室兼熱交換器（１）で酸化剤（４ｂ）と燃料を長時間熱交換冷却燃焼して１００ＭＰａ以下の過熱蒸気爆発力＋１００ＭＰａ以下の燃焼ガス爆発力に分割するＡ型ジェット兼ロケット合体機関燃焼部２９Ａとしてジェット兼ロケット噴射部（７７Ｋ）の霧吹きの原理（１１１ａ）で噴射推進出力を発生するジェット兼ロケット合体機関。
【請求項８１７】
縮径主燃焼室兼熱交換器（１）で液体酸素（４ｃ）と燃料を長時間熱交換冷却燃焼して１００ＭＰａ以下の過熱蒸気爆発力＋１００ＭＰａ以下の燃焼ガス爆発力に分割するＡ型ジェット兼ロケット合体機関燃焼部２９Ａとしてジェット兼ロケット噴射部（７７Ｋ）の霧吹きの原理（１１１ａ）で噴射推進出力を発生するジェット兼ロケット合体機関。
【請求項８１８】
縮径主燃焼室兼熱交換器（１）で空気（２８ａ）と燃料を長時間熱交換冷却燃焼して６０ＭＰａ以下の過熱蒸気爆発力＋６０ＭＰａ以下の燃焼ガス爆発力に分割するＡ型ジェット兼ロケット合体機関燃焼部２９Ａとしてジェット兼ロケット噴射部（７７Ｋ）の霧吹きの原理（１１１ａ）で噴射推進出力を発生するジェット兼ロケット合体機関。
【請求項８１９】
縮径主燃焼室兼熱交換器（１）で酸化剤（４ｂ）と燃料を長時間熱交換冷却燃焼して６０ＭＰａ以下の過熱蒸気爆発力＋６０ＭＰａ以下の燃焼ガス爆発力に分割するＡ型ジェット兼ロケット合体機関燃焼部２９Ａとしてジェット兼ロケット噴射部（７７Ｋ）の霧吹きの原理（１１１ａ）で噴射推進出力を発生するジェット兼ロケット合体機関。
【請求項８２０】
縮径主燃焼室兼熱交換器（１）で液体酸素（４ｃ）と燃料を長時間熱交換冷却燃焼して６０ＭＰａ以下の過熱蒸気爆発力＋６０ＭＰａ以下の燃焼ガス爆発力に分割するＡ型ジェット兼ロケット合体機関燃焼部２９Ａとしてジェット兼ロケット噴射部（７７Ｋ）の霧吹きの原理（１１１ａ）で噴射推進出力を発生するジェット兼ロケット合体機関。
【請求項８２１】
縮径主燃焼室兼熱交換器（１）で空気（２８ａ）と燃料を長時間熱交換冷却燃焼して３０ＭＰａ以下の過熱蒸気爆発力＋３０ＭＰａ以下の燃焼ガス爆発力に分割するＡ型ジェット兼ロケット合体機関燃焼部２９Ａとしてジェット兼ロケット噴射部（７７Ｋ）の霧吹きの原理（１１１ａ）で噴射推進出力を発生するジェット兼ロケット合体機関。
【請求項８２２】
縮径主燃焼室兼熱交換器（１）で酸化剤（４ｂ）と燃料を長時間熱交換冷却燃焼して３０ＭＰａ以下の過熱蒸気爆発力＋３０ＭＰａ以下の燃焼ガス爆発力に分割するＡ型ジェット兼ロケット合体機関燃焼部２９Ａとしてジェット兼ロケット噴射部（７７Ｋ）の霧吹きの原理（１１１ａ）で噴射推進出力を発生するジェット兼ロケット合体機関。
【請求項８２３】
縮径主燃焼室兼熱交換器（１）で液体酸素（４ｃ）と燃料を長時間熱交換冷却燃焼して３０ＭＰａ以下の過熱蒸気爆発力＋３０ＭＰａ以下の燃焼ガス爆発力に分割するＡ型ジェット兼ロケット合体機関燃焼部２９Ａとしてジェット兼ロケット噴射部（７７Ｋ）の霧吹きの原理（１１１ａ）で噴射推進出力を発生するジェット兼ロケット合体機関。
【請求項８２４】
縮径主燃焼室兼熱交換器（１）で空気（２８ａ）と燃料を長時間熱交換冷却燃焼して最適圧力の過熱蒸気爆発力＋最適圧力の燃焼ガス爆発力に分割するＡ型ジェット兼ロケット合体機関燃焼部２９Ａとしてジェット兼ロケット噴射部（７７Ｋ）の霧吹きの原理（１１１ａ）で噴射推進出力を発生するジェット兼ロケット合体機関。
【請求項８２５】
縮径主燃焼室兼熱交換器（１）で酸化剤（４ｂ）と燃料を長時間熱交換冷却燃焼して最適圧力の過熱蒸気爆発力＋最適圧力の燃焼ガス爆発力に分割するＡ型ジェット兼ロケット合体機関燃焼部２９Ａとしてジェット兼ロケット噴射部（７７Ｋ）の霧吹きの原理（１１１ａ）で噴射推進出力を発生するジェット兼ロケット合体機関。
【請求項８２６】
縮径主燃焼室兼熱交換器（１）で液体酸素（４ｃ）と燃料を長時間熱交換冷却燃焼して最適圧力の過熱蒸気爆発力＋最適圧力の燃焼ガス爆発力に分割するＡ型ジェット兼ロケット合体機関燃焼部２９Ａとしてジェット兼ロケット噴射部（７７Ｋ）の霧吹きの原理（１１１ａ）で噴射推進出力を発生するジェット兼ロケット合体機関。
【請求項８２７】
縮径主燃焼室兼熱交換器（１）で空気（２８ａ）と燃料を長時間熱交換冷却燃焼するＡ型ジェット兼ロケット合体機関燃焼部２９Ａとしてジェット兼ロケット噴射部（７７Ｋ）の霧吹きの原理（１１１ｂ）で噴射推進出力を発生するジェット兼ロケット合体機関。
【請求項８２８】
縮径主燃焼室兼熱交換器（１）で酸化剤（４ｂ）と燃料を長時間熱交換冷却燃焼するＡ型ジェット兼ロケット合体機関燃焼部２９Ａとしてジェット兼ロケット噴射部（７７Ｋ）の霧吹きの原理（１１１ｂ）で噴射推進出力を発生するジェット兼ロケット合体機関。
【請求項８２９】
縮径主燃焼室兼熱交換器（１）で液体酸素（４ｃ）と燃料を長時間熱交換冷却燃焼するＡ型ジェット兼ロケット合体機関燃焼部２９Ａとしてジェット兼ロケット噴射部（７７Ｋ）の霧吹きの原理（１１１ｂ）で噴射推進出力を発生するジェット兼ロケット合体機関。
【請求項８３０】
縮径主燃焼室兼熱交換器（１）で空気（２８ａ）と燃料を長時間熱交換冷却燃焼して過熱蒸気爆発力＋燃焼ガス爆発力に分割するＡ型ジェット兼ロケット合体機関燃焼部２９Ａとしてジェット兼ロケット噴射部（７７Ｋ）の霧吹きの原理（１１１ｂ）で噴射推進出力を発生するジェット兼ロケット合体機関。
【請求項８３１】
縮径主燃焼室兼熱交換器（１）で酸化剤（４ｂ）と燃料を長時間熱交換冷却燃焼して過熱蒸気爆発力＋燃焼ガス爆発力に分割するＡ型ジェット兼ロケット合体機関燃焼部２９Ａとしてジェット兼ロケット噴射部（７７Ｋ）の霧吹きの原理（１１１ｂ）で噴射推進出力を発生するジェット兼ロケット合体機関。
【請求項８３２】
縮径主燃焼室兼熱交換器（１）で液体酸素（４ｃ）と燃料を長時間熱交換冷却燃焼して過熱蒸気爆発力＋燃焼ガス爆発力に分割するＡ型ジェット兼ロケット合体機関燃焼部２９Ａとしてジェット兼ロケット噴射部（７７Ｋ）の霧吹きの原理（１１１ｂ）で噴射推進出力を発生するジェット兼ロケット合体機関。
【請求項８３３】
縮径主燃焼室兼熱交換器（１）で空気（２８ａ）と燃料を長時間熱交換冷却燃焼して限り無く高圧の過熱蒸気爆発力＋限り無く高圧の燃焼ガス爆発力に分割するＡ型ジェット兼ロケット合体機関燃焼部２９Ａとしてジェット兼ロケット噴射部（７７Ｋ）の霧吹きの原理（１１１ｂ）で噴射推進出力を発生するジェット兼ロケット合体機関。
【請求項８３４】
縮径主燃焼室兼熱交換器（１）で酸化剤（４ｂ）と燃料を長時間熱交換冷却燃焼して限り無く高圧の過熱蒸気爆発力＋限り無く高圧の燃焼ガス爆発力に分割するＡ型ジェット兼ロケット合体機関燃焼部２９Ａとしてジェット兼ロケット噴射部（７７Ｋ）の霧吹きの原理（１１１ｂ）で噴射推進出力を発生するジェット兼ロケット合体機関。
【請求項８３５】
縮径主燃焼室兼熱交換器（１）で液体酸素（４ｃ）と燃料を長時間熱交換冷却燃焼して限り無く高圧の過熱蒸気爆発力＋限り無く高圧の燃焼ガス爆発力に分割するＡ型ジェット兼ロケット合体機関燃焼部２９Ａとしてジェット兼ロケット噴射部（７７Ｋ）の霧吹きの原理（１１１ｂ）で噴射推進出力を発生するジェット兼ロケット合体機関。
【請求項８３６】
縮径主燃焼室兼熱交換器（１）で空気（２８ａ）と燃料を長時間熱交換冷却燃焼して１００ＭＰａ以下の過熱蒸気爆発力＋１００ＭＰａ以下の燃焼ガス爆発力に分割するＡ型ジェット兼ロケット合体機関燃焼部２９Ａとしてジェット兼ロケット噴射部（７７Ｋ）の霧吹きの原理（１１１ｂ）で噴射推進出力を発生するジェット兼ロケット合体機関。
【請求項８３７】
縮径主燃焼室兼熱交換器（１）で酸化剤（４ｂ）と燃料を長時間熱交換冷却燃焼して１００ＭＰａ以下の過熱蒸気爆発力＋１００ＭＰａ以下の燃焼ガス爆発力に分割するＡ型ジェット兼ロケット合体機関燃焼部２９Ａとしてジェット兼ロケット噴射部（７７Ｋ）の霧吹きの原理（１１１ｂ）で噴射推進出力を発生するジェット兼ロケット合体機関。
【請求項８３８】
縮径主燃焼室兼熱交換器（１）で液体酸素（４ｃ）と燃料を長時間熱交換冷却燃焼して１００ＭＰａ以下の過熱蒸気爆発力＋１００ＭＰａ以下の燃焼ガス爆発力に分割するＡ型ジェット兼ロケット合体機関燃焼部２９Ａとしてジェット兼ロケット噴射部（７７Ｋ）の霧吹きの原理（１１１ｂ）で噴射推進出力を発生するジェット兼ロケット合体機関。
【請求項８３９】
縮径主燃焼室兼熱交換器（１）で空気（２８ａ）と燃料を長時間熱交換冷却燃焼して６０ＭＰａ以下の過熱蒸気爆発力＋６０ＭＰａ以下の燃焼ガス爆発力に分割するＡ型ジェット兼ロケット合体機関燃焼部２９Ａとしてジェット兼ロケット噴射部（７７Ｋ）の霧吹きの原理（１１１ｂ）で噴射推進出力を発生するジェット兼ロケット合体機関。
【請求項８４０】
縮径主燃焼室兼熱交換器（１）で酸化剤（４ｂ）と燃料を長時間熱交換冷却燃焼して６０ＭＰａ以下の過熱蒸気爆発力＋６０ＭＰａ以下の燃焼ガス爆発力に分割するＡ型ジェット兼ロケット合体機関燃焼部２９Ａとしてジェット兼ロケット噴射部（７７Ｋ）の霧吹きの原理（１１１ｂ）で噴射推進出力を発生するジェット兼ロケット合体機関。
【請求項８４１】
縮径主燃焼室兼熱交換器（１）で液体酸素（４ｃ）と燃料を長時間熱交換冷却燃焼して６０ＭＰａ以下の過熱蒸気爆発力＋６０ＭＰａ以下の燃焼ガス爆発力に分割するＡ型ジェット兼ロケット合体機関燃焼部２９Ａとしてジェット兼ロケット噴射部（７７Ｋ）の霧吹きの原理（１１１ｂ）で噴射推進出力を発生するジェット兼ロケット合体機関。
【請求項８４２】
縮径主燃焼室兼熱交換器（１）で空気（２８ａ）と燃料を長時間熱交換冷却燃焼して３０ＭＰａ以下の過熱蒸気爆発力＋３０ＭＰａ以下の燃焼ガス爆発力に分割するＡ型ジェット兼ロケット合体機関燃焼部２９Ａとしてジェット兼ロケット噴射部（７７Ｋ）の霧吹きの原理（１１１ｂ）で噴射推進出力を発生するジェット兼ロケット合体機関。
【請求項８４３】
縮径主燃焼室兼熱交換器（１）で酸化剤（４ｂ）と燃料を長時間熱交換冷却燃焼して３０ＭＰａ以下の過熱蒸気爆発力＋３０ＭＰａ以下の燃焼ガス爆発力に分割するＡ型ジェット兼ロケット合体機関燃焼部２９Ａとしてジェット兼ロケット噴射部（７７Ｋ）の霧吹きの原理（１１１ｂ）で噴射推進出力を発生するジェット兼ロケット合体機関。
【請求項８４４】
縮径主燃焼室兼熱交換器（１）で液体酸素（４ｃ）と燃料を長時間熱交換冷却燃焼して３０ＭＰａ以下の過熱蒸気爆発力＋３０ＭＰａ以下の燃焼ガス爆発力に分割するＡ型ジェット兼ロケット合体機関燃焼部２９Ａとしてジェット兼ロケット噴射部（７７Ｋ）の霧吹きの原理（１１１ｂ）で噴射推進出力を発生するジェット兼ロケット合体機関。
【請求項８４５】
縮径主燃焼室兼熱交換器（１）で空気（２８ａ）と燃料を長時間熱交換冷却燃焼して最適圧力の過熱蒸気爆発力＋最適圧力の燃焼ガス爆発力に分割するＡ型ジェット兼ロケット合体機関燃焼部２９Ａとしてジェット兼ロケット噴射部（７７Ｋ）の霧吹きの原理（１１１ｂ）で噴射推進出力を発生するジェット兼ロケット合体機関。
【請求項８４６】
縮径主燃焼室兼熱交換器（１）で酸化剤（４ｂ）と燃料を長時間熱交換冷却燃焼して最適圧力の過熱蒸気爆発力＋最適圧力の燃焼ガス爆発力に分割するＡ型ジェット兼ロケット合体機関燃焼部２９Ａとしてジェット兼ロケット噴射部（７７Ｋ）の霧吹きの原理（１１１ｂ）で噴射推進出力を発生するジェット兼ロケット合体機関。
【請求項８４７】
縮径主燃焼室兼熱交換器（１）で液体酸素（４ｃ）と燃料を長時間熱交換冷却燃焼して最適圧力の過熱蒸気爆発力＋最適圧力の燃焼ガス爆発力に分割するＡ型ジェット兼ロケット合体機関燃焼部２９Ａとしてジェット兼ロケット噴射部（７７Ｋ）の霧吹きの原理（１１１ｂ）で噴射推進出力を発生するジェット兼ロケット合体機関。
【請求項８４８】
縮径主燃焼室兼熱交換器（１）で空気（２８ａ）と燃料を長時間熱交換冷却燃焼するＡ型ジェット兼ロケット合体機関燃焼部２９Ａとしてジェット兼ロケット噴射部（７７Ｋ）の霧吹きの原理（１１１ａ）＋（１１１ｂ）で噴射推進出力を発生するジェット兼ロケット合体機関。
【請求項８４９】
縮径主燃焼室兼熱交換器（１）で酸化剤（４ｂ）と燃料を長時間熱交換冷却燃焼するＡ型ジェット兼ロケット合体機関燃焼部２９Ａとしてジェット兼ロケット噴射部（７７Ｋ）の霧吹きの原理（１１１ａ）＋（１１１ｂ）で噴射推進出力を発生するジェット兼ロケット合体機関。
【請求項８５０】
縮径主燃焼室兼熱交換器（１）で液体酸素（４ｃ）と燃料を長時間熱交換冷却燃焼するＡ型ジェット兼ロケット合体機関燃焼部２９Ａとしてジェット兼ロケット噴射部（７７Ｋ）の霧吹きの原理（１１１ａ）＋（１１１ｂ）で噴射推進出力を発生するジェット兼ロケット合体機関。
【請求項８５１】
縮径主燃焼室兼熱交換器（１）で空気（２８ａ）と燃料を長時間熱交換冷却燃焼して過熱蒸気爆発力＋燃焼ガス爆発力に分割するＡ型ジェット兼ロケット合体機関燃焼部２９Ａとしてジェット兼ロケット噴射部（７７Ｋ）の霧吹きの原理（１１１ａ）＋（１１１ｂ）で噴射推進出力を発生するジェット兼ロケット合体機関。
【請求項８５２】
縮径主燃焼室兼熱交換器（１）で酸化剤（４ｂ）と燃料を長時間熱交換冷却燃焼して過熱蒸気爆発力＋燃焼ガス爆発力に分割するＡ型ジェット兼ロケット合体機関燃焼部２９Ａとしてジェット兼ロケット噴射部（７７Ｋ）の霧吹きの原理（１１１ａ）＋（１１１ｂ）で噴射推進出力を発生するジェット兼ロケット合体機関。
【請求項８５３】
縮径主燃焼室兼熱交換器（１）で液体酸素（４ｃ）と燃料を長時間熱交換冷却燃焼して過熱蒸気爆発力＋燃焼ガス爆発力に分割するＡ型ジェット兼ロケット合体機関燃焼部２９Ａとしてジェット兼ロケット噴射部（７７Ｋ）の霧吹きの原理（１１１ａ）＋（１１１ｂ）で噴射推進出力を発生するジェット兼ロケット合体機関。
【請求項８５４】
縮径主燃焼室兼熱交換器（１）で空気（２８ａ）と燃料を長時間熱交換冷却燃焼して限り無く高圧の過熱蒸気爆発力＋限り無く高圧の燃焼ガス爆発力に分割するＡ型ジェット兼ロケット合体機関燃焼部２９Ａとしてジェット兼ロケット噴射部（７７Ｋ）の霧吹きの原理（１１１ａ）＋（１１１ｂ）で噴射推進出力を発生するジェット兼ロケット合体機関。
【請求項８５５】
縮径主燃焼室兼熱交換器（１）で酸化剤（４ｂ）と燃料を長時間熱交換冷却燃焼して限り無く高圧の過熱蒸気爆発力＋限り無く高圧の燃焼ガス爆発力に分割するＡ型ジェット兼ロケット合体機関燃焼部２９Ａとしてジェット兼ロケット噴射部（７７Ｋ）の霧吹きの原理（１１１ａ）＋（１１１ｂ）で噴射推進出力を発生するジェット兼ロケット合体機関。
【請求項８５６】
縮径主燃焼室兼熱交換器（１）で液体酸素（４ｃ）と燃料を長時間熱交換冷却燃焼して限り無く高圧の過熱蒸気爆発力＋限り無く高圧の燃焼ガス爆発力に分割するＡ型ジェット兼ロケット合体機関燃焼部２９Ａとしてジェット兼ロケット噴射部（７７Ｋ）の霧吹きの原理（１１１ａ）＋（１１１ｂ）で噴射推進出力を発生するジェット兼ロケット合体機関。
【請求項８５７】
縮径主燃焼室兼熱交換器（１）で空気（２８ａ）と燃料を長時間熱交換冷却燃焼して１００ＭＰａ以下の過熱蒸気爆発力＋１００ＭＰａ以下の燃焼ガス爆発力に分割するＡ型ジェット兼ロケット合体機関燃焼部２９Ａとしてジェット兼ロケット噴射部（７７Ｋ）の霧吹きの原理（１１１ａ）＋（１１１ｂ）で噴射推進出力を発生するジェット兼ロケット合体機関。
【請求項８５８】
縮径主燃焼室兼熱交換器（１）で酸化剤（４ｂ）と燃料を長時間熱交換冷却燃焼して１００ＭＰａ以下の過熱蒸気爆発力＋１００ＭＰａ以下の燃焼ガス爆発力に分割するＡ型ジェット兼ロケット合体機関燃焼部２９Ａとしてジェット兼ロケット噴射部（７７Ｋ）の霧吹きの原理（１１１ａ）＋（１１１ｂ）で噴射推進出力を発生するジェット兼ロケット合体機関。
【請求項８５９】
縮径主燃焼室兼熱交換器（１）で液体酸素（４ｃ）と燃料を長時間熱交換冷却燃焼して１００ＭＰａ以下の過熱蒸気爆発力＋１００ＭＰａ以下の燃焼ガス爆発力に分割するＡ型ジェット兼ロケット合体機関燃焼部２９Ａとしてジェット兼ロケット噴射部（７７Ｋ）の霧吹きの原理（１１１ａ）＋（１１１ｂ）で噴射推進出力を発生するジェット兼ロケット合体機関。
【請求項８６０】
縮径主燃焼室兼熱交換器（１）で空気（２８ａ）と燃料を長時間熱交換冷却燃焼して６０ＭＰａ以下の過熱蒸気爆発力＋６０ＭＰａ以下の燃焼ガス爆発力に分割するＡ型ジェット兼ロケット合体機関燃焼部２９Ａとしてジェット兼ロケット噴射部（７７Ｋ）の霧吹きの原理（１１１ａ）＋（１１１ｂ）で噴射推進出力を発生するジェット兼ロケット合体機関。
【請求項８６１】
縮径主燃焼室兼熱交換器（１）で酸化剤（４ｂ）と燃料を長時間熱交換冷却燃焼して６０ＭＰａ以下の過熱蒸気爆発力＋６０ＭＰａ以下の燃焼ガス爆発力に分割するＡ型ジェット兼ロケット合体機関燃焼部２９Ａとしてジェット兼ロケット噴射部（７７Ｋ）の霧吹きの原理（１１１ａ）＋（１１１ｂ）で噴射推進出力を発生するジェット兼ロケット合体機関。
【請求項８６２】
縮径主燃焼室兼熱交換器（１）で液体酸素（４ｃ）と燃料を長時間熱交換冷却燃焼して６０ＭＰａ以下の過熱蒸気爆発力＋６０ＭＰａ以下の燃焼ガス爆発力に分割するＡ型ジェット兼ロケット合体機関燃焼部２９Ａとしてジェット兼ロケット噴射部（７７Ｋ）の霧吹きの原理（１１１ａ）＋（１１１ｂ）で噴射推進出力を発生するジェット兼ロケット合体機関。
【請求項８６３】
縮径主燃焼室兼熱交換器（１）で空気（２８ａ）と燃料を長時間熱交換冷却燃焼して３０ＭＰａ以下の過熱蒸気爆発力＋３０ＭＰａ以下の燃焼ガス爆発力に分割するＡ型ジェット兼ロケット合体機関燃焼部２９Ａとしてジェット兼ロケット噴射部（７７Ｋ）の霧吹きの原理（１１１ａ）＋（１１１ｂ）で噴射推進出力を発生するジェット兼ロケット合体機関。
【請求項８６４】
縮径主燃焼室兼熱交換器（１）で酸化剤（４ｂ）と燃料を長時間熱交換冷却燃焼して３０ＭＰａ以下の過熱蒸気爆発力＋３０ＭＰａ以下の燃焼ガス爆発力に分割するＡ型ジェット兼ロケット合体機関燃焼部２９Ａとしてジェット兼ロケット噴射部（７７Ｋ）の霧吹きの原理（１１１ａ）＋（１１１ｂ）で噴射推進出力を発生するジェット兼ロケット合体機関。
【請求項８６５】
縮径主燃焼室兼熱交換器（１）で液体酸素（４ｃ）と燃料を長時間熱交換冷却燃焼して３０ＭＰａ以下の過熱蒸気爆発力＋３０ＭＰａ以下の燃焼ガス爆発力に分割するＡ型ジェット兼ロケット合体機関燃焼部２９Ａとしてジェット兼ロケット噴射部（７７Ｋ）の霧吹きの原理（１１１ａ）＋（１１１ｂ）で噴射推進出力を発生するジェット兼ロケット合体機関。
【請求項８６６】
縮径主燃焼室兼熱交換器（１）で空気（２８ａ）と燃料を長時間熱交換冷却燃焼して最適圧力の過熱蒸気爆発力＋最適圧力の燃焼ガス爆発力に分割するＡ型ジェット兼ロケット合体機関燃焼部２９Ａとしてジェット兼ロケット噴射部（７７Ｋ）の霧吹きの原理（１１１ａ）＋（１１１ｂ）で噴射推進出力を発生するジェット兼ロケット合体機関。
【請求項８６７】
縮径主燃焼室兼熱交換器（１）で酸化剤（４ｂ）と燃料を長時間熱交換冷却燃焼して最適圧力の過熱蒸気爆発力＋最適圧力の燃焼ガス爆発力に分割するＡ型ジェット兼ロケット合体機関燃焼部２９Ａとしてジェット兼ロケット噴射部（７７Ｋ）の霧吹きの原理（１１１ａ）＋（１１１ｂ）で噴射推進出力を発生するジェット兼ロケット合体機関。
【請求項８６８】
縮径主燃焼室兼熱交換器（１）で液体酸素（４ｃ）と燃料を長時間熱交換冷却燃焼して最適圧力の過熱蒸気爆発力＋最適圧力の燃焼ガス爆発力に分割するＡ型ジェット兼ロケット合体機関燃焼部２９Ａとしてジェット兼ロケット噴射部（７７Ｋ）の霧吹きの原理（１１１ａ）＋（１１１ｂ）で噴射推進出力を発生するジェット兼ロケット合体機関。
【請求項８６９】
縮径主燃焼室兼熱交換器（１）で空気（２８ａ）と燃料を長時間熱交換冷却燃焼するＡ型ジェット兼ロケット合体機関燃焼部２９Ａとしてジェット兼ロケット噴射部（７７Ｋ）の夫々１以上の霧吹きの原理（１１１ａ）＋（１１１ｂ）で噴射推進出力を発生するジェット兼ロケット合体機関。
【請求項８７０】
縮径主燃焼室兼熱交換器（１）で酸化剤（４ｂ）と燃料を長時間熱交換冷却燃焼するＡ型ジェット兼ロケット合体機関燃焼部２９Ａとしてジェット兼ロケット噴射部（７７Ｋ）の夫々１以上の霧吹きの原理（１１１ａ）＋（１１１ｂ）で噴射推進出力を発生するジェット兼ロケット合体機関。
【請求項８７１】
縮径主燃焼室兼熱交換器（１）で液体酸素（４ｃ）と燃料を長時間熱交換冷却燃焼するＡ型ジェット兼ロケット合体機関燃焼部２９Ａとしてジェット兼ロケット噴射部（７７Ｋ）の夫々１以上の霧吹きの原理（１１１ａ）＋（１１１ｂ）で噴射推進出力を発生するジェット兼ロケット合体機関。
【請求項８７２】
縮径主燃焼室兼熱交換器（１）で空気（２８ａ）と燃料を長時間熱交換冷却燃焼して過熱蒸気爆発力＋燃焼ガス爆発力に分割するＡ型ジェット兼ロケット合体機関燃焼部２９Ａとしてジェット兼ロケット噴射部（７７Ｋ）の夫々１以上の霧吹きの原理（１１１ａ）＋（１１１ｂ）で噴射推進出力を発生するジェット兼ロケット合体機関。
【請求項８７３】
縮径主燃焼室兼熱交換器（１）で酸化剤（４ｂ）と燃料を長時間熱交換冷却燃焼して過熱蒸気爆発力＋燃焼ガス爆発力に分割するＡ型ジェット兼ロケット合体機関燃焼部２９Ａとしてジェット兼ロケット噴射部（７７Ｋ）の夫々１以上の霧吹きの原理（１１１ａ）＋（１１１ｂ）で噴射推進出力を発生するジェット兼ロケット合体機関。
【請求項８７４】
縮径主燃焼室兼熱交換器（１）で液体酸素（４ｃ）と燃料を長時間熱交換冷却燃焼して過熱蒸気爆発力＋燃焼ガス爆発力に分割するＡ型ジェット兼ロケット合体機関燃焼部２９Ａとしてジェット兼ロケット噴射部（７７Ｋ）の夫々１以上の霧吹きの原理（１１１ａ）＋（１１１ｂ）で噴射推進出力を発生するジェット兼ロケット合体機関。
【請求項８７５】
縮径主燃焼室兼熱交換器（１）で空気（２８ａ）と燃料を長時間熱交換冷却燃焼して限り無く高圧の過熱蒸気爆発力＋限り無く高圧の燃焼ガス爆発力に分割するＡ型ジェット兼ロケット合体機関燃焼部２９Ａとしてジェット兼ロケット噴射部（７７Ｋ）の夫々１以上の霧吹きの原理（１１１ａ）＋（１１１ｂ）で噴射推進出力を発生するジェット兼ロケット合体機関。
【請求項８７６】
縮径主燃焼室兼熱交換器（１）で酸化剤（４ｂ）と燃料を長時間熱交換冷却燃焼して限り無く高圧の過熱蒸気爆発力＋限り無く高圧の燃焼ガス爆発力に分割するＡ型ジェット兼ロケット合体機関燃焼部２９Ａとしてジェット兼ロケット噴射部（７７Ｋ）の夫々１以上の霧吹きの原理（１１１ａ）＋（１１１ｂ）で噴射推進出力を発生するジェット兼ロケット合体機関。
【請求項８７７】
縮径主燃焼室兼熱交換器（１）で液体酸素（４ｃ）と燃料を長時間熱交換冷却燃焼して限り無く高圧の過熱蒸気爆発力＋限り無く高圧の燃焼ガス爆発力に分割するＡ型ジェット兼ロケット合体機関燃焼部２９Ａとしてジェット兼ロケット噴射部（７７Ｋ）の夫々１以上の霧吹きの原理（１１１ａ）＋（１１１ｂ）で噴射推進出力を発生するジェット兼ロケット合体機関。
【請求項８７８】
縮径主燃焼室兼熱交換器（１）で空気（２８ａ）と燃料を長時間熱交換冷却燃焼して１００ＭＰａ以下の過熱蒸気爆発力＋１００ＭＰａ以下の燃焼ガス爆発力に分割するＡ型ジェット兼ロケット合体機関燃焼部２９Ａとしてジェット兼ロケット噴射部（７７Ｋ）の夫々１以上の霧吹きの原理（１１１ａ）＋（１１１ｂ）で噴射推進出力を発生するジェット兼ロケット合体機関。
【請求項８７９】
縮径主燃焼室兼熱交換器（１）で酸化剤（４ｂ）と燃料を長時間熱交換冷却燃焼して１００ＭＰａ以下の過熱蒸気爆発力＋１００ＭＰａ以下の燃焼ガス爆発力に分割するＡ型ジェット兼ロケット合体機関燃焼部２９Ａとしてジェット兼ロケット噴射部（７７Ｋ）の夫々１以上の霧吹きの原理（１１１ａ）＋（１１１ｂ）で噴射推進出力を発生するジェット兼ロケット合体機関。
【請求項８８０】
縮径主燃焼室兼熱交換器（１）で液体酸素（４ｃ）と燃料を長時間熱交換冷却燃焼して１００ＭＰａ以下の過熱蒸気爆発力＋１００ＭＰａ以下の燃焼ガス爆発力に分割するＡ型ジェット兼ロケット合体機関燃焼部２９Ａとしてジェット兼ロケット噴射部（７７Ｋ）の夫々１以上の霧吹きの原理（１１１ａ）＋（１１１ｂ）で噴射推進出力を発生するジェット兼ロケット合体機関。
【請求項８８１】
縮径主燃焼室兼熱交換器（１）で空気（２８ａ）と燃料を長時間熱交換冷却燃焼して６０ＭＰａ以下の過熱蒸気爆発力＋６０ＭＰａ以下の燃焼ガス爆発力に分割するＡ型ジェット兼ロケット合体機関燃焼部２９Ａとしてジェット兼ロケット噴射部（７７Ｋ）の夫々１以上の霧吹きの原理（１１１ａ）＋（１１１ｂ）で噴射推進出力を発生するジェット兼ロケット合体機関。
【請求項８８２】
縮径主燃焼室兼熱交換器（１）で酸化剤（４ｂ）と燃料を長時間熱交換冷却燃焼して６０ＭＰａ以下の過熱蒸気爆発力＋６０ＭＰａ以下の燃焼ガス爆発力に分割するＡ型ジェット兼ロケット合体機関燃焼部２９Ａとしてジェット兼ロケット噴射部（７７Ｋ）の夫々１以上の霧吹きの原理（１１１ａ）＋（１１１ｂ）で噴射推進出力を発生するジェット兼ロケット合体機関。
【請求項８８３】
縮径主燃焼室兼熱交換器（１）で液体酸素（４ｃ）と燃料を長時間熱交換冷却燃焼して６０ＭＰａ以下の過熱蒸気爆発力＋６０ＭＰａ以下の燃焼ガス爆発力に分割するＡ型ジェット兼ロケット合体機関燃焼部２９Ａとしてジェット兼ロケット噴射部（７７Ｋ）の夫々１以上の霧吹きの原理（１１１ａ）＋（１１１ｂ）で噴射推進出力を発生するジェット兼ロケット合体機関。
【請求項８８４】
縮径主燃焼室兼熱交換器（１）で空気（２８ａ）と燃料を長時間熱交換冷却燃焼して３０ＭＰａ以下の過熱蒸気爆発力＋３０ＭＰａ以下の燃焼ガス爆発力に分割するＡ型ジェット兼ロケット合体機関燃焼部２９Ａとしてジェット兼ロケット噴射部（７７Ｋ）の夫々１以上の霧吹きの原理（１１１ａ）＋（１１１ｂ）で噴射推進出力を発生するジェット兼ロケット合体機関。
【請求項８８５】
縮径主燃焼室兼熱交換器（１）で酸化剤（４ｂ）と燃料を長時間熱交換冷却燃焼して３０ＭＰａ以下の過熱蒸気爆発力＋３０ＭＰａ以下の燃焼ガス爆発力に分割するＡ型ジェット兼ロケット合体機関燃焼部２９Ａとしてジェット兼ロケット噴射部（７７Ｋ）の夫々１以上の霧吹きの原理（１１１ａ）＋（１１１ｂ）で噴射推進出力を発生するジェット兼ロケット合体機関。
【請求項８８６】
縮径主燃焼室兼熱交換器（１）で液体酸素（４ｃ）と燃料を長時間熱交換冷却燃焼して３０ＭＰａ以下の過熱蒸気爆発力＋３０ＭＰａ以下の燃焼ガス爆発力に分割するＡ型ジェット兼ロケット合体機関燃焼部２９Ａとしてジェット兼ロケット噴射部（７７Ｋ）の夫々１以上の霧吹きの原理（１１１ａ）＋（１１１ｂ）で噴射推進出力を発生するジェット兼ロケット合体機関。
【請求項８８７】
縮径主燃焼室兼熱交換器（１）で空気（２８ａ）と燃料を長時間熱交換冷却燃焼して最適圧力の過熱蒸気爆発力＋最適圧力の燃焼ガス爆発力に分割するＡ型ジェット兼ロケット合体機関燃焼部２９Ａとしてジェット兼ロケット噴射部（７７Ｋ）の夫々１以上の霧吹きの原理（１１１ａ）＋（１１１ｂ）で噴射推進出力を発生するジェット兼ロケット合体機関。
【請求項８８８】
縮径主燃焼室兼熱交換器（１）で酸化剤（４ｂ）と燃料を長時間熱交換冷却燃焼して最適圧力の過熱蒸気爆発力＋最適圧力の燃焼ガス爆発力に分割するＡ型ジェット兼ロケット合体機関燃焼部２９Ａとしてジェット兼ロケット噴射部（７７Ｋ）の夫々１以上の霧吹きの原理（１１１ａ）＋（１１１ｂ）で噴射推進出力を発生するジェット兼ロケット合体機関。
【請求項８８９】
縮径主燃焼室兼熱交換器（１）で液体酸素（４ｃ）と燃料を長時間熱交換冷却燃焼して最適圧力の過熱蒸気爆発力＋最適圧力の燃焼ガス爆発力に分割するＡ型ジェット兼ロケット合体機関燃焼部２９Ａとしてジェット兼ロケット噴射部（７７Ｋ）の夫々１以上の霧吹きの原理（１１１ａ）＋（１１１ｂ）で噴射推進出力を発生するジェット兼ロケット合体機関。
【請求項８９０】
縮径主燃焼室兼熱交換器（１）で空気（２８ａ）と燃料を長時間熱交換冷却燃焼してＡ型ジェット兼ロケット合体機関燃焼部２９Ａを駆動するジェット兼ロケット合体機関。
【請求項８９１】
縮径主燃焼室兼熱交換器（１）で空気（２８ａ）と燃料を長時間熱交換冷却燃焼して過熱蒸気爆発力＋燃焼ガス爆発力に分割してＡ型ジェット兼ロケット合体機関燃焼部２９Ａを駆動するジェット兼ロケット合体機関。
【請求項８９２】
縮径主燃焼室兼熱交換器（１）で空気（２８ａ）と燃料を長時間熱交換冷却燃焼して限り無く高圧の過熱蒸気爆発力＋限り無く高圧の燃焼ガス爆発力に分割してＡ型ジェット兼ロケット合体機関燃焼部２９Ａを駆動するジェット兼ロケット合体機関。
【請求項８９３】
縮径主燃焼室兼熱交換器（１）で空気（２８ａ）と燃料を長時間熱交換冷却燃焼して１００ＭＰａ以下の過熱蒸気爆発力＋１００ＭＰａ以下の燃焼ガス爆発力に分割してＡ型ジェット兼ロケット合体機関燃焼部２９Ａを駆動するジェット兼ロケット合体機関。
【請求項８９４】
縮径主燃焼室兼熱交換器（１）で空気（２８ａ）と燃料を長時間熱交換冷却燃焼して６０ＭＰａ以下の過熱蒸気爆発力＋６０ＭＰａ以下の燃焼ガス爆発力に分割してＡ型ジェット兼ロケット合体機関燃焼部２９Ａを駆動するジェット兼ロケット合体機関。
【請求項８９５】
縮径主燃焼室兼熱交換器（１）で空気（２８ａ）と燃料を長時間熱交換冷却燃焼して３０ＭＰａ以下の過熱蒸気爆発力＋３０ＭＰａ以下の燃焼ガス爆発力に分割してＡ型ジェット兼ロケット合体機関燃焼部２９Ａを駆動するジェット兼ロケット合体機関。
【請求項８９６】
縮径主燃焼室兼熱交換器（１）で空気（２８ａ）と燃料を長時間熱交換冷却燃焼して最適圧力の過熱蒸気爆発力＋最適圧力の燃焼ガス爆発力に分割してＡ型ジェット兼ロケット合体機関燃焼部２９Ａを駆動するジェット兼ロケット合体機関。
【請求項８９７】
縮径主燃焼室兼熱交換器（１）で空気（２８ａ）と燃料を長時間熱交換冷却燃焼してＡ型ジェット兼ロケット合体機関燃焼部２９Ａの弾み車タービン（８）を駆動するジェット兼ロケット合体機関。
【請求項８９８】
縮径主燃焼室兼熱交換器（１）で空気（２８ａ）と燃料を長時間熱交換冷却燃焼して過熱蒸気爆発力＋燃焼ガス爆発力に分割してＡ型ジェット兼ロケット合体機関燃焼部２９Ａの弾み車タービン（８）を駆動するジェット兼ロケット合体機関。
【請求項８９９】
縮径主燃焼室兼熱交換器（１）で空気（２８ａ）と燃料を長時間熱交換冷却燃焼して限り無く高圧の過熱蒸気爆発力＋限り無く高圧の燃焼ガス爆発力に分割してＡ型ジェット兼ロケット合体機関燃焼部２９Ａの弾み車タービン（８）を駆動するジェット兼ロケット合体機関。
【請求項９００】
縮径主燃焼室兼熱交換器（１）で空気（２８ａ）と燃料を長時間熱交換冷却燃焼して１００ＭＰａ以下の過熱蒸気爆発力＋１００ＭＰａ以下の燃焼ガス爆発力に分割してＡ型ジェット兼ロケット合体機関燃焼部２９Ａの弾み車タービン（８）を駆動するジェット兼ロケット合体機関。
【請求項９０１】
縮径主燃焼室兼熱交換器（１）で空気（２８ａ）と燃料を長時間熱交換冷却燃焼して６０ＭＰａ以下の過熱蒸気爆発力＋６０ＭＰａ以下の燃焼ガス爆発力に分割してＡ型ジェット兼ロケット合体機関燃焼部２９Ａの弾み車タービン（８）を駆動するジェット兼ロケット合体機関。
【請求項９０２】
縮径主燃焼室兼熱交換器（１）で空気（２８ａ）と燃料を長時間熱交換冷却燃焼して３０ＭＰａ以下の過熱蒸気爆発力＋３０ＭＰａ以下の燃焼ガス爆発力に分割してＡ型ジェット兼ロケット合体機関燃焼部２９Ａの弾み車タービン（８）を駆動するジェット兼ロケット合体機関。
【請求項９０３】
縮径主燃焼室兼熱交換器（１）で空気（２８ａ）と燃料を長時間熱交換冷却燃焼して最適圧力の過熱蒸気爆発力＋最適圧力の燃焼ガス爆発力に分割してＡ型ジェット兼ロケット合体機関燃焼部２９Ａの弾み車タービン（８）を駆動するジェット兼ロケット合体機関。
【請求項９０４】
縮径主燃焼室兼熱交換器（１）で空気（２８ａ）と燃料を長時間熱交換冷却燃焼してＡ型ジェット兼ロケット合体機関燃焼部２９Ａの弾み車ガスタービン（８ａ）を駆動するジェット兼ロケット合体機関。
【請求項９０５】
縮径主燃焼室兼熱交換器（１）で空気（２８ａ）と燃料を長時間熱交換冷却燃焼して過熱蒸気爆発力＋燃焼ガス爆発力に分割してＡ型ジェット兼ロケット合体機関燃焼部２９Ａの弾み車ガスタービン（８ａ）を駆動するジェット兼ロケット合体機関。
【請求項９０６】
縮径主燃焼室兼熱交換器（１）で空気（２８ａ）と燃料を長時間熱交換冷却燃焼して限り無く高圧の過熱蒸気爆発力＋限り無く高圧の燃焼ガス爆発力に分割してＡ型ジェット兼ロケット合体機関燃焼部２９Ａの弾み車ガスタービン（８ａ）を駆動するジェット兼ロケット合体機関。
【請求項９０７】
縮径主燃焼室兼熱交換器（１）で空気（２８ａ）と燃料を長時間熱交換冷却燃焼して１００ＭＰａ以下の過熱蒸気爆発力＋１００ＭＰａ以下の燃焼ガス爆発力に分割してＡ型ジェット兼ロケット合体機関燃焼部２９Ａの弾み車ガスタービン（８ａ）を駆動するジェット兼ロケット合体機関。
【請求項９０８】
縮径主燃焼室兼熱交換器（１）で空気（２８ａ）と燃料を長時間熱交換冷却燃焼して６０ＭＰａ以下の過熱蒸気爆発力＋６０ＭＰａ以下の燃焼ガス爆発力に分割してＡ型ジェット兼ロケット合体機関燃焼部２９Ａの弾み車ガスタービン（８ａ）を駆動するジェット兼ロケット合体機関。
【請求項９０９】
縮径主燃焼室兼熱交換器（１）で空気（２８ａ）と燃料を長時間熱交換冷却燃焼して３０ＭＰａ以下の過熱蒸気爆発力＋３０ＭＰａ以下の燃焼ガス爆発力に分割してＡ型ジェット兼ロケット合体機関燃焼部２９Ａの弾み車ガスタービン（８ａ）を駆動するジェット兼ロケット合体機関。
【請求項９１０】
縮径主燃焼室兼熱交換器（１）で空気（２８ａ）と燃料を長時間熱交換冷却燃焼して最適圧力の過熱蒸気爆発力＋最適圧力の燃焼ガス爆発力に分割してＡ型ジェット兼ロケット合体機関燃焼部２９Ａの弾み車ガスタービン（８ａ）を駆動するジェット兼ロケット合体機関。
【請求項９１１】
縮径主燃焼室兼熱交換器（１）で空気（２８ａ）と燃料を長時間熱交換冷却燃焼してＡ型ジェット兼ロケット合体機関燃焼部２９Ａの弾み車蒸気タービン（８ｂ）を駆動するジェット兼ロケット合体機関。
【請求項９１２】
縮径主燃焼室兼熱交換器（１）で空気（２８ａ）と燃料を長時間熱交換冷却燃焼して過熱蒸気爆発力＋燃焼ガス爆発力に分割してＡ型ジェット兼ロケット合体機関燃焼部２９Ａの弾み車蒸気タービン（８ｂ）を駆動するジェット兼ロケット合体機関。
【請求項９１３】
縮径主燃焼室兼熱交換器（１）で空気（２８ａ）と燃料を長時間熱交換冷却燃焼して限り無く高圧の過熱蒸気爆発力＋限り無く高圧の燃焼ガス爆発力に分割してＡ型ジェット兼ロケット合体機関燃焼部２９Ａの弾み車蒸気タービン（８ｂ）を駆動するジェット兼ロケット合体機関。
【請求項９１４】
縮径主燃焼室兼熱交換器（１）で空気（２８ａ）と燃料を長時間熱交換冷却燃焼して１００ＭＰａ以下の過熱蒸気爆発力＋１００ＭＰａ以下の燃焼ガス爆発力に分割してＡ型ジェット兼ロケット合体機関燃焼部２９Ａの弾み車蒸気タービン（８ｂ）を駆動するジェット兼ロケット合体機関。
【請求項９１５】
縮径主燃焼室兼熱交換器（１）で空気（２８ａ）と燃料を長時間熱交換冷却燃焼して６０ＭＰａ以下の過熱蒸気爆発力＋６０ＭＰａ以下の燃焼ガス爆発力に分割してＡ型ジェット兼ロケット合体機関燃焼部２９Ａの弾み車蒸気タービン（８ｂ）を駆動するジェット兼ロケット合体機関。
【請求項９１６】
縮径主燃焼室兼熱交換器（１）で空気（２８ａ）と燃料を長時間熱交換冷却燃焼して３０ＭＰａ以下の過熱蒸気爆発力＋３０ＭＰａ以下の燃焼ガス爆発力に分割してＡ型ジェット兼ロケット合体機関燃焼部２９Ａの弾み車蒸気タービン（８ｂ）を駆動するジェット兼ロケット合体機関。
【請求項９１７】
縮径主燃焼室兼熱交換器（１）で空気（２８ａ）と燃料を長時間熱交換冷却燃焼して最適圧力の過熱蒸気爆発力＋最適圧力の燃焼ガス爆発力に分割してＡ型ジェット兼ロケット合体機関燃焼部２９Ａの弾み車蒸気タービン（８ｂ）を駆動するジェット兼ロケット合体機関。
【請求項９１８】
縮径主燃焼室兼熱交換器（１）で空気（２８ａ）と燃料を長時間熱交換冷却燃焼してＡ型ジェット兼ロケット合体機関燃焼部２９Ａの弾み車ガスタービン（８ａ）及び弾み車蒸気タービン（８ｂ）を駆動するジェット兼ロケット合体機関。
【請求項９１９】
縮径主燃焼室兼熱交換器（１）で空気（２８ａ）と燃料を長時間熱交換冷却燃焼して過熱蒸気爆発力＋燃焼ガス爆発力に分割してＡ型ジェット兼ロケット合体機関燃焼部２９Ａの弾み車ガスタービン（８ａ）及び弾み車蒸気タービン（８ｂ）を駆動するジェット兼ロケット合体機関。
【請求項９２０】
縮径主燃焼室兼熱交換器（１）で空気（２８ａ）と燃料を長時間熱交換冷却燃焼して限り無く高圧の過熱蒸気爆発力＋限り無く高圧の燃焼ガス爆発力に分割してＡ型ジェット兼ロケット合体機関燃焼部２９Ａの弾み車ガスタービン（８ａ）及び弾み車蒸気タービン（８ｂ）を駆動するジェット兼ロケット合体機関。
【請求項９２１】
縮径主燃焼室兼熱交換器（１）で空気（２８ａ）と燃料を長時間熱交換冷却燃焼して１００ＭＰａ以下の過熱蒸気爆発力＋１００ＭＰａ以下の燃焼ガス爆発力に分割してＡ型ジェット兼ロケット合体機関燃焼部２９Ａの弾み車ガスタービン（８ａ）及び弾み車蒸気タービン（８ｂ）を駆動するジェット兼ロケット合体機関。
【請求項９２２】
縮径主燃焼室兼熱交換器（１）で空気（２８ａ）と燃料を長時間熱交換冷却燃焼して６０ＭＰａ以下の過熱蒸気爆発力＋６０ＭＰａ以下の燃焼ガス爆発力に分割してＡ型ジェット兼ロケット合体機関燃焼部２９Ａの弾み車ガスタービン（８ａ）及び弾み車蒸気タービン（８ｂ）を駆動するジェット兼ロケット合体機関。
【請求項９２３】
縮径主燃焼室兼熱交換器（１）で空気（２８ａ）と燃料を長時間熱交換冷却燃焼して３０ＭＰａ以下の過熱蒸気爆発力＋３０ＭＰａ以下の燃焼ガス爆発力に分割してＡ型ジェット兼ロケット合体機関燃焼部２９Ａの弾み車ガスタービン（８ａ）及び弾み車蒸気タービン（８ｂ）を駆動するジェット兼ロケット合体機関。
【請求項９２４】
縮径主燃焼室兼熱交換器（１）で空気（２８ａ）と燃料を長時間熱交換冷却燃焼して最適圧力の過熱蒸気爆発力＋最適圧力の燃焼ガス爆発力に分割してＡ型ジェット兼ロケット合体機関燃焼部２９Ａの弾み車ガスタービン（８ａ）及び弾み車蒸気タービン（８ｂ）を駆動するジェット兼ロケット合体機関。
【請求項９２５】
縮径主燃焼室兼熱交換器（１）で空気（２８ａ）と燃料を長時間熱交換冷却燃焼して過熱蒸気爆発力＋燃焼ガス爆発力に分割して夫々の爆発力と霧吹きの原理により、１以上の水（５２ａ）を混合噴射加速してＡ型ジェット兼ロケット合体機関燃焼部２９Ａを駆動するジェット兼ロケット合体機関。
【請求項９２６】
縮径主燃焼室兼熱交換器（１）で空気（２８ａ）と燃料を長時間熱交換冷却燃焼して限り無く高圧の過熱蒸気爆発力＋限り無く高圧の燃焼ガス爆発力に分割して夫々の爆発力と霧吹きの原理により、１以上の水（５２ａ）を混合噴射加速してＡ型ジェット兼ロケット合体機関燃焼部２９Ａを駆動するジェット兼ロケット合体機関。
【請求項９２７】
縮径主燃焼室兼熱交換器（１）で空気（２８ａ）と燃料を長時間熱交換冷却燃焼して１００ＭＰａ以下の過熱蒸気爆発力＋１００ＭＰａ以下の燃焼ガス爆発力に分割して夫々の爆発力と霧吹きの原理により、１以上の水（５２ａ）を混合噴射加速してＡ型ジェット兼ロケット合体機関燃焼部２９Ａを駆動するジェット兼ロケット合体機関。
【請求項９２８】
縮径主燃焼室兼熱交換器（１）で空気（２８ａ）と燃料を長時間熱交換冷却燃焼して６０ＭＰａ以下の過熱蒸気爆発力＋６０ＭＰａ以下の燃焼ガス爆発力に分割して夫々の爆発力と霧吹きの原理により、１以上の水（５２ａ）を混合噴射加速してＡ型ジェット兼ロケット合体機関燃焼部２９Ａを駆動するジェット兼ロケット合体機関。
【請求項９２９】
縮径主燃焼室兼熱交換器（１）で空気（２８ａ）と燃料を長時間熱交換冷却燃焼して３０ＭＰａ以下の過熱蒸気爆発力＋３０ＭＰａ以下の燃焼ガス爆発力に分割して夫々の爆発力と霧吹きの原理により、１以上の水（５２ａ）を混合噴射加速してＡ型ジェット兼ロケット合体機関燃焼部２９Ａを駆動するジェット兼ロケット合体機関。
【請求項９３０】
縮径主燃焼室兼熱交換器（１）で空気（２８ａ）と燃料を長時間熱交換冷却燃焼して最適圧力の過熱蒸気爆発力＋最適圧力の燃焼ガス爆発力に分割して夫々の爆発力と霧吹きの原理により、１以上の水（５２ａ）を混合噴射加速してＡ型ジェット兼ロケット合体機関燃焼部２９Ａを駆動するジェット兼ロケット合体機関。
【請求項９３１】
縮径主燃焼室兼熱交換器（１）で空気（２８ａ）と燃料を長時間熱交換冷却燃焼して過熱蒸気爆発力＋燃焼ガス爆発力に分割して夫々の爆発力と霧吹きの原理により、夫々１以上の水（５２ａ）を混合噴射加速してＡ型ジェット兼ロケット合体機関燃焼部２９Ａの弾み車タービン（８）を駆動するジェット兼ロケット合体機関。
【請求項９３２】
縮径主燃焼室兼熱交換器（１）で空気（２８ａ）と燃料を長時間熱交換冷却燃焼して限り無く高圧の過熱蒸気爆発力＋限り無く高圧の燃焼ガス爆発力に分割して夫々の爆発力と霧吹きの原理により、夫々１以上の水（５２ａ）を混合噴射加速してＡ型ジェット兼ロケット合体機関燃焼部２９Ａの弾み車タービン（８）を駆動するジェット兼ロケット合体機関。
【請求項９３３】
縮径主燃焼室兼熱交換器（１）で空気（２８ａ）と燃料を長時間熱交換冷却燃焼して１００ＭＰａ以下の過熱蒸気爆発力＋１００ＭＰａ以下の燃焼ガス爆発力に分割して夫々の爆発力と霧吹きの原理により、夫々１以上の水（５２ａ）を混合噴射加速してＡ型ジェット兼ロケット合体機関燃焼部２９Ａの弾み車タービン（８）を駆動するジェット兼ロケット合体機関。
【請求項９３４】
縮径主燃焼室兼熱交換器（１）で空気（２８ａ）と燃料を長時間熱交換冷却燃焼して６０ＭＰａ以下の過熱蒸気爆発力＋６０ＭＰａ以下の燃焼ガス爆発力に分割して夫々の爆発力と霧吹きの原理により、夫々１以上の水（５２ａ）を混合噴射加速してＡ型ジェット兼ロケット合体機関燃焼部２９Ａの弾み車タービン（８）を駆動するジェット兼ロケット合体機関。
【請求項９３５】
縮径主燃焼室兼熱交換器（１）で空気（２８ａ）と燃料を長時間熱交換冷却燃焼して３０ＭＰａ以下の過熱蒸気爆発力＋３０ＭＰａ以下の燃焼ガス爆発力に分割して夫々の爆発力と霧吹きの原理により、夫々１以上の水（５２ａ）を混合噴射加速してＡ型ジェット兼ロケット合体機関燃焼部２９Ａの弾み車タービン（８）を駆動するジェット兼ロケット合体機関。
【請求項９３６】
縮径主燃焼室兼熱交換器（１）で空気（２８ａ）と燃料を長時間熱交換冷却燃焼して最適圧力の過熱蒸気爆発力＋最適圧力の燃焼ガス爆発力に分割して夫々の爆発力と霧吹きの原理により、夫々１以上の水（５２ａ）を混合噴射加速してＡ型ジェット兼ロケット合体機関燃焼部２９Ａの弾み車タービン（８）を駆動するジェット兼ロケット合体機関。
【請求項９３７】
縮径主燃焼室兼熱交換器（１）で空気（２８ａ）と燃料を長時間熱交換冷却燃焼して過熱蒸気爆発力＋燃焼ガス爆発力に分割して燃焼ガス爆発力と霧吹きの原理により、１以上の水（５２ａ）を混合噴射加速してＡ型ジェット兼ロケット合体機関燃焼部２９Ａの弾み車ガスタービン（８ａ）を駆動するジェット兼ロケット合体機関。
【請求項９３８】
縮径主燃焼室兼熱交換器（１）で空気（２８ａ）と燃料を長時間熱交換冷却燃焼して限り無く高圧の過熱蒸気爆発力＋限り無く高圧の燃焼ガス爆発力に分割して燃焼ガス爆発力と霧吹きの原理により、１以上の水（５２ａ）を混合噴射加速してＡ型ジェット兼ロケット合体機関燃焼部２９Ａの弾み車ガスタービン（８ａ）を駆動するジェット兼ロケット合体機関。
【請求項９３９】
縮径主燃焼室兼熱交換器（１）で空気（２８ａ）と燃料を長時間熱交換冷却燃焼して１００ＭＰａ以下の過熱蒸気爆発力＋１００ＭＰａ以下の燃焼ガス爆発力に分割して燃焼ガス爆発力と霧吹きの原理により、１以上の水（５２ａ）を混合噴射加速してＡ型ジェット兼ロケット合体機関燃焼部２９Ａの弾み車ガスタービン（８ａ）を駆動するジェット兼ロケット合体機関。
【請求項９４０】
縮径主燃焼室兼熱交換器（１）で空気（２８ａ）と燃料を長時間熱交換冷却燃焼して６０ＭＰａ以下の過熱蒸気爆発力＋６０ＭＰａ以下の燃焼ガス爆発力に分割して燃焼ガス爆発力と霧吹きの原理により、１以上の水（５２ａ）を混合噴射加速してＡ型ジェット兼ロケット合体機関燃焼部２９Ａの弾み車ガスタービン（８ａ）を駆動するジェット兼ロケット合体機関。
【請求項９４１】
縮径主燃焼室兼熱交換器（１）で空気（２８ａ）と燃料を長時間熱交換冷却燃焼して３０ＭＰａ以下の過熱蒸気爆発力＋３０ＭＰａ以下の燃焼ガス爆発力に分割して燃焼ガス爆発力と霧吹きの原理により、１以上の水（５２ａ）を混合噴射加速してＡ型ジェット兼ロケット合体機関燃焼部２９Ａの弾み車ガスタービン（８ａ）を駆動するジェット兼ロケット合体機関。
【請求項９４２】
縮径主燃焼室兼熱交換器（１）で空気（２８ａ）と燃料を長時間熱交換冷却燃焼して最適圧力の過熱蒸気爆発力＋最適圧力の燃焼ガス爆発力に分割して燃焼ガス爆発力と霧吹きの原理により、１以上の水（５２ａ）を混合噴射加速してＡ型ジェット兼ロケット合体機関燃焼部２９Ａの弾み車ガスタービン（８ａ）を駆動するジェット兼ロケット合体機関。
【請求項９４３】
縮径主燃焼室兼熱交換器（１）で空気（２８ａ）と燃料を長時間熱交換冷却燃焼して過熱蒸気爆発力＋燃焼ガス爆発力に分割して過熱蒸気爆発力と霧吹きの原理により、１以上の水（５２ａ）を混合噴射加速してＡ型ジェット兼ロケット合体機関燃焼部２９Ａの弾み車蒸気タービン（８ｂ）を駆動するジェット兼ロケット合体機関。
【請求項９４４】
縮径主燃焼室兼熱交換器（１）で空気（２８ａ）と燃料を長時間熱交換冷却燃焼して限り無く高圧の過熱蒸気爆発力＋限り無く高圧の燃焼ガス爆発力に分割して過熱蒸気爆発力と霧吹きの原理により、１以上の水（５２ａ）を混合噴射加速してＡ型ジェット兼ロケット合体機関燃焼部２９Ａの弾み車蒸気タービン（８ｂ）を駆動するジェット兼ロケット合体機関。
【請求項９４５】
縮径主燃焼室兼熱交換器（１）で空気（２８ａ）と燃料を長時間熱交換冷却燃焼して１００ＭＰａ以下の過熱蒸気爆発力＋１００ＭＰａ以下の燃焼ガス爆発力に分割して過熱蒸気爆発力と霧吹きの原理により、１以上の水（５２ａ）を混合噴射加速してＡ型ジェット兼ロケット合体機関燃焼部２９Ａの弾み車蒸気タービン（８ｂ）を駆動するジェット兼ロケット合体機関。
【請求項９４６】
縮径主燃焼室兼熱交換器（１）で空気（２８ａ）と燃料を長時間熱交換冷却燃焼して６０ＭＰａ以下の過熱蒸気爆発力＋６０ＭＰａ以下の燃焼ガス爆発力に分割して過熱蒸気爆発力と霧吹きの原理により、１以上の水（５２ａ）を混合噴射加速してＡ型ジェット兼ロケット合体機関燃焼部２９Ａの弾み車蒸気タービン（８ｂ）を駆動するジェット兼ロケット合体機関。
【請求項９４７】
縮径主燃焼室兼熱交換器（１）で空気（２８ａ）と燃料を長時間熱交換冷却燃焼して３０ＭＰａ以下の過熱蒸気爆発力＋３０ＭＰａ以下の燃焼ガス爆発力に分割して過熱蒸気爆発力と霧吹きの原理により、１以上の水（５２ａ）を混合噴射加速してＡ型ジェット兼ロケット合体機関燃焼部２９Ａの弾み車蒸気タービン（８ｂ）を駆動するジェット兼ロケット合体機関。
【請求項９４８】
縮径主燃焼室兼熱交換器（１）で空気（２８ａ）と燃料を長時間熱交換冷却燃焼して最適圧力の過熱蒸気爆発力＋最適圧力の燃焼ガス爆発力に分割して過熱蒸気爆発力と霧吹きの原理により、１以上の水（５２ａ）を混合噴射加速してＡ型ジェット兼ロケット合体機関燃焼部２９Ａの弾み車蒸気タービン（８ｂ）を駆動するジェット兼ロケット合体機関。
【請求項９４９】
縮径主燃焼室兼熱交換器（１）で空気（２８ａ）と燃料を長時間熱交換冷却燃焼して過熱蒸気爆発力＋燃焼ガス爆発力に分割して夫々の爆発力と霧吹きの原理により、夫々１以上の水（５２ａ）を混合噴射加速してＡ型ジェット兼ロケット合体機関燃焼部２９Ａの弾み車ガスタービン（８ａ）及び弾み車蒸気タービン（８ｂ）を駆動するジェット兼ロケット合体機関。
【請求項９５０】
縮径主燃焼室兼熱交換器（１）で空気（２８ａ）と燃料を長時間熱交換冷却燃焼して限り無く高圧の過熱蒸気爆発力＋限り無く高圧の燃焼ガス爆発力に分割して夫々の爆発力と霧吹きの原理により、夫々１以上の水（５２ａ）を混合噴射加速してＡ型ジェット兼ロケット合体機関燃焼部２９Ａの弾み車ガスタービン（８ａ）及び弾み車蒸気タービン（８ｂ）を駆動するジェット兼ロケット合体機関。
【請求項９５１】
縮径主燃焼室兼熱交換器（１）で空気（２８ａ）と燃料を長時間熱交換冷却燃焼して１００ＭＰａ以下の過熱蒸気爆発力＋１００ＭＰａ以下の燃焼ガス爆発力に分割して夫々の爆発力と霧吹きの原理により、夫々１以上の水（５２ａ）を混合噴射加速してＡ型ジェット兼ロケット合体機関燃焼部２９Ａの弾み車ガスタービン（８ａ）及び弾み車蒸気タービン（８ｂ）を駆動するジェット兼ロケット合体機関。
【請求項９５２】
縮径主燃焼室兼熱交換器（１）で空気（２８ａ）と燃料を長時間熱交換冷却燃焼して６０ＭＰａ以下の過熱蒸気爆発力＋６０ＭＰａ以下の燃焼ガス爆発力に分割して夫々の爆発力と霧吹きの原理により、夫々１以上の水（５２ａ）を混合噴射加速してＡ型ジェット兼ロケット合体機関燃焼部２９Ａの弾み車ガスタービン（８ａ）及び弾み車蒸気タービン（８ｂ）を駆動するジェット兼ロケット合体機関。
【請求項９５３】
縮径主燃焼室兼熱交換器（１）で空気（２８ａ）と燃料を長時間熱交換冷却燃焼して３０ＭＰａ以下の過熱蒸気爆発力＋３０ＭＰａ以下の燃焼ガス爆発力に分割して夫々の爆発力と霧吹きの原理により、夫々１以上の水（５２ａ）を混合噴射加速してＡ型ジェット兼ロケット合体機関燃焼部２９Ａの弾み車ガスタービン（８ａ）及び弾み車蒸気タービン（８ｂ）を駆動するジェット兼ロケット合体機関。
【請求項９５４】
縮径主燃焼室兼熱交換器（１）で空気（２８ａ）と燃料を長時間熱交換冷却燃焼して最適圧力の過熱蒸気爆発力＋最適圧力の燃焼ガス爆発力に分割して夫々の爆発力と霧吹きの原理により、夫々１以上の水（５２ａ）を混合噴射加速してＡ型ジェット兼ロケット合体機関燃焼部２９Ａの弾み車ガスタービン（８ａ）及び弾み車蒸気タービン（８ｂ）を駆動するジェット兼ロケット合体機関。
【請求項９５５】
縮径主燃焼室兼熱交換器（１）で空気（２８ａ）と燃料を長時間熱交換冷却燃焼して過熱蒸気爆発力＋燃焼ガス爆発力に分割して夫々の爆発力と霧吹きの原理により、夫々１以上の高温水（５２ｂ）を混合噴射加速してＡ型ジェット兼ロケット合体機関燃焼部２９Ａを駆動するジェット兼ロケット合体機関。
【請求項９５６】
縮径主燃焼室兼熱交換器（１）で空気（２８ａ）と燃料を長時間熱交換冷却燃焼して限り無く高圧の過熱蒸気爆発力＋限り無く高圧の燃焼ガス爆発力に分割して夫々の爆発力と霧吹きの原理により、夫々１以上の高温水（５２ｂ）を混合噴射加速してＡ型ジェット兼ロケット合体機関燃焼部２９Ａを駆動するジェット兼ロケット合体機関。
【請求項９５７】
縮径主燃焼室兼熱交換器（１）で空気（２８ａ）と燃料を長時間熱交換冷却燃焼して１００ＭＰａ以下の過熱蒸気爆発力＋１００ＭＰａ以下の燃焼ガス爆発力に分割して夫々の爆発力と霧吹きの原理により、夫々１以上の高温水（５２ｂ）を混合噴射加速してＡ型ジェット兼ロケット合体機関燃焼部２９Ａを駆動するジェット兼ロケット合体機関。
【請求項９５８】
縮径主燃焼室兼熱交換器（１）で空気（２８ａ）と燃料を長時間熱交換冷却燃焼して６０ＭＰａ以下の過熱蒸気爆発力＋６０ＭＰａ以下の燃焼ガス爆発力に分割して夫々の爆発力と霧吹きの原理により、夫々１以上の高温水（５２ｂ）を混合噴射加速してＡ型ジェット兼ロケット合体機関燃焼部２９Ａを駆動するジェット兼ロケット合体機関。
【請求項９５９】
縮径主燃焼室兼熱交換器（１）で空気（２８ａ）と燃料を長時間熱交換冷却燃焼して３０ＭＰａ以下の過熱蒸気爆発力＋３０ＭＰａ以下の燃焼ガス爆発力に分割して夫々の爆発力と霧吹きの原理により、夫々１以上の高温水（５２ｂ）を混合噴射加速してＡ型ジェット兼ロケット合体機関燃焼部２９Ａを駆動するジェット兼ロケット合体機関。
【請求項９６０】
縮径主燃焼室兼熱交換器（１）で空気（２８ａ）と燃料を長時間熱交換冷却燃焼して最適圧力の過熱蒸気爆発力＋最適圧力の燃焼ガス爆発力に分割して夫々の爆発力と霧吹きの原理により、夫々１以上の高温水（５２ｂ）を混合噴射加速してＡ型ジェット兼ロケット合体機関燃焼部２９Ａを駆動するジェット兼ロケット合体機関。
【請求項９６１】
縮径主燃焼室兼熱交換器（１）で空気（２８ａ）と燃料を長時間熱交換冷却燃焼して過熱蒸気爆発力＋燃焼ガス爆発力に分割して夫々の爆発力と霧吹きの原理により、夫々１以上の高温水（５２ｂ）を混合噴射加速してＡ型ジェット兼ロケット合体機関燃焼部２９Ａの弾み車タービン（８）を駆動するジェット兼ロケット合体機関。
【請求項９６２】
縮径主燃焼室兼熱交換器（１）で空気（２８ａ）と燃料を長時間熱交換冷却燃焼して限り無く高圧の過熱蒸気爆発力＋限り無く高圧の燃焼ガス爆発力に分割して夫々の爆発力と霧吹きの原理により、夫々１以上の高温水（５２ｂ）を混合噴射加速してＡ型ジェット兼ロケット合体機関燃焼部２９Ａの弾み車タービン（８）を駆動するジェット兼ロケット合体機関。
【請求項９６３】
縮径主燃焼室兼熱交換器（１）で空気（２８ａ）と燃料を長時間熱交換冷却燃焼して１００ＭＰａ以下の過熱蒸気爆発力＋１００ＭＰａ以下の燃焼ガス爆発力に分割して夫々の爆発力と霧吹きの原理により、夫々１以上の高温水（５２ｂ）を混合噴射加速してＡ型ジェット兼ロケット合体機関燃焼部２９Ａの弾み車タービン（８）を駆動するジェット兼ロケット合体機関。
【請求項９６４】
縮径主燃焼室兼熱交換器（１）で空気（２８ａ）と燃料を長時間熱交換冷却燃焼して６０ＭＰａ以下の過熱蒸気爆発力＋６０ＭＰａ以下の燃焼ガス爆発力に分割して夫々の爆発力と霧吹きの原理により、夫々１以上の高温水（５２ｂ）を混合噴射加速してＡ型ジェット兼ロケット合体機関燃焼部２９Ａの弾み車タービン（８）を駆動するジェット兼ロケット合体機関。
【請求項９６５】
縮径主燃焼室兼熱交換器（１）で空気（２８ａ）と燃料を長時間熱交換冷却燃焼して３０ＭＰａ以下の過熱蒸気爆発力＋３０ＭＰａ以下の燃焼ガス爆発力に分割して夫々の爆発力と霧吹きの原理により、夫々１以上の高温水（５２ｂ）を混合噴射加速してＡ型ジェット兼ロケット合体機関燃焼部２９Ａの弾み車タービン（８）を駆動するジェット兼ロケット合体機関。
【請求項９６６】
縮径主燃焼室兼熱交換器（１）で空気（２８ａ）と燃料を長時間熱交換冷却燃焼して最適圧力の過熱蒸気爆発力＋最適圧力の燃焼ガス爆発力に分割して夫々の爆発力と霧吹きの原理により、夫々１以上の高温水（５２ｂ）を混合噴射加速してＡ型ジェット兼ロケット合体機関燃焼部２９Ａの弾み車タービン（８）を駆動するジェット兼ロケット合体機関。
【請求項９６７】
縮径主燃焼室兼熱交換器（１）で空気（２８ａ）と燃料を長時間熱交換冷却燃焼して過熱蒸気爆発力＋燃焼ガス爆発力に分割して燃焼ガス爆発力と霧吹きの原理により、１以上の高温水（５２ｂ）を混合噴射加速してＡ型ジェット兼ロケット合体機関燃焼部２９Ａの弾み車ガスタービン（８ａ）を駆動するジェット兼ロケット合体機関。
【請求項９６８】
縮径主燃焼室兼熱交換器（１）で空気（２８ａ）と燃料を長時間熱交換冷却燃焼して限り無く高圧の過熱蒸気爆発力＋限り無く高圧の燃焼ガス爆発力に分割して燃焼ガス爆発力と霧吹きの原理により、１以上の高温水（５２ｂ）を混合噴射加速してＡ型ジェット兼ロケット合体機関燃焼部２９Ａの弾み車ガスタービン（８ａ）を駆動するジェット兼ロケット合体機関。
【請求項９６９】
縮径主燃焼室兼熱交換器（１）で空気（２８ａ）と燃料を長時間熱交換冷却燃焼して１００ＭＰａ以下の過熱蒸気爆発力＋１００ＭＰａ以下の燃焼ガス爆発力に分割して燃焼ガス爆発力と霧吹きの原理により、１以上の高温水（５２ｂ）を混合噴射加速してＡ型ジェット兼ロケット合体機関燃焼部２９Ａの弾み車ガスタービン（８ａ）を駆動するジェット兼ロケット合体機関。
【請求項９７０】
縮径主燃焼室兼熱交換器（１）で空気（２８ａ）と燃料を長時間熱交換冷却燃焼して６０ＭＰａ以下の過熱蒸気爆発力＋６０ＭＰａ以下の燃焼ガス爆発力に分割して燃焼ガス爆発力と霧吹きの原理により、１以上の高温水（５２ｂ）を混合噴射加速してＡ型ジェット兼ロケット合体機関燃焼部２９Ａの弾み車ガスタービン（８ａ）を駆動するジェット兼ロケット合体機関。
【請求項９７１】
縮径主燃焼室兼熱交換器（１）で空気（２８ａ）と燃料を長時間熱交換冷却燃焼して３０ＭＰａ以下の過熱蒸気爆発力＋３０ＭＰａ以下の燃焼ガス爆発力に分割して燃焼ガス爆発力と霧吹きの原理により、１以上の高温水（５２ｂ）を混合噴射加速してＡ型ジェット兼ロケット合体機関燃焼部２９Ａの弾み車ガスタービン（８ａ）を駆動するジェット兼ロケット合体機関。
【請求項９７２】
縮径主燃焼室兼熱交換器（１）で空気（２８ａ）と燃料を長時間熱交換冷却燃焼して最適圧力の過熱蒸気爆発力＋最適圧力の燃焼ガス爆発力に分割して燃焼ガス爆発力と霧吹きの原理により、１以上の高温水（５２ｂ）を混合噴射加速してＡ型ジェット兼ロケット合体機関燃焼部２９Ａの弾み車ガスタービン（８ａ）を駆動するジェット兼ロケット合体機関。
【請求項９７３】
縮径主燃焼室兼熱交換器（１）で空気（２８ａ）と燃料を長時間熱交換冷却燃焼して過熱蒸気爆発力＋燃焼ガス爆発力に分割して過熱蒸気爆発力と霧吹きの原理により、１以上の高温水（５２ｂ）を混合噴射加速してＡ型ジェット兼ロケット合体機関燃焼部２９Ａの弾み車蒸気タービン（８ｂ）を駆動するジェット兼ロケット合体機関。
【請求項９７４】
縮径主燃焼室兼熱交換器（１）で空気（２８ａ）と燃料を長時間熱交換冷却燃焼して限り無く高圧の過熱蒸気爆発力＋限り無く高圧の燃焼ガス爆発力に分割して過熱蒸気爆発力と霧吹きの原理により、１以上の高温水（５２ｂ）を混合噴射加速してＡ型ジェット兼ロケット合体機関燃焼部２９Ａの弾み車蒸気タービン（８ｂ）を駆動するジェット兼ロケット合体機関。
【請求項９７５】
縮径主燃焼室兼熱交換器（１）で空気（２８ａ）と燃料を長時間熱交換冷却燃焼して１００ＭＰａ以下の過熱蒸気爆発力＋１００ＭＰａ以下の燃焼ガス爆発力に分割して過熱蒸気爆発力と霧吹きの原理により、１以上の高温水（５２ｂ）を混合噴射加速してＡ型ジェット兼ロケット合体機関燃焼部２９Ａの弾み車蒸気タービン（８ｂ）を駆動するジェット兼ロケット合体機関。
【請求項９７６】
縮径主燃焼室兼熱交換器（１）で空気（２８ａ）と燃料を長時間熱交換冷却燃焼して６０ＭＰａ以下の過熱蒸気爆発力＋６０ＭＰａ以下の燃焼ガス爆発力に分割して過熱蒸気爆発力と霧吹きの原理により、１以上の高温水（５２ｂ）を混合噴射加速してＡ型ジェット兼ロケット合体機関燃焼部２９Ａの弾み車蒸気タービン（８ｂ）を駆動するジェット兼ロケット合体機関。
【請求項９７７】
縮径主燃焼室兼熱交換器（１）で空気（２８ａ）と燃料を長時間熱交換冷却燃焼して３０ＭＰａ以下の過熱蒸気爆発力＋３０ＭＰａ以下の燃焼ガス爆発力に分割して過熱蒸気爆発力と霧吹きの原理により、１以上の高温水（５２ｂ）を混合噴射加速してＡ型ジェット兼ロケット合体機関燃焼部２９Ａの弾み車蒸気タービン（８ｂ）を駆動するジェット兼ロケット合体機関。
【請求項９７８】
縮径主燃焼室兼熱交換器（１）で空気（２８ａ）と燃料を長時間熱交換冷却燃焼して最適圧力の過熱蒸気爆発力＋最適圧力の燃焼ガス爆発力に分割して過熱蒸気爆発力と霧吹きの原理により、１以上の高温水（５２ｂ）を混合噴射加速してＡ型ジェット兼ロケット合体機関燃焼部２９Ａの弾み車蒸気タービン（８ｂ）を駆動するジェット兼ロケット合体機関。
【請求項９７９】
縮径主燃焼室兼熱交換器（１）で空気（２８ａ）と燃料を長時間熱交換冷却燃焼して過熱蒸気爆発力＋燃焼ガス爆発力に分割して夫々の爆発力と霧吹きの原理により、夫々１以上の高温水（５２ｂ）を混合噴射加速してＡ型ジェット兼ロケット合体機関燃焼部２９Ａの弾み車ガスタービン（８ａ）及び弾み車蒸気タービン（８ｂ）を駆動するジェット兼ロケット合体機関。
【請求項９８０】
縮径主燃焼室兼熱交換器（１）で空気（２８ａ）と燃料を長時間熱交換冷却燃焼して限り無く高圧の過熱蒸気爆発力＋限り無く高圧の燃焼ガス爆発力に分割して夫々の爆発力と霧吹きの原理により、夫々１以上の高温水（５２ｂ）を混合噴射加速してＡ型ジェット兼ロケット合体機関燃焼部２９Ａの弾み車ガスタービン（８ａ）及び弾み車蒸気タービン（８ｂ）を駆動するジェット兼ロケット合体機関。
【請求項９８１】
縮径主燃焼室兼熱交換器（１）で空気（２８ａ）と燃料を長時間熱交換冷却燃焼して１００ＭＰａ以下の過熱蒸気爆発力＋１００ＭＰａ以下の燃焼ガス爆発力に分割して夫々の爆発力と霧吹きの原理により、夫々１以上の高温水（５２ｂ）を混合噴射加速してＡ型ジェット兼ロケット合体機関燃焼部２９Ａの弾み車ガスタービン（８ａ）及び弾み車蒸気タービン（８ｂ）を駆動するジェット兼ロケット合体機関。
【請求項９８２】
縮径主燃焼室兼熱交換器（１）で空気（２８ａ）と燃料を長時間熱交換冷却燃焼して６０ＭＰａ以下の過熱蒸気爆発力＋６０ＭＰａ以下の燃焼ガス爆発力に分割して夫々の爆発力と霧吹きの原理により、夫々１以上の高温水（５２ｂ）を混合噴射加速してＡ型ジェット兼ロケット合体機関燃焼部２９Ａの弾み車ガスタービン（８ａ）及び弾み車蒸気タービン（８ｂ）を駆動するジェット兼ロケット合体機関。
【請求項９８３】
縮径主燃焼室兼熱交換器（１）で空気（２８ａ）と燃料を長時間熱交換冷却燃焼して３０ＭＰａ以下の過熱蒸気爆発力＋３０ＭＰａ以下の燃焼ガス爆発力に分割して夫々の爆発力と霧吹きの原理により、夫々１以上の高温水（５２ｂ）を混合噴射加速してＡ型ジェット兼ロケット合体機関燃焼部２９Ａの弾み車ガスタービン（８ａ）及び弾み車蒸気タービン（８ｂ）を駆動するジェット兼ロケット合体機関。
【請求項９８４】
縮径主燃焼室兼熱交換器（１）で空気（２８ａ）と燃料を長時間熱交換冷却燃焼して最適圧力の過熱蒸気爆発力＋最適圧力の燃焼ガス爆発力に分割して夫々の爆発力と霧吹きの原理により、夫々１以上の高温水（５２ｂ）を混合噴射加速してＡ型ジェット兼ロケット合体機関燃焼部２９Ａの弾み車ガスタービン（８ａ）及び弾み車蒸気タービン（８ｂ）を駆動するジェット兼ロケット合体機関。
【請求項９８５】
ジェット兼ロケット噴射部（７７Ｋ）はジェット兼ロケット外箱（７７Ｆ）の中に噴射部のみ具備して簡単高性能にするジェット兼ロケット合体機関。
【請求項９８６】
ジェット兼ロケット噴射部（７７Ｋ）は円筒型のジェット兼ロケット外箱（７７Ｆ）の中に噴射部のみ具備して簡単高性能にするジェット兼ロケット合体機関。
【請求項９８７】
ジェット兼ロケット噴射部（７７Ｋ）は筒型のジェット兼ロケット外箱（７７Ｆ）の中に噴射部のみ具備して簡単高性能にするジェット兼ロケット合体機関。
【請求項９８８】
ジェット兼ロケット噴射部（７７Ｋ）は任意筒型のジェット兼ロケット外箱（７７Ｆ）の中に噴射部のみ具備して簡単高性能にするジェット兼ロケット合体機関。
【請求項９８９】
ジェット兼ロケット噴射部（７７Ｋ）はジェット兼ロケット外箱（７７Ｆ）の中に過熱蒸気＋水の噴射部のみ具備して簡単高性能にするジェット兼ロケット合体機関。
【請求項９９０】
ジェット兼ロケット噴射部（７７Ｋ）は円筒型のジェット兼ロケット外箱（７７Ｆ）の中に過熱蒸気＋水の噴射部のみ具備して簡単高性能にするジェット兼ロケット合体機関。
【請求項９９１】
ジェット兼ロケット噴射部（７７Ｋ）は筒型のジェット兼ロケット外箱（７７Ｆ）の中に過熱蒸気＋水の噴射部のみ具備して簡単高性能にするジェット兼ロケット合体機関。
【請求項９９２】
ジェット兼ロケット噴射部（７７Ｋ）は任意筒型のジェット兼ロケット外箱（７７Ｆ）の中に過熱蒸気＋水の噴射部のみ具備して簡単高性能にするジェット兼ロケット合体機関。
【請求項９９３】
ジェット兼ロケット噴射部（７７Ｋ）はジェット兼ロケット外箱（７７Ｆ）の中に限り無く高圧の過熱蒸気＋水の噴射部のみ具備して簡単高性能にするジェット兼ロケット合体機関。
【請求項９９４】
ジェット兼ロケット噴射部（７７Ｋ）は円筒型のジェット兼ロケット外箱（７７Ｆ）の中に限り無く高圧の過熱蒸気＋水の噴射部のみ具備して簡単高性能にするジェット兼ロケット合体機関。
【請求項９９５】
ジェット兼ロケット噴射部（７７Ｋ）は筒型のジェット兼ロケット外箱（７７Ｆ）の中に限り無く高圧の過熱蒸気＋水の噴射部のみ具備して簡単高性能にするジェット兼ロケット合体機関。
【請求項９９６】
ジェット兼ロケット噴射部（７７Ｋ）は任意筒型のジェット兼ロケット外箱（７７Ｆ）の中に限り無く高圧の過熱蒸気＋水の噴射部のみ具備して簡単高性能にするジェット兼ロケット合体機関。
【請求項９９７】
ジェット兼ロケット噴射部（７７Ｋ）はジェット兼ロケット外箱（７７Ｆ）の中に１００ＭＰａ以下の過熱蒸気＋水の噴射部のみ具備して簡単高性能にするジェット兼ロケット合体機関。
【請求項９９８】
ジェット兼ロケット噴射部（７７Ｋ）は円筒型のジェット兼ロケット外箱（７７Ｆ）の中に１００ＭＰａ以下の過熱蒸気＋水の噴射部のみ具備して簡単高性能にするジェット兼ロケット合体機関。
【請求項９９９】
ジェット兼ロケット噴射部（７７Ｋ）は筒型のジェット兼ロケット外箱（７７Ｆ）の中に１００ＭＰａ以下の過熱蒸気＋水の噴射部のみ具備して簡単高性能にするジェット兼ロケット合体機関。
【請求項１０００】
ジェット兼ロケット噴射部（７７Ｋ）は任意筒型のジェット兼ロケット外箱（７７Ｆ）の中に１００ＭＰａ以下の過熱蒸気＋水の噴射部のみ具備して簡単高性能にするジェット兼ロケット合体機関。
【請求項１００１】
ジェット兼ロケット噴射部（７７Ｋ）はジェット兼ロケット外箱（７７Ｆ）の中に６０ＭＰａ以下の過熱蒸気＋水の噴射部のみ具備して簡単高性能にするジェット兼ロケット合体機関。
【請求項１００２】
ジェット兼ロケット噴射部（７７Ｋ）は円筒型のジェット兼ロケット外箱（７７Ｆ）の中に６０ＭＰａ以下の過熱蒸気＋水の噴射部のみ具備して簡単高性能にするジェット兼ロケット合体機関。
【請求項１００３】
ジェット兼ロケット噴射部（７７Ｋ）は筒型のジェット兼ロケット外箱（７７Ｆ）の中に６０ＭＰａ以下の過熱蒸気＋水の噴射部のみ具備して簡単高性能にするジェット兼ロケット合体機関。
【請求項１００４】
ジェット兼ロケット噴射部（７７Ｋ）は任意筒型のジェット兼ロケット外箱（７７Ｆ）の中に６０ＭＰａ以下の過熱蒸気＋水の噴射部のみ具備して簡単高性能にするジェット兼ロケット合体機関。
【請求項１００５】
ジェット兼ロケット噴射部（７７Ｋ）はジェット兼ロケット外箱（７７Ｆ）の中に３０ＭＰａ以下の過熱蒸気＋水の噴射部のみ具備して簡単高性能にするジェット兼ロケット合体機関。
【請求項１００６】
ジェット兼ロケット噴射部（７７Ｋ）は円筒型のジェット兼ロケット外箱（７７Ｆ）の中に３０ＭＰａ以下の過熱蒸気＋水の噴射部のみ具備して簡単高性能にするジェット兼ロケット合体機関。
【請求項１００７】
ジェット兼ロケット噴射部（７７Ｋ）は筒型のジェット兼ロケット外箱（７７Ｆ）の中に３０ＭＰａ以下の過熱蒸気＋水の噴射部のみ具備して簡単高性能にするジェット兼ロケット合体機関。
【請求項１００８】
ジェット兼ロケット噴射部（７７Ｋ）は任意筒型のジェット兼ロケット外箱（７７Ｆ）の中に３０ＭＰａ以下の過熱蒸気＋水の噴射部のみ具備して簡単高性能にするジェット兼ロケット合体機関。
【請求項１００９】
ジェット兼ロケット噴射部（７７Ｋ）はジェット兼ロケット外箱（７７Ｆ）の中に最適圧力の過熱蒸気＋水の噴射部のみ具備して簡単高性能にするジェット兼ロケット合体機関。
【請求項１０１０】
ジェット兼ロケット噴射部（７７Ｋ）は円筒型のジェット兼ロケット外箱（７７Ｆ）の中に最適圧力の過熱蒸気＋水の噴射部のみ具備して簡単高性能にするジェット兼ロケット合体機関。
【請求項１０１１】
ジェット兼ロケット噴射部（７７Ｋ）は筒型のジェット兼ロケット外箱（７７Ｆ）の中に最適圧力の過熱蒸気＋水の噴射部のみ具備して簡単高性能にするジェット兼ロケット合体機関。
【請求項１０１２】
ジェット兼ロケット噴射部（７７Ｋ）は任意筒型のジェット兼ロケット外箱（７７Ｆ）の中に最適圧力の過熱蒸気＋水の噴射部のみ具備して簡単高性能にするジェット兼ロケット合体機関。
【請求項１０１３】
ジェット兼ロケット噴射部（７７Ｋ）はジェット兼ロケット外箱（７７Ｆ）の中に過熱蒸気＋燃焼ガス＋水の噴射部のみ具備して簡単高性能にするジェット兼ロケット合体機関。
【請求項１０１４】
ジェット兼ロケット噴射部（７７Ｋ）は円筒型のジェット兼ロケット外箱（７７Ｆ）の中に過熱蒸気＋燃焼ガス＋水の噴射部のみ具備して簡単高性能にするジェット兼ロケット合体機関。
【請求項１０１５】
ジェット兼ロケット噴射部（７７Ｋ）は筒型のジェット兼ロケット外箱（７７Ｆ）の中に過熱蒸気＋燃焼ガス＋水の噴射部のみ具備して簡単高性能にするジェット兼ロケット合体機関。
【請求項１０１６】
ジェット兼ロケット噴射部（７７Ｋ）は任意筒型のジェット兼ロケット外箱（７７Ｆ）の中に過熱蒸気＋燃焼ガス＋水の噴射部のみ具備して簡単高性能にするジェット兼ロケット合体機関。
【請求項１０１７】
ジェット兼ロケット噴射部（７７Ｋ）はジェット兼ロケット外箱（７７Ｆ）の中に限り無く高圧の過熱蒸気＋限り無く高圧の燃焼ガス＋水の噴射部のみ具備して簡単高性能にするジェット兼ロケット合体機関。
【請求項１０１８】
ジェット兼ロケット噴射部（７７Ｋ）は円筒型のジェット兼ロケット外箱（７７Ｆ）の中に限り無く高圧の過熱蒸気＋限り無く高圧の燃焼ガス＋水の噴射部のみ具備して簡単高性能にするジェット兼ロケット合体機関。
【請求項１０１９】
ジェット兼ロケット噴射部（７７Ｋ）は筒型のジェット兼ロケット外箱（７７Ｆ）の中に限り無く高圧の過熱蒸気＋限り無く高圧の燃焼ガス＋水の噴射部のみ具備して簡単高性能にするジェット兼ロケット合体機関。
【請求項１０２０】
ジェット兼ロケット噴射部（７７Ｋ）は任意筒型のジェット兼ロケット外箱（７７Ｆ）の中に限り無く高圧の過熱蒸気＋限り無く高圧の燃焼ガス＋水の噴射部のみ具備して簡単高性能にするジェット兼ロケット合体機関。
【請求項１０２１】
ジェット兼ロケット噴射部（７７Ｋ）はジェット兼ロケット外箱（７７Ｆ）の中に１００ＭＰａ以下の過熱蒸気＋１００ＭＰａ以下の燃焼ガス＋水の噴射部のみ具備して簡単高性能にするジェット兼ロケット合体機関。
【請求項１０２２】
ジェット兼ロケット噴射部（７７Ｋ）は円筒型のジェット兼ロケット外箱（７７Ｆ）の中に１００ＭＰａ以下の過熱蒸気＋１００ＭＰａ以下の燃焼ガス＋水の噴射部のみ具備して簡単高性能にするジェット兼ロケット合体機関。
【請求項１０２３】
ジェット兼ロケット噴射部（７７Ｋ）は筒型のジェット兼ロケット外箱（７７Ｆ）の中に１００ＭＰａ以下の過熱蒸気＋１００ＭＰａ以下の燃焼ガス＋水の噴射部のみ具備して簡単高性能にするジェット兼ロケット合体機関。
【請求項１０２４】
ジェット兼ロケット噴射部（７７Ｋ）は任意筒型のジェット兼ロケット外箱（７７Ｆ）の中に１００ＭＰａ以下の過熱蒸気＋１００ＭＰａ以下の燃焼ガス＋水の噴射部のみ具備して簡単高性能にするジェット兼ロケット合体機関。
【請求項１０２５】
ジェット兼ロケット噴射部（７７Ｋ）はジェット兼ロケット外箱（７７Ｆ）の中に６０ＭＰａ以下の過熱蒸気＋６０ＭＰａ以下の燃焼ガス＋水の噴射部のみ具備して簡単高性能にするジェット兼ロケット合体機関。
【請求項１０２６】
ジェット兼ロケット噴射部（７７Ｋ）は円筒型のジェット兼ロケット外箱（７７Ｆ）の中に６０ＭＰａ以下の過熱蒸気＋６０ＭＰａ以下の燃焼ガス＋水の噴射部のみ具備して簡単高性能にするジェット兼ロケット合体機関。
【請求項１０２７】
ジェット兼ロケット噴射部（７７Ｋ）は筒型のジェット兼ロケット外箱（７７Ｆ）の中に６０ＭＰａ以下の過熱蒸気＋６０ＭＰａ以下の燃焼ガス＋水の噴射部のみ具備して簡単高性能にするジェット兼ロケット合体機関。
【請求項１０２８】
ジェット兼ロケット噴射部（７７Ｋ）は任意筒型のジェット兼ロケット外箱（７７Ｆ）の中に６０ＭＰａ以下の過熱蒸気＋６０ＭＰａ以下の燃焼ガス＋水の噴射部のみ具備して簡単高性能にするジェット兼ロケット合体機関。
【請求項１０２９】
ジェット兼ロケット噴射部（７７Ｋ）はジェット兼ロケット外箱（７７Ｆ）の中に３０ＭＰａ以下の過熱蒸気＋３０ＭＰａ以下の燃焼ガス＋水の噴射部のみ具備して簡単高性能にするジェット兼ロケット合体機関。
【請求項１０３０】
ジェット兼ロケット噴射部（７７Ｋ）は円筒型のジェット兼ロケット外箱（７７Ｆ）の中に３０ＭＰａ以下の過熱蒸気＋３０ＭＰａ以下の燃焼ガス＋水の噴射部のみ具備して簡単高性能にするジェット兼ロケット合体機関。
【請求項１０３１】
ジェット兼ロケット噴射部（７７Ｋ）は筒型のジェット兼ロケット外箱（７７Ｆ）の中に３０ＭＰａ以下の過熱蒸気＋３０ＭＰａ以下の燃焼ガス＋水の噴射部のみ具備して簡単高性能にするジェット兼ロケット合体機関。
【請求項１０３２】
ジェット兼ロケット噴射部（７７Ｋ）は任意筒型のジェット兼ロケット外箱（７７Ｆ）の中に３０ＭＰａ以下の過熱蒸気＋３０ＭＰａ以下の燃焼ガス＋水の噴射部のみ具備して簡単高性能にするジェット兼ロケット合体機関。
【請求項１０３３】
ジェット兼ロケット噴射部（７７Ｋ）はジェット兼ロケット外箱（７７Ｆ）の中に最適圧力の過熱蒸気＋最適圧力の燃焼ガス＋水の噴射部のみ具備して簡単高性能にするジェット兼ロケット合体機関。
【請求項１０３４】
ジェット兼ロケット噴射部（７７Ｋ）は円筒型のジェット兼ロケット外箱（７７Ｆ）の中に最適圧力の過熱蒸気＋最適圧力の燃焼ガス＋水の噴射部のみ具備して簡単高性能にするジェット兼ロケット合体機関。
【請求項１０３５】
ジェット兼ロケット噴射部（７７Ｋ）は筒型のジェット兼ロケット外箱（７７Ｆ）の中に最適圧力の過熱蒸気＋最適圧力の燃焼ガス＋水の噴射部のみ具備して簡単高性能にするジェット兼ロケット合体機関。
【請求項１０３６】
ジェット兼ロケット噴射部（７７Ｋ）は任意筒型のジェット兼ロケット外箱（７７Ｆ）の中に最適圧力の過熱蒸気＋最適圧力の燃焼ガス＋水の噴射部のみ具備して簡単高性能にするジェット兼ロケット合体機関。
【請求項１０３７】
ジェット兼ロケット噴射部（７７Ｋ）はジェット兼ロケット外箱（７７Ｆ）の中に噴射部のみ具備して簡単高性能に前方の空気を吸引して噴射推進するジェット兼ロケット合体機関。
【請求項１０３８】
ジェット兼ロケット噴射部（７７Ｋ）は円筒型のジェット兼ロケット外箱（７７Ｆ）の中に噴射部のみ具備して簡単高性能に前方の空気を吸引して噴射推進するジェット兼ロケット合体機関。
【請求項１０３９】
ジェット兼ロケット噴射部（７７Ｋ）は筒型のジェット兼ロケット外箱（７７Ｆ）の中に噴射部のみ具備して簡単高性能に前方の空気を吸引して噴射推進するジェット兼ロケット合体機関。
【請求項１０４０】
ジェット兼ロケット噴射部（７７Ｋ）は任意筒型のジェット兼ロケット外箱（７７Ｆ）の中に噴射部のみ具備して簡単高性能に前方の空気を吸引して噴射推進するジェット兼ロケット合体機関。
【請求項１０４１】
ジェット兼ロケット噴射部（７７Ｋ）はジェット兼ロケット外箱（７７Ｆ）の中に過熱蒸気＋水の噴射部のみ具備して簡単高性能に前方の空気を吸引して噴射推進するジェット兼ロケット合体機関。
【請求項１０４２】
ジェット兼ロケット噴射部（７７Ｋ）は円筒型のジェット兼ロケット外箱（７７Ｆ）の中に過熱蒸気＋水の噴射部のみ具備して簡単高性能に前方の空気を吸引して噴射推進するジェット兼ロケット合体機関。
【請求項１０４３】
ジェット兼ロケット噴射部（７７Ｋ）は筒型のジェット兼ロケット外箱（７７Ｆ）の中に過熱蒸気＋水の噴射部のみ具備して簡単高性能に前方の空気を吸引して噴射推進するジェット兼ロケット合体機関。
【請求項１０４４】
ジェット兼ロケット噴射部（７７Ｋ）は任意筒型のジェット兼ロケット外箱（７７Ｆ）の中に過熱蒸気＋水の噴射部のみ具備して簡単高性能に前方の空気を吸引して噴射推進するジェット兼ロケット合体機関。
【請求項１０４５】
ジェット兼ロケット噴射部（７７Ｋ）はジェット兼ロケット外箱（７７Ｆ）の中に限り無く高圧の過熱蒸気＋水の噴射部のみ具備して簡単高性能に前方の空気を吸引して噴射推進するジェット兼ロケット合体機関。
【請求項１０４６】
ジェット兼ロケット噴射部（７７Ｋ）は円筒型のジェット兼ロケット外箱（７７Ｆ）の中に限り無く高圧の過熱蒸気＋水の噴射部のみ具備して簡単高性能に前方の空気を吸引して噴射推進するジェット兼ロケット合体機関。
【請求項１０４７】
ジェット兼ロケット噴射部（７７Ｋ）は筒型のジェット兼ロケット外箱（７７Ｆ）の中に限り無く高圧の過熱蒸気＋水の噴射部のみ具備して簡単高性能に前方の空気を吸引して噴射推進するジェット兼ロケット合体機関。
【請求項１０４８】
ジェット兼ロケット噴射部（７７Ｋ）は任意筒型のジェット兼ロケット外箱（７７Ｆ）の中に限り無く高圧の過熱蒸気＋水の噴射部のみ具備して簡単高性能に前方の空気を吸引して噴射推進するジェット兼ロケット合体機関。
【請求項１０４９】
ジェット兼ロケット噴射部（７７Ｋ）はジェット兼ロケット外箱（７７Ｆ）の中に１００ＭＰａ以下の過熱蒸気＋水の噴射部のみ具備して簡単高性能に前方の空気を吸引して噴射推進するジェット兼ロケット合体機関。
【請求項１０５０】
ジェット兼ロケット噴射部（７７Ｋ）は円筒型のジェット兼ロケット外箱（７７Ｆ）の中に１００ＭＰａ以下の過熱蒸気＋水の噴射部のみ具備して簡単高性能に前方の空気を吸引して噴射推進するジェット兼ロケット合体機関。
【請求項１０５１】
ジェット兼ロケット噴射部（７７Ｋ）は筒型のジェット兼ロケット外箱（７７Ｆ）の中に１００ＭＰａ以下の過熱蒸気＋水の噴射部のみ具備して簡単高性能に前方の空気を吸引して噴射推進するジェット兼ロケット合体機関。
【請求項１０５２】
ジェット兼ロケット噴射部（７７Ｋ）は任意筒型のジェット兼ロケット外箱（７７Ｆ）の中に１００ＭＰａ以下の過熱蒸気＋水の噴射部のみ具備して簡単高性能に前方の空気を吸引して噴射推進するジェット兼ロケット合体機関。
【請求項１０５３】
ジェット兼ロケット噴射部（７７Ｋ）はジェット兼ロケット外箱（７７Ｆ）の中に６０ＭＰａ以下の過熱蒸気＋水の噴射部のみ具備して簡単高性能に前方の空気を吸引して噴射推進するジェット兼ロケット合体機関。
【請求項１０５４】
ジェット兼ロケット噴射部（７７Ｋ）は円筒型のジェット兼ロケット外箱（７７Ｆ）の中に６０ＭＰａ以下の過熱蒸気＋水の噴射部のみ具備して簡単高性能に前方の空気を吸引して噴射推進するジェット兼ロケット合体機関。
【請求項１０５５】
ジェット兼ロケット噴射部（７７Ｋ）は筒型のジェット兼ロケット外箱（７７Ｆ）の中に６０ＭＰａ以下の過熱蒸気＋水の噴射部のみ具備して簡単高性能に前方の空気を吸引して噴射推進するジェット兼ロケット合体機関。
【請求項１０５６】
ジェット兼ロケット噴射部（７７Ｋ）は任意筒型のジェット兼ロケット外箱（７７Ｆ）の中に６０ＭＰａ以下の過熱蒸気＋水の噴射部のみ具備して簡単高性能に前方の空気を吸引して噴射推進するジェット兼ロケット合体機関。
【請求項１０５７】
ジェット兼ロケット噴射部（７７Ｋ）はジェット兼ロケット外箱（７７Ｆ）の中に３０ＭＰａ以下の過熱蒸気＋水の噴射部のみ具備して簡単高性能に前方の空気を吸引して噴射推進するジェット兼ロケット合体機関。
【請求項１０５８】
ジェット兼ロケット噴射部（７７Ｋ）は円筒型のジェット兼ロケット外箱（７７Ｆ）の中に３０ＭＰａ以下の過熱蒸気＋水の噴射部のみ具備して簡単高性能に前方の空気を吸引して噴射推進するジェット兼ロケット合体機関。
【請求項１０５９】
ジェット兼ロケット噴射部（７７Ｋ）は筒型のジェット兼ロケット外箱（７７Ｆ）の中に３０ＭＰａ以下の過熱蒸気＋水の噴射部のみ具備して簡単高性能に前方の空気を吸引して噴射推進するジェット兼ロケット合体機関。
【請求項１０６０】
ジェット兼ロケット噴射部（７７Ｋ）は任意筒型のジェット兼ロケット外箱（７７Ｆ）の中に３０ＭＰａ以下の過熱蒸気＋水の噴射部のみ具備して簡単高性能に前方の空気を吸引して噴射推進するジェット兼ロケット合体機関。
【請求項１０６１】
ジェット兼ロケット噴射部（７７Ｋ）はジェット兼ロケット外箱（７７Ｆ）の中に最適圧力の過熱蒸気＋水の噴射部のみ具備して簡単高性能に前方の空気を吸引して噴射推進するジェット兼ロケット合体機関。
【請求項１０６２】
ジェット兼ロケット噴射部（７７Ｋ）は円筒型のジェット兼ロケット外箱（７７Ｆ）の中に最適圧力の過熱蒸気＋水の噴射部のみ具備して簡単高性能に前方の空気を吸引して噴射推進するジェット兼ロケット合体機関。
【請求項１０６３】
ジェット兼ロケット噴射部（７７Ｋ）は筒型のジェット兼ロケット外箱（７７Ｆ）の中に最適圧力の過熱蒸気＋水の噴射部のみ具備して簡単高性能に前方の空気を吸引して噴射推進するジェット兼ロケット合体機関。
【請求項１０６４】
ジェット兼ロケット噴射部（７７Ｋ）は任意筒型のジェット兼ロケット外箱（７７Ｆ）の中に最適圧力の過熱蒸気＋水の噴射部のみ具備して簡単高性能に前方の空気を吸引して噴射推進するジェット兼ロケット合体機関。
【請求項１０６５】
ジェット兼ロケット噴射部（７７Ｋ）はジェット兼ロケット外箱（７７Ｆ）の中に過熱蒸気＋燃焼ガス＋水の噴射部のみ具備して簡単高性能に前方の空気を吸引して噴射推進するジェット兼ロケット合体機関。
【請求項１０６６】
ジェット兼ロケット噴射部（７７Ｋ）は円筒型のジェット兼ロケット外箱（７７Ｆ）の中に過熱蒸気＋燃焼ガス＋水の噴射部のみ具備して簡単高性能に前方の空気を吸引して噴射推進するジェット兼ロケット合体機関。
【請求項１０６７】
ジェット兼ロケット噴射部（７７Ｋ）は筒型のジェット兼ロケット外箱（７７Ｆ）の中に過熱蒸気＋燃焼ガス＋水の噴射部のみ具備して簡単高性能に前方の空気を吸引して噴射推進するジェット兼ロケット合体機関。
【請求項１０６８】
ジェット兼ロケット噴射部（７７Ｋ）は任意筒型のジェット兼ロケット外箱（７７Ｆ）の中に過熱蒸気＋燃焼ガス＋水の噴射部のみ具備して簡単高性能に前方の空気を吸引して噴射推進するジェット兼ロケット合体機関。
【請求項１０６９】
ジェット兼ロケット噴射部（７７Ｋ）はジェット兼ロケット外箱（７７Ｆ）の中に限り無く高圧の過熱蒸気＋限り無く高圧の燃焼ガス＋水の噴射部のみ具備して簡単高性能に前方の空気を吸引して噴射推進するジェット兼ロケット合体機関。
【請求項１０７０】
ジェット兼ロケット噴射部（７７Ｋ）は円筒型のジェット兼ロケット外箱（７７Ｆ）の中に限り無く高圧の過熱蒸気＋限り無く高圧の燃焼ガス＋水の噴射部のみ具備して簡単高性能に前方の空気を吸引して噴射推進するジェット兼ロケット合体機関。
【請求項１０７１】
ジェット兼ロケット噴射部（７７Ｋ）は筒型のジェット兼ロケット外箱（７７Ｆ）の中に限り無く高圧の過熱蒸気＋限り無く高圧の燃焼ガス＋水の噴射部のみ具備して簡単高性能に前方の空気を吸引して噴射推進するジェット兼ロケット合体機関。
【請求項１０７２】
ジェット兼ロケット噴射部（７７Ｋ）は任意筒型のジェット兼ロケット外箱（７７Ｆ）の中に限り無く高圧の過熱蒸気＋限り無く高圧の燃焼ガス＋水の噴射部のみ具備して簡単高性能に前方の空気を吸引して噴射推進するジェット兼ロケット合体機関。
【請求項１０７３】
ジェット兼ロケット噴射部（７７Ｋ）はジェット兼ロケット外箱（７７Ｆ）の中に１００ＭＰａ以下の過熱蒸気＋１００ＭＰａ以下の燃焼ガス＋水の噴射部のみ具備して簡単高性能に前方の空気を吸引して噴射推進するジェット兼ロケット合体機関。
【請求項１０７４】
ジェット兼ロケット噴射部（７７Ｋ）は円筒型のジェット兼ロケット外箱（７７Ｆ）の中に１００ＭＰａ以下の過熱蒸気＋１００ＭＰａ以下の燃焼ガス＋水の噴射部のみ具備して簡単高性能に前方の空気を吸引して噴射推進するジェット兼ロケット合体機関。
【請求項１０７５】
ジェット兼ロケット噴射部（７７Ｋ）は筒型のジェット兼ロケット外箱（７７Ｆ）の中に１００ＭＰａ以下の過熱蒸気＋１００ＭＰａ以下の燃焼ガス＋水の噴射部のみ具備して簡単高性能に前方の空気を吸引して噴射推進するジェット兼ロケット合体機関。
【請求項１０７６】
ジェット兼ロケット噴射部（７７Ｋ）は任意筒型のジェット兼ロケット外箱（７７Ｆ）の中に１００ＭＰａ以下の過熱蒸気＋１００ＭＰａ以下の燃焼ガス＋水の噴射部のみ具備して簡単高性能に前方の空気を吸引して噴射推進するジェット兼ロケット合体機関。
【請求項１０７７】
ジェット兼ロケット噴射部（７７Ｋ）はジェット兼ロケット外箱（７７Ｆ）の中に６０ＭＰａ以下の過熱蒸気＋６０ＭＰａ以下の燃焼ガス＋水の噴射部のみ具備して簡単高性能に前方の空気を吸引して噴射推進するジェット兼ロケット合体機関。
【請求項１０７８】
ジェット兼ロケット噴射部（７７Ｋ）は円筒型のジェット兼ロケット外箱（７７Ｆ）の中に６０ＭＰａ以下の過熱蒸気＋６０ＭＰａ以下の燃焼ガス＋水の噴射部のみ具備して簡単高性能に前方の空気を吸引して噴射推進するジェット兼ロケット合体機関。
【請求項１０７９】
ジェット兼ロケット噴射部（７７Ｋ）は筒型のジェット兼ロケット外箱（７７Ｆ）の中に６０ＭＰａ以下の過熱蒸気＋６０ＭＰａ以下の燃焼ガス＋水の噴射部のみ具備して簡単高性能に前方の空気を吸引して噴射推進するジェット兼ロケット合体機関。
【請求項１０８０】
ジェット兼ロケット噴射部（７７Ｋ）は任意筒型のジェット兼ロケット外箱（７７Ｆ）の中に６０ＭＰａ以下の過熱蒸気＋６０ＭＰａ以下の燃焼ガス＋水の噴射部のみ具備して簡単高性能に前方の空気を吸引して噴射推進するジェット兼ロケット合体機関。
【請求項１０８１】
ジェット兼ロケット噴射部（７７Ｋ）はジェット兼ロケット外箱（７７Ｆ）の中に３０ＭＰａ以下の過熱蒸気＋３０ＭＰａ以下の燃焼ガス＋水の噴射部のみ具備して簡単高性能に前方の空気を吸引して噴射推進するジェット兼ロケット合体機関。
【請求項１０８２】
ジェット兼ロケット噴射部（７７Ｋ）は円筒型のジェット兼ロケット外箱（７７Ｆ）の中に３０ＭＰａ以下の過熱蒸気＋３０ＭＰａ以下の燃焼ガス＋水の噴射部のみ具備して簡単高性能に前方の空気を吸引して噴射推進するジェット兼ロケット合体機関。
【請求項１０８３】
ジェット兼ロケット噴射部（７７Ｋ）は筒型のジェット兼ロケット外箱（７７Ｆ）の中に３０ＭＰａ以下の過熱蒸気＋３０ＭＰａ以下の燃焼ガス＋水の噴射部のみ具備して簡単高性能に前方の空気を吸引して噴射推進するジェット兼ロケット合体機関。
【請求項１０８４】
ジェット兼ロケット噴射部（７７Ｋ）は任意筒型のジェット兼ロケット外箱（７７Ｆ）の中に３０ＭＰａ以下の過熱蒸気＋３０ＭＰａ以下の燃焼ガス＋水の噴射部のみ具備して簡単高性能に前方の空気を吸引して噴射推進するジェット兼ロケット合体機関。
【請求項１０８５】
ジェット兼ロケット噴射部（７７Ｋ）はジェット兼ロケット外箱（７７Ｆ）の中に最適圧力の過熱蒸気＋最適圧力の燃焼ガス＋水の噴射部のみ具備して簡単高性能に前方の空気を吸引して噴射推進するジェット兼ロケット合体機関。
【請求項１０８６】
ジェット兼ロケット噴射部（７７Ｋ）は円筒型のジェット兼ロケット外箱（７７Ｆ）の中に最適圧力の過熱蒸気＋最適圧力の燃焼ガス＋水の噴射部のみ具備して簡単高性能に前方の空気を吸引して噴射推進するジェット兼ロケット合体機関。
【請求項１０８７】
ジェット兼ロケット噴射部（７７Ｋ）は筒型のジェット兼ロケット外箱（７７Ｆ）の中に最適圧力の過熱蒸気＋最適圧力の燃焼ガス＋水の噴射部のみ具備して簡単高性能に前方の空気を吸引して噴射推進するジェット兼ロケット合体機関。
【請求項１０８８】
ジェット兼ロケット噴射部（７７Ｋ）は任意筒型のジェット兼ロケット外箱（７７Ｆ）の中に最適圧力の過熱蒸気＋最適圧力の燃焼ガス＋水の噴射部のみ具備して簡単高性能に前方の空気を吸引して噴射推進するジェット兼ロケット合体機関。
【請求項１０８９】
ジェット兼ロケット噴射部（７７Ｋ）はジェット兼ロケット外箱（７７Ｆ）の中に噴射部のみ具備して簡単高性能に前方の真空を吸引して噴射推進するジェット兼ロケット合体機関。
【請求項１０９０】
ジェット兼ロケット噴射部（７７Ｋ）は円筒型のジェット兼ロケット外箱（７７Ｆ）の中に噴射部のみ具備して簡単高性能に前方の真空を吸引して噴射推進するジェット兼ロケット合体機関。
【請求項１０９１】
ジェット兼ロケット噴射部（７７Ｋ）は筒型のジェット兼ロケット外箱（７７Ｆ）の中に噴射部のみ具備して簡単高性能に前方の真空を吸引して噴射推進するジェット兼ロケット合体機関。
【請求項１０９２】
ジェット兼ロケット噴射部（７７Ｋ）は任意筒型のジェット兼ロケット外箱（７７Ｆ）の中に噴射部のみ具備して簡単高性能に前方の真空を吸引して噴射推進するジェット兼ロケット合体機関。
【請求項１０９３】
ジェット兼ロケット噴射部（７７Ｋ）はジェット兼ロケット外箱（７７Ｆ）の中に過熱蒸気＋水の噴射部のみ具備して簡単高性能に前方の真空を吸引して噴射推進するジェット兼ロケット合体機関。
【請求項１０９４】
ジェット兼ロケット噴射部（７７Ｋ）は円筒型のジェット兼ロケット外箱（７７Ｆ）の中に過熱蒸気＋水の噴射部のみ具備して簡単高性能に前方の真空を吸引して噴射推進するジェット兼ロケット合体機関。
【請求項１０９５】
ジェット兼ロケット噴射部（７７Ｋ）は筒型のジェット兼ロケット外箱（７７Ｆ）の中に過熱蒸気＋水の噴射部のみ具備して簡単高性能に前方の真空を吸引して噴射推進するジェット兼ロケット合体機関。
【請求項１０９６】
ジェット兼ロケット噴射部（７７Ｋ）は任意筒型のジェット兼ロケット外箱（７７Ｆ）の中に過熱蒸気＋水の噴射部のみ具備して簡単高性能に前方の真空を吸引して噴射推進するジェット兼ロケット合体機関。
【請求項１０９７】
ジェット兼ロケット噴射部（７７Ｋ）はジェット兼ロケット外箱（７７Ｆ）の中に限り無く高圧の過熱蒸気＋水の噴射部のみ具備して簡単高性能に前方の真空を吸引して噴射推進するジェット兼ロケット合体機関。
【請求項１０９８】
ジェット兼ロケット噴射部（７７Ｋ）は円筒型のジェット兼ロケット外箱（７７Ｆ）の中に限り無く高圧の過熱蒸気＋水の噴射部のみ具備して簡単高性能に前方の真空を吸引して噴射推進するジェット兼ロケット合体機関。
【請求項１０９９】
ジェット兼ロケット噴射部（７７Ｋ）は筒型のジェット兼ロケット外箱（７７Ｆ）の中に限り無く高圧の過熱蒸気＋水の噴射部のみ具備して簡単高性能に前方の真空を吸引して噴射推進するジェット兼ロケット合体機関。
【請求項１１００】
ジェット兼ロケット噴射部（７７Ｋ）は任意筒型のジェット兼ロケット外箱（７７Ｆ）の中に限り無く高圧の過熱蒸気＋水の噴射部のみ具備して簡単高性能に前方の真空を吸引して噴射推進するジェット兼ロケット合体機関。
【請求項１１０１】
ジェット兼ロケット噴射部（７７Ｋ）はジェット兼ロケット外箱（７７Ｆ）の中に１００ＭＰａ以下の過熱蒸気＋水の噴射部のみ具備して簡単高性能に前方の真空を吸引して噴射推進するジェット兼ロケット合体機関。
【請求項１１０２】
ジェット兼ロケット噴射部（７７Ｋ）は円筒型のジェット兼ロケット外箱（７７Ｆ）の中に１００ＭＰａ以下の過熱蒸気＋水の噴射部のみ具備して簡単高性能に前方の真空を吸引して噴射推進するジェット兼ロケット合体機関。
【請求項１１０３】
ジェット兼ロケット噴射部（７７Ｋ）は筒型のジェット兼ロケット外箱（７７Ｆ）の中に１００ＭＰａ以下の過熱蒸気＋水の噴射部のみ具備して簡単高性能に前方の真空を吸引して噴射推進するジェット兼ロケット合体機関。
【請求項１１０４】
ジェット兼ロケット噴射部（７７Ｋ）は任意筒型のジェット兼ロケット外箱（７７Ｆ）の中に１００ＭＰａ以下の過熱蒸気＋水の噴射部のみ具備して簡単高性能に前方の真空を吸引して噴射推進するジェット兼ロケット合体機関。
【請求項１１０５】
ジェット兼ロケット噴射部（７７Ｋ）はジェット兼ロケット外箱（７７Ｆ）の中に６０ＭＰａ以下の過熱蒸気＋水の噴射部のみ具備して簡単高性能に前方の真空を吸引して噴射推進するジェット兼ロケット合体機関。
【請求項１１０６】
ジェット兼ロケット噴射部（７７Ｋ）は円筒型のジェット兼ロケット外箱（７７Ｆ）の中に６０ＭＰａ以下の過熱蒸気＋水の噴射部のみ具備して簡単高性能に前方の真空を吸引して噴射推進するジェット兼ロケット合体機関。
【請求項１１０７】
ジェット兼ロケット噴射部（７７Ｋ）は筒型のジェット兼ロケット外箱（７７Ｆ）の中に６０ＭＰａ以下の過熱蒸気＋水の噴射部のみ具備して簡単高性能に前方の真空を吸引して噴射推進するジェット兼ロケット合体機関。
【請求項１１０８】
ジェット兼ロケット噴射部（７７Ｋ）は任意筒型のジェット兼ロケット外箱（７７Ｆ）の中に６０ＭＰａ以下の過熱蒸気＋水の噴射部のみ具備して簡単高性能に前方の真空を吸引して噴射推進するジェット兼ロケット合体機関。
【請求項１１０９】
ジェット兼ロケット噴射部（７７Ｋ）はジェット兼ロケット外箱（７７Ｆ）の中に３０ＭＰａ以下の過熱蒸気＋水の噴射部のみ具備して簡単高性能に前方の真空を吸引して噴射推進するジェット兼ロケット合体機関。
【請求項１１１０】
ジェット兼ロケット噴射部（７７Ｋ）は円筒型のジェット兼ロケット外箱（７７Ｆ）の中に３０ＭＰａ以下の過熱蒸気＋水の噴射部のみ具備して簡単高性能に前方の真空を吸引して噴射推進するジェット兼ロケット合体機関。
【請求項１１１１】
ジェット兼ロケット噴射部（７７Ｋ）は筒型のジェット兼ロケット外箱（７７Ｆ）の中に３０ＭＰａ以下の過熱蒸気＋水の噴射部のみ具備して簡単高性能に前方の真空を吸引して噴射推進するジェット兼ロケット合体機関。
【請求項１１１２】
ジェット兼ロケット噴射部（７７Ｋ）は任意筒型のジェット兼ロケット外箱（７７Ｆ）の中に３０ＭＰａ以下の過熱蒸気＋水の噴射部のみ具備して簡単高性能に前方の真空を吸引して噴射推進するジェット兼ロケット合体機関。
【請求項１１１３】
ジェット兼ロケット噴射部（７７Ｋ）はジェット兼ロケット外箱（７７Ｆ）の中に最適圧力の過熱蒸気＋水の噴射部のみ具備して簡単高性能に前方の真空を吸引して噴射推進するジェット兼ロケット合体機関。
【請求項１１１４】
ジェット兼ロケット噴射部（７７Ｋ）は円筒型のジェット兼ロケット外箱（７７Ｆ）の中に最適圧力の過熱蒸気＋水の噴射部のみ具備して簡単高性能に前方の真空を吸引して噴射推進するジェット兼ロケット合体機関。
【請求項１１１５】
ジェット兼ロケット噴射部（７７Ｋ）は筒型のジェット兼ロケット外箱（７７Ｆ）の中に最適圧力の過熱蒸気＋水の噴射部のみ具備して簡単高性能に前方の真空を吸引して噴射推進するジェット兼ロケット合体機関。
【請求項１１１６】
ジェット兼ロケット噴射部（７７Ｋ）は任意筒型のジェット兼ロケット外箱（７７Ｆ）の中に最適圧力の過熱蒸気＋水の噴射部のみ具備して簡単高性能に前方の真空を吸引して噴射推進するジェット兼ロケット合体機関。
【請求項１１１７】
ジェット兼ロケット噴射部（７７Ｋ）はジェット兼ロケット外箱（７７Ｆ）の中に過熱蒸気＋燃焼ガス＋水の噴射部のみ具備して簡単高性能に前方の真空を吸引して噴射推進するジェット兼ロケット合体機関。
【請求項１１１８】
ジェット兼ロケット噴射部（７７Ｋ）は円筒型のジェット兼ロケット外箱（７７Ｆ）の中に過熱蒸気＋燃焼ガス＋水の噴射部のみ具備して簡単高性能に前方の真空を吸引して噴射推進するジェット兼ロケット合体機関。
【請求項１１１９】
ジェット兼ロケット噴射部（７７Ｋ）は筒型のジェット兼ロケット外箱（７７Ｆ）の中に過熱蒸気＋燃焼ガス＋水の噴射部のみ具備して簡単高性能に前方の真空を吸引して噴射推進するジェット兼ロケット合体機関。
【請求項１１２０】
ジェット兼ロケット噴射部（７７Ｋ）は任意筒型のジェット兼ロケット外箱（７７Ｆ）の中に過熱蒸気＋燃焼ガス＋水の噴射部のみ具備して簡単高性能に前方の真空を吸引して噴射推進するジェット兼ロケット合体機関。
【請求項１１２１】
ジェット兼ロケット噴射部（７７Ｋ）はジェット兼ロケット外箱（７７Ｆ）の中に限り無く高圧の過熱蒸気＋限り無く高圧の燃焼ガス＋水の噴射部のみ具備して簡単高性能に前方の真空を吸引して噴射推進するジェット兼ロケット合体機関。
【請求項１１２２】
ジェット兼ロケット噴射部（７７Ｋ）は円筒型のジェット兼ロケット外箱（７７Ｆ）の中に限り無く高圧の過熱蒸気＋限り無く高圧の燃焼ガス＋水の噴射部のみ具備して簡単高性能に前方の真空を吸引して噴射推進するジェット兼ロケット合体機関。
【請求項１１２３】
ジェット兼ロケット噴射部（７７Ｋ）は筒型のジェット兼ロケット外箱（７７Ｆ）の中に限り無く高圧の過熱蒸気＋限り無く高圧の燃焼ガス＋水の噴射部のみ具備して簡単高性能に前方の真空を吸引して噴射推進するジェット兼ロケット合体機関。
【請求項１１２４】
ジェット兼ロケット噴射部（７７Ｋ）は任意筒型のジェット兼ロケット外箱（７７Ｆ）の中に限り無く高圧の過熱蒸気＋限り無く高圧の燃焼ガス＋水の噴射部のみ具備して簡単高性能に前方の真空を吸引して噴射推進するジェット兼ロケット合体機関。
【請求項１１２５】
ジェット兼ロケット噴射部（７７Ｋ）はジェット兼ロケット外箱（７７Ｆ）の中に１００ＭＰａ以下の過熱蒸気＋１００ＭＰａ以下の燃焼ガス＋水の噴射部のみ具備して簡単高性能に前方の真空を吸引して噴射推進するジェット兼ロケット合体機関。
【請求項１１２６】
ジェット兼ロケット噴射部（７７Ｋ）は円筒型のジェット兼ロケット外箱（７７Ｆ）の中に１００ＭＰａ以下の過熱蒸気＋１００ＭＰａ以下の燃焼ガス＋水の噴射部のみ具備して簡単高性能に前方の真空を吸引して噴射推進するジェット兼ロケット合体機関。
【請求項１１２７】
ジェット兼ロケット噴射部（７７Ｋ）は筒型のジェット兼ロケット外箱（７７Ｆ）の中に１００ＭＰａ以下の過熱蒸気＋１００ＭＰａ以下の燃焼ガス＋水の噴射部のみ具備して簡単高性能に前方の真空を吸引して噴射推進するジェット兼ロケット合体機関。
【請求項１１２８】
ジェット兼ロケット噴射部（７７Ｋ）は任意筒型のジェット兼ロケット外箱（７７Ｆ）の中に１００ＭＰａ以下の過熱蒸気＋１００ＭＰａ以下の燃焼ガス＋水の噴射部のみ具備して簡単高性能に前方の真空を吸引して噴射推進するジェット兼ロケット合体機関。
【請求項１１２９】
ジェット兼ロケット噴射部（７７Ｋ）はジェット兼ロケット外箱（７７Ｆ）の中に６０ＭＰａ以下の過熱蒸気＋６０ＭＰａ以下の燃焼ガス＋水の噴射部のみ具備して簡単高性能に前方の真空を吸引して噴射推進するジェット兼ロケット合体機関。
【請求項１１３０】
ジェット兼ロケット噴射部（７７Ｋ）は円筒型のジェット兼ロケット外箱（７７Ｆ）の中に６０ＭＰａ以下の過熱蒸気＋６０ＭＰａ以下の燃焼ガス＋水の噴射部のみ具備して簡単高性能に前方の真空を吸引して噴射推進するジェット兼ロケット合体機関。
【請求項１１３１】
ジェット兼ロケット噴射部（７７Ｋ）は筒型のジェット兼ロケット外箱（７７Ｆ）の中に６０ＭＰａ以下の過熱蒸気＋６０ＭＰａ以下の燃焼ガス＋水の噴射部のみ具備して簡単高性能に前方の真空を吸引して噴射推進するジェット兼ロケット合体機関。
【請求項１１３２】
ジェット兼ロケット噴射部（７７Ｋ）は任意筒型のジェット兼ロケット外箱（７７Ｆ）の中に６０ＭＰａ以下の過熱蒸気＋６０ＭＰａ以下の燃焼ガス＋水の噴射部のみ具備して簡単高性能に前方の真空を吸引して噴射推進するジェット兼ロケット合体機関。
【請求項１１３３】
ジェット兼ロケット噴射部（７７Ｋ）はジェット兼ロケット外箱（７７Ｆ）の中に３０ＭＰａ以下の過熱蒸気＋３０ＭＰａ以下の燃焼ガス＋水の噴射部のみ具備して簡単高性能に前方の真空を吸引して噴射推進するジェット兼ロケット合体機関。
【請求項１１３４】
ジェット兼ロケット噴射部（７７Ｋ）は円筒型のジェット兼ロケット外箱（７７Ｆ）の中に３０ＭＰａ以下の過熱蒸気＋３０ＭＰａ以下の燃焼ガス＋水の噴射部のみ具備して簡単高性能に前方の真空を吸引して噴射推進するジェット兼ロケット合体機関。
【請求項１１３５】
ジェット兼ロケット噴射部（７７Ｋ）は筒型のジェット兼ロケット外箱（７７Ｆ）の中に３０ＭＰａ以下の過熱蒸気＋３０ＭＰａ以下の燃焼ガス＋水の噴射部のみ具備して簡単高性能に前方の真空を吸引して噴射推進するジェット兼ロケット合体機関。
【請求項１１３６】
ジェット兼ロケット噴射部（７７Ｋ）は任意筒型のジェット兼ロケット外箱（７７Ｆ）の中に３０ＭＰａ以下の過熱蒸気＋３０ＭＰａ以下の燃焼ガス＋水の噴射部のみ具備して簡単高性能に前方の真空を吸引して噴射推進するジェット兼ロケット合体機関。
【請求項１１３７】
ジェット兼ロケット噴射部（７７Ｋ）はジェット兼ロケット外箱（７７Ｆ）の中に最適圧力の過熱蒸気＋最適圧力の燃焼ガス＋水の噴射部のみ具備して簡単高性能に前方の真空を吸引して噴射推進するジェット兼ロケット合体機関。
【請求項１１３８】
ジェット兼ロケット噴射部（７７Ｋ）は円筒型のジェット兼ロケット外箱（７７Ｆ）の中に最適圧力の過熱蒸気＋最適圧力の燃焼ガス＋水の噴射部のみ具備して簡単高性能に前方の真空を吸引して噴射推進するジェット兼ロケット合体機関。
【請求項１１３９】
ジェット兼ロケット噴射部（７７Ｋ）は筒型のジェット兼ロケット外箱（７７Ｆ）の中に最適圧力の過熱蒸気＋最適圧力の燃焼ガス＋水の噴射部のみ具備して簡単高性能に前方の真空を吸引して噴射推進するジェット兼ロケット合体機関。
【請求項１１４０】
ジェット兼ロケット噴射部（７７Ｋ）は任意筒型のジェット兼ロケット外箱（７７Ｆ）の中に最適圧力の過熱蒸気＋最適圧力の燃焼ガス＋水の噴射部のみ具備して簡単高性能に前方の真空を吸引して噴射推進するジェット兼ロケット合体機関。
【請求項１１４１】
ジェット兼ロケット噴射部（７７Ｋ）はジェット兼ロケット外箱（７７Ｆ）の中に過熱蒸気＋水の噴射部のみ具備して過熱蒸気爆発力と霧吹きの原理により、１以上の水を混合噴射加速して簡単高性能に前方の空気を吸引して噴射推進するジェット兼ロケット合体機関。
【請求項１１４２】
ジェット兼ロケット噴射部（７７Ｋ）は円筒型のジェット兼ロケット外箱（７７Ｆ）の中に過熱蒸気＋水の噴射部のみ具備して過熱蒸気爆発力と霧吹きの原理により、１以上の水を混合噴射加速して簡単高性能に前方の空気を吸引して噴射推進するジェット兼ロケット合体機関。
【請求項１１４３】
ジェット兼ロケット噴射部（７７Ｋ）は筒型のジェット兼ロケット外箱（７７Ｆ）の中に過熱蒸気＋水の噴射部のみ具備して過熱蒸気爆発力と霧吹きの原理により、１以上の水を混合噴射加速して簡単高性能に前方の空気を吸引して噴射推進するジェット兼ロケット合体機関。
【請求項１１４４】
ジェット兼ロケット噴射部（７７Ｋ）は任意筒型のジェット兼ロケット外箱（７７Ｆ）の中に過熱蒸気＋水の噴射部のみ具備して過熱蒸気爆発力と霧吹きの原理により、１以上の水を混合噴射加速して簡単高性能に前方の空気を吸引して噴射推進するジェット兼ロケット合体機関。
【請求項１１４５】
ジェット兼ロケット噴射部（７７Ｋ）はジェット兼ロケット外箱（７７Ｆ）の中に限り無く高圧の過熱蒸気＋水の噴射部のみ具備して過熱蒸気爆発力と霧吹きの原理により、１以上の水を混合噴射加速して簡単高性能に前方の空気を吸引して噴射推進するジェット兼ロケット合体機関。
【請求項１１４６】
ジェット兼ロケット噴射部（７７Ｋ）は円筒型のジェット兼ロケット外箱（７７Ｆ）の中に限り無く高圧の過熱蒸気＋水の噴射部のみ具備して過熱蒸気爆発力と霧吹きの原理により、１以上の水を混合噴射加速して簡単高性能に前方の空気を吸引して噴射推進するジェット兼ロケット合体機関。
【請求項１１４７】
ジェット兼ロケット噴射部（７７Ｋ）は筒型のジェット兼ロケット外箱（７７Ｆ）の中に限り無く高圧の過熱蒸気＋水の噴射部のみ具備して過熱蒸気爆発力と霧吹きの原理により、１以上の水を混合噴射加速して簡単高性能に前方の空気を吸引して噴射推進するジェット兼ロケット合体機関。
【請求項１１４８】
ジェット兼ロケット噴射部（７７Ｋ）は任意筒型のジェット兼ロケット外箱（７７Ｆ）の中に限り無く高圧の過熱蒸気＋水の噴射部のみ具備して過熱蒸気爆発力と霧吹きの原理により、１以上の水を混合噴射加速して簡単高性能に前方の空気を吸引して噴射推進するジェット兼ロケット合体機関。
【請求項１１４９】
ジェット兼ロケット噴射部（７７Ｋ）はジェット兼ロケット外箱（７７Ｆ）の中に１００ＭＰａ以下の過熱蒸気＋水の噴射部のみ具備して過熱蒸気爆発力と霧吹きの原理により、１以上の水を混合噴射加速して簡単高性能に前方の空気を吸引して噴射推進するジェット兼ロケット合体機関。
【請求項１１５０】
ジェット兼ロケット噴射部（７７Ｋ）は円筒型のジェット兼ロケット外箱（７７Ｆ）の中に１００ＭＰａ以下の過熱蒸気＋水の噴射部のみ具備して過熱蒸気爆発力と霧吹きの原理により、１以上の水を混合噴射加速して簡単高性能に前方の空気を吸引して噴射推進するジェット兼ロケット合体機関。
【請求項１１５１】
ジェット兼ロケット噴射部（７７Ｋ）は筒型のジェット兼ロケット外箱（７７Ｆ）の中に１００ＭＰａ以下の過熱蒸気＋水の噴射部のみ具備して過熱蒸気爆発力と霧吹きの原理により、１以上の水を混合噴射加速して簡単高性能に前方の空気を吸引して噴射推進するジェット兼ロケット合体機関。
【請求項１１５２】
ジェット兼ロケット噴射部（７７Ｋ）は任意筒型のジェット兼ロケット外箱（７７Ｆ）の中に１００ＭＰａ以下の過熱蒸気＋水の噴射部のみ具備して過熱蒸気爆発力と霧吹きの原理により、１以上の水を混合噴射加速して簡単高性能に前方の空気を吸引して噴射推進するジェット兼ロケット合体機関。
【請求項１１５３】
ジェット兼ロケット噴射部（７７Ｋ）はジェット兼ロケット外箱（７７Ｆ）の中に６０ＭＰａ以下の過熱蒸気＋水の噴射部のみ具備して過熱蒸気爆発力と霧吹きの原理により、１以上の水を混合噴射加速して簡単高性能に前方の空気を吸引して噴射推進するジェット兼ロケット合体機関。
【請求項１１５４】
ジェット兼ロケット噴射部（７７Ｋ）は円筒型のジェット兼ロケット外箱（７７Ｆ）の中に６０ＭＰａ以下の過熱蒸気＋水の噴射部のみ具備して過熱蒸気爆発力と霧吹きの原理により、１以上の水を混合噴射加速して簡単高性能に前方の空気を吸引して噴射推進するジェット兼ロケット合体機関。
【請求項１１５５】
ジェット兼ロケット噴射部（７７Ｋ）は筒型のジェット兼ロケット外箱（７７Ｆ）の中に６０ＭＰａ以下の過熱蒸気＋水の噴射部のみ具備して過熱蒸気爆発力と霧吹きの原理により、１以上の水を混合噴射加速して簡単高性能に前方の空気を吸引して噴射推進するジェット兼ロケット合体機関。
【請求項１１５６】
ジェット兼ロケット噴射部（７７Ｋ）は任意筒型のジェット兼ロケット外箱（７７Ｆ）の中に６０ＭＰａ以下の過熱蒸気＋水の噴射部のみ具備して過熱蒸気爆発力と霧吹きの原理により、１以上の水を混合噴射加速して簡単高性能に前方の空気を吸引して噴射推進するジェット兼ロケット合体機関。
【請求項１１５７】
ジェット兼ロケット噴射部（７７Ｋ）はジェット兼ロケット外箱（７７Ｆ）の中に３０ＭＰａ以下の過熱蒸気＋水の噴射部のみ具備して過熱蒸気爆発力と霧吹きの原理により、１以上の水を混合噴射加速して簡単高性能に前方の空気を吸引して噴射推進するジェット兼ロケット合体機関。
【請求項１１５８】
ジェット兼ロケット噴射部（７７Ｋ）は円筒型のジェット兼ロケット外箱（７７Ｆ）の中に３０ＭＰａ以下の過熱蒸気＋水の噴射部のみ具備して過熱蒸気爆発力と霧吹きの原理により、１以上の水を混合噴射加速して簡単高性能に前方の空気を吸引して噴射推進するジェット兼ロケット合体機関。
【請求項１１５９】
ジェット兼ロケット噴射部（７７Ｋ）は筒型のジェット兼ロケット外箱（７７Ｆ）の中に３０ＭＰａ以下の過熱蒸気＋水の噴射部のみ具備して過熱蒸気爆発力と霧吹きの原理により、１以上の水を混合噴射加速して簡単高性能に前方の空気を吸引して噴射推進するジェット兼ロケット合体機関。
【請求項１１６０】
ジェット兼ロケット噴射部（７７Ｋ）は任意筒型のジェット兼ロケット外箱（７７Ｆ）の中に３０ＭＰａ以下の過熱蒸気＋水の噴射部のみ具備して過熱蒸気爆発力と霧吹きの原理により、１以上の水を混合噴射加速して簡単高性能に前方の空気を吸引して噴射推進するジェット兼ロケット合体機関。
【請求項１１６１】
ジェット兼ロケット噴射部（７７Ｋ）はジェット兼ロケット外箱（７７Ｆ）の中に最適圧力の過熱蒸気＋水の噴射部のみ具備して過熱蒸気爆発力と霧吹きの原理により、１以上の水を混合噴射加速して簡単高性能に前方の空気を吸引して噴射推進するジェット兼ロケット合体機関。
【請求項１１６２】
ジェット兼ロケット噴射部（７７Ｋ）は円筒型のジェット兼ロケット外箱（７７Ｆ）の中に最適圧力の過熱蒸気＋水の噴射部のみ具備して過熱蒸気爆発力と霧吹きの原理により、１以上の水を混合噴射加速して簡単高性能に前方の空気を吸引して噴射推進するジェット兼ロケット合体機関。
【請求項１１６３】
ジェット兼ロケット噴射部（７７Ｋ）は筒型のジェット兼ロケット外箱（７７Ｆ）の中に最適圧力の過熱蒸気＋水の噴射部のみ具備して過熱蒸気爆発力と霧吹きの原理により、１以上の水を混合噴射加速して簡単高性能に前方の空気を吸引して噴射推進するジェット兼ロケット合体機関。
【請求項１１６４】
ジェット兼ロケット噴射部（７７Ｋ）は任意筒型のジェット兼ロケット外箱（７７Ｆ）の中に最適圧力の過熱蒸気＋水の噴射部のみ具備して過熱蒸気爆発力と霧吹きの原理により、１以上の水を混合噴射加速して簡単高性能に前方の空気を吸引して噴射推進するジェット兼ロケット合体機関。
【請求項１１６５】
ジェット兼ロケット噴射部（７７Ｋ）はジェット兼ロケット外箱（７７Ｆ）の中に過熱蒸気＋燃焼ガス＋水の噴射部のみ具備して過熱蒸気爆発力＋燃焼ガス爆発力と霧吹きの原理により、夫々１以上の水を混合噴射加速して簡単高性能に前方の空気を吸引して噴射推進するジェット兼ロケット合体機関。
【請求項１１６６】
ジェット兼ロケット噴射部（７７Ｋ）は円筒型のジェット兼ロケット外箱（７７Ｆ）の中に過熱蒸気＋燃焼ガス＋水の噴射部のみ具備して過熱蒸気爆発力＋燃焼ガス爆発力と霧吹きの原理により、夫々１以上の水を混合噴射加速して簡単高性能に前方の空気を吸引して噴射推進するジェット兼ロケット合体機関。
【請求項１１６７】
ジェット兼ロケット噴射部（７７Ｋ）は筒型のジェット兼ロケット外箱（７７Ｆ）の中に過熱蒸気＋燃焼ガス＋水の噴射部のみ具備して過熱蒸気爆発力＋燃焼ガス爆発力と霧吹きの原理により、夫々１以上の水を混合噴射加速して簡単高性能に前方の空気を吸引して噴射推進するジェット兼ロケット合体機関。
【請求項１１６８】
ジェット兼ロケット噴射部（７７Ｋ）は任意筒型のジェット兼ロケット外箱（７７Ｆ）の中に過熱蒸気＋燃焼ガス＋水の噴射部のみ具備して過熱蒸気爆発力＋燃焼ガス爆発力と霧吹きの原理により、夫々１以上の水を混合噴射加速して簡単高性能に前方の空気を吸引して噴射推進するジェット兼ロケット合体機関。
【請求項１１６９】
ジェット兼ロケット噴射部（７７Ｋ）はジェット兼ロケット外箱（７７Ｆ）の中に限り無く高圧の過熱蒸気＋限り無く高圧の燃焼ガス＋水の噴射部のみ具備して過熱蒸気爆発力＋燃焼ガス爆発力と霧吹きの原理により、夫々１以上の水を混合噴射加速して簡単高性能に前方の空気を吸引して噴射推進するジェット兼ロケット合体機関。
【請求項１１７０】
ジェット兼ロケット噴射部（７７Ｋ）は円筒型のジェット兼ロケット外箱（７７Ｆ）の中に限り無く高圧の過熱蒸気＋限り無く高圧の燃焼ガス＋水の噴射部のみ具備して過熱蒸気爆発力＋燃焼ガス爆発力と霧吹きの原理により、夫々１以上の水を混合噴射加速して簡単高性能に前方の空気を吸引して噴射推進するジェット兼ロケット合体機関。
【請求項１１７１】
ジェット兼ロケット噴射部（７７Ｋ）は筒型のジェット兼ロケット外箱（７７Ｆ）の中に限り無く高圧の過熱蒸気＋限り無く高圧の燃焼ガス＋水の噴射部のみ具備して過熱蒸気爆発力＋燃焼ガス爆発力と霧吹きの原理により、夫々１以上の水を混合噴射加速して簡単高性能に前方の空気を吸引して噴射推進するジェット兼ロケット合体機関。
【請求項１１７２】
ジェット兼ロケット噴射部（７７Ｋ）は任意筒型のジェット兼ロケット外箱（７７Ｆ）の中に限り無く高圧の過熱蒸気＋限り無く高圧の燃焼ガス＋水の噴射部のみ具備して過熱蒸気爆発力＋燃焼ガス爆発力と霧吹きの原理により、夫々１以上の水を混合噴射加速して簡単高性能に前方の空気を吸引して噴射推進するジェット兼ロケット合体機関。
【請求項１１７３】
ジェット兼ロケット噴射部（７７Ｋ）はジェット兼ロケット外箱（７７Ｆ）の中に１００ＭＰａ以下の過熱蒸気＋１００ＭＰａ以下の燃焼ガス＋水の噴射部のみ具備して過熱蒸気爆発力＋燃焼ガス爆発力と霧吹きの原理により、夫々１以上の水を混合噴射加速して簡単高性能に前方の空気を吸引して噴射推進するジェット兼ロケット合体機関。
【請求項１１７４】
ジェット兼ロケット噴射部（７７Ｋ）は円筒型のジェット兼ロケット外箱（７７Ｆ）の中に１００ＭＰａ以下の過熱蒸気＋１００ＭＰａ以下の燃焼ガス＋水の噴射部のみ具備して過熱蒸気爆発力＋燃焼ガス爆発力と霧吹きの原理により、夫々１以上の水を混合噴射加速して簡単高性能に前方の空気を吸引して噴射推進するジェット兼ロケット合体機関。
【請求項１１７５】
ジェット兼ロケット噴射部（７７Ｋ）は筒型のジェット兼ロケット外箱（７７Ｆ）の中に１００ＭＰａ以下の過熱蒸気＋１００ＭＰａ以下の燃焼ガス＋水の噴射部のみ具備して過熱蒸気爆発力＋燃焼ガス爆発力と霧吹きの原理により、夫々１以上の水を混合噴射加速して簡単高性能に前方の空気を吸引して噴射推進するジェット兼ロケット合体機関。
【請求項１１７６】
ジェット兼ロケット噴射部（７７Ｋ）は任意筒型のジェット兼ロケット外箱（７７Ｆ）の中に１００ＭＰａ以下の過熱蒸気＋１００ＭＰａ以下の燃焼ガス＋水の噴射部のみ具備して過熱蒸気爆発力＋燃焼ガス爆発力と霧吹きの原理により、夫々１以上の水を混合噴射加速して簡単高性能に前方の空気を吸引して噴射推進するジェット兼ロケット合体機関。
【請求項１１７７】
ジェット兼ロケット噴射部（７７Ｋ）はジェット兼ロケット外箱（７７Ｆ）の中に６０ＭＰａ以下の過熱蒸気＋６０ＭＰａ以下の燃焼ガス＋水の噴射部のみ具備して過熱蒸気爆発力＋燃焼ガス爆発力と霧吹きの原理により、夫々１以上の水を混合噴射加速して簡単高性能に前方の空気を吸引して噴射推進するジェット兼ロケット合体機関。
【請求項１１７８】
ジェット兼ロケット噴射部（７７Ｋ）は円筒型のジェット兼ロケット外箱（７７Ｆ）の中に６０ＭＰａ以下の過熱蒸気＋６０ＭＰａ以下の燃焼ガス＋水の噴射部のみ具備して過熱蒸気爆発力＋燃焼ガス爆発力と霧吹きの原理により、夫々１以上の水を混合噴射加速して簡単高性能に前方の空気を吸引して噴射推進するジェット兼ロケット合体機関。
【請求項１１７９】
ジェット兼ロケット噴射部（７７Ｋ）は筒型のジェット兼ロケット外箱（７７Ｆ）の中に６０ＭＰａ以下の過熱蒸気＋６０ＭＰａ以下の燃焼ガス＋水の噴射部のみ具備して過熱蒸気爆発力＋燃焼ガス爆発力と霧吹きの原理により、夫々１以上の水を混合噴射加速して簡単高性能に前方の空気を吸引して噴射推進するジェット兼ロケット合体機関。
【請求項１１８０】
ジェット兼ロケット噴射部（７７Ｋ）は任意筒型のジェット兼ロケット外箱（７７Ｆ）の中に６０ＭＰａ以下の過熱蒸気＋６０ＭＰａ以下の燃焼ガス＋水の噴射部のみ具備して過熱蒸気爆発力＋燃焼ガス爆発力と霧吹きの原理により、夫々１以上の水を混合噴射加速して簡単高性能に前方の空気を吸引して噴射推進するジェット兼ロケット合体機関。
【請求項１１８１】
ジェット兼ロケット噴射部（７７Ｋ）はジェット兼ロケット外箱（７７Ｆ）の中に３０ＭＰａ以下の過熱蒸気＋３０ＭＰａ以下の燃焼ガス＋水の噴射部のみ具備して過熱蒸気爆発力＋燃焼ガス爆発力と霧吹きの原理により、夫々１以上の水を混合噴射加速して簡単高性能に前方の空気を吸引して噴射推進するジェット兼ロケット合体機関。
【請求項１１８２】
ジェット兼ロケット噴射部（７７Ｋ）は円筒型のジェット兼ロケット外箱（７７Ｆ）の中に３０ＭＰａ以下の過熱蒸気＋３０ＭＰａ以下の燃焼ガス＋水の噴射部のみ具備して過熱蒸気爆発力＋燃焼ガス爆発力と霧吹きの原理により、夫々１以上の水を混合噴射加速して簡単高性能に前方の空気を吸引して噴射推進するジェット兼ロケット合体機関。
【請求項１１８３】
ジェット兼ロケット噴射部（７７Ｋ）は筒型のジェット兼ロケット外箱（７７Ｆ）の中に３０ＭＰａ以下の過熱蒸気＋３０ＭＰａ以下の燃焼ガス＋水の噴射部のみ具備して過熱蒸気爆発力＋燃焼ガス爆発力と霧吹きの原理により、夫々１以上の水を混合噴射加速して簡単高性能に前方の空気を吸引して噴射推進するジェット兼ロケット合体機関。
【請求項１１８４】
ジェット兼ロケット噴射部（７７Ｋ）は任意筒型のジェット兼ロケット外箱（７７Ｆ）の中に３０ＭＰａ以下の過熱蒸気＋３０ＭＰａ以下の燃焼ガス＋水の噴射部のみ具備して過熱蒸気爆発力＋燃焼ガス爆発力と霧吹きの原理により、夫々１以上の水を混合噴射加速して簡単高性能に前方の空気を吸引して噴射推進するジェット兼ロケット合体機関。
【請求項１１８５】
ジェット兼ロケット噴射部（７７Ｋ）はジェット兼ロケット外箱（７７Ｆ）の中に最適圧力の過熱蒸気＋最適圧力の燃焼ガス＋水の噴射部のみ具備して過熱蒸気爆発力＋燃焼ガス爆発力と霧吹きの原理により、夫々１以上の水を混合噴射加速して簡単高性能に前方の空気を吸引して噴射推進するジェット兼ロケット合体機関。
【請求項１１８６】
ジェット兼ロケット噴射部（７７Ｋ）は円筒型のジェット兼ロケット外箱（７７Ｆ）の中に最適圧力の過熱蒸気＋最適圧力の燃焼ガス＋水の噴射部のみ具備して過熱蒸気爆発力＋燃焼ガス爆発力と霧吹きの原理により、夫々１以上の水を混合噴射加速して簡単高性能に前方の空気を吸引して噴射推進するジェット兼ロケット合体機関。
【請求項１１８７】
ジェット兼ロケット噴射部（７７Ｋ）は筒型のジェット兼ロケット外箱（７７Ｆ）の中に最適圧力の過熱蒸気＋最適圧力の燃焼ガス＋水の噴射部のみ具備して過熱蒸気爆発力＋燃焼ガス爆発力と霧吹きの原理により、夫々１以上の水を混合噴射加速して簡単高性能に前方の空気を吸引して噴射推進するジェット兼ロケット合体機関。
【請求項１１８８】
ジェット兼ロケット噴射部（７７Ｋ）は任意筒型のジェット兼ロケット外箱（７７Ｆ）の中に最適圧力の過熱蒸気＋最適圧力の燃焼ガス＋水の噴射部のみ具備して過熱蒸気爆発力＋燃焼ガス爆発力と霧吹きの原理により、夫々１以上の水を混合噴射加速して簡単高性能に前方の空気を吸引して噴射推進するジェット兼ロケット合体機関。
【請求項１１８９】
ジェット兼ロケット噴射部（７７Ｋ）はジェット兼ロケット外箱（７７Ｆ）の中に過熱蒸気＋水の噴射部のみ具備して過熱蒸気爆発力と霧吹きの原理により、１以上の水を混合噴射加速して簡単高性能に前方の真空を吸引して噴射推進するジェット兼ロケット合体機関。
【請求項１１９０】
ジェット兼ロケット噴射部（７７Ｋ）は円筒型のジェット兼ロケット外箱（７７Ｆ）の中に過熱蒸気＋水の噴射部のみ具備して過熱蒸気爆発力と霧吹きの原理により、１以上の水を混合噴射加速して簡単高性能に前方の真空を吸引して噴射推進するジェット兼ロケット合体機関。
【請求項１１９１】
ジェット兼ロケット噴射部（７７Ｋ）は筒型のジェット兼ロケット外箱（７７Ｆ）の中に過熱蒸気＋水の噴射部のみ具備して過熱蒸気爆発力と霧吹きの原理により、１以上の水を混合噴射加速して簡単高性能に前方の真空を吸引して噴射推進するジェット兼ロケット合体機関。
【請求項１１９２】
ジェット兼ロケット噴射部（７７Ｋ）は任意筒型のジェット兼ロケット外箱（７７Ｆ）の中に過熱蒸気＋水の噴射部のみ具備して過熱蒸気爆発力と霧吹きの原理により、１以上の水を混合噴射加速して簡単高性能に前方の真空を吸引して噴射推進するジェット兼ロケット合体機関。
【請求項１１９３】
ジェット兼ロケット噴射部（７７Ｋ）はジェット兼ロケット外箱（７７Ｆ）の中に限り無く高圧の過熱蒸気＋水の噴射部のみ具備して過熱蒸気爆発力と霧吹きの原理により、１以上の水を混合噴射加速して簡単高性能に前方の真空を吸引して噴射推進するジェット兼ロケット合体機関。
【請求項１１９４】
ジェット兼ロケット噴射部（７７Ｋ）は円筒型のジェット兼ロケット外箱（７７Ｆ）の中に限り無く高圧の過熱蒸気＋水の噴射部のみ具備して過熱蒸気爆発力と霧吹きの原理により、１以上の水を混合噴射加速して簡単高性能に前方の真空を吸引して噴射推進するジェット兼ロケット合体機関。
【請求項１１９５】
ジェット兼ロケット噴射部（７７Ｋ）は筒型のジェット兼ロケット外箱（７７Ｆ）の中に限り無く高圧の過熱蒸気＋水の噴射部のみ具備して過熱蒸気爆発力と霧吹きの原理により、１以上の水を混合噴射加速して簡単高性能に前方の真空を吸引して噴射推進するジェット兼ロケット合体機関。
【請求項１１９６】
ジェット兼ロケット噴射部（７７Ｋ）は任意筒型のジェット兼ロケット外箱（７７Ｆ）の中に限り無く高圧の過熱蒸気＋水の噴射部のみ具備して過熱蒸気爆発力と霧吹きの原理により、１以上の水を混合噴射加速して簡単高性能に前方の真空を吸引して噴射推進するジェット兼ロケット合体機関。
【請求項１１９７】
ジェット兼ロケット噴射部（７７Ｋ）はジェット兼ロケット外箱（７７Ｆ）の中に１００ＭＰａ以下の過熱蒸気＋水の噴射部のみ具備して過熱蒸気爆発力と霧吹きの原理により、１以上の水を混合噴射加速して簡単高性能に前方の真空を吸引して噴射推進するジェット兼ロケット合体機関。
【請求項１１９８】
ジェット兼ロケット噴射部（７７Ｋ）は円筒型のジェット兼ロケット外箱（７７Ｆ）の中に１００ＭＰａ以下の過熱蒸気＋水の噴射部のみ具備して過熱蒸気爆発力と霧吹きの原理により、１以上の水を混合噴射加速して簡単高性能に前方の真空を吸引して噴射推進するジェット兼ロケット合体機関。
【請求項１１９９】
ジェット兼ロケット噴射部（７７Ｋ）は筒型のジェット兼ロケット外箱（７７Ｆ）の中に１００ＭＰａ以下の過熱蒸気＋水の噴射部のみ具備して過熱蒸気爆発力と霧吹きの原理により、１以上の水を混合噴射加速して簡単高性能に前方の真空を吸引して噴射推進するジェット兼ロケット合体機関。
【請求項１２００】
ジェット兼ロケット噴射部（７７Ｋ）は任意筒型のジェット兼ロケット外箱（７７Ｆ）の中に１００ＭＰａ以下の過熱蒸気＋水の噴射部のみ具備して過熱蒸気爆発力と霧吹きの原理により、１以上の水を混合噴射加速して簡単高性能に前方の真空を吸引して噴射推進するジェット兼ロケット合体機関。
【請求項１２０１】
ジェット兼ロケット噴射部（７７Ｋ）はジェット兼ロケット外箱（７７Ｆ）の中に６０ＭＰａ以下の過熱蒸気＋水の噴射部のみ具備して過熱蒸気爆発力と霧吹きの原理により、１以上の水を混合噴射加速して簡単高性能に前方の真空を吸引して噴射推進するジェット兼ロケット合体機関。
【請求項１２０２】
ジェット兼ロケット噴射部（７７Ｋ）は円筒型のジェット兼ロケット外箱（７７Ｆ）の中に６０ＭＰａ以下の過熱蒸気＋水の噴射部のみ具備して過熱蒸気爆発力と霧吹きの原理により、１以上の水を混合噴射加速して簡単高性能に前方の真空を吸引して噴射推進するジェット兼ロケット合体機関。
【請求項１２０３】
ジェット兼ロケット噴射部（７７Ｋ）は筒型のジェット兼ロケット外箱（７７Ｆ）の中に６０ＭＰａ以下の過熱蒸気＋水の噴射部のみ具備して過熱蒸気爆発力と霧吹きの原理により、１以上の水を混合噴射加速して簡単高性能に前方の真空を吸引して噴射推進するジェット兼ロケット合体機関。
【請求項１２０４】
ジェット兼ロケット噴射部（７７Ｋ）は任意筒型のジェット兼ロケット外箱（７７Ｆ）の中に６０ＭＰａ以下の過熱蒸気＋水の噴射部のみ具備して過熱蒸気爆発力と霧吹きの原理により、１以上の水を混合噴射加速して簡単高性能に前方の真空を吸引して噴射推進するジェット兼ロケット合体機関。
【請求項１２０５】
ジェット兼ロケット噴射部（７７Ｋ）はジェット兼ロケット外箱（７７Ｆ）の中に３０ＭＰａ以下の過熱蒸気＋水の噴射部のみ具備して過熱蒸気爆発力と霧吹きの原理により、１以上の水を混合噴射加速して簡単高性能に前方の真空を吸引して噴射推進するジェット兼ロケット合体機関。
【請求項１２０６】
ジェット兼ロケット噴射部（７７Ｋ）は円筒型のジェット兼ロケット外箱（７７Ｆ）の中に３０ＭＰａ以下の過熱蒸気＋水の噴射部のみ具備して過熱蒸気爆発力と霧吹きの原理により、１以上の水を混合噴射加速して簡単高性能に前方の真空を吸引して噴射推進するジェット兼ロケット合体機関。
【請求項１２０７】
ジェット兼ロケット噴射部（７７Ｋ）は筒型のジェット兼ロケット外箱（７７Ｆ）の中に３０ＭＰａ以下の過熱蒸気＋水の噴射部のみ具備して過熱蒸気爆発力と霧吹きの原理により、１以上の水を混合噴射加速して簡単高性能に前方の真空を吸引して噴射推進するジェット兼ロケット合体機関。
【請求項１２０８】
ジェット兼ロケット噴射部（７７Ｋ）は任意筒型のジェット兼ロケット外箱（７７Ｆ）の中に３０ＭＰａ以下の過熱蒸気＋水の噴射部のみ具備して過熱蒸気爆発力と霧吹きの原理により、１以上の水を混合噴射加速して簡単高性能に前方の真空を吸引して噴射推進するジェット兼ロケット合体機関。
【請求項１２０９】
ジェット兼ロケット噴射部（７７Ｋ）はジェット兼ロケット外箱（７７Ｆ）の中に最適圧力の過熱蒸気＋水の噴射部のみ具備して過熱蒸気爆発力と霧吹きの原理により、１以上の水を混合噴射加速して簡単高性能に前方の真空を吸引して噴射推進するジェット兼ロケット合体機関。
【請求項１２１０】
ジェット兼ロケット噴射部（７７Ｋ）は円筒型のジェット兼ロケット外箱（７７Ｆ）の中に最適圧力の過熱蒸気＋水の噴射部のみ具備して過熱蒸気爆発力と霧吹きの原理により、１以上の水を混合噴射加速して簡単高性能に前方の真空を吸引して噴射推進するジェット兼ロケット合体機関。
【請求項１２１１】
ジェット兼ロケット噴射部（７７Ｋ）は筒型のジェット兼ロケット外箱（７７Ｆ）の中に最適圧力の過熱蒸気＋水の噴射部のみ具備して過熱蒸気爆発力と霧吹きの原理により、１以上の水を混合噴射加速して簡単高性能に前方の真空を吸引して噴射推進するジェット兼ロケット合体機関。
【請求項１２１２】
ジェット兼ロケット噴射部（７７Ｋ）は任意筒型のジェット兼ロケット外箱（７７Ｆ）の中に最適圧力の過熱蒸気＋水の噴射部のみ具備して過熱蒸気爆発力と霧吹きの原理により、１以上の水を混合噴射加速して簡単高性能に前方の真空を吸引して噴射推進するジェット兼ロケット合体機関。
【請求項１２１３】
ジェット兼ロケット噴射部（７７Ｋ）はジェット兼ロケット外箱（７７Ｆ）の中に過熱蒸気＋燃焼ガス＋水の噴射部のみ具備して過熱蒸気爆発力＋燃焼ガス爆発力と霧吹きの原理により、夫々１以上の水を混合噴射加速して簡単高性能に前方の真空を吸引して噴射推進するジェット兼ロケット合体機関。
【請求項１２１４】
ジェット兼ロケット噴射部（７７Ｋ）は円筒型のジェット兼ロケット外箱（７７Ｆ）の中に過熱蒸気＋燃焼ガス＋水の噴射部のみ具備して過熱蒸気爆発力＋燃焼ガス爆発力と霧吹きの原理により、夫々１以上の水を混合噴射加速して簡単高性能に前方の真空を吸引して噴射推進するジェット兼ロケット合体機関。
【請求項１２１５】
ジェット兼ロケット噴射部（７７Ｋ）は筒型のジェット兼ロケット外箱（７７Ｆ）の中に過熱蒸気＋燃焼ガス＋水の噴射部のみ具備して過熱蒸気爆発力＋燃焼ガス爆発力と霧吹きの原理により、夫々１以上の水を混合噴射加速して簡単高性能に前方の真空を吸引して噴射推進するジェット兼ロケット合体機関。
【請求項１２１６】
ジェット兼ロケット噴射部（７７Ｋ）は任意筒型のジェット兼ロケット外箱（７７Ｆ）の中に過熱蒸気＋燃焼ガス＋水の噴射部のみ具備して過熱蒸気爆発力＋燃焼ガス爆発力と霧吹きの原理により、夫々１以上の水を混合噴射加速して簡単高性能に前方の真空を吸引して噴射推進するジェット兼ロケット合体機関。
【請求項１２１７】
ジェット兼ロケット噴射部（７７Ｋ）はジェット兼ロケット外箱（７７Ｆ）の中に限り無く高圧の過熱蒸気＋限り無く高圧の燃焼ガス＋水の噴射部のみ具備して過熱蒸気爆発力＋燃焼ガス爆発力と霧吹きの原理により、夫々１以上の水を混合噴射加速して簡単高性能に前方の真空を吸引して噴射推進するジェット兼ロケット合体機関。
【請求項１２１８】
ジェット兼ロケット噴射部（７７Ｋ）は円筒型のジェット兼ロケット外箱（７７Ｆ）の中に限り無く高圧の過熱蒸気＋限り無く高圧の燃焼ガス＋水の噴射部のみ具備して過熱蒸気爆発力＋燃焼ガス爆発力と霧吹きの原理により、夫々１以上の水を混合噴射加速して簡単高性能に前方の真空を吸引して噴射推進するジェット兼ロケット合体機関。
【請求項１２１９】
ジェット兼ロケット噴射部（７７Ｋ）は筒型のジェット兼ロケット外箱（７７Ｆ）の中に限り無く高圧の過熱蒸気＋限り無く高圧の燃焼ガス＋水の噴射部のみ具備して過熱蒸気爆発力＋燃焼ガス爆発力と霧吹きの原理により、夫々１以上の水を混合噴射加速して簡単高性能に前方の真空を吸引して噴射推進するジェット兼ロケット合体機関。
【請求項１２２０】
ジェット兼ロケット噴射部（７７Ｋ）は任意筒型のジェット兼ロケット外箱（７７Ｆ）の中に限り無く高圧の過熱蒸気＋限り無く高圧の燃焼ガス＋水の噴射部のみ具備して過熱蒸気爆発力＋燃焼ガス爆発力と霧吹きの原理により、夫々１以上の水を混合噴射加速して簡単高性能に前方の真空を吸引して噴射推進するジェット兼ロケット合体機関。
【請求項１２２１】
ジェット兼ロケット噴射部（７７Ｋ）はジェット兼ロケット外箱（７７Ｆ）の中に１００ＭＰａ以下の過熱蒸気＋１００ＭＰａ以下の燃焼ガス＋水の噴射部のみ具備して過熱蒸気爆発力＋燃焼ガス爆発力と霧吹きの原理により、夫々１以上の水を混合噴射加速して簡単高性能に前方の真空を吸引して噴射推進するジェット兼ロケット合体機関。
【請求項１２２２】
ジェット兼ロケット噴射部（７７Ｋ）は円筒型のジェット兼ロケット外箱（７７Ｆ）の中に１００ＭＰａ以下の過熱蒸気＋１００ＭＰａ以下の燃焼ガス＋水の噴射部のみ具備して過熱蒸気爆発力＋燃焼ガス爆発力と霧吹きの原理により、夫々１以上の水を混合噴射加速して簡単高性能に前方の真空を吸引して噴射推進するジェット兼ロケット合体機関。
【請求項１２２３】
ジェット兼ロケット噴射部（７７Ｋ）は筒型のジェット兼ロケット外箱（７７Ｆ）の中に１００ＭＰａ以下の過熱蒸気＋１００ＭＰａ以下の燃焼ガス＋水の噴射部のみ具備して過熱蒸気爆発力＋燃焼ガス爆発力と霧吹きの原理により、夫々１以上の水を混合噴射加速して簡単高性能に前方の真空を吸引して噴射推進するジェット兼ロケット合体機関。
【請求項１２２４】
ジェット兼ロケット噴射部（７７Ｋ）は任意筒型のジェット兼ロケット外箱（７７Ｆ）の中に１００ＭＰａ以下の過熱蒸気＋１００ＭＰａ以下の燃焼ガス＋水の噴射部のみ具備して過熱蒸気爆発力＋燃焼ガス爆発力と霧吹きの原理により、夫々１以上の水を混合噴射加速して簡単高性能に前方の真空を吸引して噴射推進するジェット兼ロケット合体機関。
【請求項１２２５】
ジェット兼ロケット噴射部（７７Ｋ）はジェット兼ロケット外箱（７７Ｆ）の中に６０ＭＰａ以下の過熱蒸気＋６０ＭＰａ以下の燃焼ガス＋水の噴射部のみ具備して過熱蒸気爆発力＋燃焼ガス爆発力と霧吹きの原理により、夫々１以上の水を混合噴射加速して簡単高性能に前方の真空を吸引して噴射推進するジェット兼ロケット合体機関。
【請求項１２２６】
ジェット兼ロケット噴射部（７７Ｋ）は円筒型のジェット兼ロケット外箱（７７Ｆ）の中に６０ＭＰａ以下の過熱蒸気＋６０ＭＰａ以下の燃焼ガス＋水の噴射部のみ具備して過熱蒸気爆発力＋燃焼ガス爆発力と霧吹きの原理により、夫々１以上の水を混合噴射加速して簡単高性能に前方の真空を吸引して噴射推進するジェット兼ロケット合体機関。
【請求項１２２７】
ジェット兼ロケット噴射部（７７Ｋ）は筒型のジェット兼ロケット外箱（７７Ｆ）の中に６０ＭＰａ以下の過熱蒸気＋６０ＭＰａ以下の燃焼ガス＋水の噴射部のみ具備して過熱蒸気爆発力＋燃焼ガス爆発力と霧吹きの原理により、夫々１以上の水を混合噴射加速して簡単高性能に前方の真空を吸引して噴射推進するジェット兼ロケット合体機関。
【請求項１２２８】
ジェット兼ロケット噴射部（７７Ｋ）は任意筒型のジェット兼ロケット外箱（７７Ｆ）の中に６０ＭＰａ以下の過熱蒸気＋６０ＭＰａ以下の燃焼ガス＋水の噴射部のみ具備して過熱蒸気爆発力＋燃焼ガス爆発力と霧吹きの原理により、夫々１以上の水を混合噴射加速して簡単高性能に前方の真空を吸引して噴射推進するジェット兼ロケット合体機関。
【請求項１２２９】
ジェット兼ロケット噴射部（７７Ｋ）はジェット兼ロケット外箱（７７Ｆ）の中に３０ＭＰａ以下の過熱蒸気＋３０ＭＰａ以下の燃焼ガス＋水の噴射部のみ具備して過熱蒸気爆発力＋燃焼ガス爆発力と霧吹きの原理により、夫々１以上の水を混合噴射加速して簡単高性能に前方の真空を吸引して噴射推進するジェット兼ロケット合体機関。
【請求項１２３０】
ジェット兼ロケット噴射部（７７Ｋ）は円筒型のジェット兼ロケット外箱（７７Ｆ）の中に３０ＭＰａ以下の過熱蒸気＋３０ＭＰａ以下の燃焼ガス＋水の噴射部のみ具備して過熱蒸気爆発力＋燃焼ガス爆発力と霧吹きの原理により、夫々１以上の水を混合噴射加速して簡単高性能に前方の真空を吸引して噴射推進するジェット兼ロケット合体機関。
【請求項１２３１】
ジェット兼ロケット噴射部（７７Ｋ）は筒型のジェット兼ロケット外箱（７７Ｆ）の中に３０ＭＰａ以下の過熱蒸気＋３０ＭＰａ以下の燃焼ガス＋水の噴射部のみ具備して過熱蒸気爆発力＋燃焼ガス爆発力と霧吹きの原理により、夫々１以上の水を混合噴射加速して簡単高性能に前方の真空を吸引して噴射推進するジェット兼ロケット合体機関。
【請求項１２３２】
ジェット兼ロケット噴射部（７７Ｋ）は任意筒型のジェット兼ロケット外箱（７７Ｆ）の中に３０ＭＰａ以下の過熱蒸気＋３０ＭＰａ以下の燃焼ガス＋水の噴射部のみ具備して過熱蒸気爆発力＋燃焼ガス爆発力と霧吹きの原理により、夫々１以上の水を混合噴射加速して簡単高性能に前方の真空を吸引して噴射推進するジェット兼ロケット合体機関。
【請求項１２３３】
ジェット兼ロケット噴射部（７７Ｋ）はジェット兼ロケット外箱（７７Ｆ）の中に最適圧力の過熱蒸気＋最適圧力の燃焼ガス＋水の噴射部のみ具備して過熱蒸気爆発力＋燃焼ガス爆発力と霧吹きの原理により、夫々１以上の水を混合噴射加速して簡単高性能に前方の真空を吸引して噴射推進するジェット兼ロケット合体機関。
【請求項１２３４】
ジェット兼ロケット噴射部（７７Ｋ）は円筒型のジェット兼ロケット外箱（７７Ｆ）の中に最適圧力の過熱蒸気＋最適圧力の燃焼ガス＋水の噴射部のみ具備して過熱蒸気爆発力＋燃焼ガス爆発力と霧吹きの原理により、夫々１以上の水を混合噴射加速して簡単高性能に前方の真空を吸引して噴射推進するジェット兼ロケット合体機関。
【請求項１２３５】
ジェット兼ロケット噴射部（７７Ｋ）は筒型のジェット兼ロケット外箱（７７Ｆ）の中に最適圧力の過熱蒸気＋最適圧力の燃焼ガス＋水の噴射部のみ具備して過熱蒸気爆発力＋燃焼ガス爆発力と霧吹きの原理により、夫々１以上の水を混合噴射加速して簡単高性能に前方の真空を吸引して噴射推進するジェット兼ロケット合体機関。
【請求項１２３６】
ジェット兼ロケット噴射部（７７Ｋ）は任意筒型のジェット兼ロケット外箱（７７Ｆ）の中に最適圧力の過熱蒸気＋最適圧力の燃焼ガス＋水の噴射部のみ具備して過熱蒸気爆発力＋燃焼ガス爆発力と霧吹きの原理により、夫々１以上の水を混合噴射加速して簡単高性能に前方の真空を吸引して噴射推進するジェット兼ロケット合体機関。
【請求項１２３７】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）で連絡したジェット兼ロケット合体機関。
【請求項１２３８】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）で連絡して１８０度以上回転可能にしたジェット兼ロケット合体機関。
【請求項１２３９】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）で連絡して１８０度以上回転して逆噴射を可能にしたジェット兼ロケット合体機関。
【請求項１２４０】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）で連絡して１８０度以下回転して垂直上昇垂直降下を可能にしたジェット兼ロケット合体機関。
【請求項１２４１】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）で連絡して簡単としたジェット兼ロケット合体機関。
【請求項１２４２】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）で連絡して簡単として１８０度以上回転可能にしたジェット兼ロケット合体機関。
【請求項１２４３】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）で連絡して簡単として１８０度以上回転して逆噴射を可能にしたジェット兼ロケット合体機関。
【請求項１２４４】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）で連絡して簡単として１８０度以下回転して垂直上昇垂直降下を可能にしたジェット兼ロケット合体機関。
【請求項１２４５】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）と円筒回転部（７７Ｇ）で連絡したジェット兼ロケット合体機関。
【請求項１２４６】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）と円筒回転部（７７Ｇ）で連絡して１８０度以上回転可能にしたジェット兼ロケット合体機関。
【請求項１２４７】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）と円筒回転部（７７Ｇ）で連絡して１８０度以上回転して逆噴射を可能にしたジェット兼ロケット合体機関。
【請求項１２４８】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）と円筒回転部（７７Ｇ）で連絡して１８０度以下回転して垂直上昇垂直降下を可能にしたジェット兼ロケット合体機関。
【請求項１２４９】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）と円筒回転部（７７Ｇ）で連絡して簡単としたジェット兼ロケット合体機関。
【請求項１２５０】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）と円筒回転部（７７Ｇ）で連絡して簡単として１８０度以上回転可能にしたジェット兼ロケット合体機関。
【請求項１２５１】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）と円筒回転部（７７Ｇ）で連絡して簡単として１８０度以上回転して逆噴射を可能にしたジェット兼ロケット合体機関。
【請求項１２５２】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）と円筒回転部（７７Ｇ）で連絡して簡単として１８０度以下回転して垂直上昇垂直降下を可能にしたジェット兼ロケット合体機関。
【請求項１２５３】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）と円筒回転部（７７Ｇ）で１８０度以上回転可能に連絡したジェット兼ロケット合体機関。
【請求項１２５４】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）と円筒回転部（７７Ｇ）で１８０度以上回転可能に連絡して１８０度以上回転可能にしたジェット兼ロケット合体機関。
【請求項１２５５】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）と円筒回転部（７７Ｇ）で１８０度以上回転可能に連絡して１８０度以上回転して逆噴射を可能にしたジェット兼ロケット合体機関。
【請求項１２５６】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）と円筒回転部（７７Ｇ）で１８０度以上回転可能に連絡して１８０度以下回転して垂直上昇垂直降下を可能にしたジェット兼ロケット合体機関。
【請求項１２５７】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）と円筒回転部（７７Ｇ）で１８０度以上回転可能に連絡して簡単としたジェット兼ロケット合体機関。
【請求項１２５８】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）と円筒回転部（７７Ｇ）で１８０度以上回転可能に連絡して簡単として１８０度以上回転可能にしたジェット兼ロケット合体機関。
【請求項１２５９】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）と円筒回転部（７７Ｇ）で１８０度以上回転可能に連絡して簡単として１８０度以上回転して逆噴射を可能にしたジェット兼ロケット合体機関。
【請求項１２６０】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）と円筒回転部（７７Ｇ）で１８０度以上回転可能に連絡して簡単として１８０度以下回転して垂直上昇垂直降下を可能にしたジェット兼ロケット合体機関。
【請求項１２６１】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡したジェット兼ロケット合体機関。
【請求項１２６２】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して１８０度以上回転可能にしたジェット兼ロケット合体機関。
【請求項１２６３】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して１８０度以上回転して逆噴射を可能にしたジェット兼ロケット合体機関。
【請求項１２６４】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して１８０度以下回転して垂直上昇垂直降下を可能にしたジェット兼ロケット合体機関。
【請求項１２６５】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して簡単としたジェット兼ロケット合体機関。
【請求項１２６６】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して簡単として１８０度以上回転可能にしたジェット兼ロケット合体機関。
【請求項１２６７】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して簡単として１８０度以上回転して逆噴射を可能にしたジェット兼ロケット合体機関。
【請求項１２６８】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して簡単として１８０度以下回転して垂直上昇垂直降下を可能にしたジェット兼ロケット合体機関。
【請求項１２６９】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡したジェット兼ロケット合体機関。
【請求項１２７０】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して１８０度以上回転可能にしたジェット兼ロケット合体機関。
【請求項１２７１】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して１８０度以上回転して逆噴射を可能にしたジェット兼ロケット合体機関。
【請求項１２７２】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して１８０度以下回転して垂直上昇垂直降下を可能にしたジェット兼ロケット合体機関。
【請求項１２７３】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して簡単としたジェット兼ロケット合体機関。
【請求項１２７４】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して簡単として１８０度以上回転可能にしたジェット兼ロケット合体機関。
【請求項１２７５】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して簡単として１８０度以上回転して逆噴射を可能にしたジェット兼ロケット合体機関。
【請求項１２７６】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して簡単として１８０度以下回転して垂直上昇垂直降下を可能にしたジェット兼ロケット合体機関。
【請求項１２７７】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で１８０度以上回転可能に連絡したジェット兼ロケット合体機関。
【請求項１２７８】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で１８０度以上回転可能に連絡して１８０度以上回転可能にしたジェット兼ロケット合体機関。
【請求項１２７９】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で１８０度以上回転可能に連絡して１８０度以上回転して逆噴射を可能にしたジェット兼ロケット合体機関。
【請求項１２８０】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で１８０度以上回転可能に連絡して１８０度以下回転して垂直上昇垂直降下を可能にしたジェット兼ロケット合体機関。
【請求項１２８１】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で１８０度以上回転可能に連絡して簡単としたジェット兼ロケット合体機関。
【請求項１２８２】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で１８０度以上回転可能に連絡して簡単として１８０度以上回転可能にしたジェット兼ロケット合体機関。
【請求項１２８３】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で１８０度以上回転可能に連絡して簡単として１８０度以上回転して逆噴射を可能にしたジェット兼ロケット合体機関。
【請求項１２８４】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で１８０度以上回転可能に連絡して簡単として１８０度以下回転して垂直上昇垂直降下を可能にしたジェット兼ロケット合体機関。
【請求項１２８５】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡したジェット兼ロケット合体機関。
【請求項１２８６】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して１８０度以上回転可能にしたジェット兼ロケット合体機関。
【請求項１２８７】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して１８０度以上回転して逆噴射を可能にしたジェット兼ロケット合体機関。
【請求項１２８８】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して１８０度以下回転して垂直上昇垂直降下を可能にしたジェット兼ロケット合体機関。
【請求項１２８９】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して簡単としたジェット兼ロケット合体機関。
【請求項１２９０】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して簡単として１８０度以上回転可能にしたジェット兼ロケット合体機関。
【請求項１２９１】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して簡単として１８０度以上回転して逆噴射を可能にしたジェット兼ロケット合体機関。
【請求項１２９２】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して簡単として１８０度以下回転して垂直上昇垂直降下を可能にしたジェット兼ロケット合体機関。
【請求項１２９３】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡したジェット兼ロケット合体機関。
【請求項１２９４】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して１８０度以上回転可能にしたジェット兼ロケット合体機関。
【請求項１２９５】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して１８０度以上回転して逆噴射を可能にしたジェット兼ロケット合体機関。
【請求項１２９６】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して１８０度以下回転して垂直上昇垂直降下を可能にしたジェット兼ロケット合体機関。
【請求項１２９７】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して簡単としたジェット兼ロケット合体機関。
【請求項１２９８】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して簡単として１８０度以上回転可能にしたジェット兼ロケット合体機関。
【請求項１２９９】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して簡単として１８０度以上回転して逆噴射を可能にしたジェット兼ロケット合体機関。
【請求項１３００】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して簡単として１８０度以下回転して垂直上昇垂直降下を可能にしたジェット兼ロケット合体機関。
【請求項１３０１】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で１８０度以上回転可能に連絡したジェット兼ロケット合体機関。
【請求項１３０２】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で１８０度以上回転可能に連絡して１８０度以上回転可能にしたジェット兼ロケット合体機関。
【請求項１３０３】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で１８０度以上回転可能に連絡して１８０度以上回転して逆噴射を可能にしたジェット兼ロケット合体機関。
【請求項１３０４】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で１８０度以上回転可能に連絡して１８０度以下回転して垂直上昇垂直降下を可能にしたジェット兼ロケット合体機関。
【請求項１３０５】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で１８０度以上回転可能に連絡して簡単としたジェット兼ロケット合体機関。
【請求項１３０６】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で１８０度以上回転可能に連絡して簡単として１８０度以上回転可能にしたジェット兼ロケット合体機関。
【請求項１３０７】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で１８０度以上回転可能に連絡して簡単として１８０度以上回転して逆噴射を可能にしたジェット兼ロケット合体機関。
【請求項１３０８】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で１８０度以上回転可能に連絡して簡単として１８０度以下回転して垂直上昇垂直降下を可能にしたジェット兼ロケット合体機関。
【請求項１３０９】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡したジェット兼ロケット合体機関。
【請求項１３１０】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して１８０度以上回転可能にしたジェット兼ロケット合体機関。
【請求項１３１１】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して１８０度以上回転して逆噴射を可能にしたジェット兼ロケット合体機関。
【請求項１３１２】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して１８０度以下回転して垂直上昇垂直降下を可能にしたジェット兼ロケット合体機関。
【請求項１３１３】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して簡単としたジェット兼ロケット合体機関。
【請求項１３１４】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して簡単として１８０度以上回転可能にしたジェット兼ロケット合体機関。
【請求項１３１５】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して簡単として１８０度以上回転して逆噴射を可能にしたジェット兼ロケット合体機関。
【請求項１３１６】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して簡単として１８０度以下回転して垂直上昇垂直降下を可能にしたジェット兼ロケット合体機関。
【請求項１３１７】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡したジェット兼ロケット合体機関。
【請求項１３１８】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して１８０度以上回転可能にしたジェット兼ロケット合体機関。
【請求項１３１９】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して１８０度以上回転して逆噴射を可能にしたジェット兼ロケット合体機関。
【請求項１３２０】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して１８０度以下回転して垂直上昇垂直降下を可能にしたジェット兼ロケット合体機関。
【請求項１３２１】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して簡単としたジェット兼ロケット合体機関。
【請求項１３２２】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して簡単として１８０度以上回転可能にしたジェット兼ロケット合体機関。
【請求項１３２３】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して簡単として１８０度以上回転して逆噴射を可能にしたジェット兼ロケット合体機関。
【請求項１３２４】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して簡単として１８０度以下回転して垂直上昇垂直降下を可能にしたジェット兼ロケット合体機関。
【請求項１３２５】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で１８０度以上回転可能に連絡したジェット兼ロケット合体機関。
【請求項１３２６】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で１８０度以上回転可能に連絡して１８０度以上回転可能にしたジェット兼ロケット合体機関。
【請求項１３２７】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で１８０度以上回転可能に連絡して１８０度以上回転して逆噴射を可能にしたジェット兼ロケット合体機関。
【請求項１３２８】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で１８０度以上回転可能に連絡して１８０度以下回転して垂直上昇垂直降下を可能にしたジェット兼ロケット合体機関。
【請求項１３２９】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で１８０度以上回転可能に連絡して簡単としたジェット兼ロケット合体機関。
【請求項１３３０】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で１８０度以上回転可能に連絡して簡単として１８０度以上回転可能にしたジェット兼ロケット合体機関。
【請求項１３３１】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で１８０度以上回転可能に連絡して簡単として１８０度以上回転して逆噴射を可能にしたジェット兼ロケット合体機関。
【請求項１３３２】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で１８０度以上回転可能に連絡して簡単として１８０度以下回転して垂直上昇垂直降下を可能にしたジェット兼ロケット合体機関。
【請求項１３３３】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡したジェット兼ロケット合体機関。
【請求項１３３４】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して１８０度以上回転可能にしたジェット兼ロケット合体機関。
【請求項１３３５】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して１８０度以上回転して逆噴射を可能にしたジェット兼ロケット合体機関。
【請求項１３３６】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して１８０度以下回転して垂直上昇垂直降下を可能にしたジェット兼ロケット合体機関。
【請求項１３３７】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して簡単としたジェット兼ロケット合体機関。
【請求項１３３８】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して簡単として１８０度以上回転可能にしたジェット兼ロケット合体機関。
【請求項１３３９】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して簡単として１８０度以上回転して逆噴射を可能にしたジェット兼ロケット合体機関。
【請求項１３４０】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して簡単として１８０度以下回転して垂直上昇垂直降下を可能にしたジェット兼ロケット合体機関。
【請求項１３４１】
ジェット兼ロケット噴射部（７７Ｋ）とエネルギ保存圧縮機（２０Ｘ）の予圧の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡したジェット兼ロケット合体機関。
【請求項１３４２】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して１８０度以上回転可能にしたジェット兼ロケット合体機関。
【請求項１３４３】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して１８０度以上回転して逆噴射を可能にしたジェット兼ロケット合体機関。
【請求項１３４４】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して１８０度以下回転して垂直上昇垂直降下を可能にしたジェット兼ロケット合体機関。
【請求項１３４５】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して簡単としたジェット兼ロケット合体機関。
【請求項１３４６】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して簡単として１８０度以上回転可能にしたジェット兼ロケット合体機関。
【請求項１３４７】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して簡単として１８０度以上回転して逆噴射を可能にしたジェット兼ロケット合体機関。
【請求項１３４８】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して簡単として１８０度以下回転して垂直上昇垂直降下を可能にしたジェット兼ロケット合体機関。
【請求項１３４９】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で１８０度以上回転可能に連絡したジェット兼ロケット合体機関。
【請求項１３５０】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で１８０度以上回転可能に連絡して１８０度以上回転可能にしたジェット兼ロケット合体機関。
【請求項１３５１】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で１８０度以上回転可能に連絡して１８０度以上回転して逆噴射を可能にしたジェット兼ロケット合体機関。
【請求項１３５２】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で１８０度以上回転可能に連絡して１８０度以下回転して垂直上昇垂直降下を可能にしたジェット兼ロケット合体機関。
【請求項１３５３】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で１８０度以上回転可能に連絡して簡単としたジェット兼ロケット合体機関。
【請求項１３５４】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で１８０度以上回転可能に連絡して簡単として１８０度以上回転可能にしたジェット兼ロケット合体機関。
【請求項１３５５】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で１８０度以上回転可能に連絡して簡単として１８０度以上回転して逆噴射を可能にしたジェット兼ロケット合体機関。
【請求項１３５６】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で１８０度以上回転可能に連絡して簡単として１８０度以下回転して垂直上昇垂直降下を可能にしたジェット兼ロケット合体機関。
【請求項１３５７】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）で連絡して磁気摩擦動力伝達装置（７６）で１８０度以上回転可能にしたジェット兼ロケット合体機関。
【請求項１３５８】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）で連絡して磁気摩擦動力伝達装置（７６）で１８０度以上回転して逆噴射を可能にしたジェット兼ロケット合体機関。
【請求項１３５９】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）で連絡して磁気摩擦動力伝達装置（７６）で１８０度以下回転して垂直上昇垂直降下を可能にしたジェット兼ロケット合体機関。
【請求項１３６０】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）で連絡して磁気摩擦動力伝達装置（７６）で簡単として１８０度以上回転可能にしたジェット兼ロケット合体機関。
【請求項１３６１】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）で連絡して磁気摩擦動力伝達装置（７６）で簡単として１８０度以上回転して逆噴射を可能にしたジェット兼ロケット合体機関。
【請求項１３６２】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）で連絡して磁気摩擦動力伝達装置（７６）で簡単として１８０度以下回転して垂直上昇垂直降下を可能にしたジェット兼ロケット合体機関。
【請求項１３６３】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で連絡したジェット兼ロケット合体機関。
【請求項１３６４】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で１８０度以上回転可能にしたジェット兼ロケット合体機関。
【請求項１３６５】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で１８０度以上回転して逆噴射を可能にしたジェット兼ロケット合体機関。
【請求項１３６６】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で１８０度以下回転して垂直上昇垂直降下を可能にしたジェット兼ロケット合体機関。
【請求項１３６７】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で簡単としたジェット兼ロケット合体機関。
【請求項１３６８】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で連絡して簡単として１８０度以上回転可能にしたジェット兼ロケット合体機関。
【請求項１３６９】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で簡単として１８０度以上回転して逆噴射を可能にしたジェット兼ロケット合体機関。
【請求項１３７０】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で簡単として１８０度以下回転して垂直上昇垂直降下を可能にしたジェット兼ロケット合体機関。
【請求項１３７１】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で１８０度以上回転可能に連絡したジェット兼ロケット合体機関。
【請求項１３７２】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で１８０度以上回転可能に連絡して１８０度以上回転可能にしたジェット兼ロケット合体機関。
【請求項１３７３】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で１８０度以上回転可能に連絡して１８０度以上回転して逆噴射を可能にしたジェット兼ロケット合体機関。
【請求項１３７４】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で１８０度以上回転可能に連絡して１８０度以下回転して垂直上昇垂直降下を可能にしたジェット兼ロケット合体機関。
【請求項１３７５】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で１８０度以上回転可能に連絡して簡単としたジェット兼ロケット合体機関。
【請求項１３７６】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で１８０度以上回転可能に連絡して簡単として１８０度以上回転可能にしたジェット兼ロケット合体機関。
【請求項１３７７】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で１８０度以上回転可能に連絡して簡単として１８０度以上回転して逆噴射を可能にしたジェット兼ロケット合体機関。
【請求項１３７８】
ジェット兼ロケット噴射部（７７Ｋ）とジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で１８０度以上回転可能に連絡して簡単として１８０度以下回転して垂直上昇垂直降下を可能にしたジェット兼ロケット合体機関。
【請求項１３７９】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して磁気摩擦動力伝達装置（７６）で連絡したジェット兼ロケット合体機関。
【請求項１３８０】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して磁気摩擦動力伝達装置（７６）で連絡して１８０度以上回転可能にしたジェット兼ロケット合体機関。
【請求項１３８１】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して磁気摩擦動力伝達装置（７６）で連絡して１８０度以上回転して逆噴射を可能にしたジェット兼ロケット合体機関。
【請求項１３８２】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して磁気摩擦動力伝達装置（７６）で連絡して１８０度以下回転して垂直上昇垂直降下を可能にしたジェット兼ロケット合体機関。
【請求項１３８３】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して磁気摩擦動力伝達装置（７６）で連絡して簡単としたジェット兼ロケット合体機関。
【請求項１３８４】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して磁気摩擦動力伝達装置（７６）で連絡して簡単として１８０度以上回転可能にしたジェット兼ロケット合体機関。
【請求項１３８５】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して磁気摩擦動力伝達装置（７６）で連絡して簡単として１８０度以上回転して逆噴射を可能にしたジェット兼ロケット合体機関。
【請求項１３８６】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して磁気摩擦動力伝達装置（７６）で連絡して簡単として１８０度以下回転して垂直上昇垂直降下を可能にしたジェット兼ロケット合体機関。
【請求項１３８７】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で連絡したジェット兼ロケット合体機関。
【請求項１３８８】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で連絡して１８０度以上回転可能にしたジェット兼ロケット合体機関。
【請求項１３８９】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で１８０度以上回転して逆噴射を可能にしたジェット兼ロケット合体機関。
【請求項１３９０】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で連絡して１８０度以下回転して垂直上昇垂直降下を可能にしたジェット兼ロケット合体機関。
【請求項１３９１】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で連絡して簡単としたジェット兼ロケット合体機関。
【請求項１３９２】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で簡単として１８０度以上回転可能にしたジェット兼ロケット合体機関。
【請求項１３９３】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で連絡して簡単として１８０度以上回転して逆噴射を可能にしたジェット兼ロケット合体機関。
【請求項１３９４】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で連絡して簡単として１８０度以下回転して垂直上昇垂直降下を可能にしたジェット兼ロケット合体機関。
【請求項１３９５】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で１８０度以上回転可能に連絡したジェット兼ロケット合体機関。
【請求項１３９６】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で１８０度以上回転可能に連絡して１８０度以上回転可能にしたジェット兼ロケット合体機関。
【請求項１３９７】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で１８０度以上回転可能に連絡して１８０度以上回転して逆噴射を可能にしたジェット兼ロケット合体機関。
【請求項１３９８】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で１８０度以上回転可能に連絡して１８０度以下回転して垂直上昇垂直降下を可能にしたジェット兼ロケット合体機関。
【請求項１３９９】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で１８０度以上回転可能に連絡して簡単としたジェット兼ロケット合体機関。
【請求項１４００】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で１８０度以上回転可能に連絡して簡単として１８０度以上回転可能にしたジェット兼ロケット合体機関。
【請求項１４０１】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で１８０度以上回転可能に連絡して簡単として１８０度以上回転して逆噴射を可能にしたジェット兼ロケット合体機関。
【請求項１４０２】
ジェット兼ロケット噴射部（７７Ｋ）と限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で１８０度以上回転可能に連絡して簡単として１８０度以下回転して垂直上昇垂直降下を可能にしたジェット兼ロケット合体機関。
【請求項１４０３】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して磁気摩擦動力伝達装置（７６）で連絡したジェット兼ロケット合体機関。
【請求項１４０４】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して磁気摩擦動力伝達装置（７６）で１８０度以上回転可能にしたジェット兼ロケット合体機関。
【請求項１４０５】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して磁気摩擦動力伝達装置（７６）で連絡して１８０度以上回転して逆噴射を可能にしたジェット兼ロケット合体機関。
【請求項１４０６】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して磁気摩擦動力伝達装置（７６）で連絡して１８０度以下回転して垂直上昇垂直降下を可能にしたジェット兼ロケット合体機関。
【請求項１４０７】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して磁気摩擦動力伝達装置（７６）で連絡して簡単としたジェット兼ロケット合体機関。
【請求項１４０８】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して磁気摩擦動力伝達装置（７６）で連絡して簡単として１８０度以上回転可能にしたジェット兼ロケット合体機関。
【請求項１４０９】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して磁気摩擦動力伝達装置（７６）で連絡して簡単として１８０度以上回転して逆噴射を可能にしたジェット兼ロケット合体機関。
【請求項１４１０】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して磁気摩擦動力伝達装置（７６）で連絡して簡単として１８０度以下回転して垂直上昇垂直降下を可能にしたジェット兼ロケット合体機関。
【請求項１４１１】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で連絡したジェット兼ロケット合体機関。
【請求項１４１２】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で連絡して１８０度以上回転可能にしたジェット兼ロケット合体機関。
【請求項１４１３】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で連絡して１８０度以上回転して逆噴射を可能にしたジェット兼ロケット合体機関。
【請求項１４１４】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で連絡して１８０度以下回転して垂直上昇垂直降下を可能にしたジェット兼ロケット合体機関。
【請求項１４１５】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で連絡して簡単としたジェット兼ロケット合体機関。
【請求項１４１６】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で連絡して簡単として１８０度以上回転可能にしたジェット兼ロケット合体機関。
【請求項１４１７】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で連絡して簡単として１８０度以上回転して逆噴射を可能にしたジェット兼ロケット合体機関。
【請求項１４１８】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で連絡して簡単として１８０度以下回転して垂直上昇垂直降下を可能にしたジェット兼ロケット合体機関。
【請求項１４１９】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で１８０度以上回転可能に連絡したジェット兼ロケット合体機関。
【請求項１４２０】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で１８０度以上回転可能に連絡して１８０度以上回転可能にしたジェット兼ロケット合体機関。
【請求項１４２１】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で１８０度以上回転可能に連絡して１８０度以上回転して逆噴射を可能にしたジェット兼ロケット合体機関。
【請求項１４２２】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で１８０度以上回転可能に連絡して１８０度以下回転して垂直上昇垂直降下を可能にしたジェット兼ロケット合体機関。
【請求項１４２３】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で１８０度以上回転可能に連絡して簡単としたジェット兼ロケット合体機関。
【請求項１４２４】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で１８０度以上回転可能に連絡して簡単として１８０度以上回転可能にしたジェット兼ロケット合体機関。
【請求項１４２５】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で１８０度以上回転可能に連絡して簡単として１８０度以上回転して逆噴射を可能にしたジェット兼ロケット合体機関。
【請求項１４２６】
ジェット兼ロケット噴射部（７７Ｋ）とエネルギ保存圧縮機（２０Ｘ）で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で１８０度以上回転可能に連絡して簡単として１８０度以下回転して垂直上昇垂直降下を可能にしたジェット兼ロケット合体機関。
【請求項１４２７】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して磁気摩擦動力伝達装置（７６）で連絡したジェット兼ロケット合体機関。
【請求項１４２８】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して磁気摩擦動力伝達装置（７６）で連絡して１８０度以上回転可能にしたジェット兼ロケット合体機関。
【請求項１４２９】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して磁気摩擦動力伝達装置（７６）で連絡して１８０度以上回転して逆噴射を可能にしたジェット兼ロケット合体機関。
【請求項１４３０】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して磁気摩擦動力伝達装置（７６）で連絡して１８０度以下回転して垂直上昇垂直降下を可能にしたジェット兼ロケット合体機関。
【請求項１４３１】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して磁気摩擦動力伝達装置（７６）で連絡して簡単としたジェット兼ロケット合体機関。
【請求項１４３２】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して磁気摩擦動力伝達装置（７６）で連絡して簡単として１８０度以上回転可能にしたジェット兼ロケット合体機関。
【請求項１４３３】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して磁気摩擦動力伝達装置（７６）で連絡して簡単として１８０度以上回転して逆噴射を可能にしたジェット兼ロケット合体機関。
【請求項１４３４】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して磁気摩擦動力伝達装置（７６）で連絡して簡単として１８０度以下回転して垂直上昇垂直降下を可能にしたジェット兼ロケット合体機関。
【請求項１４３５】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で連絡したジェット兼ロケット合体機関。
【請求項１４３６】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で連絡して１８０度以上回転可能にしたジェット兼ロケット合体機関。
【請求項１４３７】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で連絡して１８０度以上回転して逆噴射を可能にしたジェット兼ロケット合体機関。
【請求項１４３８】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で連絡して１８０度以下回転して垂直上昇垂直降下を可能にしたジェット兼ロケット合体機関。
【請求項１４３９】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で連絡して簡単としたジェット兼ロケット合体機関。
【請求項１４４０】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で連絡して簡単として１８０度以上回転可能にしたジェット兼ロケット合体機関。
【請求項１４４１】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で連絡して簡単として１８０度以上回転して逆噴射を可能にしたジェット兼ロケット合体機関。
【請求項１４４２】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で連絡して簡単として１８０度以下回転して垂直上昇垂直降下を可能にしたジェット兼ロケット合体機関。
【請求項１４４３】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で１８０度以上回転可能に連絡したジェット兼ロケット合体機関。
【請求項１４４４】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で１８０度以上回転可能に連絡して１８０度以上回転可能にしたジェット兼ロケット合体機関。
【請求項１４４５】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で１８０度以上回転可能に連絡して１８０度以上回転して逆噴射を可能にしたジェット兼ロケット合体機関。
【請求項１４４６】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で１８０度以上回転可能に連絡して１８０度以下回転して垂直上昇垂直降下を可能にしたジェット兼ロケット合体機関。
【請求項１４４７】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で１８０度以上回転可能に連絡して簡単としたジェット兼ロケット合体機関。
【請求項１４４８】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で１８０度以上回転可能に連絡して簡単として１８０度以上回転可能にしたジェット兼ロケット合体機関。
【請求項１４４９】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で１８０度以上回転可能に連絡して簡単として１８０度以上回転して逆噴射を可能にしたジェット兼ロケット合体機関。
【請求項１４５０】
ジェット兼ロケット噴射部（７７Ｋ）とエネルギ保存圧縮機（２０Ｘ）や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で１８０度以上回転可能に連絡して簡単として１８０度以下回転して垂直上昇垂直降下を可能にしたジェット兼ロケット合体機関。
【請求項１４５１】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して磁気摩擦動力伝達装置（７６）で連絡したジェット兼ロケット合体機関。
【請求項１４５２】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して磁気摩擦動力伝達装置（７６）で連絡して１８０度以上回転可能にしたジェット兼ロケット合体機関。
【請求項１４５３】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して磁気摩擦動力伝達装置（７６）で連絡して１８０度以上回転して逆噴射を可能にしたジェット兼ロケット合体機関。
【請求項１４５４】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して磁気摩擦動力伝達装置（７６）で連絡して１８０度以下回転して垂直上昇垂直降下を可能にしたジェット兼ロケット合体機関。
【請求項１４５５】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して磁気摩擦動力伝達装置（７６）で連絡して簡単としたジェット兼ロケット合体機関。
【請求項１４５６】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して磁気摩擦動力伝達装置（７６）で連絡して簡単として１８０度以上回転可能にしたジェット兼ロケット合体機関。
【請求項１４５７】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して磁気摩擦動力伝達装置（７６）で連絡して簡単として１８０度以上回転して逆噴射を可能にしたジェット兼ロケット合体機関。
【請求項１４５８】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）で連絡して磁気摩擦動力伝達装置（７６）で連絡して簡単として１８０度以下回転して垂直上昇垂直降下を可能にしたジェット兼ロケット合体機関。
【請求項１４５９】
ジェット兼ロケット噴射部（７７Ｋ）とエネルギ保存圧縮機（２０Ｘ）の予圧の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で連絡したジェット兼ロケット合体機関。
【請求項１４６０】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で連絡して１８０度以上回転可能にしたジェット兼ロケット合体機関。
【請求項１４６１】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で連絡して１８０度以上回転して逆噴射を可能にしたジェット兼ロケット合体機関。
【請求項１４６２】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で連絡して１８０度以下回転して垂直上昇垂直降下を可能にしたジェット兼ロケット合体機関。
【請求項１４６３】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で連絡して簡単としたジェット兼ロケット合体機関。
【請求項１４６４】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で連絡して簡単として１８０度以上回転可能にしたジェット兼ロケット合体機関。
【請求項１４６５】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で連絡して簡単として１８０度以上回転して逆噴射を可能にしたジェット兼ロケット合体機関。
【請求項１４６６】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で連絡して簡単として１８０度以下回転して垂直上昇垂直降下を可能にしたジェット兼ロケット合体機関。
【請求項１４６７】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で１８０度以上回転可能に連絡したジェット兼ロケット合体機関。
【請求項１４６８】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で１８０度以上回転可能に連絡して１８０度以上回転可能にしたジェット兼ロケット合体機関。
【請求項１４６９】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で１８０度以上回転可能に連絡して１８０度以上回転して逆噴射を可能にしたジェット兼ロケット合体機関。
【請求項１４７０】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で１８０度以上回転可能に連絡して１８０度以下回転して垂直上昇垂直降下を可能にしたジェット兼ロケット合体機関。
【請求項１４７１】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で１８０度以上回転可能に連絡して簡単としたジェット兼ロケット合体機関。
【請求項１４７２】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で１８０度以上回転可能に連絡して簡単として１８０度以上回転可能にしたジェット兼ロケット合体機関。
【請求項１４７３】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で１８０度以上回転可能に連絡して簡単として１８０度以上回転して逆噴射を可能にしたジェット兼ロケット合体機関。
【請求項１４７４】
ジェット兼ロケット噴射部（７７Ｋ）とエネルギ保存圧縮機（２０Ｘ）の予圧や飛行速度で限り無く高圧の過熱蒸気及び燃焼ガスに分割したジェット兼ロケット合体機関燃焼部（２９）を分離して過熱蒸気導水管（２５ａ）＋燃焼ガス管（２４ａ）＋導水管（３）と円筒回転部（７７Ｇ）で連絡して磁気摩擦動力伝達装置（７６）で１８０度以上回転可能に連絡して簡単として１８０度以下回転して垂直上昇垂直降下を可能にしたジェット兼ロケット合体機関。
【請求項１４７５】
ジェット兼ロケット合体機関燃焼部（２９）をジェット兼ロケット翼（３８ｂ）の中央に具備してジェット兼ロケット飛行機（３８Ａ）としたジェット兼ロケット合体機関。
【請求項１４７６】
ジェット兼ロケット合体機関燃焼部（２９）をジェット兼ロケット尾翼（３８ｃ）の中央に具備してジェット兼ロケット飛行機（３８Ａ）としたジェット兼ロケット合体機関。
【請求項１４７７】
ジェット兼ロケット合体機関燃焼部（２９）をジェット兼ロケット翼（３８ｂ）とジェット兼ロケット尾翼（３８ｃ）の夫々中央に具備してジェット兼ロケット飛行機（３８Ａ）としたジェット兼ロケット合体機関。
【請求項１４７８】
ジェット兼ロケット合体機関燃焼部（２９）をジェット兼ロケット翼（３８ｂ）の中央に具備してジェット兼ロケット噴射部（７７Ｋ）をジェット兼ロケット翼（３８ｂ）の両端に具備してジェット兼ロケット飛行機（３８Ａ）としたジェット兼ロケット合体機関。
【請求項１４７９】
ジェット兼ロケット合体機関燃焼部（２９）をジェット兼ロケット尾翼（３８ｃ）の中央に具備してジェット兼ロケット噴射部（７７Ｋ）をジェット兼ロケット翼（３８ｂ）の両端に具備してジェット兼ロケット飛行機（３８Ａ）としたジェット兼ロケット合体機関。
【請求項１４８０】
ジェット兼ロケット合体機関燃焼部（２９）をジェット兼ロケット翼（３８ｂ）とジェット兼ロケット尾翼（３８ｃ）の夫々中央に具備してジェット兼ロケット噴射部（７７Ｋ）をジェット兼ロケット翼（３８ｂ）の両端に具備してジェット兼ロケット飛行機（３８Ａ）としたジェット兼ロケット合体機関。
【請求項１４８１】
ジェット兼ロケット合体機関燃焼部（２９）をジェット兼ロケット翼（３８ｂ）の中央に具備してジェット兼ロケット噴射部（７７Ｋ）をジェット兼ロケット尾翼（３８ｃ）の両端に具備してジェット兼ロケット飛行機（３８Ａ）としたジェット兼ロケット合体機関。
【請求項１４８２】
ジェット兼ロケット合体機関燃焼部（２９）をジェット兼ロケット尾翼（３８ｃ）の中央に具備してジェット兼ロケット噴射部（７７Ｋ）をジェット兼ロケット尾翼（３８ｃ）の両端に具備してジェット兼ロケット飛行機（３８Ａ）としたジェット兼ロケット合体機関。
【請求項１４８３】
ジェット兼ロケット合体機関燃焼部（２９）をジェット兼ロケット翼（３８ｂ）とジェット兼ロケット尾翼（３８ｃ）の夫々中央に具備してジェット兼ロケット噴射部（７７Ｋ）をジェット兼ロケット尾翼（３８ｃ）の両端に具備してジェット兼ロケット飛行機（３８Ａ）としたジェット兼ロケット合体機関。
【請求項１４８４】
ジェット兼ロケット合体機関燃焼部（２９）をジェット兼ロケット翼（３８ｂ）の中央に具備してジェット兼ロケット噴射部（７７Ｋ）をジェット兼ロケット翼（３８ｂ）とジェット兼ロケット尾翼（３８ｃ）の夫々両端に具備してジェット兼ロケット飛行機（３８Ａ）としたジェット兼ロケット合体機関。
【請求項１４８５】
ジェット兼ロケット合体機関燃焼部（２９）をジェット兼ロケット尾翼（３８ｃ）の中央に具備してジェット兼ロケット噴射部（７７Ｋ）をジェット兼ロケット翼（３８ｂ）とジェット兼ロケット尾翼（３８ｃ）の夫々両端に具備してジェット兼ロケット飛行機（３８Ａ）としたジェット兼ロケット合体機関。
【請求項１４８６】
ジェット兼ロケット合体機関燃焼部（２９）をジェット兼ロケット翼（３８ｂ）とジェット兼ロケット尾翼（３８ｃ）の夫々中央に具備してジェット兼ロケット噴射部（７７Ｋ）をジェット兼ロケット翼（３８ｂ）とジェット兼ロケット尾翼（３８ｃ）の夫々両端に具備してジェット兼ロケット飛行機（３８Ａ）としたジェット兼ロケット合体機関。
【請求項１４８７】
ジェット兼ロケット合体機関燃焼部（２９）をジェット兼ロケット翼（３８ｂ）の中央に具備してジェット兼ロケット噴射部（７７Ｋ）をジェット兼ロケット翼（３８ｂ）の両端に具備して円筒回転部（７７Ｇ）で１８０度以上回転可能にしてジェット兼ロケット飛行機（３８Ａ）としたジェット兼ロケット合体機関。
【請求項１４８８】
ジェット兼ロケット合体機関燃焼部（２９）をジェット兼ロケット尾翼（３８ｃ）の中央に具備してジェット兼ロケット噴射部（７７Ｋ）をジェット兼ロケット翼（３８ｂ）の両端に具備して円筒回転部（７７Ｇ）で１８０度以上回転可能にしてジェット兼ロケット飛行機（３８Ａ）としたジェット兼ロケット合体機関。
【請求項１４８９】
ジェット兼ロケット合体機関燃焼部（２９）をジェット兼ロケット翼（３８ｂ）とジェット兼ロケット尾翼（３８ｃ）の夫々中央に具備してジェット兼ロケット噴射部（７７Ｋ）をジェット兼ロケット翼（３８ｂ）の両端に具備して円筒回転部（７７Ｇ）で１８０度以上回転可能にしてジェット兼ロケット飛行機（３８Ａ）としたジェット兼ロケット合体機関。
【請求項１４９０】
ジェット兼ロケット合体機関燃焼部（２９）をジェット兼ロケット翼（３８ｂ）の中央に具備してジェット兼ロケット噴射部（７７Ｋ）をジェット兼ロケット尾翼（３８ｃ）の両端に具備して円筒回転部（７７Ｇ）で１８０度以上回転可能にしてジェット兼ロケット飛行機（３８Ａ）としたジェット兼ロケット合体機関。
【請求項１４９１】
ジェット兼ロケット合体機関燃焼部（２９）をジェット兼ロケット尾翼（３８ｃ）の中央に具備してジェット兼ロケット噴射部（７７Ｋ）をジェット兼ロケット尾翼（３８ｃ）の両端に具備して円筒回転部（７７Ｇ）で１８０度以上回転可能にしてジェット兼ロケット飛行機（３８Ａ）としたジェット兼ロケット合体機関。
【請求項１４９２】
ジェット兼ロケット合体機関燃焼部（２９）をジェット兼ロケット翼（３８ｂ）とジェット兼ロケット尾翼（３８ｃ）の夫々中央に具備してジェット兼ロケット噴射部（７７Ｋ）をジェット兼ロケット尾翼（３８ｃ）の両端に具備して円筒回転部（７７Ｇ）で１８０度以上回転可能にしてジェット兼ロケット飛行機（３８Ａ）としたジェット兼ロケット合体機関。
【請求項１４９３】
ジェット兼ロケット合体機関燃焼部（２９）をジェット兼ロケット翼（３８ｂ）の中央に具備してジェット兼ロケット噴射部（７７Ｋ）をジェット兼ロケット翼（３８ｂ）とジェット兼ロケット尾翼（３８ｃ）の夫々両端に具備して円筒回転部（７７Ｇ）で１８０度以上回転可能にしてジェット兼ロケット飛行機（３８Ａ）としたジェット兼ロケット合体機関。
【請求項１４９４】
ジェット兼ロケット合体機関燃焼部（２９）をジェット兼ロケット尾翼（３８ｃ）の中央に具備してジェット兼ロケット噴射部（７７Ｋ）をジェット兼ロケット翼（３８ｂ）とジェット兼ロケット尾翼（３８ｃ）の夫々両端に具備して円筒回転部（７７Ｇ）で１８０度以上回転可能にしてジェット兼ロケット飛行機（３８Ａ）としたジェット兼ロケット合体機関。
【請求項１４９５】
ジェット兼ロケット合体機関燃焼部（２９）をジェット兼ロケット翼（３８ｂ）とジェット兼ロケット尾翼（３８ｃ）の夫々中央に具備してジェット兼ロケット噴射部（７７Ｋ）をジェット兼ロケット翼（３８ｂ）とジェット兼ロケット尾翼（３８ｃ）の夫々両端に具備して円筒回転部（７７Ｇ）で１８０度以上回転可能にしてジェット兼ロケット飛行機（３８Ａ）としたジェット兼ロケット合体機関。
【請求項１４９６】
ジェット兼ロケット合体機関燃焼部（２９）をジェット兼ロケット翼（３８ｂ）の中央に具備してジェット兼ロケット噴射部（７７Ｋ）をジェット兼ロケット翼（３８ｂ）の両端に具備して円筒回転部（７７Ｇ）と磁気摩擦動力伝達装置（７６）で１８０度以上回転可能にしてジェット兼ロケット飛行機（３８Ａ）としたジェット兼ロケット合体機関。
【請求項１４９７】
ジェット兼ロケット合体機関燃焼部（２９）をジェット兼ロケット尾翼（３８ｃ）の中央に具備してジェット兼ロケット噴射部（７７Ｋ）をジェット兼ロケット翼（３８ｂ）の両端に具備して円筒回転部（７７Ｇ）と磁気摩擦動力伝達装置（７６）で１８０度以上回転可能にしてジェット兼ロケット飛行機（３８Ａ）としたジェット兼ロケット合体機関。
【請求項１４９８】
ジェット兼ロケット合体機関燃焼部（２９）をジェット兼ロケット翼（３８ｂ）とジェット兼ロケット尾翼（３８ｃ）の夫々中央に具備してジェット兼ロケット噴射部（７７Ｋ）をジェット兼ロケット翼（３８ｂ）の両端に具備して円筒回転部（７７Ｇ）と磁気摩擦動力伝達装置（７６）で１８０度以上回転可能にしてジェット兼ロケット飛行機（３８Ａ）としたジェット兼ロケット合体機関。
【請求項１４９９】
ジェット兼ロケット合体機関燃焼部（２９）をジェット兼ロケット翼（３８ｂ）の中央に具備してジェット兼ロケット噴射部（７７Ｋ）をジェット兼ロケット尾翼（３８ｃ）の両端に具備して円筒回転部（７７Ｇ）と磁気摩擦動力伝達装置（７６）で１８０度以上回転可能にしてジェット兼ロケット飛行機（３８Ａ）としたジェット兼ロケット合体機関。
【請求項１５００】
ジェット兼ロケット合体機関燃焼部（２９）をジェット兼ロケット尾翼（３８ｃ）の中央に具備してジェット兼ロケット噴射部（７７Ｋ）をジェット兼ロケット尾翼（３８ｃ）の両端に具備して円筒回転部（７７Ｇ）と磁気摩擦動力伝達装置（７６）で１８０度以上回転可能にしてジェット兼ロケット飛行機（３８Ａ）としたジェット兼ロケット合体機関。
【請求項１５０１】
ジェット兼ロケット合体機関燃焼部（２９）をジェット兼ロケット翼（３８ｂ）とジェット兼ロケット尾翼（３８ｃ）の夫々中央に具備してジェット兼ロケット噴射部（７７Ｋ）をジェット兼ロケット尾翼（３８ｃ）の両端に具備して円筒回転部（７７Ｇ）と磁気摩擦動力伝達装置（７６）で１８０度以上回転可能にしてジェット兼ロケット飛行機（３８Ａ）としたジェット兼ロケット合体機関。
【請求項１５０２】
ジェット兼ロケット合体機関燃焼部（２９）をジェット兼ロケット翼（３８ｂ）の中央に具備してジェット兼ロケット噴射部（７７Ｋ）をジェット兼ロケット翼（３８ｂ）とジェット兼ロケット尾翼（３８ｃ）の夫々両端に具備して円筒回転部（７７Ｇ）と磁気摩擦動力伝達装置（７６）で１８０度以上回転可能にしてジェット兼ロケット飛行機（３８Ａ）としたジェット兼ロケット合体機関。
【請求項１５０３】
ジェット兼ロケット合体機関燃焼部（２９）をジェット兼ロケット尾翼（３８ｃ）の中央に具備してジェット兼ロケット噴射部（７７Ｋ）をジェット兼ロケット翼（３８ｂ）とジェット兼ロケット尾翼（３８ｃ）の夫々両端に具備して円筒回転部（７７Ｇ）と磁気摩擦動力伝達装置（７６）で１８０度以上回転可能にしてジェット兼ロケット飛行機（３８Ａ）としたジェット兼ロケット合体機関。
【請求項１５０４】
ジェット兼ロケット合体機関燃焼部（２９）をジェット兼ロケット翼（３８ｂ）とジェット兼ロケット尾翼（３８ｃ）の夫々中央に具備してジェット兼ロケット噴射部（７７Ｋ）をジェット兼ロケット翼（３８ｂ）とジェット兼ロケット尾翼（３８ｃ）の夫々両端に具備して円筒回転部（７７Ｇ）と磁気摩擦動力伝達装置（７６）で１８０度以上回転可能にしてジェット兼ロケット飛行機（３８Ａ）としたジェット兼ロケット合体機関。
【請求項１５０５】
ジェット兼ロケット合体機関燃焼部（２９）をジェット兼ロケット翼（３８ｂ）の中央に具備してジェット兼ロケット噴射部（７７Ｋ）をジェット兼ロケット翼（３８ｂ）の両端に具備して円筒回転部（７７Ｇ）と磁気摩擦動力伝達装置（７６）で１８０度以上回転して逆噴射を可能にしてジェット兼ロケット飛行機（３８Ａ）としたジェット兼ロケット合体機関。
【請求項１５０６】
ジェット兼ロケット合体機関燃焼部（２９）をジェット兼ロケット尾翼（３８ｃ）の中央に具備してジェット兼ロケット噴射部（７７Ｋ）をジェット兼ロケット翼（３８ｂ）の両端に具備して円筒回転部（７７Ｇ）と磁気摩擦動力伝達装置（７６）で１８０度以上回転して逆噴射を可能にしてジェット兼ロケット飛行機（３８Ａ）としたジェット兼ロケット合体機関。
【請求項１５０７】
ジェット兼ロケット合体機関燃焼部（２９）をジェット兼ロケット翼（３８ｂ）とジェット兼ロケット尾翼（３８ｃ）の夫々中央に具備してジェット兼ロケット噴射部（７７Ｋ）をジェット兼ロケット翼（３８ｂ）の両端に具備して円筒回転部（７７Ｇ）と磁気摩擦動力伝達装置（７６）で１８０度以上回転して逆噴射を可能にしてジェット兼ロケット飛行機（３８Ａ）としたジェット兼ロケット合体機関。
【請求項１５０８】
ジェット兼ロケット合体機関燃焼部（２９）をジェット兼ロケット翼（３８ｂ）の中央に具備してジェット兼ロケット噴射部（７７Ｋ）をジェット兼ロケット尾翼（３８ｃ）の両端に具備して円筒回転部（７７Ｇ）と磁気摩擦動力伝達装置（７６）で１８０度以上回転して逆噴射を可能にしてジェット兼ロケット飛行機（３８Ａ）としたジェット兼ロケット合体機関。
【請求項１５０９】
ジェット兼ロケット合体機関燃焼部（２９）をジェット兼ロケット尾翼（３８ｃ）の中央に具備してジェット兼ロケット噴射部（７７Ｋ）をジェット兼ロケット尾翼（３８ｃ）の両端に具備して円筒回転部（７７Ｇ）と磁気摩擦動力伝達装置（７６）で１８０度以上回転して逆噴射を可能にしてジェット兼ロケット飛行機（３８Ａ）としたジェット兼ロケット合体機関。
【請求項１５１０】
ジェット兼ロケット合体機関燃焼部（２９）をジェット兼ロケット翼（３８ｂ）とジェット兼ロケット尾翼（３８ｃ）の夫々中央に具備してジェット兼ロケット噴射部（７７Ｋ）をジェット兼ロケット尾翼（３８ｃ）の両端に具備して円筒回転部（７７Ｇ）と磁気摩擦動力伝達装置（７６）で１８０度以上回転して逆噴射を可能にしてジェット兼ロケット飛行機（３８Ａ）としたジェット兼ロケット合体機関。
【請求項１５１１】
ジェット兼ロケット合体機関燃焼部（２９）をジェット兼ロケット翼（３８ｂ）の中央に具備してジェット兼ロケット噴射部（７７Ｋ）をジェット兼ロケット翼（３８ｂ）とジェット兼ロケット尾翼（３８ｃ）の夫々両端に具備して円筒回転部（７７Ｇ）と磁気摩擦動力伝達装置（７６）で１８０度以上回転して逆噴射を可能にしてジェット兼ロケット飛行機（３８Ａ）としたジェット兼ロケット合体機関。
【請求項１５１２】
ジェット兼ロケット合体機関燃焼部（２９）をジェット兼ロケット尾翼（３８ｃ）の中央に具備してジェット兼ロケット噴射部（７７Ｋ）をジェット兼ロケット翼（３８ｂ）とジェット兼ロケット尾翼（３８ｃ）の夫々両端に具備して円筒回転部（７７Ｇ）と磁気摩擦動力伝達装置（７６）で１８０度以上回転して逆噴射を可能にしてジェット兼ロケット飛行機（３８Ａ）としたジェット兼ロケット合体機関。
【請求項１５１３】
ジェット兼ロケット合体機関燃焼部（２９）をジェット兼ロケット翼（３８ｂ）とジェット兼ロケット尾翼（３８ｃ）の夫々中央に具備してジェット兼ロケット噴射部（７７Ｋ）をジェット兼ロケット翼（３８ｂ）とジェット兼ロケット尾翼（３８ｃ）の夫々両端に具備して円筒回転部（７７Ｇ）と磁気摩擦動力伝達装置（７６）で１８０度以上回転して逆噴射を可能にしてジェット兼ロケット飛行機（３８Ａ）としたジェット兼ロケット合体機関。
【請求項１５１４】
ジェット兼ロケット合体機関燃焼部（２９）をジェット兼ロケット翼（３８ｂ）の中央に具備してジェット兼ロケット噴射部（７７Ｋ）をジェット兼ロケット翼（３８ｂ）の両端に具備して円筒回転部（７７Ｇ）と磁気摩擦動力伝達装置（７６）で１８０度以下回転して垂直上昇垂直降下を可能にしてジェット兼ロケット飛行機（３８Ａ）としたジェット兼ロケット合体機関。
【請求項１５１５】
ジェット兼ロケット合体機関燃焼部（２９）をジェット兼ロケット尾翼（３８ｃ）の中央に具備してジェット兼ロケット噴射部（７７Ｋ）をジェット兼ロケット翼（３８ｂ）の両端に具備して円筒回転部（７７Ｇ）と磁気摩擦動力伝達装置（７６）で１８０度以下回転して垂直上昇垂直降下を可能にしてジェット兼ロケット飛行機（３８Ａ）としたジェット兼ロケット合体機関。
【請求項１５１６】
ジェット兼ロケット合体機関燃焼部（２９）をジェット兼ロケット翼（３８ｂ）とジェット兼ロケット尾翼（３８ｃ）の夫々中央に具備してジェット兼ロケット噴射部（７７Ｋ）をジェット兼ロケット翼（３８ｂ）の両端に具備して円筒回転部（７７Ｇ）と磁気摩擦動力伝達装置（７６）で１８０度以下回転して垂直上昇垂直降下を可能にしてジェット兼ロケット飛行機（３８Ａ）としたジェット兼ロケット合体機関。
【請求項１５１７】
ジェット兼ロケット合体機関燃焼部（２９）をジェット兼ロケット翼（３８ｂ）の中央に具備してジェット兼ロケット噴射部（７７Ｋ）をジェット兼ロケット尾翼（３８ｃ）の両端に具備して円筒回転部（７７Ｇ）と磁気摩擦動力伝達装置（７６）で１８０度以下回転して垂直上昇垂直降下を可能にしてジェット兼ロケット飛行機（３８Ａ）としたジェット兼ロケット合体機関。
【請求項１５１８】
ジェット兼ロケット合体機関燃焼部（２９）をジェット兼ロケット尾翼（３８ｃ）の中央に具備してジェット兼ロケット噴射部（７７Ｋ）をジェット兼ロケット尾翼（３８ｃ）の両端に具備して円筒回転部（７７Ｇ）と磁気摩擦動力伝達装置（７６）で１８０度以下回転して垂直上昇垂直降下を可能にしてジェット兼ロケット飛行機（３８Ａ）としたジェット兼ロケット合体機関。
【請求項１５１９】
ジェット兼ロケット合体機関燃焼部（２９）をジェット兼ロケット翼（３８ｂ）とジェット兼ロケット尾翼（３８ｃ）の夫々中央に具備してジェット兼ロケット噴射部（７７Ｋ）をジェット兼ロケット尾翼（３８ｃ）の両端に具備して円筒回転部（７７Ｇ）と磁気摩擦動力伝達装置（７６）で１８０度以下回転して垂直上昇垂直降下を可能にしてジェット兼ロケット飛行機（３８Ａ）としたジェット兼ロケット合体機関。
【請求項１５２０】
ジェット兼ロケット合体機関燃焼部（２９）をジェット兼ロケット翼（３８ｂ）の中央に具備してジェット兼ロケット噴射部（７７Ｋ）をジェット兼ロケット翼（３８ｂ）とジェット兼ロケット尾翼（３８ｃ）の夫々両端に具備して円筒回転部（７７Ｇ）と磁気摩擦動力伝達装置（７６）で１８０度以下回転して垂直上昇垂直降下を可能にしてジェット兼ロケット飛行機（３８Ａ）としたジェット兼ロケット合体機関。
【請求項１５２１】
ジェット兼ロケット合体機関燃焼部（２９）をジェット兼ロケット尾翼（３８ｃ）の中央に具備してジェット兼ロケット噴射部（７７Ｋ）をジェット兼ロケット翼（３８ｂ）とジェット兼ロケット尾翼（３８ｃ）の夫々両端に具備して円筒回転部（７７Ｇ）と磁気摩擦動力伝達装置（７６）で１８０度以下回転して垂直上昇垂直降下を可能にしてジェット兼ロケット飛行機（３８Ａ）としたジェット兼ロケット合体機関。
【請求項１５２２】
ジェット兼ロケット合体機関燃焼部（２９）をジェット兼ロケット翼（３８ｂ）とジェット兼ロケット尾翼（３８ｃ）の夫々中央に具備してジェット兼ロケット噴射部（７７Ｋ）をジェット兼ロケット翼（３８ｂ）とジェット兼ロケット尾翼（３８ｃ）の夫々両端に具備して円筒回転部（７７Ｇ）と磁気摩擦動力伝達装置（７６）で１８０度以下回転して垂直上昇垂直降下を可能にしてジェット兼ロケット飛行機（３８Ａ）としたジェット兼ロケット合体機関。
【請求項１５２３】
ジェット兼ロケット合体機関燃焼部（２９）をジェット兼ロケット翼（３８ｂ）の中央に具備してジェット兼ロケット噴射部（７７Ｋ）をジェット兼ロケット翼（３８ｂ）の両端に具備して円筒回転部（７７Ｇ）と磁気摩擦動力伝達装置（７６）で１８０度以上回転して逆噴射を可能な宇宙往還機にしてジェット兼ロケット飛行機（３８Ａ）としたジェット兼ロケット合体機関。
【請求項１５２４】
ジェット兼ロケット合体機関燃焼部（２９）をジェット兼ロケット尾翼（３８ｃ）の中央に具備してジェット兼ロケット噴射部（７７Ｋ）をジェット兼ロケット翼（３８ｂ）の両端に具備して円筒回転部（７７Ｇ）と磁気摩擦動力伝達装置（７６）で１８０度以上回転して逆噴射を可能な宇宙往還機にしてジェット兼ロケット飛行機（３８Ａ）としたジェット兼ロケット合体機関。
【請求項１５２５】
ジェット兼ロケット合体機関燃焼部（２９）をジェット兼ロケット翼（３８ｂ）とジェット兼ロケット尾翼（３８ｃ）の夫々中央に具備してジェット兼ロケット噴射部（７７Ｋ）をジェット兼ロケット翼（３８ｂ）の両端に具備して円筒回転部（７７Ｇ）と磁気摩擦動力伝達装置（７６）で１８０度以上回転して逆噴射を可能な宇宙往還機にしてジェット兼ロケット飛行機（３８Ａ）としたジェット兼ロケット合体機関。
【請求項１５２６】
ジェット兼ロケット合体機関燃焼部（２９）をジェット兼ロケット翼（３８ｂ）の中央に具備してジェット兼ロケット噴射部（７７Ｋ）をジェット兼ロケット尾翼（３８ｃ）の両端に具備して円筒回転部（７７Ｇ）と磁気摩擦動力伝達装置（７６）で１８０度以上回転して逆噴射を可能な宇宙往還機にしてジェット兼ロケット飛行機（３８Ａ）としたジェット兼ロケット合体機関。
【請求項１５２７】
ジェット兼ロケット合体機関燃焼部（２９）をジェット兼ロケット尾翼（３８ｃ）の中央に具備してジェット兼ロケット噴射部（７７Ｋ）をジェット兼ロケット尾翼（３８ｃ）の両端に具備して円筒回転部（７７Ｇ）と磁気摩擦動力伝達装置（７６）で１８０度以上回転して逆噴射を可能な宇宙往還機にしてジェット兼ロケット飛行機（３８Ａ）としたジェット兼ロケット合体機関。
【請求項１５２８】
ジェット兼ロケット合体機関燃焼部（２９）をジェット兼ロケット翼（３８ｂ）とジェット兼ロケット尾翼（３８ｃ）の夫々中央に具備してジェット兼ロケット噴射部（７７Ｋ）をジェット兼ロケット尾翼（３８ｃ）の両端に具備して円筒回転部（７７Ｇ）と磁気摩擦動力伝達装置（７６）で１８０度以上回転して逆噴射を可能な宇宙往還機にしてジェット兼ロケット飛行機（３８Ａ）としたジェット兼ロケット合体機関。
【請求項１５２９】
ジェット兼ロケット合体機関燃焼部（２９）をジェット兼ロケット翼（３８ｂ）の中央に具備してジェット兼ロケット噴射部（７７Ｋ）をジェット兼ロケット翼（３８ｂ）とジェット兼ロケット尾翼（３８ｃ）の夫々両端に具備して円筒回転部（７７Ｇ）と磁気摩擦動力伝達装置（７６）で１８０度以上回転して逆噴射を可能な宇宙往還機にしてジェット兼ロケット飛行機（３８Ａ）としたジェット兼ロケット合体機関。
【請求項１５３０】
ジェット兼ロケット合体機関燃焼部（２９）をジェット兼ロケット尾翼（３８ｃ）の中央に具備してジェット兼ロケット噴射部（７７Ｋ）をジェット兼ロケット翼（３８ｂ）とジェット兼ロケット尾翼（３８ｃ）の夫々両端に具備して円筒回転部（７７Ｇ）と磁気摩擦動力伝達装置（７６）で１８０度以上回転して逆噴射を可能な宇宙往還機にしてジェット兼ロケット飛行機（３８Ａ）としたジェット兼ロケット合体機関。
【請求項１５３１】
ジェット兼ロケット合体機関燃焼部（２９）をジェット兼ロケット翼（３８ｂ）とジェット兼ロケット尾翼（３８ｃ）の夫々中央に具備してジェット兼ロケット噴射部（７７Ｋ）をジェット兼ロケット翼（３８ｂ）とジェット兼ロケット尾翼（３８ｃ）の夫々両端に具備して円筒回転部（７７Ｇ）と磁気摩擦動力伝達装置（７６）で１８０度以上回転して逆噴射を可能な宇宙往還機にしてジェット兼ロケット飛行機（３８Ａ）としたジェット兼ロケット合体機関。
【請求項１５３２】
ジェット兼ロケット合体機関燃焼部（２９）をジェット兼ロケット翼（３８ｂ）の中央に具備してジェット兼ロケット噴射部（７７Ｋ）をジェット兼ロケット翼（３８ｂ）の両端に具備して円筒回転部（７７Ｇ）と磁気摩擦動力伝達装置（７６）で１８０度以下回転して垂直上昇垂直降下を可能な宇宙往還機にしてジェット兼ロケット飛行機（３８Ａ）としたジェット兼ロケット合体機関。
【請求項１５３３】
ジェット兼ロケット合体機関燃焼部（２９）をジェット兼ロケット尾翼（３８ｃ）の中央に具備してジェット兼ロケット噴射部（７７Ｋ）をジェット兼ロケット翼（３８ｂ）の両端に具備して円筒回転部（７７Ｇ）と磁気摩擦動力伝達装置（７６）で１８０度以下回転して垂直上昇垂直降下を可能な宇宙往還機にしてジェット兼ロケット飛行機（３８Ａ）としたジェット兼ロケット合体機関。
【請求項１５３４】
ジェット兼ロケット合体機関燃焼部（２９）をジェット兼ロケット翼（３８ｂ）とジェット兼ロケット尾翼（３８ｃ）の夫々中央に具備してジェット兼ロケット噴射部（７７Ｋ）をジェット兼ロケット翼（３８ｂ）の両端に具備して円筒回転部（７７Ｇ）と磁気摩擦動力伝達装置（７６）で１８０度以下回転して垂直上昇垂直降下を可能な宇宙往還機にしてジェット兼ロケット飛行機（３８Ａ）としたジェット兼ロケット合体機関。
【請求項１５３５】
ジェット兼ロケット合体機関燃焼部（２９）をジェット兼ロケット翼（３８ｂ）の中央に具備してジェット兼ロケット噴射部（７７Ｋ）をジェット兼ロケット尾翼（３８ｃ）の両端に具備して円筒回転部（７７Ｇ）と磁気摩擦動力伝達装置（７６）で１８０度以下回転して垂直上昇垂直降下を可能な宇宙往還機にしてジェット兼ロケット飛行機（３８Ａ）としたジェット兼ロケット合体機関。
【請求項１５３６】
ジェット兼ロケット合体機関燃焼部（２９）をジェット兼ロケット尾翼（３８ｃ）の中央に具備してジェット兼ロケット噴射部（７７Ｋ）をジェット兼ロケット尾翼（３８ｃ）の両端に具備して円筒回転部（７７Ｇ）と磁気摩擦動力伝達装置（７６）で１８０度以下回転して垂直上昇垂直降下を可能な宇宙往還機にしてジェット兼ロケット飛行機（３８Ａ）としたジェット兼ロケット合体機関。
【請求項１５３７】
ジェット兼ロケット合体機関燃焼部（２９）をジェット兼ロケット翼（３８ｂ）とジェット兼ロケット尾翼（３８ｃ）の夫々中央に具備してジェット兼ロケット噴射部（７７Ｋ）をジェット兼ロケット尾翼（３８ｃ）の両端に具備して円筒回転部（７７Ｇ）と磁気摩擦動力伝達装置（７６）で１８０度以下回転して垂直上昇垂直降下を可能な宇宙往還機にしてジェット兼ロケット飛行機（３８Ａ）としたジェット兼ロケット合体機関。
【請求項１５３８】
ジェット兼ロケット合体機関燃焼部（２９）をジェット兼ロケット翼（３８ｂ）の中央に具備してジェット兼ロケット噴射部（７７Ｋ）をジェット兼ロケット翼（３８ｂ）とジェット兼ロケット尾翼（３８ｃ）の夫々両端に具備して円筒回転部（７７Ｇ）と磁気摩擦動力伝達装置（７６）で１８０度以下回転して垂直上昇垂直降下を可能な宇宙往還機にしてジェット兼ロケット飛行機（３８Ａ）としたジェット兼ロケット合体機関。
【請求項１５３９】
ジェット兼ロケット合体機関燃焼部（２９）をジェット兼ロケット尾翼（３８ｃ）の中央に具備してジェット兼ロケット噴射部（７７Ｋ）をジェット兼ロケット翼（３８ｂ）とジェット兼ロケット尾翼（３８ｃ）の夫々両端に具備して円筒回転部（７７Ｇ）と磁気摩擦動力伝達装置（７６）で１８０度以下回転して垂直上昇垂直降下を可能な宇宙往還機にしてジェット兼ロケット飛行機（３８Ａ）としたジェット兼ロケット合体機関。
【請求項１５４０】
ジェット兼ロケット合体機関燃焼部（２９）をジェット兼ロケット翼（３８ｂ）とジェット兼ロケット尾翼（３８ｃ）の夫々中央に具備してジェット兼ロケット噴射部（７７Ｋ）をジェット兼ロケット翼（３８ｂ）とジェット兼ロケット尾翼（３８ｃ）の夫々両端に具備して円筒回転部（７７Ｇ）と磁気摩擦動力伝達装置（７６）で１８０度以下回転して垂直上昇垂直降下を可能な宇宙往還機にしてジェット兼ロケット飛行機（３８Ａ）としたジェット兼ロケット合体機関。
【請求項１５４１】
ジェット兼ロケット合体機関燃焼部（２９）をジェット兼ロケット翼（３８ｂ）の中央に具備してジェット兼ロケット噴射部（７７Ｋ）をジェット兼ロケット翼（３８ｂ）の両端に具備して円筒回転部（７７Ｇ）と磁気摩擦動力伝達装置（７６）で１８０度以上回転して逆噴射を可能な宇宙往還親飛行機にしてジェット兼ロケット飛行機（３８Ａ）としたジェット兼ロケット合体機関。
【請求項１５４２】
ジェット兼ロケット合体機関燃焼部（２９）をジェット兼ロケット尾翼（３８ｃ）の中央に具備してジェット兼ロケット噴射部（７７Ｋ）をジェット兼ロケット翼（３８ｂ）の両端に具備して円筒回転部（７７Ｇ）と磁気摩擦動力伝達装置（７６）で１８０度以上回転して逆噴射を可能な宇宙往還親飛行機にしてジェット兼ロケット飛行機（３８Ａ）としたジェット兼ロケット合体機関。
【請求項１５４３】
ジェット兼ロケット合体機関燃焼部（２９）をジェット兼ロケット翼（３８ｂ）とジェット兼ロケット尾翼（３８ｃ）の夫々中央に具備してジェット兼ロケット噴射部（７７Ｋ）をジェット兼ロケット翼（３８ｂ）の両端に具備して円筒回転部（７７Ｇ）と磁気摩擦動力伝達装置（７６）で１８０度以上回転して逆噴射を可能な宇宙往還親飛行機にしてジェット兼ロケット飛行機（３８Ａ）としたジェット兼ロケット合体機関。
【請求項１５４４】
ジェット兼ロケット合体機関燃焼部（２９）をジェット兼ロケット翼（３８ｂ）の中央に具備してジェット兼ロケット噴射部（７７Ｋ）をジェット兼ロケット尾翼（３８ｃ）の両端に具備して円筒回転部（７７Ｇ）と磁気摩擦動力伝達装置（７６）で１８０度以上回転して逆噴射を可能な宇宙往還親飛行機にしてジェット兼ロケット飛行機（３８Ａ）としたジェット兼ロケット合体機関。
【請求項１５４５】
ジェット兼ロケット合体機関燃焼部（２９）をジェット兼ロケット尾翼（３８ｃ）の中央に具備してジェット兼ロケット噴射部（７７Ｋ）をジェット兼ロケット尾翼（３８ｃ）の両端に具備して円筒回転部（７７Ｇ）と磁気摩擦動力伝達装置（７６）で１８０度以上回転して逆噴射を可能な宇宙往還親飛行機にしてジェット兼ロケット飛行機（３８Ａ）としたジェット兼ロケット合体機関。
【請求項１５４６】
ジェット兼ロケット合体機関燃焼部（２９）をジェット兼ロケット翼（３８ｂ）とジェット兼ロケット尾翼（３８ｃ）の夫々中央に具備してジェット兼ロケット噴射部（７７Ｋ）をジェット兼ロケット尾翼（３８ｃ）の両端に具備して円筒回転部（７７Ｇ）と磁気摩擦動力伝達装置（７６）で１８０度以上回転して逆噴射を可能な宇宙往還親飛行機にしてジェット兼ロケット飛行機（３８Ａ）としたジェット兼ロケット合体機関。
【請求項１５４７】
ジェット兼ロケット合体機関燃焼部（２９）をジェット兼ロケット翼（３８ｂ）の中央に具備してジェット兼ロケット噴射部（７７Ｋ）をジェット兼ロケット翼（３８ｂ）とジェット兼ロケット尾翼（３８ｃ）の夫々両端に具備して円筒回転部（７７Ｇ）と磁気摩擦動力伝達装置（７６）で１８０度以上回転して逆噴射を可能な宇宙往還親飛行機にしてジェット兼ロケット飛行機（３８Ａ）としたジェット兼ロケット合体機関。
【請求項１５４８】
ジェット兼ロケット合体機関燃焼部（２９）をジェット兼ロケット尾翼（３８ｃ）の中央に具備してジェット兼ロケット噴射部（７７Ｋ）をジェット兼ロケット翼（３８ｂ）とジェット兼ロケット尾翼（３８ｃ）の夫々両端に具備して円筒回転部（７７Ｇ）と磁気摩擦動力伝達装置（７６）で１８０度以上回転して逆噴射を可能な宇宙往還親飛行機にしてジェット兼ロケット飛行機（３８Ａ）としたジェット兼ロケット合体機関。
【請求項１５４９】
ジェット兼ロケット合体機関燃焼部（２９）をジェット兼ロケット翼（３８ｂ）とジェット兼ロケット尾翼（３８ｃ）の夫々中央に具備してジェット兼ロケット噴射部（７７Ｋ）をジェット兼ロケット翼（３８ｂ）とジェット兼ロケット尾翼（３８ｃ）の夫々両端に具備して円筒回転部（７７Ｇ）と磁気摩擦動力伝達装置（７６）で１８０度以上回転して逆噴射を可能な宇宙往還親飛行機にしてジェット兼ロケット飛行機（３８Ａ）としたジェット兼ロケット合体機関。
【請求項１５５０】
ジェット兼ロケット合体機関燃焼部（２９）をジェット兼ロケット翼（３８ｂ）の中央に具備してジェット兼ロケット噴射部（７７Ｋ）をジェット兼ロケット翼（３８ｂ）の両端に具備して円筒回転部（７７Ｇ）と磁気摩擦動力伝達装置（７６）で１８０度以下回転して垂直上昇垂直降下を可能な宇宙往還親飛行機にしてジェット兼ロケット飛行機（３８Ａ）としたジェット兼ロケット合体機関。
【請求項１５５１】
ジェット兼ロケット合体機関燃焼部（２９）をジェット兼ロケット尾翼（３８ｃ）の中央に具備してジェット兼ロケット噴射部（７７Ｋ）をジェット兼ロケット翼（３８ｂ）の両端に具備して円筒回転部（７７Ｇ）と磁気摩擦動力伝達装置（７６）で１８０度以下回転して垂直上昇垂直降下を可能な宇宙往還親飛行機にしてジェット兼ロケット飛行機（３８Ａ）としたジェット兼ロケット合体機関。
【請求項１５５２】
ジェット兼ロケット合体機関燃焼部（２９）をジェット兼ロケット翼（３８ｂ）とジェット兼ロケット尾翼（３８ｃ）の夫々中央に具備してジェット兼ロケット噴射部（７７Ｋ）をジェット兼ロケット翼（３８ｂ）の両端に具備して円筒回転部（７７Ｇ）と磁気摩擦動力伝達装置（７６）で１８０度以下回転して垂直上昇垂直降下を可能な宇宙往還親飛行機にしてジェット兼ロケット飛行機（３８Ａ）としたジェット兼ロケット合体機関。
【請求項１５５３】
ジェット兼ロケット合体機関燃焼部（２９）をジェット兼ロケット翼（３８ｂ）の中央に具備してジェット兼ロケット噴射部（７７Ｋ）をジェット兼ロケット尾翼（３８ｃ）の両端に具備して円筒回転部（７７Ｇ）と磁気摩擦動力伝達装置（７６）で１８０度以下回転して垂直上昇垂直降下を可能な宇宙往還親飛行機にしてジェット兼ロケット飛行機（３８Ａ）としたジェット兼ロケット合体機関。
【請求項１５５４】
ジェット兼ロケット合体機関燃焼部（２９）をジェット兼ロケット尾翼（３８ｃ）の中央に具備してジェット兼ロケット噴射部（７７Ｋ）をジェット兼ロケット尾翼（３８ｃ）の両端に具備して円筒回転部（７７Ｇ）と磁気摩擦動力伝達装置（７６）で１８０度以下回転して垂直上昇垂直降下を可能な宇宙往還親飛行機にしてジェット兼ロケット飛行機（３８Ａ）としたジェット兼ロケット合体機関。
【請求項１５５５】
ジェット兼ロケット合体機関燃焼部（２９）をジェット兼ロケット翼（３８ｂ）とジェット兼ロケット尾翼（３８ｃ）の夫々中央に具備してジェット兼ロケット噴射部（７７Ｋ）をジェット兼ロケット尾翼（３８ｃ）の両端に具備して円筒回転部（７７Ｇ）と磁気摩擦動力伝達装置（７６）で１８０度以下回転して垂直上昇垂直降下を可能な宇宙往還親飛行機にしてジェット兼ロケット飛行機（３８Ａ）としたジェット兼ロケット合体機関。
【請求項１５５６】
ジェット兼ロケット合体機関燃焼部（２９）をジェット兼ロケット翼（３８ｂ）の中央に具備してジェット兼ロケット噴射部（７７Ｋ）をジェット兼ロケット翼（３８ｂ）とジェット兼ロケット尾翼（３８ｃ）の夫々両端に具備して円筒回転部（７７Ｇ）と磁気摩擦動力伝達装置（７６）で１８０度以下回転して垂直上昇垂直降下を可能な宇宙往還親飛行機にしてジェット兼ロケット飛行機（３８Ａ）としたジェット兼ロケット合体機関。
【請求項１５５７】
ジェット兼ロケット合体機関燃焼部（２９）をジェット兼ロケット尾翼（３８ｃ）の中央に具備してジェット兼ロケット噴射部（７７Ｋ）をジェット兼ロケット翼（３８ｂ）とジェット兼ロケット尾翼（３８ｃ）の夫々両端に具備して円筒回転部（７７Ｇ）と磁気摩擦動力伝達装置（７６）で１８０度以下回転して垂直上昇垂直降下を可能な宇宙往還親飛行機にしてジェット兼ロケット飛行機（３８Ａ）としたジェット兼ロケット合体機関。
【請求項１５５８】
ジェット兼ロケット合体機関燃焼部（２９）をジェット兼ロケット翼（３８ｂ）とジェット兼ロケット尾翼（３８ｃ）の夫々中央に具備してジェット兼ロケット噴射部（７７Ｋ）をジェット兼ロケット翼（３８ｂ）とジェット兼ロケット尾翼（３８ｃ）の夫々両端に具備して円筒回転部（７７Ｇ）と磁気摩擦動力伝達装置（７６）で１８０度以下回転して垂直上昇垂直降下を可能な宇宙往還親飛行機にしてジェット兼ロケット飛行機（３８Ａ）としたジェット兼ロケット合体機関。
【請求項１５５９】
水噴射ロケット合体機関（２９Ｋ）は縮径主燃焼室兼熱交換器（１）に過熱蒸気噴射ノズル（６Ａ）を具備した水噴射ロケット合体機関
【請求項１５６０】
固体燃料水噴射ロケット合体機関（２９Ｊ）は縮径主燃焼室兼熱交換器（１）に過熱蒸気噴射ノズル（６Ｈ）を具備した固体燃料水噴射ロケット合体機関
【請求項１５６１】
液体燃料水噴射ロケット合体機関（２９Ｉ）は縮径主燃焼室兼熱交換器（１）に過熱蒸気噴射ノズル（６Ｈ）を具備した液体燃料水噴射ロケット合体機関
【請求項１５６２】
水噴射ロケット合体機関（２９Ｋ）は縮径主燃焼室兼熱交換器（１）に過熱蒸気噴射ノズル（６Ａ）と過熱蒸気制御弁（２５Ｂ）を具備した水噴射ロケット合体機関
【請求項１５６３】
固体燃料水噴射ロケット合体機関（２９Ｊ）は縮径主燃焼室兼熱交換器（１）に過熱蒸気噴射ノズル（６Ｈ）と過熱蒸気制御弁（２５Ｂ）を具備した固体燃料水噴射ロケット合体機関
【請求項１５６４】
液体燃料水噴射ロケット合体機関（２９Ｉ）は縮径主燃焼室兼熱交換器（１）に過熱蒸気噴射ノズル（６Ｈ）と過熱蒸気制御弁（２５Ｂ）を具備した液体燃料水噴射ロケット合体機関
【請求項１５６５】
水噴射ロケット合体機関（２９Ｋ）は縮径主燃焼室兼熱交換器（１）に過熱蒸気噴射ノズル（６Ａ）と過熱蒸気制御弁（２５Ｂ）と高温水制御弁（２４Ｂ）を具備した水噴射ロケット合体機関
【請求項１５６６】
固体燃料水噴射ロケット合体機関（２９Ｊ）は縮径主燃焼室兼熱交換器（１）に過熱蒸気噴射ノズル（６Ｈ）と過熱蒸気制御弁（２５Ｂ）と高温水制御弁（２４Ｂ）兼燃焼ガス制御弁（２４Ａ）を具備した固体燃料水噴射ロケット合体機関
【請求項１５６７】
液体燃料水噴射ロケット合体機関（２９Ｉ）は縮径主燃焼室兼熱交換器（１）に過熱蒸気噴射ノズル（６Ｈ）と過熱蒸気制御弁（２５Ｂ）と高温水制御弁（２４Ｂ）兼燃焼ガス制御弁（２４Ａ）を具備した液体燃料水噴射ロケット合体機関
【請求項１５６８】
水噴射ロケット合体機関（２９Ｋ）は縮径主燃焼室兼熱交換器（１）と過熱蒸気噴射ノズル（６Ａ）に過熱蒸気制御弁（２５Ｂ）と高温水制御弁（２４Ｂ）と高温水導水管（３）の高温水制御弁（２４Ｂ）を具備した水噴射ロケット合体機関
【請求項１５６９】
固体燃料水噴射ロケット合体機関（２９Ｊ）は縮径主燃焼室兼熱交換器（１）と過熱蒸気噴射ノズル（６Ｈ）に過熱蒸気制御弁（２５Ｂ）と高温水制御弁（２４Ｂ）兼燃焼ガス制御弁（２４Ａ）と高温水導水管（３）の高温水制御弁（２４Ｂ）を具備した固体燃料水噴射ロケット合体機関
【請求項１５７０】
液体燃料水噴射ロケット合体機関（２９Ｉ）は縮径主燃焼室兼熱交換器（１）に過熱蒸気噴射ノズル（６Ｈ）と過熱蒸気制御弁（２５Ｂ）と高温水制御弁（２４Ｂ）兼燃焼ガス制御弁（２４Ａ）と高温水導水管（３）の高温水制御弁（２４Ｂ）を具備した液体燃料水噴射ロケット合体機関
【請求項１５７１】
水噴射ロケット合体機関（２９Ｋ）は縮径主燃焼室兼熱交換器（１）と過熱蒸気噴射ノズル（６Ａ）に過熱蒸気制御弁（２５Ｂ）と高温水制御弁（２４Ｂ）と高温水導水管（３）の高温水制御弁（２４Ｂ）とロケット外箱（７７Ｅ）内の高温水制御弁（２４Ｂ）を具備した水噴射ロケット合体機関
【請求項１５７２】
固体燃料水噴射ロケット合体機関（２９Ｊ）は縮径主燃焼室兼熱交換器（１）と過熱蒸気噴射ノズル（６Ｈ）に過熱蒸気制御弁（２５Ｂ）と高温水制御弁（２４Ｂ）兼燃焼ガス制御弁（２４Ａ）と高温水導水管（３）の高温水制御弁（２４Ｂ）とロケット外箱（７７Ｅ）内の高温水制御弁（２４Ｂ）を具備した固体燃料水噴射ロケット合体機関
【請求項１５７３】
液体燃料水噴射ロケット合体機関（２９Ｉ）は縮径主燃焼室兼熱交換器（１）に過熱蒸気噴射ノズル（６Ｈ）と過熱蒸気制御弁（２５Ｂ）と高温水制御弁（２４Ｂ）兼燃焼ガス制御弁（２４Ａ）と高温水導水管（３）の高温水制御弁（２４Ｂ）とロケット外箱（７７Ｅ）内の高温水制御弁（２４Ｂ）を具備した液体燃料水噴射ロケット合体機関
【請求項１５７４】
水噴射ロケット合体機関（２９Ｋ）は縮径主燃焼室兼熱交換器（１）に過熱蒸気噴射ノズル（６Ａ）とロケットノズル（９４ｂ）を具備した水噴射ロケット合体機関
【請求項１５７５】
固体燃料水噴射ロケット合体機関（２９Ｊ）は縮径主燃焼室兼熱交換器（１）に過熱蒸気噴射ノズル（６Ｈ）とロケットノズル（９４ｂ）を具した固体燃料水噴射ロケット合体機関
【請求項１５７６】
液体燃料水噴射ロケット合体機関（２９Ｉ）は縮径主燃焼室兼熱交換器（１）に過熱蒸気噴射ノズル（６Ｈ）とロケットノズル（９４ｂ）を具備した液体燃料水噴射ロケット合体機関
【請求項１５７７】
水噴射ロケット合体機関（２９Ｋ）は縮径主燃焼室兼熱交換器（１）に過熱蒸気噴射ノズル（６Ａ）と過熱蒸気制御弁（２５Ｂ）とロケットノズル（９４ｂ）を具備した水噴射ロケット合体機関
【請求項１５７８】
固体燃料水噴射ロケット合体機関（２９Ｊ）は縮径主燃焼室兼熱交換器（１）に過熱蒸気噴射ノズル（６Ｈ）と過熱蒸気制御弁（２５Ｂ）とロケットノズル（９４ｂ）を具備した固体燃料水噴射ロケット合体機関
【請求項１５７９】
液体燃料水噴射ロケット合体機関（２９Ｉ）は縮径主燃焼室兼熱交換器（１）に過熱蒸気噴射ノズル（６Ｈ）と過熱蒸気制御弁（２５Ｂ）とロケットノズル（９４ｂ）を具備した液体燃料水噴射ロケット合体機関
【請求項１５８０】
水噴射ロケット合体機関（２９Ｋ）は縮径主燃焼室兼熱交換器（１）に過熱蒸気噴射ノズル（６Ａ）と過熱蒸気制御弁（２５Ｂ）と高温水制御弁（２４Ｂ）とロケットノズル（９４ｂ）を具備した水噴射ロケット合体機関
【請求項１５８１】
固体燃料水噴射ロケット合体機関（２９Ｊ）は縮径主燃焼室兼熱交換器（１）に過熱蒸気噴射ノズル（６Ｈ）と過熱蒸気制御弁（２５Ｂ）と高温水制御弁（２４Ｂ）兼燃焼ガス制御弁（２４Ａ）とロケットノズル（９４ｂ）を具備した固体燃料水噴射ロケット合体機関
【請求項１５８２】
液体燃料水噴射ロケット合体機関（２９Ｉ）は縮径主燃焼室兼熱交換器（１）に過熱蒸気噴射ノズル（６Ｈ）と過熱蒸気制御弁（２５Ｂ）と高温水制御弁（２４Ｂ）兼燃焼ガス制御弁（２４Ａ）とロケットノズル（９４ｂ）を具備した液体燃料水噴射ロケット合体機関
【請求項１５８３】
水噴射ロケット合体機関（２９Ｋ）は縮径主燃焼室兼熱交換器（１）と過熱蒸気噴射ノズル（６Ａ）に過熱蒸気制御弁（２５Ｂ）と高温水制御弁（２４Ｂ）と高温水導水管（３）の高温水制御弁（２４Ｂ）とロケットノズル（９４ｂ）を具備した水噴射ロケット合体機関
【請求項１５８４】
固体燃料水噴射ロケット合体機関（２９Ｊ）は縮径主燃焼室兼熱交換器（１）と過熱蒸気噴射ノズル（６Ｈ）に過熱蒸気制御弁（２５Ｂ）と高温水制御弁（２４Ｂ）兼燃焼ガス制御弁（２４Ａ）と高温水導水管（３）の高温水制御弁（２４Ｂ）とロケットノズル（９４ｂ）を具備した固体燃料水噴射ロケット合体機関
【請求項１５８５】
液体燃料水噴射ロケット合体機関（２９Ｉ）は縮径主燃焼室兼熱交換器（１）に過熱蒸気噴射ノズル（６Ｈ）と過熱蒸気制御弁（２５Ｂ）と高温水制御弁（２４Ｂ）兼燃焼ガス制御弁（２４Ａ）と高温水導水管（３）の高温水制御弁（２４Ｂ）とロケットノズル（９４ｂ）を具備した液体燃料水噴射ロケット合体機関
【請求項１５８６】
水噴射ロケット合体機関（２９Ｋ）は縮径主燃焼室兼熱交換器（１）と過熱蒸気噴射ノズル（６Ａ）に過熱蒸気制御弁（２５Ｂ）と高温水制御弁（２４Ｂ）と高温水導水管（３）の高温水制御弁（２４Ｂ）とロケット外箱（７７Ｅ）内の高温水制御弁（２４Ｂ）とロケットノズル（９４ｂ）を具備した水噴射ロケット合体機関
【請求項１５８７】
固体燃料水噴射ロケット合体機関（２９Ｊ）は縮径主燃焼室兼熱交換器（１）と過熱蒸気噴射ノズル（６Ｈ）に過熱蒸気制御弁（２５Ｂ）と高温水制御弁（２４Ｂ）兼燃焼ガス制御弁（２４Ａ）と高温水導水管（３）の高温水制御弁（２４Ｂ）とロケット外箱（７７Ｅ）内の高温水制御弁（２４Ｂ）とロケットノズル（９４ｂ）を具備した固体燃料水噴射ロケット合体機関
【請求項１５８８】
液体燃料水噴射ロケット合体機関（２９Ｉ）は縮径主燃焼室兼熱交換器（１）に過熱蒸気噴射ノズル（６Ｈ）と過熱蒸気制御弁（２５Ｂ）と高温水制御弁（２４Ｂ）兼燃焼ガス制御弁（２４Ａ）と高温水導水管（３）の高温水制御弁（２４Ｂ）とロケット外箱（７７Ｅ）内の高温水制御弁（２４Ｂ）とロケットノズル（９４ｂ）を具備した液体燃料水噴射ロケット合体機関
【請求項１５８９】
水噴射ロケット合体機関（２９Ｋ）は縮径主燃焼室兼熱交換器（１）に過熱蒸気噴射ノズル（６Ａ）とロケットノズル（９４ｂ）とロケット翼（３８ａ）を具備した水噴射ロケット合体機関
【請求項１５９０】
固体燃料水噴射ロケット合体機関（２９Ｊ）は縮径主燃焼室兼熱交換器（１）に過熱蒸気噴射ノズル（６Ｈ）とロケットノズル（９４ｂ）とロケット翼（３８ａ）を具した固体燃料水噴射ロケット合体機関
【請求項１５９１】
液体燃料水噴射ロケット合体機関（２９Ｉ）は縮径主燃焼室兼熱交換器（１）に過熱蒸気噴射ノズル（６Ｈ）とロケットノズル（９４ｂ）とロケット翼（３８ａ）を具備した液体燃料水噴射ロケット合体機関
【請求項１５９２】
水噴射ロケット合体機関（２９Ｋ）は縮径主燃焼室兼熱交換器（１）に過熱蒸気噴射ノズル（６Ａ）と過熱蒸気制御弁（２５Ｂ）とロケットノズル（９４ｂ）とロケット翼（３８ａ）を具備した水噴射ロケット合体機関
【請求項１５９３】
固体燃料水噴射ロケット合体機関（２９Ｊ）は縮径主燃焼室兼熱交換器（１）に過熱蒸気噴射ノズル（６Ｈ）と過熱蒸気制御弁（２５Ｂ）とロケットノズル（９４ｂ）とロケット翼（３８ａ）を具備した固体燃料水噴射ロケット合体機関
【請求項１５９４】
液体燃料水噴射ロケット合体機関（２９Ｉ）は縮径主燃焼室兼熱交換器（１）に過熱蒸気噴射ノズル（６Ｈ）と過熱蒸気制御弁（２５Ｂ）とロケットノズル（９４ｂ）とロケット翼（３８ａ）を具備した液体燃料水噴射ロケット合体機関
【請求項１５９５】
水噴射ロケット合体機関（２９Ｋ）は縮径主燃焼室兼熱交換器（１）に過熱蒸気噴射ノズル（６Ａ）と過熱蒸気制御弁（２５Ｂ）と高温水制御弁（２４Ｂ）とロケットノズル（９４ｂ）とロケット翼（３８ａ）を具備した水噴射ロケット合体機関
【請求項１５９６】
固体燃料水噴射ロケット合体機関（２９Ｊ）は縮径主燃焼室兼熱交換器（１）に過熱蒸気噴射ノズル（６Ｈ）と過熱蒸気制御弁（２５Ｂ）と高温水制御弁（２４Ｂ）兼燃焼ガス制御弁（２４Ａ）とロケットノズル（９４ｂ）とロケット翼（３８ａ）を具備した固体燃料水噴射ロケット合体機関
【請求項１５９７】
液体燃料水噴射ロケット合体機関（２９Ｉ）は縮径主燃焼室兼熱交換器（１）に過熱蒸気噴射ノズル（６Ｈ）と過熱蒸気制御弁（２５Ｂ）と高温水制御弁（２４Ｂ）兼燃焼ガス制御弁（２４Ａ）とロケットノズル（９４ｂ）とロケット翼（３８ａ）を具備した液体燃料水噴射ロケット合体機関
【請求項１５９８】
水噴射ロケット合体機関（２９Ｋ）は縮径主燃焼室兼熱交換器（１）と過熱蒸気噴射ノズル（６Ａ）に過熱蒸気制御弁（２５Ｂ）と高温水制御弁（２４Ｂ）と高温水導水管（３）の高温水制御弁（２４Ｂ）とロケットノズル（９４ｂ）とロケット翼（３８ａ）を具備した水噴射ロケット合体機関
【請求項１５９９】
固体燃料水噴射ロケット合体機関（２９Ｊ）は縮径主燃焼室兼熱交換器（１）と過熱蒸気噴射ノズル（６Ｈ）に過熱蒸気制御弁（２５Ｂ）と高温水制御弁（２４Ｂ）兼燃焼ガス制御弁（２４Ａ）と高温水導水管（３）の高温水制御弁（２４Ｂ）とロケット翼（３８ａ）とロケットノズル（９４ｂ）を具備した固体燃料水噴射ロケット合体機関
【請求項１６００】
液体燃料水噴射ロケット合体機関（２９Ｉ）は縮径主燃焼室兼熱交換器（１）に過熱蒸気噴射ノズル（６Ｈ）と過熱蒸気制御弁（２５Ｂ）と高温水制御弁（２４Ｂ）兼燃焼ガス制御弁（２４Ａ）と高温水導水管（３）の高温水制御弁（２４Ｂ）とロケットノズル（９４ｂ）とロケット翼（３８ａ）を具備した液体燃料水噴射ロケット合体機関
【請求項１６０１】
水噴射ロケット合体機関（２９Ｋ）は縮径主燃焼室兼熱交換器（１）と過熱蒸気噴射ノズル（６Ａ）に過熱蒸気制御弁（２５Ｂ）と高温水制御弁（２４Ｂ）と高温水導水管（３）の高温水制御弁（２４Ｂ）とロケット外箱（７７Ｅ）内の高温水制御弁（２４Ｂ）とロケットノズル（９４ｂ）とロケット翼（３８ａ）を具備した水噴射ロケット合体機関
【請求項１６０２】
固体燃料水噴射ロケット合体機関（２９Ｊ）は縮径主燃焼室兼熱交換器（１）と過熱蒸気噴射ノズル（６Ｈ）に過熱蒸気制御弁（２５Ｂ）と高温水制御弁（２４Ｂ）兼燃焼ガス制御弁（２４Ａ）と高温水導水管（３）の高温水制御弁（２４Ｂ）とロケット外箱（７７Ｅ）内の高温水制御弁（２４Ｂ）とロケットノズル（９４ｂ）とロケット翼（３８ａ）を具備した固体燃料水噴射ロケット合体機関
【請求項１６０３】
液体燃料水噴射ロケット合体機関（２９Ｉ）は縮径主燃焼室兼熱交換器（１）に過熱蒸気噴射ノズル（６Ｈ）と過熱蒸気制御弁（２５Ｂ）と高温水制御弁（２４Ｂ）兼燃焼ガス制御弁（２４Ａ）と高温水導水管（３）の高温水制御弁（２４Ｂ）とロケット外箱（７７Ｅ）内の高温水制御弁（２４Ｂ）とロケットノズル（９４ｂ）とロケット翼（３８ａ）を具備した液体燃料水噴射ロケット合体機関
【請求項１６０４】
水噴射ロケット合体機関（２９Ｋ）は縮径主燃焼室兼熱交換器（１）に過熱蒸気噴射ノズル（６Ａ）とロケットノズル（９４ｂ）とロケット翼（３８ａ）と操縦室（１０ｂ）を具備した水噴射ロケット合体機関
【請求項１６０５】
固体燃料水噴射ロケット合体機関（２９Ｊ）は縮径主燃焼室兼熱交換器（１）に過熱蒸気噴射ノズル（６Ｈ）とロケットノズル（９４ｂ）とロケット翼（３８ａ）と操縦室（１０ｂ）を具した固体燃料水噴射ロケット合体機関
【請求項１６０６】
液体燃料水噴射ロケット合体機関（２９Ｉ）は縮径主燃焼室兼熱交換器（１）に過熱蒸気噴射ノズル（６Ｈ）とロケットノズル（９４ｂ）とロケット翼（３８ａ）と操縦室（１０ｂ）を具備した液体燃料水噴射ロケット合体機関
【請求項１６０７】
水噴射ロケット合体機関（２９Ｋ）は縮径主燃焼室兼熱交換器（１）に過熱蒸気噴射ノズル（６Ａ）と過熱蒸気制御弁（２５Ｂ）とロケットノズル（９４ｂ）とロケット翼（３８ａ）と操縦室（１０ｂ）を具備した水噴射ロケット合体機関
【請求項１６０８】
固体燃料水噴射ロケット合体機関（２９Ｊ）は縮径主燃焼室兼熱交換器（１）に過熱蒸気噴射ノズル（６Ｈ）と過熱蒸気制御弁（２５Ｂ）とロケットノズル（９４ｂ）とロケット翼（３８ａ）と操縦室（１０ｂ）を具備した固体燃料水噴射ロケット合体機関
【請求項１６０９】
液体燃料水噴射ロケット合体機関（２９Ｉ）は縮径主燃焼室兼熱交換器（１）に過熱蒸気噴射ノズル（６Ｈ）と過熱蒸気制御弁（２５Ｂ）とロケットノズル（９４ｂ）とロケット翼（３８ａ）と操縦室（１０ｂ）を具備した液体燃料水噴射ロケット合体機関
【請求項１６１０】
水噴射ロケット合体機関（２９Ｋ）は縮径主燃焼室兼熱交換器（１）に過熱蒸気噴射ノズル（６Ａ）と過熱蒸気制御弁（２５Ｂ）と高温水制御弁（２４Ｂ）とロケットノズル（９４ｂ）とロケット翼（３８ａ）と操縦室（１０ｂ）を具備した水噴射ロケット合体機関
【請求項１６１１】
固体燃料水噴射ロケット合体機関（２９Ｊ）は縮径主燃焼室兼熱交換器（１）に過熱蒸気噴射ノズル（６Ｈ）と過熱蒸気制御弁（２５Ｂ）と高温水制御弁（２４Ｂ）兼燃焼ガス制御弁（２４Ａ）とロケットノズル（９４ｂ）とロケット翼（３８ａ）と操縦室（１０ｂ）を具備した固体燃料水噴射ロケット合体機関
【請求項１６１２】
液体燃料水噴射ロケット合体機関（２９Ｉ）は縮径主燃焼室兼熱交換器（１）に過熱蒸気噴射ノズル（６Ｈ）と過熱蒸気制御弁（２５Ｂ）と高温水制御弁（２４Ｂ）兼燃焼ガス制御弁（２４Ａ）とロケットノズル（９４ｂ）とロケット翼（３８ａ）と操縦室（１０ｂ）を具備した液体燃料水噴射ロケット合体機関
【請求項１６１３】
水噴射ロケット合体機関（２９Ｋ）は縮径主燃焼室兼熱交換器（１）と過熱蒸気噴射ノズル（６Ａ）に過熱蒸気制御弁（２５Ｂ）と高温水制御弁（２４Ｂ）と高温水導水管（３）の高温水制御弁（２４Ｂ）とロケットノズル（９４ｂ）とロケット翼（３８ａ）と操縦室（１０ｂ）を具備した水噴射ロケット合体機関
【請求項１６１４】
固体燃料水噴射ロケット合体機関（２９Ｊ）は縮径主燃焼室兼熱交換器（１）と過熱蒸気噴射ノズル（６Ｈ）に過熱蒸気制御弁（２５Ｂ）と高温水制御弁（２４Ｂ）兼燃焼ガス制御弁（２４Ａ）と高温水導水管（３）の高温水制御弁（２４Ｂ）とロケット翼（３８ａ）とロケットノズル（９４ｂ）と操縦室（１０ｂ）を具備した固体燃料水噴射ロケット合体機関
【請求項１６１５】
液体燃料水噴射ロケット合体機関（２９Ｉ）は縮径主燃焼室兼熱交換器（１）に過熱蒸気噴射ノズル（６Ｈ）と過熱蒸気制御弁（２５Ｂ）と高温水制御弁（２４Ｂ）兼燃焼ガス制御弁（２４Ａ）と高温水導水管（３）の高温水制御弁（２４Ｂ）とロケットノズル（９４ｂ）とロケット翼（３８ａ）と操縦室（１０ｂ）を具備した液体燃料水噴射ロケット合体機関
【請求項１６１６】
水噴射ロケット合体機関（２９Ｋ）は縮径主燃焼室兼熱交換器（１）と過熱蒸気噴射ノズル（６Ａ）に過熱蒸気制御弁（２５Ｂ）と高温水制御弁（２４Ｂ）と高温水導水管（３）の高温水制御弁（２４Ｂ）とロケット外箱（７７Ｅ）内の高温水制御弁（２４Ｂ）とロケットノズル（９４ｂ）とロケット翼（３８ａ）と操縦室（１０ｂ）を具備した水噴射ロケット合体機関
【請求項１６１７】
固体燃料水噴射ロケット合体機関（２９Ｊ）は縮径主燃焼室兼熱交換器（１）と過熱蒸気噴射ノズル（６Ｈ）に過熱蒸気制御弁（２５Ｂ）と高温水制御弁（２４Ｂ）兼燃焼ガス制御弁（２４Ａ）と高温水導水管（３）の高温水制御弁（２４Ｂ）とロケット外箱（７７Ｅ）内の高温水制御弁（２４Ｂ）とロケットノズル（９４ｂ）とロケット翼（３８ａ）と操縦室（１０ｂ）を具備した固体燃料水噴射ロケット合体機関
【請求項１６１８】
液体燃料水噴射ロケット合体機関（２９Ｉ）は縮径主燃焼室兼熱交換器（１）に過熱蒸気噴射ノズル（６Ｈ）と過熱蒸気制御弁（２５Ｂ）と高温水制御弁（２４Ｂ）兼燃焼ガス制御弁（２４Ａ）と高温水導水管（３）の高温水制御弁（２４Ｂ）とロケット外箱（７７Ｅ）内の高温水制御弁（２４Ｂ）とロケットノズル（９４ｂ）とロケット翼（３８ａ）と操縦室（１０ｂ）を具備した液体燃料水噴射ロケット合体機関
【請求項１６１９】
水噴射ロケット合体機関（２９Ｋ）は縮径主燃焼室兼熱交換器（１）に過熱蒸気噴射ノズル（６Ａ）とロケットノズル（９４ｂ）とロケット翼（３８ａ）と操縦室（１０ｂ）と制御室（２０）を具備した水噴射ロケット合体機関
【請求項１６２０】
固体燃料水噴射ロケット合体機関（２９Ｊ）は縮径主燃焼室兼熱交換器（１）に過熱蒸気噴射ノズル（６Ｈ）とロケットノズル（９４ｂ）とロケット翼（３８ａ）と操縦室（１０ｂ）と制御室（２０）を具した固体燃料水噴射ロケット合体機関
【請求項１６２１】
液体燃料水噴射ロケット合体機関（２９Ｉ）は縮径主燃焼室兼熱交換器（１）に過熱蒸気噴射ノズル（６Ｈ）とロケットノズル（９４ｂ）とロケット翼（３８ａ）と操縦室（１０ｂ）と制御室（２０）を具備した液体燃料水噴射ロケット合体機関
【請求項１６２２】
水噴射ロケット合体機関（２９Ｋ）は縮径主燃焼室兼熱交換器（１）に過熱蒸気噴射ノズル（６Ａ）と過熱蒸気制御弁（２５Ｂ）とロケットノズル（９４ｂ）とロケット翼（３８ａ）と操縦室（１０ｂ）と制御室（２０）を具備した水噴射ロケット合体機関
【請求項１６２３】
固体燃料水噴射ロケット合体機関（２９Ｊ）は縮径主燃焼室兼熱交換器（１）に過熱蒸気噴射ノズル（６Ｈ）と過熱蒸気制御弁（２５Ｂ）とロケットノズル（９４ｂ）とロケット翼（３８ａ）と操縦室（１０ｂ）と制御室（２０）を具備した固体燃料水噴射ロケット合体機関
【請求項１６２４】
液体燃料水噴射ロケット合体機関（２９Ｉ）は縮径主燃焼室兼熱交換器（１）に過熱蒸気噴射ノズル（６Ｈ）と過熱蒸気制御弁（２５Ｂ）とロケットノズル（９４ｂ）とロケット翼（３８ａ）と操縦室（１０ｂ）と制御室（２０）を具備した液体燃料水噴射ロケット合体機関
【請求項１６２５】
水噴射ロケット合体機関（２９Ｋ）は縮径主燃焼室兼熱交換器（１）に過熱蒸気噴射ノズル（６Ａ）と過熱蒸気制御弁（２５Ｂ）と高温水制御弁（２４Ｂ）とロケットノズル（９４ｂ）とロケット翼（３８ａ）と操縦室（１０ｂ）と制御室（２０）を具備した水噴射ロケット合体機関
【請求項１６２６】
固体燃料水噴射ロケット合体機関（２９Ｊ）は縮径主燃焼室兼熱交換器（１）に過熱蒸気噴射ノズル（６Ｈ）と過熱蒸気制御弁（２５Ｂ）と高温水制御弁（２４Ｂ）兼燃焼ガス制御弁（２４Ａ）とロケットノズル（９４ｂ）とロケット翼（３８ａ）と操縦室（１０ｂ）と制御室（２０）を具備した固体燃料水噴射ロケット合体機関
【請求項１６２７】
液体燃料水噴射ロケット合体機関（２９Ｉ）は縮径主燃焼室兼熱交換器（１）に過熱蒸気噴射ノズル（６Ｈ）と過熱蒸気制御弁（２５Ｂ）と高温水制御弁（２４Ｂ）兼燃焼ガス制御弁（２４Ａ）とロケットノズル（９４ｂ）とロケット翼（３８ａ）と操縦室（１０ｂ）と制御室（２０）を具備した液体燃料水噴射ロケット合体機関
【請求項１６２８】
水噴射ロケット合体機関（２９Ｋ）は縮径主燃焼室兼熱交換器（１）と過熱蒸気噴射ノズル（６Ａ）に過熱蒸気制御弁（２５Ｂ）と高温水制御弁（２４Ｂ）と高温水導水管（３）の高温水制御弁（２４Ｂ）とロケットノズル（９４ｂ）とロケット翼（３８ａ）と操縦室（１０ｂと制御室（２０））を具備した水噴射ロケット合体機関
【請求項１６２９】
固体燃料水噴射ロケット合体機関（２９Ｊ）は縮径主燃焼室兼熱交換器（１）と過熱蒸気噴射ノズル（６Ｈ）に過熱蒸気制御弁（２５Ｂ）と高温水制御弁（２４Ｂ）兼燃焼ガス制御弁（２４Ａ）と高温水導水管（３）の高温水制御弁（２４Ｂ）とロケット翼（３８ａ）とロケットノズル（９４ｂ）と操縦室（１０ｂ）と制御室（２０）を具備した固体燃料水噴射ロケット合体機関
【請求項１６３０】
液体燃料水噴射ロケット合体機関（２９Ｉ）は縮径主燃焼室兼熱交換器（１）に過熱蒸気噴射ノズル（６Ｈ）と過熱蒸気制御弁（２５Ｂ）と高温水制御弁（２４Ｂ）兼燃焼ガス制御弁（２４Ａ）と高温水導水管（３）の高温水制御弁（２４Ｂ）とロケットノズル（９４ｂ）とロケット翼（３８ａ）と操縦室（１０ｂ）と制御室（２０）を具備した液体燃料水噴射ロケット合体機関
【請求項１６３１】
水噴射ロケット合体機関（２９Ｋ）は縮径主燃焼室兼熱交換器（１）と過熱蒸気噴射ノズル（６Ａ）に過熱蒸気制御弁（２５Ｂ）と高温水制御弁（２４Ｂ）と高温水導水管（３）の高温水制御弁（２４Ｂ）とロケット外箱（７７Ｅ）内の高温水制御弁（２４Ｂ）とロケットノズル（９４ｂ）とロケット翼（３８ａ）と操縦室（１０ｂ）と制御室（２０）を具備した水噴射ロケット合体機関
【請求項１６３２】
固体燃料水噴射ロケット合体機関（２９Ｊ）は縮径主燃焼室兼熱交換器（１）と過熱蒸気噴射ノズル（６Ｈ）に過熱蒸気制御弁（２５Ｂ）と高温水制御弁（２４Ｂ）兼燃焼ガス制御弁（２４Ａ）と高温水導水管（３）の高温水制御弁（２４Ｂ）とロケット外箱（７７Ｅ）内の高温水制御弁（２４Ｂ）とロケットノズル（９４ｂ）とロケット翼（３８ａ）と操縦室（１０ｂ）を具備した固体燃料水噴射ロケット合体機関
【請求項１６３３】
液体燃料水噴射ロケット合体機関（２９Ｉ）は縮径主燃焼室兼熱交換器（１）に過熱蒸気噴射ノズル（６Ｈ）と過熱蒸気制御弁（２５Ｂ）と高温水制御弁（２４Ｂ）兼燃焼ガス制御弁（２４Ａ）と高温水導水管（３）の高温水制御弁（２４Ｂ）とロケット外箱（７７Ｅ）内の高温水制御弁（２４Ｂ）とロケットノズル（９４ｂ）とロケット翼（３８ａ）と操縦室（１０ｂ）と制御室（２０）を具備した液体燃料水噴射ロケット合体機関
【請求項１６３４】
水噴射ロケット合体機関（２９Ｋ）は縮径主燃焼室兼熱交換器（１）に過熱蒸気噴射ノズル（６Ａ）とロケットノズル（９４ｂ）とロケット翼（３８ａ）と操縦室（１０ｂ）と制御室（２０）を具備して超臨界圧力過熱蒸気を噴射する水噴射ロケット合体機関
【請求項１６３５】
固体燃料水噴射ロケット合体機関（２９Ｊ）は縮径主燃焼室兼熱交換器（１）に過熱蒸気噴射ノズル（６Ｈ）とロケットノズル（９４ｂ）とロケット翼（３８ａ）と操縦室（１０ｂ）と制御室（２０）を具して超臨界圧力過熱蒸気を噴射する固体燃料水噴射ロケット合体機関
【請求項１６３６】
液体燃料水噴射ロケット合体機関（２９Ｉ）は縮径主燃焼室兼熱交換器（１）に過熱蒸気噴射ノズル（６Ｈ）とロケットノズル（９４ｂ）とロケット翼（３８ａ）と操縦室（１０ｂ）と制御室（２０）を具備して超臨界圧力過熱蒸気を噴射する液体燃料水噴射ロケット合体機関
【請求項１６３７】
水噴射ロケット合体機関（２９Ｋ）は縮径主燃焼室兼熱交換器（１）に過熱蒸気噴射ノズル（６Ａ）と過熱蒸気制御弁（２５Ｂ）とロケットノズル（９４ｂ）とロケット翼（３８ａ）と操縦室（１０ｂ）と制御室（２０）を具備して超臨界圧力過熱蒸気を噴射する水噴射ロケット合体機関
【請求項１６３８】
固体燃料水噴射ロケット合体機関（２９Ｊ）は縮径主燃焼室兼熱交換器（１）に過熱蒸気噴射ノズル（６Ｈ）と過熱蒸気制御弁（２５Ｂ）とロケットノズル（９４ｂ）とロケット翼（３８ａ）と操縦室（１０ｂ）と制御室（２０）を具備して超臨界圧力過熱蒸気を噴射する固体燃料水噴射ロケット合体機関
【請求項１６３９】
液体燃料水噴射ロケット合体機関（２９Ｉ）は縮径主燃焼室兼熱交換器（１）に過熱蒸気噴射ノズル（６Ｈ）と過熱蒸気制御弁（２５Ｂ）とロケットノズル（９４ｂ）とロケット翼（３８ａ）と操縦室（１０ｂ）と制御室（２０）を具備して超臨界圧力過熱蒸気を噴射する液体燃料水噴射ロケット合体機関
【請求項１６４０】
水噴射ロケット合体機関（２９Ｋ）は縮径主燃焼室兼熱交換器（１）に過熱蒸気噴射ノズル（６Ａ）と過熱蒸気制御弁（２５Ｂ）と高温水制御弁（２４Ｂ）とロケットノズル（９４ｂ）とロケット翼（３８ａ）と操縦室（１０ｂ）と制御室（２０）を具備して超臨界圧力過熱蒸気を噴射する水噴射ロケット合体機関
【請求項１６４１】
固体燃料水噴射ロケット合体機関（２９Ｊ）は縮径主燃焼室兼熱交換器（１）に過熱蒸気噴射ノズル（６Ｈ）と過熱蒸気制御弁（２５Ｂ）と高温水制御弁（２４Ｂ）兼燃焼ガス制御弁（２４Ａ）とロケットノズル（９４ｂ）とロケット翼（３８ａ）と操縦室（１０ｂ）と制御室（２０）を具備して超臨界圧力過熱蒸気を噴射する固体燃料水噴射ロケット合体機関
【請求項１６４２】
液体燃料水噴射ロケット合体機関（２９Ｉ）は縮径主燃焼室兼熱交換器（１）に過熱蒸気噴射ノズル（６Ｈ）と過熱蒸気制御弁（２５Ｂ）と高温水制御弁（２４Ｂ）兼燃焼ガス制御弁（２４Ａ）とロケットノズル（９４ｂ）とロケット翼（３８ａ）と操縦室（１０ｂ）と制御室（２０）を具備して超臨界圧力過熱蒸気を噴射する液体燃料水噴射ロケット合体機関
【請求項１６４３】
水噴射ロケット合体機関（２９Ｋ）は縮径主燃焼室兼熱交換器（１）と過熱蒸気噴射ノズル（６Ａ）に過熱蒸気制御弁（２５Ｂ）と高温水制御弁（２４Ｂ）と高温水導水管（３）の高温水制御弁（２４Ｂ）とロケットノズル（９４ｂ）とロケット翼（３８ａ）と操縦室（１０ｂと制御室（２０））を具備して超臨界圧力過熱蒸気を噴射する水噴射ロケット合体機関
【請求項１６４４】
固体燃料水噴射ロケット合体機関（２９Ｊ）は縮径主燃焼室兼熱交換器（１）と過熱蒸気噴射ノズル（６Ｈ）に過熱蒸気制御弁（２５Ｂ）と高温水制御弁（２４Ｂ）兼燃焼ガス制御弁（２４Ａ）と高温水導水管（３）の高温水制御弁（２４Ｂ）とロケット翼（３８ａ）とロケットノズル（９４ｂ）と操縦室（１０ｂ）と制御室（２０）を具備して超臨界圧力過熱蒸気を噴射する固体燃料水噴射ロケット合体機関
【請求項１６４５】
液体燃料水噴射ロケット合体機関（２９Ｉ）は縮径主燃焼室兼熱交換器（１）に過熱蒸気噴射ノズル（６Ｈ）と過熱蒸気制御弁（２５Ｂ）と高温水制御弁（２４Ｂ）兼燃焼ガス制御弁（２４Ａ）と高温水導水管（３）の高温水制御弁（２４Ｂ）とロケットノズル（９４ｂ）とロケット翼（３８ａ）と操縦室（１０ｂ）と制御室（２０）を具備して超臨界圧力過熱蒸気を噴射する液体燃料水噴射ロケット合体機関
【請求項１６４６】
水噴射ロケット合体機関（２９Ｋ）は縮径主燃焼室兼熱交換器（１）と過熱蒸気噴射ノズル（６Ａ）に過熱蒸気制御弁（２５Ｂ）と高温水制御弁（２４Ｂ）と高温水導水管（３）の高温水制御弁（２４Ｂ）とロケット外箱（７７Ｅ）内の高温水制御弁（２４Ｂ）とロケットノズル（９４ｂ）とロケット翼（３８ａ）と操縦室（１０ｂ）と制御室（２０）を具備して超臨界圧力過熱蒸気を噴射する水噴射ロケット合体機関
【請求項１６４７】
固体燃料水噴射ロケット合体機関（２９Ｊ）は縮径主燃焼室兼熱交換器（１）と過熱蒸気噴射ノズル（６Ｈ）に過熱蒸気制御弁（２５Ｂ）と高温水制御弁（２４Ｂ）兼燃焼ガス制御弁（２４Ａ）と高温水導水管（３）の高温水制御弁（２４Ｂ）とロケット外箱（７７Ｅ）内の高温水制御弁（２４Ｂ）とロケットノズル（９４ｂ）とロケット翼（３８ａ）と操縦室（１０ｂ）を具備して超臨界圧力過熱蒸気を噴射する固体燃料水噴射ロケット合体機関
【請求項１６４８】
液体燃料水噴射ロケット合体機関（２９Ｉ）は縮径主燃焼室兼熱交換器（１）に過熱蒸気噴射ノズル（６Ｈ）と過熱蒸気制御弁（２５Ｂ）と高温水制御弁（２４Ｂ）兼燃焼ガス制御弁（２４Ａ）と高温水導水管（３）の高温水制御弁（２４Ｂ）とロケット外箱（７７Ｅ）内の高温水制御弁（２４Ｂ）とロケットノズル（９４ｂ）とロケット翼（３８ａ）と操縦室（１０ｂ）と制御室（２０）を具備して超臨界圧力過熱蒸気を噴射する液体燃料水噴射ロケット合体機関
【請求項１６４９】
水噴射ロケット合体機関（２９Ｋ）は縮径主燃焼室兼熱交換器（１）に過熱蒸気噴射ノズル（６Ａ）とロケットノズル（９４ｂ）とロケット翼（３８ａ）と操縦室（１０ｂ）と制御室（２０）を具備して超臨界圧力過熱蒸気爆発力により１以上の水を混合噴射する水噴射ロケット合体機関
【請求項１６５０】
固体燃料水噴射ロケット合体機関（２９Ｊ）は縮径主燃焼室兼熱交換器（１）に過熱蒸気噴射ノズル（６Ｈ）とロケットノズル（９４ｂ）とロケット翼（３８ａ）と操縦室（１０ｂ）と制御室（２０）を具して超臨界圧力過熱蒸気爆発力により１以上の水を混合噴射する固体燃料水噴射ロケット合体機関
【請求項１６５１】
液体燃料水噴射ロケット合体機関（２９Ｉ）は縮径主燃焼室兼熱交換器（１）に過熱蒸気噴射ノズル（６Ｈ）とロケットノズル（９４ｂ）とロケット翼（３８ａ）と操縦室（１０ｂ）と制御室（２０）を具備して超臨界圧力過熱蒸気爆発力により１以上の水を混合噴射する液体燃料水噴射ロケット合体機関
【請求項１６５２】
水噴射ロケット合体機関（２９Ｋ）は縮径主燃焼室兼熱交換器（１）に過熱蒸気噴射ノズル（６Ａ）と過熱蒸気制御弁（２５Ｂ）とロケットノズル（９４ｂ）とロケット翼（３８ａ）と操縦室（１０ｂ）と制御室（２０）を具備して超臨界圧力過熱蒸気爆発力により１以上の水を混合噴射する水噴射ロケット合体機関
【請求項１６５３】
固体燃料水噴射ロケット合体機関（２９Ｊ）は縮径主燃焼室兼熱交換器（１）に過熱蒸気噴射ノズル（６Ｈ）と過熱蒸気制御弁（２５Ｂ）とロケットノズル（９４ｂ）とロケット翼（３８ａ）と操縦室（１０ｂ）と制御室（２０）を具備して超臨界圧力過熱蒸気爆発力により１以上の水を混合噴射する固体燃料水噴射ロケット合体機関
【請求項１６５４】
液体燃料水噴射ロケット合体機関（２９Ｉ）は縮径主燃焼室兼熱交換器（１）に過熱蒸気噴射ノズル（６Ｈ）と過熱蒸気制御弁（２５Ｂ）とロケットノズル（９４ｂ）とロケット翼（３８ａ）と操縦室（１０ｂ）と制御室（２０）を具備して超臨界圧力過熱蒸気爆発力により１以上の水を混合噴射する液体燃料水噴射ロケット合体機関
【請求項１６５５】
水噴射ロケット合体機関（２９Ｋ）は縮径主燃焼室兼熱交換器（１）に過熱蒸気噴射ノズル（６Ａ）と過熱蒸気制御弁（２５Ｂ）と高温水制御弁（２４Ｂ）とロケットノズル（９４ｂ）とロケット翼（３８ａ）と操縦室（１０ｂ）と制御室（２０）を具備して超臨界圧力過熱蒸気爆発力により１以上の水を混合噴射する水噴射ロケット合体機関
【請求項１６５６】
固体燃料水噴射ロケット合体機関（２９Ｊ）は縮径主燃焼室兼熱交換器（１）に過熱蒸気噴射ノズル（６Ｈ）と過熱蒸気制御弁（２５Ｂ）と高温水制御弁（２４Ｂ）兼燃焼ガス制御弁（２４Ａ）とロケットノズル（９４ｂ）とロケット翼（３８ａ）と操縦室（１０ｂ）と制御室（２０）を具備して超臨界圧力過熱蒸気爆発力により１以上の水を混合噴射する固体燃料水噴射ロケット合体機関
【請求項１６５７】
液体燃料水噴射ロケット合体機関（２９Ｉ）は縮径主燃焼室兼熱交換器（１）に過熱蒸気噴射ノズル（６Ｈ）と過熱蒸気制御弁（２５Ｂ）と高温水制御弁（２４Ｂ）兼燃焼ガス制御弁（２４Ａ）とロケットノズル（９４ｂ）とロケット翼（３８ａ）と操縦室（１０ｂ）と制御室（２０）を具備して超臨界圧力過熱蒸気爆発力により１以上の水を混合噴射する液体燃料水噴射ロケット合体機関
【請求項１６５８】
水噴射ロケット合体機関（２９Ｋ）は縮径主燃焼室兼熱交換器（１）と過熱蒸気噴射ノズル（６Ａ）に過熱蒸気制御弁（２５Ｂ）と高温水制御弁（２４Ｂ）と高温水導水管（３）の高温水制御弁（２４Ｂ）とロケットノズル（９４ｂ）とロケット翼（３８ａ）と操縦室（１０ｂと制御室（２０））を具備して超臨界圧力過熱蒸気爆発力により１以上の水を混合噴射する水噴射ロケット合体機関
【請求項１６５９】
固体燃料水噴射ロケット合体機関（２９Ｊ）は縮径主燃焼室兼熱交換器（１）と過熱蒸気噴射ノズル（６Ｈ）に過熱蒸気制御弁（２５Ｂ）と高温水制御弁（２４Ｂ）兼燃焼ガス制御弁（２４Ａ）と高温水導水管（３）の高温水制御弁（２４Ｂ）とロケット翼（３８ａ）とロケットノズル（９４ｂ）と操縦室（１０ｂ）と制御室（２０）を具備して超臨界圧力過熱蒸気爆発力により１以上の水を混合噴射する固体燃料水噴射ロケット合体機関
【請求項１６６０】
液体燃料水噴射ロケット合体機関（２９Ｉ）は縮径主燃焼室兼熱交換器（１）に過熱蒸気噴射ノズル（６Ｈ）と過熱蒸気制御弁（２５Ｂ）と高温水制御弁（２４Ｂ）兼燃焼ガス制御弁（２４Ａ）と高温水導水管（３）の高温水制御弁（２４Ｂ）とロケットノズル（９４ｂ）とロケット翼（３８ａ）と操縦室（１０ｂ）と制御室（２０）を具備して超臨界圧力過熱蒸気爆発力により１以上の水を混合噴射する液体燃料水噴射ロケット合体機関
【請求項１６６１】
水噴射ロケット合体機関（２９Ｋ）は縮径主燃焼室兼熱交換器（１）と過熱蒸気噴射ノズル（６Ａ）に過熱蒸気制御弁（２５Ｂ）と高温水制御弁（２４Ｂ）と高温水導水管（３）の高温水制御弁（２４Ｂ）とロケット外箱（７７Ｅ）内の高温水制御弁（２４Ｂ）とロケットノズル（９４ｂ）とロケット翼（３８ａ）と操縦室（１０ｂ）と制御室（２０）を具備して超臨界圧力過熱蒸気爆発力により１以上の水を混合噴射する水噴射ロケット合体機関
【請求項１６６２】
固体燃料水噴射ロケット合体機関（２９Ｊ）は縮径主燃焼室兼熱交換器（１）と過熱蒸気噴射ノズル（６Ｈ）に過熱蒸気制御弁（２５Ｂ）と高温水制御弁（２４Ｂ）兼燃焼ガス制御弁（２４Ａ）と高温水導水管（３）の高温水制御弁（２４Ｂ）とロケット外箱（７７Ｅ）内の高温水制御弁（２４Ｂ）とロケットノズル（９４ｂ）とロケット翼（３８ａ）と操縦室（１０ｂ）を具備して超臨界圧力過熱蒸気爆発力により１以上の水を混合噴射する固体燃料水噴射ロケット合体機関
【請求項１６６３】
液体燃料水噴射ロケット合体機関（２９Ｉ）は縮径主燃焼室兼熱交換器（１）に過熱蒸気噴射ノズル（６Ｈ）と過熱蒸気制御弁（２５Ｂ）と高温水制御弁（２４Ｂ）兼燃焼ガス制御弁（２４Ａ）と高温水導水管（３）の高温水制御弁（２４Ｂ）とロケット外箱（７７Ｅ）内の高温水制御弁（２４Ｂ）とロケットノズル（９４ｂ）とロケット翼（３８ａ）と操縦室（１０ｂ）と制御室（２０）を具備して超臨界圧力過熱蒸気爆発力により１以上の水を混合噴射する液体燃料水噴射ロケット合体機関
【請求項１６６４】
前記水噴射ロケット合体機関（２９Ｋ）に超臨界圧力過熱蒸気（５０）を搭載して噴射する水噴射ロケット合体機関。
【請求項１６６５】
前記固体燃料水噴射ロケット合体機関（２９Ｊ）に超臨界圧力過熱蒸気（５０）を搭載して噴射する固体燃料水噴射ロケット合体機関。
【請求項１６６６】
前記液体燃料水噴射ロケット合体機関（２９Ｉ）に超臨界圧力過熱蒸気（５０）を搭載して噴射する液体燃料水噴射ロケット合体機関。
【請求項１６６７】
前記水噴射ロケット合体機関（２９Ｋ）に超臨界圧力過熱蒸気（５０）を搭載して過熱蒸気制御弁（２５Ｂ）を開放制御して過熱蒸気噴射ノズル（６Ａ）より噴射する水噴射ロケット合体機関。
【請求項１６６８】
前記固体燃料水噴射ロケット合体機関（２９Ｊ）に超臨界圧力過熱蒸気（５０）を搭載して過熱蒸気制御弁（２５Ｂ）を開放制御して過熱蒸気燃焼ガス噴射ノズル（６Ｈ）より噴射する固体燃料水噴射ロケット合体機関。
【請求項１６６９】
前記液体燃料水噴射ロケット合体機関（２９Ｉ）に超臨界圧力過熱蒸気（５０）を搭載して過熱蒸気制御弁（２５Ｂ）を開放制御して過熱蒸気燃焼ガス噴射ノズル（６Ｈ）より噴射する液体燃料水噴射ロケット合体機関。
【請求項１６７０】
前記水噴射ロケット合体機関（２９Ｋ）に超臨界圧力過熱蒸気（５０）を搭載して過熱蒸気制御弁（２５Ｂ）を開放制御して過熱蒸気噴射ノズル（６Ａ）の超臨界圧力過熱蒸気爆発力により噴射する水噴射ロケット合体機関。
【請求項１６７１】
前記固体燃料水噴射ロケット合体機関（２９Ｊ）に超臨界圧力過熱蒸気（５０）を搭載して過熱蒸気制御弁（２５Ｂ）を開放制御して過熱蒸気燃焼ガス噴射ノズル（６Ｈ）の超臨界圧力過熱蒸気爆発力により噴射する固体燃料水噴射ロケット合体機関。
【請求項１６７２】
前記液体燃料水噴射ロケット合体機関（２９Ｉ）に超臨界圧力過熱蒸気（５０）を搭載して過熱蒸気制御弁（２５Ｂ）を開放制御して過熱蒸気燃焼ガス噴射ノズル（６Ｈ）の超臨界圧力過熱蒸気爆発力により噴射する液体燃料水噴射ロケット合体機関。
【請求項１６７３】
前記水噴射ロケット合体機関（２９Ｋ）に超臨界圧力過熱蒸気（５０）＋高温水（５２ｂ）を搭載して噴射する水噴射ロケット合体機関。
【請求項１６７４】
前記固体燃料水噴射ロケット合体機関（２９Ｊ）に超臨界圧力過熱蒸気（５０）＋高温水（５２ｂ）を搭載して噴射する固体燃料水噴射ロケット合体機関。
【請求項１６７５】
前記液体燃料水噴射ロケット合体機関（２９Ｉ）に超臨界圧力過熱蒸気（５０）＋高温水（５２ｂ）を搭載して噴射する液体燃料水噴射ロケット合体機関。
【請求項１６７６】
前記水噴射ロケット合体機関（２９Ｋ）に超臨界圧力過熱蒸気（５０）＋高温水（５２ｂ）を搭載して過熱蒸気制御弁（２５Ｂ）を開放制御して過熱蒸気噴射ノズル（６Ａ）より噴射する水噴射ロケット合体機関。
【請求項１６７７】
前記固体燃料水噴射ロケット合体機関（２９Ｊ）に超臨界圧力過熱蒸気（５０）＋高温水（５２ｂ）を搭載して過熱蒸気制御弁（２５Ｂ）を開放制御して過熱蒸気燃焼ガス噴射ノズル（６Ｈ）より噴射する固体燃料水噴射ロケット合体機関。
【請求項１６７８】
前記液体燃料水噴射ロケット合体機関（２９Ｉ）に超臨界圧力過熱蒸気（５０）＋高温水（５２ｂ）を搭載して過熱蒸気制御弁（２５Ｂ）を開放制御して過熱蒸気燃焼ガス噴射ノズル（６Ｈ）より噴射する液体燃料水噴射ロケット合体機関。
【請求項１６７９】
前記水噴射ロケット合体機関（２９Ｋ）に超臨界圧力過熱蒸気（５０）＋高温水（５２ｂ）を搭載して過熱蒸気制御弁（２５Ｂ）を開放制御して過熱蒸気噴射ノズル（６Ａ）の超臨界圧力過熱蒸気爆発力により噴射する水噴射ロケット合体機関。
【請求項１６８０】
前記固体燃料水噴射ロケット合体機関（２９Ｊ）に超臨界圧力過熱蒸気（５０）＋高温水（５２ｂ）を搭載して過熱蒸気制御弁（２５Ｂ）を開放制御して過熱蒸気燃焼ガス噴射ノズル（６Ｈ）の超臨界圧力過熱蒸気爆発力により噴射する固体燃料水噴射ロケット合体機関。
【請求項１６８１】
前記液体燃料水噴射ロケット合体機関（２９Ｉ）に超臨界圧力過熱蒸気（５０）＋高温水（５２ｂ）を搭載して過熱蒸気制御弁（２５Ｂ）を開放制御して過熱蒸気燃焼ガス噴射ノズル（６Ｈ）の超臨界圧力過熱蒸気爆発力により噴射する液体燃料水噴射ロケット合体機関。
【請求項１６８２】
前記水噴射ロケット合体機関（２９Ｋ）に超臨界圧力過熱蒸気（５０）＋高温水（５２ｂ）を搭載して過熱蒸気制御弁（２５Ｂ）＋高温水制御弁（２４Ｂ）を開放制御して過熱蒸気噴射ノズル（６Ａ）より噴射する水噴射ロケット合体機関。
【請求項１６８３】
前記固体燃料水噴射ロケット合体機関（２９Ｊ）に超臨界圧力過熱蒸気（５０）＋高温水（５２ｂ）を搭載して過熱蒸気制御弁（２５Ｂ）を開放制御して過熱蒸気燃焼ガス噴射ノズル（６Ｈ）より噴射する固体燃料水噴射ロケット合体機関。
【請求項１６８４】
前記液体燃料水噴射ロケット合体機関（２９Ｉ）に超臨界圧力過熱蒸気（５０）＋高温水（５２ｂ）を搭載して過熱蒸気制御弁（２５Ｂ）を開放制御して過熱蒸気燃焼ガス噴射ノズル（６Ｈ）より噴射する液体燃料水噴射ロケット合体機関。
【請求項１６８５】
前記水噴射ロケット合体機関（２９Ｋ）に超臨界圧力過熱蒸気（５０）＋高温水（５２ｂ）を搭載して過熱蒸気制御弁（２５Ｂ）を開放制御して過熱蒸気噴射ノズル（６Ａ）の超臨界圧力過熱蒸気爆発力と霧吹きの原理により、１以上の高温水を混合噴射加速する水噴射ロケット合体機関。
【請求項１６８６】
前記固体燃料水噴射ロケット合体機関（２９Ｊ）に超臨界圧力過熱蒸気（５０）＋高温水（５２ｂ）を搭載して過熱蒸気制御弁（２５Ｂ）を開放制御して過熱蒸気燃焼ガス噴射ノズル（６Ｈ）の超臨界圧力過熱蒸気爆発力と霧吹きの原理により、１以上の高温水を混合噴射加速する固体燃料水噴射ロケット合体機関。
【請求項１６８７】
前記液体燃料水噴射ロケット合体機関（２９Ｉ）に超臨界圧力過熱蒸気（５０）＋高温水（５２ｂ）を搭載して過熱蒸気制御弁（２５Ｂ）を開放制御して過熱蒸気燃焼ガス噴射ノズル（６Ｈ）の超臨界圧力過熱蒸気爆発力と霧吹きの原理により、１以上の高温水を混合噴射加速する液体燃料水噴射ロケット合体機関。
【請求項１６８８】
前記水噴射ロケット合体機関（２９Ｋ）に超臨界圧力過熱蒸気（５０）＋高温水（５２ｂ）を搭載して過熱蒸気制御弁（２５Ｂ）を開放制御して過熱蒸気噴射ノズル（６Ａ）の超臨界圧力過熱蒸気爆発力と霧吹きの原理により、１以上の高温水を混合噴射加速してロケットノズル（９４ｂ）より噴射する水噴射ロケット合体機関。
【請求項１６８９】
前記固体燃料水噴射ロケット合体機関（２９Ｊ）に超臨界圧力過熱蒸気（５０）＋高温水（５２ｂ）を搭載して過熱蒸気制御弁（２５Ｂ）を開放制御して過熱蒸気燃焼ガス噴射ノズル（６Ｈ）の超臨界圧力過熱蒸気爆発力と霧吹きの原理により、１以上の高温水を混合噴射加速してロケットノズル（９４ｂ）より噴射する固体燃料水噴射ロケット合体機関。
【請求項１６９０】
前記液体燃料水噴射ロケット合体機関（２９Ｉ）に超臨界圧力過熱蒸気（５０）＋高温水（５２ｂ）を搭載して過熱蒸気制御弁（２５Ｂ）を開放制御して過熱蒸気燃焼ガス噴射ノズル（６Ｈ）の超臨界圧力過熱蒸気爆発力と霧吹きの原理により、１以上の高温水を混合噴射加速してロケットノズル（９４ｂ）より噴射する液体燃料水噴射ロケット合体機関。
【請求項１６９１】
前記宇宙往還親飛行機より発射する水噴射ロケット合体機関（２９Ｋ）に超臨界圧力過熱蒸気（５０）を搭載して噴射する水噴射ロケット合体機関。
【請求項１６９２】
前記宇宙往還親飛行機より発射する固体燃料水噴射ロケット合体機関（２９Ｊ）に超臨界圧力過熱蒸気（５０）を搭載して噴射する固体燃料水噴射ロケット合体機関。
【請求項１６９３】
前記宇宙往還親飛行機より発射する液体燃料水噴射ロケット合体機関（２９Ｉ）に超臨界圧力過熱蒸気（５０）を搭載して噴射する液体燃料水噴射ロケット合体機関。
【請求項１６９４】
前記宇宙往還親飛行機より発射する水噴射ロケット合体機関（２９Ｋ）に超臨界圧力過熱蒸気（５０）を搭載して過熱蒸気制御弁（２５Ｂ）を開放制御して過熱蒸気噴射ノズル（６Ａ）より噴射する水噴射ロケット合体機関。
【請求項１６９５】
前記宇宙往還親飛行機より発射する固体燃料水噴射ロケット合体機関（２９Ｊ）に超臨界圧力過熱蒸気（５０）を搭載して過熱蒸気制御弁（２５Ｂ）を開放制御して過熱蒸気燃焼ガス噴射ノズル（６Ｈ）より噴射する固体燃料水噴射ロケット合体機関。
【請求項１６９６】
前記宇宙往還親飛行機より発射する液体燃料水噴射ロケット合体機関（２９Ｉ）に超臨界圧力過熱蒸気（５０）を搭載して過熱蒸気制御弁（２５Ｂ）を開放制御して過熱蒸気燃焼ガス噴射ノズル（６Ｈ）より噴射する液体燃料水噴射ロケット合体機関。
【請求項１６９７】
前記宇宙往還親飛行機より発射する水噴射ロケット合体機関（２９Ｋ）に超臨界圧力過熱蒸気（５０）を搭載して過熱蒸気制御弁（２５Ｂ）を開放制御して過熱蒸気噴射ノズル（６Ａ）の超臨界圧力過熱蒸気爆発力により噴射する水噴射ロケット合体機関。
【請求項１６９８】
前記宇宙往還親飛行機より発射する固体燃料水噴射ロケット合体機関（２９Ｊ）に超臨界圧力過熱蒸気（５０）を搭載して過熱蒸気制御弁（２５Ｂ）を開放制御して過熱蒸気燃焼ガス噴射ノズル（６Ｈ）の超臨界圧力過熱蒸気爆発力により噴射する固体燃料水噴射ロケット合体機関。
【請求項１６９９】
前記宇宙往還親飛行機より発射する液体燃料水噴射ロケット合体機関（２９Ｉ）に超臨界圧力過熱蒸気（５０）を搭載して過熱蒸気制御弁（２５Ｂ）を開放制御して過熱蒸気燃焼ガス噴射ノズル（６Ｈ）の超臨界圧力過熱蒸気爆発力により噴射する液体燃料水噴射ロケット合体機関。
【請求項１７００】
前記宇宙往還親飛行機より発射する水噴射ロケット合体機関（２９Ｋ）に超臨界圧力過熱蒸気（５０）＋高温水（５２ｂ）を搭載して噴射する水噴射ロケット合体機関。
【請求項１７０１】
前記宇宙往還親飛行機より発射する固体燃料水噴射ロケット合体機関（２９Ｊ）に超臨界圧力過熱蒸気（５０）＋高温水（５２ｂ）を搭載して噴射する固体燃料水噴射ロケット合体機関。
【請求項１７０２】
前記宇宙往還親飛行機より発射する液体燃料水噴射ロケット合体機関（２９Ｉ）に超臨界圧力過熱蒸気（５０）＋高温水（５２ｂ）を搭載して噴射する液体燃料水噴射ロケット合体機関。
【請求項１７０３】
前記宇宙往還親飛行機より発射する水噴射ロケット合体機関（２９Ｋ）に超臨界圧力過熱蒸気（５０）＋高温水（５２ｂ）を搭載して過熱蒸気制御弁（２５Ｂ）を開放制御して過熱蒸気噴射ノズル（６Ａ）より噴射する水噴射ロケット合体機関。
【請求項１７０４】
前記宇宙往還親飛行機より発射する固体燃料水噴射ロケット合体機関（２９Ｊ）に超臨界圧力過熱蒸気（５０）＋高温水（５２ｂ）を搭載して過熱蒸気制御弁（２５Ｂ）を開放制御して過熱蒸気燃焼ガス噴射ノズル（６Ｈ）より噴射する固体燃料水噴射ロケット合体機関。
【請求項１７０５】
前記宇宙往還親飛行機より発射する液体燃料水噴射ロケット合体機関（２９Ｉ）に超臨界圧力過熱蒸気（５０）＋高温水（５２ｂ）を搭載して過熱蒸気制御弁（２５Ｂ）を開放制御して過熱蒸気燃焼ガス噴射ノズル（６Ｈ）より噴射する液体燃料水噴射ロケット合体機関。
【請求項１７０６】
前記宇宙往還親飛行機より発射する水噴射ロケット合体機関（２９Ｋ）に超臨界圧力過熱蒸気（５０）＋高温水（５２ｂ）を搭載して過熱蒸気制御弁（２５Ｂ）を開放制御して過熱蒸気噴射ノズル（６Ａ）の超臨界圧力過熱蒸気爆発力により噴射する水噴射ロケット合体機関。
【請求項１７０７】
前記宇宙往還親飛行機より発射する固体燃料水噴射ロケット合体機関（２９Ｊ）に超臨界圧力過熱蒸気（５０）＋高温水（５２ｂ）を搭載して過熱蒸気制御弁（２５Ｂ）を開放制御して過熱蒸気燃焼ガス噴射ノズル（６Ｈ）の超臨界圧力過熱蒸気爆発力により噴射する固体燃料水噴射ロケット合体機関。
【請求項１７０８】
前記宇宙往還親飛行機より発射する液体燃料水噴射ロケット合体機関（２９Ｉ）に超臨界圧力過熱蒸気（５０）＋高温水（５２ｂ）を搭載して過熱蒸気制御弁（２５Ｂ）を開放制御して過熱蒸気燃焼ガス噴射ノズル（６Ｈ）の超臨界圧力過熱蒸気爆発力により噴射する液体燃料水噴射ロケット合体機関。
【請求項１７０９】
前記宇宙往還親飛行機より発射する水噴射ロケット合体機関（２９Ｋ）に超臨界圧力過熱蒸気（５０）＋高温水（５２ｂ）を搭載して過熱蒸気制御弁（２５Ｂ）＋高温水制御弁（２４Ｂ）を開放制御して過熱蒸気噴射ノズル（６Ａ）より噴射する水噴射ロケット合体機関。
【請求項１７１０】
前記宇宙往還親飛行機より発射する固体燃料水噴射ロケット合体機関（２９Ｊ）に超臨界圧力過熱蒸気（５０）＋高温水（５２ｂ）を搭載して過熱蒸気制御弁（２５Ｂ）を開放制御して過熱蒸気燃焼ガス噴射ノズル（６Ｈ）より噴射する固体燃料水噴射ロケット合体機関。
【請求項１７１１】
前記宇宙往還親飛行機より発射する液体燃料水噴射ロケット合体機関（２９Ｉ）に超臨界圧力過熱蒸気（５０）＋高温水（５２ｂ）を搭載して過熱蒸気制御弁（２５Ｂ）を開放制御して過熱蒸気燃焼ガス噴射ノズル（６Ｈ）より噴射する液体燃料水噴射ロケット合体機関。
【請求項１７１２】
前記宇宙往還親飛行機より発射する水噴射ロケット合体機関（２９Ｋ）に超臨界圧力過熱蒸気（５０）＋高温水（５２ｂ）を搭載して過熱蒸気制御弁（２５Ｂ）を開放制御して過熱蒸気噴射ノズル（６Ａ）の超臨界圧力過熱蒸気爆発力と霧吹きの原理により、１以上の高温水を混合噴射加速する水噴射ロケット合体機関。
【請求項１７１３】
前記宇宙往還親飛行機より発射する固体燃料水噴射ロケット合体機関（２９Ｊ）に超臨界圧力過熱蒸気（５０）＋高温水（５２ｂ）を搭載して過熱蒸気制御弁（２５Ｂ）を開放制御して過熱蒸気燃焼ガス噴射ノズル（６Ｈ）の超臨界圧力過熱蒸気爆発力と霧吹きの原理により、１以上の高温水を混合噴射加速する固体燃料水噴射ロケット合体機関。
【請求項１７１４】
前記宇宙往還親飛行機より発射する液体燃料水噴射ロケット合体機関（２９Ｉ）に超臨界圧力過熱蒸気（５０）＋高温水（５２ｂ）を搭載して過熱蒸気制御弁（２５Ｂ）を開放制御して過熱蒸気燃焼ガス噴射ノズル（６Ｈ）の超臨界圧力過熱蒸気爆発力と霧吹きの原理により、１以上の高温水を混合噴射加速する液体燃料水噴射ロケット合体機関。
【請求項１７１５】
前記宇宙往還親飛行機より発射する水噴射ロケット合体機関（２９Ｋ）に超臨界圧力過熱蒸気（５０）＋高温水（５２ｂ）を搭載して過熱蒸気制御弁（２５Ｂ）を開放制御して過熱蒸気噴射ノズル（６Ａ）の超臨界圧力過熱蒸気爆発力と霧吹きの原理により、１以上の高温水を混合噴射加速してロケットノズル（９４ｂ）より噴射する水噴射ロケット合体機関。
【請求項１７１６】
前記宇宙往還親飛行機より発射する固体燃料水噴射ロケット合体機関（２９Ｊ）に超臨界圧力過熱蒸気（５０）＋高温水（５２ｂ）を搭載して過熱蒸気制御弁（２５Ｂ）を開放制御して過熱蒸気燃焼ガス噴射ノズル（６Ｈ）の超臨界圧力過熱蒸気爆発力と霧吹きの原理により、１以上の高温水を混合噴射加速してロケットノズル（９４ｂ）より噴射する固体燃料水噴射ロケット合体機関。
【請求項１７１７】
前記宇宙往還親飛行機より発射する液体燃料水噴射ロケット合体機関（２９Ｉ）に超臨界圧力過熱蒸気（５０）＋高温水（５２ｂ）を搭載して過熱蒸気制御弁（２５Ｂ）を開放制御して過熱蒸気燃焼ガス噴射ノズル（６Ｈ）の超臨界圧力過熱蒸気爆発力と霧吹きの原理により、１以上の高温水を混合噴射加速してロケットノズル（９４ｂ）より噴射する液体燃料水噴射ロケット合体機関。
【請求項１７１８】
前記ジェット兼ロケット噴射部（７７Ｋ）のジェット兼ロケット外箱（７７Ｆ）＋筒形外箱（７７ｂ）をカーボンナノチューブ等で軽量化したジェット兼ロケット合体機関。
【請求項１７１９】
前記ジェット兼ロケット合体機関燃焼部（２９）をカーボンナノチューブ等で軽量化したジェット兼ロケット合体機関。
【請求項１７２０】
前記ジェット兼ロケット合体機関燃焼部（２９）の弾み車蒸気タービン（８ｂ）＋弾み車ガスタービン（８ａ）をカーボンナノチューブ等で軽量化したジェット兼ロケット合体機関。
【請求項１７２１】
前記過熱蒸気導水管（２５ａ）＋燃焼ガス管（２４ａ）＋導水管（３）をカーボンナノチューブ等で軽量化高圧化したジェット兼ロケット合体機関。
【請求項１７２２】
前記過熱蒸気噴射ノズル（６Ａ）＋燃焼ガス噴射ノズル（６Ｃ）＋霧吹きの原理（１１１ａ）＋霧吹きの原理（１１１ｂ）をカーボンナノチューブ等で軽量化高圧化したジェット兼ロケット合体機関。
【請求項１７２３】
前記過熱蒸気噴射ノズル（６Ａ）＋燃焼ガス噴射ノズル（６Ｃ）をカーボンナノチューブ等で軽量化高圧化したジェット兼ロケット合体機関。
【請求項１７２４】
前記過熱蒸気導水管（２５ａ）＋燃焼ガス管（２４ａ）＋導水管（３）をカーボンナノチューブ等で軽量化高圧化して１００ＭＰａ以上の、過熱蒸気＋燃焼ガス＋高温水を搭載噴射可能としたジェット兼ロケット合体機関。
【請求項１７２５】
前記過熱蒸気噴射ノズル（６Ａ）＋燃焼ガス噴射ノズル（６Ｃ）＋霧吹きの原理（１１１ａ）＋霧吹きの原理（１１１ｂ）をカーボンナノチューブ等で軽量化高圧化して１００ＭＰａ以上の、過熱蒸気＋燃焼ガス＋高温水を搭載噴射可能としたジェット兼ロケット合体機関。
【請求項１７２６】
前記過熱蒸気噴射ノズル（６Ａ）＋燃焼ガス噴射ノズル（６Ｃ）をカーボンナノチューブ等で軽量化高圧化して１００ＭＰａ以上の、過熱蒸気＋燃焼ガス＋高温水を搭載噴射可能としたジェット兼ロケット合体機関。
【請求項１７２７】
前記過熱蒸気導水管（２５ａ）＋燃焼ガス管（２４ａ）＋導水管（３）をカーボンナノチューブ等で軽量化高圧化して１００ＭＰａ以下の、過熱蒸気＋燃焼ガス＋高温水を搭載噴射可能としたジェット兼ロケット合体機関。
【請求項１７２８】
前記過熱蒸気噴射ノズル（６Ａ）＋燃焼ガス噴射ノズル（６Ｃ）＋霧吹きの原理（１１１ａ）＋霧吹きの原理（１１１ｂ）をカーボンナノチューブ等で軽量化高圧化して１００ＭＰａ以下の、過熱蒸気＋燃焼ガス＋高温水を搭載噴射可能としたジェット兼ロケット合体機関。
【請求項１７２９】
前記過熱蒸気噴射ノズル（６Ａ）＋燃焼ガス噴射ノズル（６Ｃ）をカーボンナノチューブ等で軽量化高圧化して１００ＭＰａ以下の、過熱蒸気＋燃焼ガス＋高温水を搭載噴射可能としたジェット兼ロケット合体機関。
【請求項１７３０】
前記過熱蒸気導水管（２５ａ）＋燃焼ガス管（２４ａ）＋導水管（３）をカーボンナノチューブ等で軽量化高圧化して６０ＭＰａ以下の、過熱蒸気＋燃焼ガス＋高温水を搭載噴射可能としたジェット兼ロケット合体機関。
【請求項１７３１】
前記過熱蒸気噴射ノズル（６Ａ）＋燃焼ガス噴射ノズル（６Ｃ）＋霧吹きの原理（１１１ａ）＋霧吹きの原理（１１１ｂ）をカーボンナノチューブ等で軽量化高圧化して６０ＭＰａ以下の、過熱蒸気＋燃焼ガス＋高温水を搭載噴射可能としたジェット兼ロケット合体機関。
【請求項１７３２】
前記過熱蒸気噴射ノズル（６Ａ）＋燃焼ガス噴射ノズル（６Ｃ）をカーボンナノチューブ等で軽量化高圧化して６０ＭＰａ以下の、過熱蒸気＋燃焼ガス＋高温水を搭載噴射可能としたジェット兼ロケット合体機関。
【請求項１７３３】
前記過熱蒸気導水管（２５ａ）＋燃焼ガス管（２４ａ）＋導水管（３）をカーボンナノチューブ等で軽量化高圧化して３０ＭＰａ以下の、過熱蒸気＋燃焼ガス＋高温水を搭載噴射可能としたジェット兼ロケット合体機関。
【請求項１７３４】
前記過熱蒸気噴射ノズル（６Ａ）＋燃焼ガス噴射ノズル（６Ｃ）＋霧吹きの原理（１１１ａ）＋霧吹きの原理（１１１ｂ）をカーボンナノチューブ等で軽量化高圧化して３０ＭＰａ以下の、過熱蒸気＋燃焼ガス＋高温水を搭載噴射可能としたジェット兼ロケット合体機関。
【請求項１７３５】
前記過熱蒸気噴射ノズル（６Ａ）＋燃焼ガス噴射ノズル（６Ｃ）をカーボンナノチューブ等で軽量化高圧化して３０ＭＰａ以下の、過熱蒸気＋燃焼ガス＋高温水を搭載噴射可能としたジェット兼ロケット合体機関。
【請求項１７３６】
前記過熱蒸気導水管（２５ａ）＋燃焼ガス管（２４ａ）＋導水管（３）をカーボンナノチューブ等で軽量化高圧化して最適圧力の、過熱蒸気＋燃焼ガス＋高温水を搭載噴射可能としたジェット兼ロケット合体機関。
【請求項１７３７】
前記過熱蒸気噴射ノズル（６Ａ）＋燃焼ガス噴射ノズル（６Ｃ）＋霧吹きの原理（１１１ａ）＋霧吹きの原理（１１１ｂ）をカーボンナノチューブ等で軽量化高圧化して最適圧力の、過熱蒸気＋燃焼ガス＋高温水を搭載噴射可能としたジェット兼ロケット合体機関。
【請求項１７３８】
前記過熱蒸気噴射ノズル（６Ａ）＋燃焼ガス噴射ノズル（６Ｃ）をカーボンナノチューブ等で軽量化高圧化して最適圧力の、過熱蒸気＋燃焼ガス＋高温水を搭載噴射可能としたジェット兼ロケット合体機関。
【請求項１７３９】
前記過熱蒸気導水管（２５ａ）＋燃焼ガス管（２４ａ）＋導水管（３）をカーボンナノチューブ等で軽量化高圧化して１００ＭＰａ以上の、過熱蒸気＋燃焼ガス＋高温水を容器耐圧に合せて搭載噴射可能としたジェット兼ロケット合体機関。
【請求項１７４０】
前記過熱蒸気噴射ノズル（６Ａ）＋燃焼ガス噴射ノズル（６Ｃ）＋霧吹きの原理（１１１ａ）＋霧吹きの原理（１１１ｂ）をカーボンナノチューブ等で軽量化高圧化して１００ＭＰａ以上の、過熱蒸気＋燃焼ガス＋高温水を容器耐圧に合せて搭載噴射可能としたジェット兼ロケット合体機関。
【請求項１７４１】
前記過熱蒸気噴射ノズル（６Ａ）＋燃焼ガス噴射ノズル（６Ｃ）をカーボンナノチューブ等で軽量化高圧化して１００ＭＰａ以上の、過熱蒸気＋燃焼ガス＋高温水を容器耐圧に合せて搭載噴射可能としたジェット兼ロケット合体機関。
【請求項１７４２】
前記過熱蒸気導水管（２５ａ）＋燃焼ガス管（２４ａ）＋導水管（３）をカーボンナノチューブ等で軽量化高圧化して１００ＭＰａ以下の、過熱蒸気＋燃焼ガス＋高温水を容器耐圧に合せて搭載噴射可能としたジェット兼ロケット合体機関。
【請求項１７４３】
前記過熱蒸気噴射ノズル（６Ａ）＋燃焼ガス噴射ノズル（６Ｃ）＋霧吹きの原理（１１１ａ）＋霧吹きの原理（１１１ｂ）をカーボンナノチューブ等で軽量化高圧化して１００ＭＰａ以下の、過熱蒸気＋燃焼ガス＋高温水を容器耐圧に合せて搭載噴射可能としたジェット兼ロケット合体機関。
【請求項１７４４】
前記過熱蒸気噴射ノズル（６Ａ）＋燃焼ガス噴射ノズル（６Ｃ）をカーボンナノチューブ等で軽量化高圧化して１００ＭＰａ以下の、過熱蒸気＋燃焼ガス＋高温水を容器耐圧に合せて搭載噴射可能としたジェット兼ロケット合体機関。
【請求項１７４５】
前記過熱蒸気導水管（２５ａ）＋燃焼ガス管（２４ａ）＋導水管（３）をカーボンナノチューブ等で軽量化高圧化して６０ＭＰａ以下の、過熱蒸気＋燃焼ガス＋高温水を容器耐圧に合せて搭載噴射可能としたジェット兼ロケット合体機関。
【請求項１７４６】
前記過熱蒸気噴射ノズル（６Ａ）＋燃焼ガス噴射ノズル（６Ｃ）＋霧吹きの原理（１１１ａ）＋霧吹きの原理（１１１ｂ）をカーボンナノチューブ等で軽量化高圧化して６０ＭＰａ以下の、過熱蒸気＋燃焼ガス＋高温水を容器耐圧に合せて搭載噴射可能としたジェット兼ロケット合体機関。
【請求項１７４７】
前記過熱蒸気噴射ノズル（６Ａ）＋燃焼ガス噴射ノズル（６Ｃ）をカーボンナノチューブ等で軽量化高圧化して６０ＭＰａ以下の、過熱蒸気＋燃焼ガス＋高温水を容器耐圧に合せて搭載噴射可能としたジェット兼ロケット合体機関。
【請求項１７４８】
前記過熱蒸気導水管（２５ａ）＋燃焼ガス管（２４ａ）＋導水管（３）をカーボンナノチューブ等で軽量化高圧化して３０ＭＰａ以下の、過熱蒸気＋燃焼ガス＋高温水を容器耐圧に合せて搭載噴射可能としたジェット兼ロケット合体機関。
【請求項１７４９】
前記過熱蒸気噴射ノズル（６Ａ）＋燃焼ガス噴射ノズル（６Ｃ）＋霧吹きの原理（１１１ａ）＋霧吹きの原理（１１１ｂ）をカーボンナノチューブ等で軽量化高圧化して３０ＭＰａ以下の、過熱蒸気＋燃焼ガス＋高温水を容器耐圧に合せて搭載噴射可能としたジェット兼ロケット合体機関。
【請求項１７５０】
前記過熱蒸気噴射ノズル（６Ａ）＋燃焼ガス噴射ノズル（６Ｃ）をカーボンナノチューブ等で軽量化高圧化して３０ＭＰａ以下の、過熱蒸気＋燃焼ガス＋高温水を容器耐圧に合せて搭載噴射可能としたジェット兼ロケット合体機関。
【請求項１７５１】
前記過熱蒸気導水管（２５ａ）＋燃焼ガス管（２４ａ）＋導水管（３）をカーボンナノチューブ等で軽量化高圧化して最適圧力の、過熱蒸気＋燃焼ガス＋高温水を容器耐圧に合せて搭載噴射可能としたジェット兼ロケット合体機関。
【請求項１７５２】
前記過熱蒸気噴射ノズル（６Ａ）＋燃焼ガス噴射ノズル（６Ｃ）＋霧吹きの原理（１１１ａ）＋霧吹きの原理（１１１ｂ）をカーボンナノチューブ等で軽量化高圧化して最適圧力の、過熱蒸気＋燃焼ガス＋高温水を容器耐圧に合せて搭載噴射可能としたジェット兼ロケット合体機関。
【請求項１７５３】
前記過熱蒸気噴射ノズル（６Ａ）＋燃焼ガス噴射ノズル（６Ｃ）をカーボンナノチューブ等で軽量化高圧化して最適圧力の、過熱蒸気＋燃焼ガス＋高温水を容器耐圧に合せて搭載噴射可能としたジェット兼ロケット合体機関。
【請求項１７５４】
前記宇宙往還親飛行機より水噴射ロケット合体機関を発射するジェット兼ロケット合体機関。
【請求項１７５５】
前記宇宙往還親飛行機より固体燃料水噴射ロケット合体機関を発射するジェット兼ロケット合体機関。
【請求項１７５６】
前記宇宙往還親飛行機より液体燃料水噴射ロケット合体機関を発射するジェット兼ロケット合体機関。
【請求項１７５７】
前記宇宙往還親飛行機より既存技術の各種ロケットを発射するジェット兼ロケット合体機関。
【請求項１７５８】
前記宇宙往還親飛行機より既存技術の各種人口衛星を発射するジェット兼ロケット合体機関。
【請求項１７５９】
前記宇宙往還親飛行機より各種ロケットを発射するジェット兼ロケット合体機関。
【請求項１７６０】
前記宇宙往還親飛行機より各種人口衛星を発射するジェット兼ロケット合体機関。
【請求項１７６１】
前記宇宙往還親飛行機より水噴射ロケット合体機関を切り離すジェット兼ロケット合体機関。
【請求項１７６２】
前記宇宙往還親飛行機より固体燃料水噴射ロケット合体機関を切り離すジェット兼ロケット合体機関。
【請求項１７６３】
前記宇宙往還親飛行機より液体燃料水噴射ロケット合体機関を切り離すジェット兼ロケット合体機関。
【請求項１７６４】
前記宇宙往還親飛行機より既存技術の各種ロケットを切り離すジェット兼ロケット合体機関。
【請求項１７６５】
前記宇宙往還親飛行機より既存技術の各種人口衛星を切り離すジェット兼ロケット合体機関。
【請求項１７６６】
前記宇宙往還親飛行機より各種ロケットを切り離すジェット兼ロケット合体機関。
【請求項１７６７】
前記宇宙往還親飛行機より各種人口衛星を切り離すジェット兼ロケット合体機関。
【請求項１７６８】
前記Ａ型ジェット兼ロケット合体機関燃焼部（２９Ａ）に換えてＢ型ジェット兼ロケット合体機関燃焼部（２９Ｂ）を使用するジェット兼ロケット合体機関。
【請求項１７６９】
前記Ａ型ジェット兼ロケット合体機関燃焼部（２９Ａ）に換えてＣ型ジェット兼ロケット合体機関燃焼部（２９Ｃ）を使用するジェット兼ロケット合体機関。
【請求項１７７０】
前記Ａ型ジェット兼ロケット合体機関燃焼部（２９Ａ）に換えてＤ型ジェット兼ロケット合体機関燃焼部（２９Ｄ）を使用するジェット兼ロケット合体機関。
【請求項１７７１】
前記Ａ型ジェット兼ロケット合体機関燃焼部（２９Ａ）に換えてＥ型ジェット兼ロケット合体機関燃焼部（２９Ｅ）を使用するジェット兼ロケット合体機関。
【請求項１７７２】
前記Ａ型ジェット兼ロケット合体機関燃焼部（２９Ａ）に換えてＦ型ジェット兼ロケット合体機関燃焼部（２９Ｆ）を使用するジェット兼ロケット合体機関。
【請求項１７７３】
前記Ａ型ジェット兼ロケット合体機関燃焼部（２９Ａ）に換えてＧ型ジェット兼ロケット合体機関燃焼部（２９Ｇ）を使用するジェット兼ロケット合体機関。
【請求項１７７４】
前記Ａ型ジェット兼ロケット合体機関燃焼部（２９Ａ）に換えてＨ型ジェット兼ロケット合体機関燃焼部（２９Ｈ）を使用するジェット兼ロケット合体機関。
【請求項１７７５】
前記Ａ型エネルギ保存サイクル合体機関に換えてＢ型エネルギ保存サイクル合体機関を使用する各種ロケット合体機関。
【請求項１７７６】
前記Ａ型エネルギ保存サイクル合体機関に換えてＣ型エネルギ保存サイクル合体機関を使用する各種ロケット合体機関。
【請求項１７７７】
前記Ａ型エネルギ保存サイクル合体機関に換えてＤ型エネルギ保存サイクル合体機関を使用する各種ロケット合体機関。
【請求項１７７８】
前記Ａ型エネルギ保存サイクル合体機関に換えてＥ型エネルギ保存サイクル合体機関を使用する各種ロケット合体機関。
【請求項１７７９】
前記Ａ型エネルギ保存サイクル合体機関に換えてＦ型エネルギ保存サイクル合体機関を使用する各種ロケット合体機関。
【請求項１７８０】
前記Ａ型エネルギ保存サイクル合体機関に換えてＧ型エネルギ保存サイクル合体機関を使用する各種ロケット合体機関。
【請求項１７８１】
前記Ａ型エネルギ保存サイクル合体機関に換えてＨ型エネルギ保存サイクル合体機関を使用する各種ロケット合体機関。
【請求項１７８２】
前記過熱蒸気噴射ノズル（６Ａ）に換えて過熱蒸気噴射ノズル（６Ｂ）を使用する各種ロケット合体機関。
【請求項１７８３】
前記過熱蒸気噴射ノズル（６Ａ）に換えて過熱蒸気噴射ノズル（６Ｉ）を使用する各種ロケット合体機関。
【請求項１７８４】
前記燃焼ガス噴射ノズル（６Ｃ）に換えて燃焼ガス噴射ノズル（６Ｄ）を使用する各種ロケット合体機関。
【請求項１７８５】
前記燃焼ガス噴射ノズル（６Ｃ）に換えて燃焼ガス噴射ノズル（６Ｊ）を使用する各種ロケット合体機関。
【請求項１７８６】
前記超臨界圧力過熱蒸気（５０）に換えて過熱蒸気（５０）を使用する各種ロケット合体機関。
【請求項１７８７】
前記超臨界圧力過熱蒸気（５０）に換えて高温水（５２ｂ）を使用する各種ロケット合体機関。
【請求項１７８８】
前記過熱蒸気（５０）に換えて高温水（５２ｂ）を使用する各種ロケット合体機関。
【請求項１７８９】
前記超臨界圧力過熱蒸気（５０）に換えて過熱蒸気（５０）を使用する各種ジェット兼ロケット合体機関。
【請求項１７９０】
前記超臨界圧力過熱蒸気（５０）に換えて高温水（５２ｂ）を使用する各種ジェット兼ロケット合体機関。
【請求項１７９１】
前記過熱蒸気（５０）に換えて高温水（５２ｂ）を使用する各種ジェット兼ロケット合体機関。
【請求項１７９２】
前記高温水（５２ｂ）に換えて水（５２ａ）を使用する各種ジェット兼ロケット合体機関。
【請求項１７９３】
前記水（５２ａ）に換えて高温水（５２ｂ）を使用する各種ジェット兼ロケット合体機関。
【請求項１７９４】
前記超臨界圧力過熱蒸気（５０）に限定して使用する各種ロケット合体機関。
【請求項１７９５】
前記超臨界圧力過熱蒸気（５０）に限定使用する各種ジェット兼ロケット合体機関。
【請求項１７９６】
前記ジェット兼ロケット飛行機（３８Ａ）の宇宙往還親飛行機より水噴射ロケット合体機関を発射するジェット兼ロケット合体機関。
【請求項１７９７】
前記ジェット兼ロケット飛行機（３８Ａ）の宇宙往還親飛行機より固体燃料水噴射ロケット合体機関を発射するジェット兼ロケット合体機関。
【請求項１７９８】
前記ジェット兼ロケット飛行機（３８Ａ）の宇宙往還親飛行機より液体燃料水噴射ロケット合体機関を発射するジェット兼ロケット合体機関。
【請求項１７９９】
前記ジェット兼ロケット飛行機（３８Ａ）の宇宙往還親飛行機より既存技術の各種ロケットを発射するジェット兼ロケット合体機関。
【請求項１８００】
前記ジェット兼ロケット飛行機（３８Ａ）の宇宙往還親飛行機より既存技術の各種人口衛星を発射するジェット兼ロケット合体機関。
【請求項１８０１】
前記ジェット兼ロケット飛行機（３８Ａ）の宇宙往還親飛行機より各種ロケットを発射するジェット兼ロケット合体機関。
【請求項１８０２】
前記ジェット兼ロケット飛行機（３８Ａ）の宇宙往還親飛行機より各種人口衛星を発射するジェット兼ロケット合体機関。
【請求項１８０３】
前記ジェット兼ロケット飛行機（３８Ａ）の宇宙往還親飛行機より水噴射ロケット合体機関を切り離すジェット兼ロケット合体機関。
【請求項１８０４】
前記ジェット兼ロケット飛行機（３８Ａ）の宇宙往還親飛行機より固体燃料水噴射ロケット合体機関を切り離すジェット兼ロケット合体機関。
【請求項１８０５】
前記ジェット兼ロケット飛行機（３８Ａ）の宇宙往還親飛行機より液体燃料水噴射ロケット合体機関を切り離すジェット兼ロケット合体機関。
【請求項１８０６】
前記ジェット兼ロケット飛行機（３８Ａ）の宇宙往還親飛行機より既存技術の各種ロケットを切り離すジェット兼ロケット合体機関。
【請求項１８０７】
前記ジェット兼ロケット飛行機（３８Ａ）の宇宙往還親飛行機より既存技術の各種人口衛星を切り離すジェット兼ロケット合体機関。
【請求項１８０８】
前記ジェット兼ロケット飛行機（３８Ａ）の宇宙往還親飛行機より各種ロケットを切り離すジェット兼ロケット合体機関。
【請求項１８０９】
前記ジェット兼ロケット飛行機（３８Ａ）の宇宙往還親飛行機より各種人口衛星を切り離すジェット兼ロケット合体機関。
【請求項１８１０】
前記ジェット兼ロケット飛行機（３８Ａ）の宇宙往還親飛行機のジェット兼ロケット翼（３８ｂ）翼前縁心（３８ｅ）より空気を吸入するジェット兼ロケット合体機関。
【請求項１８１１】
前記ジェット兼ロケット飛行機（３８Ａ）の宇宙往還機のジェット兼ロケット翼（３８ｂ）翼前縁心（３８ｅ）より空気を吸入するジェット兼ロケット合体機関。
【請求項１８１２】
前記ジェット兼ロケット飛行機（３８Ａ）の宇宙往還親飛行機のジェット兼ロケット翼（３８ｂ）翼前縁心（３８ｅ）より空気を吸入してジェット兼ロケット合体機関燃焼部（２９）に供給するジェット兼ロケット合体機関。
【請求項１８１３】
前記ジェット兼ロケット飛行機（３８Ａ）の宇宙往還機のジェット兼ロケット翼（３８ｂ）翼前縁心（３８ｅ）より空気を吸入してジェット兼ロケット合体機関燃焼部（２９）に供給するジェット兼ロケット合体機関。
【請求項１８１４】
前記ジェット兼ロケット飛行機（３８Ａ）の宇宙往還親飛行機のジェット兼ロケット翼（３８ｂ）翼前縁心（３８ｅ）より空気を吸入してジェット兼ロケット合体機関燃焼部（２９）の吸気弁（２８）に供給するジェット兼ロケット合体機関。
【請求項１８１５】
前記ジェット兼ロケット飛行機（３８Ａ）の宇宙往還機のジェット兼ロケット翼（３８ｂ）翼前縁心（３８ｅ）より空気を吸入してジェット兼ロケット合体機関燃焼部（２９）の吸気弁（２８）に供給するジェット兼ロケット合体機関。
【請求項１８１６】
前記ジェット兼ロケット飛行機（３８Ａ）の宇宙往還親飛行機のジェット兼ロケット翼（３８ｂ）翼前縁心（３８ｅ）より飛行速度動圧空気を吸入するジェット兼ロケット合体機関。
【請求項１８１７】
前記ジェット兼ロケット飛行機（３８Ａ）の宇宙往還機のジェット兼ロケット翼（３８ｂ）翼前縁心（３８ｅ）より飛行速度動圧空気を吸入するジェット兼ロケット合体機関。
【請求項１８１８】
前記ジェット兼ロケット飛行機（３８Ａ）の宇宙往還親飛行機のジェット兼ロケット翼（３８ｂ）翼前縁心（３８ｅ）より飛行速度動圧空気を吸入してジェット兼ロケット合体機関燃焼部（２９）に供給するジェット兼ロケット合体機関。
【請求項１８１９】
前記ジェット兼ロケット飛行機（３８Ａ）の宇宙往還機のジェット兼ロケット翼（３８ｂ）翼前縁心（３８ｅ）より飛行速度動圧空気を吸入してジェット兼ロケット合体機関燃焼部（２９）に供給するジェット兼ロケット合体機関。
【請求項１８２０】
前記ジェット兼ロケット飛行機（３８Ａ）の宇宙往還親飛行機のジェット兼ロケット翼（３８ｂ）翼前縁心（３８ｅ）より飛行速度動圧空気を吸入してジェット兼ロケット合体機関燃焼部（２９）の吸気弁（２８）に供給するジェット兼ロケット合体機関。
【請求項１８２１】
前記ジェット兼ロケット飛行機（３８Ａ）の宇宙往還機のジェット兼ロケット翼（３８ｂ）翼前縁心（３８ｅ）より飛行速度動圧空気を吸入してジェット兼ロケット合体機関燃焼部（２９）の吸気弁（２８）に供給するジェット兼ロケット合体機関。
【請求項１８２２】
前記ジェット兼ロケット飛行機（３８Ａ）の宇宙往還親飛行機のジェット兼ロケット翼（３８ｂ）翼前縁心（３８ｅ）より飛行速度動圧空気を吸入してエネルギ保存圧縮機（２０Ｘ）に供給するジェット兼ロケット合体機関。
【請求項１８２３】
前記ジェット兼ロケット飛行機（３８Ａ）の宇宙往還機のジェット兼ロケット翼（３８ｂ）翼前縁心（３８ｅ）より飛行速度動圧空気を吸入してエネルギ保存圧縮機（２０Ｘ）に供給するジェット兼ロケット合体機関。
【請求項１８２４】
前記ジェット兼ロケット飛行機（３８Ａ）の宇宙往還親飛行機のジェット兼ロケット翼（３８ｂ）翼前縁心（３８ｅ）より飛行速度動圧空気を吸入してエネルギ保存圧縮機（２０Ｘ）に供給してジェット兼ロケット合体機関燃焼部（２９）に供給するジェット兼ロケット合体機関。
【請求項１８２５】
前記ジェット兼ロケット飛行機（３８Ａ）の宇宙往還機のジェット兼ロケット翼（３８ｂ）翼前縁心（３８ｅ）より飛行速度動圧空気を吸入してエネルギ保存圧縮機（２０Ｘ）に供給してジェット兼ロケット合体機関燃焼部（２９）に供給するジェット兼ロケット合体機関。
【請求項１８２６】
前記ジェット兼ロケット飛行機（３８Ａ）の宇宙往還親飛行機のジェット兼ロケット翼（３８ｂ）翼前縁心（３８ｅ）より飛行速度動圧空気を吸入してエネルギ保存圧縮機（２０Ｘ）に供給してジェット兼ロケット合体機関燃焼部（２９）の吸気弁（２８）に供給するジェット兼ロケット合体機関。
【請求項１８２７】
前記ジェット兼ロケット飛行機（３８Ａ）の宇宙往還機のジェット兼ロケット翼（３８ｂ）翼前縁心（３８ｅ）より飛行速度動圧空気を吸入してエネルギ保存圧縮機（２０Ｘ）に供給してジェット兼ロケット合体機関燃焼部（２９）の吸気弁（２８）に供給するジェット兼ロケット合体機関。
【請求項１８２８】
前記ジェット兼ロケット飛行機（３８Ａ）の宇宙往還親飛行機のジェット兼ロケット尾翼（３８ｃ）翼前縁心（３８ｅ）より空気を吸入するジェット兼ロケット合体機関。
【請求項１８２９】
前記ジェット兼ロケット飛行機（３８Ａ）の宇宙往還機のジェット兼ロケット尾翼（３８ｃ）翼前縁心（３８ｅ）より空気を吸入するジェット兼ロケット合体機関。
【請求項１８３０】
前記ジェット兼ロケット飛行機（３８Ａ）の宇宙往還親飛行機のジェット兼ロケット尾翼（３８ｃ）翼前縁心（３８ｅ）より空気を吸入してジェット兼ロケット合体機関燃焼部（２９）に供給するジェット兼ロケット合体機関。
【請求項１８３１】
前記ジェット兼ロケット飛行機（３８Ａ）の宇宙往還機のジェット兼ロケット尾翼（３８ｃ）翼前縁心（３８ｅ）より空気を吸入してジェット兼ロケット合体機関燃焼部（２９）に供給するジェット兼ロケット合体機関。
【請求項１８３２】
前記ジェット兼ロケット飛行機（３８Ａ）の宇宙往還親飛行機のジェット兼ロケット尾翼（３８ｃ）翼前縁心（３８ｅ）より空気を吸入してジェット兼ロケット合体機関燃焼部（２９）の吸気弁（２８）に供給するジェット兼ロケット合体機関。
【請求項１８３３】
前記ジェット兼ロケット飛行機（３８Ａ）の宇宙往還機のジェット兼ロケット尾翼（３８ｃ）翼前縁心（３８ｅ）より空気を吸入してジェット兼ロケット合体機関燃焼部（２９）の吸気弁（２８）に供給するジェット兼ロケット合体機関。
【請求項１８３４】
前記ジェット兼ロケット飛行機（３８Ａ）の宇宙往還親飛行機のジェット兼ロケット尾翼（３８ｃ）翼前縁心（３８ｅ）より飛行速度動圧空気を吸入するジェット兼ロケット合体機関。
【請求項１８３５】
前記ジェット兼ロケット飛行機（３８Ａ）の宇宙往還機のジェット兼ロケット尾翼（３８ｃ）翼前縁心（３８ｅ）より飛行速度動圧空気を吸入するジェット兼ロケット合体機関。
【請求項１８３６】
前記ジェット兼ロケット飛行機（３８Ａ）の宇宙往還親飛行機のジェット兼ロケット尾翼（３８ｃ）翼前縁心（３８ｅ）より飛行速度動圧空気を吸入してジェット兼ロケット合体機関燃焼部（２９）に供給するジェット兼ロケット合体機関。
【請求項１８３７】
前記ジェット兼ロケット飛行機（３８Ａ）の宇宙往還機のジェット兼ロケット尾翼（３８ｃ）翼前縁心（３８ｅ）より飛行速度動圧空気を吸入してジェット兼ロケット合体機関燃焼部（２９）に供給するジェット兼ロケット合体機関。
【請求項１８３８】
前記ジェット兼ロケット飛行機（３８Ａ）の宇宙往還親飛行機のジェット兼ロケット尾翼（３８ｃ）翼前縁心（３８ｅ）より飛行速度動圧空気を吸入してジェット兼ロケット合体機関燃焼部（２９）の吸気弁（２８）に供給するジェット兼ロケット合体機関。
【請求項１８３９】
前記ジェット兼ロケット飛行機（３８Ａ）の宇宙往還機のジェット兼ロケット尾翼（３８ｃ）翼前縁心（３８ｅ）より飛行速度動圧空気を吸入してジェット兼ロケット合体機関燃焼部（２９）の吸気弁（２８）に供給するジェット兼ロケット合体機関。
【請求項１８４０】
前記ジェット兼ロケット飛行機（３８Ａ）の宇宙往還親飛行機のジェット兼ロケット尾翼（３８ｃ）翼前縁心（３８ｅ）より飛行速度動圧空気を吸入してエネルギ保存圧縮機（２０Ｘ）に供給するジェット兼ロケット合体機関。
【請求項１８４１】
前記ジェット兼ロケット飛行機（３８Ａ）の宇宙往還機のジェット兼ロケット尾翼（３８ｃ）翼前縁心（３８ｅ）より飛行速度動圧空気を吸入してエネルギ保存圧縮機（２０Ｘ）に供給するジェット兼ロケット合体機関。
【請求項１８４２】
前記ジェット兼ロケット飛行機（３８Ａ）の宇宙往還親飛行機のジェット兼ロケット尾翼（３８ｃ）翼前縁心（３８ｅ）より飛行速度動圧空気を吸入してエネルギ保存圧縮機（２０Ｘ）に供給してジェット兼ロケット合体機関燃焼部（２９）に供給するジェット兼ロケット合体機関。
【請求項１８４３】
前記ジェット兼ロケット飛行機（３８Ａ）の宇宙往還機のジェット兼ロケット尾翼（３８ｃ）翼前縁心（３８ｅ）より飛行速度動圧空気を吸入してエネルギ保存圧縮機（２０Ｘ）に供給してジェット兼ロケット合体機関燃焼部（２９）に供給するジェット兼ロケット合体機関。
【請求項１８４４】
前記ジェット兼ロケット飛行機（３８Ａ）の宇宙往還親飛行機のジェット兼ロケット尾翼（３８ｃ）翼前縁心（３８ｅ）より飛行速度動圧空気を吸入してエネルギ保存圧縮機（２０Ｘ）に供給してジェット兼ロケット合体機関燃焼部（２９）の吸気弁（２８）に供給するジェット兼ロケット合体機関。
【請求項１８４５】
前記ジェット兼ロケット飛行機（３８Ａ）の宇宙往還機のジェット兼ロケット尾翼（３８ｃ）翼前縁心（３８ｅ）より飛行速度動圧空気を吸入してエネルギ保存圧縮機（２０Ｘ）に供給してジェット兼ロケット合体機関燃焼部（２９）の吸気弁（２８）に供給するジェット兼ロケット合体機関。
【請求項１８４６】
前記ジェット兼ロケット飛行機（３８Ａ）の宇宙往還親飛行機のジェット兼ロケット翼（３８ｂ）＋ジェット兼ロケット尾翼（３８ｃ）翼前縁心（３８ｅ）より空気を吸入するジェット兼ロケット合体機関。
【請求項１８４７】
前記ジェット兼ロケット飛行機（３８Ａ）の宇宙往還機のジェット兼ロケット翼（３８ｂ）＋ジェット兼ロケット尾翼（３８ｃ）翼前縁心（３８ｅ）より空気を吸入するジェット兼ロケット合体機関。
【請求項１８４８】
前記ジェット兼ロケット飛行機（３８Ａ）の宇宙往還親飛行機のジェット兼ロケット翼（３８ｂ）＋ジェット兼ロケット尾翼（３８ｃ）翼前縁心（３８ｅ）より空気を吸入してジェット兼ロケット合体機関燃焼部（２９）に供給するジェット兼ロケット合体機関。
【請求項１８４９】
前記ジェット兼ロケット飛行機（３８Ａ）の宇宙往還機のジェット兼ロケット翼（３８ｂ）＋ジェット兼ロケット尾翼（３８ｃ）翼前縁心（３８ｅ）より空気を吸入してジェット兼ロケット合体機関燃焼部（２９）に供給するジェット兼ロケット合体機関。
【請求項１８５０】
前記ジェット兼ロケット飛行機（３８Ａ）の宇宙往還親飛行機のジェット兼ロケット翼（３８ｂ）＋ジェット兼ロケット尾翼（３８ｃ）翼前縁心（３８ｅ）より空気を吸入してジェット兼ロケット合体機関燃焼部（２９）の吸気弁（２８）に供給するジェット兼ロケット合体機関。
【請求項１８５１】
前記ジェット兼ロケット飛行機（３８Ａ）の宇宙往還機のジェット兼ロケット翼（３８ｂ）＋ジェット兼ロケット尾翼（３８ｃ）翼前縁心（３８ｅ）より空気を吸入してジェット兼ロケット合体機関燃焼部（２９）の吸気弁（２８）に供給するジェット兼ロケット合体機関。
【請求項１８５２】
前記ジェット兼ロケット飛行機（３８Ａ）の宇宙往還親飛行機のジェット兼ロケット翼（３８ｂ）＋ジェット兼ロケット尾翼（３８ｃ）翼前縁心（３８ｅ）より飛行速度動圧空気を吸入するジェット兼ロケット合体機関。
【請求項１８５３】
前記ジェット兼ロケット飛行機（３８Ａ）の宇宙往還機のジェット兼ロケット翼（３８ｂ）＋ジェット兼ロケット尾翼（３８ｃ）翼前縁心（３８ｅ）より飛行速度動圧空気を吸入するジェット兼ロケット合体機関。
【請求項１８５４】
前記ジェット兼ロケット飛行機（３８Ａ）の宇宙往還親飛行機のジェット兼ロケット翼（３８ｂ）＋ジェット兼ロケット尾翼（３８ｃ）翼前縁心（３８ｅ）より飛行速度動圧空気を吸入してジェット兼ロケット合体機関燃焼部（２９）に供給するジェット兼ロケット合体機関。
【請求項１８５５】
前記ジェット兼ロケット飛行機（３８Ａ）の宇宙往還機のジェット兼ロケット翼（３８ｂ）＋ジェット兼ロケット尾翼（３８ｃ）翼前縁心（３８ｅ）より飛行速度動圧空気を吸入してジェット兼ロケット合体機関燃焼部（２９）に供給するジェット兼ロケット合体機関。
【請求項１８５６】
前記ジェット兼ロケット飛行機（３８Ａ）の宇宙往還親飛行機のジェット兼ロケット翼（３８ｂ）＋ジェット兼ロケット尾翼（３８ｃ）翼前縁心（３８ｅ）より飛行速度動圧空気を吸入してジェット兼ロケット合体機関燃焼部（２９）の吸気弁（２８）に供給するジェット兼ロケット合体機関。
【請求項１８５７】
前記ジェット兼ロケット飛行機（３８Ａ）の宇宙往還機のジェット兼ロケット翼（３８ｂ）＋ジェット兼ロケット尾翼（３８ｃ）翼前縁心（３８ｅ）より飛行速度動圧空気を吸入してジェット兼ロケット合体機関燃焼部（２９）の吸気弁（２８）に供給するジェット兼ロケット合体機関。
【請求項１８５８】
前記ジェット兼ロケット飛行機（３８Ａ）の宇宙往還親飛行機のジェット兼ロケット翼（３８ｂ）＋ジェット兼ロケット尾翼（３８ｃ）翼前縁心（３８ｅ）より飛行速度動圧空気を吸入してエネルギ保存圧縮機（２０Ｘ）に供給するジェット兼ロケット合体機関。
【請求項１８５９】
前記ジェット兼ロケット飛行機（３８Ａ）の宇宙往還機のジェット兼ロケット翼（３８ｂ）＋ジェット兼ロケット尾翼（３８ｃ）翼前縁心（３８ｅ）より飛行速度動圧空気を吸入してエネルギ保存圧縮機（２０Ｘ）に供給するジェット兼ロケット合体機関。
【請求項１８６０】
前記ジェット兼ロケット飛行機（３８Ａ）の宇宙往還親飛行機のジェット兼ロケット翼（３８ｂ）＋ジェット兼ロケット尾翼（３８ｃ）翼前縁心（３８ｅ）より飛行速度動圧空気を吸入してエネルギ保存圧縮機（２０Ｘ）に供給してジェット兼ロケット合体機関燃焼部（２９）に供給するジェット兼ロケット合体機関。
【請求項１８６１】
前記ジェット兼ロケット飛行機（３８Ａ）の宇宙往還機のジェット兼ロケット翼（３８ｂ）＋ジェット兼ロケット尾翼（３８ｃ）翼前縁心（３８ｅ）より飛行速度動圧空気を吸入してエネルギ保存圧縮機（２０Ｘ）に供給してジェット兼ロケット合体機関燃焼部（２９）に供給するジェット兼ロケット合体機関。
【請求項１８６２】
前記ジェット兼ロケット飛行機（３８Ａ）の宇宙往還親飛行機のジェット兼ロケット翼（３８ｂ）＋ジェット兼ロケット尾翼（３８ｃ）翼前縁心（３８ｅ）より飛行速度動圧空気を吸入してエネルギ保存圧縮機（２０Ｘ）に供給してジェット兼ロケット合体機関燃焼部（２９）の吸気弁（２８）に供給するジェット兼ロケット合体機関。
【請求項１８６３】
前記ジェット兼ロケット飛行機（３８Ａ）の宇宙往還機のジェット兼ロケット翼（３８ｂ）＋ジェット兼ロケット尾翼（３８ｃ）翼前縁心（３８ｅ）より飛行速度動圧空気を吸入してエネルギ保存圧縮機（２０Ｘ）に供給してジェット兼ロケット合体機関燃焼部（２９）の吸気弁（２８）に供給するジェット兼ロケット合体機関。
【請求項１８６４】
前記ジェット兼ロケット飛行機（３８Ａ）の宇宙往還親飛行機のジェット兼ロケット翼（３８ｂ）＋ジェット兼ロケット尾翼（３８ｃ）夫々の翼前縁心（３８ｅ）より空気を吸入するジェット兼ロケット合体機関。
【請求項１８６５】
前記ジェット兼ロケット飛行機（３８Ａ）の宇宙往還機のジェット兼ロケット翼（３８ｂ）＋ジェット兼ロケット尾翼（３８ｃ）夫々の翼前縁心（３８ｅ）より空気を吸入するジェット兼ロケット合体機関。
【請求項１８６６】
前記ジェット兼ロケット飛行機（３８Ａ）の宇宙往還親飛行機のジェット兼ロケット翼（３８ｂ）＋ジェット兼ロケット尾翼（３８ｃ）夫々の翼前縁心（３８ｅ）より空気を吸入して夫々のジェット兼ロケット合体機関燃焼部（２９）に供給するジェット兼ロケット合体機関。
【請求項１８６７】
前記ジェット兼ロケット飛行機（３８Ａ）の宇宙往還機のジェット兼ロケット翼（３８ｂ）＋ジェット兼ロケット尾翼（３８ｃ）夫々の翼前縁心（３８ｅ）より空気を吸入して夫々のジェット兼ロケット合体機関燃焼部（２９）に供給するジェット兼ロケット合体機関。
【請求項１８６８】
前記ジェット兼ロケット飛行機（３８Ａ）の宇宙往還親飛行機のジェット兼ロケット翼（３８ｂ）＋ジェット兼ロケット尾翼（３８ｃ）夫々の翼前縁心（３８ｅ）より空気を吸入して夫々のジェット兼ロケット合体機関燃焼部（２９）の吸気弁（２８）に供給するジェット兼ロケット合体機関。
【請求項１８６９】
前記ジェット兼ロケット飛行機（３８Ａ）の宇宙往還機のジェット兼ロケット翼（３８ｂ）＋ジェット兼ロケット尾翼（３８ｃ）夫々の翼前縁心（３８ｅ）より空気を吸入して夫々のジェット兼ロケット合体機関燃焼部（２９）の吸気弁（２８）に供給するジェット兼ロケット合体機関。
【請求項１８７０】
前記ジェット兼ロケット飛行機（３８Ａ）の宇宙往還親飛行機のジェット兼ロケット翼（３８ｂ）＋ジェット兼ロケット尾翼（３８ｃ）夫々の翼前縁心（３８ｅ）より飛行速度動圧空気を吸入するジェット兼ロケット合体機関。
【請求項１８７１】
前記ジェット兼ロケット飛行機（３８Ａ）の宇宙往還機のジェット兼ロケット翼（３８ｂ）＋ジェット兼ロケット尾翼（３８ｃ）夫々の翼前縁心（３８ｅ）より飛行速度動圧空気を吸入するジェット兼ロケット合体機関。
【請求項１８７２】
前記ジェット兼ロケット飛行機（３８Ａ）の宇宙往還親飛行機のジェット兼ロケット翼（３８ｂ）＋ジェット兼ロケット尾翼（３８ｃ）夫々の翼前縁心（３８ｅ）より飛行速度動圧空気を吸入して夫々のジェット兼ロケット合体機関燃焼部（２９）に供給するジェット兼ロケット合体機関。
【請求項１８７３】
前記ジェット兼ロケット飛行機（３８Ａ）の宇宙往還機のジェット兼ロケット翼（３８ｂ）＋ジェット兼ロケット尾翼（３８ｃ）夫々の翼前縁心（３８ｅ）より飛行速度動圧空気を吸入して夫々のジェット兼ロケット合体機関燃焼部（２９）に供給するジェット兼ロケット合体機関。
【請求項１８７４】
前記ジェット兼ロケット飛行機（３８Ａ）の宇宙往還親飛行機のジェット兼ロケット翼（３８ｂ）＋ジェット兼ロケット尾翼（３８ｃ）夫々の翼前縁心（３８ｅ）より飛行速度動圧空気を吸入して夫々のジェット兼ロケット合体機関燃焼部（２９）の吸気弁（２８）に供給するジェット兼ロケット合体機関。
【請求項１８７５】
前記ジェット兼ロケット飛行機（３８Ａ）の宇宙往還機のジェット兼ロケット翼（３８ｂ）＋ジェット兼ロケット尾翼（３８ｃ）夫々の翼前縁心（３８ｅ）より飛行速度動圧空気を吸入して夫々のジェット兼ロケット合体機関燃焼部（２９）の吸気弁（２８）に供給するジェット兼ロケット合体機関。
【請求項１８７６】
前記ジェット兼ロケット飛行機（３８Ａ）の宇宙往還親飛行機のジェット兼ロケット翼（３８ｂ）＋ジェット兼ロケット尾翼（３８ｃ）夫々の翼前縁心（３８ｅ）より飛行速度動圧空気を吸入して夫々のエネルギ保存圧縮機（２０Ｘ）に供給するジェット兼ロケット合体機関。
【請求項１８７７】
前記ジェット兼ロケット飛行機（３８Ａ）の宇宙往還機のジェット兼ロケット翼（３８ｂ）＋ジェット兼ロケット尾翼（３８ｃ）夫々の翼前縁心（３８ｅ）より飛行速度動圧空気を吸入して夫々のエネルギ保存圧縮機（２０Ｘ）に供給するジェット兼ロケット合体機関。
【請求項１８７８】
前記ジェット兼ロケット飛行機（３８Ａ）の宇宙往還親飛行機のジェット兼ロケット翼（３８ｂ）＋ジェット兼ロケット尾翼（３８ｃ）夫々の翼前縁心（３８ｅ）より飛行速度動圧空気を吸入して夫々のエネルギ保存圧縮機（２０Ｘ）に供給して夫々のジェット兼ロケット合体機関燃焼部（２９）に供給するジェット兼ロケット合体機関。
【請求項１８７９】
前記ジェット兼ロケット飛行機（３８Ａ）の宇宙往還機のジェット兼ロケット翼（３８ｂ）＋ジェット兼ロケット尾翼（３８ｃ）夫々の翼前縁心（３８ｅ）より飛行速度動圧空気を吸入して夫々のエネルギ保存圧縮機（２０Ｘ）に供給して夫々のジェット兼ロケット合体機関燃焼部（２９）に供給するジェット兼ロケット合体機関。
【請求項１８８０】
前記ジェット兼ロケット飛行機（３８Ａ）の宇宙往還親飛行機のジェット兼ロケット翼（３８ｂ）＋ジェット兼ロケット尾翼（３８ｃ）夫々の翼前縁心（３８ｅ）より飛行速度動圧空気を吸入して夫々のエネルギ保存圧縮機（２０Ｘ）に供給して夫々のジェット兼ロケット合体機関燃焼部（２９）の吸気弁（２８）に供給するジェット兼ロケット合体機関。
【請求項１８８１】
前記ジェット兼ロケット飛行機（３８Ａ）の宇宙往還機のジェット兼ロケット翼（３８ｂ）＋ジェット兼ロケット尾翼（３８ｃ）夫々の翼前縁心（３８ｅ）より飛行速度動圧空気を吸入して夫々のエネルギ保存圧縮機（２０Ｘ）に供給して夫々のジェット兼ロケット合体機関燃焼部（２９）の吸気弁（２８）に供給するジェット兼ロケット合体機関。
【請求項１８８２】
前記ジェット兼ロケット飛行機（３８Ａ）の宇宙往還親飛行機のジェット兼ロケット合体機関燃焼部（２９）で過熱蒸気爆発力＋燃焼ガス爆発力に分割するジェット兼ロケット合体機関。
【請求項１８８３】
前記ジェット兼ロケット飛行機（３８Ａ）の宇宙往還機のジェット兼ロケット合体機関燃焼部（２９）で過熱蒸気爆発力＋燃焼ガス爆発力に分割するジェット兼ロケット合体機関。
【請求項１８８４】
前記ジェット兼ロケット飛行機（３８Ａ）の宇宙往還親飛行機のジェット兼ロケット合体機関燃焼部（２９）（２９）で夫々過熱蒸気爆発力＋燃焼ガス爆発力に分割するジェット兼ロケット合体機関。
【請求項１８８５】
前記ジェット兼ロケット飛行機（３８Ａ）の宇宙往還機のジェット兼ロケット合体機関燃焼部（２９）（２９）で夫々過熱蒸気爆発力＋燃焼ガス爆発力に分割するジェット兼ロケット合体機関。
【請求項１８８６】
前記ジェット兼ロケット飛行機（３８Ａ）の宇宙往還親飛行機のジェット兼ロケット合体機関燃焼部（２９）で過熱蒸気爆発力＋燃焼ガス爆発力に分割して過熱蒸気導水管（２５ａ）＋燃焼ガス管（２４ａ）＋導水管（３）でジェット兼ロケット噴射部（７７Ｋ）に供給するジェット兼ロケット合体機関。
【請求項１８８７】
前記ジェット兼ロケット飛行機（３８Ａ）の宇宙往還機のジェット兼ロケット合体機関燃焼部（２９）で過熱蒸気爆発力＋燃焼ガス爆発力に分割して過熱蒸気導水管（２５ａ）＋燃焼ガス管（２４ａ）＋導水管（３）でジェット兼ロケット噴射部（７７Ｋ）に供給するジェット兼ロケット合体機関。
【請求項１８８８】
前記ジェット兼ロケット飛行機（３８Ａ）の宇宙往還親飛行機のジェット兼ロケット合体機関燃焼部（２９）で過熱蒸気爆発力＋燃焼ガス爆発力に分割して過熱蒸気導水管（２５ａ）＋燃焼ガス管（２４ａ）＋導水管（３）でジェット兼ロケット噴射部（７７Ｋ）に供給して噴射するジェット兼ロケット合体機関。
【請求項１８８９】
前記ジェット兼ロケット飛行機（３８Ａ）の宇宙往還機のジェット兼ロケット合体機関燃焼部（２９）で過熱蒸気爆発力＋燃焼ガス爆発力に分割して過熱蒸気導水管（２５ａ）＋燃焼ガス管（２４ａ）＋導水管（３）でジェット兼ロケット噴射部（７７Ｋ）に供給して噴射するジェット兼ロケット合体機関。
【請求項１８９０】
前記ジェット兼ロケット飛行機（３８Ａ）の宇宙往還親飛行機のジェット兼ロケット合体機関燃焼部（２９）で過熱蒸気爆発力＋燃焼ガス爆発力に分割して過熱蒸気導水管（２５ａ）＋燃焼ガス管（２４ａ）＋導水管（３）でジェット兼ロケット噴射部（７７Ｋ）に供給して噴射して噴射推進するジェット兼ロケット合体機関。
【請求項１８９１】
前記ジェット兼ロケット飛行機（３８Ａ）の宇宙往還機のジェット兼ロケット合体機関燃焼部（２９）で過熱蒸気爆発力＋燃焼ガス爆発力に分割して過熱蒸気導水管（２５ａ）＋燃焼ガス管（２４ａ）＋導水管（３）でジェット兼ロケット噴射部（７７Ｋ）に供給して噴射して噴射推進するジェット兼ロケット合体機関。
【請求項１８９２】
前記ジェット兼ロケット飛行機（３８Ａ）の宇宙往還親飛行機のジェット兼ロケット合体機関燃焼部（２９）（２９）で夫々過熱蒸気爆発力＋燃焼ガス爆発力に分割して夫々過熱蒸気導水管（２５ａ）＋燃焼ガス管（２４ａ）＋導水管（３）で夫々のジェット兼ロケット噴射部（７７Ｋ）に供給するジェット兼ロケット合体機関。
【請求項１８９３】
前記ジェット兼ロケット飛行機（３８Ａ）の宇宙往還機のジェット兼ロケット合体機関燃焼部（２９）（２９）で夫々過熱蒸気爆発力＋燃焼ガス爆発力に分割して夫々過熱蒸気導水管（２５ａ）＋燃焼ガス管（２４ａ）＋導水管（３）で夫々のジェット兼ロケット噴射部（７７Ｋ）に供給するジェット兼ロケット合体機関。
【請求項１８９４】
前記ジェット兼ロケット飛行機（３８Ａ）の宇宙往還親飛行機のジェット兼ロケット合体機関燃焼部（２９）（２９）で夫々過熱蒸気爆発力＋燃焼ガス爆発力に分割して夫々過熱蒸気導水管（２５ａ）＋燃焼ガス管（２４ａ）＋導水管（３）で夫々のジェット兼ロケット噴射部（７７Ｋ）に供給して噴射するジェット兼ロケット合体機関。
【請求項１８９５】
前記ジェット兼ロケット飛行機（３８Ａ）の宇宙往還機のジェット兼ロケット合体機関燃焼部（２９）（２９）で夫々過熱蒸気爆発力＋燃焼ガス爆発力に分割して夫々過熱蒸気導水管（２５ａ）＋燃焼ガス管（２４ａ）＋導水管（３）で夫々のジェット兼ロケット噴射部（７７Ｋ）に供給して噴射するジェット兼ロケット合体機関。
【請求項１８９６】
前記ジェット兼ロケット飛行機（３８Ａ）の宇宙往還親飛行機のジェット兼ロケット合体機関燃焼部（２９）（２９）で夫々過熱蒸気爆発力＋燃焼ガス爆発力に分割して夫々過熱蒸気導水管（２５ａ）＋燃焼ガス管（２４ａ）＋導水管（３）で夫々のジェット兼ロケット噴射部（７７Ｋ）に供給して噴射して噴射推進するジェット兼ロケット合体機関。
【請求項１８９７】
前記ジェット兼ロケット飛行機（３８Ａ）の宇宙往還機のジェット兼ロケット合体機関燃焼部（２９）（２９）で夫々過熱蒸気爆発力＋燃焼ガス爆発力に分割して夫々過熱蒸気導水管（２５ａ）＋燃焼ガス管（２４ａ）＋導水管（３）で夫々のジェット兼ロケット噴射部（７７Ｋ）に供給して噴射して噴射推進するジェット兼ロケット合体機関。
【請求項１８９８】
前記ジェット兼ロケット飛行機（３８Ａ）の宇宙往還親飛行機のジェット兼ロケット合体機関燃焼部（２９）（２９）で夫々過熱蒸気爆発力＋燃焼ガス爆発力に分割して夫々過熱蒸気導水管（２５ａ）＋燃焼ガス管（２４ａ）＋導水管（３）＋円筒回転部（７７Ｇ）で夫々のジェット兼ロケット噴射部（７７Ｋ）に供給するジェット兼ロケット合体機関。
【請求項１８９９】
前記ジェット兼ロケット飛行機（３８Ａ）の宇宙往還機のジェット兼ロケット合体機関燃焼部（２９）（２９）で夫々過熱蒸気爆発力＋燃焼ガス爆発力に分割して夫々過熱蒸気導水管（２５ａ）＋燃焼ガス管（２４ａ）＋導水管（３）＋円筒回転部（７７Ｇ）で夫々のジェット兼ロケット噴射部（７７Ｋ）に供給するジェット兼ロケット合体機関。
【請求項１９００】
前記ジェット兼ロケット飛行機（３８Ａ）の宇宙往還親飛行機のジェット兼ロケット合体機関燃焼部（２９）（２９）で夫々過熱蒸気爆発力＋燃焼ガス爆発力に分割して夫々過熱蒸気導水管（２５ａ）＋燃焼ガス管（２４ａ）＋導水管（３）＋円筒回転部（７７Ｇ）で夫々のジェット兼ロケット噴射部（７７Ｋ）に供給して噴射するジェット兼ロケット合体機関。
【請求項１９０１】
前記ジェット兼ロケット飛行機（３８Ａ）の宇宙往還機のジェット兼ロケット合体機関燃焼部（２９）（２９）で夫々過熱蒸気爆発力＋燃焼ガス爆発力に分割して夫々過熱蒸気導水管（２５ａ）＋燃焼ガス管（２４ａ）＋導水管（３）＋円筒回転部（７７Ｇ）で夫々のジェット兼ロケット噴射部（７７Ｋ）に供給して噴射するジェット兼ロケット合体機関。
【請求項１９０２】
前記ジェット兼ロケット飛行機（３８Ａ）の宇宙往還親飛行機のジェット兼ロケット合体機関燃焼部（２９）（２９）で夫々過熱蒸気爆発力＋燃焼ガス爆発力に分割して夫々過熱蒸気導水管（２５ａ）＋燃焼ガス管（２４ａ）＋導水管（３）＋円筒回転部（７７Ｇ）で夫々のジェット兼ロケット噴射部（７７Ｋ）に供給して噴射して噴射推進するジェット兼ロケット合体機関。
【請求項１９０３】
前記ジェット兼ロケット飛行機（３８Ａ）の宇宙往還機のジェット兼ロケット合体機関燃焼部（２９）（２９）で夫々過熱蒸気爆発力＋燃焼ガス爆発力に分割して夫々過熱蒸気導水管（２５ａ）＋燃焼ガス管（２４ａ）＋導水管（３）＋円筒回転部（７７Ｇ）で夫々のジェット兼ロケット噴射部（７７Ｋ）に供給して噴射して噴射推進するジェット兼ロケット合体機関。
【請求項１９０４】
前記ジェット兼ロケット飛行機（３８Ａ）の宇宙往還親飛行機のジェット兼ロケット合体機関燃焼部（２９）（２９）で夫々過熱蒸気爆発力＋燃焼ガス爆発力に分割して夫々過熱蒸気導水管（２５ａ）＋燃焼ガス管（２４ａ）＋導水管（３）＋円筒回転部（７７Ｇ）で略１８０度反転させた夫々のジェット兼ロケット噴射部（７７Ｋ）に供給するジェット兼ロケット合体機関。
【請求項１９０５】
前記ジェット兼ロケット飛行機（３８Ａ）の宇宙往還機のジェット兼ロケット合体機関燃焼部（２９）（２９）で夫々過熱蒸気爆発力＋燃焼ガス爆発力に分割して夫々過熱蒸気導水管（２５ａ）＋燃焼ガス管（２４ａ）＋導水管（３）＋円筒回転部（７７Ｇ）で略１８０度反転させた夫々のジェット兼ロケット噴射部（７７Ｋ）に供給するジェット兼ロケット合体機関。
【請求項１９０６】
前記ジェット兼ロケット飛行機（３８Ａ）の宇宙往還親飛行機のジェット兼ロケット合体機関燃焼部（２９）（２９）で夫々過熱蒸気爆発力＋燃焼ガス爆発力に分割して夫々過熱蒸気導水管（２５ａ）＋燃焼ガス管（２４ａ）＋導水管（３）＋円筒回転部（７７Ｇ）で略１８０度反転させた夫々のジェット兼ロケット噴射部（７７Ｋ）に供給して逆噴射するジェット兼ロケット合体機関。
【請求項１９０７】
前記ジェット兼ロケット飛行機（３８Ａ）の宇宙往還機のジェット兼ロケット合体機関燃焼部（２９）（２９）で夫々過熱蒸気爆発力＋燃焼ガス爆発力に分割して夫々過熱蒸気導水管（２５ａ）＋燃焼ガス管（２４ａ）＋導水管（３）＋円筒回転部（７７Ｇ）で略１８０度反転させた夫々のジェット兼ロケット噴射部（７７Ｋ）に供給して逆噴射するジェット兼ロケット合体機関。
【請求項１９０８】
前記ジェット兼ロケット飛行機（３８Ａ）の宇宙往還親飛行機のジェット兼ロケット合体機関燃焼部（２９）（２９）で夫々過熱蒸気爆発力＋燃焼ガス爆発力に分割して夫々過熱蒸気導水管（２５ａ）＋燃焼ガス管（２４ａ）＋導水管（３）＋円筒回転部（７７Ｇ）で略１８０度反転させた夫々のジェット兼ロケット噴射部（７７Ｋ）に供給して逆噴射して減速するジェット兼ロケット合体機関。
【請求項１９０９】
前記ジェット兼ロケット飛行機（３８Ａ）の宇宙往還機のジェット兼ロケット合体機関燃焼部（２９）（２９）で夫々過熱蒸気爆発力＋燃焼ガス爆発力に分割して夫々過熱蒸気導水管（２５ａ）＋燃焼ガス管（２４ａ）＋導水管（３）＋円筒回転部（７７Ｇ）で略１８０度反転させた夫々のジェット兼ロケット噴射部（７７Ｋ）に供給して逆噴射して減速するジェット兼ロケット合体機関。
【請求項１９１０】
前記ジェット兼ロケット飛行機（３８Ａ）の宇宙往還親飛行機のジェット兼ロケット合体機関燃焼部（２９）（２９）で夫々過熱蒸気爆発力＋燃焼ガス爆発力に分割して夫々過熱蒸気導水管（２５ａ）＋燃焼ガス管（２４ａ）＋導水管（３）＋円筒回転部（７７Ｇ）で略９０度回転させた夫々のジェット兼ロケット噴射部（７７Ｋ）に供給するジェット兼ロケット合体機関。
【請求項１９１１】
前記ジェット兼ロケット飛行機（３８Ａ）の宇宙往還機のジェット兼ロケット合体機関燃焼部（２９）（２９）で夫々過熱蒸気爆発力＋燃焼ガス爆発力に分割して夫々過熱蒸気導水管（２５ａ）＋燃焼ガス管（２４ａ）＋導水管（３）＋円筒回転部（７７Ｇ）で略９０度回転させた夫々のジェット兼ロケット噴射部（７７Ｋ）に供給するジェット兼ロケット合体機関。
【請求項１９１２】
前記ジェット兼ロケット飛行機（３８Ａ）の宇宙往還親飛行機のジェット兼ロケット合体機関燃焼部（２９）（２９）で夫々過熱蒸気爆発力＋燃焼ガス爆発力に分割して夫々過熱蒸気導水管（２５ａ）＋燃焼ガス管（２４ａ）＋導水管（３）＋円筒回転部（７７Ｇ）で略９０度回転させた夫々のジェット兼ロケット噴射部（７７Ｋ）に供給して略垂直噴射するジェット兼ロケット合体機関。
【請求項１９１３】
前記ジェット兼ロケット飛行機（３８Ａ）の宇宙往還機のジェット兼ロケット合体機関燃焼部（２９）（２９）で夫々過熱蒸気爆発力＋燃焼ガス爆発力に分割して夫々過熱蒸気導水管（２５ａ）＋燃焼ガス管（２４ａ）＋導水管（３）＋円筒回転部（７７Ｇ）で略９０度回転させた夫々のジェット兼ロケット噴射部（７７Ｋ）に供給して略垂直噴射するジェット兼ロケット合体機関。
【請求項１９１４】
前記ジェット兼ロケット飛行機（３８Ａ）の宇宙往還親飛行機のジェット兼ロケット合体機関燃焼部（２９）（２９）で夫々過熱蒸気爆発力＋燃焼ガス爆発力に分割して夫々過熱蒸気導水管（２５ａ）＋燃焼ガス管（２４ａ）＋導水管（３）＋円筒回転部（７７Ｇ）で略９０度反転させた夫々のジェット兼ロケット噴射部（７７Ｋ）に供給して略垂直噴射して垂直上昇垂直降下を可能にするジェット兼ロケット合体機関。
【請求項１９１５】
前記ジェット兼ロケット飛行機（３８Ａ）の宇宙往還機のジェット兼ロケット合体機関燃焼部（２９）（２９）で夫々過熱蒸気爆発力＋燃焼ガス爆発力に分割して夫々過熱蒸気導水管（２５ａ）＋燃焼ガス管（２４ａ）＋導水管（３）＋円筒回転部（７７Ｇ）で略９０度回転させた夫々のジェット兼ロケット噴射部（７７Ｋ）に供給して略垂直噴射して垂直上昇垂直降下を可能にするジェット兼ロケット合体機関。
【請求項１９１６】
前記ジェット兼ロケット飛行機（３８Ａ）の宇宙往還親飛行機のジェット兼ロケット合体機関燃焼部（２９）で過熱蒸気爆発力＋燃焼ガス爆発力に分割することで１００ＭＰａ以上の過熱蒸気（５０）＋１００ＭＰａ以上の燃焼ガス（４９）を可能にするジェット兼ロケット合体機関。
【請求項１９１７】
前記ジェット兼ロケット飛行機（３８Ａ）の宇宙往還機のジェット兼ロケット合体機関燃焼部（２９）で過熱蒸気爆発力＋燃焼ガス爆発力に分割することで１００ＭＰａ以上の過熱蒸気（５０）＋１００ＭＰａ以上の燃焼ガス（４９）を可能にするジェット兼ロケット合体機関。
【請求項１９１８】
前記ジェット兼ロケット飛行機（３８Ａ）の宇宙往還親飛行機のジェット兼ロケット合体機関燃焼部（２９）（２９）で夫々過熱蒸気爆発力＋燃焼ガス爆発力に分割することで１００ＭＰａ以上の過熱蒸気（５０）＋１００ＭＰａ以上の燃焼ガス（４９）を可能にするジェット兼ロケット合体機関。
【請求項１９１９】
前記ジェット兼ロケット飛行機（３８Ａ）の宇宙往還機のジェット兼ロケット合体機関燃焼部（２９）（２９）で夫々過熱蒸気爆発力＋燃焼ガス爆発力に分割することで１００ＭＰａ以上の過熱蒸気（５０）＋１００ＭＰａ以上の燃焼ガス（４９）を可能にするジェット兼ロケット合体機関。
【請求項１９２０】
前記ジェット兼ロケット飛行機（３８Ａ）の宇宙往還親飛行機のジェット兼ロケット合体機関燃焼部（２９）で過熱蒸気爆発力＋燃焼ガス爆発力に分割することで１００ＭＰａ以上の過熱蒸気（５０）＋１００ＭＰａ以上の燃焼ガス（４９）＝同温度を可能にするジェット兼ロケット合体機関。
【請求項１９２１】
前記ジェット兼ロケット飛行機（３８Ａ）の宇宙往還機のジェット兼ロケット合体機関燃焼部（２９）で過熱蒸気爆発力＋燃焼ガス爆発力に分割することで１００ＭＰａ以上の過熱蒸気（５０）＋１００ＭＰａ以上の燃焼ガス（４９）＝同温度を可能にするジェット兼ロケット合体機関。
【請求項１９２２】
前記ジェット兼ロケット飛行機（３８Ａ）の宇宙往還親飛行機のジェット兼ロケット合体機関燃焼部（２９）（２９）で夫々過熱蒸気爆発力＋燃焼ガス爆発力に分割することで１００ＭＰａ以上の過熱蒸気（５０）＋１００ＭＰａ以上の燃焼ガス（４９）＝同温度を可能にするジェット兼ロケット合体機関。
【請求項１９２３】
前記ジェット兼ロケット飛行機（３８Ａ）の宇宙往還機のジェット兼ロケット合体機関燃焼部（２９）（２９）で夫々過熱蒸気爆発力＋燃焼ガス爆発力に分割することで１００ＭＰａ以上の過熱蒸気（５０）＋１００ＭＰａ以上の燃焼ガス（４９）＝同温度を可能にするジェット兼ロケット合体機関。
【請求項１９２４】
前記ジェット兼ロケット飛行機（３８Ａ）の宇宙往還親飛行機のジェット兼ロケット合体機関燃焼部（２９）で過熱蒸気爆発力＋燃焼ガス爆発力に分割することで１００ＭＰａ以上の過熱蒸気（５０）＋１００ＭＰａ以上の燃焼ガス（４９）を可能にして容器耐圧に合せて搭載使用するジェット兼ロケット合体機関。
【請求項１９２５】
前記ジェット兼ロケット飛行機（３８Ａ）の宇宙往還機のジェット兼ロケット合体機関燃焼部（２９）で過熱蒸気爆発力＋燃焼ガス爆発力に分割することで１００ＭＰａ以上の過熱蒸気（５０）＋１００ＭＰａ以上の燃焼ガス（４９）を可能にして容器耐圧に合せて搭載使用するジェット兼ロケット合体機関。
【請求項１９２６】
前記ジェット兼ロケット飛行機（３８Ａ）の宇宙往還親飛行機のジェット兼ロケット合体機関燃焼部（２９）（２９）で夫々過熱蒸気爆発力＋燃焼ガス爆発力に分割することで１００ＭＰａ以上の過熱蒸気（５０）＋１００ＭＰａ以上の燃焼ガス（４９）を可能にして容器耐圧に合せて搭載使用するジェット兼ロケット合体機関。
【請求項１９２７】
前記ジェット兼ロケット飛行機（３８Ａ）の宇宙往還機のジェット兼ロケット合体機関燃焼部（２９）（２９）で夫々過熱蒸気爆発力＋燃焼ガス爆発力に分割することで１００ＭＰａ以上の過熱蒸気（５０）＋１００ＭＰａ以上の燃焼ガス（４９）を可能にして容器耐圧に合せて搭載使用するジェット兼ロケット合体機関。
【請求項１９２８】
前記ジェット兼ロケット飛行機（３８Ａ）の宇宙往還親飛行機のジェット兼ロケット合体機関燃焼部（２９）で過熱蒸気爆発力＋燃焼ガス爆発力に分割することで１００ＭＰａ以上の過熱蒸気（５０）＋１００ＭＰａ以上の燃焼ガス（４９）＝同温度を可能にして容器耐圧に合せて搭載使用するジェット兼ロケット合体機関。
【請求項１９２９】
前記ジェット兼ロケット飛行機（３８Ａ）の宇宙往還機のジェット兼ロケット合体機関燃焼部（２９）で過熱蒸気爆発力＋燃焼ガス爆発力に分割することで１００ＭＰａ以上の過熱蒸気（５０）＋１００ＭＰａ以上の燃焼ガス（４９）＝同温度を可能にして容器耐圧に合せて搭載使用するジェット兼ロケット合体機関。
【請求項１９３０】
前記ジェット兼ロケット飛行機（３８Ａ）の宇宙往還親飛行機のジェット兼ロケット合体機関燃焼部（２９）（２９）で夫々過熱蒸気爆発力＋燃焼ガス爆発力に分割することで１００ＭＰａ以上の過熱蒸気（５０）＋１００ＭＰａ以上の燃焼ガス（４９）＝同温度を可能にして容器耐圧に合せて搭載使用するジェット兼ロケット合体機関。
【請求項１９３１】
前記ジェット兼ロケット飛行機（３８Ａ）の宇宙往還機のジェット兼ロケット合体機関燃焼部（２９）（２９）で夫々過熱蒸気爆発力＋燃焼ガス爆発力に分割することで１００ＭＰａ以上の過熱蒸気（５０）＋１００ＭＰａ以上の燃焼ガス（４９）＝同温度を可能にして容器耐圧に合せて搭載使用するジェット兼ロケット合体機関。
【請求項１９３２】
前記ジェット兼ロケット飛行機（３８Ａ）の宇宙往還親飛行機のジェット兼ロケット合体機関燃焼部（２９）で最高圧力過熱蒸気爆発力＋最高圧力燃焼ガス爆発力に分割することで１００ＭＰａ以上の過熱蒸気（５０）＋１００ＭＰａ以上の燃焼ガス（４９）を可能にするジェット兼ロケット合体機関。
【請求項１９３３】
前記ジェット兼ロケット飛行機（３８Ａ）の宇宙往還機のジェット兼ロケット合体機関燃焼部（２９）で最高圧力過熱蒸気爆発力＋最高圧力燃焼ガス爆発力に分割することで１００ＭＰａ以上の過熱蒸気（５０）＋１００ＭＰａ以上の燃焼ガス（４９）を可能にするジェット兼ロケット合体機関。
【請求項１９３４】
前記ジェット兼ロケット飛行機（３８Ａ）の宇宙往還親飛行機のジェット兼ロケット合体機関燃焼部（２９）（２９）で夫々最高圧力過熱蒸気爆発力＋最高圧力燃焼ガス爆発力に分割することで１００ＭＰａ以上の過熱蒸気（５０）＋１００ＭＰａ以上の燃焼ガス（４９）を可能にするジェット兼ロケット合体機関。
【請求項１９３５】
前記ジェット兼ロケット飛行機（３８Ａ）の宇宙往還機のジェット兼ロケット合体機関燃焼部（２９）（２９）で夫々最高圧力過熱蒸気爆発力＋最高圧力燃焼ガス爆発力に分割することで１００ＭＰａ以上の過熱蒸気（５０）＋１００ＭＰａ以上の燃焼ガス（４９）を可能にするジェット兼ロケット合体機関。
【請求項１９３６】
前記ジェット兼ロケット飛行機（３８Ａ）の宇宙往還親飛行機のジェット兼ロケット合体機関燃焼部（２９）で最高圧力過熱蒸気爆発力＋最高圧力燃焼ガス爆発力に分割することで１００ＭＰａ以上の過熱蒸気（５０）＋１００ＭＰａ以上の燃焼ガス（４９）＝同温度を可能にするジェット兼ロケット合体機関。
【請求項１９３７】
前記ジェット兼ロケット飛行機（３８Ａ）の宇宙往還機のジェット兼ロケット合体機関燃焼部（２９）で最高圧力過熱蒸気爆発力＋最高圧力燃焼ガス爆発力に分割することで１００ＭＰａ以上の過熱蒸気（５０）＋１００ＭＰａ以上の燃焼ガス（４９）＝同温度を可能にするジェット兼ロケット合体機関。
【請求項１９３８】
前記ジェット兼ロケット飛行機（３８Ａ）の宇宙往還親飛行機のジェット兼ロケット合体機関燃焼部（２９）（２９）で夫々最高圧力過熱蒸気爆発力＋最高圧力燃焼ガス爆発力に分割することで１００ＭＰａ以上の過熱蒸気（５０）＋１００ＭＰａ以上の燃焼ガス（４９）＝同温度を可能にするジェット兼ロケット合体機関。
【請求項１９３９】
前記ジェット兼ロケット飛行機（３８Ａ）の宇宙往還機のジェット兼ロケット合体機関燃焼部（２９）（２９）で夫々最高圧力過熱蒸気爆発力＋最高圧力燃焼ガス爆発力に分割することで１００ＭＰａ以上の過熱蒸気（５０）＋１００ＭＰａ以上の燃焼ガス（４９）＝同温度を可能にするジェット兼ロケット合体機関。
【請求項１９４０】
前記ジェット兼ロケット飛行機（３８Ａ）の宇宙往還親飛行機のジェット兼ロケット合体機関燃焼部（２９）で最高圧力過熱蒸気爆発力＋最高圧力燃焼ガス爆発力に分割して過熱蒸気導水管（２５ａ）＋燃焼ガス管（２４ａ）でジェット兼ロケット噴射部（７７Ｌ）に供給するジェット兼ロケット合体機関。
【請求項１９４１】
前記ジェット兼ロケット飛行機（３８Ａ）の宇宙往還機のジェット兼ロケット合体機関燃焼部（２９）で最高圧力過熱蒸気爆発力＋最高圧力燃焼ガス爆発力に分割して過熱蒸気導水管（２５ａ）＋燃焼ガス管（２４ａ）でジェット兼ロケット噴射部（７７Ｌ）に供給するジェット兼ロケット合体機関。
【請求項１９４２】
前記ジェット兼ロケット飛行機（３８Ａ）の宇宙往還親飛行機のジェット兼ロケット合体機関燃焼部（２９）（２９）で夫々最高圧力過熱蒸気爆発力＋最高圧力燃焼ガス爆発力に分割して過熱蒸気導水管（２５ａ）＋燃焼ガス管（２４ａ）で夫々ジェット兼ロケット噴射部（７７Ｌ）に供給するジェット兼ロケット合体機関。
【請求項１９４３】
前記ジェット兼ロケット飛行機（３８Ａ）の宇宙往還機のジェット兼ロケット合体機関燃焼部（２９）（２９）で夫々最高圧力過熱蒸気爆発力＋最高圧力燃焼ガス爆発力に分割して過熱蒸気導水管（２５ａ）＋燃焼ガス管（２４ａ）で夫々ジェット兼ロケット噴射部（７７Ｌ）に供給するジェット兼ロケット合体機関。
【請求項１９４４】
前記ジェット兼ロケット飛行機（３８Ａ）の宇宙往還親飛行機のジェット兼ロケット合体機関燃焼部（２９）で最高圧力過熱蒸気爆発力＋最高圧力燃焼ガス爆発力に分割して過熱蒸気導水管（２５ａ）＋燃焼ガス管（２４ａ）でジェット兼ロケット噴射部（７７Ｌ）に供給噴射するジェット兼ロケット合体機関。
【請求項１９４５】
前記ジェット兼ロケット飛行機（３８Ａ）の宇宙往還機のジェット兼ロケット合体機関燃焼部（２９）で最高圧力過熱蒸気爆発力＋最高圧力燃焼ガス爆発力に分割して過熱蒸気導水管（２５ａ）＋燃焼ガス管（２４ａ）でジェット兼ロケット噴射部（７７Ｌ）に供給噴射するジェット兼ロケット合体機関。
【請求項１９４６】
前記ジェット兼ロケット飛行機（３８Ａ）の宇宙往還親飛行機のジェット兼ロケット合体機関燃焼部（２９）（２９）で夫々最高圧力過熱蒸気爆発力＋最高圧力燃焼ガス爆発力に分割して過熱蒸気導水管（２５ａ）＋燃焼ガス管（２４ａ）で夫々ジェット兼ロケット噴射部（７７Ｌ）に供給噴射するジェット兼ロケット合体機関。
【請求項１９４７】
前記ジェット兼ロケット飛行機（３８Ａ）の宇宙往還機のジェット兼ロケット合体機関燃焼部（２９）（２９）で夫々最高圧力過熱蒸気爆発力＋最高圧力燃焼ガス爆発力に分割して過熱蒸気導水管（２５ａ）＋燃焼ガス管（２４ａ）で夫々ジェット兼ロケット噴射部（７７Ｌ）に供給噴射するジェット兼ロケット合体機関。
【請求項１９４８】
前記ジェット兼ロケット飛行機（３８Ａ）の宇宙往還親飛行機のジェット兼ロケット合体機関燃焼部（２９）で最高圧力過熱蒸気爆発力＋最高圧力燃焼ガス爆発力に分割して過熱蒸気導水管（２５ａ）＋燃焼ガス管（２４ａ）でジェット兼ロケット噴射部（７７Ｌ）に供給噴射して噴射推進するジェット兼ロケット合体機関。
【請求項１９４９】
前記ジェット兼ロケット飛行機（３８Ａ）の宇宙往還機のジェット兼ロケット合体機関燃焼部（２９）で最高圧力過熱蒸気爆発力＋最高圧力燃焼ガス爆発力に分割して過熱蒸気導水管（２５ａ）＋燃焼ガス管（２４ａ）でジェット兼ロケット噴射部（７７Ｌ）に供給噴射して噴射推進するジェット兼ロケット合体機関。
【請求項１９５０】
前記ジェット兼ロケット飛行機（３８Ａ）の宇宙往還親飛行機のジェット兼ロケット合体機関燃焼部（２９）（２９）で夫々最高圧力過熱蒸気爆発力＋最高圧力燃焼ガス爆発力に分割して過熱蒸気導水管（２５ａ）＋燃焼ガス管（２４ａ）で夫々ジェット兼ロケット噴射部（７７Ｌ）に供給噴射して噴射推進するジェット兼ロケット合体機関。
【請求項１９５１】
前記ジェット兼ロケット飛行機（３８Ａ）の宇宙往還機のジェット兼ロケット合体機関燃焼部（２９）（２９）で夫々最高圧力過熱蒸気爆発力＋最高圧力燃焼ガス爆発力に分割して過熱蒸気導水管（２５ａ）＋燃焼ガス管（２４ａ）で夫々ジェット兼ロケット噴射部（７７Ｌ）に供給噴射して噴射推進するジェット兼ロケット合体機関。
【請求項１９５２】
前記ジェット兼ロケット飛行機（３８Ａ）の宇宙往還親飛行機のジェット兼ロケット合体機関燃焼部（２９）で最高圧力過熱蒸気爆発力＋最高圧力燃焼ガス爆発力に分割して過熱蒸気導水管（２５ａ）＋燃焼ガス管（２４ａ）＋円筒回転部（７７Ｇ）でジェット兼ロケット噴射部（７７Ｌ）に供給するジェット兼ロケット合体機関。
【請求項１９５３】
前記ジェット兼ロケット飛行機（３８Ａ）の宇宙往還機のジェット兼ロケット合体機関燃焼部（２９）で最高圧力過熱蒸気爆発力＋最高圧力燃焼ガス爆発力に分割して過熱蒸気導水管（２５ａ）＋燃焼ガス管（２４ａ）＋円筒回転部（７７Ｇ）でジェット兼ロケット噴射部（７７Ｌ）に供給するジェット兼ロケット合体機関。
【請求項１９５４】
前記ジェット兼ロケット飛行機（３８Ａ）の宇宙往還親飛行機のジェット兼ロケット合体機関燃焼部（２９）（２９）で夫々最高圧力過熱蒸気爆発力＋最高圧力燃焼ガス爆発力に分割して過熱蒸気導水管（２５ａ）＋燃焼ガス管（２４ａ）＋円筒回転部（７７Ｇ）で夫々ジェット兼ロケット噴射部（７７Ｌ）に供給するジェット兼ロケット合体機関。
【請求項１９５５】
前記ジェット兼ロケット飛行機（３８Ａ）の宇宙往還機のジェット兼ロケット合体機関燃焼部（２９）（２９）で夫々最高圧力過熱蒸気爆発力＋最高圧力燃焼ガス爆発力に分割して過熱蒸気導水管（２５ａ）＋燃焼ガス管（２４ａ）＋円筒回転部（７７Ｇ）で夫々ジェット兼ロケット噴射部（７７Ｌ）に供給するジェット兼ロケット合体機関。
【請求項１９５６】
前記ジェット兼ロケット飛行機（３８Ａ）の宇宙往還親飛行機のジェット兼ロケット合体機関燃焼部（２９）で最高圧力過熱蒸気爆発力＋最高圧力燃焼ガス爆発力に分割して過熱蒸気導水管（２５ａ）＋燃焼ガス管（２４ａ）＋円筒回転部（７７Ｇ）でジェット兼ロケット噴射部（７７Ｌ）に供給噴射するジェット兼ロケット合体機関。
【請求項１９５７】
前記ジェット兼ロケット飛行機（３８Ａ）の宇宙往還機のジェット兼ロケット合体機関燃焼部（２９）で最高圧力過熱蒸気爆発力＋最高圧力燃焼ガス爆発力に分割して過熱蒸気導水管（２５ａ）＋燃焼ガス管（２４ａ）＋円筒回転部（７７Ｇ）でジェット兼ロケット噴射部（７７Ｌ）に供給噴射するジェット兼ロケット合体機関。
【請求項１９５８】
前記ジェット兼ロケット飛行機（３８Ａ）の宇宙往還親飛行機のジェット兼ロケット合体機関燃焼部（２９）（２９）で夫々最高圧力過熱蒸気爆発力＋最高圧力燃焼ガス爆発力に分割して過熱蒸気導水管（２５ａ）＋燃焼ガス管（２４ａ）＋円筒回転部（７７Ｇ）で夫々ジェット兼ロケット噴射部（７７Ｌ）に供給噴射するジェット兼ロケット合体機関。
【請求項１９５９】
前記ジェット兼ロケット飛行機（３８Ａ）の宇宙往還機のジェット兼ロケット合体機関燃焼部（２９）（２９）で夫々最高圧力過熱蒸気爆発力＋最高圧力燃焼ガス爆発力に分割して過熱蒸気導水管（２５ａ）＋燃焼ガス管（２４ａ）＋円筒回転部（７７Ｇ）で夫々ジェット兼ロケット噴射部（７７Ｌ）に供給噴射するジェット兼ロケット合体機関。
【請求項１９６０】
前記ジェット兼ロケット飛行機（３８Ａ）の宇宙往還親飛行機のジェット兼ロケット合体機関燃焼部（２９）で最高圧力過熱蒸気爆発力＋最高圧力燃焼ガス爆発力に分割して過熱蒸気導水管（２５ａ）＋燃焼ガス管（２４ａ）＋円筒回転部（７７Ｇ）でジェット兼ロケット噴射部（７７Ｌ）に供給噴射して噴射推進するジェット兼ロケット合体機関。
【請求項１９６１】
前記ジェット兼ロケット飛行機（３８Ａ）の宇宙往還機のジェット兼ロケット合体機関燃焼部（２９）で最高圧力過熱蒸気爆発力＋最高圧力燃焼ガス爆発力に分割して過熱蒸気導水管（２５ａ）＋燃焼ガス管（２４ａ）＋円筒回転部（７７Ｇ）でジェット兼ロケット噴射部（７７Ｌ）に供給噴射して噴射推進するジェット兼ロケット合体機関。
【請求項１９６２】
前記ジェット兼ロケット飛行機（３８Ａ）の宇宙往還親飛行機のジェット兼ロケット合体機関燃焼部（２９）（２９）で夫々最高圧力過熱蒸気爆発力＋最高圧力燃焼ガス爆発力に分割して過熱蒸気導水管（２５ａ）＋燃焼ガス管（２４ａ）＋円筒回転部（７７Ｇ）で夫々ジェット兼ロケット噴射部（７７Ｌ）に供給噴射して噴射推進するジェット兼ロケット合体機関。
【請求項１９６３】
前記ジェット兼ロケット飛行機（３８Ａ）の宇宙往還機のジェット兼ロケット合体機関燃焼部（２９）（２９）で夫々最高圧力過熱蒸気爆発力＋最高圧力燃焼ガス爆発力に分割して過熱蒸気導水管（２５ａ）＋燃焼ガス管（２４ａ）＋円筒回転部（７７Ｇ）で夫々ジェット兼ロケット噴射部（７７Ｌ）に供給噴射して噴射推進するジェット兼ロケット合体機関。
【請求項１９６４】
前記ジェット兼ロケット飛行機（３８Ａ）の宇宙往還親飛行機のジェット兼ロケット合体機関燃焼部（２９）で最高圧力過熱蒸気爆発力＋最高圧力燃焼ガス爆発力に分割して過熱蒸気導水管（２５ａ）＋燃焼ガス管（２４ａ）＋円筒回転部（７７Ｇ）で略１８０度反転させたジェット兼ロケット噴射部（７７Ｌ）に供給するジェット兼ロケット合体機関。
【請求項１９６５】
前記ジェット兼ロケット飛行機（３８Ａ）の宇宙往還機のジェット兼ロケット合体機関燃焼部（２９）で最高圧力過熱蒸気爆発力＋最高圧力燃焼ガス爆発力に分割して過熱蒸気導水管（２５ａ）＋燃焼ガス管（２４ａ）＋円筒回転部（７７Ｇ）で略１８０度反転させたジェット兼ロケット噴射部（７７Ｌ）に供給するジェット兼ロケット合体機関。
【請求項１９６６】
前記ジェット兼ロケット飛行機（３８Ａ）の宇宙往還親飛行機のジェット兼ロケット合体機関燃焼部（２９）（２９）で夫々最高圧力過熱蒸気爆発力＋最高圧力燃焼ガス爆発力に分割して過熱蒸気導水管（２５ａ）＋燃焼ガス管（２４ａ）＋円筒回転部（７７Ｇ）で略１８０度反転させた夫々のジェット兼ロケット噴射部（７７Ｌ）に供給するジェット兼ロケット合体機関。
【請求項１９６７】
前記ジェット兼ロケット飛行機（３８Ａ）の宇宙往還機のジェット兼ロケット合体機関燃焼部（２９）（２９）で夫々最高圧力過熱蒸気爆発力＋最高圧力燃焼ガス爆発力に分割して過熱蒸気導水管（２５ａ）＋燃焼ガス管（２４ａ）＋円筒回転部（７７Ｇ）で略１８０度反転させた夫々のジェット兼ロケット噴射部（７７Ｌ）に供給するジェット兼ロケット合体機関。
【請求項１９６８】
前記ジェット兼ロケット飛行機（３８Ａ）の宇宙往還親飛行機のジェット兼ロケット合体機関燃焼部（２９）で最高圧力過熱蒸気爆発力＋最高圧力燃焼ガス爆発力に分割して過熱蒸気導水管（２５ａ）＋燃焼ガス管（２４ａ）＋円筒回転部（７７Ｇ）で略１８０度反転させたジェット兼ロケット噴射部（７７Ｌ）に供給噴射するジェット兼ロケット合体機関。
【請求項１９６９】
前記ジェット兼ロケット飛行機（３８Ａ）の宇宙往還機のジェット兼ロケット合体機関燃焼部（２９）で最高圧力過熱蒸気爆発力＋最高圧力燃焼ガス爆発力に分割して過熱蒸気導水管（２５ａ）＋燃焼ガス管（２４ａ）＋円筒回転部（７７Ｇ）で略１８０度反転させたジェット兼ロケット噴射部（７７Ｌ）に供給噴射するジェット兼ロケット合体機関。
【請求項１９７０】
前記ジェット兼ロケット飛行機（３８Ａ）の宇宙往還親飛行機のジェット兼ロケット合体機関燃焼部（２９）（２９）で夫々最高圧力過熱蒸気爆発力＋最高圧力燃焼ガス爆発力に分割して過熱蒸気導水管（２５ａ）＋燃焼ガス管（２４ａ）＋円筒回転部（７７Ｇ）で略１８０度反転させた夫々のジェット兼ロケット噴射部（７７Ｌ）に供給噴射するジェット兼ロケット合体機関。
【請求項１９７１】
前記ジェット兼ロケット飛行機（３８Ａ）の宇宙往還機のジェット兼ロケット合体機関燃焼部（２９）（２９）で夫々最高圧力過熱蒸気爆発力＋最高圧力燃焼ガス爆発力に分割して過熱蒸気導水管（２５ａ）＋燃焼ガス管（２４ａ）＋円筒回転部（７７Ｇ）で略１８０度反転させた夫々のジェット兼ロケット噴射部（７７Ｌ）に供給噴射するジェット兼ロケット合体機関。
【請求項１９７２】
前記ジェット兼ロケット飛行機（３８Ａ）の宇宙往還親飛行機のジェット兼ロケット合体機関燃焼部（２９）で最高圧力過熱蒸気爆発力＋最高圧力燃焼ガス爆発力に分割して過熱蒸気導水管（２５ａ）＋燃焼ガス管（２４ａ）＋円筒回転部（７７Ｇ）で略１８０度反転させたジェット兼ロケット噴射部（７７Ｌ）に供給して逆噴射するジェット兼ロケット合体機関。
【請求項１９７３】
前記ジェット兼ロケット飛行機（３８Ａ）の宇宙往還機のジェット兼ロケット合体機関燃焼部（２９）で最高圧力過熱蒸気爆発力＋最高圧力燃焼ガス爆発力に分割して過熱蒸気導水管（２５ａ）＋燃焼ガス管（２４ａ）＋円筒回転部（７７Ｇ）で略１８０度反転させたジェット兼ロケット噴射部（７７Ｌ）に供給して逆噴射するジェット兼ロケット合体機関。
【請求項１９７４】
前記ジェット兼ロケット飛行機（３８Ａ）の宇宙往還親飛行機のジェット兼ロケット合体機関燃焼部（２９）（２９）で夫々最高圧力過熱蒸気爆発力＋最高圧力燃焼ガス爆発力に分割して過熱蒸気導水管（２５ａ）＋燃焼ガス管（２４ａ）＋円筒回転部（７７Ｇ）で略１８０度反転させた夫々のジェット兼ロケット噴射部（７７Ｌ）に供給して逆噴射するジェット兼ロケット合体機関。
【請求項１９７５】
前記ジェット兼ロケット飛行機（３８Ａ）の宇宙往還機のジェット兼ロケット合体機関燃焼部（２９）（２９）で夫々最高圧力過熱蒸気爆発力＋最高圧力燃焼ガス爆発力に分割して過熱蒸気導水管（２５ａ）＋燃焼ガス管（２４ａ）＋円筒回転部（７７Ｇ）で略１８０度反転させた夫々のジェット兼ロケット噴射部（７７Ｌ）に供給して逆噴射するジェット兼ロケット合体機関。
【請求項１９７６】
前記ジェット兼ロケット飛行機（３８Ａ）の宇宙往還親飛行機のジェット兼ロケット合体機関燃焼部（２９）で最高圧力過熱蒸気爆発力＋最高圧力燃焼ガス爆発力に分割して過熱蒸気導水管（２５ａ）＋燃焼ガス管（２４ａ）＋円筒回転部（７７Ｇ）で略９０度回転させたジェット兼ロケット噴射部（７７Ｌ）に供給するジェット兼ロケット合体機関。
【請求項１９７７】
前記ジェット兼ロケット飛行機（３８Ａ）の宇宙往還機のジェット兼ロケット合体機関燃焼部（２９）で最高圧力過熱蒸気爆発力＋最高圧力燃焼ガス爆発力に分割して過熱蒸気導水管（２５ａ）＋燃焼ガス管（２４ａ）＋円筒回転部（７７Ｇ）で略９０度回転させたジェット兼ロケット噴射部（７７Ｌ）に供給するジェット兼ロケット合体機関。
【請求項１９７８】
前記ジェット兼ロケット飛行機（３８Ａ）の宇宙往還親飛行機のジェット兼ロケット合体機関燃焼部（２９）（２９）で夫々最高圧力過熱蒸気爆発力＋最高圧力燃焼ガス爆発力に分割して過熱蒸気導水管（２５ａ）＋燃焼ガス管（２４ａ）＋円筒回転部（７７Ｇ）で略９０度回転させた夫々のジェット兼ロケット噴射部（７７Ｌ）に供給するジェット兼ロケット合体機関。
【請求項１９７９】
前記ジェット兼ロケット飛行機（３８Ａ）の宇宙往還機のジェット兼ロケット合体機関燃焼部（２９）（２９）で夫々最高圧力過熱蒸気爆発力＋最高圧力燃焼ガス爆発力に分割して過熱蒸気導水管（２５ａ）＋燃焼ガス管（２４ａ）＋円筒回転部（７７Ｇ）で略９０度回転させた夫々のジェット兼ロケット噴射部（７７Ｌ）に供給するジェット兼ロケット合体機関。
【請求項１９８０】
前記ジェット兼ロケット飛行機（３８Ａ）の宇宙往還親飛行機のジェット兼ロケット合体機関燃焼部（２９）で最高圧力過熱蒸気爆発力＋最高圧力燃焼ガス爆発力に分割して過熱蒸気導水管（２５ａ）＋燃焼ガス管（２４ａ）＋円筒回転部（７７Ｇ）で略９０度回転させたジェット兼ロケット噴射部（７７Ｌ）に供給して略垂直噴射するジェット兼ロケット合体機関。
【請求項１９８１】
前記ジェット兼ロケット飛行機（３８Ａ）の宇宙往還機のジェット兼ロケット合体機関燃焼部（２９）で最高圧力過熱蒸気爆発力＋最高圧力燃焼ガス爆発力に分割して過熱蒸気導水管（２５ａ）＋燃焼ガス管（２４ａ）＋円筒回転部（７７Ｇ）で略９０度回転させたジェット兼ロケット噴射部（７７Ｌ）に供給して略垂直噴射するジェット兼ロケット合体機関。
【請求項１９８２】
前記ジェット兼ロケット飛行機（３８Ａ）の宇宙往還親飛行機のジェット兼ロケット合体機関燃焼部（２９）（２９）で夫々最高圧力過熱蒸気爆発力＋最高圧力燃焼ガス爆発力に分割して過熱蒸気導水管（２５ａ）＋燃焼ガス管（２４ａ）＋円筒回転部（７７Ｇ）で略９０度回転させた夫々のジェット兼ロケット噴射部（７７Ｌ）に供給して略垂直噴射するジェット兼ロケット合体機関。
【請求項１９８３】
前記ジェット兼ロケット飛行機（３８Ａ）の宇宙往還機のジェット兼ロケット合体機関燃焼部（２９）（２９）で夫々最高圧力過熱蒸気爆発力＋最高圧力燃焼ガス爆発力に分割して過熱蒸気導水管（２５ａ）＋燃焼ガス管（２４ａ）＋円筒回転部（７７Ｇ）で略９０度回転させた夫々のジェット兼ロケット噴射部（７７Ｌ）に供給して略垂直噴射するジェット兼ロケット合体機関。
【請求項１９８４】
前記ジェット兼ロケット飛行機（３８Ａ）の宇宙往還親飛行機のジェット兼ロケット合体機関燃焼部（２９）で最高圧力過熱蒸気爆発力＋最高圧力燃焼ガス爆発力に分割して過熱蒸気導水管（２５ａ）＋燃焼ガス管（２４ａ）＋円筒回転部（７７Ｇ）で略９０度回転させたジェット兼ロケット噴射部（７７Ｌ）に供給して略垂直噴射して略垂直上昇垂直降下するジェット兼ロケット合体機関。
【請求項１９８５】
前記ジェット兼ロケット飛行機（３８Ａ）の宇宙往還機のジェット兼ロケット合体機関燃焼部（２９）で最高圧力過熱蒸気爆発力＋最高圧力燃焼ガス爆発力に分割して過熱蒸気導水管（２５ａ）＋燃焼ガス管（２４ａ）＋円筒回転部（７７Ｇ）で略９０度回転させたジェット兼ロケット噴射部（７７Ｌ）に供給して略垂直噴射して略垂直上昇垂直降下するジェット兼ロケット合体機関。
【請求項１９８６】
前記ジェット兼ロケット飛行機（３８Ａ）の宇宙往還親飛行機のジェット兼ロケット合体機関燃焼部（２９）（２９）で夫々最高圧力過熱蒸気爆発力＋最高圧力燃焼ガス爆発力に分割して過熱蒸気導水管（２５ａ）＋燃焼ガス管（２４ａ）＋円筒回転部（７７Ｇ）で略９０度回転させた夫々のジェット兼ロケット噴射部（７７Ｌ）に供給して略垂直噴射して略垂直上昇垂直降下するジェット兼ロケット合体機関。
【請求項１９８７】
前記ジェット兼ロケット飛行機（３８Ａ）の宇宙往還機のジェット兼ロケット合体機関燃焼部（２９）（２９）で夫々最高圧力過熱蒸気爆発力＋最高圧力燃焼ガス爆発力に分割して過熱蒸気導水管（２５ａ）＋燃焼ガス管（２４ａ）＋円筒回転部（７７Ｇ）で略９０度回転させた夫々のジェット兼ロケット噴射部（７７Ｌ）に供給して略垂直噴射して略垂直上昇垂直降下するジェット兼ロケット合体機関。
【請求項１９８８】
前記ジェット兼ロケット飛行機（３８Ａ）の宇宙往還機のジェット兼ロケット合体機関燃焼部（２９）（２９）で夫々最高圧力過熱蒸気爆発力＋最高圧力燃焼ガス爆発力に分割して過熱蒸気導水管（２５ａ）＋燃焼ガス管（２４ａ）＋円筒回転部（７７Ｇ）で略９０度回転させた夫々のジェット兼ロケット噴射部（７７Ｌ）に供給して略垂直噴射して略垂直上昇垂直降下して月面に着陸するジェット兼ロケット合体機関。
【請求項１９８９】
前記ジェット兼ロケット飛行機（３８Ａ）の宇宙往還機のジェット兼ロケット合体機関燃焼部（２９）（２９）で夫々最高圧力過熱蒸気爆発力＋最高圧力燃焼ガス爆発力に分割して過熱蒸気導水管（２５ａ）＋燃焼ガス管（２４ａ）＋導水管（３）＋円筒回転部（７７Ｇ）で略９０度回転させた夫々のジェット兼ロケット噴射部（７７Ｋ）に供給して略垂直噴射して略垂直上昇垂直降下して月面に着陸するジェット兼ロケット合体機関。
【請求項１９９０】
前記ジェット兼ロケット飛行機（３８Ａ）の宇宙往還機のジェット兼ロケット合体機関燃焼部（２９）（２９）で夫々最高圧力過熱蒸気爆発力＋最高圧力燃焼ガス爆発力に分割して過熱蒸気導水管（２５ａ）＋燃焼ガス管（２４ａ）＋円筒回転部（７７Ｇ）で略９０度回転させた夫々のジェット兼ロケット噴射部（７７Ｌ）に供給して略垂直噴射して略垂直上昇垂直降下して月面より帰還するジェット兼ロケット合体機関。
【請求項１９９１】
前記ジェット兼ロケット飛行機（３８Ａ）の宇宙往還機のジェット兼ロケット合体機関燃焼部（２９）（２９）で夫々最高圧力過熱蒸気爆発力＋最高圧力燃焼ガス爆発力に分割して過熱蒸気導水管（２５ａ）＋燃焼ガス管（２４ａ）＋導水管（３）＋円筒回転部（７７Ｇ）で略９０度回転させた夫々のジェット兼ロケット噴射部（７７Ｋ）に供給して略垂直噴射して略垂直上昇垂直降下して月面より帰還するジェット兼ロケット合体機関。
【請求項１９９２】
前記ジェット兼ロケット飛行機（３８Ａ）の宇宙往還機のジェット兼ロケット合体機関燃焼部（２９）（２９）で夫々最高圧力過熱蒸気爆発力＋最高圧力燃焼ガス爆発力に分割して過熱蒸気導水管（２５ａ）＋燃焼ガス管（２４ａ）＋円筒回転部（７７Ｇ）で略９０度回転させた夫々のジェット兼ロケット噴射部（７７Ｌ）に供給して略垂直噴射して略垂直上昇垂直降下して火星に着陸するジェット兼ロケット合体機関。
【請求項１９９３】
前記ジェット兼ロケット飛行機（３８Ａ）の宇宙往還機のジェット兼ロケット合体機関燃焼部（２９）（２９）で夫々最高圧力過熱蒸気爆発力＋最高圧力燃焼ガス爆発力に分割して過熱蒸気導水管（２５ａ）＋燃焼ガス管（２４ａ）＋導水管（３）＋円筒回転部（７７Ｇ）で略９０度回転させた夫々のジェット兼ロケット噴射部（７７Ｋ）に供給して略垂直噴射して略垂直上昇垂直降下して火星に着陸するジェット兼ロケット合体機関。
【請求項１９９４】
前記ジェット兼ロケット飛行機（３８Ａ）の宇宙往還機のジェット兼ロケット合体機関燃焼部（２９）（２９）で夫々最高圧力過熱蒸気爆発力＋最高圧力燃焼ガス爆発力に分割して過熱蒸気導水管（２５ａ）＋燃焼ガス管（２４ａ）＋円筒回転部（７７Ｇ）で略９０度回転させた夫々のジェット兼ロケット噴射部（７７Ｌ）に供給して略垂直噴射して略垂直上昇垂直降下して火星より帰還するジェット兼ロケット合体機関。
【請求項１９９５】
前記ジェット兼ロケット飛行機（３８Ａ）の宇宙往還機のジェット兼ロケット合体機関燃焼部（２９）（２９）で夫々最高圧力過熱蒸気爆発力＋最高圧力燃焼ガス爆発力に分割して過熱蒸気導水管（２５ａ）＋燃焼ガス管（２４ａ）＋導水管（３）＋円筒回転部（７７Ｇ）で略９０度回転させた夫々のジェット兼ロケット噴射部（７７Ｋ）に供給して略垂直噴射して略垂直上昇垂直降下して火星より帰還するジェット兼ロケット合体機関。
【請求項１９９６】
前記ジェット兼ロケット飛行機（３８Ａ）の宇宙往還機のジェット兼ロケット合体機関燃焼部（２９）（２９）で夫々最高圧力過熱蒸気爆発力＋最高圧力燃焼ガス爆発力に分割して過熱蒸気導水管（２５ａ）＋燃焼ガス管（２４ａ）＋円筒回転部（７７Ｇ）で略９０度回転させた夫々のジェット兼ロケット噴射部（７７Ｌ）に供給して略垂直噴射して略垂直上昇垂直降下して火星より地球の大気圏に帰還するジェット兼ロケット合体機関。
【請求項１９９７】
前記ジェット兼ロケット飛行機（３８Ａ）の宇宙往還機のジェット兼ロケット合体機関燃焼部（２９）（２９）で夫々最高圧力過熱蒸気爆発力＋最高圧力燃焼ガス爆発力に分割して過熱蒸気導水管（２５ａ）＋燃焼ガス管（２４ａ）＋導水管（３）＋円筒回転部（７７Ｇ）で略９０度回転させた夫々のジェット兼ロケット噴射部（７７Ｋ）に供給して略垂直噴射して略垂直上昇垂直降下して火星より地球の大気圏に帰還するジェット兼ロケット合体機関。
【請求項１９９８】
前記ジェット兼ロケット飛行機（３８Ａ）の宇宙往還機のジェット兼ロケット合体機関燃焼部（２９）（２９）で夫々最高圧力過熱蒸気爆発力＋最高圧力燃焼ガス爆発力に分割して過熱蒸気導水管（２５ａ）＋燃焼ガス管（２４ａ）＋円筒回転部（７７Ｇ）で略９０度回転させた夫々のジェット兼ロケット噴射部（７７Ｌ）に供給して略垂直噴射して略垂直上昇垂直降下して月面より地球の大気圏に帰還するジェット兼ロケット合体機関。
【請求項１９９９】
前記ジェット兼ロケット飛行機（３８Ａ）の宇宙往還機のジェット兼ロケット合体機関燃焼部（２９）（２９）で夫々最高圧力過熱蒸気爆発力＋最高圧力燃焼ガス爆発力に分割して過熱蒸気導水管（２５ａ）＋燃焼ガス管（２４ａ）＋導水管（３）＋円筒回転部（７７Ｇ）で略９０度回転させた夫々のジェット兼ロケット噴射部（７７Ｋ）に供給して略垂直噴射して略垂直上昇垂直降下して月面より地球の大気圏に帰還するジェット兼ロケット合体機関。
【請求項２０００】
前記ジェット兼ロケット飛行機（３８Ａ）の宇宙往還機のジェット兼ロケット合体機関燃焼部（２９）（２９）で夫々最高圧力過熱蒸気爆発力＋最高圧力燃焼ガス爆発力に分割して過熱蒸気導水管（２５ａ）＋燃焼ガス管（２４ａ）＋円筒回転部（７７Ｇ）で略９０度回転させた夫々のジェット兼ロケット噴射部（７７Ｌ）に供給して略垂直噴射して略垂直上昇垂直降下して火星より地球の大気圏に帰還して熱回収するジェット兼ロケット合体機関。
【請求項２００１】
前記ジェット兼ロケット飛行機（３８Ａ）の宇宙往還機のジェット兼ロケット合体機関燃焼部（２９）（２９）で夫々最高圧力過熱蒸気爆発力＋最高圧力燃焼ガス爆発力に分割して過熱蒸気導水管（２５ａ）＋燃焼ガス管（２４ａ）＋導水管（３）＋円筒回転部（７７Ｇ）で略９０度回転させた夫々のジェット兼ロケット噴射部（７７Ｋ）に供給して略垂直噴射して略垂直上昇垂直降下して火星より地球の大気圏に帰還して熱回収するジェット兼ロケット合体機関。
【請求項２００２】
前記ジェット兼ロケット飛行機（３８Ａ）の宇宙往還機のジェット兼ロケット合体機関燃焼部（２９）（２９）で夫々最高圧力過熱蒸気爆発力＋最高圧力燃焼ガス爆発力に分割して過熱蒸気導水管（２５ａ）＋燃焼ガス管（２４ａ）＋円筒回転部（７７Ｇ）で略９０度回転させた夫々のジェット兼ロケット噴射部（７７Ｌ）に供給して略垂直噴射して略垂直上昇垂直降下して月面より地球の大気圏に帰還して熱回収するジェット兼ロケット合体機関。
【請求項２００３】
前記ジェット兼ロケット飛行機（３８Ａ）の宇宙往還機のジェット兼ロケット合体機関燃焼部（２９）（２９）で夫々最高圧力過熱蒸気爆発力＋最高圧力燃焼ガス爆発力に分割して過熱蒸気導水管（２５ａ）＋燃焼ガス管（２４ａ）＋導水管（３）＋円筒回転部（７７Ｇ）で略９０度回転させた夫々のジェット兼ロケット噴射部（７７Ｋ）に供給して略垂直噴射して略垂直上昇垂直降下して月面より地球の大気圏に帰還して熱回収するジェット兼ロケット合体機関。
【請求項２００４】
前記ジェット兼ロケット飛行機（３８Ａ）の宇宙往還機のジェット兼ロケット合体機関燃焼部（２９）（２９）で夫々最高圧力過熱蒸気爆発力＋最高圧力燃焼ガス爆発力に分割して過熱蒸気導水管（２５ａ）＋燃焼ガス管（２４ａ）＋円筒回転部（７７Ｇ）で略９０度回転させた夫々のジェット兼ロケット噴射部（７７Ｌ）に供給して略垂直噴射して略垂直上昇垂直降下して火星より地球の大気圏に帰還熱回収して噴射推進出力にするジェット兼ロケット合体機関。
【請求項２００５】
前記ジェット兼ロケット飛行機（３８Ａ）の宇宙往還機のジェット兼ロケット合体機関燃焼部（２９）（２９）で夫々最高圧力過熱蒸気爆発力＋最高圧力燃焼ガス爆発力に分割して過熱蒸気導水管（２５ａ）＋燃焼ガス管（２４ａ）＋導水管（３）＋円筒回転部（７７Ｇ）で略９０度回転させた夫々のジェット兼ロケット噴射部（７７Ｋ）に供給して略垂直噴射して略垂直上昇垂直降下して火星より地球の大気圏に帰還熱回収して噴射推進出力にするジェット兼ロケット合体機関。
【請求項２００６】
前記ジェット兼ロケット飛行機（３８Ａ）の宇宙往還機のジェット兼ロケット合体機関燃焼部（２９）（２９）で夫々最高圧力過熱蒸気爆発力＋最高圧力燃焼ガス爆発力に分割して過熱蒸気導水管（２５ａ）＋燃焼ガス管（２４ａ）＋円筒回転部（７７Ｇ）で略９０度回転させた夫々のジェット兼ロケット噴射部（７７Ｌ）に供給して略垂直噴射して略垂直上昇垂直降下して月面より地球の大気圏に帰還熱回収して噴射推進出力にするジェット兼ロケット合体機関。
【請求項２００７】
前記ジェット兼ロケット飛行機（３８Ａ）の宇宙往還機のジェット兼ロケット合体機関燃焼部（２９）（２９）で夫々最高圧力過熱蒸気爆発力＋最高圧力燃焼ガス爆発力に分割して過熱蒸気導水管（２５ａ）＋燃焼ガス管（２４ａ）＋導水管（３）＋円筒回転部（７７Ｇ）で略９０度回転させた夫々のジェット兼ロケット噴射部（７７Ｋ）に供給して略垂直噴射して略垂直上昇垂直降下して月面より地球の大気圏に帰還熱回収して噴射推進出力にするジェット兼ロケット合体機関。
【請求項２００８】
前記水噴射ロケット合体機関（２９Ｋ）に超臨界圧力過熱蒸気（５０）＋高温水（５２ｂ）を搭載して過熱蒸気制御弁（２５Ｂ）を開放制御して過熱蒸気噴射ノズル（６Ａ）の超臨界圧力過熱蒸気爆発力と霧吹きの原理により、１以上の高温水を混合噴射加速してロケットノズル（９４ｂ）より噴射して宇宙旅行する水噴射ロケット合体機関。
【請求項２００９】
前記固体燃料水噴射ロケット合体機関（２９Ｊ）に超臨界圧力過熱蒸気（５０）＋高温水（５２ｂ）を搭載して過熱蒸気制御弁（２５Ｂ）を開放制御して過熱蒸気燃焼ガス噴射ノズル（６Ｈ）の超臨界圧力過熱蒸気爆発力と霧吹きの原理により、１以上の高温水を混合噴射加速してロケットノズル（９４ｂ）より噴射して宇宙旅行する固体燃料水噴射ロケット合体機関。
【請求項２０１０】
前記液体燃料水噴射ロケット合体機関（２９Ｉ）に超臨界圧力過熱蒸気（５０）＋高温水（５２ｂ）を搭載して過熱蒸気制御弁（２５Ｂ）を開放制御して過熱蒸気燃焼ガス噴射ノズル（６Ｈ）の超臨界圧力過熱蒸気爆発力と霧吹きの原理により、１以上の高温水を混合噴射加速してロケットノズル（９４ｂ）より噴射して宇宙旅行する液体燃料水噴射ロケット合体機関。
【請求項２０１１】
前記ジェット兼ロケット飛行機（３８Ａ）に最高圧力過熱蒸気爆発力＋最高圧力燃焼ガス爆発力を搭載して、ジェット兼ロケット噴射部（７７Ｋ）より噴射して宇宙旅行するジェット兼ロケット合体機関。
【請求項２０１２】
前記ジェット兼ロケット飛行機（３８Ａ）に最高圧力過熱蒸気爆発力＋最高圧力燃焼ガス爆発力を搭載して、ジェット兼ロケット噴射部（７７Ｌ）より噴射して宇宙旅行するジェット兼ロケット合体機関。
【請求項２０１３】
前記水噴射ロケット合体機関（２９Ｋ）に超臨界圧力過熱蒸気（５０）＋高温水（５２ｂ）を搭載して過熱蒸気制御弁（２５Ｂ）を開放制御して過熱蒸気噴射ノズル（６Ａ）の超臨界圧力過熱蒸気爆発力と霧吹きの原理により、１以上の高温水を混合噴射加速してロケットノズル（９４ｂ）より噴射して月旅行する水噴射ロケット合体機関。
【請求項２０１４】
前記固体燃料水噴射ロケット合体機関（２９Ｊ）に超臨界圧力過熱蒸気（５０）＋高温水（５２ｂ）を搭載して過熱蒸気制御弁（２５Ｂ）を開放制御して過熱蒸気燃焼ガス噴射ノズル（６Ｈ）の超臨界圧力過熱蒸気爆発力と霧吹きの原理により、１以上の高温水を混合噴射加速してロケットノズル（９４ｂ）より噴射して月旅行する固体燃料水噴射ロケット合体機関。
【請求項２０１５】
前記液体燃料水噴射ロケット合体機関（２９Ｉ）に超臨界圧力過熱蒸気（５０）＋高温水（５２ｂ）を搭載して過熱蒸気制御弁（２５Ｂ）を開放制御して過熱蒸気燃焼ガス噴射ノズル（６Ｈ）の超臨界圧力過熱蒸気爆発力と霧吹きの原理により、１以上の高温水を混合噴射加速してロケットノズル（９４ｂ）より噴射して月旅行する液体燃料水噴射ロケット合体機関。
【請求項２０１６】
前記ジェット兼ロケット飛行機（３８Ａ）に最高圧力過熱蒸気爆発力＋最高圧力燃焼ガス爆発力を搭載して、ジェット兼ロケット噴射部（７７Ｋ）より噴射して月旅行するジェット兼ロケット合体機関。
【請求項２０１７】
前記ジェット兼ロケット飛行機（３８Ａ）に最高圧力過熱蒸気爆発力＋最高圧力燃焼ガス爆発力を搭載して、ジェット兼ロケット噴射部（７７Ｌ）より噴射して月旅行するジェット兼ロケット合体機関。
【請求項２０１８】
前記水噴射ロケット合体機関（２９Ｋ）に超臨界圧力過熱蒸気（５０）＋高温水（５２ｂ）を搭載して過熱蒸気制御弁（２５Ｂ）を開放制御して過熱蒸気噴射ノズル（６Ａ）の超臨界圧力過熱蒸気爆発力と霧吹きの原理により、１以上の高温水を混合噴射加速してロケットノズル（９４ｂ）より噴射して火星旅行する水噴射ロケット合体機関。
【請求項２０１９】
前記固体燃料水噴射ロケット合体機関（２９Ｊ）に超臨界圧力過熱蒸気（５０）＋高温水（５２ｂ）を搭載して過熱蒸気制御弁（２５Ｂ）を開放制御して過熱蒸気燃焼ガス噴射ノズル（６Ｈ）の超臨界圧力過熱蒸気爆発力と霧吹きの原理により、１以上の高温水を混合噴射加速してロケットノズル（９４ｂ）より噴射して火星旅行する固体燃料水噴射ロケット合体機関。
【請求項２０２０】
前記液体燃料水噴射ロケット合体機関（２９Ｉ）に超臨界圧力過熱蒸気（５０）＋高温水（５２ｂ）を搭載して過熱蒸気制御弁（２５Ｂ）を開放制御して過熱蒸気燃焼ガス噴射ノズル（６Ｈ）の超臨界圧力過熱蒸気爆発力と霧吹きの原理により、１以上の高温水を混合噴射加速してロケットノズル（９４ｂ）より噴射して火星旅行する液体燃料水噴射ロケット合体機関。
【請求項２０２１】
前記ジェット兼ロケット飛行機（３８Ａ）に最高圧力過熱蒸気爆発力＋最高圧力燃焼ガス爆発力を搭載して、ジェット兼ロケット噴射部（７７Ｋ）より噴射して火星旅行するジェット兼ロケット合体機関。
【請求項２０２２】
前記ジェット兼ロケット飛行機（３８Ａ）に最高圧力過熱蒸気爆発力＋最高圧力燃焼ガス爆発力を搭載して、ジェット兼ロケット噴射部（７７Ｌ）より噴射して火星旅行するジェット兼ロケット合体機関。
【請求項２０２３】
前記水噴射ロケット合体機関（２９Ｋ）に超臨界圧力過熱蒸気（５０）＋高温水（５２ｂ）を搭載して過熱蒸気制御弁（２５Ｂ）を開放制御して過熱蒸気噴射ノズル（６Ａ）の超臨界圧力過熱蒸気爆発力と霧吹きの原理により、１以上の高温水を混合噴射加速してロケットノズル（９４ｂ）より噴射して宇宙旅行して大気圏に帰還する水噴射ロケット合体機関。
【請求項２０２４】
前記固体燃料水噴射ロケット合体機関（２９Ｊ）に超臨界圧力過熱蒸気（５０）＋高温水（５２ｂ）を搭載して過熱蒸気制御弁（２５Ｂ）を開放制御して過熱蒸気燃焼ガス噴射ノズル（６Ｈ）の超臨界圧力過熱蒸気爆発力と霧吹きの原理により、１以上の高温水を混合噴射加速してロケットノズル（９４ｂ）より噴射して宇宙旅行して大気圏に帰還する固体燃料水噴射ロケット合体機関。
【請求項２０２５】
前記液体燃料水噴射ロケット合体機関（２９Ｉ）に超臨界圧力過熱蒸気（５０）＋高温水（５２ｂ）を搭載して過熱蒸気制御弁（２５Ｂ）を開放制御して過熱蒸気燃焼ガス噴射ノズル（６Ｈ）の超臨界圧力過熱蒸気爆発力と霧吹きの原理により、１以上の高温水を混合噴射加速してロケットノズル（９４ｂ）より噴射して宇宙旅行して大気圏に帰還する液体燃料水噴射ロケット合体機関。
【請求項２０２６】
前記ジェット兼ロケット飛行機（３８Ａ）に最高圧力過熱蒸気爆発力＋最高圧力燃焼ガス爆発力を搭載して、ジェット兼ロケット噴射部（７７Ｋ）より噴射して宇宙旅行して大気圏に帰還するジェット兼ロケット合体機関。
【請求項２０２７】
前記ジェット兼ロケット飛行機（３８Ａ）に最高圧力過熱蒸気爆発力＋最高圧力燃焼ガス爆発力を搭載して、ジェット兼ロケット噴射部（７７Ｌ）より噴射して宇宙旅行して大気圏に帰還するジェット兼ロケット合体機関。
【請求項２０２８】
前記水噴射ロケット合体機関（２９Ｋ）に超臨界圧力過熱蒸気（５０）＋高温水（５２ｂ）を搭載して過熱蒸気制御弁（２５Ｂ）を開放制御して過熱蒸気噴射ノズル（６Ａ）の超臨界圧力過熱蒸気爆発力と霧吹きの原理により、１以上の高温水を混合噴射加速してロケットノズル（９４ｂ）より噴射して月旅行して大気圏に帰還する水噴射ロケット合体機関。
【請求項２０２９】
前記固体燃料水噴射ロケット合体機関（２９Ｊ）に超臨界圧力過熱蒸気（５０）＋高温水（５２ｂ）を搭載して過熱蒸気制御弁（２５Ｂ）を開放制御して過熱蒸気燃焼ガス噴射ノズル（６Ｈ）の超臨界圧力過熱蒸気爆発力と霧吹きの原理により、１以上の高温水を混合噴射加速してロケットノズル（９４ｂ）より噴射して月旅行して大気圏に帰還する固体燃料水噴射ロケット合体機関。
【請求項２０３０】
前記液体燃料水噴射ロケット合体機関（２９Ｉ）に超臨界圧力過熱蒸気（５０）＋高温水（５２ｂ）を搭載して過熱蒸気制御弁（２５Ｂ）を開放制御して過熱蒸気燃焼ガス噴射ノズル（６Ｈ）の超臨界圧力過熱蒸気爆発力と霧吹きの原理により、１以上の高温水を混合噴射加速してロケットノズル（９４ｂ）より噴射して月旅行して大気圏に帰還する液体燃料水噴射ロケット合体機関。
【請求項２０３１】
前記ジェット兼ロケット飛行機（３８Ａ）に最高圧力過熱蒸気爆発力＋最高圧力燃焼ガス爆発力を搭載して、ジェット兼ロケット噴射部（７７Ｋ）より噴射して月旅行して大気圏に帰還するジェット兼ロケット合体機関。
【請求項２０３２】
前記ジェット兼ロケット飛行機（３８Ａ）に最高圧力過熱蒸気爆発力＋最高圧力燃焼ガス爆発力を搭載して、ジェット兼ロケット噴射部（７７Ｌ）より噴射して月旅行して大気圏に帰還するジェット兼ロケット合体機関。
【請求項２０３３】
前記水噴射ロケット合体機関（２９Ｋ）に超臨界圧力過熱蒸気（５０）＋高温水（５２ｂ）を搭載して過熱蒸気制御弁（２５Ｂ）を開放制御して過熱蒸気噴射ノズル（６Ａ）の超臨界圧力過熱蒸気爆発力と霧吹きの原理により、１以上の高温水を混合噴射加速してロケットノズル（９４ｂ）より噴射して火星旅行して大気圏に帰還する水噴射ロケット合体機関。
【請求項２０３４】
前記固体燃料水噴射ロケット合体機関（２９Ｊ）に超臨界圧力過熱蒸気（５０）＋高温水（５２ｂ）を搭載して過熱蒸気制御弁（２５Ｂ）を開放制御して過熱蒸気燃焼ガス噴射ノズル（６Ｈ）の超臨界圧力過熱蒸気爆発力と霧吹きの原理により、１以上の高温水を混合噴射加速してロケットノズル（９４ｂ）より噴射して火星旅行して大気圏に帰還する固体燃料水噴射ロケット合体機関。
【請求項２０３５】
前記液体燃料水噴射ロケット合体機関（２９Ｉ）に超臨界圧力過熱蒸気（５０）＋高温水（５２ｂ）を搭載して過熱蒸気制御弁（２５Ｂ）を開放制御して過熱蒸気燃焼ガス噴射ノズル（６Ｈ）の超臨界圧力過熱蒸気爆発力と霧吹きの原理により、１以上の高温水を混合噴射加速してロケットノズル（９４ｂ）より噴射して火星旅行して大気圏に帰還する液体燃料水噴射ロケット合体機関。
【請求項２０３６】
前記ジェット兼ロケット飛行機（３８Ａ）に最高圧力過熱蒸気爆発力＋最高圧力燃焼ガス爆発力を搭載して、ジェット兼ロケット噴射部（７７Ｋ）より噴射して火星旅行して大気圏に帰還するジェット兼ロケット合体機関。
【請求項２０３７】
前記ジェット兼ロケット飛行機（３８Ａ）に最高圧力過熱蒸気爆発力＋最高圧力燃焼ガス爆発力を搭載して、ジェット兼ロケット噴射部（７７Ｌ）より噴射して火星旅行して大気圏に帰還するジェット兼ロケット合体機関。
【請求項２０３８】
前記水噴射ロケット合体機関（２９Ｋ）に超臨界圧力過熱蒸気（５０）＋高温水（５２ｂ）を搭載して過熱蒸気制御弁（２５Ｂ）を開放制御して過熱蒸気噴射ノズル（６Ａ）の超臨界圧力過熱蒸気爆発力と霧吹きの原理により、１以上の高温水を混合噴射加速してロケットノズル（９４ｂ）より噴射して宇宙旅行して大気圏に帰還熱回収して噴射推進力にする水噴射ロケット合体機関。
【請求項２０３９】
前記固体燃料水噴射ロケット合体機関（２９Ｊ）に超臨界圧力過熱蒸気（５０）＋高温水（５２ｂ）を搭載して過熱蒸気制御弁（２５Ｂ）を開放制御して過熱蒸気燃焼ガス噴射ノズル（６Ｈ）の超臨界圧力過熱蒸気爆発力と霧吹きの原理により、１以上の高温水を混合噴射加速してロケットノズル（９４ｂ）より噴射して宇宙旅行して大気圏に帰還熱回収して噴射推進力にする固体燃料水噴射ロケット合体機関。
【請求項２０４０】
前記液体燃料水噴射ロケット合体機関（２９Ｉ）に超臨界圧力過熱蒸気（５０）＋高温水（５２ｂ）を搭載して過熱蒸気制御弁（２５Ｂ）を開放制御して過熱蒸気燃焼ガス噴射ノズル（６Ｈ）の超臨界圧力過熱蒸気爆発力と霧吹きの原理により、１以上の高温水を混合噴射加速してロケットノズル（９４ｂ）より噴射して宇宙旅行して大気圏に帰還熱回収して噴射推進力にする液体燃料水噴射ロケット合体機関。
【請求項２０４１】
前記ジェット兼ロケット飛行機（３８Ａ）に最高圧力過熱蒸気爆発力＋最高圧力燃焼ガス爆発力を搭載して、ジェット兼ロケット噴射部（７７Ｋ）より噴射して宇宙旅行して大気圏に帰還熱回収して噴射推進力にするジェット兼ロケット合体機関。
【請求項２０４２】
前記ジェット兼ロケット飛行機（３８Ａ）に最高圧力過熱蒸気爆発力＋最高圧力燃焼ガス爆発力を搭載して、ジェット兼ロケット噴射部（７７Ｌ）より噴射して宇宙旅行して大気圏に帰還熱回収して噴射推進力にするジェット兼ロケット合体機関。
【請求項２０４３】
前記水噴射ロケット合体機関（２９Ｋ）に超臨界圧力過熱蒸気（５０）＋高温水（５２ｂ）を搭載して過熱蒸気制御弁（２５Ｂ）を開放制御して過熱蒸気噴射ノズル（６Ａ）の超臨界圧力過熱蒸気爆発力と霧吹きの原理により、１以上の高温水を混合噴射加速してロケットノズル（９４ｂ）より噴射して月旅行して大気圏に帰還熱回収して噴射推進力にする水噴射ロケット合体機関。
【請求項２０４４】
前記固体燃料水噴射ロケット合体機関（２９Ｊ）に超臨界圧力過熱蒸気（５０）＋高温水（５２ｂ）を搭載して過熱蒸気制御弁（２５Ｂ）を開放制御して過熱蒸気燃焼ガス噴射ノズル（６Ｈ）の超臨界圧力過熱蒸気爆発力と霧吹きの原理により、１以上の高温水を混合噴射加速してロケットノズル（９４ｂ）より噴射して月旅行して大気圏に帰還熱回収して噴射推進力にする固体燃料水噴射ロケット合体機関。
【請求項２０４５】
前記液体燃料水噴射ロケット合体機関（２９Ｉ）に超臨界圧力過熱蒸気（５０）＋高温水（５２ｂ）を搭載して過熱蒸気制御弁（２５Ｂ）を開放制御して過熱蒸気燃焼ガス噴射ノズル（６Ｈ）の超臨界圧力過熱蒸気爆発力と霧吹きの原理により、１以上の高温水を混合噴射加速してロケットノズル（９４ｂ）より噴射して月旅行して大気圏に帰還熱回収して噴射推進力にする液体燃料水噴射ロケット合体機関。
【請求項２０４６】
前記ジェット兼ロケット飛行機（３８Ａ）に最高圧力過熱蒸気爆発力＋最高圧力燃焼ガス爆発力を搭載して、ジェット兼ロケット噴射部（７７Ｋ）より噴射して月旅行して大気圏に帰還熱回収して噴射推進力にするジェット兼ロケット合体機関。
【請求項２０４７】
前記ジェット兼ロケット飛行機（３８Ａ）に最高圧力過熱蒸気爆発力＋最高圧力燃焼ガス爆発力を搭載して、ジェット兼ロケット噴射部（７７Ｌ）より噴射して月旅行して大気圏に帰還熱回収して噴射推進力にするジェット兼ロケット合体機関。
【請求項２０４８】
前記水噴射ロケット合体機関（２９Ｋ）に超臨界圧力過熱蒸気（５０）＋高温水（５２ｂ）を搭載して過熱蒸気制御弁（２５Ｂ）を開放制御して過熱蒸気噴射ノズル（６Ａ）の超臨界圧力過熱蒸気爆発力と霧吹きの原理により、１以上の高温水を混合噴射加速してロケットノズル（９４ｂ）より噴射して火星旅行して大気圏に帰還熱回収して噴射推進力にする水噴射ロケット合体機関。
【請求項２０４９】
前記固体燃料水噴射ロケット合体機関（２９Ｊ）に超臨界圧力過熱蒸気（５０）＋高温水（５２ｂ）を搭載して過熱蒸気制御弁（２５Ｂ）を開放制御して過熱蒸気燃焼ガス噴射ノズル（６Ｈ）の超臨界圧力過熱蒸気爆発力と霧吹きの原理により、１以上の高温水を混合噴射加速してロケットノズル（９４ｂ）より噴射して火星旅行して大気圏に帰還熱回収して噴射推進力にする固体燃料水噴射ロケット合体機関。
【請求項２０５０】
前記液体燃料水噴射ロケット合体機関（２９Ｉ）に超臨界圧力過熱蒸気（５０）＋高温水（５２ｂ）を搭載して過熱蒸気制御弁（２５Ｂ）を開放制御して過熱蒸気燃焼ガス噴射ノズル（６Ｈ）の超臨界圧力過熱蒸気爆発力と霧吹きの原理により、１以上の高温水を混合噴射加速してロケットノズル（９４ｂ）より噴射して火星旅行して大気圏に帰還熱回収して噴射推進力にする液体燃料水噴射ロケット合体機関。
【請求項２０５１】
前記ジェット兼ロケット飛行機（３８Ａ）に最高圧力過熱蒸気爆発力＋最高圧力燃焼ガス爆発力を搭載して、ジェット兼ロケット噴射部（７７Ｋ）より噴射して火星旅行して大気圏に帰還熱回収して噴射推進力にするジェット兼ロケット合体機関。
【請求項２０５２】
前記ジェット兼ロケット飛行機（３８Ａ）に最高圧力過熱蒸気爆発力＋最高圧力燃焼ガス爆発力を搭載して、ジェット兼ロケット噴射部（７７Ｌ）より噴射して火星旅行して大気圏に帰還熱回収して噴射推進力にするジェット兼ロケット合体機関。
【発明の詳細な説明】
【技術分野】
【０００１】
本発明は既存ロケット技術がペットボトルロケットにも劣る、熱変換も重力慣性力も重力加速度も利用しない容積利用とし、小学校理科の作用と反作用も知らないで、大気圧重力仕事能力が水の１／１０００の燃焼ガスで出力を発生して、仮説噴射推進出力を水の１／１０００に近付けて、人工衛星等の打ち上げ費用を増大しており、大気圧単位容積燃焼ガスの１０００倍重量の水噴射推進出力発生が好ましく、スペースシャトルでは全重量の約７０％が液体酸素であり、加えて殆どのロケットが推進剤の７０％以上を高度５万ｍ以下で消費しており、宇宙往還親飛行機による大気圏ではジェット飛行と真空圏ではロケット飛行する、真空圏最高高度のロケット発射が好ましく最高高度発射に関する。そこで人工衛星等の打ち上げ費用が増大する理由を明快に説明するため、アイディアを仮説数字で説明しますが、正解は実験数値として仮説数字に限定しません。
【０００２】
図１．例えば各種エネルギ保存サイクル合体機関と既存ペットボトルロケットを合体することで、各種水噴射ロケット合体機関とし、例えば図４外部のＡ型ジェット兼ロケット合体機関燃焼部２９Ａの、縮径主燃焼室兼熱交換器１により、限り無く高圧燃焼熱交換冷却燃焼して、１００ＭＰａ以下過熱蒸気爆発力＋最低温度１００ＭＰａ以下燃焼ガス爆発力に分割し、夫々別々にエネルギ保存して、例えば１００ＭＰａ以下の過熱蒸気全部搭載噴射や、１〜複数の温度や圧力の高温水５２ｂ等を、カーボンナノチューブ等で高圧軽量化した、導水管３や縮径主燃焼室熱交換器２等の容器耐圧に合せてロケットに搭載し、過熱蒸気噴射ノズル６Ｉ等の１００ＭＰａ過熱蒸気爆発力と霧吹きの原理により、１〜複数の温度や圧力の高温水５２ｂや水５２ａを混合噴射加速し、その速度を１００ＭＰａ以下の過熱蒸気爆発速度に近付け、大気圧重力仕事能力が燃焼ガスの１０００倍の水の仕事能力に変換して、各種水噴射ロケット合体機関より噴射する技術に関する。
【０００３】
例えば１〜複数温度や１〜複数圧力の高温水５２ｂや水５２ａを混合噴射加速して、大気圧重力仕事能力が燃焼ガスの１０００倍の水速度を、１００ＭＰａ以下の過熱蒸気爆発速度に近付け、水速度をスペースシャトル２１ＭＰａ燃焼ガス爆発速度の５倍に近付けて、搭載する水質量を推進剤質量の１２倍の大型に近付け、スペースシャトルの６０倍仕事能力に近付けて、真空圏最高高度より発射し、短期宇宙旅行を可能にします。即ち２１ＭＰａ燃焼ガス爆発圧力は、燃焼温度の障害が極限まで増大して限界に近いのですが、１００ＭＰａ過熱蒸気爆発圧力の超臨界温度過熱蒸気は、温度の障害が僅少なためカーボンナノチューブの研究を含めて軽量化し、１００ＭＰａ以上等の過熱蒸気爆発力等として、各種水噴射ロケット合体機関の噴射推進出力を増大し、宇宙往還親飛行機より真空圏最高高度より大型として発射して、短期宇宙旅行や月基地等にする技術に関する。
【０００４】
図２・図３の固体燃料水噴射ロケット合体機関や、液体燃料水噴射ロケット合体機関は、図１と同様に合体して噴射推進出力を発生終了し、高温水５２ｂを搭載中や噴射終了後の縮径主燃焼室兼熱交換器１を、夫々のロケットエンジン燃焼部１ａとして、公知技術により固体燃料を着火装置１０２により着火燃焼し、又は公知技術により液体燃料と液体酸素等の酸化剤を最適混合比で攪拌混合して、公知技術着火装置１０２により着火燃焼し、縮径主燃焼室兼熱交換器１内熱交換冷却長時間高圧燃焼として、最低温度の燃焼ガス爆発圧力を最適圧力に上昇し、縮径主燃焼室熱交換器２の導水管３の、例えば超臨界圧力過熱蒸気圧力や温度を上昇して、最低温度の燃焼ガス爆発力＋超臨界圧力過熱蒸気爆発力を増大し、噴射推進出力発生時には、燃焼ガス制御弁２４Ａ及び過熱蒸気制御弁２５Ｂ及び高温水制御弁２４Ｂ等を、公知技術により開放制御や噴射推進制御や姿勢制御し、長期宇宙旅行等を可能にする、固体・液体燃料水噴射ロケット合体機関の技術に関する。
【０００５】
最低温度過熱蒸気温度以下等の燃焼ガス爆発力＋超臨界圧力過熱蒸気爆発力を増大して、熱交換して得た燃焼ガス爆発力及び超臨界圧力過熱蒸気爆発力及び、各種温度や圧力の高温水爆発力を、過熱蒸気噴射ノズル６Ａ＋６Ｂ＝６Ｉや、燃焼ガス噴射ノズル６Ｃ＋６Ｄ＝６Ｊや、燃焼ガス過熱蒸気噴射ノズル６Ｈより、夫々適宜に選択して使用可能に制御弁を開放閉止して選択噴射し、燃焼ガス爆発力又は過熱蒸気爆発力と霧吹きの原理により、高温水５２ｂを混合噴射加速して、高温水速度を燃焼ガス爆発速度又は過熱蒸気爆発速度に近付け、大気圧重力仕事能力が燃焼ガスの１０００倍の高温水５２ｂ質量を増大し、噴射推進出力を既存ロケットエンジン噴射推進出力の、１０００倍仮説噴射推進出力に近付ける技術に関する。
【０００６】
図１図２図３のロケット翼３８ａや操縦室１０ｂ等を廃止し、更に簡単とした水噴射ロケット合体機関や、固体燃料水噴射ロケット合体機関や液体燃料水噴射ロケット合体機関を提供して、大気圧重力仕事能力が燃焼ガスの１０００倍の水出力とし、発射飛行速度の大幅な増大を狙う、各種大陸間弾道ミサイル発射用ロケットや各種大陸間弾道ミサイル迎撃用ロケットの、各種水噴射ロケット合体機関や各種固体燃料水噴射ロケット合体機関や各種液体燃料水噴射ロケット合体機関等として、各種用途に使用する各種水噴射ロケット合体機関の技術に関する。
【０００７】
図４のＡ型ジェット兼ロケット合体機関燃焼部２９Ａは、Ａ型エネルギ保存サイクル合体機関に既存液体燃料ロケットの液体酸素等を搭載して合体したもので、既存ロケットが搭載推進剤の７０％以上を高度５万ｍ以下で消費して、人工衛星等の打ち上げ費用を増大し、宇宙旅行等を困難にしているため、図４のＡ型ジェット兼ロケット合体機関燃焼部と同様にした、Ｂ型Ｃ型Ｄ型Ｅ型Ｆ型Ｇ型Ｈ型等、各種ジェット兼ロケット合体機関燃焼部として、最低温度の燃焼ガス爆発力＋超臨界圧力過熱蒸気爆発力に分割し、その一部により図５の弾み車タービンを駆動して、各種ジェット兼ロケット合体機関燃焼部を駆動し、大部分により図６のジェット兼ロケット噴射部７７Ｋを駆動する、宇宙往還親飛行機により、大気圏はジェット飛行して真空圏では液体酸素等の酸化剤を使用したロケット飛行として、可能な最高高度で各種宇宙ロケットを発射し、人工衛星等の打ち上げ費用を僅少にすると共に、各種宇宙往還機等として宇宙旅行を可能にする技術に関する。
【０００８】
図５の弾み車蒸気タービンガスタービン８は、図４をタービン側から見た各種ジェット兼ロケット合体機関燃焼部に共通使用するもので、縮径主燃焼室兼熱交換器１により限り無く高圧燃焼熱交換冷却長時間燃焼して、１００ＭＰａ以下の過熱蒸気爆発力＋１００ＭＰａ以下の燃焼ガス爆発力に分割し、その一部により弾み車蒸気タービン又は弾み車ガスタービンを駆動又は、弾み車蒸気タービン及び弾み車ガスタービンを駆動して、各種ジェット兼ロケット合体機関燃焼部を駆動し、大部分により図６のジェット兼ロケット噴射部７７Ｋを駆動して、大気圏ではジェットエンジン噴射部として使用し、真空圏ではロケットエンジン噴射部として使用して、１００ＭＰａ以下の過熱蒸気爆発力＋１００ＭＰａ以下の燃焼ガス爆発力により、宇宙往還親飛行機や宇宙往還機を駆動可能にする技術に関する。
【０００９】
図６のジェット兼ロケット噴射部７７Ｋは、各種ジェット兼ロケット合体機関燃焼部に共通使用するもので、例えば図４のＡ型ジェット兼ロケット合体機関燃焼部２９Ａにより、限り無く高圧燃焼熱交換長時間冷却燃焼して、最低温度の燃焼ガス爆発力＋超臨界圧力過熱蒸気爆発力に分割し、分割した一部により弾み車タービン８を駆動して、用途に合せたジェット兼ロケット合体機関燃焼部を運転し、大部分の燃焼温度の障害を最低として、１００ＭＰａ以下等とした燃焼ガス爆発力＋１００ＭＰａ以下過熱蒸気爆発力により、落差最大と最も構造を簡単にすることで、回転部を燃焼ガスや過熱蒸気や高温水の通路として１８０度回転した逆噴射を可能にし、大気圧重力仕事能力を燃焼ガスの１０００倍の水出力に変換して、大気圏ではジェット推進飛行して真空圏ではロケット推進飛行が可能な、ジェット兼ロケット噴射部７７Ｋを駆動し、超音速マッハ３０〜５０以上等を狙う技術に関する。
【００１０】
大部分の燃焼ガス４９爆発力＋超臨界圧力過熱蒸気５０爆発力を、燃焼ガス溜９５ａ及び過熱蒸気溜９５ｃに供給して、互換可能な霧吹きの原理１１１ａ及び１１１ｂ又は１１１Ｉ及び１１１Ｊの、夫々の燃焼ガス爆発力及び過熱蒸気爆発力と霧吹きの原理により、水噴射ノズル６Ｅの水５２ａを混合噴射加速し、ジェット兼ロケット噴射部７７Ｋを１８０°以上回転可能にして、重力慣性力や重力加速度を利用可能とした、ジェット兼ロケット噴射部より噴射し、垂直上昇垂直降下を可能にして、大気圧重力仕事能力が燃焼ガスの１０００倍の水出力に変換し、大気圏では霧吹きの原理により前方の空気を吸引して噴射推進して、同様に真空圏ではロケット噴射ロケット推進し、真空中や空気中で超音速マッハ３０〜５０以上等の噴射推進速度を狙う技術に関する。
【００１１】
飛行高度が上昇すると共に空気濃度が希薄となり、図４図５図６をＡ型ジェット兼ロケット合体機関として真空圏を飛行する場合は、空気の代用として液体酸素等の酸化剤を搭載使用し、ジェット兼ロケット合体機関として使用する過程で、カーボンナノチュウブ等で軽量化高圧化して、限り無く長大化変形可能にした導水管３及び縮径主燃焼室熱交換器２に、必要量の超臨界圧力過熱蒸気＋燃焼ガスを貯蔵しておき、最低温度の燃焼ガス爆発力＋超臨界圧力過熱蒸気爆発力に分割して使用し、液体酸素等の酸化剤を使用の場合も燃焼温度の障害を最低として、１００ＭＰａ以下の燃焼ガス爆発力や１００ＭＰａ以下の過熱蒸気爆発力を可能にし、夫々１以上の霧吹きの原理１１１ａ＋１１１ｂ又は１１１Ｉ＋１１１Ｊによる、ジェット兼ロケット合体機関の、落差を大幅に増大した噴射推進出力の増大を可能にして、超音速マッハ３０〜５０以上等の噴射推進速度を狙う技術に関する。
【００１２】
図４図５図６の内図４のＡ型ジェット兼ロケット合体機関燃焼部２９Ａを、図７のＢ型ジェット兼ロケット合体機関燃焼部２９Ｂや、図８のＣ型ジェット兼ロケット合体機関燃焼部２９Ｃや、図９のＤ型ジェット兼ロケット合体機関燃焼部２９Ｄや、図１０のＥ型ジェット兼ロケット合体機関燃焼部２９Ｅや、図１１のＦ型ジェット兼ロケット合体機関燃焼部２９Ｆや、図１２のＧ型ジェット兼ロケット合体機関燃焼部２９Ｇや、図１３のＨ型ジェット兼ロケット合体機関燃焼部２９Ｈとし、用途に合せて月基地製作用や宇宙基地製作用に使用して、宇宙往還機として最も効率良く金星探査や火星探査等をし、宇宙旅行全盛にする技術に関する。
【背景技術】
【００１３】
既存宇宙ロケット等の噴射推進剤技術がペットボトルロケットにも劣る、燃焼ガス速度×質量（単位容積水の１／１０００重量）で、熱変換も重力慣性力も重力加速度も利用しない容積利用のため、仮説噴射推進出力を水の１／１０００以下等に低減して、人工衛星等の打ち上げ費用を増大しております。そこでペットボトルロケットを遥かに超えるため、燃焼ガス噴射推進出力に換えて水噴射推進出力として、大気圧重力仕事能力が燃焼ガスの１０００倍の水搭載重量を、噴射推進剤搭載重量の１２倍等とし、噴射水速度を燃焼ガスの５倍等として、大気圧重力仕事能力を燃焼ガスの６０倍に近付けた、大型宇宙船による宇宙基地や月基地の造成が急務になっております。
【００１４】
既存のロケットが推進剤の７０％以上を高度５万ｍ以下で消費しており、スペースシャトルの場合は全重量の約７０％が液体酸素重量であるため、大気圏のロケット飛行は経済的に最悪の方法で、無茶苦茶過ぎるのです。又既存超音速ジェット機は飛行速度による空気動圧も殆ど利用しない、無茶苦茶構成の低落差燃焼ガス噴射でも、超音速マッハ２速度前後で飛行可能です。そこで大気圏はジェット飛行し真空圏ではロケット飛行する、各種ジェット兼ロケット合体機関の、大型宇宙往還親飛行機によるジェットエンジン飛行とロケットエンジン飛行による、超音速マッハ２２〜３０前後の飛行速度からの人工衛星切り離しや、宇宙旅行が可能な大型ロケット発射が急務となっております。
【特許文献１】特開２００３−１１４０９６
【発明の開示】
【発明が解決しようとする課題】
【００１５】
既存宇宙ロケット等の噴射推進剤技術がペットボトルロケットにも劣る、熱変換も重力慣性力も重力加速度も利用しない容積利用で、質量が非常に僅少な燃焼ガスを噴射し、仮説噴射推進出力を１／６０等に低減して、人工衛星等の打ち上げ費用が増大するため、ペットボトルロケットの水噴射出力として、大気圧重力仕事能力が燃焼ガスの１０００倍の１００ＭＰａ以下の過熱蒸気５０や高温水５２ｂを大量搭載し、高温水爆発速度を１００ＭＰａ以下の過熱蒸気爆発速度に近付け、スペースシャトル燃焼ガス噴射速度の５倍速度×１２倍水質量に近付けて、大気圧重力仕事能力を燃焼ガスの６０倍に近付ける、図１の各種水噴射ロケット合体機関２９Ｋを提供し、真空圏最高高度より発射乃至切り離して、宇宙旅行を可能にし、地球に帰還時の摩擦熱により導水管３の過熱蒸気５０乃至高温水５２ｂを加熱して、噴射推進出力を増大することを目的にします。
【００１６】
図２図３の長期宇宙旅行用ロケットの場合は、図１と同様に大気圧重力仕事能力〜大質量×大速度を搭載の構成とし、各種エネルギ保存サイクル合体機関の一部と、各種固体燃料や液体燃料のロケットエンジンを合体して、各種固体燃料水噴射ロケット合体機関２９Ｊや、各種液体燃料水噴射ロケット合体機関２９Ｉとすることで、搭載高温水５２ｂ噴射終了後や中途の縮径主燃焼室兼熱交換器１を、各種ロケット燃焼部１ａとして使用し、適宜に高圧燃焼熱交換冷却長時間燃焼して、容器耐圧に合せて１００ＭＰａ以下の燃焼ガス爆発力＋１００ＭＰａ以下の過熱蒸気爆発力を、上昇又は復活して比較的長期宇宙旅行を可能にし、地球に帰還時の摩擦熱により導水管３の過熱蒸気５０乃至高温水５２ｂを加熱して、噴射推進出力を増大することを目的にします。
【００１７】
例えば固体燃料や液体燃料を公知技術により着火装置１０２により着火燃焼し、設定圧力まで熱交換冷却長時間燃焼して、容器耐圧に合せて１００ＭＰａ以下の燃焼ガス爆発力＋１００ＭＰａ以下の過熱蒸気爆発力の圧力上昇時に、過熱蒸気制御弁２５Ｂと燃焼ガス制御弁２４Ａと高温水制御弁２４Ｂを、用途に合せて開放制御し例えば、過熱蒸気燃焼ガス噴射ノズル６Ｈの、過熱蒸気爆発力及び燃焼ガス爆発力と霧吹きの原理により、高温水５２ｂを混合噴射加速して、適宜に噴射推進制御や姿勢制御をして夫々１以上の制御弁を閉止し、縮径主燃焼室熱交換器２の過熱蒸気圧力を上昇して、次回の噴射推進に備える等の、長期宇宙旅行用の各種固体燃料水噴射ロケット合体機関２９Ｊや各種液体燃料水噴射ロケット合体機関２９Ｉを提供することを目的にします。
【００１８】
弾道ミサイル発射用ロケットや弾道ミサイル迎撃用ロケット等の場合は、図１・図２・図３のロケット翼３８ａや操縦室１０ｂを全廃して、更に用途に合せて簡単にして使用し、燃焼ガス爆発速度＋１００ＭＰａ以下の過熱蒸気爆発速度と霧吹きの原理により、高温水５２ｂを混合噴射加速して、高温水速度を燃焼ガス爆発速度＋１００ＭＰａ以下の過熱蒸気爆発速度に近付け、噴射高温水５２ｂ速度を燃焼ガスの５倍速度に近付けて、大気圧重力仕事能力を燃焼ガスの１０００倍に近付け、弾道ミサイル発射用ロケットや弾道ミサイル迎撃用ロケット等の発射推進速度を、５倍速度に近付けることを目的とします。
【００１９】
既存ロケットが搭載推進剤の７０％以上を高度５万ｍ以下で消費しており、スペースシャトルでは全重量の約７０％が液体酸素重量であるため、大気圏のロケット飛行をジェットエンジン飛行にするのが、最良の改良発明になります。そこで各種エネルギ保存サイクル合体機関に液体酸素４ｃ等の酸化剤４ｂを搭載し、図４図５図６のＡ型等各種ジェット兼ロケット合体機関として、大気圏では図６のジェット兼ロケット噴射部７７Ｋを、ジェットエンジン噴射部として使用し、真空圏ではロケットエンジン噴射部として使用する、Ｂ型ジェット兼ロケット合体機関や、Ｃ型ジェット兼ロケット合体機関や、Ｄ型ジェット兼ロケット合体機関や、Ｅ型ジェット兼ロケット合体機関や、Ｆ型ジェット兼ロケット合体機関や、Ｇ型ジェット兼ロケット合体機関や、Ｈ型ジェット兼ロケット合体機関を提供することを目的とします。
【課題を解決するための手段】
【００２０】
図１の短期宇宙旅行用の水噴射ロケット合体機関の場合は、各種エネルギ保存サイクル合体機関の一部とペットボトルロケットを合体し、各種水噴射ロケット合体機関とすることで、燃焼部を搭載しないペットボトルロケット方式として、例えば図４外部のＡ型ジェット兼ロケット合体機関燃焼部等の、縮径主燃焼室兼熱交換器１で限り無く高圧燃焼熱交換冷却長時間燃焼し、最低温度の燃焼ガス＋１００ＭＰａ以下の過熱蒸気に分割して、縮径主燃焼室熱交換器２の導水管３に１００ＭＰａ以下の過熱蒸気を搭載し、縮径主燃焼室兼熱交換器１内やロケット外箱７７Ｅ内等には、１以上の容器耐圧に合せて各種圧力や各種温度の、高温水５２ｂ爆発力や過熱蒸気５０爆発力を搭載して、１００ＭＰａ以下の過熱蒸気爆発力と霧吹きの原理により、１以上の過熱蒸気５０や高温水５２ｂを混合噴射加速し、高温水５２ｂ速度をスペースシャトル燃焼ガス噴射速度の５倍に近付け、搭載高温水質量を推進剤搭載量の１２倍に近付けて、全部の大気圧重力仕事能力を、スペースシャトル燃焼ガスの６０倍の大型に近付けます。
【００２１】
図２図３の長期宇宙旅行用の固体燃料・液体燃料水噴射ロケット合体機関の場合は、各種エネルギ保存サイクル合体機関の一部と、固体燃料や液体燃料の各種ロケットエンジンを合体し、各種固体燃料水噴射ロケット合体機関や、各種液体燃料水噴射ロケット合体機関とすることで、縮径主燃焼室兼熱交換器１をロケット燃焼部１ａとして、図１の水噴射ロケット合体機関と同様に１００ＭＰａ以下の過熱蒸気５０や、高温水５２ｂを搭載して出力を発生終了し、搭載高温水５２ｂ噴射中途や終了後の縮径主燃焼室兼熱交換器１を、ロケット燃焼部１ａとして例えば公知技術で燃料と酸化剤を最適混合比で混合して、公知技術により着火装置１０２で着火燃焼し、又は固体燃料を公知技術着火装置１０２により着火燃焼して、縮径主燃焼室兼熱交換器１内熱交換冷却長時間燃焼として、縮径主燃焼室熱交換器２の熱回収量を最大にして１００ＭＰａ以下の過熱蒸気圧力を復活し、燃焼温度の障害を最低にして、燃焼ガス圧力の上昇を可能にします。
【００２２】
熱交換して得た燃焼ガス爆発力＋１００ＭＰａ以下の過熱蒸気爆発力を、燃焼ガス制御弁２４Ａ及び高温水制御弁２４Ｂ及び過熱蒸気制御弁２５Ｂを開放制御し、燃焼ガス過熱蒸気噴射ノズル６Ｈの、燃焼ガス爆発力及び過熱蒸気爆発力と霧吹きの原理により、夫々１以上の過熱蒸気５０乃至高温水５２ｂを混合噴射加速して、高温水速度を燃焼ガス爆発速度や過熱蒸気爆発速度に近付け、夫々大気圧重力仕事能力を燃焼ガスの１０００倍に近付けて、高温水５２ｂ等の搭載量を推進剤搭載量の１２倍に近付け、噴射速度をスペースシャトルの５倍速度に近付けて、全搭載推進剤の噴射推進出力を６０倍仮説噴射推進出力の大型に近付け、真空圏最高高度より発射して長期の宇宙旅行を可能にし、地球に帰還時の大気圏での摩擦熱により、導水管３の過熱蒸気５０乃至高温水５２ｂを加熱して、過熱蒸気燃焼ガス噴射ノズル６Ｈの噴射推進出力を増大します。
【００２３】
各種弾道ミサイル発射用ロケットや弾道ミサイル迎撃用ロケットの場合は、図１図２図３のロケット翼３８ａや操縦室１０ｂを全廃して更に簡単にして、各種エネルギ保存サイクル合体機関の一部と、ペットボトルロケットや固体燃料ロケットや液体燃料ロケットを合体し、簡単な各種水噴射ロケット合体機関や各種固体燃料水噴射ロケット合体機関や、各種液体燃料水噴射ロケット合体機関として、用途に合せて１００ＭＰａ以下の過熱蒸気を噴射して既存技術の５倍速度を狙う、各種弾道ミサイル発射用ロケットや弾道ミサイル迎撃用ロケット等とします。
【００２４】
既存ロケットが搭載推進剤の７０％以上を高度５万ｍ以下で消費しており、スペースシャトルでは全重量の約７０％が液体酸素重量であり、大気圏のロケット飛行をジェット飛行にするため、例えば図４のＡ型ジェット兼ロケット合体機関燃焼部２９Ａや、各種燃焼部に共通使用する、図５図６の弾み車タービン８及びジェット兼ロケット噴射部７７Ｋで構成した、Ｂ型ジェット兼ロケット合体機関燃焼部２９Ｂや、Ｃ型ジェット兼ロケット合体機関燃焼部２９Ｃや、Ｄ型ジェット兼ロケット合体機関燃焼部２９Ｄや、Ｅ型ジェット兼ロケット合体機関燃焼部２９Ｅや、Ｆ型ジェット兼ロケット合体機関燃焼部２９Ｆや、Ｇ型ジェット兼ロケット合体機関燃焼部２９Ｇや、Ｈ型ジェット兼ロケット合体機関燃焼部２９Ｈを提供して、大気圏ではジェット飛行して真空圏ではロケット飛行し、真空圏の最高高度から人工衛星や宇宙ロケットを切り離し又は発射する、宇宙往還親飛行機全盛として極限まで大型の、各種水噴射ロケット合体機関の発射を可能にします。
【発明の効果】
【００２５】
各種ジェット兼ロケット合体機関燃焼部に液体酸素等の酸化剤を搭載して、ジェット兼ロケット噴射部７７Ｋを、ジェットエンジン噴射部やロケットエンジン噴射部と兼用するため、宇宙往還機や宇宙往還親飛行機として宇宙開発に大きな効果があります。
【００２６】
大気圧燃焼ガスの１０００倍重力仕事能力の水噴射質量を燃焼ガスの１０００倍に近付けて、既存ロケットの１０００倍仮説噴射推進出力に近付けるため、ジェットエンジンとして使用してもロケットエンジンとして使用しても、燃費が最高に良くなる効果があります。
【００２７】
大気圧燃焼ガスの１０００倍重力仕事能力の水噴射質量を燃焼ガスの１０００倍に近付けて、燃焼ガス爆発速度や過熱蒸気爆発速度に近付け、既存ロケットエンジンの１０００倍仮説噴射推進出力に近付けるため、ジェットエンジンとして使用してもロケットエンジンとして使用しても燃費が最高に良くなる効果があります。
【００２８】
大気圧燃焼ガスの１０００倍重力仕事能力の水噴射質量を燃焼ガスの１０００倍に近付けて、燃焼ガス爆発速度や過熱蒸気爆発速度に近付け、既存ロケットエンジンの１０００倍仮説噴射推進出力に近付けるため、固体燃料水噴射ロケット合体機関の性能が最高に良くなる効果があります。
【００２９】
大気圧燃焼ガスの１０００倍重力仕事能力の水噴射質量を燃焼ガスの１０００倍に近付けて、燃焼ガス爆発速度や過熱蒸気爆発速度に近付け、既存ロケットエンジンの１０００倍仮説噴射推進出力に近付けるため、液体燃料水噴射ロケット合体機関の性能が最高に良くなる効果があります。
【００３０】
大気圧燃焼ガスの１０００倍重力仕事能力の水噴射質量を燃焼ガスの１０００倍に近付けて、燃焼ガス爆発速度や過熱蒸気爆発速度に近付け、既存ロケットエンジンの１０００倍仮説噴射推進出力に近付けるため、固体燃料水噴射ロケット合体機関の性能が最高に良くなり、出力当りの構造を簡単に出来る効果があります。
【００３１】
大気圧燃焼ガスの１０００倍重力仕事能力の水噴射質量を燃焼ガスの１０００倍に近付けて、燃焼ガス爆発速度や過熱蒸気爆発速度に近付け、既存ロケットエンジンの１０００倍仮説噴射推進出力に近付けるため、液体燃料水噴射ロケット合体機関の性能が最高に良くなり、出力当りの構造を簡単に出来る効果があります。
【００３２】
大気圧燃焼ガスの１０００倍重力仕事能力の水噴射質量を燃焼ガスの１０００倍に近付けて、燃焼ガス爆発速度や過熱蒸気爆発速度に近付け、既存ロケットエンジンの１０００倍仮説噴射推進出力に近付けるため、固体燃料水噴射ロケット合体機関の性能が最高に良くなり、宇宙往還親飛行機よりロケット発射して消耗部品を皆無に出来る効果がある。
【００３３】
大気圧燃焼ガスの１０００倍重力仕事能力の水噴射質量を燃焼ガスの１０００倍に近付けて、燃焼ガス爆発速度や過熱蒸気爆発速度に近付け、既存ロケットエンジンの１０００倍仮説噴射推進出力に近付けるため、液体燃料水噴射ロケット合体機関の性能が最高に良くなり、宇宙往還親飛行機よりロケット発射して消耗部品を皆無に出来る効果がある。
【発明を実施するための最良の形態】
【００３４】
この発明はロケットエンジンに水の重力や重力加速度を利用することで、大気圧重力仕事能力を燃焼ガスの１０００倍に近付けて、同一熱量既存ロケットエンジンの１０００倍噴射推進出力に近付けるため、最良の形態は最も大きな噴射推進出力が得られる、水銀等最も単位重量の大きい物質の加速噴射となりますが、実用面を考えて生活必需品の水噴射としたものです。発明の実施の形態や実施例を、図面参照して説明するが、実施形態や実施例と既説明と、その構成が略同じ部分には、同一の名称又は符号を付して、重複説明はできるだけ省略し、特徴的な部分や説明不足部分は、順次追加重複説明する。又発明の意図する所及び予想を具体的に明快に説明するため、アイディアを仮説数字で説明するが、正解は実験数字として仮説数字に限定しません。
【実施例１】
【００３５】
図１の水噴射ロケット合体機関２９Ｋは、既存のペットボトルロケットと各種エネルギ保存サイクル合体機関の一部を合体して、水噴射ロケット合体機関としたため、既存のロケットエンジン推進剤は不使用とし、１００ＭＰａ以下の過熱蒸気を縮径主燃焼室熱交換器２の導水管３に搭載して、縮径主燃焼室兼熱交換器１内に過熱蒸気５０乃至高温水５２ｂ等を搭載し、ロケット外箱７７Ｅ内に高温水５２ｂ等を搭載して、ロケット外箱７７Ｅ及びロケット翼３８ａの導水管３に、１００ＭＰａ以下の過熱蒸気５０乃至高温水５２ｂを容器耐圧に合せて搭載し、固体推進剤や液体推進剤の搭載を皆無として、大気圧重力仕事能力が燃焼ガスの１０００倍の水搭載量を、スペースシャトル推進剤搭載量の１２倍等とし、非常に簡単大型で宇宙往還が可能な水噴射ロケット合体機関とします。
【００３６】
過熱蒸気制御弁２５Ｂ及び高温水制御弁２４Ｂを開放制御して、１００ＭＰａ以下の過熱蒸気５０を噴射用導水管３ｂより噴射し、過熱蒸気５０爆発力と霧吹きの原理により、１以上の水噴射ノズル６Ｅの過熱蒸気５０乃至高温水５２ｂを混合噴射加速して、高温水５２ｂ爆発力を含めてその速度を、１００ＭＰａ以下の過熱蒸気爆発速度に近付け、スペースシャトル燃焼ガス噴射速度の５倍速度に近付けて、搭載水質量を搭載推進剤の１２倍として、全部の大気圧重力仕事能力をスペースシャトルの６０倍に近付け、大型大重量の水噴射ロケット合体機関２９Ｋを、真空圏最高高度の宇宙往還親飛行機から発射乃至切り離し可能とし、消耗部品を皆無として発射費用を僅少にし、地球に帰還時の大気圏での摩擦熱により、ロケット外箱７７Ｅ及びロケット翼３８ａの導水管３の過熱蒸気５０乃至高温水５２ｂを加熱して、過熱蒸気噴射ノズル６Ｉの噴射推進出力を増大します。
【００３７】
導水管３等をカーボンナノチューブ等により、軽量化高圧化して１００ＭＰａ以下の過熱蒸気搭載を可能にして、ロケット外箱７７Ｅ容器やロケット翼３８ａの先端等の導水管３も、カーボンナノチューブ等で高圧軽量容器を構成して、ロケット翼３８ａ下部には操縦室１０ｂや客席や制御装置２０を設け、縮径主燃焼室兼熱交換器１内やロケット外箱７７Ｅ内やロケット翼３８ａ内には、用途に合せて複数の容器を具備して、容器耐圧に合せて超臨界圧力等出来るだけ高温高圧の高温水５２ｂを搭載し、縮径主燃焼室熱交換器２の導水管３に搭載した、１００ＭＰａ以下の過熱蒸気爆発力と霧吹きの原理により、１以上の過熱蒸気５０乃至高温水５２ｂを混合噴射加速して、過熱蒸気噴射ノズル６Ｉ又は６Ａ又は６Ｂにより摩擦損失を低減し、高温水５２ｂ速度を１００ＭＰａ以下の過熱蒸気爆発速度に近付け、更にロケットノズル９４ｂにより大部分を摩擦損失０で噴射し、超音速マッハ３０〜５０以上等の噴射推進速度を狙います。
【実施例２】
【００３８】
図２の固体燃料水噴射ロケット合体機関２９Ｊは、既存の固体燃料ロケットと各種エネルギ保存サイクル合体機関の一部を合体して、固体燃料水噴射ロケット合体機関としたため、既存の固体燃料ロケットモーターの燃焼室は、縮径主燃焼室兼熱交換器１に固体推進剤等を搭載し、図１の水噴射ロケット合体機関と同様に１００ＭＰａ以下の過熱蒸気５０や、高温水５２ｂを搭載して真空圏最高高度の宇宙往還親飛行機から発射乃至切り離し、噴射推進出力を発生終了して宇宙旅行の過程で、搭載高温水５２ｂ噴射中途や終了後の縮径主燃焼室兼熱交換器１を、固体燃料のロケット燃焼部１ａとして使用して、公知技術の着火装置１０２により公知技術により着火燃焼し、熱交換冷却長時間燃焼して燃焼温度の障害を最低として、過熱蒸気温度以下も含めて容器耐圧に合せた、１００ＭＰａ以下の燃焼ガス圧力での貯蔵を可能にし、１００ＭＰａ以下の過熱蒸気圧力を回復します。
【００３９】
熱交換して容器耐圧に合せて得た、１００ＭＰａ以下の燃焼ガス爆発力＋１００ＭＰａ以下の過熱蒸気爆発力を、用途に合せた制御弁を開放制御し、過熱蒸気燃焼ガス噴射ノズル６Ｈにより噴射の過程で、加熱高温気化膜や撥水作用により摩擦損失を低減して、１００ＭＰａ以下の過熱蒸気５０爆発力と霧吹きの原理により、１００ＭＰａ以下の燃焼ガス４９で押圧された、１以上の過熱蒸気５０乃至高温水５２ｂを混合噴射加速し、最後にロケットノズル９４ｂにより摩擦損失から大部分を開放して、スペースシャトルの５倍落差と１２倍容積の高温水５２ｂ等を搭載噴射して、真空中では超音速マッハ５０以上等の噴射推進速度を狙います。
【実施例３】
【００４０】
図３の液体燃料水噴射ロケット合体機関２９Ｉは、既存の液体燃料ロケットと各種エネルギ保存サイクル合体機関の一部を合体して、液体燃料水噴射ロケット合体機関としたため、既存の液体燃料ロケットエンジンの燃焼室は縮径主燃焼室兼熱交換器１として、ロケット外箱７７Ｅ内に液体水素等の燃料や液体酸素等の酸化剤を、液体推進剤として搭載し、図１の水噴射ロケット合体機関と同様に、１００ＭＰａ以下の過熱蒸気５０や高温水５２ｂを搭載して、真空圏最高高度の宇宙往還親飛行機から発射乃至切り離し、噴射推進出力を発生終了して宇宙旅行の過程で、搭載高温水５２ｂ噴射中途や終了後の縮径主燃焼室兼熱交換器１を、液体燃料のロケット燃焼部１ａとして使用して、公知技術により燃料と酸化剤を攪拌混合し、公知技術の着火装置１０２により公知技術により着火燃焼して、熱交換冷却長時間燃焼して燃焼温度の障害を最低として、最低温度１００ＭＰａ以下の燃焼ガス圧力での貯蔵を可能にし、１００ＭＰａ以下の過熱蒸気圧力を回復します。
【００４１】
熱交換して容器耐圧に合せて得た、１００ＭＰａ以下の燃焼ガス爆発力＋１００ＭＰａ以下の過熱蒸気爆発力を、用途に合せた制御弁を開放制御し、過熱蒸気燃焼ガス噴射ノズル６Ｈにより噴射の過程で、加熱高温気化膜や撥水作用により摩擦損失を低減して、１００ＭＰａ以下の過熱蒸気爆発力と霧吹きの原理により、１以上の１００ＭＰａ以下燃焼ガス４９や高温水５２ｂを混合噴射加速し、最後にロケットノズル９４ｂにより摩擦損失から大部分を開放して、大気圧重力仕事能力を燃焼ガスの１０００倍に近付け、スペースシャトルの５倍落差と１２倍質量の高温水５２ｂ等を搭載して、真空中では超音速マッハ５０以上等の噴射推進速度を狙います。
【実施例４】
【００４２】
図４のＡ型ジェット兼ロケット合体機関燃焼部２９Ａは、既存ロケットが搭載推進剤の７０％以上を高度５万ｍ以下で消費し、スペースシャトルでは全重量の約７０％が液体酸素重量であり、大気圏のロケット飛行が無茶苦茶過ぎるため、大気圏のロケット飛行をジェットエンジン飛行として、宇宙に大型のロケットを発射するため、Ａ型等各種エネルギ保存サイクル合体機関に液体酸素等の酸化剤を搭載し、図４のＡ型等各種ジェット兼ロケット合体機関燃焼部として、図５図６の弾み車タービン８及びジェット兼ロケット噴射部７７Ｋを共通使用する、Ａ型等各種ジェット兼ロケット合体機関として、大気圏ではジェットエンジン飛行し、真空圏ではロケットエンジン飛行して、真空圏最高高度で人工衛星や宇宙ロケットを切り離し乃至発射する、宇宙往還親飛行機全盛とし、極限まで大型の各種水噴射ロケット合体機関を発射可能として、宇宙開発宇宙旅行全盛を狙うものです。
【００４３】
既存のディーゼル機関やガソリン機関を、Ａ型エネルギ保存圧縮機２０Ａとして使用することで、大気圏では飛行速度の動圧を含めて各種圧縮機で予圧した空気を、吸気弁２８より吸気して１／５０×３等の１回転高圧縮を可能にし、逆止弁９７を含む一方向空気流路９の限り無い高圧圧縮空気と、燃料噴射電磁弁７ｃ又は公知の燃料噴射弁の燃料と攪拌混合して、縮径主燃焼室兼熱交換器１内で公知の着火装置１０２により着火燃焼し、高圧燃焼熱交換冷却長時間燃焼して、最低温度１００ＭＰａ以下の燃焼ガス４９爆発力＋１００ＭＰａ以下の過熱蒸気５０爆発力に分割し、爆発力の一部により図５の弾み車タービン８を駆動して、Ａ型ジェット兼ロケット合体機関燃焼部２９Ａを駆動し、爆発力の大部分により図６のジェット兼ロケット噴射部７７Ｋを駆動して、ジェット兼ロケット外箱７７Ｆ内の、夫々１以上の霧吹きの原理１１１ａ及び１１１ｂにより、夫々前方の空気２８ａを吸引して噴射推進し、大気圏ではジェット飛行します。
【００４４】
真空圏では逆止弁９７及び弾み車タービン８側の、燃焼ガス加減弁２４及び過熱蒸気加減弁２５を閉止して、液体酸素４ｃ等酸化剤４ｂ容器の酸化剤制御弁４ａを開放制御し、公知の酸化剤噴射装置４Ａの噴射酸化剤と、燃料噴射電磁弁７ｃ又は公知の燃料噴射弁の燃料と攪拌混合して、縮径主燃焼室兼熱交換器１内で公知の着火装置１０２により着火燃焼し、高圧燃焼熱交換冷却長時間燃焼して、最低温度１００ＭＰａ以下の燃焼ガス４９爆発力＋１００ＭＰａ以下の過熱蒸気５０爆発力に分割し、爆発力の全部により図６のジェット兼ロケット噴射部７７Ｋを駆動の過程で、燃焼ガス４９及び過熱蒸気５０をジェット兼ロケット外箱７７Ｆ内の、夫々１以上の燃焼ガス溜９５ａ及び過熱蒸気溜９５ｃに供給して、夫々１以上の水５２ａを水噴射ノズル６Ｅに供給し、夫々１以上の霧吹きの原理１１１ａ及び１１１ｂ又は１１１Ｉ及び１１１Ｊより噴射して、真空圏ではロケット飛行します。
【実施例５】
【００４５】
頭５の弾み車蒸気タービンガスタービンは、既存のディーゼル機関やガソリン機関が死点近傍で最大の熱エネルギを放出する、最大の無茶苦茶に加えて、大気圧重力仕事能力が水重力の１／１０００の燃焼ガスで出力を発生する無茶苦茶を重ねており、その両方を同時に改良したものです。従って例えは図４で分割した１００ＭＰａ以下の過熱蒸気５０の一部を、１以上の過熱蒸気溜９５ｃに供給して高温水５２ｂを水溜９５ｂに供給し、過熱蒸気噴射ノズル６Ｉ又は６Ａ又は６Ｂの、１００ＭＰａ以下の過熱蒸気爆発力と霧吹きの原理により、１以上の高温水５２ｂを混合噴射加速して、大気圧重力仕事能力を燃焼ガスの１０００倍に近付け、弾み車蒸気タービンの死点後９０度に垂直連続噴射し、重力加速度や重力慣性力を最大限活用した回転出力として、各種予圧圧縮機を含めて各種ジェット兼ロケット合体機関燃焼部を駆動します。
【００４６】
回転出力発生の過程ではコイル８２を設けて、電磁加熱高温乃至電気抵抗により加熱高温として気化膜により摩擦損失を低減し、撥水鍍金による撥水作用により摩擦損失最少で回転出力を発生させます。そして排気の過程では図４蒸気排気室５ａに気化熱回収器２ｂを具備して、空気抽出器５１により１００℃の飽和蒸気を気化熱回収器２ｂ側に吸引し、熱交換して１００℃に近い高温水５２ｂを回収して、隔壁９０ａにより凝縮水５２ｆ側と出力発生高温水５２ｂ側に分割し、１００℃に近い出力発生高温水５２ｂを水溜９５ｂに循環供給して、１００℃に近い凝縮水５２ｆと回収高温水５２ｂを１００ＭＰａ以下の過熱蒸気に変換し、弾み車蒸気タービン８ｂと図６のジェット兼ロケット噴射部７７Ｋの、霧吹きの原理１１１ａ乃至１１１ｉを駆動します。
【００４７】
図４で分割した１００ＭＰａ以下の燃焼ガス４９の一部を、１以上の燃焼ガス溜９５ａに供給して高温水５２ｂを水溜９５ｂに供給し、燃焼ガス噴射ノズル６Ｊ又は６Ｃ又は６Ｄの、１００ＭＰａ以下の燃焼ガス爆発力と霧吹きの原理により、１以上の水５２ａ等を混合噴射加速して、大気圧重力仕事能力を燃焼ガスの１０００倍に近付け、弾み車ガスタービンの死点後９０度に垂直連続噴射し、重力加速度や重力慣性力を最大限活用した回転出力として、各種予圧圧縮機を含めた各種ジェット兼ロケット合体機関燃焼部を駆動し、排気の過程ではガス排気室５ｃに冷熱回収器１０３を具備して、用途により−２７３℃に近付く排気燃焼ガスと熱交換し、水を冷却して冷水５２ｈ等として使用します。
【実施例６】
【００４８】
図６のジェット兼ロケット噴射部７７Ｋをジェットエンジンとして使用の場合は、各種ジェット兼ロケット合体機関燃焼部で、最低温度１００ＭＰａ以下の燃焼ガス４９爆発力＋１００ＭＰａ以下の過熱蒸気５０爆発力に分割し、爆発力の大部分の燃焼ガス４９及び過熱蒸気５０を、夫々１以上の燃焼ガス溜９５ａ及び過熱蒸気溜９５ｃに供給して、夫々１以上の水５２ａを水噴射ノズル６Ｅに供給し、夫々加熱高温気化膜や撥水作用により摩擦損失を低減した、燃焼ガス噴射ノズル６Ｊ等及び過熱蒸気噴射ノズル６Ｉ等の、１００ＭＰａ以下の燃焼ガス４９爆発力及び１００ＭＰａ以下の過熱蒸気５０爆発力と霧吹きの原理により、夫々１以上の水５２ａを摩擦損失最少で混合噴射加速して、夫々更にロケットノズル９４ｂにより大部分の摩擦損失を皆無にして加速し、大気圧重力仕事能力が燃焼ガスの１０００倍の水質量を増大して、大きな仕事能力により前方の空気を吸引して噴射推進し、同一燃料量既存ジェットエンジンの１０００倍仮説噴射推進出力に近付けます。
【００４９】
ジェット兼ロケット噴射部７７Ｋを、ジェット兼ロケット合体機関燃焼部２９と分離することで、エネルギ保存圧縮機２０Ｘや飛行速度により、ピストン頂部隙間を０に近付けて１／５０×１／５０＝１／２５００容積や、飛行速度による空気圧力を吸込み圧力として、限り無く高圧低温の燃焼ガス爆発力を可能にして容器耐圧の限界で使用し、ジェット兼ロケット噴射部７７Ｋを極限まで簡単として、任意の筒形や円筒型のジェット兼ロケット外箱７７Ｆ内に具備し、過熱蒸気導水管２５ａ＋燃焼ガス管２４ａ＋導水管３で、最も簡単にジェット兼ロケット合体機関燃焼部２９に連絡して、ジェット兼ロケット噴射部７７Ｋの円筒回転部７７Ｇを歯車や公知技術により、１８０度以上回転可能にした逆噴射や、９０度前後回転した垂直上昇垂直降下全盛を可能にします。
【００５０】
真空圏ではジェット兼ロケット合体機関燃焼部で、１００ＭＰａ以下の燃焼ガス爆発力＋１００ＭＰａ以下の過熱蒸気爆発力に分割し、爆発力の全部により図６のジェット兼ロケット噴射部７７Ｋを駆動の過程で、燃焼ガス４９及び過熱蒸気５０を、夫々１以上の燃焼ガス溜９５ａ及び過熱蒸気溜９５ｃに供給して、夫々１以上の水５２ａを水噴射ノズル６Ｅに供給し、ジェット兼ロケット外箱７７Ｆ内の夫々１以上の霧吹きの原理１１１ａ及び１１１ｂの、夫々加熱高温気化膜や撥水作用により摩擦損失を低減した、燃焼ガス噴射ノズル６Ｊ等及び過熱蒸気噴射ノズル６Ｉ等の、１００ＭＰａ以下の燃焼ガス爆発力及び１００ＭＰａ以下の過熱蒸気爆発力と霧吹きの原理により、夫々１以上の水５２ａを摩擦損失最少で混合噴射加速して、夫々更にロケットノズル９４ｂにより大部分の摩擦損失を皆無にして加速し、大気圧重力仕事能力が燃焼ガスの１０００倍の水質量を増大して、燃焼ガスの１０００倍に近付けた仕事能力により、真空圏ではロケット飛行します。
【実施例７】
【００５１】
図７のジェット兼ロケット噴射部７７Ｌは、各種ジェット兼ロケット合体機関燃焼部２９で、液体燃料５と空気を容器耐圧に合せて１００ＭＰａ以下の高圧雰囲気燃焼して、容器耐圧最高圧力の燃焼ガス４９爆発力＋容器耐圧最高又は１００ＭＰａ以上等の過熱蒸気５０爆発力に分割し、爆発力の大部分の燃焼ガス４９及び過熱蒸気５０を、１以上の過熱蒸気燃焼ガス噴射ノズル６Ｈの、燃焼ガス溜９５ａ及び過熱蒸気溜９５ｃに供給して、加熱高温気化膜や撥水作用により摩擦損失を低減した、過熱蒸気燃焼ガス噴射ノズル６Ｈの、１００ＭＰａ前後の過熱蒸気５０爆発力及び１００ＭＰａ以下の燃焼ガス４９爆発力と霧吹きの原理により、最高速度で混合噴射加速し、更にロケットノズル９４ｂにより大部分の摩擦損失を皆無にして加速して、大気圧重力仕事能力が燃焼ガスの１０００倍の水速度を最大にし、大きな仕事能力により前方の空気を吸引して噴射推進し、超音速マッハ５０以上等の第３宇宙速度を狙います。
【００５２】
ジェット兼ロケット噴射部７７Ｋを、ジェット兼ロケット合体機関燃焼部２９と分離することで、エネルギ保存圧縮機２０Ｘや飛行速度により、ピストン頂部隙間を０に近付けて１／５０×１／５０＝１／２５００容積や、飛行速度による空気圧力を吸込み圧力として、限り無く高圧低温の燃焼ガス爆発力を可能にして容器耐圧の限界で使用し、ジェット兼ロケット噴射部７７Ｌを極限まで簡単として、任意の筒形や円筒型のジェット兼ロケット外箱７７Ｆ内に具備し、超臨界圧力過熱蒸気が含有気化熱を増減可能に加えて、容器の耐熱温度は低い程良いため、含有高温水５２ｂを増大した過熱蒸気導水管２５ａ＋燃焼ガス管２４ａで、最も簡単にジェット兼ロケット合体機関燃焼部２９に連絡して、ジェット兼ロケット噴射部７７Ｌの円筒回転部７７Ｇを歯車や公知技術により、１８０度以上回転可能にした逆噴射や、９０度前後回転した垂直上昇垂直降下全盛を可能にし、月着陸や火星着陸を可能にします。
【００５３】
真空圏では用途に合せたジェット兼ロケット合体機関燃焼部２９で、液体燃料５と液体酸素４ｃ等の酸化剤４ｂを、容器耐圧に合せて１００ＭＰａ以下の高圧雰囲気燃焼して、１００ＭＰａ前後の過熱蒸気爆発力＋１００ＭＰａ以下の燃焼ガス爆発力に分割し、爆発力の全部により図７のジェット兼ロケット噴射部７７Ｌを駆動の過程で、燃焼ガス４９及び過熱蒸気５０を、加熱高温気化膜や撥水作用により摩擦損失を低減した、１以上の過熱蒸気燃焼ガス噴射ノズル６Ｈの、燃焼ガス溜９５ａ及び過熱蒸気溜９５ｃに供給して、１００ＭＰａ前後の過熱蒸気気化爆発力及び１００ＭＰａ以下の燃焼ガス爆発力により、超臨界圧力高温水を混合噴射加速し、更にロケットノズル９４ｂにより大部分の摩擦損失を皆無にして加速して、ジェット兼ロケット外箱７７Ｆ内の霧吹きの原理１１１Ｌにより、前方の真空を吸引して噴射推進し、真空圏ではロケット飛行します。
【実施例８】
【００５４】
図８のＢ型ジェット兼ロケット合体機関燃焼部２９Ｂ以下は、図４のＡ型ジェット兼ロケット合体機関燃焼部２９Ａと同様に使用し、空気圧縮送気部分のみ変化します。２９Ｂはシリンダヘッド１６と逆止弁９７や一方向空気流路９を含む、縮径主燃焼室兼熱交換器１を同様に外部に設けて、ディーゼル機関の高圧縮を使用するＡ型に換えて、振り子腕４０ａによりピストン２１行程を拡大してディーゼル圧縮比に近付け、クランク軸１６の回転により両頭拡径ピストン２１の往復運動を、振り子腕４０ａにより運動エネルギ減少損失最少で拡大増幅して、圧縮比をピストンの側圧最少で最も簡単に増大し、弾み車タービン８を振り子腕４０ａの支点８１ａ又はクランク軸１６に設けて、直接又は減速してクランク軸１６を駆動して、２９Ａと同様に使用するＢ型ジェット兼ロケット合体機関燃焼部２９Ｂとします。
【００５５】
ジェット兼ロケット合体機関燃焼部２９を、ジェット兼ロケット噴射部７７Ｋと分離することで、飛行速度による空気圧力を吸気弁２８の吸込み圧力として利用し、エネルギ保存圧縮機２０Ｘのピストン頂部隙間を０に近付けて、予圧により１／５０×１／５０＝１／２５００容積等として、限り無く高圧低温の燃焼ガス爆発力を可能にして容器耐圧の限界で使用し、ジェット兼ロケット噴射部７７Ｋ又は７７Ｌを極限まで簡単として、任意の筒形や円筒型のジェット兼ロケット外箱７７Ｆ内に具備し、過熱蒸気導水管２５ａ＋燃焼ガス管２４ａ＋導水管３で、最も簡単にジェット兼ロケット合体機関燃焼部２９に連絡して、ジェット兼ロケット噴射部７７Ｋ又は７７Ｌの円筒回転部７７Ｇにより、１８０度以上回転可能にした逆噴射や、９０度前後回転した垂直上昇垂直降下全盛を可能にします。
【００５６】
２９Ａと同様に大気圏では飛行速度による空気動圧を最も効率良く利用し、更に各種圧縮機で予圧した空気を、吸気弁２８より給気して例えば１／５０×１／５０等に圧縮して、容器耐圧に合せて１００ＭＰａ以下の圧縮圧力を可能にし、一方向空気流路９の圧縮空気と燃料噴射弁の燃料を攪拌混合して、高圧燃焼熱交換冷却長時間燃焼して１００ＭＰａ以下の燃焼を可能にします。真空圏では逆止弁９７及び弾み車タービン８側の、燃焼ガス加減便２４及び過熱蒸気加減弁２５を閉止して、酸化剤制御弁４ａを開放制御し、燃料噴射弁の燃料と酸化剤４ｂを夫々高圧噴射攪拌混合燃焼して、大気圏真空圏共に縮径主燃焼室兼熱交換器１で高圧燃焼熱交換冷却長時間燃焼し、最低温度１００ＭＰａ以下の燃焼ガス爆発力＋１００ＭＰａ以下の過熱蒸気爆発力に分割して、大気圏では爆発力の大部分により図６・図７のジェット兼ロケット噴射部７７Ｋ・７７Ｌを駆動し、真空圏では爆発力全部によりジェット兼ロケット噴射部７７Ｋ又は７７Ｌを駆動して、夫々１以上の霧吹きの原理１１１ａ及び１１１ｂ又は１１１Ｌにより、大気圏ではジェット飛行し、真空圏ではロケット飛行します。
【実施例９】
【００５７】
図９のＣ型ジェット兼ロケット合体機関燃焼部２９Ｃは、図４のＡ型ジェット兼ロケット合体機関燃焼部２９Ａと同様に使用するもので、２９Ｂと同様に振り子腕４０ａによりピストン２１行程を拡大して、ディーゼル機関のピストン行程を可能し、圧縮機専用とすることでピストン頂部隙間を０に近付け、予圧を含めて１／５０×１／５０＝１／２５００容積等を可能にして、弾み車タービン８を水駆動とすることで大回転力とし、予圧圧縮機を駆動して容器耐圧に合せて、１００ＭＰａ以下の圧縮圧力を可能にするものです。クランク軸１６・１６の回転により両頭拡径ピストン２１・２１の対向往復運動を、振り子腕４０ａ・４０ａにより運動エネルギ減少損失最少で拡大増幅して、圧縮比をピストンの側圧最少で最も簡単に増大し、弾み車タービン８を同期軸１６ａ又はクランク軸１６に設けて、直接又は減速してクランク軸１６を駆動して、２９Ａと同様に使用するＣ型ジェット兼ロケット合体機関燃焼部２９Ｃとします。
【００５８】
２９Ａと同様に大気圏では飛行速度による空気動圧を最も効率良く利用し、更に各種圧縮機で予圧した空気を、吸気弁２８より給気して圧縮して、容器耐圧に合せて１００ＭＰａ以下の圧縮圧力を可能にし、一方向空気流路９の圧縮空気と燃料噴射弁の燃料を攪拌混合して、高圧燃焼熱交換冷却長時間燃焼します。真空圏では逆止弁９７及び弾み車タービン８側の、燃焼ガス加減弁２４及び過熱蒸気加減弁２５を閉止して、酸化剤制御弁４ａを開放制御し、燃料噴射弁の燃料と酸化剤４ｂを夫々高圧噴射攪拌混合燃焼して、大気圏真空圏共に縮径主燃焼室兼熱交換器１で高圧燃焼熱交換冷却長時間燃焼し、最低温度１００ＭＰａ以下の燃焼ガス爆発力＋１００ＭＰａ以下の過熱蒸気爆発力に分割して、大気圏では爆発力の大部分により図６のジェット兼ロケット噴射部７７Ｋを駆動し、真空圏では爆発力全部によりジェット兼ロケット噴射部を駆動して、夫々１以上の霧吹きの原理１１１ａ及び１１１ｂにより、大気圏ではジェット飛行し、真空圏ではロケット飛行します。
【実施例１０】
【００５９】
図１０のＤ型ジェット兼ロケット合体機関燃焼部２９Ｄは、図４のＡ型ジェット兼ロケット合体機関燃焼部２９Ａの、ガソリン機関使用部分を簡単として、弾み車タービン８をクランク軸１６に設けて直接又は減速して回転出力を発生し、往復機関の死点を皆無として死点後９０度のみ駆動可能として、往復機関最大の欠点を皆無とし、大気圧重力仕事能力が燃焼ガスの１０００倍の水速度に変換して、弾み車タービン８に垂直噴射して重力加速度を最適利用し、回転出力を燃焼ガスの１０００倍に近付け、クランク軸１６の回転により直接両頭拡径ピストン２１を往復運動させ、弾み車のタービン翼８ｃ等により慣性重量を増大して、最も簡単に運動エネルギ減少損失を低減して空気圧縮し、２９Ａと同様に使用するＤ型ジェット兼ロケット合体機関燃焼部２９Ｄとします。
【００６０】
２９Ａと同様に弾み車タービン側の燃焼ガス加減弁２４及び過熱蒸気加減弁２５と逆止弁９７と、酸化剤制御弁４ａを適宜に開閉制御して使用し、大気圏では燃料と空気により燃焼して、真空圏では燃料と酸化剤４ｂにより燃焼し、高圧燃焼熱交換冷却長時間燃焼して、１００ＭＰａ等限り無く高圧の、過熱蒸気爆発力＋燃焼ガス爆発力に分割を可能とし、容器耐圧の限界での使用を可能にして、大気圏ではその爆発力の大部分により図６のジェット兼ロケット噴射部７７Ｋを駆動し、超音速マッハ２０等で飛行時にも前方の空気を吸引して噴射推進して、真空圏ではその爆発力全部によりジェット兼ロケット噴射部７７Ｋを駆動し、大気圏や真空圏共に夫々１以上の霧吹きの原理１１１ａ及び１１１ｂにより、大気圏ではジェット飛行して、真空圏ではロケット飛行します。
【実施例１１】
【００６１】
図１１のＥ型ジェット兼ロケット合体機関燃焼部２９Ｅは、図４のＡ型ジェット兼ロケット合体機関燃焼部２９Ａの、ガソリン機関使用部分を簡単として、弾み車タービン８を同期軸１６ａに設けて直接又は減速して回転出力を発生し、往復機関の死点を皆無として死点後９０度のみ駆動可能として、往復機関最大の欠点を皆無とし、大気圧重力仕事能力が燃焼ガスの１０００倍の水速度に変換して、弾み車タービン８に垂直噴射して重力加速度を最適利用し、回転出力を燃焼ガスの１０００倍に近付け、クランク軸１６の回転により直接両頭拡径ピストン２１・２１を対向往復運動させ、弾み車のタービン翼８ｃ等により慣性重量を増大した対向往復運動として、最も簡単に運動エネルギ減少損失を低減して空気圧縮し、２９Ａと同様に使用するＥ型ジェット兼ロケット合体機関燃焼部２９Ｅとします。
【００６２】
２９Ａと同様に弾み車タービン側の燃焼ガス加減弁２４及び過熱蒸気加減弁２５と逆止弁９７と、酸化剤制御弁４ａを適宜に開閉制御して使用し、大気圏では燃料と空気により燃焼して、真空圏では燃料と酸化剤４ｂにより燃焼し、高圧燃焼熱交換冷却長時間燃焼して、１００ＭＰａ等限り無く高圧の、過熱蒸気爆発力＋燃焼ガス爆発力に分割を可能とし、容器耐圧の限界での使用を可能にして、大気圏ではその爆発力の大部分により図６のジェット兼ロケット噴射部７７Ｋを駆動し、超音速マッハ２０等で飛行時にも前方の空気を吸引して噴射推進して、真空圏ではその爆発力全部によりジェット兼ロケット噴射部７７Ｋを駆動し、大気圏や真空圏共に夫々１以上の霧吹きの原理１１１ａ及び１１１ｂにより、大気圏ではジェット飛行して、真空圏ではロケット飛行します。
【実施例１２】
【００６３】
図１２のＦ型ジェット兼ロケット合体機関燃焼部２９Ｆは、図１１のＥ型ジェット兼ロケット合体機関燃焼部２９Ｅの、中央の縮径主燃焼室兼熱交換器１を省略し、両側に移動して簡単として、弾み車タービン８を同期軸１６ａに設けて直接又は減速して回転出力を発生し、往復機関の死点を皆無として死点後９０度のみ駆動可能として、往復機関最大の欠点を皆無とし、大気圧重力仕事能力が燃焼ガスの１０００倍の水速度に変換して、弾み車タービン８に垂直噴射して重力加速度を最適利用し、回転出力を燃焼ガスの１０００倍に近付け、クランク軸１６の回転により直接両頭拡径ピストン２１・２１を対向往復運動させ、弾み車のタービン翼８ｃ等により慣性重量を増大した対向往復運動として、最も簡単に運動エネルギ減少損失を低減して空気圧縮し、２９Ａと同様に使用するＦ型ジェット兼ロケット合体機関燃焼部２９Ｆとします。
【実施例１３】
【００６４】
図１３のＧ型ジェット兼ロケット合体機関燃焼部２９Ｇは、図１１のＥ型ジェット兼ロケット合体機関燃焼部２９Ｅの、両側の縮径主燃焼室兼熱交換器１を省略し、中央に移動して簡単として、弾み車タービン８を同期軸１６ａに設けて直接又は減速して回転出力を発生し、往復機関の死点を皆無として死点後９０度のみ駆動可能として、往復機関最大の欠点を皆無とし、大気圧重力仕事能力が燃焼ガスの１０００倍の水速度に変換して、弾み車タービン８に垂直噴射して重力加速度を最適利用し、回転出力を燃焼ガスの１０００倍に近付け、クランク軸１６の回転により直接両頭拡径ピストン２１・２１を対向往復運動させ、弾み車のタービン翼８ｃ等により慣性重量を増大した対向往復運動として、最も簡単に運動エネルギ減少損失を低減して空気圧縮し、２９Ａと同様に使用するＧ型ジェット兼ロケット合体機関燃焼部２９Ｇとします。
【実施例１４】
【００６５】
図１４のＨ型ジェット兼ロケット合体機関燃焼部２９Ｈは、図１０のＤ型ジェット兼ロケット合体機関燃焼部２９Ｄの、両側の縮径主燃焼室兼熱交換器１を片方に移動して簡単として、弾み車タービン８をクランク軸１６に設けて同速度又は減速して回転出力を発生し、往復機関の死点を皆無として死点後９０度のみ駆動可能として、往復機関最大の欠点を皆無とし、大気圧重力仕事能力が燃焼ガスの１０００倍の水速度に変換して、弾み車タービン８に垂直噴射して重力加速度を最適利用し、回転出力を燃焼ガスの１０００倍に近付け、クランク軸１６の回転により直接両頭拡径ピストン２１・２１を対向往復運動させ、弾み車のタービン翼８ｃ等により慣性重量を増大した対向往復運動として、最も簡単に運動エネルギ減少損失を低減して空気圧縮し、２９Ａと同様に使用するＨ型ジェット兼ロケット合体機関燃焼部２９Ｈとします。
【実施例１５】
【００６６】
図１５のジェット兼ロケット飛行機３８Ａは、ジェット兼ロケット合体機関の各種ジェット兼ロケット合体機関燃焼部２９と、ジェット兼ロケット噴射部７７Ｋ又は７７Ｌを飛行機に搭載して、２９と７７Ｋ又は７７Ｌを過熱蒸気導水管２５ａ＋燃焼ガス管２４ａ＋導水管３で連絡し、又は１００ＭＰａ前後等の過熱蒸気は、超臨界温度３７５℃以上任意に選択可能で、気化熱含有量を任意に低減した高温水５２ｂの含有量増大が可能なため、過熱蒸気導水管２５ａ＋燃焼ガス管２４ａで連絡して、構造簡単で超高速高温水噴射のジェット兼ロケット飛行機３８Ａ等とし、各種宇宙往還機や宇宙往還親飛行機として使用して、各種宇宙往還親飛行機として使用の場合は、公知技術により水噴射ロケット合体機関や固体燃料水噴射ロケット合体機関や、液体燃料水噴射ロケット合体機関や各種人工衛星等を搭載し、真空圏の高高度で発射又は切り離す宇宙往還親飛行機として使用して、超音速マッハ２０前後の第１宇宙速度を狙います。
【００６７】
ジェット兼ロケット合体機関燃焼部２９を、ジェット兼ロケット翼３８ｂの中央や、ジェット兼ロケット尾翼３８ｃの中央に搭載し、ジェット兼ロケット噴射部７７Ｋ又は７７Ｌの円筒回転部７７Ｇを、ジェット兼ロケット翼３８ｂの両端や、ジェット兼ロケット尾翼３８ｃの両端に回転自在に嵌め合せて、１８０度回転した逆噴射や９０度回転した垂直上昇垂直降下を可能します。宇宙往還機として使用の場合は、超音速マッハ５０前後の第３宇宙速度を狙い、月面や火星などに垂直降下して、月面や火星より垂直上昇して地球に帰還します。地球帰還時は大気圏に突入時の摩擦熱により、導水管の過熱蒸気温度を上昇して有効利用すると共に、大気圏ではジェット兼ロケット翼３８ｂの翼前縁心３８ｅや、ジェット兼ロケット尾翼３８ｃの翼前縁心３８ｅより、飛行速度による動圧空気として吸気弁２８より吸入し、空気動圧を予圧空気圧力として、燃焼ガス４９の圧力上昇に有効利用し、１００ＭＰａ等の燃焼ガス圧力を可能にします。
【産業上の利用可能性】
【００６８】
各種ジェット兼ロケット合体機関燃焼部に酸化剤を搭載して、大気中ではジェット飛行し、真空中ではロケット飛行するため、宇宙往還親飛行機として高度５万ｍ以上で超大型の各種宇宙往還ロケットを発射できる可能性があります。
【００６９】
各種ジェット兼ロケット合体機関燃焼部に酸化剤を搭載して、大気中ではジェット飛行し、真空中ではロケット飛行するため、宇宙往還親飛行機として高度５万ｍ以上で超大型の各種人工衛星を発射できる可能性があります。
【００７０】
各種ジェット兼ロケット合体機関燃焼部に酸化剤を搭載して、大気中ではジェットエンジン飛行し、真空中ではロケットエンジン飛行するため、宇宙往還機として宇宙旅行に利用できる可能性があります。
【００７１】
各種ジェット兼ロケット合体機関燃焼部で限り無く高圧燃焼熱交換冷却長時間燃焼して、１００ＭＰａ以上の過熱蒸気爆発力＋１００ＭＰａ以上の燃焼ガス爆発力に分割出来る可能性があります。
【００７２】
各種ジェット兼ロケット合体機関燃焼部で限り無く高圧燃焼熱交換冷却長時間燃焼して、１００ＭＰａ以下の過熱蒸気爆発力＋１００ＭＰａ以下の燃焼ガス爆発力に分割し、水を加速すると、大気圧重力仕事能力が燃焼ガスの１０００倍に近付き、各種弾道ミサイル用の、各種固体燃料水噴射ロケット合体機関として利用できる可能性があります。
【００７３】
各種ジェット兼ロケット合体機関燃焼部で限り無く高圧燃焼熱交換冷却長時間燃焼して、１００ＭＰａ以下の過熱蒸気爆発力＋１００ＭＰａ以下の燃焼ガス爆発力に分割し、水を加速すると、大気圧重力仕事能力が燃焼ガスの１０００倍に近付き、各種弾道ミサイル迎撃用の、各種固体燃料水噴射ロケット合体機関として利用できる可能性があります。
【００７４】
各種ジェット兼ロケット合体機関燃焼部で限り無く高圧燃焼熱交換冷却長時間燃焼して、１００ＭＰａ以下の過熱蒸気爆発力＋１００ＭＰａ以下の燃焼ガス爆発力に分割し、水を加速すると、大気圧重力仕事能力が燃焼ガスの１０００倍に近付き、各種弾道ミサイル用の、各種液体燃料水噴射ロケット合体機関として利用できる可能性があります。
【００７５】
各種ジェット兼ロケット合体機関燃焼部で限り無く高圧燃焼熱交換冷却長時間燃焼して、１００ＭＰａ以下の過熱蒸気爆発力＋１００ＭＰａ以下の燃焼ガス爆発力に分割し、水を加速すると、大気圧重力仕事能力が燃焼ガスの１０００倍に近付き、各種弾道ミサイル迎撃用の、各種液体燃料水噴射ロケット合体機関として利用できる可能性があります。
【図面の簡単な説明】
【００７６】
【図１】水噴射ロケット合体機関を示す断面図（実施例１）
【図２】固体燃料水噴射ロケット合体機関を示す断面図（実施例２）
【図３】液体燃料水噴射ロケット合体機関を示す断面図（実施例３）
【図４】Ａ型ジェット兼ロケット合体機関燃焼部を示す断面図（実施例４）
【図５】弾み車蒸気タービンガスタービンを示す断面図（実施例５）
【図６】ジェット兼ロケット噴射部７７Ｋを示す断面図（実施例６）
【図７】ジェット兼ロケット噴射部７７Ｌを示す断面図（実施例７）
【図８】Ｂ型ジェット兼ロケット合体機関燃焼部を示す断面図（実施例８）
【図９】Ｃ型ジェット兼ロケット合体機関燃焼部の断面図（実施例９）
【図１０】Ｄ型ジェット兼ロケット合体機関燃焼部の断面図（実施例１０）
【図１１】Ｅ型ジェット兼ロケット合体機関燃焼部の断面図（実施例１１）
【図１２】Ｆ型ジェット兼ロケット合体機関燃焼部の断面図（実施例１２）
【図１３】Ｇ型ジェット兼ロケット合体機関燃焼部の断面図（実施例１３）
【図１４】Ｈ型ジェット兼ロケット合体機関燃焼部の断面図（実施例１４）
【図１５】ジェット兼ロケット飛行機を示す説明図（実施例１５）
【符号の説明】
【００７７】
１：縮径主燃焼室兼熱交換器、  １ａ：ロケット燃焼部、  ２：縮径主燃焼室熱交換器、  ２ｂ：気化熱回収器、  ３：導水管、  ３ａ：撥水鍍金、  ３ｂ：噴射用導水管、  ４：給気穴、  ４Ａ：酸化剤噴射装置、  ４ａ：酸化剤制御弁、  ４ｂ：酸化剤、  ４ｃ：液体酸素、  ５：液体燃料、  ５ａ：蒸気排気室、  ５ｂ：排気庇、  ５ｃ：ガス排気室、  ５ｅ：燃料流路、  ５ｆ：蒸気流路、  ５ｇ：固体推進薬、  ５ｈ：燃焼室出口流路、  ５ｉ：水蒸気出口流路、  ５ｊ：液体推進剤、  ６Ａ：過熱蒸気噴射ノズル（加熱高温で摩擦低減）  ６Ｂ：過熱蒸気噴射ノズル（撥水鍍金で摩擦低減）  ６Ｃ：燃焼ガス噴射ノズル（加熱高温で摩擦低減）  ６Ｄ：燃焼ガス噴射ノズル（撥水鍍金で摩擦低減）  ６Ｅ：水噴射ノズル、  ６Ｆ：不用冷却液化燃焼ガス噴射ノズル、  ６Ｇ：冷水噴射ノズル、  ６Ｈ：過熱蒸気燃焼ガス噴射ノズル（６Ａ＋６Ｂ＋６Ｃ＋６Ｄ）  ６Ｉ：過熱蒸気噴射ノズル（６Ａ＋６Ｂ）  ６Ｊ：燃焼ガス噴射ノズル（６Ｃ＋６Ｄ）  ７ｃ：燃料噴射電磁弁、  ８：弾み車タービン、  ８ａ：弾み車ガスタービン、  ８ｂ：弾み車蒸気タービン、  ８ｃ：タービン翼、  ８ｄ：側板、  ９：一方向空気流路、  １０ａ：拡径圧縮室、  １０ｂ：操縦室、  １０ｃ：制御室、  １０ｄ：客室、  １２ａ：人工衛星、  １２ｂ：弾頭、  １５：シリンダヘッド、  １６：クランク軸、  １６ａ：同期軸、  ２０：制御装置、  ２０ａ：制御弁、  ２０Ａ：Ａ型エネルギ保存圧縮機、  ２０Ｂ：Ｂ型エネルギ保存圧縮機、  ２０Ｃ：Ｃ型エネルギ保存圧縮機、  ２０Ｄ：Ｄ型エネルギ保存圧縮機、  ２０Ｅ：Ｅ型エネルギ保存圧縮機、  ２０Ｆ：Ｆ型エネルギ保存圧縮機、  ２０Ｇ：Ｇ型エネルギ保存圧縮機、  ２０Ｈ：Ｈ型エネルギ保存圧縮機、  ２０Ｘ：各種エネルギ保存圧縮機（ＡＢＣＤＥＦＧＨ型）、  ２１：両頭拡径ピストン、  ２４：燃焼ガス加減弁、  ２４ａ：燃焼ガス管、  ２４Ａ：燃焼ガス制御弁、  ２４Ｂ：高温水制御弁、  ２５：過熱蒸気加減弁、  ２５ａ：過熱蒸気導水管、  ２５Ｂ：過熱蒸気制御弁、  ２５Ｃ：水制御弁、  ２８：吸気弁、  ２８ａ：空気、  ２８ｂ：予圧した空気、  ２９：各種ジェット兼ロケット合体機関燃焼部（ＡＢＣＤＥＦＧＨ型）、  ２９Ａ：Ａ型ジェット兼ロケット合体機関燃焼部（既存往復機関を圧縮機として弾み車タービン駆動）  ２９Ｂ：Ｂ型ジェット兼ロケット合体機関燃焼部（ピストン側圧最低で行程を増大して弾み車タービン駆動）  ２９Ｃ：Ｃ型ジェット兼ロケット合体機関燃焼部（ピストン側圧最低で行程を増大した対向往復運動の弾み車タービン駆動）  ２９Ｄ：Ｄ型ジェット兼ロケット合体機関燃焼部（ピストン直接クランク駆動の弾み車タービン駆動）  ２９Ｅ：Ｅ型ジェット兼ロケット合体機関燃焼部（対向ピストン直接クランク駆動の弾み車タービン駆動）  ２９Ｆ：Ｆ型ジェット兼ロケット合体機関燃焼部（対向ピストン直接クランク駆動外側が機関の弾み車タービン駆動）  ２９Ｇ：Ｇ型ジェット兼ロケット合体機関燃焼部（対向ピストン直接クランク駆動内側が機関の弾み車タービン駆動）  ２９Ｈ：Ｈ型ジェット兼ロケット合体機関燃焼部（ピストン直接クランク駆動片側が機関の弾み車タービン駆動）  ２９Ｉ：液体燃料水噴射ロケット合体機関、  ２９Ｊ：固体燃料水噴射ロケット合体機関、  ２９Ｋ：水噴射ロケット合体機関、  ３０：断熱材、  ３８：案内具、  ３８Ａ：ジェット兼ロケット飛行機、  ３８ａ：ロケット翼、  ３８ｂ：ジェット兼ロケット翼、  ３８ｃ：ジェット兼ロケット尾翼、  ３８ｅ：翼前縁心、  ４９：燃焼ガス、  ４９ａ：燃焼ガス攪拌板、  ５０：過熱蒸気、  ５０ａ：飽和蒸気、  ５１：空気抽出器、  ５２：給水、  ５２ａ：水、  ５２ｂ：高温水、  ５２ｃ：水道水、  ５２ｄ：水道水温熱、  ５２ｅ：水道水冷熱、  ５２ｆ：凝縮水、  ５２ｇ：燃焼ガス溶解水、  ５２ｈ：冷水、  ７６：磁気摩擦動力伝達装置、  ７７：外箱、  ７７ａ：タービン外箱、  ７７ｂ：筒形外箱、  ７７Ｃ：ジェットエンジン外箱、  ７７Ｄ：ウォータージェット外箱、  ７７Ｅ：ロケット外箱、  ７７Ｆ：ジェット兼ロケット外箱、  ７７Ｇ：円筒回転部、  ７７Ｋ：ジェット兼ロケット噴射部、  ７７Ｌ：ジェット兼ロケット噴射部、  ８１ａ：支点、  ８２：コイル、  ９０：断熱壁、  ９０ａ：隔壁、  ９４：ノズル噴口部、  ９４ａ：末広ノズル噴口部、  ９４ｂ：ロケットノズル、  ９５：高温水溜、  ９５ａ：燃焼ガス溜、  ９５ｂ：水溜、  ９５ｃ：過熱蒸気溜、  ９６：発条、  ９７：逆止弁、  ９８：弁座、  ９９：弁体、  １００：公知の各種噴射弁、  １０１：加熱高温手段、  １０２：着火装置、  １０３：冷熱回収器、  １１１ａ：霧吹きの原理（加熱高温６Ａで空気吸引）  １１１ｂ：霧吹きの原理（加熱高温６Ｃで空気吸引）  １１１ｅ：霧吹きの原理（撥水鍍金６Ｂで空気吸引）  １１１ｆ：霧吹きの原理（撥水鍍金６Ｄで空気吸引）  １１１Ｉ：霧吹きの原理（６Ａ＋６Ｂで空気吸引）  １１１ｊ：霧吹きの原理（６Ｃ＋６Ｄで空気吸引）    １１１Ｌ：霧吹きの原理（６Ａ＋６Ｂ＋６Ｃ＋６Ｄで空気吸引）  
【図１】
2005147122.tif 000003
【図２】
2005147122.tif 000004
【図３】
2005147122.tif 000005
【図４】
2005147122.tif 000006
【図５】
2005147122.tif 000007
【図６】
2005147122.tif 000008
【図７】
2005147122.tif 000009
【図８】
2005147122.tif 000010
【図９】
2005147122.tif 000011
【図１０】
2005147122.tif 000012
【図１１】
2005147122.tif 000013
【図１２】
2005147122.tif 000014
【図１３】
2005147122.tif 000015
【図１４】
2005147122.tif 000016
【図１５】
2005147122.tif 000017